(57)【特許請求の範囲】
【請求項１】
複数の演出態様が実施可能な演出手段において、
前記演出手段は、
第１の可動体と第２の可動体とを備え、
前記第１の可動体が第１の位置と第２の位置との間にある状態では前記第１の可動体が作動可能かつ前記第２の可動体が作動不能に設定可能とされ、
前記第１の可動体が前記第１の位置、および前記第２の位置にある状態では前記第１の可動体の作動に伴って前記第２の可動体が作動可能であり、
前記第２の可動体の作動を制御する作動制御手段を備え、
前記第１の可動体が前記第１の位置にある状態で、前記第１の可動体が作動可能かつ前記第１の可動体の作動に伴って前記第２の可動体を前記作動制御手段が作動可能とすることで第１の演出態様を実施可能にし、
前記第１の可動体が前記第１の位置から前記第２の位置までの間にある状態で、前記第１の可動体が作動可能かつ前記第２の可動体を前記作動制御手段が作動不能とすることで第２の演出態様を実施可能とし、
前記第１の可動体が前記第２の位置にある状態で、前記第１の可動体が作動可能かつ前記第１の可動体の作動に伴って前記第２の可動体を前記作動制御手段が作動可能とすることで第３の演出態様を実施可能とし、
前記第２の可動体は、
前記第１の可動体を正面視した状態で前記第１の可動体の後方側に位置することを特徴とする遊技機。
【発明の詳細な説明】
【技術分野】
【０００１】
本発明は、例えばパチンコ機などの遊技機に関する。
【背景技術】
【０００２】
従来、例えばパチンコ機などの遊技機は公知となっている。例えば、特許文献１に記載の如くである。
【０００３】
特許文献１には、回転動作を行うことで所定の可動演出を行う可動演出役物を備えた遊技機が開示されている。
【先行技術文献】
【特許文献】
【０００４】
【特許文献１】特開２０１６−５９４９８号公報
【発明の概要】
【発明が解決しようとする課題】
【０００５】
このような遊技機において、遊技の興趣をさらに向上させることが望まれている。
【０００６】
本発明は、上述した課題に鑑みてなされたものであり、遊技の興趣を向上させることができる遊技機を提供することを目的とする。
【課題を解決するための手段】
【０００７】
本発明に係る遊技機は、複数の演出態様が実施可能な演出手段において、前記演出手段は、第１の可動体と第２の可動体とを備え、前記第１の可動体が第１の位置と第２の位置との間にある状態では前記第１の可動体が作動可能かつ前記第２の可動体が作動不能に設定可能とされ、前記第１の可動体が前記第１の位置、および前記第２の位置にある状態では前記第１の可動体の作動に伴って前記第２の可動体が作動可能であり、前記第２の可動体の作動を制御する作動制御手段を備え、前記第１の可動体が前記第１の位置にある状態で、前記第１の可動体が作動可能かつ前記第１の可動体の作動に伴って前記第２の可動体を前記作動制御手段が作動可能とすることで第１の演出態様を実施可能にし、前記第１の可動体が前記第１の位置から前記第２の位置までの間にある状態で、前記第１の可動体が作動可能かつ前記第２の可動体を前記作動制御手段が作動不能とすることで第２の演出態様を実施可能とし、前記第１の可動体が前記第２の位置にある状態で、前記第１の可動体が作動可能かつ前記第１の可動体の作動に伴って前記第２の可動体を前記作動制御手段が作動可能とすることで第３の演出態様を実施可能とし、前記第２の可動体は、前記第１の可動体を正面視した状態で前記第１の可動体の後方側に位置することを特徴とする。
【発明の効果】
【００２０】
本発明によれば、遊技の興趣を向上させることができる。
【図面の簡単な説明】
【００２１】
【図１】本実施形態に係る遊技システムの全体構成を示す図である。
【図２】本実施形態に係る遊技システムのデータの送受信について説明するためのブロック図である。
【図３】本実施形態に係る遊技機および遊技媒体管理装置の正面図である。
【図４】本実施形態の増減数検出信号処理のフローチャートであって、図４（ａ）は、遊技機の増減数検出信号処理のフローチャートであり、図４（ｂ）は、遊技媒体管理装置の増減数検出信号処理のフローチャートである。
【図５】本実施形態に係る遊技システムのネットワーク構成を示す図である。
【図６】本実施形態に係る遊技システムにおける遊技機および遊技媒体管理装置の電気的構成を示すブロック図である。
【図７】本実施形態に係る遊技機の発射装置について説明するための図である。
【図８】本実施形態に係る遊技機の発射装置の平面図である。
【図９】本実施形態に係る遊技機の揚送装置について説明するための図である。
【図１０】本実施形態に係る遊技機の揚送装置の動作について説明するための図である。
【図１１】本実施形態に係る遊技機におけるメイン処理のフローチャートである。
【図１２】本実施形態に係る遊技機におけるシステムタイマ割込処理のフローチャートである。
【図１３】本実施形態に係る遊技機における特別図柄制御処理のフローチャートである。
【図１４】本実施形態に係る遊技機で実行される特別図柄制御処理の状態遷移についての説明図である。
【図１５】本実施形態に係る遊技機における特別図柄記憶チェック処理のフローチャートである。
【図１６】本実施形態に係る遊技機における普通図柄制御処理のフローチャートである。
【図１７】本実施形態に係る遊技機における副制御回路メイン処理のフローチャートである。
【図１８】本実施形態に係る遊技機におけるコマンド解析処理のフローチャートである。
【図１９】本実施形態に係る発射処理のフローチャートである。
【図２０】本発明の第２実施形態に係る遊技機を正面側から見た概略斜視図である。
【図２１】本発明の第２実施形態に係る遊技機の概略正面図である。
【図２２】本発明の第２実施形態における皿ユニットを切り離した状態を示す分解斜視図である。
【図２３】本発明の第２実施形態におけるトップ飾りを切り離した状態を示す分解斜視図である。
【図２４】本発明の第２実施形態における右側装飾部材及び左側装飾部材を切り離した状態を示す分解斜視図である。
【図２５】皿ユニットの右斜め方向から示す概略斜視図である。
【図２６】皿ユニットの左斜め方向から示す概略斜視図である。
【図２７】皿ユニットの概略正面図である。
【図２８】皿ユニットの右側方を示す概略側面図である。
【図２９】皿ユニットの左側方を示す概略側面図である。
【図３０】皿ユニットの下斜め方向から示す概略斜視図である。
【図３１】皿ユニットの分解斜視図である。
【図３２】皿ユニットの一部部品を取り外した状態を示す概略斜視図である。
【図３３】皿ユニットの一部部品を取り外した状態を示す概略正面図である。
【図３４】皿ユニットにおけるスピーカ周辺の構成を説明するための分解斜視図である。
【図３５】皿ユニットにおけるスピーカ周辺の送風機構を説明するための分解斜視図である。
【図３６】送風機構の動作を説明するための分解斜視図である。
【図３７】送風機構の動作を説明するための内部平面図である。
【図３８】送風機構の動作を説明するための分解斜視図である。
【図３９】送風機構の動作を説明するための内部平面図である。
【図４０】本発明の第２実施形態に係る遊技機の制御回路を示すブロック図である。
【図４１】本発明の第２実施形態に係る遊技機の各種テーブルを説明するための図である。
【図４２】右側装飾部材の分解斜視図である。
【図４３】右側装飾部材における内側導光板を示す概略平面図である。
【図４４】右側装飾部材における内側導光板の入射後端面を示す一部切り欠き斜視図である。
【図４５】右側装飾部材における内側導光板の入射後端面を示す一部切り欠き背面図である。
【図４６】右側装飾部材における内側導光板の出射前端面を示す一部切り欠き斜視図である。
【図４７】右側装飾部材における内側導光板の出射前端面を示す一部切り欠き正面図である。
【図４８】トップ飾りにおける中央飾り部材の分解斜視図である。
【図４９】トップ飾りにおける中央飾り部材の分解斜視図である。
【図５０】トップ飾りにおける中央飾り部材の内部構造を示す概略正面図である。
【図５１】トップ飾りにおける中央飾り部材の内部構造を示す分解斜視図である。
【図５２】トップ飾りにおける中央飾り部材の分解上面図である。
【図５３】トップ飾りにおける右側飾り部材の分解斜視図である。
【図５４】トップ飾りにおける右側飾り部材の一部部品を示す概略正面図である。
【図５５】トップ飾りにおける右側飾り部材の一部部品を示す概略上面図である。
【図５６】トップ飾りにおける右側飾り部材の一部部品の右側方を示す概略上面図である。
【図５７】トップ飾りにおける右側飾り部材の一部部品の左側方を示す概略上面図である。
【図５８】トップ飾りにおける右側飾り部材の一部部品を示す概略背面図である。
【図５９】送風機構の変形例を示す概略斜視図である。
【図６０】本発明の第３実施形態に係る遊技機の外観斜視図である。
【図６１】本発明の第３実施形態に係る遊技機の分解斜視図である。
【図６２】本発明の第３実施形態に係る遊技機における本体枠の分解斜視図である。
【図６３】本発明の第３実施形態に係る遊技機における取付枠の分解斜視図である。
【図６４】本発明の第３実施形態に係る遊技機における遊技盤の上面図である。
【図６５】本発明の第３実施形態の変形例に係る遊技機における遊技盤の上面図である。
【図６６】本発明の第３実施形態に係る遊技機における取付ベースの斜視図である。
【図６７】本発明の第３実施形態に係る遊技機における取付ベースの正面図である。
【図６８】本発明の第３実施形態に係る遊技機における本体枠の断面図である。
【図６９】本発明の第３実施形態に係る遊技機におけるプロジェクタユニットから出射された投影光の光軸を説明する図である。
【図７０】本発明の第３実施形態に係る遊技機におけるカバー部材の背面側から視た斜視図である。
【図７１】本発明の第３実施形態に係る遊技機におけるカバー部材の前面側から視た斜視図である。
【図７２】本発明の第３実施形態に係る遊技機における遊技盤中継基板と、取付ベースの基板用孔及びカバー部材の開口部との位置関係を説明する図である。
【図７３】本発明の第３実施形態に係る遊技機の上面図である。
【図７４】本発明の第３実施形態に係る遊技機における本体枠の分解斜視図である。
【図７５】本発明の第３実施形態に係る遊技機における第１誘導樋及び第２誘導樋の分解斜視図である。
【図７６】本発明の第３実施形態に係る遊技機における第１誘導樋及び第２誘導樋の分解斜視図である。
【図７７】本発明の第３実施形態に係る遊技機における払出装置を示す全体斜視図である。
【図７８】本発明の第３実施形態に係る遊技機における払出装置に含まれる球通路ユニットを示す斜視図である。
【図７９】本発明の第３実施形態に係る遊技機における球通路ユニットを示す分解斜視図である。
【図８０】図７９とは異なる向きで球通路ユニットを示す分解斜視図である。
【図８１】本発明の第３実施形態に係る遊技機における球通路ユニットの第１誘導路を示す平面図である。
【図８２】本発明の第３実施形態に係る遊技機における球通路ユニットの第２誘導路を示す平面図である。
【図８３】本発明の第３実施形態に係る遊技機における遊技盤のアウト口を示す斜視図である。
【図８４】本発明の第３実施形態に係る遊技機における遊技盤を取り外した状態でアウト口の背後に位置する球検知ユニットを示す斜視図である。
【図８５】本発明の第３実施形態に係る遊技機における球検知ユニットの全体を示す斜視図である。
【図８６】本発明の第３実施形態に係る遊技機における球検知ユニットを示す分解斜視図である。
【図８７】図８６とは異なる向きで球検知ユニットを示す分解斜視図である。
【図８８】本発明の第３実施形態に係る遊技機における球検知ユニットを構成する右側構成部材の内部側面図である。
【図８９】本発明の第３実施形態に係る遊技機における球検知ユニットを構成する左側構成部材の内部側面図である。
【図９０】本発明の第３実施形態に係る遊技機における球検知ユニットを構成する突片部材の上面図である。
【図９１】本発明の第３実施形態に係る遊技機における皿ユニットが設けられたガラスドアを示す全体斜視図である。
【図９２】本発明の第３実施形態に係る遊技機におけるガラスドアの正面を示す全体正面図である。
【図９３】本発明の第３実施形態に係る遊技機における皿ユニットの全体を示す拡大斜視図である。
【図９４】本発明の第３実施形態に係る遊技機における皿ユニットの分解斜視図である。
【図９５】本発明の第３実施形態に係る遊技機における皿ユニットの上面図である。
【図９６】本発明の第３実施形態に係る遊技機における皿ユニットの受け皿カバー部材を取り外した状態の上面図である。
【図９７】本発明の第３実施形態に係る遊技機における本体部、球抜き通路部材及び蓋開閉部を背面側から視た斜視図である。
【図９８】図９７に示す図の分解図である。
【図９９】本発明の第３実施形態に係る遊技機における球抜き通路部材の斜視図である。
【図１００】図９９中のＡＡ’断面図である。
【図１０１】図９９中のＢＢ’断面図である。
【図１０２】本発明の第３実施形態に係る遊技機における球抜き通路部材の分解斜視図である。
【図１０３】本発明の第３実施形態に係る遊技機の回路構成を示すブロック図である。
【図１０４】本発明の第４実施形態に係る遊技機の基板ユニットの斜視図である。
【図１０５】本発明の第４実施形態に係る遊技機の基板ユニットの斜視図である。
【図１０６】本発明の第４実施形態に係る遊技機の基板ユニットの正面図である。
【図１０７】本発明の第４実施形態に係る遊技機の基板ケースの斜視図である。
【図１０８】本発明の第４実施形態に係る遊技機の基板ケースの斜視図である。
【図１０９】本発明の第４実施形態に係る遊技機の基板ケースの分解斜視図である。
【図１１０】本発明の第４実施形態に係る遊技機の基板ケースの分解斜視図である。
【図１１１】本発明の第４実施形態に係る遊技機の基板ケースの正面図である。
【図１１２】本発明の第４実施形態に係る遊技機の基板ケースの背面図である。
【図１１３】本発明の第４実施形態に係る遊技機の基板ケースにおける上側部材の側面図である。
【図１１４】本発明の第４実施形態に係る遊技機の基板ケースにおける上側部材の側面図である。
【図１１５】本発明の第４実施形態に係る遊技機の基板ケースにおける上側部材の一部拡大側面図である。
【図１１６】本発明の第４実施形態に係る遊技機の基板ケースにおける下側部材の内部正面図である。
【図１１７】本発明の第４実施形態に係る遊技機の基板ケースにおける上側部材及び下側部材の組付け前の状態を示す斜視図である。
【図１１８】本発明の第４実施形態に係る遊技機の基板ケースにおける上側部材及び下側部材の組付け後の状態を示す斜視図である。
【図１１９】本発明の第４実施形態に係る遊技機の基板ユニットにおける基板ケースの回転状態を示す斜視図である。
【図１２０】本発明の第４実施形態に係る遊技機の基板ユニットにおける基板ケースの回転状態を示す斜視図である。
【図１２１】本発明の第４実施形態に係る遊技機の基板ユニットのベース部材に対する基板ケースの取付状態を示す斜視図である。
【図１２２】本発明の第４実施形態に係る遊技機の基板ユニットのベース部材に対する基板ケースの取付状態を示す斜視図である。
【図１２３】本発明の第４実施形態に係る遊技機の基板ユニットのベース部材に対する基板ケースの取付状態を示す斜視図である。
【図１２４】本発明の第４実施形態に係る遊技機の基板ユニットのベース部材に対する基板ケースの取付前の状態を示す分解斜視図である。
【図１２５】本発明の第４実施形態に係る遊技機の基板ユニットのベース部材に対する基板ケースの取付前の状態を示す分解斜視図である。
【図１２６】本発明の第４実施形態に係る遊技機の基板ユニットのベース部材に対する基板ケースの取付前の状態を示す分解斜視図である。
【図１２７】本発明の第４実施形態に係る遊技機の基板ユニットにおける基板ケースの回転状態を示す斜視図である。
【図１２８】本発明の第４実施形態に係る遊技機の基板ユニットのベース部材に取り付けられる封止部材を示す分解斜視図である。
【図１２９】本発明の第４実施形態に係る遊技機の基板ユニットにおける基板ケースの回転状態を示す上面図である。
【図１３０】本発明の第４実施形態に係る遊技機の前面ドアを示す斜視図である。
【図１３１】本発明の第４実施形態に係る遊技機の前面ドアを示す側面図である。
【図１３２】本発明の第４実施形態に係る遊技機の前面ドアを示す分解斜視図である。
【図１３３】本発明の第４実施形態に係る遊技機の前面ドアにおける透明板ユニットを示す分解斜視図である。
【図１３４】本発明の第４実施形態に係る遊技機の前面ドアにおける透明板ユニットを示す分解斜視図である。
【図１３５】本発明の第４実施形態に係る遊技機の前面ドアにおける透明板ユニットを示す正面図である。
【図１３６】本発明の第４実施形態に係る遊技機の前面ドアにおける透明板ユニットを示す背面図である。
【図１３７】本発明の第４実施形態に係る遊技機の前面ドアにおける透明板ユニットを示す側面図である。
【図１３８】本発明の第４実施形態に係る遊技機の前面ドアの組み付け状態を示す分解斜視図である。
【図１３９】本発明の第４実施形態に係る遊技機の前面ドアの組み付け状態を示す分解斜視図である。
【図１４０】本発明の第４実施形態に係る遊技機の発射ハンドルを示す斜視図である。
【図１４１】本発明の第４実施形態に係る遊技機の発射ハンドルを示す分解斜視図である。
【図１４２】本発明の第４実施形態に係る遊技機の発射ハンドルを示す分解斜視図である。
【図１４３】本発明の第４実施形態に係る遊技機の発射ハンドルを示す分解側面図である。
【図１４４】本発明の第４実施形態に係る遊技機の発射ハンドルにおけるハンドルグリップを示す正面図である。
【図１４５】本発明の第４実施形態に係る遊技機の発射ハンドルにおけるハンドルグリップを示す背面図である。
【図１４６】本発明の第４実施形態に係る遊技機の発射ハンドルにおけるベース部材を示す正面図である。
【図１４７】本発明の第４実施形態に係る遊技機の発射ハンドルにおけるベース部材を示す背面図である。
【図１４８】本発明の第４実施形態に係る遊技機の送風機構を示す斜視図である。
【図１４９】本発明の第４実施形態に係る遊技機の送風機構を示す分解斜視図である。
【図１５０】本発明の第４実施形態に係る遊技機の送風機構の内部を示す内部平面図である。
【図１５１】本発明の第４実施形態に係る遊技機の送風機構の動作を説明するための内部平面図である。
【図１５２】本発明の第４実施形態に係る遊技機の送風機構の動作を説明するための左側面図である。
【図１５３】本発明の第４実施形態に係る遊技機の送風機構の動作を説明するための内部平面図である。
【図１５４】本発明の第４実施形態に係る遊技機の送風機構の動作を説明するための左側面図である。
【図１５５】本発明の第５実施形態に係る遊技機の本体サブユニットを示す斜視図である。
【図１５６】本発明の第５実施形態に係る遊技機の本体サブユニットを示す斜視図である。
【図１５７】本発明の第５実施形態に係る遊技機の本体サブユニットを示す正面図である。
【図１５８】本発明の第５実施形態に係る遊技機の本体サブユニットを示す分解斜視図である。
【図１５９】本発明の第５実施形態に係る遊技機の本体サブユニットを示す分解斜視図である。
【図１６０】本発明の第５実施形態に係る遊技機の本体サブユニットにおける第１演出ユニットを示す斜視図である。
【図１６１】本発明の第５実施形態に係る遊技機の本体サブユニットにおける第１演出ユニットを示す正面図である。
【図１６２】本発明の第５実施形態に係る遊技機の本体サブユニットにおける第１演出ユニットを示す背面図である。
【図１６３】本発明の第５実施形態に係る遊技機の本体サブユニットにおける第１演出ユニットを示す側面図である。
【図１６４】本発明の第５実施形態に係る遊技機の本体サブユニットにおける第１演出ユニットの一部を示す上面図である。
【図１６５】本発明の第５実施形態に係る遊技機の本体サブユニットにおける第１演出ユニットの動作を説明するための正面図である。
【図１６６】本発明の第５実施形態に係る遊技機の本体サブユニットにおける第１演出ユニットの動作を説明するための背面図である。
【図１６７】本発明の第５実施形態に係る遊技機の本体サブユニットにおける第１演出ユニットの動作を説明するための正面図である。
【図１６８】本発明の第５実施形態に係る遊技機の本体サブユニットにおける第１演出ユニットの動作を説明するための背面図である。
【図１６９】本発明の第５実施形態に係る遊技機の本体サブユニットにおける第１演出ユニットの動作を説明するための斜視図である。
【図１７０】本発明の第５実施形態に係る遊技機の本体サブユニットにおける第１演出ユニットの動作を説明するための正面図である。
【図１７１】本発明の第５実施形態に係る遊技機の本体サブユニットにおける第１演出ユニットの動作を説明するための背面図である。
【図１７２】本発明の第５実施形態に係る遊技機の本体サブユニットにおける第１演出ユニットの動作を説明するための側面図である。
【図１７３】本発明の第５実施形態に係る遊技機の本体サブユニットにおける第１演出ユニットの動作を説明するための斜視図である。
【図１７４】本発明の第５実施形態に係る遊技機の本体サブユニットにおける第１演出ユニットの動作を説明するための正面図である。
【図１７５】本発明の第５実施形態に係る遊技機の本体サブユニットにおける第１演出ユニットの動作を説明するための背面図である。
【図１７６】本発明の第５実施形態に係る遊技機の本体サブユニットにおける第１演出ユニットの動作を説明するための側面図である。
【図１７７】本発明の第５実施形態に係る遊技機の本体サブユニットにおける第１演出ユニットの動作を説明するための上面図である。
【図１７８】本発明の第５実施形態に係る遊技機の本体サブユニットにおける第１演出ユニットの動作を説明するための斜視図である。
【図１７９】本発明の第５実施形態に係る遊技機の第１演出ユニットにおける下可動体、左可動体、及び右可動体を示す斜視図である。
【図１８０】本発明の第５実施形態に係る遊技機の第１演出ユニットにおける下可動体、左可動体、及び右可動体を示す分解斜視図である。
【図１８１】本発明の第５実施形態に係る遊技機の第１演出ユニットにおける右可動体を示す分解斜視図である。
【図１８２】本発明の第５実施形態に係る遊技機の第１演出ユニットにおける下可動体及び右可動体の一部を示す斜視図である。
【図１８３】本発明の第５実施形態に係る遊技機の第１演出ユニットにおける下可動体、左可動体、及び右可動体を示す一部切り欠き側面図である。
【図１８４】本発明の第５実施形態に係る遊技機の本体サブユニットにおける第２演出ユニットを示す斜視図である。
【図１８５】本発明の第５実施形態に係る遊技機の本体サブユニットにおける第２演出ユニットを示す正面図である。
【図１８６】本発明の第５実施形態に係る遊技機の本体サブユニットにおける第２演出ユニットを示す上面図である。
【図１８７】本発明の第５実施形態に係る遊技機の本体サブユニットにおける第２演出ユニットを示す背面図である。
【図１８８】本発明の第５実施形態に係る遊技機の第２演出ユニットにおける上下ユニットの動作を説明するための斜視図である。
【図１８９】本発明の第５実施形態に係る遊技機の第２演出ユニットにおける上下ユニットの動作を説明するための正面図である。
【図１９０】本発明の第５実施形態に係る遊技機の第２演出ユニットにおける上下ユニットの動作を説明するための背面図である。
【図１９１】本発明の第５実施形態に係る遊技機の遊技盤を示す正面図である。
【図１９２】本発明の第５実施形態に係る遊技機の遊技盤の要部を示す分解斜視図である。
【図１９３】本発明の第５実施形態に係る遊技機の遊技盤の要部を示す分解斜視図である。
【図１９４】本発明の第５実施形態に係る遊技機の遊技盤における球通路カバーを示す斜視図である。
【図１９５】本発明の第５実施形態に係る遊技機の遊技盤における球通路カバーを示す背面図である。
【図１９６】本発明の第５実施形態に係る遊技機の遊技盤における開閉ユニットを示す斜視図である。
【図１９７】本発明の第５実施形態に係る遊技機の遊技盤における開閉ユニットの動作を説明するための斜視図である。
【図１９８】本発明の第５実施形態に係る遊技機の遊技盤における開閉ユニットの動作を説明するための一部切り欠き斜視図である。
【図１９９】本発明の第５実施形態に係る遊技機の遊技盤における開閉ユニットの動作を説明するための一部切り欠き上面図である。
【図２００】本発明の第６実施形態に係る遊技機の本体サブユニットを示す一部分解斜視図である。
【図２０１】本発明の第６実施形態に係る遊技機の本体サブユニットを示す斜視図である。
【図２０２】本発明の第６実施形態に係る遊技機の遊技盤を示す正面図である。
【図２０３】本発明の第６実施形態に係る遊技機の本体サブユニットを示す分解斜視図である。
【図２０４】本発明の第６実施形態に係る遊技機の本体サブユニットにおける第１演出ユニットの動作を説明するための斜視図である。
【図２０５】本発明の第６実施形態に係る遊技機の本体サブユニットにおける第１演出ユニットの動作を説明するための正面図である。
【図２０６】本発明の第６実施形態に係る遊技機の本体サブユニットにおける第１演出ユニットの動作を説明するための背面図である。
【図２０７】本発明の第６実施形態に係る遊技機の本体サブユニットにおける第１演出ユニットの動作を説明するための斜視図である。
【図２０８】本発明の第６実施形態に係る遊技機の本体サブユニットにおける第１演出ユニットの動作を説明するための正面図である。
【図２０９】本発明の第６実施形態に係る遊技機の本体サブユニットにおける第１演出ユニットの動作を説明するための背面図である。
【図２１０】本発明の第６実施形態に係る遊技機の本体サブユニットにおける第１演出ユニットの動作を説明するための斜視図である。
【図２１１】本発明の第６実施形態に係る遊技機の本体サブユニットにおける第１演出ユニットの動作を説明するための正面図である。
【図２１２】本発明の第６実施形態に係る遊技機の本体サブユニットにおける第１演出ユニットの動作を説明するための背面図である。
【図２１３】本発明の第６実施形態に係る遊技機の本体サブユニットにおける第１演出ユニットの左可動ユニットを示す斜視図である。
【図２１４】本発明の第６実施形態に係る遊技機の本体サブユニットにおける第１演出ユニットの左可動ユニットのスライド駆動機構を示す斜視図である。
【図２１５】本発明の第６実施形態に係る遊技機の本体サブユニットにおける第１演出ユニットの左可動ユニットのスライド駆動機構を示す分解斜視図である。
【図２１６】本発明の第６実施形態に係る遊技機の本体サブユニットにおける第１演出ユニットの左可動ユニットのスライド駆動機構の動作を説明するための正面図である。
【図２１７】本発明の第６実施形態に係る遊技機の本体サブユニットにおける第１演出ユニットの左可動ユニットのスライド駆動機構の動作を説明するための分解正面図である。
【図２１８】本発明の第６実施形態に係る遊技機の本体サブユニットにおける第１演出ユニットの左可動ユニットのスライド駆動機構の動作を説明するための背面図である。
【図２１９】本発明の第６実施形態に係る遊技機の本体サブユニットにおける第１演出ユニットの左可動ユニットのスライド駆動機構の動作を説明するための正面図である。
【図２２０】本発明の第６実施形態に係る遊技機の本体サブユニットにおける第１演出ユニットの左可動ユニットのスライド駆動機構の動作を説明するための分解正面図である。
【図２２１】本発明の第６実施形態に係る遊技機の本体サブユニットにおける第１演出ユニットの左可動ユニットのスライド駆動機構の動作を説明するための背面図である。
【図２２２】本発明の第６実施形態に係る遊技機の本体サブユニットにおける第１演出ユニットの左可動ユニットのスライド駆動機構の動作を説明するための正面図である。
【図２２３】本発明の第６実施形態に係る遊技機の本体サブユニットにおける第１演出ユニットの左可動ユニットのスライド駆動機構の動作を説明するための分解正面図である。
【図２２４】本発明の第６実施形態に係る遊技機の本体サブユニットにおける第１演出ユニットの左可動ユニットのスライド駆動機構の動作を説明するための背面図である。
【図２２５】本発明の第６実施形態に係る遊技機の本体サブユニットにおける第１演出ユニットの左可動ユニットを示す分解斜視図である。
【図２２６】本発明の第６実施形態に係る遊技機の本体サブユニットにおける第１演出ユニットの左可動ユニットの発光態様を説明するための分解正面図である。
【図２２７】本発明の第６実施形態に係る遊技機の本体サブユニットにおける第１演出ユニットの左可動ユニットの発光態様を説明するための分解正面図である。
【図２２８】本発明の第６実施形態に係る遊技機の本体サブユニットにおける第１演出ユニットのベース部材の配線接続部を拡大して示す一部拡大斜視図である。
【図２２９】配線接続部のコネクタカバーを示す斜視図である。
【図２３０】配線接続部のコネクタカバーを示す背面図である。
【図２３１】ベース部材の配線接続部にコネクタカバーを取り付ける状態を説明するための一部切欠側面図である。
【図２３２】ベース部材の配線接続部にコネクタカバーを取り付ける状態を説明するための一部切欠側面図である。
【図２３３】ベース部材の配線接続部にコネクタカバーを取り付けた状態を説明するための一部切欠側面図である。
【図２３４】本発明の第６実施形態に係る遊技機の本体サブユニットにおける本体ケースを示す斜視図である。
【図２３５】本発明の第６実施形態に係る遊技機の本体サブユニットにおける本体ケースを示す正面図である。
【図２３６】本発明の第６実施形態に係る遊技機の本体サブユニットにおける本体ケースを示す背面図である。
【図２３７】本発明の第６実施形態に係る遊技機の本体サブユニットにおける本体ケースの配線収容部を拡大して示す一部拡大斜視図である。
【図２３８】本発明の第６実施形態に係る遊技機の本体サブユニットにおける導光板ユニットを示す斜視図である。
【図２３９】本発明の第６実施形態に係る遊技機の本体サブユニットにおける導光板ユニットを示す正面図である。
【図２４０】本発明の第６実施形態に係る遊技機の本体サブユニットにおける導光板ユニットの一部を拡大して示す一部拡大正面図である。
【図２４１】本発明の第６実施形態に係る遊技機の本体サブユニットにおける導光板ユニットの変形例を示す正面図である。
【図２４２】本発明の第６実施形態に係る遊技機の本体サブユニットにおける第３演出ユニットの動作を説明するための斜視図である。
【図２４３】本発明の第６実施形態に係る遊技機の本体サブユニットにおける第３演出ユニットの動作を説明するための正面図である。
【図２４４】本発明の第６実施形態に係る遊技機の本体サブユニットにおける第３演出ユニットの動作を説明するための背面図である。
【図２４５】本発明の第６実施形態に係る遊技機の本体サブユニットにおける第３演出ユニットの動作を説明するための斜視図である。
【図２４６】本発明の第６実施形態に係る遊技機の本体サブユニットにおける第３演出ユニットの動作を説明するための斜視図である。
【図２４７】本発明の第６実施形態に係る遊技機の本体サブユニットにおける第３演出ユニットの動作を説明するための正面図である。
【図２４８】本発明の第６実施形態に係る遊技機の本体サブユニットにおける第３演出ユニットの動作を説明するための背面図である。
【図２４９】本発明の第６実施形態に係る遊技機の本体サブユニットにおける第３演出ユニットの動作を説明するための斜視図である。
【図２５０】本発明の第６実施形態に係る遊技機の本体サブユニットにおける第２演出ユニットの動作を説明するための斜視図である。
【図２５１】本発明の第６実施形態に係る遊技機の本体サブユニットにおける第２演出ユニットの動作を説明するための正面図である。
【図２５２】本発明の第６実施形態に係る遊技機の本体サブユニットにおける第２演出ユニットの動作を説明するための背面図である。
【図２５３】本発明の第６実施形態に係る遊技機の本体サブユニットにおける第２演出ユニットの動作を説明するための斜視図である。
【図２５４】本発明の第６実施形態に係る遊技機の本体サブユニットにおける第２演出ユニットの動作を説明するための正面図である。
【図２５５】本発明の第６実施形態に係る遊技機の本体サブユニットにおける第２演出ユニットの動作を説明するための背面図である。
【図２５６】本発明の第６実施形態に係る遊技機の遊技盤におけるステージの一部を拡大して示す一部拡大正面図である。
【図２５７】本発明の第６実施形態に係る遊技機の遊技盤におけるステージの一部を拡大して示す一部拡大斜視図である。
【図２５８】本発明の第６実施形態に係る遊技機の遊技盤における大入賞口ユニットを示す斜視図である。
【図２５９】大入賞口ユニットの開閉部材を示す一部切欠斜視図である。
【図２６０】大入賞口ユニットの開閉部材を示す一部切欠側面図である。
【図２６１】本発明の第７実施形態に係る遊技システムのデータの送受信について説明するためのブロック図である。
【図２６２】本発明の第７実施形態に係る遊技システムにおける遊技機および遊技媒体管理装置の電気的構成を示すブロック図である。
【図２６３】本発明の第７実施形態に係る遊技機を示す前上方斜視図である。
【図２６４】本発明の第７実施形態に係る遊技機を示す後上方斜視図である。
【図２６５】本発明の第７実施形態に係る遊技機の下部を示す前上方斜視図である。
【図２６６】本発明の第７実施形態に係る遊技機を示す後下方斜視図である。
【図２６７】本発明の第７実施形態に係る発射装置及び球送り装置を示す前上方分解斜視図である。
【図２６８】本発明の第７実施形態に係る発射装置及び球送り装置を示す後上方分解斜視図である。
【図２６９】（ａ）本発明の第７実施形態に係る球送り装置を示す正面図である。（ｂ）球送り装置の拡大斜視図である。
【図２７０】（ａ）本発明の第７実施形態に係る遊技機側の増減数検出信号処理のフローチャートである。（ｂ）遊技媒体管理装置側の第一増減数検出信号処理のフローチャートである。（ｃ）遊技媒体管理装置側の第二増減数検出信号処理のフローチャートである。
【図２７１】（ａ）本発明の第７実施形態に係る持ち球数の管理仕様を示す図である。（ｂ）本発明の第７実施形態に係る不明球数の管理仕様を示す図である。
【図２７２】本発明の第７実施形態に係る不明球報知処理のフローチャートである。
【図２７３】本発明の第７実施形態に係る発射処理のフローチャートである。
【図２７４】本発明の第７実施形態に係る球送り処理のフローチャートである。
【図２７５】本発明の第８実施形態に係る遊技機の下部を示す前上方斜視図である。
【図２７６】本発明の第８実施形態に係る遊技機の下部を示す後上方斜視図である。
【図２７７】本発明の第８実施形態に係る球交換処理のフローチャートである。
【図２７８】本発明の第９実施形態に係る遊技機の下部を示す前上方斜視図である。
【図２７９】本発明の第９実施形態に係る遊技機の下部を示す後上方斜視図である。
【図２８０】本発明の第９実施形態に係る遊技機を示す後下方斜視図である。
【図２８１】本発明の第１０実施形態に係る遊技機の遊技盤を示す正面図である。
【図２８２】（ａ）本発明の第１０実施形態に係る遊技機の一般入賞口ユニットを示す斜視図である。（ｂ）本発明の第１０実施形態に係る遊技機の一般入賞口ユニットを示す正面図である。
【図２８３】（ａ）本発明の第１０実施形態に係る遊技機の一般入賞口ユニットを示す平面図である。（ｂ）図２８３（ａ）中のＸＰ１−ＸＰ１断面図である。
【図２８４】本発明の第１０実施形態に係る遊技機の上アタッカ部を示す正面断面図である。
【図２８５】本発明の第１０実施形態に係る遊技機の下アタッカ部を示す斜視図である。
【図２８６】本発明の第１０実施形態に係る遊技機の下アタッカ部を示す正面断面図である。
【図２８７】本発明の第１０実施形態に係る遊技機の下アタッカ部の台板を示す斜視図である。
【図２８８】本発明の第１０実施形態に係る遊技機の下アタッカ部の台板を示す正面図である。
【図２８９】本発明の第１０実施形態に係る遊技機の下アタッカ部の開閉ユニット等が固定された台板を示す斜視図である。
【図２９０】本発明の第１０実施形態に係る遊技機の下アタッカ部の開閉ユニット等が固定された台板を示す背面図である。
【図２９１】本発明の第１０実施形態に係る遊技機の下アタッカ部のカバーを示す斜視図である。
【図２９２】本発明の第１０実施形態に係る遊技機の下アタッカ部のカバーを示す背面図である。
【図２９３】本発明の第１０実施形態に係る遊技機の下アタッカ部の後側案内部を示す斜視図である。
【図２９４】（ａ）本発明の第１０実施形態に係る遊技機の下アタッカ部の後側案内部を示す正面図である。（ｂ）本発明の第１０実施形態に係る遊技機の下アタッカ部の後側案内部を示す平面図である。（ｃ）図２９４（ａ）中のＸＰ２−ＸＰ２断面図である。
【図２９５】本発明の第１０実施形態に係る遊技機の下アタッカ部の後側案内部の取り付け状態を示す正面模式図である。
【図２９６】本発明の第１０実施形態に係る遊技機の遊技盤の下側を示す正面拡大模式図である。
【図２９７】本発明の第１０実施形態に係る遊技機の遊技盤における遊技球の流れを示す正面図である。
【図２９８】本発明の第１０実施形態に係る遊技機の上アタッカ部における遊技球の流れを示す正面断面図である。
【図２９９】本発明の第１０実施形態に係る遊技機の下アタッカ部における遊技球の流れを示す正面断面図である。
【図３００】本発明の第１０実施形態に係る遊技機の下アタッカ部における遊技球の流れを示す背面斜視図である。
【図３０１】本発明の第１０実施形態に係る遊技機の遊技盤の下側における遊技球の流れを示す正面図である。
【図３０２】本発明の第１０実施形態に係る遊技機の上部可動演出役物及び上部役物昇降機構の正面図である。
【図３０３】本発明の第１０実施形態に係る遊技機の上部可動演出役物の斜視図である。
【図３０４】本発明の第１０実施形態に係る遊技機の第一演出部の分解図である。
【図３０５】本発明の第１０実施形態に係る遊技機の上部可動演出役物の底面図である。
【図３０６】本発明の第１０実施形態に係る遊技機の第二演出部の分解図である。
【図３０７】本発明の第１０実施形態に係る遊技機の瞳可動ユニットの分解図である。
【図３０８】本発明の第１０実施形態に係る遊技機の上部可動演出役物の分解図である。
【図３０９】本発明の第１０実施形態に係る遊技機の被昇降部の左端部の正面拡大図である。
【図３１０】本発明の第１０実施形態に係る遊技機の上部可動演出役物の右端部の斜視図である。
【図３１１】本発明の第１０実施形態に係る遊技機の被昇降部の右端部の斜視図である。
【図３１２】本発明の第１０実施形態に係る遊技機の上部可動演出役物の斜視図である。
【図３１３】本発明の第１０実施形態に係る遊技機の上部可動演出役物の左端部（一部）の分解図である。
【図３１４】本発明の第１０実施形態に係る遊技機の眉回転駆動部の左側面図である。
【図３１５】本発明の第１０実施形態に係る遊技機の眉回転駆動部の正面図である。
【図３１６】本発明の第１０実施形態に係る遊技機の瞳回転駆動部の平面図である。
【図３１７】本発明の第１０実施形態に係る遊技機の左側案内部材及び左側駆動機構の斜視図である。
【図３１８】本発明の第１０実施形態に係る遊技機の左側案内部材及び左側駆動機構の上部の拡大斜視図である。
【図３１９】本発明の第１０実施形態に係る遊技機の左側案内部材及び左側駆動機構の下部の拡大斜視図である。
【図３２０】本発明の第１０実施形態に係る遊技機の右側案内部材及び右側駆動機構の斜視図である。
【図３２１】本発明の第１０実施形態に係る遊技機の右側案内部材及び右側駆動機構の下部の拡大斜視図である。
【図３２２】第１の態様による演出が行われている状態を示した正面図である。
【図３２３】第２の態様による演出が行われている状態を示した正面図である。
【図３２４】第２の態様による演出が行われている状態を示した平面図である。
【図３２５】第２の態様による演出が行われている状態を示した正面図である。
【図３２６】第３の態様による演出が行われている状態を示した正面図である。
【図３２７】本発明の第１０実施形態に係る遊技機の回転役物の正面図である。
【図３２８】本発明の第１０実施形態に係る遊技機の回転役物の前方斜視図である。
【図３２９】本発明の第１０実施形態に係る遊技機の回転役物の後方斜視図である。
【図３３０】回転体の図示を省略した回転役物を示した正面図である。
【図３３１】回転体の図示を省略した回転役物を示した背面図である。
【図３３２】図３３１中のＸＰ５−ＸＰ５断面図である。
【図３３３】本発明の第１０実施形態に係る遊技機の回転体を示した分解斜視図である。
【図３３４】本発明の第１０実施形態に係る遊技機の回転体の内部を示した正面図。
【図３３５】本発明の第１０実施形態に係る遊技機の駆動手段を示した側面図である。
【図３３６】本発明の第１０実施形態に係る遊技機の遮蔽手段を示した分解斜視図である。
【図３３７】（ａ）本発明の第１０実施形態に係る遊技機の発光手段側遮蔽部材を示した正面図である。（ｂ）図３３７（ａ）中のＸＰ６−ＸＰ６断面図である。
【図３３８】（ａ）本発明の第１０実施形態に係る遊技機の回転体側遮蔽部材を示した正面図である。（ｂ）図３３８（ａ）中のＸＰ７−ＸＰ７断面図である。
【図３３９】第１の演出面を演出位置に移動制御させた状態の回転役物を示した前方斜視図である。
【図３４０】第１の演出面を演出位置に移動制御させた状態の回転役物の発光の様子を示した正面図である。
【図３４１】第２の演出面を演出位置に移動制御させた状態の回転役物を示した側面断面図である。
【図３４２】第２の演出面を演出位置に移動制御させた状態の回転役物を示した前方斜視図である。
【図３４３】第２の演出面を演出位置に移動制御させた状態の回転役物の発光の様子を示した正面図である。
【図３４４】本発明の第１０実施形態に係る遊技機の演出装置を示す正面図である。
【図３４５】待機状態の演出装置を示す背面図である。
【図３４６】左右移動制御機構及び可動体を示す斜視図である。
【図３４７】左右移動制御機構及び可動体を示す背面図である。
【図３４８】左右移動制御機構及び可動体を示す分解斜視図である。
【図３４９】左右移動制御機構の左側部分を示す拡大背面図である。
【図３５０】左右移動制御機構の中央部分を示す拡大背面図である。
【図３５１】左右移動制御機構の右側部分を示す拡大背面図である。
【図３５２】可動体を示す分解斜視図である。
【図３５３】係合部を示す斜視図である。
【図３５４】ベルト及び係合部を示す斜視図である。
【図３５５】（ａ）図３５０におけるＸＰ３−ＸＰ３断面図である。（ｂ）図３５０におけるＸＰ４−ＸＰ４断面図である。
【図３５６】補強カバーを示す斜視図である。
【図３５７】補強カバーを示す背面図である。
【図３５８】可動体を演出位置における左右方向中央に位置させた遊技機を示す正面図である。
【図３５９】可動体を演出位置における右方に位置させた遊技機を示す正面図である。
【図３６０】可動体を演出位置における左方に位置させた遊技機を示す正面図である。
【図３６１】可動体を演出位置から待機位置へ移動させる遊技機を示す正面図である。
【図３６２】（ａ）待機位置に位置させた可動体及び規制手段を示す模式図である。（ｂ）演出位置における左右方向中央に位置させた可動体及び規制手段を示す模式図である。
【図３６３】（ａ）演出位置における右方に位置させた可動体及び規制手段を示す模式図である。（ｂ）演出位置における左方に位置させた可動体及び規制手段を示す模式図である。
【図３６４】演出位置から待機位置へ移動させる可動体及び規制手段を示す模式図である。
【図３６５】本発明の第１１実施形態に係る遊技機の遊技盤を示す正面図である。
【図３６６】本発明の第１１実施形態に係る遊技機の下部役物装置の正面図である。
【図３６７】本発明の第１１実施形態に係る遊技機の下部役物装置の前方斜視図である。
【図３６８】本発明の第１１実施形態に係る遊技機の下部役物装置の前方斜視図である。
【図３６９】本発明の第１１実施形態に係る遊技機の下部役物装置の背面図である。
【図３７０】本発明の第１１実施形態に係る遊技機の下部役物装置の背面図である。
【図３７１】本発明の第１１実施形態に係る遊技機の下部役物装置の分解後方斜視図である。
【図３７２】下部役物及びリンクアームの後方斜視図である。
【図３７３】下部役物の分解後方斜視図である。
【図３７４】図３７０におけるＡ−Ａ断面図である。
【図３７５】下部役物が待機位置にある状態を示した背面図。
【図３７６】下部役物が待機位置と演出位置との中間にある状態を示した背面図。
【図３７７】下部役物が演出位置にある状態を示した背面図。
【図３７８】第一の別例に係るＡ−Ａ断面図である。
【図３７９】第二の別例に係るＡ−Ａ断面図である。
【図３８０】第三の別例に係るＡ−Ａ断面図である。
【図３８１】本発明の第１１実施形態に係る遊技機の開閉役物が閉鎖位置とされた演出装置を示す斜視図である。
【図３８２】本発明の第１１実施形態に係る遊技機の開閉役物が閉鎖位置とされた演出装置を示す正面図である。
【図３８３】本発明の第１１実施形態に係る遊技機の開閉役物が閉鎖位置とされた演出装置を示す背面斜視図である。
【図３８４】本発明の第１１実施形態に係る遊技機の開閉役物が閉鎖位置とされた演出装置の一部を省略した背面斜視図である。
【図３８５】本発明の第１１実施形態に係る遊技機の閉鎖状態の演出装置を示す背面図である。
【図３８６】本発明の第１１実施形態に係る遊技機の開閉役物が開放位置とされた演出装置を示す平面図である。
【図３８７】本発明の第１１実施形態に係る遊技機の開閉役物が開放位置とされた演出装置を示す側断面図である。
【図３８８】本発明の第１１実施形態に係る遊技機の開閉役物が開放位置とされた演出装置を示す斜視図である。
【図３８９】本発明の第１１実施形態に係る遊技機の開閉役物が開放位置とされた演出装置を示す正面図である。
【図３９０】本発明の第１１実施形態に係る遊技機の開放／ロック状態の演出装置を示す背面図である。
【図３９１】本発明の第１１実施形態に係る遊技機の開放／ロック解除状態の演出装置を示す背面図である。
【図３９２】本発明の第１１実施形態に係る遊技機の弾丸役物及び装飾役物が演出位置とされた演出装置を示す平面図である。
【図３９３】本発明の第１１実施形態に係る遊技機の弾丸役物及び装飾役物が演出位置とされた演出装置を示す側断面図である。
【図３９４】待機位置の弾丸役物及び装飾役物を示す斜視図である。
【図３９５】待機位置の弾丸役物及び装飾役物を示す一部を省略した斜視図である。
【図３９６】演出位置の弾丸役物及び装飾役物を示す斜視図である。
【図３９７】演出位置の弾丸役物及び装飾役物を示す一部を省略した斜視図である。
【図３９８】弾丸役物及び装飾役物を示す分解斜視図である。
【図３９９】（ａ）図３８７におけるＸ１−Ｘ１断面図である。（ｂ）図３８７におけるＸ２−Ｘ２断面図である。
【図４００】（ａ）ガイドギヤを示す正面図である。（ｂ）弾丸役物を示す正面図である。（ｃ）第１の装飾ベース部を示す正面図である。（ｄ）第２の装飾ベース部を示す正面図である。
【図４０１】弾丸役物を示す分解斜視図である。
【図４０２】外側スパイラル部材及び内側スパイラル部材を示す分解斜視図である。
【図４０３】（ａ）待機位置の弾丸役物及び装飾役物を示す模式図である。（ｂ）待機位置から演出位置へ移動する弾丸役物及び装飾役物を示す模式図である。
【図４０４】（ａ）待機位置から演出位置へ移動する弾丸役物及び装飾役物を示す模式図である。（ｂ）演出位置の弾丸役物及び装飾役物を示す模式図である。
【図４０５】弾丸役物、第１の装飾役物及び第２の装飾役物の前後方向への移動距離を示す模式図である。
【図４０６】（ａ）演出位置から待機位置へ移動する弾丸役物及び装飾役物を示す模式図である。（ｂ）待機位置の弾丸役物及び装飾役物を示す模式図である。
【発明を実施するための形態】
【００２２】
［遊技システムの概要］
本実施形態に係る遊技システムについて図を用いて説明する。図１は、本実施形態に係る遊技システムの全体構成を示す図である。図２は、本実施形態に係る遊技システムのデータの送受信について説明するためのブロック図である。
【００２３】
図１および図２に示すように、本実施形態に係る遊技システム５００は、遊技機１１に対して遊技媒体管理装置２０をデータ通信可能に接続された構成であり、遊技に用いられる遊技媒体の増減に関するデータ等を遊技機１１および遊技媒体管理装置２０間で送受信する。そして、遊技システム５００において、遊技媒体の増減数の管理を、遊技を制御する遊技機１１ではなく、遊技媒体管理装置２０が実行する。
【００２４】
遊技システム５００は、遊技機１１と、遊技機１１とデータの送受信が可能に接続された遊技媒体管理装置２０とを有している。遊技機１１と遊技媒体管理装置２０とは、通信ケーブル３９を介して接続されていて、これらの間でデータ通信が可能である。なお、通信ケーブル３９には光ファイバを用い、光信号によってデータ通信が行われることとすればよい。
【００２５】
遊技機１１は、いわゆるパチンコ機であり、遊技媒体として遊技球１９を用いる。遊技機１１は、発射装置１１８と、磨き装置１２２と、揚送装置１３３とを有している。発射装置１１８は、遊技機１１の前面に設置された透過性を有する板状の保護ガラスによって覆われた遊技領域１６０の上方に位置し、遊技領域１６０に対して上方から遊技球１９を発射する。これにより、遊技機１１ではいわゆる戻り玉を回避することができる。戻り玉とは、遊技領域の下方に設けられた発射装置から発射された遊技球が上方に向かって通路を通って当該通路終端から遊技領域へと放出される構造の一般的な遊技機において生じる現象であり、通路を通って上方に向かった遊技球が通路終端から遊技領域に放出されず、通路を上方から下方に向かって通り、再び発射装置へと戻ってくる現象をいう。
【００２６】
磨き装置１２２は、遊技領域１６０を転動した後に遊技領域１６０から排出された遊技球１９を磨く。揚送装置１３３は、磨き装置１２２により磨かれた遊技球１９を上方へと搬送して、発射装置１１８へと導く。遊技球１９は遊技機１１の外部に排出されずに、遊技機１１において一定数（例えば、５０個）の遊技球１９が一連の経路を循環するように構成されている。遊技球１９が遊技機１１の外部に排出されないため、遊技機１１には外部に排出された遊技球１９を一時的に保持するための上皿や下皿は設けられていない。ここで、一連の経路とは、具体的には、発射装置１１８、遊技領域１６０、磨き装置１２２、揚送装置１３３である。なお、発射装置１１８、磨き装置１２２および揚送装置１３３については、後に詳述する。
【００２７】
遊技機１１では遊技球１９が外部に排出されないことから、遊技者の手元に遊技球１９が実際にあるわけではなく、遊技を行うことにより遊技球１９が現実に増減するわけではない。遊技機１１において、遊技者は遊技媒体管理装置２０からの貸出により持ち球を得てから遊技を開始する。ここで、持ち球を得るとは、遊技者が、データ管理上、遊技媒体を得ることをいう。そして、発射装置１１８から遊技球１９が発射されることにより持ち球が消費され、持ち球数が減少する。また、遊技球１９が遊技領域１６０に設けられた各入賞口等を通過することにより、入賞口に応じて設定された条件に従った数だけ払出が行われ、持ち球数が増加する。さらに、遊技媒体管理装置２０からの貸出によっても、持ち球数が増加する。
【００２８】
なお、本明細書において、「遊技媒体の消費、貸出および払出」とは、持ち球の消費、貸出および払出が行われることを示す。また、「遊技媒体の増減」とは、消費、貸出および払出によって持ち球数が増減することを示す。また、「遊技媒体の増減数を検出する」とは、持ち球が増減する要因となる現象を検出することも含み、具体的な持ち球の増減数を検出することに限定されるわけではない。また、「遊技媒体の消費、貸出および払出に伴う遊技媒体の増減に関するデータ」とは遊技球１９が発射されることによる持ち球の減少と、貸出および払出による持ち球の増加とに関するデータである。
【００２９】
図２に示すように、遊技システム５００において、遊技媒体管理装置２０が遊技機１１に対して、通信ケーブル３９を介して光信号によるデータの送受信が可能であるように接続されている。遊技機１１は、遊技者が保有する遊技媒体の増減数を検出する増減数検出手段としての増減数検出器１１１０（各入賞センサ１０６１および減算センサ１０１１）と、遊技機１１を制御する制御手段である各種制御基板１０９９（主制御回路１０６、副制御回路１０７、および検知制御回路９９）とを備える。増減数検出器１１１０は、遊技者が保有する遊技媒体の増減数すなわち持ち球の増減数を示す増減数検出信号を、遊技媒体管理装置２０へ出力する。この際、増減数検出信号は、各種制御基板１０９９を介さずに遊技媒体管理装置２０に入力される。遊技媒体管理装置２０は、増減数検出器１１１０からの増減数検出信号に基づいて遊技者の持ち球数を管理する、管理装置制御部２０２を有している。本実施形態では、増減数検出信号は、遊技球１９が各入賞センサ１０６１および減算センサ１０１１のいずれを通過したかを示す信号であり、遊技媒体管理装置２０はこれに基づいて持ち球の増減数を決定する。なお、これに限定されず、例えば、各入賞センサ１０６１および減算センサ１０１１が、持ち球の具体的な増減数を示す増減数検出信号を遊技媒体管理装置２０へ出力することとしてもよい。
【００３０】
このように、遊技媒体管理装置２０は、持ち球数を管理している。例えば、遊技球１９が各入賞口を通過した場合には、各入賞口における遊技球１９の通過を検出する各入賞センサ１０６１から送信される増減数検出信号に基づき、遊技球１９の払出個数を持ち球数に加算する。また、遊技球１９が発射された場合には、これを検出する減算センサ１０１１から送信される増減数検出信号に基づき、持ち球数を減算する。遊技媒体管理装置２０は、これら増減数検出信号に基づいて、持ち球数を管理する。そして、遊技媒体管理装置２０は、現在の持ち球数に関するデータを遊技機１１に送信する。また、遊技媒体管理装置２０は、遊技機１１で受け付けた遊技価値から持ち球への変換（球貸し）や、持ち球の計数（返却）の要求に基づく処理を実行する。
【００３１】
ここで、「遊技価値」とは、貨幣・紙幣、プリペイド媒体、トークン、電子マネーおよびチケット等であり、遊技媒体管理装置２０によって持ち球に変換することが可能であるものを示す。なお、本実施形態において、遊技媒体管理装置２０は、いわゆるＣＲユニットであり、紙幣およびプリペイド媒体等を受付可能に構成されている。また、計数された持ち球は、遊技システム５００が設置される遊技場などにおいて、景品交換等に用いることができる。
【００３２】
遊技媒体管理装置２０は、紙幣を挿入可能な紙幣挿入口２１と、プリペイド媒体を挿入可能なプリペイド媒体挿入口２２と、を有している。これにより、遊技媒体管理装置２０は、外部から紙幣およびプリペイド媒体を受け付けることができ、遊技価値の管理を行うことができる。なお、図示していないが、遊技媒体管理装置２０は遊技者を特定するための会員ＩＤ等の情報が記録された会員カードを挿入可能な挿入口も有していてもよく、会員カード挿入口をプリペイド媒体挿入口２２と兼用させてもよい。なお、本実施形態では、遊技媒体管理装置２０で受け付けた遊技価値を「残高」という。遊技媒体管理装置２０は、残高に関するデータおよび貸出に関するデータに基づいて持ち球数を算出し、遊技機１１に残高および持ち球数に関するデータを送信する。そして、遊技機１１は残高および持ち球数についての表示を行う。また、遊技機１１において遊技者が持ち球の計数（返却）操作を行った場合は、そのことを知らせる信号が遊技機１１から遊技媒体管理装置２０から送信される。
【００３３】
上述したように、本実施形態では、増減数検出器１１１０から出力された増減数検出信号が、遊技媒体管理装置２０に入力される際は、各種制御基板１０９９を介することがない。ただし、増減数検出器１１１０から出力された増減数検出信号が、各種制御基板１０９９以外の回路基板や装置等を介して遊技媒体管理装置２０に入力されてもよい。例えば、遊技機１１が各種信号を暗号化する暗号化回路を有し、当該暗号化回路が各種制御基板１０９９による遊技機１１の制御とは独立して動作される場合、増減数検出信号が各種制御基板１０９９の暗号化回路において暗号化された後に遊技媒体管理装置２０へ入力されてもよい。
【００３４】
ここで、増減数検出器１１１０が出力する増減数検出信号は、遊技媒体の増減数を算出するための情報を含む信号であり、具体的には、各入賞センサ１０６１および減算センサ１０１１について遊技球１９が通過したことを検出した際に出力される信号である。遊技媒体管理装置２０の管理装置制御部２０２は、増減数検出器１１１０からの増減数検出信号に基づき持ち球数の管理を行う。
【００３５】
このように、遊技システム５００において、増減数検出器１１１０から出力された増減数検出信号については、遊技機１１の各種制御基板１０９９を介して、遊技媒体管理装置２０へ入力されることがなく、持ち球数の管理は遊技媒体管理装置２０が行う。したがって、遊技機１１の各種制御基板１０９９において持ち球数の管理を行うことがなく、その分、各種制御基板１０９９の負荷が軽減される。したがって、遊技システム５００において、遊技機１１の各種制御基板１０９９の負荷を増加させることなく、持ち球数の管理を問題なく行うことができる。そのため、遊技機１１における演出を制限する等、遊技機１１の性能が低下することがない。
【００３６】
また、遊技機１１の主制御回路１０６は、後述の始動口１６１を遊技球１９が通過したことに基づいて遊技者にとって有利な大当り遊技状態へ移行するか否かの大当り抽選を所定の抽選条件で行う大当り抽選部１０６４を有している。
【００３７】
［パチンコ遊技の概要］
ここで、遊技機１１において実行されるパチンコ遊技の概要について図を用いて説明する。図３は、本実施形態に係る遊技機および遊技媒体管理装置の正面図である。
【００３８】
図３に示すように、遊技機１１は、タッチパネル式である第１液晶表示装置１０２を有している。第１液晶表示装置１０２は、遊技機１１の上部に位置している。第１液晶表示装置１０２は、遊技媒体管理装置２０で管理する遊技価値から持ち球への変換（球貸し）や、持ち球の計数（返却）の要求を遊技機１１において受け付け、持ち球の貸出に関するデータを遊技媒体管理装置２０へ送信する。遊技機１１の下方には、遊技球数表示装置１０２４および計数ボタン１０２５が設けられている。遊技球数表示装置１０２４は液晶表示装置であり、６桁までの持ち球が表示されるようになっている。計数ボタン１０２５は、入力に応じて持ち球の計数を行うための信号を遊技媒体管理装置２０へ送信する。第１液晶表示装置１０２の右方向には、ハンドル１０２６が設けられている。本体１９１の上部の左右両側には、それぞれスピーカ１０７５が配設されている。
【００３９】
遊技球１９が発射装置１１８から遊技領域１６０に発射されることで、管理された持ち球が消費される。そして、遊技領域１６０において遊技球１９が各入賞口を通過することで、当該入賞口に設定される払い出しが行われ、持ち球数が加算される。各入賞口について、具体的に説明する。図３に示すように、遊技領域１６０の前面中央には、始動口１６１および大入賞口１６４が形成されている。また、遊技領域１６０の左右両側に、それぞれ２つ（合計４つ）の一般入賞口１６８が形成されている。始動口１６１の入口側には左右に開閉する一対の羽根部材１６３が設けられており、大入賞口１６４の入口側には開閉自在のシャッタ１６５が設けられている。各入賞センサ１０６１は、これら始動口１６１、大入賞口１６４、および一般入賞口１６８のそれぞれに設けられ、遊技球１９が各入賞口を通過したことを検出することができるようになっている。なお、各入賞センサ１０６１のうちの１つである始動口入賞センサ１０６１ａは、始動口１６１を遊技球１９が通過したことを検出する入賞検出手段として機能する。このように、各入賞センサ１０６１には、始動口入賞センサ１０６１ａ、大入賞口１６４に設けられたセンサ、および一般入賞口１６８に設けられたセンサが含まれる。
【００４０】
遊技球１９が始動口１６１を通過した場合、所定の払出しが行われるとともに、大当り遊技状態へ移行するか否かの大当り抽選が大当り抽選部１０６４によって所定の抽選条件に基づき行われる。所定の抽選条件とは、例えば、ハズレになる確率や大当たりに当選する確率などの抽選処理に必要な条件である。この抽選条件は、所定の条件（例えば、大当り抽選の抽選結果）に基づき変動されるものであってもよい。遊技領域１６０の上部には、特別図柄表示装置１６９が設けられており、この大当り抽選に基づいて動作される。具体的に、特別図柄表示装置１６９は、７セグメント表示が可能な表示装置であり、大当り抽選毎に行われる特別図柄ゲームにおいて特別図柄（図示せず）の可変表示を行うものである。この特別図柄表示装置１６９における特別図柄は、一列の図柄列で構成されているが、この構成に限定されるものではなく、例えば、複数の図柄列で構成されていてもよい。
【００４１】
この特別図柄は、数字や記号等からなる図柄であり、７セグメントの各セグメントを適宜組み合わせて表示させることができ、“０”から“９”の数字や、“−”の絵柄を用いることができる。特別図柄ゲームは、始動口１６１を遊技球１９が通過したことを条件として開始され、特別図柄表示装置１６９において特別図柄が可変表示される。
【００４２】
ここで、「可変表示」とは、変動可能に表示されることである。例えば、変動して表示される「変動表示」、停止して表示される「停止表示」等を可能とするものである。また、「可変表示」としては、特別図柄ゲームの結果として特別図柄が表示される「導出表示」を行うことができる。
【００４３】
この特別図柄表示装置１６９において、大当り抽選の抽選結果に応じた特別図柄の導出表示が行われ、導出表示された特別図柄が特定の表示態様（例えば、“０”から“９”のいずれかの数字が導出表示される態様、いわゆる「大当り表示態様」）になったことに基づいて、遊技状態を遊技者にとって有利な大当り遊技状態（特定遊技状態）に移行することとなる。この大当り遊技状態となった場合には、シャッタ１６５が開放状態に制御され、大入賞口１６４は遊技球１９を受け入れ容易な開放状態となる。
【００４４】
このように、遊技球１９が始動口１６１を通過した場合には、持ち球の加算が行われるとともに、大当り抽選部１０６４において遊技者にとって有利な大当り遊技状態へ移行するか否かの大当り抽選が行われる。すなわち、各入賞センサ１０６１に含まれる増減数検出手段としての始動口入賞センサ１０６１ａは、持ち球の増減数を検出し、持ち球の増減数を示す増減数検出信号を遊技媒体管理装置２０へ出力する。そして、入賞検出手段としての始動口入賞センサ１０６１ａは、始動口１６１を遊技球１９が通過したことを検出し、入賞検出信号を主制御回路１０６へ出力する。
【００４５】
つまり、遊技機１１は、遊技領域１６０に形成された、遊技球１９が通過することができる始動口１６１と、始動口１６１を遊技球１９が通過したことに基づいて、遊技者にとって有利な大当り遊技状態へ移行するか否かの大当り抽選を所定の抽選条件で行う大当り抽選部１０６４と、始動口１６１を遊技球１９が通過したことを検出し、入賞検出信号を出力する始動口入賞センサ１０６１ａと、を備え、入賞検出信号は、主制御回路１０６および遊技媒体管理装置２０に入力される。
【００４６】
これにより、遊技者にとって有利な大当り遊技状態へ移行するか否かの大当り抽選を行うことを指示し、かつ、持ち球の払出を指示する入賞検出信号は、主制御回路１０６および遊技媒体管理装置２０のいずれにも入力されることから、大当り抽選処理および遊技媒体の払出処理がいずれも遅延することなく、速やかに行われる。
【００４７】
［遊技システムの動作］
遊技システム５００において、各入賞センサ１０６１または減算センサ１０１１で遊技球１９を検出したことに起因する遊技機１１および遊技媒体管理装置２０の動作について、フローチャートを参照して具体的に説明する。図４は、本実施形態の増減数検出信号処理のフローチャートであって、図４（ａ）は、遊技機の増減数検出信号処理のフローチャートであり、図４（ｂ）は、遊技媒体管理装置の増減数検出信号処理のフローチャートである。
【００４８】
まず、図４（ａ）を参照して、遊技機１１の増減数検出信号処理について説明する。遊技機１１において、各入賞センサ１０６１または減算センサ１０１１によって遊技球１９が検出されたか否かが判定される（Ｓ１０１）。各入賞センサ１０６１または減算センサ１０１１によって遊技球１９が検出されない場合は（Ｓ１０１でＮＯ）、後述のステップＳ１０３が実行される。一方、各入賞センサ１０６１によって遊技球１９が検出された場合は（Ｓ１０１でＹＥＳ）、増減数検出信号が遊技媒体管理装置２０へ出力される（Ｓ１０２）。
【００４９】
ステップＳ１０２では、各入賞センサ１０６１のうち始動口１６１に設けられたセンサ（始動口入賞センサ１０６１ａ）で遊技球１９が検出された場合には、始動口１６１で遊技球１９が検出されたことを示す増減数検出信号が始動口入賞センサ１０６１ａから遊技媒体管理装置２０へ出力される。また、各入賞センサ１０６１のうち大入賞口１６４に設けられたセンサで遊技球１９が検出された場合には、大入賞口１６４で遊技球１９が検出されたことを示す増減数検出信号が大入賞口１６４に設けられたセンサから遊技媒体管理装置２０へ出力される。また、各入賞センサ１０６１のうち一般入賞口１６８に設けられたセンサで遊技球１９が検出された場合には、一般入賞口１６８で遊技球１９が検出されたことを示す増減数検出信号が一般入賞口１６８に設けられたセンサから遊技媒体管理装置２０へ出力される。また、減算センサ１０１１で遊技球１９が検出された場合には、減算センサ１０１１で遊技球１９が検出されたことを示す増減数検出信号が減算センサ１０１１から遊技媒体管理装置２０へ出力される。
【００５０】
そして、遊技球１９が検出されたセンサが始動口入賞センサ１０６１ａであるか否かが判定される（Ｓ１０３）。そして、遊技球１９が検出されたセンサが始動口入賞センサ１０６１ａでない場合は（Ｓ１０３でＮＯ）、後述のステップＳ１０５が実行される。一方、遊技球１９が検出されたセンサが始動口入賞センサ１０６１ａである場合は（Ｓ１０３でＹＥＳ）、始動口入賞センサ１０６１ａから入賞検出信号が主制御回路１０６へ送信される（Ｓ１０４）。
【００５１】
そして、大当り抽選処理が行われる（Ｓ１０５）。大当り抽選処理は、主制御回路１０６の大当り抽選部１０６４によって所定の抽選条件に基づき行われる大当り遊技状態へ移行するか否かの大当り抽選を行う処理である。そして、特別図柄ゲーム処理が行われる（Ｓ１０６）。特別図柄ゲーム処理では、主制御回路１０６から送信されたコマンドデータ（大当り抽選の抽選結果を示す情報）に基づき、副制御回路１０７によって特別図柄表示装置１６９の特別図柄の可変表示が行われる。さらに、普通図柄ゲーム処理が行われる（Ｓ１０７）。
【００５２】
そして、大当り抽選処理の結果が大当り（大当り遊技状態への移行）であるか否かが判定される（Ｓ１０８）。大当りでない場合は（Ｓ１０８でＮＯ）、ステップＳ１０１が再実行される。一方、大当りである場合は（Ｓ１０８でＹＥＳ）、シャッタ制御処理が行われる（Ｓ１０９）。シャッタ制御処理では、主制御回路１０６から送信されたコマンドデータ（大当り遊技状態への移行に当選したことを示す情報）に基づく検知制御回路９９の制御によって、シャッタ１６５が開放状態にされた後、大当り遊技状態が完了した場合にシャッタ１６５が閉鎖状態にされる。
【００５３】
次に、図４（ｂ）を参照して、遊技媒体管理装置２０の増減数検出信号処理について説明する。遊技媒体管理装置２０の管理装置制御部２０２において、増減数検出信号が受信されたか否かが判定される（Ｓ２０１）。増減数検出信号が受信されない場合は（Ｓ２０１でＮＯ）、ステップＳ１が再実行される。一方、増減数検出信号が受信された場合は（Ｓ２０１でＹＥＳ）、増減数検出信号の出力元が特定される（Ｓ２０２）。具体的に、増減数検出信号に基づいて、各入賞センサ１０６１および減算センサ１０１１のいずれから送信されたものであるかを特定する。
【００５４】
そして、持ち球管理処理が行われる（Ｓ２０３）。具体的に、始動口１６１、大入賞口１６４、および一般入賞口１６８にはそれぞれ払い出される持ち球の増加数が予め設定されており、特定された入賞口に応じて持ち球数が加算される。また、減算センサ１０１１から出力される増減数検出信号は、遊技球１９の発射が行われ持ち球が消費されたことを示す。そのため、この信号が出力された場合は、持ち球数が１減算される。そして、増減数検出信号に応じて更新された持ち球数が遊技機１１へ送信される（Ｓ２０４）。遊技機１１において持ち球数を受信した場合、表示されている持ち球の更新表示処理が行われる。持ち球数の更新表示については後述する。
【００５５】
［遊技システムの電気的構成および動作］
遊技システムのネットワーク構成、電気的構成および動作について、図を用いて説明する。図５は、本実施形態に係る遊技システムのネットワーク構成を示す図である。図６は、本実施形態に係る遊技システムにおける遊技機および遊技媒体管理装置の電気的構成を示すブロック図である。
【００５６】
図５に示すように、遊技機１１が設置される遊技場等において、遊技機１１および遊技媒体管理装置２０を含む複数の遊技システム５００が、パケット通信による光信号のデータ通信が可能に、ホールコンピュータ（遊技場管理装置）５０と接続されている。また、表示装置（遊技用装置）４０は、遊技機１１および遊技媒体管理装置２０に対応付けられている。図示していないが、情報表示装置４９は遊技機１１の上方等に設置され、遊技機１１における入賞数等を示す入賞履歴等の遊技情報を表示する。なお、情報表示装置４９と第１液晶表示装置１０２とを一体としてもよい。この遊技情報は、遊技機１１から遊技媒体管理装置２０を介して情報表示装置４９へ送信される。遊技機１１は、情報表示装置４９と直接データ通信を行うことはできない。また、ホールコンピュータ５０は、遊技媒体管理装置２０および情報表示装置４９のそれぞれとデータ通信可能に接続されている。しかし、遊技機１１は、ホールコンピュータ５０と直接データ通信を行うことはできない。
【００５７】
遊技機１１は、遊技機固有情報と、遊技情報等の遊技に関する情報およびその情報が送信された日時を示す日時情報を含む遊技機データと、を遊技媒体管理装置２０へ送信する。ここで、遊技機固有情報とは、各遊技機１１を識別するための識別情報であり、各遊技機１１に固有の情報である。遊技機固有情報は、遊技機データとセットで遊技機１１から遊技媒体管理装置２０へ送信される。遊技機固有情報は、遊技機１１が有するＲＯＭ、ＲＡＭ等の記憶手段に予め記憶されている。
【００５８】
遊技媒体管理装置２０は、遊技機１１から送信された遊技機固有情報および遊技機データを受信すると、遊技機データを情報表示装置４９へ送信するとともに、遊技機固有情報および遊技機データをホールコンピュータ５０へ送信する。遊技媒体管理装置２０からホールコンピュータ５０へ送信されたデータは、パケット通信による光信号として送信される。情報表示装置４９は、遊技媒体管理装置２０から遊技機データを受信した場合、表示装置固有情報（遊技用装置固有情報）と遊技機データとをホールコンピュータ５０へ、パケット通信による光信号として送信する。ここで、表示装置固有情報とは、各情報表示装置４９を識別するための識別情報であり、各情報表示装置４９に固有の情報である。また、遊技媒体管理装置２０および情報表示装置４９は、電気信号を光信号に変換する信号変換器を有し、光信号をホールコンピュータ５０に送信する。
【００５９】
ホールコンピュータ５０は、信号を受信する受信部５１と、受信部５１が受信した遊技機データを集計して集計結果を表示する表示部５２と、互いに対応付けられた遊技機１１と情報表示装置４９とを記憶している記憶部５３と、受信部５１で受信したデータを照合することにより、不正行為が行われていないか判断する照合部５４とを有している。なお、ホールコンピュータ５０は、いわゆるサーバであり、ＣＰＵ、メモリ、各種入出力デバイス等を有する構成である。ホールコンピュータ５０が有する上記各部は、ハードウェアとメモリ内のソフトウェアとが協働して構築されている。
【００６０】
受信部５１は、光信号を電気信号に変換する信号変換器を有し、パケット通信による光信号を受信可能である。受信部５１は、遊技システム５００ごとに、遊技媒体管理装置２０からの遊技機固有情報および遊技機データの信号をパケット通信により受信するとともに、情報表示装置４９からの表示装置固有情報および遊技機データの信号をパケット通信により受信する。表示部５２は、受信部５１により受信された遊技機データに基づいて各遊技機の遊技に関するデータを集計し、集計結果を表示する。
【００６１】
記憶部５３は、互いに対応している遊技機１１および情報表示装置４９を記憶している。つまり、互いに対応している遊技機１１と情報表示装置４９とについて、それらの遊技機固有情報と表示装置固有情報とを対応付けて、予め記憶している。照合部５４は、情報表示装置４９から受信した表示装置固有情報と、遊技媒体管理装置２０を介して遊技機１１から受信した遊技機固有情報とを、記憶部５３に記憶された内容と照合する。照合部５４の照合の結果、遊技機固有情報と表示装置固有情報とが、記憶部５３において対応付けられているものとは異なっていると判断した場合には、表示部５２はその旨を表示する。この場合は、不正行為が行われたと判断される。
【００６２】
このように、ホールコンピュータ５０は、データを受信する受信部５１と、受信したデータを集計して表示する表示部５２と、を備え、受信部５１は、遊技機固有情報と、日時情報および遊技情報を含む遊技機データとを、情報表示装置４９および遊技媒体管理装置２０を介して遊技機１１から信号変換器を通じてパケット通信による光信号により受信し、表示部５２、受信した遊技機データに基づいて各遊技機１１のデータを集計し表示する。
【００６３】
これにより、パケット通信は送信容量が大きいことから、各遊技機１１は機種ＩＤやメイン基板のシリアル番号等の遊技機固有の情報や対応する情報表示装置４９に固有の情報を、ホールコンピュータ５０に送信することができる。従来は遊技機と遊技機上部に備えられた表示装置との管理は、遊技機と表示装置の番号を予め紐付けて管理していた。それに対して本実施形態では、上記構成により、遊技媒体管理装置２０および情報表示装置４９から送信されるデータにより遊技機１１および情報表示装置４９を識別することにより、これらを管理できる。したがって、遊技機１１を管理するホールコンピュータ５０側で、予め、遊技機１１を設置場所に関連付けてデータ設定しておく必要がない。また、遊技場内で遊技機の移動を行った際に、移動先の情報表示装置４９の番号を新たに遊技機１１に関連付けて再設定する必要もない。これにより、遊技場の管理者の負担を軽減することができる。
【００６４】
また、ホールコンピュータ５０は、受信部５１と、表示部５２と、記憶部５３と、表示部５２と、を備え、受信部５１は、ある遊技機１１とは異なる他の複数の遊技機１１それぞれからデータを受信可能に配されるとともに、自身の表示装置固有情報を送信可能な情報表示装置４９からの信号を受信可能に構成され、記憶部５３は、遊技機１１と情報表示装置４９とを対応付けて記憶し、照合部５４は、情報表示装置４９から受信した表示装置固有情報と、遊技機１１から受信した遊技機固有情報とを記憶部に記憶された情報と照合し、表示部５２は、照合部５４による照合の結果、受信した表示装置固有情報と受信した遊技機固有情報とが対応付けられたものでないと判断したときにはその旨を表示する。
【００６５】
このような構成により、遊技機１１と情報表示装置４９とが対応付けられているか否かを、遊技機１１から遊技媒体管理装置２０を介して受信された遊技機固有情報と情報表示装置４９から受信された表示装置固有情報とを予め記憶された情報と照合することで判定することができる。判定の結果、これらの情報が不一致である場合には、遊技機固有情報が正しくないと判断できる。それにより、遊技機１１の制御基板等を不正に交換する等の不正行為が行われたか否かを検出することができる。このように簡素な構成で不正行為を検出可能である。なお、表示装置固有情報と遊技機固有情報とが対応付けられたものでないと照合部５４で判断された場合には、遊技機１１になんらかの不正行為が行われたのではなく、情報表示装置４９になんらかの不正行為が行われた可能性も考えられるが、不正行為を行う者は、普通、不正出玉獲得を行うことから、情報表示装置４９に不正行為が行われることはほとんどない。
【００６６】
ここで、風俗営業等の規制及び業務の適正化等に関する法律によると、遊技機と外部装置とは電気的に接続することが認められていないと解釈できる。そこで、例えば、特開２００８−１７３２０２号公報に開示されているように、従来の遊技機は、機械的に動作する電磁継電器を有する集中端子板を備え、この集中端子板と外部装置とが接続されていた。この従来の遊技機の集中端子板は、外部装置との信号の送受信を複数の信号ごとに設置された電磁継電器を用いて行っているため、大容量のデータを、簡単な構成により高速で簡単に送受信することが困難であった。しかし、本実施形態では、上述したように、遊技システム５００と外部装置であるホールコンピュータ５０とは、パケット通信による光信号のデータ通信が可能に接続されている。そのため、ホールコンピュータ５０は、それぞれ大容量のデータである、遊技機固有情報および遊技機データの信号と、表示装置固有情報および遊技機データとを、遊技システム５００ごとにパケット通信により一括して受信することができる。それにより、簡素な構成で不正行為を検出可能である。
【００６７】
図６に示すように、遊技機１１は、検知制御回路９９、表示装置制御基板１０３および遊技機接続基板２０１、主制御回路１０６および副制御回路１０７を有している。これらは、マイクロコンピュータを主要な構成部品として有している。マイクロコンピュータは、ＣＰＵおよび処理プログラム等が記憶される記憶部（ＲＡＭ、ＲＯＭ等）により構成される。
【００６８】
また、遊技機１１は電源供給用の電源１０８を有している。電源１０８は、遊技機１１の各部に電力を供給する。なお、主制御回路１０６には検知制御回路９９を経由して、電源１０８から電力が供給されている。また、表示装置制御基板１０３には副制御回路１０７を経由して、電源１０８から電力が供給されている。
【００６９】
表示装置制御基板１０３は第１液晶表示装置１０２と接続されている。表示装置制御基板１０３は、第１液晶表示装置１０２の表示を制御する。例えば、第１液晶表示装置１０２に送信される画像用の信号を第１液晶表示装置１０２においての表示に適するように変換する。例えば、表示装置制御基板１０３は画像のサイズが第１液晶表示装置１０２の画面のサイズに合うように画像用の信号を変換する。また、表示装置制御基板１０３は、第１液晶表示装置１０２の入力信号に応じて、遊技媒体管理装置２０に指示を行う送信信号を生成する。
【００７０】
主制御回路１０６は、各入賞センサ１０６１、磁石センサ１０６２および第２電波センサ１０６３と接続され、これらセンサからの信号を受信する。また、主制御回路１０６は、普通電動役物ソレノイド１０６４、大入賞口ソレノイド１０６５およびＬＥＤ１０６６と接続され、これらの動作を制御する。
【００７１】
副制御回路１０７は、演出用ボタン１０７１および演出用センサ１０７２と接続され、これらからの信号を受信する。また、第２液晶表示装置１０７３、第１ＬＥＤ基板１０７４、スピーカ１０７５、第２ＬＥＤ基板１０７６、アクチュエータ１０７７が接続され、これらの動作を制御する。
【００７２】
検知制御回路９９は、上述の各入賞センサ１０６１の他、第１電波センサ１００１、第１開放センサ１００２、第２開放センサ１００３、遊技球ゼロセンサ１００４、適正数センサ１００５、アウト口センサ１００６、ハンドルボリューム１００７、停止スイッチ１００８、タッチセンサ１００９、発射装置入口センサ１０１０、減算センサ１０１１、揚送装置入口センサ１０１２、揚送モータセンサ基板１０１３、着脱ユニットセンサ１０１４、磨きモータセンサ１０１５および磨き装置入口センサ１０１６と接続され、これらからの信号を受信する。また、球送りソレノイド１０１７、発射ソレノイド１０１８、揚送モータ１０１９、着脱ユニットモータ１０２０および磨きモータ１０２１と接続され、これらの動作を制御する。
【００７３】
また、検知制御回路９９は、計数スイッチ１０２３を有した表示基板１０２２と接続されている。表示基板１０２２は、遊技球数表示装置１０２４（図３参照）を制御する。
【００７４】
また、遊技機１１は、第１接続部１０４および第２接続部１０５を有している。第１接続部１０４は、各入賞センサ１０６１および減算センサ１０１１に接続されている。各入賞センサ１０６１および減算センサ１０１１は、第１接続部１０４を介して、遊技媒体管理装置２０の遊技機接続基板２０１に接続されている。第２接続部１０５は、表示装置制御基板１０３に接続されている。表示装置制御基板１０３は、第２接続部１０５介して、遊技媒体管理装置２０の遊技機接続基板２０１に接続される。
【００７５】
第１接続部１０４は、各入賞センサ１０６１および減算センサ１０１１からの信号を光信号に変換する信号変換器を有しており、遊技媒体管理装置２０に対して光通信方式による通信が可能である。ここで、上述の特開２００８−１７３２０２号公報に開示されているように、従来の遊技機は、機械的に動作する電磁継電器を有する集中端子板を備え、この集中端子板と外部装置とが接続されていた。この従来の遊技機に対して、遊技システム５００は、以下に示すように様々な有利な効果を奏する。
【００７６】
遊技システム５００において、従来の遊技機における外部装置と端子板を接続する場合のように、これらの間に外部装置に対する信号の種別毎にそれぞれ電磁継電器を設ける必要がない。遊技システム５００では、第１接続部１０４と遊技媒体管理装置２０との間に信号変換器を１つ備えるだけでよく、コストの軽減を図ることができる。また、電磁継電器を用いたリレー回路では、その構造上、空きピンを設けることが困難であるが、光通信方式を用いる場合は、例えば受信側においても複数の空きピンを設けることが可能であり拡張性が高い。また、電磁継電器は電磁石により機械的に動作するものであるため故障が発生しやすいが、光通信方式では故障が少なく、電磁継電器を用いた場合よりも平均故障時間を低減し信頼性を向上させることができる。また、電磁継電器はノイズが発生しやすいが、光通信方式はノイズの影響を受けにくい。また、光通信方式の場合、電磁継電器を用いた場合よりも応答速度が速く、一度のパケットで大容量データを転送することもできる。一度のパケット通信で大容量のデータを送ることができるので、通信回数が減り、データ生成量が減少される。例えば、持ち球を１５個増加させるという信号を送信する場合、電磁継電器を用いた方式では、１個の持ち球を増加させる信号を１５回送信する必要がある。しかし、光通信方式では、１５個の持ち球を増加させる信号を一括で送信できる。さらに、その他の信号（例えば、コマンド種別、通信日時などの日時データ、および、遊技機固有番号等）を同時に送信することも可能である。その結果、通信における送信側の制御および受信側の制御を、ともに簡素化することができる。それにより、各制御基板が有するＣＰＵの小型化が可能となる。なお、各入賞センサ１０６１および減算センサ１０１１から光通信ケーブルを、遊技媒体管理装置２０に直接接続してもよい。これにより、第１接続部１０４が不要となり、コストの軽減を図ることができる。
【００７７】
したがって、遊技媒体管理装置２０の管理装置制御部２０２は、遊技媒体管理装置２０の遊技機接続基板２０１および遊技機１１の第１接続部１０４を介して、遊技機１１の各入賞センサ１０６１および減算センサ１０１１に接続される。そして、遊技媒体管理装置２０の管理装置制御部２０２は、遊技媒体管理装置２０の遊技機接続基板２０１および遊技機１１の第２接続部１０５を介して、遊技機１１の表示装置制御基板１０３に接続される。管理装置制御部２０２はＣＰＵおよび処理プログラム等が記憶される記憶部（ＲＡＭ、ＲＯＭ等）により構成される。
【００７８】
以下、これらの構成の説明とともに遊技システム５００について説明する。遊技機１１の各入賞センサ１０６１は、各入賞口を通過する遊技球１９を検出する。遊技媒体管理装置２０の管理装置制御部２０２は、上述のように、各入賞センサ１０６１から出力される増減数検出信号に基づいて、各入賞に応じた球数を持ち球数に加算する。このように、遊技システム５００は、入賞球を検出する機能を有している。
【００７９】
磁石センサ１０６２は、遊技機１１における異常な磁気を検出する。これにより、磁石を利用して遊技球１９を操作するといった不正行為を防止することができる。第２電波センサ１０６３は、遊技機１１における異常な電波を検出する。これにより、遊技機１１に対して電波を照射したり放電させたりすることにより、遊技機１１の誤動作を誘発させるといった不正行為を防止することができる。
【００８０】
普通電動役物ソレノイド１０６４は、始動口１６１に設けられる羽根部材１６３を有した普通電動役物１６２（図３参照）に接続されており、主制御回路１０６から供給される駆動信号に応じて、羽根部材１６３が開放状態または閉鎖状態とする。また、大入賞口ソレノイド１０６５は、シャッタ１６５を有した大入賞口１６４に接続されており、主制御回路１０６から供給される駆動信号に応じて、シャッタ１６５を駆動させ、大入賞口１６４を開放状態または閉鎖状態とする。ＬＥＤ１０６６は、始動口１６１に遊技球が入球したことに基づいて大入賞口１６４を開放させるか否かの抽選結果である特別図柄表示装置、普通電動役物を開放するか否かの普通図柄表示装置、またはこれらの保留数である保留表示装置等の状態を表示するものであり、主制御回路１０６から供給される駆動信号に応じて点灯態様が変動する。
【００８１】
例えば、針金等を用いて大入賞口１６４のシャッタ１６５を強制的に開放状態とする不正行為を行ったとしても、シャッタ１６５を駆動させる駆動信号が供給されているか否かを検出することにより、不正が行われていることを検出することができ、不正行為を防止することができる。
【００８２】
表示基板１０２２は、遊技者が有している持ち球数を表示する遊技球数表示装置１０２４を制御する。具体的には、図３に示すように、遊技機１１の前面における下部には、遊技球数表示装置１０２４が設けられている。遊技球数表示装置１０２４は液晶表示装置であり、６桁までの持ち球数が表示されるようになっている。持ち球数は、上述したとおり、遊技媒体管理装置２０によって管理されている。遊技が実行されることにより持ち球数は増減する。遊技媒体管理装置２０は、各入賞センサ１０６１または減算センサ１０１１から送信される増減数検出信号に基づいて加算および減算を行い、持ち球数を管理している。そして、遊技媒体管理装置２０は、持ち球数に関する信号を表示基板１０２２へと送信する。表示基板１０２２は、検知制御回路９９から持ち球数の増減に関する信号を受信して、遊技球数表示装置１０２４に表示される持ち球数を更新する。また、表示基板１０２２は、持ち球数が０であった場合には、その旨を示す信号を検知制御回路９９へ送信する。これにより、検知制御回路９９は、遊技球１９を発射してもよいか判定を行うことができる。なお、遊技機１１の制御において必要であれば持ち球数が０以外であっても、持ち球数に関する信号を検知制御回路９９に送信することとしてもよい。また、このような持ち球数に関する信号は、表示基板１０２２を介して検知制御回路９９に送信されるのではなく、遊技媒体管理装置２０から検知制御回路９９へ直接送信されることとしてもよい。
【００８３】
上述のように、各入賞センサ１０６１で遊技球１９が検出された場合、入賞ごとに設定される獲得遊技球数が持ち球数に加算される。つまり、増減数検出信号が遊技媒体管理装置２０へ送信され、遊技媒体管理装置２０では各入賞に応じた獲得遊技球数が現在の持ち球数に加算される。そして、遊技媒体管理装置２０は、加算後の持ち球数に関するデータを表示基板１０２２に送信し、表示基板１０２２により遊技球数表示装置１０２４が表示される持ち球を更新する。
【００８４】
減算センサ１０１１は、発射装置１１８における遊技球１９の出口に設けられており、発射装置１１８から遊技球１９が発射されること（発射球）を検出する。遊技媒体管理装置２０は、減算センサ１０１１から送信される増減数検出信号を受信すると、現在の持ち球数を減算する。これにより、遊技媒体管理装置２０により管理される持ち球数が更新される。遊技媒体管理装置２０は、減算後の持ち球数に関するデータを検知制御回路９９に送信する。そして、検知制御回路９９から表示基板１０２２に持ち球数が送信されることにより、遊技球数表示装置１０２４の持ち球数の表示が更新される。なお、戻り玉が生じた場合は、実際には遊技球１９が遊技領域１６０に発射されていないにも関わらず、減算センサ１０１１では遊技球１９が発射されたと誤って検出をする可能性がある。しかし、上述したように、遊技機１１は戻り玉を回避することができる構造であるため、遊技媒体管理装置２０は持ち球数を正しく管理できる。
【００８５】
表示基板１０２２が有する計数スイッチ１０２３は、図３に示すように遊技球数表示装置１０２４の左側に配設される計数ボタン１０２５への入力を検出する。遊技者が計数ボタン１０２５を押下すると、計数スイッチ１０２３から検出信号が出力される。表示基板１０２２は計数スイッチ１０２３からの検出信号を受信すると、遊技球数表示装置１０２４に表示された持ち球数を徐々に減少させる。そして、同時に、遊技球数表示装置１０２４に表示された持ち球数の減少分に関してのデータが遊技媒体管理装置２０に送信される。管理装置制御部２０２はこのデータに応じて、遊技球数表示装置１０２４に表示された持ち球数の減少分を、計数球数として遊技媒体管理装置２０の表示装置（図示せず）に表示させる。つまり、持ち球を計数球に変換する。
【００８６】
また、計数ボタン１０２５の押下時間が長くなればなるほど、遊技球数表示装置１０２４に表示された持ち球数の減少速度が速くなるようにしてもよい。その場合は、持ち球数の減少速度に対応して、遊技媒体管理装置２０に表示される計数球数の増加速度も速くなる。そして、持ち球数が所望の値となったところで、計数ボタン１０２５の押下操作を停止すれば、計数球への変換が停止する。これにより、遊技者は容易に、持ち球のうち所望の数の球を計数球に変換することができる。
【００８７】
また、遊技者が第１液晶表示装置１０２における特定領域（後述の返却表示領域１０２ｂ）を押下した後、１０秒以内に計数ボタン１０２５を押下した場合には、遊技球数表示装置１０２４に表示された持ち球数がゼロになり、遊技球数表示装置１０２４に表示されていた持ち球数が計数球数に加算されて、遊技媒体管理装置２０に表示されることとしてもよい。これにより、持ち球を一括で計数球数とすることができるため、すべての持ち球を計数する場合に、遊技者の操作が容易である。また、計数スイッチ１０２３を１回操作するだけですべての持ち球を一括で計数するようにしてもよい。また、第１液晶表示装置１０２において、計数球に変換する持ち球の数を設定できることとしてもよい。これにより、遊技者は任意の数の持ち球を容易に計数球に変換することができる。
【００８８】
遊技球１９は各入賞口を通過して磨き装置１２２に到達するか、各入賞口を通過せずに遊技領域１６０の下部に形成されたアウト口１６６を通過して磨き装置１２２に到達するかのいずれかである。したがって、各入賞センサ１０６１およびアウト口センサ１００６の検出信号に基づいて、遊技領域１６０から磨き装置１２２へと到達して循環されるすべての遊技球１９の個数（アウト球数）を検出することができる。なお、アウト球数を検出する際の各入賞センサ１０６１からの信号は、各入賞口を通過したか否かを示すものであり、持ち球の増減数を示すものではない。また、アウト球検出機能は、遊技媒体管理装置２０が有していてもよい。その場合は、アウト口センサ１００６は、遊技球１９を検出した際に、当該検出信号を遊技媒体管理装置２０へ送信することとすればよい。
【００８９】
また、遊技システム５００は、エラー検出機能を有している。例えば、発射球の検出信号およびアウト球の検出信号により、遊技領域１６０に発射された遊技球１９の個数と、遊技領域１６０から磨き装置１２２へ到達する遊技球１９の個数とを比較することができる。すなわち、外部から遊技球１９が遊技領域１６０内へ投入されるような不正行為を検出することができる。このように、遊技システム５００は、遊技球数オーバーフローエラーを検出することができる。なお、遊技球数オーバーフローエラーは、遊技機１１において、認識できる持ち球数を超えた場合に生じるエラーとしてもよい。例えば、持ち球数が、遊技球数表示装置１０２４に表示可能な６桁の持ち球を超えた場合に、遊技球数オーバーフローエラーが検出されることとしてもよい。
【００９０】
また、発射球の検出信号およびアウト球の検出信号により、遊技領域１６０に発射された遊技球１９の個数と、遊技領域１６０から磨き装置１２２に到達する遊技球１９の個数とを比較し、アウト球が検出され続ける一方で発射球が検出されない状態が生じた場合には、減算センサエラーを検出することができる。すなわち、遊技球１９が発射装置１１８において球詰まりしていることを検出することができる。
【００９１】
また、発射球の検出信号およびアウト球の検出信号により、遊技領域１６０に発射された遊技球１９の個数と、遊技領域１６０から磨き装置１２２に到達する遊技球１９の個数とを比較し、発射球が検出され続ける一方で、発射球に応じたアウト球が検出されない状態が生じた場合には、入賞センサエラーを検出することができる。すなわち、遊技球１９が各入賞口等において球詰まりしていることを検出することができる。
【００９２】
第１液晶表示装置１０２は、球貸に関する遊技者の入力を受け付けるための入力装置であると共に、遊技価値の残高を表示する表示装置として機能する。図３に示すように、遊技機１１の上方には、第１液晶表示装置１０２が設けられている。第１液晶表示装置１０２の画面上には、再プレイ表示領域１０２ａ、返却表示領域１０２ｂ、球貸表示領域１０２ｃおよび残高表示領域１０２ｄが形成されている。残高表示領域１０２ｄには、遊技媒体管理装置２０において、外部から紙幣またはプリペイド媒体等の遊技価値を受け付けた場合に、その遊技価値のうち持ち球に変換可能である額が表示される。
【００９３】
再プレイ表示領域１０２ａ、返却表示領域１０２ｂおよび球貸表示領域１０２ｃは、遊技者の入力を受け付けるための入力用の領域である。第１液晶表示装置１０２が遊技者によるタッチ操作がなされた領域が球貸表示領域１０２ｃであることを検出したときは、表示装置制御基板１０３は、球貸を要求する送信信号を遊技媒体管理装置２０に送信する。遊技媒体管理装置２０では球貸要求に基づいて、残高を減算すると共に減算した分に対応する持ち球数を加算する貸出処理を行う。そして、更新された残高は、表示装置制御基板１０３を介して遊技媒体管理装置２０から第１液晶表示装置１０２へ送信され、残高表示領域１０２ｄの残高表示が更新される。また、加算された持ち球数は、遊技媒体管理装置２０から表示基板１０２２へ送信され、遊技球数表示装置１０２４の持ち球の表示が更新される。
【００９４】
また、遊技媒体管理装置２０において残高がない状態（例えば、遊技媒体管理装置２０にプリペイド媒体が挿入されていない場合等）では、球貸表示領域１０２ｃへの入力は無効となる。このような状態で、球貸表示領域１０２ｃにおける遊技者のタッチ操作を検出した場合には、不正加算エラーが検出される。なお、残高があり、持ち球への変換が可能な場合は、球貸表示領域１０２ｃが発光しているように表示し、残高がなく、持ち球への変換が不可能な場合は、球貸表示領域１０２ｃはやや暗めとなるように表示してもよい。
【００９５】
また、第１液晶表示装置１０２が遊技者によるタッチ操作がなされた領域が返却表示領域１０２ｂであることを検出したときは、表示装置制御基板１０３は、遊技の終了を要求する送信信号を遊技媒体管理装置２０に送信する。そして、遊技媒体管理装置２０は、遊技の終了を指示するための送信信号を表示基板１０２２に対して送信する。また、返却表示領域１０２ｂがタッチ操作された後、１０秒以内に遊技者が計数ボタン１０２５を押下した場合には、上述したように、持ち球数が一括で計数球数に変換されて遊技媒体管理装置２０に表示される。
【００９６】
なお、第１液晶表示装置１０２の再プレイ表示領域１０２ａは、再プレイ貯玉がある場合にのみ入力の受け付けが有効となる。再プレイ貯玉とは、前日以前に遊戯した際の持ち球を持ち越すことをいう。再プレイ球の数等の持ち越した持ち球に関する情報は、例えば、遊技場以外の場所に設置された貯玉サーバに、遊技者を特定できる会員ＩＤ等の情報と対応付けて記憶されている。遊技者は、例えば、遊技中はこの会員カードを遊技媒体管理装置２０に挿入しておくこととすればよい。遊技者が、会員カードを遊技媒体管理装置２０に挿入した状態で再プレイ表示領域１０２ａをタッチ操作することで、遊技媒体管理装置２０は会員カードに記録された会員ＩＤを読み取り、貯玉サーバより当該会員ＩＤに対応付けられた、再プレイ球の数等の情報を入手する。遊技媒体管理装置２０はこの情報に基づいて再プレイ球の数を持ち球数に加算する。
【００９７】
第１液晶表示装置１０２が遊技者によるタッチ操作がなされた領域が再プレイ表示領域１０２ａであることを検出したときは、表示装置制御基板１０３において再プレイを要求する送信信号が遊技媒体管理装置２０へ送信される。そして、遊技媒体管理装置２０は、再プレイ球数の個数情報に基づいて増加された持ち球数の情報を表示基板１０２２に送信し、遊技球数表示装置１０２４の持ち球数の表示が更新される。そして、貯玉サーバに記憶された情報が更新される。
【００９８】
また、図示していないが、第１液晶表示装置１０２には、画面切り替え領域が表示されていることとしてもよい。第１液晶表示装置１０２が遊技者によるタッチ操作がなされた領域が画面切り替え領域であることを検出したときは、第１液晶表示装置１０２に表示される内容が切り替えられることとしてもよい。例えば、上述した貸出動作の結果内容や返却動作の結果内容等の遊技媒体管理装置２０からの情報と、副制御回路１０７から送信される演出用の画像等の情報とで、切り替えが行われることとしてもよい。
【００９９】
また、図示していないが、第１液晶表示装置１０２は、遊技媒体管理装置２０に挿入された会員カードに記録された会員ＩＤ等のカード情報や遊技機１１の遊技情報等を表示可能であることとしてもよい。これらのカード情報や遊技情報の表示は、第１液晶表示装置１０２のタッチ操作により、図３に示すような表示態様と切り替えが可能であることとしてもよい。
【０１００】
遊技機１１は、電源が投入されると、主制御回路１０６に設けられたＣＰＵの固有ＩＤ、検知制御回路９９に設けられたＣＰＵの固有ＩＤ、遊技機１１に記憶された遊技機製造業者コード、上述の認証・通信制御回路３００等の実現に用いられるセキュリティチップの製造業者コード、遊技機１１の型式コードおよび遊技場の整合性を判定する。
【０１０１】
第１開放センサ１００２は、本体１９１において、ガラス枠が開放されていることを検出する。また、第２開放センサ１００３は、本体１９１において、内枠が開放されていることを検出する。
【０１０２】
第１電波センサ１００１は、遊技機１１の本体１９１に対する異常な電波を検出する。
【０１０３】
また、遊技機１１は、上記のようなエラーを検知した場合は、エラー報知を行う。エラー報知としては、エラーを検出する基板にもよるが、遊技の停止、遊技媒体管理装置２０によるエラー情報の表示、スピーカ１０７５によるエラー情報の音声出力、本体演出用の第１ＬＥＤ基板１０７４や盤面演出用の第２ＬＥＤ基板１０７６に接続されるＬＥＤの点灯、アクチュエータ１０７７の駆動およびタッチパネル式である第１液晶表示装置１０２におけるエラー情報の表示等とすればよい。
【０１０４】
遊技機１１は、遊技媒体管理装置２０に対して、遊技状態の情報を出力する。具体的には、遊技機１１は、遊技媒体管理装置２０に対して、アウト球数、入賞により得た持ち球数、入賞毎に出力される入賞種別（始動口、大当り、小当り、出玉大の大当り、出玉小の大当り、出玉中の大当り）、大当りかつ時短状態、確変状態、時短状態、不正検出に関するセキュリティ、ガラス枠開放状態、内枠開放状態、遊技機エラー時、に関する情報を出力する。
【０１０５】
電源１０８は、単相交流１００Ｖから遊技機１１に必要な電源を生成する。本実施形態では、電源１０８は、検知制御回路９９と、副制御回路１０７とに直接電力を供給する。そして、主制御回路１０６に検知制御回路９９を介して電力を供給する。また、表示装置制御基板１０３には副制御回路１０７を介して電力を供給する。なお、電力の供給は上述の態様に限定されるわけではない。
【０１０６】
また、電源１０８は、図示していないバックアップ電源を有している。そのため、電源がＯＦＦにされても、主制御回路１０６および検知制御回路９９のそれぞれのＲＡＭに記憶された情報を保持することができる。なお、電源１０８には、図示していないクリアスイッチが設けられている。クリアスイッチを操作することにより、主制御回路１０６および検知制御回路９９のそれぞれのＲＡＭに記憶された情報を初期化することができる。
【０１０７】
具体的には、主制御回路１０６のＲＡＭにおいて保持される内容は、大当り状態（ラウンド回数含む）、高確率・時短状態、保留メモリ（特別図柄、普通図柄）の乱数値、エラー状態、検知制御回路９９への未送信コマンドデータ、普通電動役物および特別電動役物、である。また、検知制御回路９９のＲＡＭにおいて保持される内容は、持ち球数、エラー状態、遊技媒体管理装置２０への未送信コマンドデータ、遊技台情報、遊技情報および遊技媒体管理装置２０に挿入された会員カードのカード情報等、である。
【０１０８】
発射ソレノイド１０１８は、発射装置１１８に設けられ、検知制御回路９９からの駆動制御信号に応じて遊技球１９の発射を行うための動作を行う。発射ソレノイド１０１８を駆動するための駆動制御信号は、遊技者によってハンドル１０２６（図３参照）が操作されることにより出力される。タッチセンサ１００９は、ハンドル１０２６の周縁に設けられており、遊技者がハンドル１０２６を握持した場合にはタッチセンサ１００９にも触れることとなるような位置に配置されている。したがって、タッチセンサ１００９からの検出信号により、遊技者がハンドル１０２６を握持しているか否かの検出を行うことができる（タッチ検出）。
【０１０９】
ハンドル１０２６は、回転可能なように本体１９１に設置されている。また、ハンドル１０２６は、回転させた場合に、時計回りの反対方向へ付勢力が働くように設置されている。したがって、ハンドル１０２６を回転させて手を離すと、ハンドル１０２６は回転して元の位置に戻る。
【０１１０】
ハンドル１０２６には、時計回り方向への回転角度に応じた検出信号を出力するハンドルボリューム１００７が設けられている。このハンドルボリューム１００７から出力される信号に応じて、発射装置１１８からの遊技球１９の発射強度が変更される。
【０１１１】
また、ハンドル１０２６には保持レバー１０２６ａが設けられており、遊技者が保持レバー１０２６ａを操作することで、ハンドル１０２６の回転位置が固定される。すなわち、ハンドル１０２６を回転させて、所望の位置で保持レバー１０２６ａを操作することにより、ハンドル１０２６から手を離してもハンドル１０２６が回転することがなく、その位置で保持される。これにより、長時間にわたる遊技による疲労を軽減することができる。
【０１１２】
さらに、図示していないが、ハンドル１０２６はスイング移動構造を有しており、ハンドル１０２６を上下左右にスイング移動させることができる。つまり、ハンドル１０２６は一般的には、本体１９１に対して略垂直方向に突出しているが、スイング移動構造を有することから、本体１９１に対してハンドル１０２６が傾斜するように配置することができる。これにより、遊技者はハンドル１０２６の操作において操作しやすいように、ハンドル１０２６を適度にスイング移動させることができる。
【０１１３】
また、停止スイッチ１００８は、例えばハンドル１０２６の近傍に設けられている。検知制御回路９９は停止スイッチ１００８からの検出信号を受信した場合は、ハンドルボリューム１００７から検出信号を受信している場合でも、発射ソレノイド１０１８の動作を停止させる。つまり、遊技者が停止スイッチ１００８を操作している場合は、ハンドル１０２６が回転させられていても、発射装置１１８から遊技球１９が発射されることはない。なお、ハンドル１０２６が回転させられていても、タッチセンサ１００９からの検出信号が出力されていない場合すなわち遊技者がハンドル１０２６を握持していない場合、および、ハンドル１０２６の回転角度が小さすぎる場合には、発射装置１１８から遊技球１９が発射されることはない。
【０１１４】
ここで、発射装置１１８について図を用いて説明する。図７は、本実施形態に係る遊技機の発射装置について説明するための図である。また、図８は、本実施形態に係る遊技機の発射装置の平面図である。
【０１１５】
図７に示すように、発射装置１１８は、発射ソレノイド１０１８、発射台１１１１、発射杵１１１２および支持軸１１１３を有している。発射杵１１１２はその上端部が支持軸１１１３に支持されており、支持軸１１１３を回転中心として回転可能に設置されている。発射ソレノイド１０１８は発射杵１１１２の近傍に配置されている。発射ソレノイド１０１８が検知制御回路９９により駆動させられることにより、発射杵１１１２は発射ソレノイド１０１８に引き寄せられて、回転駆動する。発射杵１１１２が発射ソレノイド１０１８に引き寄せられることにより遊技球１９を打撃し、遊技球１９が発射装置１１８から斜め上方へと発射される。発射台１１１１は発射杵１１１２により打撃される遊技球１９の待機位置である。遊技球１９が発射台１１１１に配置された状態で、発射杵１１１２の反対側が発射方向であり、開放されている。
【０１１６】
図８に示すように、発射装置１１８は、上述した部材以外に、球入口１１１４、発射装置入口センサ１０１０、球通路１１１５、球送りソレノイド１０１７および減算センサ１０１１を有している。遊技球１９は、球送りソレノイド１０１７によって発射台１１１１へ送り出される。揚送装置１３３によって遊技機上部へ搬送された遊技球１９は球入口１１１４に導かれる。さらに、球通路１１１５を通過し、待機位置にて待機する。球通路１１１５に設けられた発射装置入口センサ１０１０は、遊技球１９が球通路１１１５を通過することにより検出信号を出力する。遊技者がハンドル１０２６を操作した場合は、検知制御回路９９により球送りソレノイド１０１７が駆動させられ、図示していない球送り杵が発射台１１１１の方向（図８では下方向）へと、待機状態の遊技球１９を押し出す。これにより、遊技球１９が発射台１１１１へ移動する。また、待機位置から発射台１１１１への経路には減算センサ１０１１が設けられており、発射台１１１１へ移動する遊技球１９を検出する。減算センサ１０１１によって、遊技球１９が検出された場合には、持ち球数が１減算される。
【０１１７】
図３に示すように、遊技領域１６０において、始動口１６１や大入賞口１６４等の各入賞口、または、アウト口１６６を通過した遊技球１９は、ガイド経路１６７を経由して磨き装置１２２に案内される。
【０１１８】
ここで、磨き装置１２２について説明する。磨き装置１２２の詳細は図示していないが、磨き装置１２２は筐体と筐体に着脱自在な着脱ユニットとを有している。筐体には、ガイド経路１６７によって案内された遊技球１９を筐体の内部へ導くための球入口が形成されている。球入口には、遊技球１９が投入されたことを検出する磨き装置入口センサ１０１６が設けられている。筐体の前面側には、着脱ユニットを嵌め込むための嵌合凹部が形成されている。また、嵌合凹部の内側には、遊技球１９の搬送経路となるガイド溝が形成されている。また、球入口とガイド溝との間には遊技球１９を導くために入口案内経路が形成されている。また、ガイド溝の端部には、球出口が形成されている。ガイド溝には、ガイド溝に沿って遊技球１９を導くためのらせん状のスクリューが設置されている。ガイド溝に導かれた遊技球１９は、このスクリューが回転することによりガイド溝に沿って搬送され、球出口へと導かれる。
【０１１９】
着脱ユニットは、遊技球１９を磨くための布を有している。当該布の一部は着脱ユニットの外部に露呈しており残りは着脱ユニットの内部に設置されている。磨き装置１２２に設けられた着脱ユニットモータ１０２０が駆動することにより、この布は一定方向に送られ、外部に露呈される部分が変化する。つまり、着脱ユニットモータ１０２０が駆動することにより、露呈された布が着脱ユニット内部へと送られていき、それに伴って、着脱ユニット内部から布の新たな部分が外部に送られてくる。
【０１２０】
着脱ユニットを筐体の嵌合凹部に嵌め込むことにより、ガイド溝１２０４の開放された側に露呈された布が押し付けられる態様となる。つまり、スクリューが回転することにより遊技球１９がガイド溝に沿って搬送されている際に、遊技球１９が布に接触することとなる。なお、筐体には、着脱ユニットが嵌合凹部に嵌め込まれていることを検出する着脱ユニットセンサ１０１４が設けられている。磨き装置１２２は、さらに検知制御回路９９によって制御される着脱ユニットモータ１０２０および磨きモータ１０２１を有する。
【０１２１】
着脱ユニットが筐体の嵌合凹部に嵌め込まれている状態で、着脱ユニットモータ１０２０および磨きモータ１０２１が駆動する。これにより、布は移動し始め、スクリューは回転し始める。スクリューが回転することにより、遊技球１９がガイド溝に沿って搬送される。この際に、布は、遊技球１９の搬送方向とは逆方向に移動される。ガイド溝に沿って搬送される遊技球１９は、遊技球１９の搬送方向とは逆方向に移動される布と接触することにより、遊技球１９が布により擦られて、遊技球１９は磨かれる。このように、遊技球１９は、布によって磨かれながらガイド溝を搬送され、球出口から排出されて、揚送装置１３３に導かれる。なお、着脱ユニットモータ１０２０および磨きモータ１０２１は、磨き装置入口センサ１０１６によって遊技球１９が検出されたことを契機に駆動される。磨きモータセンサ１０１５は磨きモータ１０２１の駆動を検出する。これにより、磨きモータ１０２１が正常に回転駆動されているかを検出することができる。
【０１２２】
揚送装置について図を用いて説明する。図９は、本実施形態に係る遊技機の揚送装置について説明するための図である。図１０は、本実施形態に係る遊技機の揚送装置の動作について説明するための図である。
【０１２３】
図９および図１０に示すように、揚送装置１３３は、球入口１３０１、球出口１３０２、揚送部１３０３、スクリュー１３０４、揚送装置入口センサ１０１２および揚送モータ１０１９を有している。また、揚送装置１３３は、揚送モータセンサ基板１０１３を備えている。球入口１３０１には、磨き装置１２２によって搬送された遊技球１９が導かれる。揚送装置入口センサ１０１２は、球入口１３０１に導入された遊技球１９を検出する。揚送装置入口センサ１０１２による遊技球１９の検出に応じて揚送モータ１０１９が駆動する。揚送部１３０３の内側に設けられたらせん状のスクリュー１３０４には、下部に設けられたギアを介して、揚送モータ１０１９からの動力が伝達される。球入口１３０１を通過した遊技球１９は、さらに球通路（図示せず）を通過して、筒状の揚送部１３０３の下部に到達する。スクリュー１３０４は揚送モータ１０１９により回転しており、遊技球１９はスクリュー１３０４により上方へ搬送される。揚送モータセンサ基板１０１３は、揚送モータ１０１９の駆動を検出する。これにより、揚送モータ１０１９が正常に回転駆動されているかを検出することができる。
【０１２４】
スクリュー１３０４によって、揚送部１３０３の上部に到達した遊技球１９は、揚送部１３０３の上側に設けられた球出口１３０２から排出され、球出口１３０２と連通された発射装置１１８の球入口１１１４に導かれる。そして、遊技球１９は発射装置１１８に送られる。
【０１２５】
また、遊技システム５００は、遊技領域１６０における遊技球１９の数を管理している。検知制御回路９９に接続される適正数センサ１００５は、遊技領域１６０内にある遊技球１９の数が適正量か否かを検出する。遊技機１１内に５０個の遊技球１９が循環しているとすると、例えば遊技領域１６０内に存在する遊技球が１０個以下である場合を適正量とし、遊技領域１６０内に存在する遊技機１１が１０個を超えると検出信号を出力し、異常であることを知らせる。また、検知制御回路９９に接続される遊技球ゼロセンサ１００４は、遊技領域１６０内に遊技球１９がない場合に検出信号を出力する。
【０１２６】
検知制御回路９９は、接続された各種センサ等に基づき、省電力状態へ移行する。例えば、タッチセンサ１００９によって、所定の期間、遊技者がハンドル１０２６を握持していないことを検出した場合、省電力状態へ移行すればよい。例えば、副制御回路１０７に接続された各種演出デバイスをＯＦＦとしてもよい。また、持ち球が０になった場合、プリペイド媒体が未挿入である場合、および現金が投入されていない場合等には、省電力状態へ移行することとしてもよい。このように、検知制御回路９９は、遊技が行われているか否かを判定し、遊技機１１を省電力状態に移行することができる。
【０１２７】
電源１０８は、図示しないバックアップ電源を有している。これにより、夜間等に電源をＯＦＦにした場合であっても、ＯＦＦにする直前のデータを保持することができる。また、このバックアップ電源により、例えば、第２開放センサ１００３による内枠開放の検出を継続して実行させてもよい。これにより、夜間に不正行為を行われることも防止することができる。
【０１２８】
なお、この場合は、内枠が開放された回数等の情報を記憶するものであってもよい。さらに、電源が投入された際に、内枠が開放された回数等の情報を、遊技機１１の第１液晶表示装置１０２等に出力するものであってもよい。
【０１２９】
［遊技機の動作］
以下に、遊技機１１で実行される処理動作について図を用いて説明する。
【０１３０】
［メイン処理］
最初に、図１１に示すように、主制御回路１０６におけるＣＰＵ（以下、メインＣＰＵ）は、ＲＡＭアクセス許可、バックアップ復帰処理、作業領域の初期化等の初期設定処理を実行する（Ｓ１０）。そして、詳しくは図１３を用いて後述するが、メインＣＰＵは、特別図柄ゲームの進行、液晶表示装置、特別図柄表示装置に表示される特別図柄、装飾図柄に関する特別図柄制御処理を実行する（Ｓ１１）。
【０１３１】
そして、詳しくは図１６を用いて後述するが、メインＣＰＵは、普通図柄ゲームの進行、普通図柄表示装置に表示される普通図柄に関する普通図柄制御処理を実行する（Ｓ１２）。そして、メインＣＰＵは、特別図柄制御処理、普通図柄制御処理の実行の結果にしたがって、特別図柄、普通図柄などの可変表示の表示制御を行う図柄表示装置制御処理を実行する（Ｓ１３）。
【０１３２】
このように、メイン処理においては、初期設定処理が終了した後、特別図柄制御処理、普通図柄制御処理、図柄表示装置制御処理を繰り返し実行することとなる。
【０１３３】
［システムタイマ割込処理］
また、メインＣＰＵは、メイン処理を実行している状態であっても、メイン処理を中断させ、システムタイマ割込処理を実行する場合がある。主制御回路１０６には、図示しないリセット用クロックパルス発生回路が設けられている。リセット用クロックパルス発生回路は、所定の周期（例えば２ミリ秒）毎にクロックパルスを発生するものである。メインＣＰＵは、発生したクロックパルスに応じて、以下のシステムタイマ割込処理を実行する。このシステムタイマ割込処理について図１２を用いて説明する。
【０１３４】
最初に、図１２に示すように、メインＣＰＵは、大当り判定用乱数カウンタ、大当り図柄決定用乱数カウンタ等の各カウント値を“１”増加するように乱数更新処理を実行する（Ｓ２０）。そして、メインＣＰＵは、始動口１６１等への遊技球１９の入賞または通過を検知する入力検出処理を実行する（Ｓ２１）。例えば、入力検出処理は、始動口入賞センサ１０６１ａから入賞検出信号を受信したことにより実行される。そして、メインＣＰＵは、主制御回路１０６および副制御回路１０７間等の制御基板間の同期をとるための待ち時間タイマ、大入賞口１６４の開放時間を計測するための大入賞口開放時間タイマ等、各種のタイマの更新処理を実行する（Ｓ２２）。そして、各種の変数に基づいて駆動制御するための信号をソレノイド、モータ等に供給するために、出力処理を実行する（Ｓ２３）。
【０１３５】
そして、メインＣＰＵは、各種のコマンドを検知制御回路９９や副制御回路１０７に供給するコマンド出力処理を実行する（Ｓ２４）。この処理が終了した場合には、本サブルーチンを終了し、割込発生前のアドレスへ復帰し、メイン処理を実行させる。なお、各入賞口を遊技球１９が通過することに基づいて行われる入賞による持ち球の加算は、上述の通り、遊技媒体管理装置２０によって行われる。すなわち、始動口入賞センサ１０６１ａを含む入賞センサ１０６１から、主制御回路１０６を介さず遊技媒体管理装置２０へ増減数検出信号が送信され、遊技媒体管理装置２０において払出処理が実行される。
【０１３６】
［特別図柄制御処理］
図１１の特別図柄制御処理について図１３を用いて説明する。なお、図１３において、各処理の側方に記載された数値は、それら各処理に対応する制御状態フラグを示し、その制御状態フラグの数値に応じて、その数値に対応する一つのステップが実行され、特別図柄ゲームが進行することとなる。
【０１３７】
最初に、図１３に示すように、メインＣＰＵは、制御状態フラグをロードする処理を実行する（Ｓ３０）。
【０１３８】
なお、後述する各処理において、メインＣＰＵは、制御状態フラグの値に基づいて、各ステップにおける各種の処理を実行するか否かを判断することとなる。この制御状態フラグは、特別図柄ゲームの遊技の状態を示すものであり、各処理のいずれかを実行可能にするものである。また、それに加えて、メインＣＰＵは、各ステップに対して設定された待ち時間タイマ等に応じて決定される所定のタイミングで各ステップにおける処理を実行する。
【０１３９】
なお、この所定のタイミングに至る前においては、各ステップにおける処理を実行することなく終了することとなり、他のサブルーチンを実行することとなる。もちろん、所定の周期でシステムタイマ割込処理も実行する。
【０１４０】
そして、メインＣＰＵは、特別図柄記憶チェック処理を実行する（Ｓ３１）。詳しくは図１５を用いて後述するが、メインＣＰＵは、制御状態フラグが特別図柄記憶チェックを示す値（００）である場合に、保留個数のチェックを行い、保留個数がある場合に、大当り判定、導出特別図柄、特別図柄の変動パターン等の決定を行う。また、メインＣＰＵは、特別図柄変動時間管理を示す値（０１）を制御状態フラグにセットし、今回の処理で決定された変動パターンに対応する変動時間を待ち時間タイマにセットする。つまり、今回決定された変動パターンに対応する変動時間を経過した後、後述する特別図柄変動時間管理処理を実行するように設定することとなる。
【０１４１】
一方、メインＣＰＵは、保留個数がない場合には、デモ画面を表示するためのデモ表示処理を行う。
【０１４２】
そして、メインＣＰＵは、特別図柄変動時間管理処理を実行する（Ｓ３２）。この処理において、メインＣＰＵは、制御状態フラグが特別図柄変動時間管理を示す値（０１）であり、変動時間が経過した場合に、特別図柄表示時間管理を示す値（０２）を制御状態フラグにセットし、確定後待ち時間を待ち時間タイマにセットする。つまり、確定後待ち時間が経過した後、後述する特別図柄表示時間管理処理を実行するように設定することとなる。
【０１４３】
そして、メインＣＰＵは、特別図柄表示時間管理処理を実行する（Ｓ３３）。この処理において、メインＣＰＵは、制御状態フラグが特別図柄表示時間管理を示す値（０２）であり、確定後待ち時間が経過した場合に、大当りか否かを判断する。メインＣＰＵは、大当りである場合に、大当り開始インターバル管理を示す値（０３）を制御状態フラグにセットし、大当り開始インターバルに対応する時間を待ち時間タイマにセットする。つまり、大当り開始インターバルに対応する時間が経過した後、後述する大当り開始インターバル管理処理を実行するように設定することとなる。
【０１４４】
一方、メインＣＰＵは、大当りではない場合に、特別図柄ゲーム終了を示す値（０８）をセットする。つまり、後述する特別図柄ゲーム終了処理を実行するように設定することとなる。
【０１４５】
そして、メインＣＰＵは、大当りであると判別した場合には、大当り開始インターバル管理処理を実行する（Ｓ３４）。この処理において、メインＣＰＵは、制御状態フラグが大当り開始インターバル管理を示す値（０３）であり、その大当り開始インターバルに対応する時間が経過した場合に、大入賞口１６４を開放させるために、主制御回路１０６のＲＯＭから読み出されたデータに基づいて、主制御回路１０６のＲＡＭに位置付けられた変数を更新する。メインＣＰＵは、大入賞口開放中を示す値（０４）を制御状態フラグにセットするとともに、開放上限時間（例えば３０秒）を大入賞口開放時間タイマにセットする。つまり、後述する大入賞口開放中処理を実行するように設定することとなる。
【０１４６】
そして、メインＣＰＵは、大入賞口開放中処理を実行する（Ｓ３５）。この処理において、メインＣＰＵは、制御状態フラグが大入賞口開放中を示す値（０４）である場合に、大入賞口入賞カウンタが所定数以上であるという条件、開放上限時間を経過した（大入賞口開放時間タイマが“０”である）という条件のいずれかを満たす（所定の閉鎖条件が成立した）か否かを判断する。
【０１４７】
メインＣＰＵは、いずれかの条件を満たした場合に、大入賞口１６４を閉鎖させるために、メインＲＡＭに位置付けられた変数を更新する。そして、メインＣＰＵは、大入賞口内残留球監視を示す値（０５）を制御状態フラグにセットする。メインＣＰＵは、大入賞口内残留球監視時間を待ち時間タイマにセットする。つまり、大入賞口内残留球監視時間が経過した後、後述する大入賞口内残留球監視処理を実行するように設定することとなる。
【０１４８】
そして、メインＣＰＵは、大入賞口内残留球監視処理を実行する（Ｓ３６）。この処理において、メインＣＰＵは、制御状態フラグが大入賞口内残留球監視を示す値（０５）であり、大入賞口内残留球監視時間が経過した場合に、大入賞口開放回数カウンタが大入賞口開放回数最大値以上である（最終ラウンドである）という条件を満たすか否かを判断する。
【０１４９】
メインＣＰＵは、この条件を満たした場合に、大当り終了インターバルを示す値（０７）を制御状態フラグにセットし、大当り終了インターバルに対応する時間を待ち時間タイマにセットする。つまり、大当り終了インターバルに対応する時間が経過した後、後述する大当り終了インターバル処理の処理を実行するように設定することとなる。
【０１５０】
一方、メインＣＰＵは、この条件を満たさない場合に、大入賞口再開放待ち時間管理を示す値（０６）を制御状態フラグにセットする。また、メインＣＰＵは、ラウンド間インターバルに対応する時間を待ち時間タイマにセットする。つまり、ラウンド間インターバルに対応する時間が経過した後、後述する大入賞口再開放前待ち時間管理処理を実行するように設定することとなる。
【０１５１】
そして、メインＣＰＵは、大入賞口開放回数カウンタが大入賞口開放回数最大値以上ではないと判別した場合に、大入賞口再開放前待ち時間管理処理を実行する（Ｓ３７）。この処理において、メインＣＰＵは、制御状態フラグが大入賞口再開放待ち時間管理を示す値（０６）であり、ラウンド間インターバルに対応する時間が経過した場合に、大入賞口開放回数カウンタを“１”増加するように記憶更新する。メインＣＰＵは、大入賞口開放中を示す値（０４）を制御状態フラグにセットする。メインＣＰＵは、開放上限時間（例えば３０秒）を大入賞口開放時間タイマにセットする。つまり、上述した大入賞口開放中処理を再度実行するように設定することとなる。
【０１５２】
そして、メインＣＰＵは、大入賞口開放回数カウンタが大入賞口開放回数最大値以上であると判別した場合に、大当り終了インターバル処理を実行する（Ｓ３８）。この処理において、メインＣＰＵは、制御状態フラグが大当り終了インターバルを示す値（０７）であり、大当り終了インターバルに対応する時間が経過した場合に、特別図柄ゲーム終了を示す値（０８）を制御状態フラグにセットする。つまり、後述する特別図柄ゲーム終了処理を実行するように設定することとなる。
【０１５３】
そして、メインＣＰＵは、大当り図柄が確変図柄である場合には、確変状態に移行させる制御を行うとともに、大当り図柄が非確変図柄である場合には、通常遊技状態に移行させる制御を行うこととなる。
【０１５４】
そして、メインＣＰＵは、大当り遊技状態が終了した場合、または、はずれとなった場合には、特別図柄ゲーム終了処理を実行する（Ｓ３９）。この処理において、メインＣＰＵは、制御状態フラグが特別図柄ゲーム終了を示す値（０８）である場合に、保留個数を示すデータ（始動記憶情報）を“１”減少するように記憶更新する。そして、メインＣＰＵは、次回の変動表示を行うために、特別図柄記憶領域の更新を行う。メインＣＰＵは、特別図柄記憶チェックを示す値（００）をセットする。つまり、上述した特別図柄記憶チェック処理を実行するように設定することとなる。この処理が終了した場合には、本サブルーチンを終了する。
【０１５５】
上述したように、制御状態フラグをセットすることにより、特別図柄ゲームが実行されることとなる。具体的には、メインＣＰＵは、図１４に示すように、大当り遊技状態ではない場合において、大当り判定の結果がハズレであるときには、制御状態フラグを“００”、“０１”、“０２”、“０８”と順にセットすることにより、図１３に示す特別図柄記憶チェック処理、特別図柄変動時間管理処理、特別図柄表示時間管理処理、特別図柄ゲーム終了処理の処理を所定のタイミングで実行することとなる。
【０１５６】
また、メインＣＰＵは、大当り遊技状態ではない場合において、大当り判定の結果が大当りであるときには、制御状態フラグを“００”、“０１”、“０２”、“０３”と順にセットすることにより、図１３に示す特別図柄記憶チェック処理、特別図柄変動時間管理処理、特別図柄表示時間管理処理、大当り開始インターバル管理処理の処理を所定のタイミングで実行し、大当り遊技状態への制御を実行することとなる。
【０１５７】
更に、メインＣＰＵは、大当り遊技状態への制御が実行された場合には、制御状態フラグを“０４”、“０５”、“０６”と順にセットすることにより、図１３に示す大入賞口開放中処理、大入賞口内残留球監視処理、大入賞口再開放前待ち時間管理処理の処理を所定のタイミングで実行し、大当り遊技を実行することとなる。
【０１５８】
なお、大当り遊技が実行されている場合において、大当り遊技状態の終了条件が成立した場合には、“０４”、“０５”、“０７”、“０８”と順にセットすることにより、図１３に示す大入賞口開放中処理、大入賞口内残留球監視処理、大当り終了インターバル処理、特別図柄ゲーム終了処理の処理を所定のタイミングで実行し、大当り遊技状態を終了することとなる。
【０１５９】
［特別図柄記憶チェック処理］
図１３の特別図柄記憶チェック処理について図１５を用いて説明する。
【０１６０】
最初に、図１５に示すように、メインＣＰＵは、制御状態フラグが特別図柄記憶チェックを示す値（００）であるか否かの判断を行う（Ｓ４０）。メインＣＰＵは、制御状態フラグが特別図柄記憶チェックを示す値であると判別した場合（Ｓ４０でＹＥＳ）には、保留個数が“０”であるか否かの判断を行う（Ｓ４１）。一方、メインＣＰＵは、制御状態フラグが特別図柄記憶チェックを示す値であるとは判別しなかった場合（Ｓ４０でＮＯ）には、本サブルーチンを終了する。
【０１６１】
そして、メインＣＰＵは、保留個数を示すデータが“０”であると判別した場合（Ｓ４１でＹＥＳ）には、デモ表示処理を実行する（Ｓ４２）。この処理が終了した場合には、本サブルーチンを終了する。一方、メインＣＰＵは、保留個数を示すデータが“０”であるとは判別しなかった場合（Ｓ４１でＮＯ）には、制御状態フラグとして特別図柄変動時間管理を示す値（０１）をセットする処理を実行する（Ｓ４３）。
【０１６２】
そして、メインＣＰＵは、大当り判断処理を実行する（Ｓ４４）。この処理において、メインＣＰＵは、高確率フラグを読み出し、読み出した高確率フラグに基づいて、大当りの判定値（大当り判定値）の数が異なる複数の大当り判定テーブルから１つの大当り判定テーブルを選択する。
【０１６３】
このように、高確率フラグが所定の値である場合、つまり遊技状態が確変状態である場合には、大当り遊技状態に移行する確率は、通常時よりも向上することとなる。そして、メインＣＰＵは、始動入賞時に抽出された大当り判定用乱数値と、選択された大当り判定テーブルとを参照する。つまり、メインＣＰＵは、遊技者に有利な大当り遊技状態とするか否かの判定を行うこととなる。
【０１６４】
そして、メインＣＰＵは、特別図柄決定処理を実行する（Ｓ４５）。この処理において、メインＣＰＵは、始動入賞時に抽出された大当り図柄用乱数値を読み出し、その大当り図柄用乱数値と、上述した大当り判定の結果と、に基づいて、特別図柄を決定し、その特別図柄を示すデータを、主制御回路１０６が有するメインＲＡＭの所定領域に記憶する。また、メインＣＰＵは、特別図柄を特別の表示態様（大当り図柄が確変図柄となる表示態様）として決定する場合には、確変状態に移行させる制御を行うこととなる。
【０１６５】
このように記憶された特別図柄を示すデータは、特別図柄表示装置に供給される。これによって、特別図柄表示装置に、特別図柄が導出表示されることとなる。また、このように記憶された特別図柄を示すデータは、主制御回路１０６のメインＣＰＵから副制御回路１０７のＣＰＵに導出図柄指定コマンドとして供給される。これによって、副制御回路１０７において、特別図柄に対応する装飾図柄が液晶表示装置に導出表示されることとなる。
【０１６６】
そして、メインＣＰＵは、変動パターン決定処理を実行する（Ｓ４６）。この処理において、メインＣＰＵは、演出条件選択用乱数値を抽出する。メインＣＰＵは、上述したように決定された特別図柄に基づいて、変動パターンを決定するための変動パターン振分テーブルを選択する。そして、メインＣＰＵは、演出条件選択用乱数カウンタから抽出した演出条件選択用乱数値と選択した変動パターン振分テーブルとに基づいて、変動パターンを決定し、メインＲＡＭの所定領域に記憶する。メインＣＰＵは、このような変動パターンを示すデータに基づいて、特別図柄の変動表示態様（特に、変動表示時間）を決定することとなる。
【０１６７】
このように記憶された変動パターンを示すデータは、特別図柄表示装置に供給される。これによって、特別図柄表示装置に、特別図柄が決定した変動パターンで変動表示することとなる。また、このように記憶された変動パターンを示すデータは、主制御回路１０６のメインＣＰＵから副制御回路１０７のＣＰＵに変動パターン指定コマンドとして供給される。副制御回路１０７のＣＰＵは、受信した変動パターン指定コマンドに応じた演出表示を実行することとなる。
【０１６８】
そして、メインＣＰＵは、決定した変動パターンに対応する変動時間を待ち時間タイマにセットし（Ｓ４７）、今回の変動表示に用いられた記憶領域をクリアする処理を実行する（Ｓ４８）。この処理が終了した場合には、本サブルーチンを終了する。
【０１６９】
［普通図柄制御処理］
図１１の普通図柄制御処理について図１６を用いて説明する。なお、図１６において、各処理の側方に記載された数値は、それらのステップに対応する普通図柄制御状態フラグを示し、その普通図柄制御状態フラグの数値に応じて、その数値に対応する一つのステップが実行され、普通図柄ゲームが進行することとなる。
【０１７０】
最初に、図１６に示すように、普通図柄制御状態フラグをロードする処理を実行する（Ｓ５０）。この処理において、メインＣＰＵは、普通図柄制御状態フラグを読み出す。
【０１７１】
なお、後述する処理において、メインＣＰＵは、普通図柄制御状態フラグの値に基づいて、各ステップにおける各種の処理を実行するか否かを判断することとなる。この普通図柄制御状態フラグは、普通図柄ゲームの遊技の状態を示すものであり、各処理のいずれかを実行可能にするものである。また、それに加えて、メインＣＰＵは、各ステップに対して設定された待ち時間タイマ等に応じて決定される所定のタイミングで各ステップにおける処理を実行する。
【０１７２】
なお、この所定のタイミングに至る前においては、各ステップにおける処理を実行することなく終了することとなり、他のサブルーチンを実行することとなる。もちろん、所定の周期でシステムタイマ割込処理も実行する。
【０１７３】
そして、メインＣＰＵは、普通図柄記憶チェック処理を実行する（Ｓ５１）。この処理において、メインＣＰＵは、普通図柄制御状態フラグが普通図柄記憶チェックを示す値（００）である場合に、普通図柄に関する保留個数のチェックを行い、保留個数がある場合に、当り判定等を行う。そして、メインＣＰＵは、普通図柄変動時間管理を示す値（０１）を普通図柄制御状態フラグにセットし、今回の処理で決定された変動時間を待ち時間タイマにセットする。つまり、今回決定された変動時間を経過した後、後述する普通図柄変動時間監視処理を実行するように設定するのである。
【０１７４】
そして、メインＣＰＵは、普通図柄変動時間監視処理を実行する（Ｓ５２）。この処理において、メインＣＰＵは、普通図柄制御状態フラグが普通図柄変動時間管理を示す値（０１）であり、変動時間が経過した場合に、普通図柄表示時間監視を示す値（０２）を普通図柄制御状態フラグにセットし、確定後待ち時間（例えば０．５秒）を待ち時間タイマにセットする。つまり、確定後待ち時間が経過した後、後述する普通図柄表示時間監視処理を実行するように設定するのである。
【０１７５】
そして、メインＣＰＵは、普通図柄表示時間監視処理を実行する（Ｓ５３）。この処理において、メインＣＰＵは、普通図柄制御状態フラグが普通図柄表示時間監視を示す値（０２）であり、確定後待ち時間が経過した場合に、当りか否かを判断する。メインＣＰＵは、当りである場合に、普通電動役物開放設定処理を実行し、普通電動役物開放を示す値（０３）を普通図柄制御状態フラグにセットする。つまり、後述する普通電動役物開放処理を実行するように設定するのである。
【０１７６】
一方、メインＣＰＵは、当りではない場合に、普通図柄ゲーム終了を示す値（０４）をセットする。つまり、後述する普通図柄ゲーム終了処理を実行するように設定するのである。
【０１７７】
そして、メインＣＰＵは、普通電動役物開放処理を実行する（Ｓ５４）。この処理において、メインＣＰＵは、普通図柄制御状態フラグが普通電動役物開放を示す値（０３）である場合に、普通電動役物の開放中において所定数の始動入賞があったという条件、普通電動役物開放時間タイマが“０”であるという条件のいずれかを満たすか否かを判断する。
【０１７８】
メインＣＰＵは、いずれかの条件を満たした場合に、普通電動役物である羽根部材を閉鎖状態にさせるために、メインＲＡＭに位置付けられた変数を更新する。メインＣＰＵは、普通図柄ゲーム終了を示す値（０４）を普通図柄制御状態フラグにセットする。つまり、後述する普通図柄ゲーム終了処理を実行するように設定するのである。
【０１７９】
そして、メインＣＰＵは、普通図柄ゲーム終了処理を実行する（Ｓ５５）。この処理において、メインＣＰＵは、普通図柄制御状態フラグが普通図柄ゲーム終了を示す値（０４）である場合に、普通図柄に関する保留個数を示すデータを“１”減少するように記憶更新する。メインＣＰＵは、次回の普通図柄の変動表示を行うために、普通図柄記憶領域の更新を行う。メインＣＰＵは、普通図柄記憶チェックを示す値（００）をセットする。つまり、上述した普通図柄制御状態フラグをロードする処理を実行するように設定するのである。この処理が終了した場合には、本サブルーチンを終了する。
【０１８０】
［副制御回路メイン処理］
一方、副制御回路１０７は、副制御回路メイン処理を実行することとなる。この副制御回路メイン処理について図１７を用いて説明する。なお、この副制御回路メイン処理は、電源が投入されたときに開始される処理である。
【０１８１】
最初に、図１７に示すように、副制御回路１０７のＣＰＵ（以下、サブＣＰＵと称す）は、ＲＡＭアクセス許可、作業領域を初期化等の初期設定処理を実行する（Ｓ６０）。そして、サブＣＰＵは、ワークＲＡＭの所定領域に位置付けられた各種の乱数カウンタの乱数値を更新する乱数更新処理を実行する（Ｓ６１）。
【０１８２】
そして、詳しくは図１８を用いて後述するが、サブＣＰＵは、受信したコマンドを解析し、その解析したコマンドに応じたコマンド解析処理を実行する（Ｓ６２）。そして、サブＣＰＵは、遊技領域１６０内に設けられる第２液晶表示装置１０７３における画像の表示制御を行う表示制御処理を実行する（Ｓ６３）。そして、サブＣＰＵは、スピーカ１０７５から発生させる音の制御を行う音声制御処理（Ｓ６４）、各種のランプの発光制御を行うランプ制御処理を実行する（Ｓ６５）。この処理が終了した場合には、再度、乱数更新処理（Ｓ６１）に処理を移す。
【０１８３】
このように、副制御回路メイン処理においては、初期設定処理が終了した後、乱数更新処理からランプ制御処理を繰り返し実行することとなる。
【０１８４】
［コマンド解析処理］
図１７のコマンド解析処理について図１８を用いて説明する。
【０１８５】
最初に、図１８に示すように、サブＣＰＵは、コマンドバッファにコマンドが格納されているか否かによって、主制御回路１０６からの受信コマンドがあるか否かを判断する（Ｓ７１）。この処理において、サブＣＰＵは、受信コマンドがあると判別した場合には、ワークＲＡＭの所定領域に位置付けられたコマンドバッファから、コマンドデータを読み出す（Ｓ７２）。これ以降の処理については以下に詳しく説明する。一方、サブＣＰＵは、受信コマンドがないと判別した場合（Ｓ７１でＮＯ）には、本サブルーチンを終了する。
【０１８６】
受信コマンドがあると判別した場合（Ｓ７１でＹＥＳ）には、サブＣＰＵは、読み出したコマンドデータに基づいて、変動パターン指定コマンドを受信したか否かを判断する（Ｓ７３）。サブＣＰＵは、変動パターン指定コマンドを受信したと判別した場合（Ｓ７３でＹＥＳ）には、装飾図柄の変動パターン、背景画像を表示する画像演出パターンなど、各種の演出パターンを決定する演出パターン決定処理を実行する（Ｓ７４）。なお、演出パターンの決定には、現在行われている演出の状況を検出する演出用センサ１０７２からの信号および遊技者が演出用ボタン１０７１を操作したことにより出力される信号も考慮される。この処理が終了した場合には、本サブルーチンを終了する。
【０１８７】
一方、サブＣＰＵは、変動パターン指定コマンドを受信していないと判別した場合（Ｓ７３でＮＯ）には、読み出したコマンドデータに基づいて、導出図柄指定コマンドを受信したか否かを判断する（Ｓ７５）。サブＣＰＵは、導出図柄指定コマンドを受信したと判別した場合（Ｓ７５でＹＥＳ）には、導出図柄指定コマンドに基づいて、導出表示させる装飾図柄を決定する導出装飾図柄決定処理を実行し（Ｓ７６）、本サブルーチンを終了する。一方、サブＣＰＵは、導出図柄指定コマンドを受信していないと判別した場合（Ｓ７５でＮＯ）には、受信コマンドに対応する演出制御データをセットし（Ｓ７７）、本サブルーチンを終了する。
【０１８８】
［発射処理］
次に、遊技システム５００において遊技球１９を発射させたときの遊技機１１の主な動作について、フローチャートを用いて説明する。図１９は、本実施形態の発射処理のフローチャートである。図１９に示すように、まず、遊技者によるハンドル１０２６への操作を検出したか否かが判定される（Ｓ３０１）。ハンドル１０２６が操作された場合、ハンドルボリューム１００７から検知制御回路９９へ検出信号が出力される。つまり、検知制御回路９９がハンドルボリューム１００７からの検出信号を受信したか否かで、遊技者によるハンドル１０２６への操作を検出したか否かが判定される。ハンドル１０２６への操作が検出されない場合は（Ｓ３０１でＮＯ）、ステップＳ３０１が再実行される。一方、ハンドル１０２６への操作が検出された場合は（Ｓ３０１でＹＥＳ）、持ち球数が０であるか否かが判定される。（Ｓ３０２）。ステップＳ３０２においては、表示基板１０２２から持ち球数が０である旨を示す信号を受信しているか否かで持ち球数の判定が行われる。持ち球数が０である場合は（Ｓ３０２でＹＥＳ）、ステップＳ３０１が再実行される。つまり、持ち球数が０である場合には、球送りソレノイド１０１７によって遊技球１９が発射台１１１１へ送られることがなく、遊技球１９は発射装置１１８から発射されない。
【０１８９】
一方、持ち球数が０ではない場合は（Ｓ３０２でＮＯ）、遊技球発射処理が行われる（Ｓ３０３）。遊技球発射処理では、球送りソレノイド１０１７（図６、図８参照）が動作されて遊技球１９が発射台１１１１へ送られる。このときに減算センサ１０１１によって遊技球１９が検出されることになる。そして、発射ソレノイド１０１８（図６、図７参照）が、ハンドルボリューム１００７が検出したハンドル１０２６への操作に応じた強度で動作され、遊技球１９が発射される。
【０１９０】
そして、図４（ａ）を参照して説明した遊技機側増減数検出信号処理が実行される（Ｓ３０４）。具体的には、ステップＳ３０３において減算センサ１０１１が遊技球１９を検出することを契機として、遊技機側増減数検出信号処理が実行される。その後、ステップＳ３０１が再実行される。
【０１９１】
以上、本発明の実施形態について説明したが、上述の実施形態は具体例を例示したに過ぎず、特に本発明を限定するものではなく、具体的構成などは適宜設計変更可能である。また、上述の作用および効果は、本発明から生じる最も好適な作用および効果を列挙したに過ぎず、本発明による作用および効果は、本実施形態に記載されたものに限定されるものではない。
【０１９２】
例えば、本実施形態においては、複数の制御基板を備える構成としたが、例えば、これら複数の制御基板のすべてをワンボードに構成してもよい。
【０１９３】
なお、上述した実施形態においては、液晶表示装置付きのパチンコ遊技機を例に挙げたが、これに限らず、羽根モノ、ヒコーキモノと称されるパチンコ遊技機、権利モノと称されるパチンコ遊技機、その他別の態様であってもよい。
【０１９４】
以下、本発明の一実施形態に係る遊技機について、添付図面を参照しつつ説明する。なお、本発明に係る遊技機としては、封入式のパチンコ遊技機を含めパチンコ遊技機全般及びパチスロ遊技機全般を対象とするが、本実施形態ではそれぞれ図に示す形態のパチンコ遊技機を想定する。まず、本発明の第２実施形態に係る遊技機について以下に説明する。
【０１９５】
「第２実施形態」
＜遊技機の特徴的構成＞
図２０〜図２４に示すように、本実施形態に係るパチンコ遊技機は、表枠３に特徴的な構成要素を備えている。表枠３の構成要素としては、表枠ベース板を構成する右側ベース板３ａａ、左側ベース板３ａｂ及び全体ベース板３ａｃのほか、透明板ユニット７、皿ユニット８、トップ飾り１４、右側装飾部材１５、左側装飾部材１６がある。皿ユニット８は、全体ベース板３ａｃの下部に取り付けられる。トップ飾り１４は、右側ベース板３ａａ及び左側ベース板３ａｂの上部に取り付けられる。右側装飾部材１５は、右側ベース板３ａａの下部に取り付けられ、左側装飾部材１６は、左側ベース板３ａｂの下部に取り付けられる。以下に主たる特徴的な構成要素について図面を参照して説明する。
【０１９６】
＜皿ユニット８について＞
図２５〜図３３に示すように、皿ユニット８は、上皿上部カバー８ａ、下皿カバー８ｂ、アンダーカバー８ｃ、支持部材８ｄ、第１操作ユニット９Ａ、第２操作ユニット９Ｂ、スピーカユニット１０、送風機構１１０、発光ユニット１２、上皿１７、下皿１８等を有する。上皿１７は、支持部材８ｄの上部左寄りの位置に設けられ、第１操作ユニット９Ａは、上皿１７の右隣りとなる支持部材８ｄの上部中央の位置に設けられ、第２操作ユニット９Ｂは、第１操作ユニット９Ａの右隣りとなる支持部材８ｄの上部右寄りの位置に設けられる。下皿１８は、上皿１７の下方となる支持部材８ｄの下部左寄りの位置に設けられ、スピーカユニット１０は、下皿１８の右隣りとなる支持部材８ｄの下部中央の位置に設けられ、送風機構１１０は、スピーカユニット１０の右隣りとなる支持部材８ｄの下部右寄りの位置に設けられ、発光ユニット１２は、送風機構１１０の右隣りで発射装置２６の左隣りとなる支持部材８ｄの下部右寄りの位置に設けられる。第１操作ユニット９Ａ、第２操作ユニット９Ｂ、スピーカユニット１０、送風機構１１０、発光ユニット１２、上皿１７、及び下皿１８は、第１操作ユニット９Ａ及び第２操作ユニット９Ｂの後述する操作部材（操作ボタン）や上皿１７及び下皿１８の上面を露出させるように上皿上部カバー８ａ、下皿カバー８ｂ、アンダーカバー８ｃにより覆われる。上皿上部カバー８ａ、下皿カバー８ｂの一部、アンダーカバー８ｃは、着脱自在となっている。
【０１９７】
［上皿１７及び下皿１８］
上皿１７は、遊技球を貯留可能な上皿本体１７ｐ等のほか、上皿本体１７ｐに遊技球を払い出すための払出口１７０を有する。下皿１８は、遊技球を貯留可能な下皿本体１８ｐ等のほか、下皿本体１８ｐに遊技球を排出するための排出口１８０や、下皿本体１８ｐの下方外部に遊技球を落下させるための球抜き部１８１を有する。
【０１９８】
［第１操作ユニット９Ａ］
第１操作ユニット９Ａは、遊技者が操作可能な操作部材（操作ボタン）２０００のほか、押下検出センサ２０３５（図示略）や電飾基板２１８３（図示略）等を有する。第１操作ユニット９Ａの操作部材２０００は、上皿上部カバー８ａの中央に設けられた開口から露出し、操作部材２０００の押圧操作面が円形状に形成されている。この操作部材２０００は、後述する演出抽選テーブル（図４１参照）から明らかなように、比較的使用頻度が高い操作演出用のボタンとして設けられている。押下検出センサ２０３５及び電飾基板２１８３は、専用の図示しないハーネス等の配線を介して後述するサブ制御基板３３（図４０参照）に接続されている。これにより、操作部材２０００の押下操作に際しては、押下検出センサ２０３５による操作信号がサブ制御基板３３に供給される。
【０１９９】
［第２操作ユニット９Ｂ］
第２操作ユニット９Ｂは、球貸ボタン２３や返却ボタン２４とともに、遊技者が操作演出に際して操作するための押圧ボタン３０００や遊技者が選択操作するための十字ボタン３１００を共通基板３２００に実装して構成されたものである。球貸ボタン２３、返却ボタン２４、押圧ボタン３０００、及び十字ボタン３１００は、それぞれに対応して共通基板３２００に設けられた押下検出センサにより変位動作が検出される。共通基板３２００は、図示しないハーネス等の配線を介して後述するサブ制御基板３３やカードユニット装置ＣＵ（図４０参照）に接続されている。これにより、球貸ボタン２３や返却ボタン２４の押下操作に際しては、共通基板３２００から押下検出センサによる球貸操作信号や返却操作信号がカードユニット装置ＣＵに供給される一方、押圧ボタン３０００や十字ボタン３１００の押下操作に際しては、共通基板３２００から押下検出センサによる演出操作信号や選択操作信号がサブ制御基板３３に供給される。このような第２操作ユニット９Ｂの押圧ボタン３０００は、上皿上部カバー８ａの右寄りの位置に設けられた開口から露出し、押圧ボタン３０００の押圧操作面が四角形状に形成されている。この押圧ボタン３０００は、後述する演出抽選テーブル（図４１参照）から明らかなように、比較的使用頻度が低い操作演出用のボタンとして設けられている。ここで、十字ボタン３１００と押圧ボタン３０００とは、共に直線状の辺を備えた略四角形状で構成され、直線状の辺が互いに対向して配置されている。
【０２００】
［スピーカユニット１０］
スピーカユニット１０は、低音域の音を増幅するバスレフ型のものであり、スピーカ１０ｃ及びエンクロージャ１０ｅを有する。スピーカ１０ｃは、エンクロージャ１０ｅの前面に設けられており、下皿カバー８ｂの前面中央部に設けられたスピーカカバー１０ｋによってスピーカ１０ｃの前部が覆われる。スピーカ１０ｃの前部で発生した音は、スピーカカバー１０ｋを通って遊技者に直接伝わる一方、スピーカ１０ｃの後部で発生した音は、エンクロージャ１０ｅの内部に一旦籠る。
【０２０１】
エンクロージャ１０ｅは、スピーカ１０ｃの後部から発生した音をその前部から発生した音と干渉させないように封じ込めるものであり、比較的大きな容積をもつように形成されている。図３３に示すように、エンクロージャ１０ｅの左上部１０ｅａは、下皿１８の右側上方まで迫り出すように形成されている。また、エンクロージャ１０ｅの左上部１０ｅａは、上皿本体１７ｐの底部と接触するように配置される。さらに、エンクロージャ１０ｅの左下部１０ｅｂは、下皿本体１８ｐの右端部と接触するように配置される。
【０２０２】
図３５に示すように、エンクロージャ１０ｅの右下端部には、内部に設けられた導管（図示略）へと通じる開口１０ｅｃが設けられている。このような導管及び開口１０ｅｃは、いわゆるヘルムホルツ共鳴の原理により、スピーカ１０ｃの後部からエンクロージャ１０ｅの内部に発せられた音を共振・増強しつつ外部へと伝播する。開口１０ｅｃから外部へと伝播する音は、スピーカ１０ｃの前部から発せられた音と重なることにより、豊かで力強い低音として感じられる。また、スピーカ１０ｃから音が発生する際には、その音の発生に連動して開口１０ｅｃから外部へと空気が流出する。スピーカ１０ｃから音が発生していない状態では、開口１０ｅｃから外部へと空気が流出しない。
【０２０３】
このようなスピーカユニット１０によれば、エンクロージャ１０ｅの左上部１０ｅａが部分的に膨出した形状であるので、例えば直方体状のエンクロージャよりも容積を十分確保することができ、スピーカ１０ｃから十分な音圧で迫力のある低音を発生させることができる。
【０２０４】
また、スピーカ１０ｃから音を発生させる際には、それと同時にエンクロージャ１０ｅの開口１０ｅｃから外部へと十分な風圧で風を送出することができる。
【０２０５】
さらに、スピーカ１０ｃで音を発生させる際には、エンクロージャ１０ｅ全体が音圧に応じて振動するが、エンクロージャ１０ｅの左上部１０ｅａ及び左下部１０ｅｂが上皿本体１７ｐ及び下皿本体１８ｐの一部と接触しているので、その振動が上皿本体１７ｐや下皿本体１８ｐ全体にも伝わる。これにより、上皿本体１７ｐや下皿本体１８ｐに多くの遊技球が貯留されている場合にあっても、払出口１７０や排出口１８０から出てくる遊技球の球詰まりを振動によって効果的に防ぐことができる。
【０２０６】
［送風機構１１０］
送風機構１１０は、エンクロージャ１０ｅの開口１０ｅｃから送出される風の方向を切り替えるものであり、エンクロージャ１０ｅの右側面に隣接して配置される。図３６及び図３８に示すように、送風機構１１０は、左右に２分割可能なカバー部材１１０Ａ，１１０Ｂ、ソレノイド１１１、スライド部材１１２、リンク部材１１３、バネ１１４、開閉部材１１５、及び開閉検知センサ１１６を有する。ソレノイド１１１、スライド部材１１２、リンク部材１１３、バネ１１４、開閉部材１１５、及び開閉検知センサ１１６は、カバー部材１１０Ａ，１１０Ｂの内部に収容される。
【０２０７】
図３８及び図３９に示すように、カバー部材１１０Ａには、エンクロージャ１０ｅの開口１０ｅｃからまっすぐ向かう方面を開閉部材１１５が閉鎖・開放可能な空間部１１０ａが設けられている。空間部１１０ａの下方は、開閉部材１１５の閉鎖・開放に関係なく常に開放されており、アンダーカバー８ｃに設けられた通気口８ｃａが位置する（図３５参照）。図３６及び図３８に示すように、カバー部材１１０Ｂには、空間部１１０ａと対向する位置に開口部１１０ｂが設けられている。開口部１１０ｂの右側には、下皿カバー８ｂの一部として着脱自在の右下側面カバー８ｂａに設けられた送風口８０が位置する（図３１、図３４、図３５参照）。これにより、開閉部材１１５が空間部１１０ａを閉鎖した状態の場合、開口１０ｅｃから送出された風は、開閉部材１１５に当って遮られ、開口部１１０ｂを抜けることなく空間部１１０ａの下方へと導かれる。空間部１１０ａの下方へと導かれた風は、アンダーカバー８ｃの通気口８ｃａを通って外部へと送出される。一方、開閉部材１１５が空間部１１０ａを開放した状態の場合、開口１０ｅｃから送出された風は、開閉部材１１５に遮られることなく概ねまっすぐ流れ、空間部１１０ａ及び開口部１１０ｂを抜けた後、右下側面カバー８ｂａの送風口８０を通って外部へと送出される。送風口８０と概ねまっすぐ対向する位置には、発射装置２６の発射ハンドル２６ｂが配置されており、送風口８０から出た風は、発射ハンドル２６ｂを把持する遊技者の手に当たる。すなわち、開口１０ｅｃから空間部１１０ａ及び開口部１１０ｂ並びに送風口８０を経て発射ハンドル２６ｂへと風が流れる流路は、概ねまっすぐ形成されるので、発射ハンドル２６ｂを握る遊技者の手まで風圧をできる限り弱めることなく風を到達させることができ、遊技者に対して確実に風を感じさせることができる。また、開閉部材１１５の閉鎖・開放状態のいずれにしても、開口１０ｅｃから風と共に送出される音は、送風口８０あるいは通気口８ｃａのいずれかを通って外部に放出されるので、ヘルムホルツ共鳴による音響効果を低減させることなく重低音を十分体感させることができる。
【０２０８】
図３６〜図３９に示すように、ソレノイド１１１は、オン・オフ動作に連動して突出・退避可能なプランジャ１１１ａを有する。プランジャ１１１ａの先端部は、スライド部材１１２と連結されている。スライド部材１１２は、水平方向に沿って移動可能にカバー部材１１０Ａに支持されている。スライド部材１１２には、垂直方向に沿って長く伸びるように長孔１１２ａが形成されている。この長孔１１２ａには、リンク部材１１３の連結部１１３ａが移動自在に係止される。リンク部材１１３の基端部１１３ｂは、回転可能にカバー部材１１０Ａに支持され、リンク部材１１３の先端部寄りの部位には、バネ１１４の一端が係止される。バネ１１４の他端は、カバー部材１１０Ａの適部に係止されている。リンク部材１１３の先端部には、長孔１１３ｃが形成されている。この長孔１１３ｃには、開閉部材１１５に設けられた連結ピン１１５ａが移動自在に係止される。開閉部材１１５は、空間部１１０ａに留まる閉鎖位置と空間部１１０ａからずれた開放位置との間を移動可能にカバー部材１１０Ａに案内されている。開閉検知センサ１１６は、例えばタッチセンサあるいは近接センサにより構成され、開閉部材１１５が開放位置にあるとき、リンク部材１１３の一部が当接あるいは近接することにより、空間部１１０ａが開放状態にあることを検知する。開閉部材１１５が閉鎖位置にあるとき、リンク部材１１３が開閉検知センサ１１６から離間することにより、空間部１１０ａが閉鎖状態にあることを検知する。開閉検知センサ１１６は、サブ制御基板３３と電気的に接続されている。
【０２０９】
図３６及び図３７に示すように、ソレノイド１１１がオフ状態でプランジャ１１１ａが突出位置にあるとき、スライド部材１１２が図中左寄りに位置し、リンク部材１１３の先端部側がバネ１１４によって引っ張られる結果、その先端部の長孔１１３ｃに連結ピン１１５ａを介して連結された開閉部材１１５は、空間部１１０ａの閉鎖位置に留まり、空間部１１０ａを閉鎖状態とする。このとき、リンク部材１１３は、開閉検知センサ１１６から離間した位置にあるため、開閉検知センサ１１６からは、閉鎖状態を示す検知信号がサブ制御基板３３に供給される。
【０２１０】
一方、図３８及び図３９に示すように、ソレノイド１１１がオン状態となると、プランジャ１１１ａが突出位置から退避位置へと移動する。プランジャ１１１ａが退避位置へと移動すると、スライド部材１１２が図中右側へと移動し、それに伴いリンク部材１１３の先端部側がバネ１１４の引っ張り力に抗して基端部１１３ｂを軸に反時計回りの方向に回動する。その結果、リンク部材１１３の長孔１１３ｃに連結ピン１１５ａを介して連結された開閉部材１１５は、空間部１１０ａから図中右側の退避した位置へと移動し、これにより空間部１１０ａが開放状態となる。このとき、リンク部材１１３は、開閉検知センサ１１６と当接あるいは近接するため、開閉検知センサ１１６からは、開放状態を示す検知信号がサブ制御基板３３に供給される。
【０２１１】
このような送風機構１１０によれば、開口１０ｅｃから送風口８０を経て発射ハンドル２６ｂへと至る風の流路が概ね直線状となり、この開口１０ｅｃと送風口８０との間に位置する空間部１１０ａが閉鎖・開放状態に制御され、空間部１１０ａを閉鎖状態とした場合、開口１０ｅｃからの風の流れを空間部１１０ａの下方に位置する通気口８ｃａへと導くことができる一方、空間部１１０ａを開放状態とした場合、開口１０ｅｃからの風の流れを空間部１１０ａから開口部１１０ｂを通ってまっすぐ送風口８０へと直線的に導くことができる。送風口８０を出た風は、さらにまっすぐ直線的に発射ハンドル２６ｂの方へと流れ、発射ハンドル２６ｂを把持する遊技者の手に当たることとなる。これにより、重低音を聞く聴覚とともに皮膚感覚によって風を感じさせることができる。開口１０ｅｃからの風が通気口８ｃａへと導かれる場合、通気口８ｃａ付近に遊技者の手が添えられることはないため、例えば風を感じさせずに聴覚によって重低音のみを感じさせることができる。
【０２１２】
［発光ユニット１２］
発光ユニット１２は、発射ハンドル２６ｂを把持する遊技者の手に照射光を当てるものであり、発射ハンドル２６ｂの左斜め上方に配置される。発光ユニット１２は、その詳細について図示説明を省略するが、発光手段としての複数のＬＥＤ、複数のＬＥＤを搭載した発光基板、複数のＬＥＤからの光を所定方向に導くための導光板等を有して構成される。図３２及び図３３に示すように、発光ユニット１２からの光が導かれる所定方向には、下皿カバー８ｂの一部として着脱自在の右上側面カバー８ｂｂに設けられた照射窓８１が設けられている。発光ユニット１２からの光は、照射窓８１を通って発射ハンドル２６ｂの方に照射され、発射ハンドル２６ｂを把持する遊技者の手にスポットライトとして映る。これにより、皮膚感覚に訴える風や聴覚に訴える重低音とは別に、照射光によっても視覚を刺激して感じさせることができる。
【０２１３】
［遊技機の電気的構成］
次に、図４０を用いて、本実施形態に係る遊技機の制御回路について説明する。なお、図４０においては、「スイッチ」を「ＳＷ」と略記し、「ソレノイド」を「ＳＯＬ」と略記する。
【０２１４】
図４０に示すように、遊技機は、遊技の制御を行う主制御手段としての主制御基板２８と、遊技の進行に応じた演出の制御を行う副制御手段としてのサブ制御基板３３とを有する。
【０２１５】
主制御基板２８は、メインＣＰＵ２８０、読み出し専用メモリであるメインＲＯＭ２８１、読み書き可能メモリであるメインＲＡＭ２８２、初期リセット回路２８３、Ｉ／Ｏポート２８４、コマンド送信手段としてのコマンド出カポート２８５、リセット用クロックパルス発生回路２８６、及び遊技情報出力回路２８７を備えている。主制御基板２８は、各種のデバイス（機器やスイッチ等）と接続されている。
【０２１６】
メインＣＰＵ２８０は、メインＲＯＭ２８１及びメインＲＡＭ２８２と接続されており、メインＲＯＭ２８１に記憶されたプログラムにしたがって、各種の処理を実行する機能を有する。
【０２１７】
主制御基板２８には、遊技盤１における第１始動口（図示略）の後方に配置された第１始動口スイッチ３１１が接続されている。第１始動口スイッチ３１１によって遊技球が検出されると、当り抽選が行われる。
【０２１８】
主制御基板２８には、遊技盤１における第２始動口（図示略）の後方に配置された第２始動口スイッチ３１２が接続されている。第２始動口スイッチ３１２によって遊技球が検出されると、当り抽選が行われる。
【０２１９】
これらの第１始動口スイッチ３１１及び第２始動口スイッチ３１２は、第１始動口及び第２始動口に遊技球が入球したことを検出した場合に入賞したとして、所定の検出信号を主制御基板２８に供給する。
【０２２０】
主制御基板２８には、遊技盤１における通過ゲート（図示略）の後方に配置された通過ゲートスイッチ３１４が接続されている。通過ゲートスイッチ３１４によって遊技球が検出された場合、通過ゲートに遊技球が入賞したとして、普通図柄抽選が行われる。この普通図柄抽選の結果は、遊技盤１に設けられた普通図柄表示部５Ａにおいて表示される。なお、普通図柄表示部５Ａにおいて特定の図柄が停止表示された場合には、普通図柄抽選の結果が当選であることを遊技者に把握させる演出画像が液晶表示装置４の画面上に表示されるようにしてもよい。
【０２２１】
通過ゲートスイッチ３１４は、通過ゲートを遊技球が通過したことを検出した場合に入賞したとして、所定の検出信号を主制御基板２８に供給する。これにより、通過ゲートスイッチ３１４は、第２始動口を開放する契機を与える。
【０２２２】
主制御基板２８には、遊技盤１に設けられた一般入賞口（図示略）の後方に配置された一般入賞口スイッチ３１０が接続されている。一般入賞口スイッチ３１０によって遊技球が検出されると、払出装置３５により予め設定されている数の賞球が行われる。
【０２２３】
主制御基板２８には、遊技盤１における第１大入賞口（図示略）の奥方に配置された第１大入賞口カウントスイッチ３１５が接続されている。第１大入賞口カウントスイッチ３１５は、第１大入賞口への遊技球の入賞数をカウントするためのものである。第１大入賞口カウントスイッチ３１５により遊技球の入賞が検出されると、払出装置３５は、予め設定されている数の遊技球を賞球として払出口１７０又は排出口１８０を通じて上皿１７又は下皿１８に払い出しを行う。
【０２２４】
主制御基板２８には、遊技盤１における第２大入賞口（図示略）の奥方に配置された第２大入賞口カウントスイッチ３１６が接続されている。第２大入賞口カウントスイッチ３１６は、第２大入賞口への遊技球の入賞数をカウントするためのものである。第２大入賞口カウントスイッチ３１６により遊技球の入賞が検出されると、払出装置３５は、予め設定されている数の遊技球を賞球として払出口１７０又は排出口１８０を介して上皿１７又は下皿１８に払い出しを行う。
【０２２５】
これらの第１大入賞口カウントスイッチ３１５及び第２大入賞口カウントスイッチ３１６は、第１大入賞口及び第２大入賞口を遊技球が通過した場合に、所定の検出信号を主制御基板２８に供給する。
【０２２６】
主制御基板２８には、第２大入賞口の内部にある特定領域及び非特定領域（図示略）に配置された特定領域スイッチ３１７Ａ及び非特定領域スイッチ３１７Ｂが接続されている。特定領域スイッチ３１７Ａは、大当り遊技状態において特定領域を遊技球が通過したことを検出した場合にＶ入賞として、所定の検出信号を主制御基板２８に供給する。非特定領域スイッチ３１７Ｂは、大当り遊技状態において非特定領域を遊技球が通過したことを検出した場合に非Ｖ入賞として、所定の検出信号を主制御基板２８に供給する。
【０２２７】
主制御基板２８は、第１大入賞口を開閉する第１大入賞口シャッタ（図示略）を駆動する第１大入賞口ソレノイド３１５Ａと、第２大入賞口を開閉する第２大入賞口シャッタ（図示略）を駆動する第２大入賞口ソレノイド３１６Ａとを排他的に制御する。これにより、第１大入賞口シャッタは、第１大入賞口への遊技球の入賞が容易な開放状態（第１態様）と、遊技球の入賞が不可能又は困難な閉鎖状態（第２態様）とに変動するように駆動され、第１大入賞口が少なくとも閉鎖状態とされる状況において、第２大入賞口シャッタは、第２大入賞口への遊技球の入賞が可能な開放状態と、遊技球の入賞が不可能又は困難な閉鎖状態とに変動するように駆動される。このような第１大入賞口シャッタ及び第２大入賞口シャッタによる第１大入賞口及び第２大入賞口の開放駆動は、遊技盤１に設けられた第１特別図柄表示部５Ｃ又は第２特別図柄表示部５Ｄにおいて特別図柄が特定の停止表示態様となって、大当り遊技状態に移行された場合に行われる。
【０２２８】
主制御基板２８は、第２始動口に設けられた羽根部材（図示略）を開閉する羽根部材ソレノイド３１３を制御する。これにより、普通図柄表示部５Ａにおいて所定の発光態様で普通図柄が停止表示されたときに、羽根部材が所定の時間、所定の回数だけ開放状態となり、第２始動口に遊技球を入りや易くなる。
【０２２９】
例えば、本実施形態の普通図柄ゲームにおいて、時短遊技状態ではない遊技状態（非確変・非時短遊技状態）における普通図柄の当り確率は、１／２５６であり、羽根部材が開放されることはない。一方、高確率状態（時短遊技状態）における普通図柄の当り確率は、例えば２５５／２５６であり、これに当選した場合に、羽根部材が例えば１．３秒間、３回開放される。また、普通図柄ゲームにおいて当り図柄となる普通図柄の数は１個であり、第２始動口の開放時に上限となる入賞カウント数は１０カウント（１０個）である。
【０２３０】
主制御基板２８は、第２大入賞口内の特定領域の変位部材（図示略）を開閉するように動作させる変位部材ソレノイド３１８を制御する。これにより、大当り遊技状態のラウンドゲームを実行中にある場合に、変位部材が所定の時間、所定の回数だけ開放状態となり、特定領域に対して遊技球が通過し易くなる。一方、大当り遊技状態であっても変位部材が閉鎖状態となる場合は、特定領域を遊技球が通過不可能又は困難となり、非特定領域を遊技球が通過し易くなる。
【０２３１】
第１特別図柄保留表示部５Ｅは、第１特別図柄表示部５Ｃ又は第２特別図柄表示部５Ｄが変動表示しているときに、第１始動口スイッチ３１１によって遊技球が検出された場合、第１特別図柄表示部５Ｃ又は第２特別図柄表示部５Ｄにおいて変動表示中の第１特別図柄又は第２特別図柄が停止表示されるまで、第１始動口への遊技球の入賞に基づく第１特別図柄の変動表示の実行（開始）が保留される数、すなわち第１特別図柄に係る保留数を表示する。変動表示していた第１特別図柄又は第２特別図柄が停止表示された場合には、第１特別図柄に係る保留数として保留されていた第１特別図柄の変動表示が開始される。
【０２３２】
第２特別図柄保留表示部５Ｆは、第１特別図柄表示部５Ｃ又は第２特別図柄表示部５Ｄが変動表示しているときに、第２始動口スイッチ３１２によって遊技球が検出された場合、第１特別図柄表示部５Ｃ又は第２特別図柄表示部５Ｄにおいて変動表示中の第１特別図柄又は第２特別図柄が停止表示されるまで、第２始動口への遊技球の入賞に基づく第２特別図柄の変動表示の実行（開始）が保留される数、すなわち第２特別図柄に係る保留数を表示する。変動表示していた第１特別図柄又は第２特別図柄が停止表示された場合には、第２特別図柄に係る保留数として保留されていた第２特別図柄の変動表示が開始される。
【０２３３】
ここで、本実施形態のパチンコ遊技機において、第１特別図柄及び第２特別図柄の変動表示の優先順位は、第２特別図柄の方が第１特別図柄よりも優先するように設定されているが、第１始動口及び第２始動口への入賞順にしたがって、対応する第１特別図柄及び第２特別図柄を入賞順通りに変動表示させるようにしてもよい。
【０２３４】
また、特別図柄の変動表示の実行が保留される保留数には、上限数が設定されており、本実施形態において、メインＣＰＵ２８０は、第１始動口及び第２始動口に遊技球が入賞して第１始動口スイッチ３１１及び第２始動口スイッチ３１２によって遊技球が検出されたときの第１特別図柄及び第２特別図柄の変動表示の保留数を、それぞれ最大で４個（すなわち、４検出回数）まで記憶させており、５個目以降は保留数として記憶させないようになっている。この際、特別図柄の変動表示の終了により保留数が減った時には、再び保留数が４個を上限として加算される。
【０２３５】
第１特別図柄表示部５Ｃにおける第１特別図柄ゲームの保留数が例えば４個まで保留される場合、変動中の第１特別図柄表示部５Ｃに対応する特別図柄ゲームの情報は、メインＲＡＭ２８２の第１特別図柄始動記憶領域（０）に始動記憶として記憶され、以降、保留数が４個分の特別図柄ゲームの情報は、メインＲＡＭ２８２の第１特別図柄始動記憶領域（１）〜（４）に始動記憶として順次記憶される。
【０２３６】
第２特別図柄表示部５Ｄにおける第２特別図柄ゲームについても同様に、第２特別図柄ゲームの保留数が例えば４個まで保留される場合、変動中の第２特別図柄表示部５Ｄに対応する第２特別図柄ゲームの情報は、メインＲＡＭ２８２の第２特別図柄始動記憶領域（０）に始動記憶として記憶され、以降、保留数が４個分の第２特別図柄ゲームの情報は、メインＲＡＭ２８２の第２特別図柄始動記憶領域（１）〜（４）に始動記憶として順次記憶される。
【０２３７】
したがって、第１始動口及び第２始動口への入賞に伴う特別図柄ゲームに係る遊技球の保留数は、合計で最大８個となり、第１特別図柄保留表示部５Ｅ及び第２特別図柄保留表示部５Ｆによる保留表示数もそれぞれ４個となる。
【０２３８】
第１大入賞口シャッタによる第１大入賞口の開放状態は、第１大入賞口カウントスイッチ３１５によるカウント値（遊技球の入賞数）が所定数（例えば、入賞数１０個）となるか、あるいは予め規定された後述の開放時間を経過するといったいずれか一方の条件を満たすまで維持される。遊技球の入賞数が所定数となった場合、又は第１大入賞口シャッタの開放時間が経過した場合は、第１大入賞口シャッタが第１大入賞口を閉鎖するように駆動される。
【０２３９】
第２大入賞口シャッタによる第２大入賞口の開放状態も同様に、第２大入賞口カウントスイッチ３１６によるカウント値（遊技球の入賞数）が所定数（例えば、入賞数１０個）となるか、あるいは予め規定された後述の開放時間を経過するといったいずれか一方の条件を満たすまで維持される。遊技球の入賞数が所定数となった場合、又は第２大入賞口シャッタの開放時間が経過した場合は、第２大入賞口シャッタが第２大入賞口を閉鎖するように駆動される。
【０２４０】
大当り遊技状態では、予め設定された大入賞口開閉パターン（当り開閉パターン）に基づき、第１大入賞口及び第２大入賞口の開放状態と閉鎖状態とが繰り返される。大当り遊技状態において、第１大入賞口及び第２大入賞口のそれぞれが大入賞口開閉パターン（当り開閉パターン）に基づいて所定回数にわたり開放状態及び閉鎖状態となる遊技は、「ラウンドゲーム（ラウンド遊技）」という。ラウンドゲーム（ラウンド遊技）は、単にラウンドという場合もある。１回のラウンドゲームにより第１大入賞口又は第２大入賞口が閉鎖状態とされてから、次回のラウンドゲームとして第１大入賞口又は第２大入賞口が開放状態となるまでの状態については、「ラウンド間ゲーム」又は「ラウンド間インターバル」あるいは単に「インターバル」ともいう。１回のラウンドゲームにおいては、第１大入賞口及び第２大入賞口のそれぞれが複数回にわたり開放状態及び閉鎖状態となる場合がある。また、１回のラウンドゲームでは、第１大入賞口及び第２大入賞口の開閉状態が排他的に制御される。すなわち、１回のラウンドゲームにおいては、一方の大入賞口が所定回数繰り返し開放状態となる間、他方の大入賞口が継続して閉鎖状態とされる。
【０２４１】
なお、本実施形態の遊技機には、大当り遊技状態とは異なる性質の遊技状態として、いわゆる小当り遊技状態が設けられている。小当り遊技状態は、大当り遊技状態とは異なりラウンドゲームという概念によって規定されず、本実施形態の小当り遊技状態では、第２大入賞口が所定回数繰り返し開放状態とされるように規定されている。もちろん、小当り遊技状態においては、任意あるいは特定の大入賞口を１回あるいは複数回数にわたり繰り返し開放状態となるように制御してもよい。この小当り遊技状態とは、特別図柄抽選による小当りの当選を契機に移行する遊技状態である。小当り遊技状態に移行する前とその終了後においては、基本的に遊技状態が変化しない。例えば、非確変遊技状態において小当り当選となって小当り遊技状態に移行した場合、この小当り遊技状態の終了後の遊技状態は、小当り遊技状態に移行する前の非確変遊技状態のままであり、確変遊技状態に移行することはない。同様に、確変遊技状態において小当り当選となって小当り遊技状態に移行した場合、この小当り遊技状態の終了後の遊技状態は、確変遊技状態のゲーム数が残存する限り、小当り遊技状態に移行する前の確変遊技状態のままであり、非確変遊技状態に移行することもない。
【０２４２】
ラウンドゲームは、１ラウンド、２ラウンドのようにラウンド数（回数）として計数される。１回のラウンドゲームにおいて、第１大入賞口又は第２大入賞口が所定回数開放状態となる前に、１ラウンドあたりの上限入賞数に到達した場合は、第１大入賞口及び第２大入賞口が閉鎖状態となり、残りの開放回数分について第１大入賞口及び第２大入賞口が開放状態とされることなく、当該ラウンドゲームが終了させられる。
【０２４３】
また、大当り遊技状態において第２大入賞口が開放状態となる特定のラウンドゲームでは、予め設定された作動パターン（変位部材作動パターン）に基づき、変位部材が制御される。これにより、特定領域は、大当り遊技状態の特定のラウンドゲームにおいて、開放状態及び閉鎖状態となる。すなわち、特定のラウンドゲームにおいては、特定領域を遊技球が通過してＶ入賞となる可能がある一方、特定のラウンドゲーム以外のラウンドゲームでは、仮に第２大入賞口に遊技球が入賞したとしても、特定領域を遊技球が通過不可能又は困難な状態となる。すなわち、大当り遊技状態の種類には、特定のラウンドゲームを含む大当り遊技状態と、特定のラウンドゲームを含まない大当り遊技状態とがある。
【０２４４】
液晶表示装置４の画面上には、第１特別図柄表示部５Ｃ及び第２特別図柄表示部５Ｄにおいて表示される特別図柄と関連する演出画像が表示される。例えば、第１特別図柄表示部５Ｃ及び第２特別図柄表示部５Ｄで表示される特別図柄の変動表示中において、特定の場合を除いて、液晶表示装置４の画面上には、数字からなる図柄（装飾図柄）、例えば、「０」、「１」、「２」・・・「７」のような数字が３列変動表示される。
【０２４５】
一方、第１特別図柄表示部５Ｃ及び第２特別図柄表示部５Ｄにおいて変動表示されていた特別図柄が停止表示されると、液晶表示装置４の画面上においても装飾図柄が停止表示される。
【０２４６】
また、第１特別図柄表示部５Ｃ及び第２特別図柄表示部５Ｄにおいて、変動、停止された特別図柄が特定の停止表示態様である場合には、「大当り」であることを遊技者に把握させる演出画像が液晶表示装置４の画面上に表示される。
【０２４７】
具体的には、第１特別図柄表示部５Ｃ及び第２特別図柄表示部５Ｄのいずれか一方において特別図柄が、例えば「大当り」に対応する特定の表示態様で停止表示された場合には、液晶表示装置４の画面上に表示される演出用の装飾図柄の組み合わせが特定の表示態様（例えば、複数の図柄列のそれぞれに同一の図柄がすべて揃った状態で停止表示される態様）となり、さらに、大当り用の演出画像が液晶表示装置４の画面上に表示される。
【０２４８】
このような主制御基板２８のメインＣＰＵ２８０は、遊技領域１ｐにおける所定の領域（第１始動口、第２始動口）を遊技球が通過した場合に、遊技者に有利な特別遊技（大当り遊技状態）を実行するか否かを抽選可能な抽選手段を実現している。
【０２４９】
メインＲＯＭ２８１は、大当り抽選や図柄抽選等といった各種の処理をメインＣＰＵ２８０に実行させるためのプログラムや、各種テーブルを記憶している。
【０２５０】
例えば、図４１に示すように、メインＲＯＭ２８１に記憶されたテーブルとしては、大当り抽選テーブルや図柄抽選テーブルがある。大当り抽選テーブルは、大当り抽選を乱数抽選により行う際に用いられ、例えば乱数範囲０〜２５５のうち、０〜２５４の乱数値が抽出されるとハズレで、２５５の乱数値が抽出されると大当りの当選となる旨を規定している。図柄抽選テーブルは、大当り当選の際、第１特別図柄（特図１）及び第２特別図柄（特図２）を乱数抽選により決定付けるために用いられる。このような図柄抽選テーブルは、例えば、第１特別図柄（特図１）に関し、乱数範囲０〜９９のうち、０〜３５の乱数値が抽出されると４Ｒ通常大当りに対応する４Ｒ通常図柄を決定し、３６〜６５の乱数値が抽出されると１６Ｒ通常大当りに対応する１６Ｒ通常図柄を決定し、６６〜８５の乱数値が抽出されると４Ｒ確変大当りに対応する４Ｒ確変図柄を決定し、８６〜９９の乱数値が抽出されると１６Ｒ確変大当りに対応する１６Ｒ確変図柄を決定する旨を規定している。また、図柄抽選テーブルは、例えば、第２特別図柄（特図１）に関し、乱数範囲０〜９９のうち、０〜３３の乱数値が抽出されると４Ｒ確変大当りに対応する４Ｒ確変図柄を決定し、３４〜９９の乱数値が抽出されると１６Ｒ確変大当りに対応する１６Ｒ確変図柄を決定する旨を規定している。
【０２５１】
メインＲＡＭ２８２は、メインＣＰＵ２８０の一時記憶領域として、種々のデータ（フラグ、カウンタ、タイマ、及び変数の値等）を記憶する機能を有する。メインＣＰＵ２８０の一時記憶領域としては、メインＲＡＭ２８２に代えて、他の読み書き可能な記憶媒体を用いることもできる。
【０２５２】
初期リセット回路２８３は、電源投入時においてリセット信号を生成するものであり、メインＣＰＵ２８０に接続されている。
【０２５３】
Ｉ／Ｏポート２８４は、各種のデバイスからの入力信号をメインＣＰＵ２８０に、メインＣＰＵ２８０からの出力信号を各種のデバイスに送信するものである。
【０２５４】
コマンド出カポート２８５は、メインＣＰＵ２８０からの各種コマンドをサブ制御基板３３に送信するものである。
【０２５５】
リセット用クロックパルス発生回路２８６は、タイマ割込処理を実行するためのクロックパルスを所定の周期（たとえば２ｍｓｅｃ）毎に発生するものである。
【０２５６】
遊技情報出力回路２８７は、外部接続されたホールコンピュータＨＰや外部情報表示装置ＥＤに各種の情報を出力するためのものである。
【０２５７】
主制御基板２８に接続される各種のデバイスには、第１大入賞口ソレノイド３１５Ａ、第２大入賞口ソレノイド３１６Ａ、羽根部材ソレノイド３１３、変位部材ソレノイド３１８、及び外部端子板３２０が含まれる。
【０２５８】
外部端子板３２０は、略して外端板と称され、ホール係員を呼び出す機能や大当り回数を表示するといった機能を有する外部情報表示装置ＥＤ、あるいはホールに設置された複数の遊技機を管理するホールコンピュータＨＰ等の外部機器との間でデータ通信するためのものである。
【０２５９】
主制御基板２８に接続される各種のスイッチには、一般入賞口スイッチ３１０、第１始動口スイッチ３１１、第２始動口スイッチ３１２、通過ゲートスイッチ３１４、第１大入賞口カウントスイッチ３１５、第２大入賞口カウントスイッチ３１６、特定領域スイッチ３１７Ａ、非特定領域スイッチ３１７Ｂ、及びバックアップクリアスイッチ３１９が含まれる。
【０２６０】
バックアップクリアスイッチ３１９は、電断時等における主制御基板２８及び後述する払出・発射制御基板３４のバックアップデータを、ホール管理者の操作に応じてクリアするものである。
【０２６１】
また、主制御基板２８には、払出・発射制御基板３４を介して、発射装置２６、払出装置３５、及びカードユニット装置ＣＵが接続されている。
【０２６２】
主制御基板２８は、払出・発射制御基板３４に賞球制御コマンドを送信する。払出・発射制御基板３４は、主として発射装置２６及び払出装置３５を制御するものであり、発射装置２６、払出装置３５、及びカードユニット装置ＣＵが接続されている。
【０２６３】
カードユニット装置ＣＵは、遊技者の操作に応じて遊技球の貸し出しを要求する信号を出力する第２操作ユニット９Ｂと接続されており、この第２操作ユニット９Ｂとの間で信号を送受信可能である。
【０２６４】
払出・発射制御基板３４は、主制御基板２８から供給される賞球制御コマンドと、カードユニット装置ＣＵから供給される貸し球制御信号とを受け取り、払出装置３５に対して所定の信号を送信することにより、払出装置３５に遊技球を払い出させる。払出装置３５は、例えば、第１始動口又は第２始動口への入賞１個あたり賞球数として３個の遊技球を払い出し、一般入賞口や第１大入賞口又は第２大入賞口への入賞１個あたり賞球数として１０個の遊技球を払い出す。
【０２６５】
払出・発射制御基板３４は、発射装置２６の発射ハンドル２６ｂが遊技者によって把持され、かつ、時計回りの方向へ回動操作された場合に、その回動量に応じて発射ソレノイド（図示略）に電力を供給し、遊技球を遊技領域１ｐに向けて発射させる制御を行う。
【０２６６】
サブ制御基板３３は、主制御基板２８に接続されており、主制御基板２８から各種のコマンドが供給されるように構成されている。
【０２６７】
サブ制御基板３３は、主制御基板２８から供給される各種のコマンドに応じて、各種の制御、主として演出動作に係る制御を行うものであり、サブＣＰＵ３３０、プログラムＲＯＭ３３１、ワークＲＡＭ３３２、コマンド入力ポート３３３、リアルタイムクロック（以下、「ＲＴＣ：Ｒｅａｌ−Ｔｉｍｅ  Ｃｌｏｃｋ」という）３３４、表示制御回路３３５、音響制御回路３３６、発光制御回路３３７、及び演出装置制御回路３３８を有する。表示制御回路３３５には、液晶表示装置４が接続されている。音響制御回路３３６には、スピーカ１０ａ，１０ｂ，１０ｃが接続されている。発光制御回路３３７には、ランプや各種のＬＥＤ（図４０においては、まとめてランプ・ＬＥＤ２６０と表記）が接続されている。演出装置制御回路３３８は、各種の可動演出役物や可動部材の可動機構（図４０においては、まとめて可動演出装置２７０と表記）が接続されている。
【０２６８】
また、サブ制御基板３３は、第１操作ユニット９Ａと接続され、当該第１操作ユニット９Ａに設けられたセンサ類（図示略）からの信号が入力可能とされる。例えば、操作部材（操作ボタン）２０００が押下された状態を押下検出センサが検出すると、この押下検出センサからサブ制御基板３３に操作部材２０００の操作に応じた操作信号が入力される。サブ制御基板３３はまた、第２操作ユニット９Ｂと接続され、当該第２操作ユニット９Ｂに設けられたセンサ類（図示略）からの信号が入力可能とされる。例えば、押圧ボタン３０００が押下された状態を押下検出センサが検出すると、この押下検出センサからサブ制御基板３３に押圧ボタン３０００の操作に応じた操作信号が入力される。
【０２６９】
サブＣＰＵ３３０は、プログラムＲＯＭ３３１に記憶されたプログラムにしたがって、各種の処理、主として演出動作に係る処理を実行するものである。液晶表示装置４は、表示手段として機能する。特に、サブＣＰＵ３３０は、主制御基板２８から供給される各種のコマンドにしたがって、サブ制御基板３３全体の制御を行う。
【０２７０】
プログラムＲＯＭ３３１は、サブＣＰＵ３３０が主として各種演出を制御するためのプログラムや各種のテーブルを記憶している。
【０２７１】
例えば、図４１に示すように、プログラムＲＯＭ３３１に記憶されたテーブルとしては、演出抽選テーブルがある。演出抽選テーブルは、例えば、スピーカユニット１０及び送風機構１１０を用いた送風に係る演出（送風演出）、発光ユニット１２を用いた光照射に係る演出（光照射演出）、操作部材２０００あるいは押圧ボタン３０００を用いた操作演出（第１操作演出、第２操作演出）といった各種演出の実行有無を決定するための演出抽選を乱数抽選により行う際に用いられる。なお、送風演出が実行される際は、それと同時にスピーカ１０ｃを用いて低音を発生させる音響演出も実行される。第１操作演出は、第１操作ユニット９Ａの操作部材２０００を用いた演出であり、第２操作演出は、第２操作ユニット９Ｂの押圧ボタン３０００を用いた演出である。
【０２７２】
具体的に、演出抽選テーブルは、大当り抽選によるハズレ、４Ｒ通常大当りの当選、１６Ｒ通常大当りの当選、４Ｒ確変大当りの当選、１６Ｒ確変大当りの当選といった場合に、送風演出、光照射演出、操作演出の各演出を実行させるか否かを乱数抽選（乱数範囲０〜９９による抽選）により決定するための抽籤値を規定している。
【０２７３】
このような演出抽選テーブルによれば、送風演出については、大当り抽選結果がハズレの場合、必ず０〜９９の乱数値が抽出されることで「演出なし」が決定され、４Ｒ通常大当りの場合、０〜３０の乱数値が抽出されると「演出なし」が決定される一方、３１〜９９の乱数値が抽出されると「演出あり」が決定され、１６Ｒ通常大当りの場合、０〜９５の乱数値が抽出されると「演出なし」が決定される一方、９６〜９９の乱数値が抽出されると「演出あり」が決定され、４Ｒ確変大当りの場合、０〜５０の乱数値が抽出されると「演出なし」が決定される一方、５１〜９９の乱数値が抽出されると「演出あり」が決定され、１６Ｒ確変大当りの場合、０〜５０の乱数値が抽出されると「演出なし」が決定される一方、５１〜９９の乱数値が抽出されると「演出あり」が決定される。
【０２７４】
光照射演出については、大当り抽選結果がハズレの場合、０〜９０の乱数値が抽出されると「演出なし」が決定される一方、９１〜９９の乱数値が抽出されると「演出あり」が決定され、４Ｒ通常大当りの場合、０〜９０の乱数値が抽出されると「演出なし」が決定される一方、９１〜９９の乱数値が抽出されると「演出あり」が決定され、１６Ｒ通常大当りの場合、必ず０〜９９の乱数値が抽出されることで「演出あり」が決定され、４Ｒ確変大当りの場合、０〜９０の乱数値が抽出されると「演出なし」が決定される一方、９１〜９９の乱数値が抽出されると「演出あり」が決定され、１６Ｒ確変大当りの場合、必ず０〜９９の乱数値が抽出されることで「演出あり」が決定される。
【０２７５】
第１操作演出については、大当り抽選結果がハズレの場合、０〜９５の乱数値が抽出されると「演出なし」が決定される一方、９６〜９９の乱数値が抽出されると「演出あり」が決定され、４Ｒ通常大当りの場合、０〜５０の乱数値が抽出されると「演出なし」が決定される一方、５１〜９９の乱数値が抽出されると「演出あり」が決定され、１６Ｒ通常大当りの場合、０〜５０の乱数値が抽出されると「演出なし」が決定される一方、５１〜９９の乱数値が抽出されると「演出あり」が決定され、４Ｒ確変大当りの場合、０〜８５の乱数値が抽出されると「演出なし」が決定される一方、８６〜９９の乱数値が抽出されると「演出あり」が決定され、１６Ｒ確変大当りの場合、０〜９５の乱数値が抽出されると「演出なし」が決定される一方、９６〜９９の乱数値が抽出されると「演出あり」が決定される。
【０２７６】
第２操作演出については、大当り抽選結果がハズレの場合、必ず０〜９９の乱数値が抽出されることで「演出なし」が決定され、４Ｒ通常大当りの場合、０〜９７の乱数値が抽出されると「演出なし」が決定される一方、９８〜９９の乱数値が抽出されると「演出あり」が決定され、１６Ｒ通常大当りの場合、必ず０〜９９の乱数値が抽出されることで「演出なし」が決定され、４Ｒ確変大当りの場合、０〜９０の乱数値が抽出されると「演出なし」が決定される一方、９１〜９９の乱数値が抽出されると「演出あり」が決定され、１６Ｒ確変大当りの場合、０〜６０の乱数値が抽出されると「演出なし」が決定される一方、６１〜９９の乱数値が抽出されると「演出あり」が決定される。
【０２７７】
このような演出抽選テーブルによれば、送風演出、光照射演出、第１操作演出、第２操作演出といった演出が同時に発生する組み合わせパターンが、ハズレあるいは大当りの種類に応じて確率的に異なる。すなわち、発生する演出の組み合わせパターンに応じてハズレや大当りの種類について見当をつけやすくすることができる。
【０２７８】
また、操作演出についての規定内容からも明らかなように、第２操作ユニット９Ｂの押圧ボタン３０００を用いた第２操作演出よりも、第１操作ユニット９Ａの操作部材２０００を用いた第１操作演出の方が出現頻度が高くなっている。すなわち、第１操作演出において用いられる操作部材２０００よりも第２操作演出において用いられる押圧ボタン３０００の方が使用頻度が低いので、押圧ボタン３０００の近隣に配置される操作演出とは関係ない十字ボタン３１００といったボタンの誤操作を未然に防ぐとともに、使用頻度の高い操作部材２０００を独立した操作ユニットに備えることで配線や基板を簡易に専用設計することができる。
【０２７９】
ワークＲＡＭ３３２は、サブＣＰＵ３３０の一時記憶領域として種々のデータ（フラグ、カウンタ、タイマ、及び変数の値等）を記憶するものである。
【０２８０】
コマンド入力ポート３３３は、主制御基板２８のメインＣＰＵ２８０から送信された各種コマンドを受信し、サブＣＰＵ３３０へと伝えるものである。
【０２８１】
ＲＴＣ３３４は、現在の日付を示す日付信号や現在の時刻を示す時刻信号をサブＣＰＵ３３０に入力する。ＲＴＣ３３４は、通常、遊技機本体に電源が供給されているときには遊技機本体からの電源によって動作し、遊技機本体の電源が切られているときには、電源基板（図示略）に搭載されたバックアップ電源から供給される電源によって動作する。これにより、ＲＴＣ３３４は、遊技機本体の電源が切られている場合であっても現在の日時を計時することができる。なお、ＲＴＣは、サブ制御基板上に設けた電池によって動作するようにしてもよい。また、ＲＴＣに代わるものとしては、バックアップＲＡＭとしての機能を有するワークＲＡＭに設けたカウンタを、所定時間ごと（例えば２ｍｓ毎）にカウントアップすることによって時間を計時する手段として用いてもよい。
【０２８２】
表示制御回路３３５は、サブＣＰＵ３３０から供給されるデータに応じて、液晶表示装置４における表示制御を行うためのものであり、例えば画像データプロセッサ（ＶＤＰ）と、各種の画像データを生成するためのデータが記憶されている画像データＲＯＭと、画像データを一時記憶するフレームバッファと、画像データを画像信号として変換するＤ／Ａコンバータとから構成されている。なお、表示制御回路３３５の構成は、あくまでも一例であり、これに限定されるものではない。
【０２８３】
表示制御回路３３５は、サブＣＰＵ３３０から供給される画像表示命令に応じて、液晶表示装置４の画面上に表示させるための画像データを一時的にフレームバッファに格納する。画像データとしては、例えば装飾図柄画像データ、背景画像データ、各種演出用画像データ、各種不正報知画像データ等が含まれる。
【０２８４】
また、表示制御回路３３５は、所定のタイミングで、フレームバッファに格納された画像データをＤ／Ａコンバータ（図示略）に供給する。Ｄ／Ａコンバータは、画像データを画像信号として変換し、所定のタイミングで、この画像信号を液晶表示装置４に供給する。液晶表示装置４の画面上には、Ｄ／Ａコンバータからの画像信号に基づいて画像が表示される。
【０２８５】
音響制御回路３３６は、スピーカ１０ａ，１０ｂ，１０ｃから発生させる音楽や音声などのサウンドに関する制御を行うためのものであり、サウンド出力に関する制御を行う音源ＩＣ、各種のサウンドデータを記憶するサウンドデータＲＯＭ、サウンド信号を増幅するための増幅器（ＡＭＰ）を含んでいる。なお、音響制御回路３３６の構成も、あくまでも一例であり、これに限定されるものではない。
【０２８６】
音源ＩＣは、スピーカ１０ａ，１０ｂ，１０ｃから発生させるサウンドの制御を行うものであり、サブＣＰＵ３３０から供給されるサウンド発生命令に応じて、サウンドデータＲＯＭに記憶されている複数のサウンドデータから一つのサウンドデータを選択することができる。
【０２８７】
また、音源ＩＣは、選択されたサウンドデータをサウンドデータＲＯＭから読み出し、サウンドデータを所定のサウンド信号に変換し、そのサウンド信号を増幅器に供給する。なお、この増幅器は、サウンド信号を増幅させ、スピーカ１０ａ，１０ｂ，１０ｃから音を発生させる。
【０２８８】
発光制御回路３３７は、装飾ランプ等を含むランプ・ＬＥＤ２６０の制御を行うためのものであり、発光制御信号を供給するためのドライブ回路、複数種類のランプ装飾パターンが記憶されている装飾データＲＯＭ等から構成されている。なお、発光制御回路３３７の構成も、あくまでも一例であり、これに限定されるものではない。
【０２８９】
演出装置制御回路３３８は、例えば、大当り遊技状態において可動演出役物等を作動させる等の演出動作を制御する。
【０２９０】
＜右側装飾部材１５及び左側装飾部材１６について＞
右側装飾部材１５及び左側装飾部材１６は、互いに概ね左右対称の形状に形成されており、共に同様の部材を備えて構成される。以下の説明においては、便宜上、右側装飾部材１５について説明する。
【０２９１】
右側装飾部材１５及び左側装飾部材１６は、所定の遊技条件が成立した場合に光の演出を行うものである。図４２〜図４７に示すように、右側装飾部材１５は、支持部材１５０、発光基板（図示略）、外側導光部材１５１、内側導光部材１５２、及び装飾カバー１５３を有する。支持部材１５０、発光基板、外側導光部材１５１、及び内側導光部材１５２は、装飾カバー１５３により覆われる。装飾カバー１５３の主な前面部は、半透明あるいは透明で光透過性を有する。
【０２９２】
支持部材１５０及び発光基板は、右側ベース板３ａａに取り付けられる。支持部材１５０の裏面側には、発光基板が配置される。支持部材１５０には、複数のスリット１５０ａが形成されており、これら複数のスリット１５０ａに臨むように発光基板に設けられた複数のＬＥＤ（図示略）が位置する。支持部材１５０の前部には、複数のスリット１５０ａに沿うように外側導光部材１５１及び内側導光部材１５２が取り付けられる。ＬＥＤは、光量の確保とコスト面とを考慮し、所定の間隔（例えば、２０ｍｍから３０ｍｍの間隔）で配置されている。
【０２９３】
外側導光部材１５１及び内側導光部材１５２は、各々板状部材で構成され、外側導光部材１５１よりも内側導光部材１５２が大きくなるように形成されている。外側導光部材１５１及び内側導光部材１５２は、互いに左右に所定間隔離れるように位置する。これら外側導光部材１５１及び内側導光部材１５２は、大きさや配置が異なる以外は同様の構成からなるため、以下の説明においては、便宜上、内側導光部材１５２について説明する。
【０２９４】
図４３〜図４７に示すように、内側導光部材１５２は、光入射面となる入射後端面１５２ａと、光出射面となる出射前端面１５２ｂとを有する。入射後端面１５２ａは、支持部材１５０の複数のスリット１５０ａに臨むように配置される。これにより、複数のＬＥＤは、入射後端面１５２ａの長手方向に沿って並ぶように位置する。出射前端面１５２ｂは、装飾カバー１５３の内面に沿うように配置され、全体的に湾曲状に形成されている。
【０２９５】
図４４及び図４５に示すように、入射後端面１５２ａは、長手方向に沿って凹凸をなすように鋸歯状のレンズカットが形成されている。これにより、スリット１５０ａを通って入射後端面１５２ａに入射したＬＥＤからの光は、内側導光部材１５２の内部を概ね長手方向に拡散しながら進む。出射前端面１５２ｂは、いわゆるダイヤカット状のレンズカットが形成されている。これにより、入射後端面１５２ａから内側導光部材１５２の内部へと進行してきた光は、ある程度広がりをもって前方へと照射される。なお、内側導光部材１５２の出射前端面１５２ｂは、外側導光部材１５１の出射前端面よりも遊技者が位置する手前側に配置されている。
【０２９６】
このような右側装飾部材１５によれば、その内部を進行する光を側方に漏らすことなく出射前端面１５２ｂから効率よく拡散することができ、視覚を効果的に刺激するように光の演出を実行することができる。左側装飾部材１６も、右側装飾部材１５と同様の構成されていることから、右側装飾部材１５による光の演出と同時に、あるいは右側装飾部材１５による光の演出とは異なるタイミングで視覚を効果的に刺激するように光の演出を実行することができる。
【０２９７】
＜トップ飾り１４について＞
図２３に示すように、トップ飾り１４は、中央装飾ユニット１４ａ、右側装飾ユニット１４ｂ、左側装飾ユニット１４ｃを有する。右側装飾ユニット１４ｂ及び左側装飾ユニット１４ｃは、互いに概ね左右対称の形状に形成されており、共に同様の部材を備えて構成される。以下の説明においては、便宜上、中央装飾ユニット１４ａ及び右側装飾ユニット１４ｂについて説明する。
【０２９８】
［中央装飾ユニット１４ａ］
中央装飾ユニット１４ａは、例えば大当り開始時に発光することによって光の演出を行う正面視逆三角形状のものである。図４８〜図５２に示すように、中央装飾ユニット１４ａは、本体カバー１４０、前面カバー１４１、上部カバー１４２、支持部材１４３、発光基板１４４、遮光部材１４５、複数の導光部材１４６ａ〜１４６ｃを有する。支持部材１４３、発光基板１４４、遮光部材１４５、及び複数の導光部材１４６ａ〜１４６ｃは、本体カバー１４０、前面カバー１４１、及び上部カバー１４２により覆われる。前面カバー１４１の前面部１４１ａは、半透明あるいは透明で光透過性を有する。この前面部１４１ａは、下部より上部に至るほど前方に位置するようなせり出す面であって、鉛直方向に対して傾斜した透光面をなすように配置される。
【０２９９】
本体カバー１４０の内側には、支持部材１４３が取り付けられる。支持部材１４３の前部には、発光基板１４４が取り付けられるとともに、発光基板１４４の前方に位置するように遮光部材１４５が取り付けられる。遮光部材１４５の下部には、複数の導光部材１４６ａ〜１４６ｃが互いに所定間隔離れて取り付けられる。
【０３００】
発光基板１４４の前面下部には、複数の導光部材１４６ａ〜１４６ｃに対応する複数のＬＥＤ１４４ａが設けられており、発光基板１４４の前面上部には、後述する遮光部材１４５の上部に設けられた複数の開口１４５ｃに対応する複数のＬＥＤ１４４ｂが設けられている。
【０３０１】
遮光部材１４５には、その上部と下部とを仕切るように隔壁１４５ａが形成されている。遮光部材１４５の下部には、複数の導光部材１４６ａ〜１４６ｃに対応するように複数のスリット１４５ｂａ，１４５ｂｂ，１４５ｂｃが形成されている。遮光部材１４５の上部には、後述する発光基板１４４のＬＥＤ１４４ｂが露出するように複数の開口１４５ｃが形成されている。遮光部材１４５の隔壁１４５ａの上面は、ＬＥＤ１４４ｂからの光を前方に向けて反射しやすい表面加工が施され、開口１４５ｃの周縁部も、ＬＥＤ１４４ｂからの光を前方に向けて反射しやすいように凹面状に形成されている。
【０３０２】
複数の導光部材１４６ａ〜１４６ｃは、各々板状部材で構成され、正面視略Ｕ字状あるいは略Ｖ字状に形成されている。複数の導光部材１４６ａ〜１４６ｃは、下方より上方に位置するものほど小さくなるように形成されており、導光部材１４６ａよりも導光部材１４６ｂの方が小さく、導光部材１４６ｂよりも導光部材１４６ｃの方が小さくなっている。複数の導光部材１４６ａ〜１４６ｃは、互いに所定間隔離れるように位置する。
【０３０３】
図５２に示すように、複数の導光部材１４６ａ〜１４６ｃは、光入射面となる入射後端面１４６ａａ，１４６ｂａ，１４６ｃａと、光出射面となる出射前端面１４６ａｂ，１４６ｂｂ，１４６ｃｂとを有する。入射後端面１４６ａａ，１４６ｂａ，１４６ｃａは、遮光部材１４５のスリット１４５ｂａ，１４５ｂｂ，１４５ｂｃに臨むように配置される。出射前端面１４６ａｂ，１４６ｂｂ，１４６ｃｂは、鉛直方向に対して傾斜した前面カバー１４１の前面部１４１ａに沿うように配置される。
【０３０４】
入射後端面１４６ａａ，１４６ｂａ，１４６ｃａは、先述した右側装飾部材１５の内側導光部材１５２の入射後端面１５２ａと同様に、長手方向に沿って凹凸をなすように鋸歯状に形成されている。これにより、入射後端面１４６ａａ，１４６ｂａ，１４６ｃａに入射したＬＥＤ１４４ａからの光は、導光部材１４６ａ〜１４６ｃの内部を概ね長手方向に拡散しながら進む。出射前端面１４６ａｂ，１４６ｂｂ，１４６ｃｂは、先述した右側装飾部材１５の内側導光部材１５２の出射前端面１５ｂと同様に、いわゆるダイヤカット状に形成されている。これにより、入射後端面１４６ａａ，１４６ｂａ，１４６ｃａから導光部材１４６ａ〜１４６ｃの内部へと進行してきた光は、ある程度広がりをもって前方へと照射される。
【０３０５】
このような中央装飾ユニット１４ａによれば、複数の導光部材１４６ａ〜１４６ｃの出射前端面１４６ａｂ，１４６ｂｂ，１４６ｃｂから照射された光は、前面カバー１４１の前面部１４１ａを通って外方に導かれるが、出射前端面１４６ａｂ，１４６ｂｂ，１４６ｃｂが前面部１４１ａに対して比較的近くに位置し、この出射前端面１４６ａｂ，１４６ｂｂ，１４６ｃｂに沿って光強度が比較的強い細長い領域が形成されるので、前面カバー１４１の下部の領域においては、出射前端面１４６ａｂ，１４６ｂｂ，１４６ｃｂからの光が複数のライン状に見える。一方、前面カバー１４１の上部の領域においては、複数のＬＥＤ１４４ｂからの光が遮光部材１４５の開口１４５ｃの周縁部等によって乱反射しつつ前面カバー１４１の前面部１４１ａを通って外方に放射されるが、導光部材１４６ａ〜１４６ｃの出射前端面１４６ａｂ，１４６ｂｂ，１４６ｃｂよりも前面部１４１ａに対して遠い奥方から反射光として前面部１４１ａへと導かれるので、前面カバー１４１の上部の領域においては、平均的に光が広がった広配光として見える。すなわち、遊技者の目線となる前面カバー１４１の斜め下方からは、上方からの万遍なくぼんやりとした光の中に下方においてライン状の光が立体的に浮かび上がるように見える。
【０３０６】
［右側装飾ユニット１４ｂ］
右側装飾ユニット１４ｂは、例えば大当り開始時に音の発生や発光により演出を行うものである。図５３〜図５８に示すように、右側装飾ユニット１４ｂは、スピーカユニット１０Ａ、本体支持部材１４７Ａ、本体カバー１４７Ｂ、前面カバー１４７Ｃ、発光基板１４８、導光部材１４９を有する。スピーカユニット１０Ａ及び発光基板１４８は、本体支持部材１４７Ａの後部に取り付けられ、発光基板１４８は、スピーカユニット１０Ａの前部に取り付けられる。導光部材１４９は、本体支持部材１４７Ａの前側内部に取り付けられ、前面カバー１４７Ｃによって覆われる。前面カバー１４７Ｃの前面１４７Ｃａは、網目状に形成されており、隙間からスピーカ１０ｂの振動面や導光部材１４９が視認可能とされる。
【０３０７】
スピーカユニット１０Ａは、スピーカ１０ｂの振動面（出音部）を前方に向けて露出させる開口（図示略）を有し、この開口の周縁部に沿うように発光基板１４８が取り付けられる。発光基板１４８には、スピーカ１０ｂの周縁に沿って環状に並ぶように複数のＬＥＤ１４８ａが設けられている。
【０３０８】
本体支持部材１４７Ａには、スピーカ１０ｂの振動面及び発光基板１４８の複数のＬＥＤ１４８ａを露出させて周縁に導光部材１４９を取り付け可能な開口部１４７Ａａが形成されている。
【０３０９】
導光部材１４９は、スピーカ１０ｂの振動面で発生した音を前方に導くための筒部１４９ａ、筒部１４９ａの周縁後側にあって光入射面となる入射後端面１４９ｂ、筒部１４９ａの周縁前側にあって光出射面となる出射前端面１４９ｃ、出射前端面１４９ｃの周縁から前方へと広がりつつ延出する突出部１４９ｄを有する。
【０３１０】
筒部１４９ａの後部には、スピーカ１０ｂの振動面が配置され、振動面で発生した音は、筒部１４９ａを通って前方へと導かれる。入射後端面１４４９ｂは、発光基板１４８のＬＥＤ１４８ａと対向するように配置される。入射後端面１４９ｂは、先述した右側装飾部材１５の内側導光部材１５２の入射後端面１５２ａと同様に、周方向に沿って凹凸をなすように鋸歯状に形成されている。これにより、入射後端面１４９ｂに入射したＬＥＤ１４８ａからの光は、筒部１４９ａを概ね周方向に拡散しながら進む。
【０３１１】
出射前端面１４９ｃは、前面カバー１４７Ｃの前面１４７Ｃａから所定距離後方に離れて位置する。この出射前端面１４９ｃも、入射後端面１４９ｂと同様に、周方向に沿って凹凸をなすように鋸歯状に形成されている。これにより、入射後端面１４９ｂから筒部１４９ａへと進行してきた光は、正面から見て主として周方向に広がりつつリング状に見えるように前方へと照射される。
【０３１２】
突出部１４９ｄは、左右両側の一部が部分的に前方へと延出するように形成されており、その先端が前面カバー１４７Ｃの前面１４７Ｃａの裏側に当接するように配置される。なお、突出部１４９ｄは、前面１４７Ｃａの裏側に接触させることなく近接するように配置してもよい。また、突出部１４９ｄに代えて出射前端面１４９ｃを前面１４７Ｃａの裏側に当接するように配置したり、あるいは近接するように配置してもよい。
【０３１３】
このような右側装飾ユニット１４ｂによれば、スピーカ１０ｂから発生する音に合わせてスピーカ１０ｂの周りがリング状に光って見える演出を行うことができる。また、前面カバー１４７Ｃの前面１４７Ｃａは、網目状に形成されているため、それだけでは外部からの衝撃や押圧によって破損しやすいが、導光部材１４９の突出部１４９ｄが当接することで補強支持された状態にあるため、外部からの衝撃や押圧による破損を効果的に防ぐことができる。すなわち、網目状（格子状）の前面カバー１４７Ｃは、導光部材１４９に沿ってスピーカ１０ｂからの音が前面カバー１４７Ｃの裏面まで導かれるので、美観を損ねることなくスピーカ１０ｂからの音を支障なく外方に伝えることができる。また、導光部材１４９が前面カバー１４７Ｃの支持部材としての機能を果たすため、前面カバー１４７Ｃの剛性を高めることができる。
【０３１４】
以上説明した第２実施形態に係る遊技機によれば、以下のような作用効果を得ることができる。
【０３１５】
スピーカユニット１０やその周辺の構成によれば、スピーカ１０ｃから音が出力されるのに伴いエンクロージャ１０ｅの開口１０ｅｃから空気流が流出する。このとき、送風機構１１０の開閉部材１１５が空間部１１０ａを開放した状態にあると、開口１０ｅｃからの空気流が送風口８０へとまっすぐ向かう方向に導かれ、送風口８０から発射ハンドル２６ｂの方へと十分な風圧をもって風が流れる。その結果、遊技者は、発射ハンドル２６ｂを把持する手に風を感じるとともに、スピーカ１０ｃからの音も送風口８０から風と共に出力される音とのヘルムホルツ共鳴によって重低音に感じることができる。
【０３１６】
その一方、送風機構１１０の開閉部材１１５が空間部１１０ａを閉鎖した状態にあり、開口１０ｅｃからの空気流が空間部１１０ａの下方へと略直角に曲がって流れるような方向に導かれると、アンダーカバー８ｃの通気口８ｃａから風が排出されることとなり、発射ハンドル２６ｂへと風が導かれなくなる。これにより、遊技者は、発射ハンドル２６ｂを把持する手に風を感じることなく、スピーカ１０ｃからの音のみを通気口８ｃａから風と共に出力される音とのヘルムホルツ共鳴によって重低音に感じることができる。
【０３１７】
すなわち、スピーカユニット１０の開口１０ｅｃから流出する風の方向を送風機構１１０により切り替えるだけで低音と風を感じさせたり、あるいは低音のみを感じさせることができるので、スピーカユニット１０の小型化及び簡素化を図りつつ音と風による演出を臨機応変に行うことができる。
【０３１８】
また、スピーカユニット１０の開口１０ｅｃから出る風の方向を送風機構１１０により切り替えるだけで音と風を感じさせたり、あるいは音のみを感じさせることができ、着脱自在の右下側面カバー８ｂａやアンダーカバー８ｃに送風口８０や通気口８ｃａを形成し、これらとスピーカユニット１０との間に送風機構１１０配置するように各々個別に設計すればよいので、スピーカユニット１０及びその周辺の構成について、製造コストや設計自由度、メンテナンス性に優れたものとすることができる。
【０３１９】
また、バスレフ型でエンクロージャ１０ｅの容積が比較的大きいスピーカユニット１０でも、上皿１７や下皿１８に貯留された遊技球を取り扱う遊技者の手の支障とならならないスペースに配置することができるので、スピーカユニット１０の配置スペースを確保しつつスピーカ装置を効率よくレイアウトすることができる。
【０３２０】
また、エンクロージャ１０ｅの左上部１０ｅａが上皿本体１７ｐの底部に当接するとともに左下部１０ｅｂ下皿本体１８ｐに当接するので、上皿１７ｐを支持するとともに、スピーカ１０ｃの作動に応じてエンクロージャ１０ｅからの振動が上皿１７や下皿１８に伝えられ、この振動により上皿１７や下皿１８における遊技球の詰まりを効果的に解消することができる。
【０３２１】
また、押圧ボタン３０００を用いた第２操作演出よりも操作部材２０００を用いた第１操作演出の方が発生頻度が高くなるように設定されており、すなわち、使用頻度が高い操作部材２０００が操作ユニット９Ａに単独で設けられる一方、使用頻度が低い押圧ボタン３０００が球貸ボタン２３や返却ボタン２４と兼用の共通基板３２００に設けられるので、使用頻度に応じて使いやすい位置に操作部材２０００及び押圧ボタン３０００を各々配置して各基板への配線を簡素化することができ、ひいては製造コスト及び配置スペースの節減化を図ることができる。
【０３２２】
また、使用頻度が高い操作部材２０００が円形状として覚えられる一方、使用頻度が低い押圧ボタン３０００が円形状とは異なる四角形状として覚えやすくなるので、使用頻度に応じて操作部材２０００及び押圧ボタン３０００を区別しやすい外形形状として設けることができ、ひいては複数の操作手段を使いやすくすることができる。また、四角形状の押圧ボタン３０００と十字状の十字ボタン３１００については、互いに直線部分となる一部の端部が対向するように隣接して配置されるので、狭いスペースにあってもこれらの複数のボタンを配置することができる。
【０３２３】
また、１６Ｒ通常大当りあるいは１６Ｒ確変大当りといった遊技者にとって有利な遊技状態に移行する条件を満たす場合には、必ず光照射演出が実行され、それと同時に送風演出が実行される場合があるので、遊技者は、発射ハンドル２６ｂを把持する手に視覚及び触覚のいずれかによって光照射演出あるいは送風演出が実行されていることを感知することができ、そのような演出を見逃すことなく有利な遊技状態に移行することを察知することができる。また、送風演出が実行される際は、スピーカ１０ｃからの重低音による音響演出も同時に実行されることとなり、重低音による振動も感じさせることができる。
【０３２４】
また、例えば右側装飾部材１５において、外側導光部材１５１及び内側導光部材１５２の入射後端面１５２ａでは、鋸歯状のレンズカットによりＬＥＤが並ぶ長手方向へと光を拡散しながら入射することにより、導光体内を光が効率よく進行する一方、外側導光部材１５１及び内側導光部材１５２の出射前端面１５２ｂでは、入射後端面１５２ａから導光体内へと導かれた光をダイヤカット状のレンズカットにより外方へと効率よく散乱させることができるので、色ムラを解消して光を効率よく照射することができる。
【０３２５】
また、例えば右側装飾ユニット１４ｂにおいて、前面カバー１４７Ｃの網目状の前面１４７Ｃａの裏面に当接するように導光部材１４９の突出部１４９ｄが配置され、出射前端面１４９ｃが前面１４７Ｃａから所定間隔離れつつ、スピーカ１０ｂの振動面を遮らないようにその周縁に沿って環状に配置されるので、入射後端面１４９ｂ側に位置するＬＥＤ１４８ａを前面カバー１４７Ｃの正面から見えなくすることができ、美観を損ねることなくスピーカ１０ｂからの音を支障なく外方に放出することができる。
【０３２６】
また、例えば中央装飾ユニット１４ａにおいて、複数の導光部材１４６ａ〜１４６ｃの出射前端面１４６ａｂ，１４６ｂｂ，１４６ｃｂは、ＬＥＤ１４４ｂが露出する遮光部材１４５の開口１４５ｃの周縁部よりも発光基板１４４から遠い距離にあり、前面カバー１４１の前面部１４１ａ付近に配置されるので、開口１４５ｃの周縁部で乱反射して前方へと導かれるＬＥＤ１４４ｂの光と、導光部材１４６ａ〜１４６ｃの体内を通って出射前端面１４６ａｂ，１４６ｂｂ，１４６ｃｂから照射されるＬＥＤ１４４ａの光とは、平均的に拡散したような光とライン状の光となり、これらの光の視認性に明瞭な差を生じせしめることができ、ひいては斬新な光の演出を実現することができる。
【０３２７】
なお、送風機構１１０の変形例としては、図５９に示すようなものを適用してもよい。図５９に示す送風機構１１０では、空間部１１０ａの下方及び開口部１１０ｂを排他的に開閉可能な回動自在のシャッタ部材１１７が設けられる。図５９（ａ）に示すように、シャッタ部材１１７は、図外の開口１０ｅｃからの風の流れを開口部１１０ｂへと導く場合は、水平姿勢をなすように位置する。このとき、空間部１１０ａの下方へと完全に風が導かれなくなる。一方、図５９（ｂ）に示すように、シャッタ部材１１７は、図外の開口１０ｅｃからの風の流れを空間部１１０ａの下方へと導く場合は、図５９（ａ）に示す水平姿勢から回動して起立姿勢をなすように位置する。このとき、空間部１１０ａの側方へとまっすぐ進もうとする風の流れが阻害され、空間部１１０ａの下方へと略直角に曲がるように風が導かれる。このような送風機構１１０によれば、図外の送風口８０へと風を導く際には、空間部１１０ａの下方へと風を漏らさずに充分な風圧をもって送風口８０へと風を導くことができる。
【０３２８】
「第３実施形態」
図６０〜図１０３は、第３実施形態に係るパチンコ遊技機Ｙを説明する図である。
【０３２９】
第３実施形態に係るパチンコ遊技機Ｙは、表枠３（図２０参照）とは異なる構成の本体枠を有し、上下方向に配列された２台のプロジェクタユニットを備える。なお、第３実施形態に係るパチンコ遊技機Ｙは、矛盾の無い限り、第２実施形態のパチンコ遊技機の構成を備え、同様の作用効果を得ることができる。
【０３３０】
図６０は、パチンコ遊技機Ｙの外観斜視図、図６１は、パチンコ遊技機Ｙの分解斜視図である。パチンコ遊技機Ｙは、本体枠（外枠）２と、本体枠２に回動自在に軸支された本体ユニット４００と、本体ユニット４００の前面側に取り付けられた遊技盤１Ａと、遊技盤１Ａの前面側において本体ユニット４００に取り付けられたガラスドア５と、を備える。
【０３３１】
［本体及びガラスドア］
外枠としての本体枠２は、第３実施形態と同様の構成であり、本体ユニット４００を、一方の側縁近傍において、上下方向に延びる回転軸としての本体枠ヒンジ２ｂを中心に回動可能に軸支する。ガラスドア５は、第３実施形態のガラスドア３０と同様の構成であり、下部に、後述する皿ユニット９００が設けられている。
【０３３２】
［本体枠］
図６２は、本体ユニット４００の分解斜視図である。本体ユニット４００は、前面側に配置される取付枠４１０と、取付枠４１０の背面側に取り付けられ、遊技機構成部品を収容可能であるカバー部材４３０と、取付枠４１０とカバー部材４３０との間に設けられる取付ベース４２０と、を備える。
【０３３３】
［取付枠］
図６３は、取付枠４１０の分解斜視図である。取付枠４１０は、１対の縦枠４１１と、１対の横枠４１２と、を有し、略長方形形状の外観を形成する。取付枠４１０は、貯留タンク４１５を有し、後述するプロジェクタユニットｂによる照射光が投影されるスクリーン部ｂ４及び遊技盤１Ａ、発射装置２６等が取り付けられている。また、取付枠４１０は、背面側において、遊技盤１Ａのアウト口５５（図６１参照）に対応する位置に、後述する球検知ユニット８００（図６２参照）が設けられている。また、１対の縦枠４１１は、背面側にそれぞれ取付ベース４２０及びカバー部材４３０を別々に固定可能な固定部４１１ａ（図６２参照）を有する。
【０３３４】
１対の縦枠４１１の内側面には、遊技盤１Ａを着脱自在に固定する遊技盤可動止め具４１３が、それぞれ取り付けられている。遊技盤可動止め具４１３は、縦枠４１１に沿って、上下方向の任意の位置で固定されている。遊技盤可動止め具４１３は、遊技盤１Ａの側縁を、着脱自在に挟持する。このような遊技盤可動止め具４１３により、例えば、遊技盤１Ａの下辺を、取付枠４１０の下部に配置されている溝等の係止部に係止させ、上辺の両端近傍を、遊技盤可動止め具４１３により挟持することで、遊技盤１Ａを、取付枠４１０に固定することが可能となる。
【０３３５】
また、１対の縦枠４１１の内側面には、スクリーン部ｂ４を着脱自在に固定するスクリーン止め具４１４が、それぞれ取り付けられている。スクリーン止め具４１４は、縦枠４１１に沿って、上下方向の任意の位置で固定されている。取付枠４１０の背面には、遊技盤可動止め具４１３及びスクリーン止め具４１４を覆うようにカバー部材４３０が取り付けられている。なお、遊技盤可動止め具４１３やスクリーン止め具４１４は、縦枠４１１上を移動可能なように構成し、任意の位置で固定できるように構成してもよい。縦枠４１１に、遊技盤１Ａ等の遊技部材や、スクリーン部ｂ４等の演出装置を、固定する治具を、上下方向に移動可能に取り付けることで、遊技部材や演出装置の大きさや種類に応じて、治具種類や位置を変更することが可能となるので、遊技機の多様なレイアウトが可能となる。
【０３３６】
［遊技盤］
図６４は、遊技盤１Ａの上面図である。遊技盤１Ａは、一般的な遊技盤１と同様の構成を備え、更に、以下の構成を有する。遊技盤１Ａは、遊技領域１ｐを備え、遊技盤１Ａの裏面側（背面側）に設けられた第１大入賞口ソレノイド５３ｂ等と、第１大入賞口ソレノイド５３ｂ等の配線部が接続される遊技盤中継基板１０１と、を有する。また、遊技盤１Ａは、透過性を有する素材で形成され、背面側にスクリーンシートが貼付され、後述するプロジェクタユニットｂから照射された投影光が投影されるスクリーンとしても機能する。
【０３３７】
遊技盤中継基板１０１は、裏面側（背面側）において、遊技盤１Ａの遊技領域１ｐが形成された面に対して、略直角に背面側に延びる垂直ベース１０１Ａに取り付けられることで、遊技盤１Ａに対し、略直角に立設する。遊技盤中継基板１０１は、他の基板に電気的に接続するためのコネクタが接続されるコネクタ接続部１０１ａが設けられている。
【０３３８】
また、遊技盤中継基板１０１は、後述する後述するカバー部材４３０の開口部４３２ｅを介して、カバー部材４３０の外部からコネクタ接続部１０１ａに対する接続操作が可能な位置まで延設され、かつ、少なくとも遊技盤中継基板１０１の外側部分がカバー部材４３０で覆われている状態で、コネクタ接続部１０１ａは、配線差込口１０１ｂが、後述するカバー部材４３０の開口部４３２ｅの方向に向くように配置されている。コネクタ接続部１０１ａは、遊技盤コネクタ接続部の一例として機能し、後述する中継基板１００（図７０参照）の特定部品コネクタ接続部の一例である中継基板コネクタ接続部１００ａ（図７０参照）と配線部材（ケーブル）により接続される。
【０３３９】
図６５は、遊技盤１Ａの変形例の上面図である。図６５では、遊技盤１Ａの垂直ベース１０１Ａが設けられた部分を拡大して示している。変形例の遊技盤中継基板１０１は、遊技盤１Ａに対し、略直角に立設した状態から、遊技盤１Ａと平行な状態となるように折り畳み可能である。詳細には、変形例の垂直ベース１０１Ａは、遊技盤１Ａに対し、略直角に立設したベース部材１０１Ａａと、遊技盤１Ａの遊技領域１ｐと並行して延びる回転軸となるヒンジ１０１Ｂにより回動自在に、ベース部材１０１Ａａに連結され、遊技盤中継基板１０１が取り付けられた回動部材１０１Ａｂと、を備える。また、変形例の垂直ベース１０１Ａは、ベース部材１０１Ａａと回動部材１０１Ａｂとの接合面において、ベース部材１０１Ａａと回動部材１０１Ａｂとのいずれか一方に、突起１０１ａが形成され、他方に、突起１０１ａが挿入可能なボス穴１０１ｂが形成されている。回動部材１０１Ａｂが遊技盤１Ａに対し、略直角に立設され、突起１０１ａがボス穴１０１ｂに挿入されることで、遊技盤中継基板１０１が、遊技盤１Ａに対し、略直角に立設した状態で固定される。また、この状態から回動部材１０１Ａｂが、ヒンジ１０１Ｂを中心に回動されることで、突起１０１ａがボス穴１０１ｂから引き抜かれ、遊技盤中継基板１０１が、遊技盤１Ａと平行な状態となるように折り畳まれる。
【０３４０】
［取付ベース］
図６６は取付ベース４２０の斜視図、図６７は取付ベース４２０の正面図、図６８は本体ユニット４００の断面図である。取付ベース４２０は、遊技に関連する制御を実行可能な遊技装置としてのプロジェクタユニットｂ及びミラー部材ｂ３が取り付けられる。取付ベース４２０は、プロジェクタユニットｂが取り付けられる遊技装置取付部４２１と、遊技装置取付部４２１の下に形成され、プロジェクタユニットｂから照射された投影光が通過可能な投影光用孔４２２と、投影光用孔４２２の下に配置され、ミラー部材ｂ３が取り付けられるミラー部材ベース４２３と、遊技盤１Ａの遊技盤中継基板１０１（図６５参照）が挿通する基板用孔４２４と、を有する。取付ベース４２０は、遊技装置取付部４２１、投影光用孔４２２及びミラー部材ベース４２３から成る構成を２つ有し、これらの構成が上下方向に配列されている。このような上の構成は、プロジェクタユニットｂから照射された投影光を、スクリーン部ｂ４の背面に投影する。また、下の構成は、プロジェクタユニットｂから照射された投影光を、遊技盤１Ａの背面に投影する。基板用孔４２４は、遊技盤１Ａが取り付けられた取付枠４１０に、取付ベース４２０を取り付けた状態において、遊技盤中継基板１０１の背面側に配置され、遊技盤中継基板１０１（図６５参照）が挿通する孔である。
【０３４１】
遊技装置取付部４２１は、背面側から前面側に向かって下り傾斜した板状体であり、背面側に、プロジェクタユニットｂが、前面側斜め下方に向けて投影光を照射するように取り付けられる。投影光用孔４２２は、プロジェクタユニットｂから照射された投影光を遮らない範囲で形成された孔である。ミラー部材ベース４２３は、背面側から前面側に向かって下り傾斜した板状体である。また、ミラー部材ベース４２３は、プロジェクタユニットｂから照射された投影光を反射するのに必要な範囲で形成されている。具体的には、ミラー部材ベース４２３は、背面側から前面側に向かって下り傾斜しているため、上方に取り付けられたプロジェクタユニットｂからの距離が、背面側から前面側に行くほど遠くなる。このため、プロジェクタユニットｂから照射された投影光を反射するのに必要な範囲の幅は、前面側より背面側の方が狭くなる。すなわち、ミラー部材ベース４２３におけるプロジェクタユニットｂから照射された投影光を反射するのに必要な範囲は、上面視で、背面側の辺の幅が、前面側の辺の幅より狭い台形形状となる。このため、ミラー部材ベース４２３は、図６７に示すように、上面視で、背面側の辺の幅が、前面側の辺の幅より狭い台形形状に形成されている。
【０３４２】
また、このミラー部材ベース４２３の上面に取り付けられたミラー部材ｂ３も、上面視で、背面側の辺の幅が、前面側の辺の幅より狭い台形形状に形成されている。また、ミラー部材ベース４２３は背面側から前面側に向かって下り傾斜しているので、図６７に示すように、ミラー部材ベース４２３及びミラー部材ｂ３は、正面視で、上方の辺の幅が、下方の辺の幅より狭い台形形状に形成されている。また、ミラー部材ｂ３は、ミラー部材ベース４２３に、台形形状の４隅近傍にそれぞれ設けられた調整部材４２３ａにより取り付けられている。調整部材４２３ａは、例えば、ミラー部材ベース４２３とミラー部材ｂ３とを締結する締結部材と、ミラー部材ベース４２３とミラー部材ｂ３との間に配置された弾性部材とにより構成され、締結部材を緩めることでミラー部材ベース４２３とミラー部材ｂ３とが離間し、締結部材を締めることでミラー部材ベース４２３とミラー部材ｂ３とが近接する。このような調整部材４２３ａにより、ミラミラー部材ｂ３のミラー部材ベース４２３に対する取り付け角度を調整することで、プロジェクタユニットｂから照射された投影光の、スクリーン部ｂ４又は遊技盤１Ａに投影される位置や角度を調整することができる。
【０３４３】
このような遊技装置取付部４２１にプロジェクタユニットｂを取り付けることで、後述するプロジェクタ装置本体ｂ２からの投影光を出射する投射レンズｂ２ａが設けられたプロジェクタカバーｂ１の一方の端部側をパチンコ遊技機Ｙ（図６１参照）の前面側に、一方の端部側の反対の端部を背面側に配置し、かつ一方の端部側を反対の端部側より低くなるように設けることが可能となる。そして、プロジェクタユニットｂは、カバー部材４３０に覆われる。これにより、投射レンズｂ２ａから出射される投影光を遮らない位置であって、カバー部材４３０とプロジェクタカバーｂ１の下部とカバー部材４３０との間に所定の空間４０５が形成され、この所定の空間４０５に、後述するカバー部材４３０の凹部４３１ａを配置し、この凹部４３１ａに主制御基板７０Ａを収容することが可能となる。
【０３４４】
なお、取付ベース４２０には、プロジェクタユニットｂに限らず、液晶表示装置等のその他の遊技装置を取付可能な形状に形成してもよい。すなわち、取付ベース４２０は、取付枠４１０とカバー部材４３０との間に形成された空間内に収容可能な範囲で、遊技装置の種類に応じて、形状を変更可能である。
【０３４５】
［プロジェクタユニット］
図６８に示すように、プロジェクタユニットｂは、投影光を生成可能な投影画像生成装置としてのプロジェクタ装置本体ｂ２と、プロジェクタ装置本体ｂ２を収容可能な収容ケースとしてのプロジェクタカバーｂ１と、プロジェクタ装置本体ｂ２からの投影光を出射する照射部としての投射レンズｂ２ａと、を含む。プロジェクタ装置本体ｂ２は、副制御回路２００（図１０３参照）に接続され、副制御回路２００により、プロジェクタ制御回路９０（図１０３参照）が制御され、光学機構（図示略）による投射光を、投射レンズｂ２ａにより拡大して出射し、この照射光をミラー部材ｂ３に反射させ、遊技盤１Ａやスクリーン部ｂ４の背面に向けて照射光を投影することにより、視覚的な演出として映像を表示する。このようなスクリーン部ｂ４は、プロジェクタユニットｂから照射される投影光を反射可能な反射部の一例として機能する。また、スクリーン部ｂ４は、ミラー部材ｂ３により反射される投影光により所定の画像を映し出すスクリーン部の一例として機能する。また、上述した空間４０５に対応する位置において、カバー部材４３０の一部が凹形状に形成されており、凹部内に主基板７０Ａを収容可能となっている。
【０３４６】
図６９は、プロジェクタユニットｂから出射された投影光の光軸を説明する図である。これらの照射光は、図６９に示すように、上部に設けられたプロジェクタユニットｂの投射レンズｂ２ａからの投影光Ｌ１が、点線で示すような投影範囲を形成しつつ、下方に向かって出射され、上部のミラー部材ｂ３により、前面側斜め上方に向かって反射してスクリーン部ｂ４の背面側に投影される。本実施形態の投射レンズｂ２ａは、レンズ部材で構成され、またレンズ部材の上半分側（前面側）は遮光された状態となっており、レンズ部材の下半分側（背面側）から出射される投影光でもって投影画像を生成している。よって、投射レンズｂ２ａから出射される投影光はレンズ部材の下半分側から広がるように形成される。同様に、下部に設けられたプロジェクタユニットｂの投射レンズｂ２ａからの投影光Ｌ２が、点線で示すような投影範囲を形成しつつ、下方に向かって出射され、下部のミラー部材ｂ３により、前面側斜め上方に向かって反射して、遊技盤１Ａの背面側に投影される。
このように、プロジェクタユニットｂまたはミラ一部材ｂ３を一定の設置角度にて配置し、それらの背後に生じるスペースにプロジェクタユニットｂや基盤ケースなどを収容することで複数の遊技装置を配しつつも他の遊技機構成部品を効率よく配置でき、省スペース化を実現できる。
【０３４７】
［カバー部材］
図７０はカバー部材４３０の背面側から視た斜視図、図７１はカバー部材４３０の前面側から視た斜視図である。図７０に示すように、カバー部材４３０は、背面部４３１及び互いに対向する２つの側面４３２から形成され、取付ベース４２０（図６８参照）との間に形成される空間の内部に、遊技機構成部品の少なくとも一部を収容可能である。また、カバー部材４３０は、最も背面側に設けられることにより、遊技盤の背面側に設けられ、電気部品を覆うカバー部材の一例として機能する。
【０３４８】
図７０に示すように、背面部４３１の幅は、取付ベース４２０の幅よりも狭く形成されている。背面部４３１は、主制御基板７０Ａを収容可能な凹部４３１ａと、凹部４３１ａを覆う蓋部４３１ｂと、プロジェクタユニットｂ（図６８参照）の廃熱口に対応する位置に形成された開口部４３１ｃと、払出制御基板１２３Ａを収容可能な払出制御基板収容部４３１ｄと、を有する。また、図７１に示すように、背面部４３１には、後述する第２誘導樋４３４の受入部４３４ａ（図７５参照）が配置される第２誘導??用開口４３２ｆが形成されている。図６８に示すように、凹部４３１ａ及び払出制御基板収容部４３１ｄは、カバー部材４３０の表面からパチンコ遊技機Ｙ内部側に突出するように形成され、主制御基板７０Ａや払出制御基板１２３Ａをカバー部材４３０の表面よりパチンコ遊技機Ｙ背面側に突出しないように収容可能である。凹部４３１ａは、カバー部材４３０が取付ベース４２０（図６８参照）の背面側に取り付けられた状態で、プロジェクタカバーｂ１の下部に形成される所定の空間４０５に配置され、主制御基板７０Ａが収容され、蓋部４３１ｂで覆われる。主制御基板７０Ａは、例えば、中継基板１００（図７０参照）と配線部材（ケーブル）により接続される一般部品コネクタ接続部の一例である主制御基板コネクタ接続部７０Ａａを備える。主制御基板コネクタ接続部７０Ａａは、主制御基板７０Ａの側縁近傍に設けられ、凹部４３１ａに蓋部４３１ｂを取り付けた状態でも、蓋部４３１ｂに覆われず、露出しており、配線部材（ケーブル）の着脱が可能に構成されている。これにより、背面部４３１の表面が略面一の状態となる。このように、カバー部材４３０は、背面部４３１及び少なくとも２つの側面部４３２から形成される空間の内部に、第１の遊技機構成部品の一例である主制御基板７０Ａを収容可能である。また、開口部４３１ｃは、２つのプロジェクタユニットｂの廃熱口に対応する位置にそれぞれ形成されている。払出制御基板収容部４３１ｄは、取付ベース４２０の背面側に取り付けられた状態で、下のミラー部材ベース４２３の下部に形成された空間に配置される。また、凹部４３１ａは、カバー部材４３０において、後述する球通路ユニット７３０（図７７参照）の配置位置より中央寄りに配置されている。
【０３４９】
図７０に示すように、互いに対向する側面４３２は、互いの幅が、前面側から背面側にいくにつれて狭くなっている。側面４３２は、背面部４３１と隣接しない端部側に取付ベース４２０に装着可能な取付部４３３を備えるとともに、少なくとも１つの側面４３２が、取付部４３３が設けられた端部から背面部４３１と隣接する端部へ傾斜するように形成されている。傾斜した側面４３２には、特定収容部である側面第１凹部４３２ａと、側面第１凹部４３２ａを覆う側面第１蓋部４３２ｂと、一般収容部である側面第２凹部４３２ｃと、側面第２凹部４３２ｃを覆う側面第２蓋部４３２ｄと、側面第１凹部４３２ａに形成された開口部４３２ｅと、を有する。また、凹部４３１ａ及び側面第２凹部４３２ｃは、少なくとも２つ以上の収容部より構成される一般収容部の一例であり、特定収容部の一例である側面第１凹部４３２ａに隣接している。
【０３５０】
側面第１凹部４３２ａは、カバー部材４３０の外側面に設けられ、背面部４３１の凹部４３１ａや払出制御基板収容部４３１ｄと隣接する位置に形成され、特定の遊技機構成部品又は第２の遊技機構成部品としての中継基板１００を収容可能である。側面第２凹部４３２ｃは、カバー部材４３０の外側面に設けられ、側面第１凹部４３２ａに隣接する位置に形成され、その他の複数種類の遊技機構成部品としての副制御基板８０Ａ（サブ制御基板３３に相当）を収容可能である。側面第１凹部４３２ａ及び側面第２凹部４３２ｃは、カバー部材４３０の表面からパチンコ遊技機Ｙ内部側に突出するように形成され、中継基板１００や副制御基板８０Ａをカバー部材４３０の表面よりパチンコ遊技機Ｙ背面側に突出しないように収容可能である。中継基板１００は、例えば、主制御基板７０Ａ（主制御基板２８に相当）、副制御基板８０Ａ、遊技盤中継基板１０１（図６４参照）等と配線部材（ケーブル）により接続される特定部品コネクタ接続部の一例である中継基板コネクタ接続部１００ａを備える。副制御基板８０Ａは、例えば、中継基板１００等と配線部材（ケーブル）により接続される一般部品コネクタ接続部の一例である副制御基板コネクタ接続部８０Ａａを備える。すなわち、中継基板コネクタ接続部１００ａと、主制御基板コネクタ接続部７０Ａａや副制御基板コネクタ接続部８０Ａａと、は配線部材（ケーブル）により接続される。開口部４３２ｅは、背面部４３１及び２つの側面部４３２から形成される空間の内部に収容された遊技盤１Ａの遊技盤中継基板１０１（図６４参照）からの配線をカバー部材４３０の外側に設けられた中継基板１００と接続可能なように設けられ、カバー部材４３０が取付枠４１０に取り付けられた状態で、遊技盤１Ａの背面側から立設する遊技盤中継基板１０１に対応する位置に形成されている。このような開口部４３２ｅが形成された側面第１凹部４３２ａは、側面部の外側面に設けられ、開口部を介して配線と接続される特定の遊技機構成部品を収容可能な特定収容部の一例として機能する。また、側面第２凹部４３２ｃは、カバー部材の外側の傾斜した側面部に、カバー部材の表面から遊技機内部側に突出するように形成され、第１の遊技機構成部品とは異なる第２の遊技機構成部品を収容可能な収容部の一例である。これにより、開口部４３２ｅから、遊技盤中継基板１０１のコネクタ接続部１０１ａに接続したコネクタを介して、遊技盤中継基板１０１と、例えば、側面第１凹部４３２ａに隣接する凹部４３１ａに収容された主制御基板７０Ａと、を電気的に接続することが可能となる。このように、中継基板１００が収容可能な側面第１凹部４３２ａは、その他の基板が収容可能な凹部の中心に配置されている。
【０３５１】
図７２は、遊技盤中継基板１０１と、取付ベース４２０の基板用孔４２４及びカバー部材４３０の開口部４３２ｅとの位置関係を説明する図である。図７２は、遊技盤中継基板１０１が取り付けられている部分の拡大斜視図であり、（ａ）は取付枠４１０の背面側に取付ベース４２０が取り付けられた状態を示し、（ｂ）は更に取付ベース４２０の背面側にカバー部材４３０が取り付けられた状態を示している。図７２（ａ）に示すように、遊技盤１Ａ（図６２参照）が取り付けられた取付枠４１０に、取付ベース４２０を取り付けた状態では、遊技盤中継基板１０１のコネクタ接続部１０１ａが、取付ベース４２０基板用孔４２４から背面側に突出している。そして、図７２（ｂ）に示すように、図７２（ａ）に示す状態から、更に取付ベース４２０の背面側にカバー部材４３０を取り付けることで、遊技盤中継基板１０１の側面がカバー部材４３０に覆われる。この状態において、コネクタ接続部１０１ａの配線差込口１０１ｂは、カバー部材４３０の開口部４３２ｅの方向に向いている。なお、図７２では、遊技盤中継基板１０１の全体をカバー部材４３０及び側面第２蓋部４３２ｄによって覆っているが、遊技盤中継基板１０１の一部分のみを覆うようにしてもよい。また、遊技盤中継基板１０１の外側面や内側面等１つの面のみを覆うようにしてもよい。いずれにせよ、遊技盤中継基板１０１に加わる外力の少なくとも一部を防ぐことができれば本発明の効果を奏することができる。なお、その場合、コネクタ接続部１０１ａをカバー部材４３０に覆われていない部分に設けることが望ましい（例えば、遊技盤中継基板１０１の外側面をカバー部材４３０で覆うのであれば、遊技盤中継基板１０１の内側面にコネクタ接続部１０１ａを設ける等）。
【０３５２】
また、図７２（ａ）に示すように、取付ベース４２０は、ビス等で構成される固定部材４２５により、取付枠４１０の背面の固定部４１１ａにビス止めさる。その後、図７２（ｂ）に示すように、カバー部材４３０は、取付ベース４２０の背面側に配置され、取付部４３３で固定部材４２５を覆い、取付ベース４２０を貫通するビス等で構成される固定部材４３５により、取付枠４１０の背面の固定部４１１ａにビス止めさる。よって、カバー部材４３０のビス止めを外した後でないと取付ベース４２０のビス止めを外すことができない。
【０３５３】
図７３は、パチンコ遊技機Ｙの上面図である。図７３は、本体枠２から本体ユニット４００を開いた状態（本体枠２の内側に本体ユニット４００が配置された状態から、本体枠ヒンジ２ｂを中心に９０度回動させた状態）を示している。カバー部材４３０は、本体枠ヒンジ２ｂに軸支された方と反対側の側面４３２が、回転軸としての本体枠ヒンジ２ｂを中心とし、本体枠２の内側側縁を通る仮想円ＶＣの内側に形成され、少なくとも一部が仮想円に沿った形状に形成されている。
【０３５４】
［樋の接続部分］
図７４は、本体ユニット４００の分解斜視図、図７５及び図７６は、第１誘導樋４１６及び第２誘導樋４３４の分解斜視図である。図７５及び図７６は、図７４に示す第１誘導樋４１６及び第２誘導樋４３４のみを示した図である。図７５は、取付枠４１０から視た図であり、図７６は、カバー部材４３０から視た図である。図７４に示すように、取付枠４１０には、図示しない貯留ユニットから供給された遊技球を貯留可能な貯留タンク４１５と、貯留タンク４１５から遊技球を下流に導く第１誘導樋４１６と、を有する。カバー部材４３０は、遊技球を払出可能な払出装置７００と、払出装置７００に遊技球を導く第２誘導樋４３４と、を有する。
【０３５５】
第１誘導樋４１６と第２誘導樋４３４は、取付枠４１０にカバー部材４３０を装着した際に、一方の開口部に他方の開口部が挿入するように接続されることで遊技球が流下可能な状態となる。第１誘導樋４１６及び第２誘導樋４３４のいずれか一方（図７５及び図７６に示す例では第２誘導樋４３４）には、他方（図７５及び図７６に示す例では第１誘導樋４１６）の開口部の開口面積より広い開口面積にて形成された受入部４３４ａが設けられている。受入部４３４ａは、受入部４３４ａに挿入される開口部を接続位置まで案内する接続位置案内手段としてのリブ４３４ｂを有する。リブ４３４ｂは、開口を中心とする放射方向に延び、受入部４３４ａの外縁から内縁に向かって、側縁が下り傾斜している板状体であり、開口を囲むように、複数配置されている。第１誘導樋４１６及び第２誘導樋４３４のいずれか他方（図７５及び図７６に示す例では第１誘導樋４１６）には、開口の外縁に設けられ、リブ４３４ｂにより囲まれた部分の形状と略同一形状の外形で形成され、接続位置において、リブ４３４ｂと係合する係合手段としての係合部４１６ａを有する。
【０３５６】
また、図６２に示すように、取付枠４１０は、皿ユニット９００の払出口９０１（図６０参照）に遊技球を導く第３誘導樋４１８を有する。また、カバー部材４３０は、後述する払出装置７００から遊技球を下流に導く第４誘導樋としての第４誘導樋（図７８参照）を有する。
【０３５７】
第３誘導樋４１８と第１誘導路７３０Ｃ及び第２誘導路７３０Ｄ（図７９参照）は、取付枠４１０にカバー部材４３０を装着した際に、一方の開口部に他方の開口部が挿入するように接続されることで遊技球が流下可能な状態となる。第３誘導樋４１８と、第１誘導路７３０Ｃ及び第２誘導路７３０Ｄとのいずれか一方（図６２に示す例では第３誘導樋４１８）には、受入部４１８ａが設けられている。受入部４１８ａは、受入部４３４ａと同様に、複数のリブを有する。第１誘導路７３０Ｃ及び第２誘導路７３０Ｄの排出口７３０Ｂ（図７８参照）は、第１誘導樋４１６と同様に、受入部４１８ａの複数のリブと係合する係合部を有する。
【０３５８】
［払出装置］
図７７は、払出装置７００を示す全体斜視図、図７８は、払出装置７００に含まれる球通路ユニット７３０を示す斜視図である。払出装置７００は、球供給路７１０、球送出機構７２０、及び球通路ユニット７３０を有して構成される。球供給路７１０は、上部に設けられた貯留タンク４１５（図７４参照）から球送出機構７２０へと遊技球を導く配管部品である。球送出機構７２０は、入賞に応じた賞球数を計数しながら当該賞球数分の遊技球を繰り出すものである。球通路ユニット７３０は、カバー部材４３０（図７４参照）の背面側の端部に配置され、球送出機構７２０から繰り出された遊技球を後述する皿ユニット９００の払出口９０１へ導くためのものである。
【０３５９】
球供給路７１０は、貯留タンク４１５（図７４参照）から、互いに接続された第１誘導樋４１６及び第２誘導樋４３４（図７６参照）を介して、球送出機構７２０へと遊技球を１つずつ自然に流下させることが可能に鉛直状に設けられている。球供給路７１０の下端出口（図示略）は、球送出機構７２０の上部入口（図示略）に連接される。
【０３６０】
球送出機構７２０は、球供給路７１０から流下してきた遊技球を上部入口（図示略）から内部に導きつつ下部出口（図示略）から１つずつ繰り出し可能に構成されている。球送出機構７２０は、遊技球を１ずつ繰り出し可能な内部機構やこれを動作させるためのソレノイド、繰り出した遊技球を計数するためのカウントセンサ（図示略）を有する。球送出機構７２０は、入賞がないとき、遊技球を繰り出さないように内部機構及びソレノイドを非作動状態とする一方、入賞があると、当該入賞に応じた賞球数の遊技球を繰り出すまで内部機構及びソレノイドを作動状態としつつ遊技球をカウントセンサにより計数し、賞球数分の遊技球を繰り出すと、再び内部機構及びソレノイドを非作動状態とする。これにより、球送出機構７２０は、入賞時に賞球数分の遊技球を１つずつ繰り出すことができる。球送出機構７２０の下部出口は、球通路ユニット７３０の上部に設けられた導入口７３０Ａに連接され、球送出機構７２０から繰り出された遊技球が１つずつ球通路ユニット７３０の導入口７３０Ａへと流下する。なお、球送出機構７２０から繰り出された遊技球は、基本的に導入口７３０Ａへと導かれるが、導入口７３０Ａに隣接する後述の球抜き口７３０ａへと導かれる場合がある。
【０３６１】
球通路ユニット７３０は、球送出機構７２０から繰り出された多数の遊技球を数珠状に並べて通過させることが可能な誘導路を有し、この誘導路を通じて後述する皿ユニット９００の払出口９０１へと遊技球を導くように構成されている。図７９は、球通路ユニット７３０を示す分解斜視図、図８０は、図７９とは異なる向きで球通路ユニット７３０を示す分解斜視図である。球通路ユニット７３０は、通路隔壁部材７３１、満タン検知レバー７３２、満タン検知センサ７３３、第１カバー部材７３４、第２カバー部材７３５、及び球抜き部材７３６を有して構成される。球通路ユニット７３０の誘導路としては、パチンコ遊技機Ｙの正面側からみて通路隔壁部材７３１の左側部と第１カバー部材７３４との間に第１誘導路７３０Ｃが形成され、パチンコ遊技機Ｙの正面側からみて通路隔壁部材７３１の右側部と第２カバー部材７３５との間に第２誘導路７３０Ｄが形成される。第１誘導路７３０Ｃ及び第２誘導路７３０Ｄは、それぞれ多数の遊技球を並べることが可能な十分な経路長を有する。
【０３６２】
通路隔壁部材７３１の左側部には、第１誘導路７３０Ｃの路側壁が前後に蛇行しつつ上部の導入口７３０Ａから下部の排出口７３０Ｂへと延びるように形成されている。この通路隔壁部材７３１の左側部に形成された路側壁は、第１誘導路７３０Ｃの右半分を溝状に形成している（図８０参照）。通路隔壁部材７３１の右側部には、第２誘導路７３０Ｄの路側壁が上部の導入口７３０Ａから下部の排出口７３０Ｂへと延びるように形成されている。この通路隔壁部材７３１の右側部に形成された路側壁は、第２誘導路７３０Ｄの左半分を溝状に形成している（図７９参照）。このような第２誘導路７３０Ｄは、第１誘導路７３０Ｃと隔壁を挟んで隣接している。すなわち、第１誘導路７３０Ｃと第２誘導路７３０Ｄとは、互いに並んで同方向に遊技球を導くように並設されている。
【０３６３】
一方、通路隔壁部材７３１の左側部に対向する第１カバー部材７３４の対向面にも、第１誘導路７３０Ｃの路側壁が前後に蛇行しつつ導入口７３０Ａから排出口７３０Ｂへと延びるように形成されている。これら通路隔壁部材７３１の左側部と第１カバー部材７３４の対向面にある路側壁どうしが合わさることにより第１誘導路７３０Ｃが形成されるとともに、導入口７３０Ａ及び排出口７３０Ｂが形成される。また、通路隔壁部材７３１の右側部に対向する第２カバー部材７３５の対向面にも、第２誘導路７３０Ｄの路側壁が排出口７３０Ｂへと延びるように形成されている。これら通路隔壁部材７３１の右側部と第２カバー部材７３５の対向面にある路側壁どうしが合わさることにより第２誘導路７３０Ｄが形成される。第１誘導路７３０Ｃは、横方向に比較的大きな第１の幅でもって形成される一方、第２誘導路７３０Ｄは、第１誘導路７３０Ｃの横幅（第１の幅）よりも横方向に小さい第２の幅でもって形成され、排出口７３０Ｂより上流側において第１誘導路７３０Ｃと合流するようになっている。また、排出口７３０Ｂは、横方向に第１誘導路７３０Ｃの横幅（第１の幅）と同じ第１の幅でもって形成される。なお、導入口７３０Ａは、第１誘導路７３０Ｃのみに導通しており、基本的に球送出機構７２０から繰り出された遊技球は、導入口７３０Ａへと入るようになっている。ただし、導入口７３０Ａに隣接する部位には、通路隔壁部材７３１の右側部と第２カバー部材７３５とが合わされることによって球抜き部材７３６へと通じる球抜き口７３０ａが形成される。これにより、第１誘導路７３０Ｃが詰まって導入口７３０Ａに入りきれない遊技球は、球抜き口７３０ａへと導かれる。第２誘導路７３０Ｄの下端部は、排出口７３０Ｂの近傍で第１誘導路７３０Ｃと合流するように形成されている。これにより、排出口７３０Ｂ付近における遊技球の詰まりが解消されると、第１誘導路７３０Ｃと第２誘導路７３０Ｄとに貯まった遊技球がまとまって一気に排出口７３０Ｂから排出される。
【０３６４】
図８１は、球通路ユニット７３０の第１誘導路７３０Ｃを示す平面図、図８２は、球通路ユニット７３０の第２誘導路７３０Ｄを示す平面図である。通路隔壁部材７３１の上部には、その右側部から左側部へと遊技球を案内するための貫通口７３１Ａが形成されている。通路隔壁部材７３１の右側部において第１誘導路７３０Ｃの上部途中には、貫通口７３１Ａへと遊技球を案内可能な分岐路７３０Ｅが形成されている。貫通口７３１Ａの反対側は、第２誘導路７３０Ｄの上端部に連通している。これにより、第１誘導路７３０Ｃの遊技球が上部まで詰まって下方へと流れない状態になると、導入口７３０Ａから第１誘導路７３０Ｃの上部へと流下してきた遊技球がこの第１誘導路７３０Ｃを??回して分岐路７３０Ｅへと導かれ、さらに分岐路７３０Ｅへと導かれてきた遊技球は、貫通口７３１Ａを通って第２誘導路７３０Ｄの上端部へと導かれ、第１誘導路７３０Ｃのみならず第２誘導路７３０Ｄまでもが遊技球で満タン状態となるまで球通路ユニット７３０の内部に賞球として払い出される遊技球が一時的に貯留される。
【０３６５】
また、通路隔壁部材７３１の右側部においては、第２誘導路７３０Ｄの途中部分に先端部が突き出た姿勢で揺動可能な満タン検知レバー７３２と、満タン検知レバー７３２の先端部が突き出た姿勢から奥方に変位した状態を検知する満タン検知センサ７３３とが、設けられている。満タン検知レバー７３２は、第２誘導路７３０Ｄの略鉛直部分に設けられており、この部分まで詰まって流下できない遊技球に圧接されると、奥方に変位した状態となる。満タン検知センサ７３３は、奥方に変位した満タン検知レバー７３２が所定時間にわたり接した状態になると、第２誘導路７３０Ｄに遊技球が詰まって満タンになった状態と検知し、それに応じた信号を払出・発射制御回路１２３（図１０３参照）に出力する。これにより、第１誘導路７３０Ｃにおける遊技球の流下が停滞しても第２誘導路７３０Ｄが満タン状態となるまで球送出機構７２０の遊技球繰り出し動作を継続させることができる。
【０３６６】
さらに、パチンコ遊技機Ｙの正面側からみて第２カバー部材７３５の右側部には、球抜き部材７３６が付設される。球抜き部材７３６は、球抜き口７３０ａから導かれてきた遊技球を下端口７３６Ａから排出する。球抜き部材７３６の下端口７３６Ａから排出された遊技球は、図外の球抜き管路へと導かれ、最終的にはパチンコ遊技機Ｙの外部に置かれたドル箱に放出される。
【０３６７】
［球検知ユニット］
図８３は、遊技盤１Ａのアウト口５５を示す斜視図、図８４は、遊技盤１Ａを取り外した状態でアウト口５５の背後に位置する球検知ユニット８００を示す斜視図である。図８３に示すように、遊技盤１Ａの遊技領域１ｐにおける中央下部には、入賞せずに流下してきた遊技球を背後に導くためのアウト口５５が設けられている。図８４に示すように、アウト口５５の背後には、アウト口５５から導かれてきた複数の遊技球を受けるとともに、アウト口５５と対向する箇所に遊技球を集めてさらに背後へと遊技球を導くための開口８０１Ａを有するアウト球受け部材８０１が設けられている。球検知ユニット８００は、取付枠４１０において、アウト球受け部材８０１の開口８０１Ａの直後に設けられている。
【０３６８】
図８５は、球検知ユニット８００の全体を示す斜視図、図８６は、球検知ユニット８００を示す分解斜視図、図８７は、図８６とは異なる向きで球検知ユニット８００を示す分解斜視図である。球検知ユニット８００は、左側構成部材８１０、右側構成部材８２０、突片部材８３０、第１検知センサ８４０、第２検知センサ８５０を有して構成される。球検知ユニット８００は、流入口としてのアウト口５５を通過して排出される遊技球をアウト球として検知するためのものである。左側構成部材８１０には、第１検知センサ８４０が設けられ、右側構成部材８２０には、第２検知センサ８５０が設けられており、これらの第１検知センサ８４０及び第２検知センサ８５０と一体に突片部材８３０を中央に挟み込んだ状態で左側構成部材８１０と右側構成部材８２０とが接合される。第１検知センサ８４０及び第２検知センサ８５０は、複数の遊技球が流入可能な流入口と、流入口より下流において、流入した遊技球を検知可能な複数の検知手段の一例として機能する。
【０３６９】
図８８は、球検知ユニット８００を構成する左側構成部材８１０の内部側面図、図８９は、球検知ユニット８００を構成する右側構成部材８２０の内部側面図、図９０は、球検知ユニット８００を構成する突片部材８３０の上面図である。左側構成部材８１０及び右側構成部材８２０は、概ね左右対称形に形成されており、それぞれ前面開口部８１０Ａ，８２０Ａ、導入空間部８１０Ｂ，８２０Ｂ、センサ配置部８１０Ｃ，８２０Ｃ、遊動空間部８１０Ｄ，８２０Ｄを有する。
【０３７０】
前面開口部８１０Ａ，８２０Ａは、互いに一体となってアウト球受け部材８０１の開口８０１Ａの直ぐ背後に位置し、開口８０１Ａを通過した遊技球を受け入れる受入口（流入口）を形成する。前面開口部８１０Ａ，８２０Ａは、それぞれ１個の遊技球が余裕をもって通過可能な開口面積を有する。これにより、一体となった受入口には、少なくとも２個の遊技球が同時に進入することができる。
【０３７１】
導入空間部８１０Ｂ，８２０Ｂは、基本的にそれぞれ前面開口部８１０Ａ，８２０Ａからセンサ配置部８１０Ｃ，８２０Ｃへと遊技球を導く通路であり、それぞれ１個の遊技球が余裕をもって通過可能である。導入空間部８１０Ｂ，８２０Ｂの底面８１０Ｂａ，８２０Ｂａは、水平面より若干傾斜しており、奥側に進むほど下降するように形成されている。
【０３７２】
センサ配置部８１０Ｃ，８２０Ｃは、それぞれ第１検知センサ８４０、第２検知センサ８５０が配置される箇所である。センサ配置部８１０Ｃ，８２０Ｃには、導入空間部８１０Ｂ，８２０Ｂの底面８１０Ｂａ，８２０Ｂａよりも第１検知センサ８４０、第２検知センサ８５０それぞれの前端が若干低位となるように配置される。第１検知センサ８４０、第２検知センサ８５０は、それぞれ前端から後端にいくほど上位となるように傾斜姿勢で配置される。第１検知センサ８４０、第２検知センサ８５０には、１個の遊技球が通過可能な通過孔が設けられており、この通過孔を遊技球が通過するとアウト球として検知され、下方に排出された後に収集される。これにより、導入空間部８１０Ｂ，８２０Ｂからセンサ配置部８１０Ｃ，８２０Ｃへと導かれてきた遊技球は、第１検知センサ８４０、第２検知センサ８５０の通過孔へと導かれやすくなっている。
【０３７３】
遊動空間部８１０Ｄ，８２０Ｄは、アウト口５５より下流において、センサ配置部８１０Ｃ，８２０Ｃより奥側上方に設けられ、センサ配置部８１０Ｃ，８２０Ｃよりも狭小な空間を形成している。遊動空間部８１０Ｄ，８２０Ｄは、互いに一体となった状態で概ね１個の遊技球が十分遊動し得るだけの広さを有する。遊動空間部８１０Ｄ，８２０Ｄの底面８１０Ｄａ，８２０Ｄａは、水平面より若干傾斜しており、奥側に進むにつれて上昇（隆起）するように形成されている。底面８１０Ｄａ，８２０Ｄａの前端は、第１検知センサ８４０、第２検知センサ８５０の後端よりも上位に位置するように形成されている。これにより、第１検知センサ８４０、第２検知センサ８５０を越えて奥方の遊動空間部８１０Ｄ，８２０Ｄへと１個の遊技球が導かれることがあり、この遊動空間部８１０Ｄ，８２０Ｄへと導かれた遊技球にあっても、第１検知センサ８４０、第２検知センサ８５０へと転落しやすくなっている。なお、遊動空間部８１０Ｄ，８２０Ｄは、互いに一体となった状態で２個以上の遊技球が遊動し得るだけの広さを有する部分としてもよい。
【０３７４】
突片部材８３０は、センサ配置部８１０Ｃ，８２０Ｃ（第１検知センサ８４０，第２検知センサ８５０）のほか、導入空間部８１０Ｂ，８２０Ｂや遊動空間部８１０Ｄ，８２０Ｄを分け隔てるように設けられる。図８８及び図８９に示すように、突片部材８３０は、流入した遊技球の少なくとも一部が乗り上げ可能なように流入口となる前面開口部８１０Ａ，８２０Ａの底部から奥方へと延設するように配置され、前面開口部８１０Ａ，８２０Ａの底部から遊動空間部８１０Ｄ，８２０Ｄへと進むにつれて上昇（隆起）した傾斜状の上端８３０Ａを有する。この上端８３０Ａは、導入空間部８１０Ｂ，８２０Ｂや遊動空間部８１０Ｄ，８２０Ｄを完全に仕切ることなく、これらの底面８１０Ｂａ，８２０Ｂａ，８１０Ｄａ，８２０Ｄａよりも若干上方に突出している。また、図９０に示すように、突片部材８３０の上端８３０Ａは、遊技球進入方向に沿って左右に波打つように形成されているとともに、流入した遊技球が乗り上げても滑りやすいように峰状に形成されている。これにより、センサ配置部８１０Ｃ，８２０Ｃの遊技球は、突片部材８３０の上端８３０Ａを左右方向に越えて第１検知センサ８４０及び第２検知センサ８５０のいずれかに落下しやすい。また、センサ配置部８１０Ｃ，８２０Ｃより奥方の遊動空間部８１０Ｄ，８２０Ｄへと進んだ遊技球は、突片部材８３０の上端８３０Ａに不安定に接した状態となり、第１検知センサ８４０及び第２検知センサ８５０のいずれかの方へと振り落とされる。
【０３７５】
［皿ユニット］
図９１は、皿ユニット９００が設けられたガラスドア５を示す全体斜視図、図９２は、ガラスドア５の正面を示す全体正面図である。ガラスドア５の正面に向かって左下部には、皿ユニット９００が設けられる。なお、本実施形態の遊技機においては、一つの皿ユニット９００しか存在しないが、例えば上皿ユニットと下皿ユニットとを設け、いずれか一方を本実施形態の皿ユニット９００として適用してもよい。皿ユニット９００は、入賞に応じて払い出される遊技球を貯留し、貯留した遊技球を発射装置２６へと順次誘導するとともに、遊技者の球抜き操作に応じて下方に配置したいわゆるドル箱（図示略）へと遊技球を排出可能とするものである。皿ユニット９００の後方には、遊技球を払い出す払出口９０１が設けられ、この払出口９０１から複数の遊技球が皿ユニット９００へと払い出される。払出口９０１の背後には、発射装置２６からの遊技球を受けつつ払出口９０１へと送り出すための球送出受け部材９０２が設けられる（図９３参照）。
【０３７６】
図９３は、皿ユニット９００の全体を示す拡大斜視図、図９４は、皿ユニット９００の分解斜視図、図９５は、皿ユニット９００の上面図、図９６は、皿ユニット９００の受け皿カバー部材９３０を取り外した状態の上面図である。皿ユニット９００は、装飾カバー９１０、本体部９２０、受け皿カバー部材９３０、球抜き通路部材９４０、蓋開閉部９５０などを有して構成される。装飾カバー９１０は、本体部９２０の下部に配置される球抜き通路部材９４０などを覆うように皿ユニット９００の前面及び側面に取り付けられる。図９４に示すように、本体部９２０には、パチンコ遊技機Ｙ内部の発射装置２６へと複数の遊技球を順序よく列状に整列させる整列部９２０Ａと、遊技者による蓋開閉部９５０の操作により、球抜き通路部材９４０へと遊技球を導くための第１開閉蓋９２０Ｂ及び第２開閉蓋９５３Ｂが設けられる。受け皿カバー部材９３０は、本体部９２０の上部に配置されるものであり、払出口９０１から払い出された遊技球を最初に受けて貯留するとともに、貯留した遊技球を下方の整列部９２０Ａへと導くものである。受け皿カバー部材９３０には、本体部９２０の整列部９２０Ａを上方から覆うカバー部９３０Ａと、カバー部９３０Ａの外側壁９３０Ａａとの間に遊技球が通過し得る間隔をあけて周壁を形成する外周部９３０Ｂと、この外側壁９３０Ａａと外周部９３０Ｂとの間に形成され、下方の整列部９２０Ａへと遊技球を導く整流部９３０Ｃと、払出口９０１から払い出された複数の遊技球を滑り落とすことが可能なスロープ部９３０Ｄと、スロープ部９３０Ｄから滑り落ちてきた複数の遊技球を貯留しつつ整流部９３０Ｃへと流動させることが可能な貯留部９３０Ｅと、貯留部９３０Ｅの底面にあって第１開閉蓋９２０Ｂの上方に設けられる第１開口部９３０Ｆとが設けられる。なお、図９３においては、払出口９０１の図示を省略している。図９４においては、装飾カバー９１０の図示を省略している。
【０３７７】
本体部９２０の整列部９２０Ａは、皿ユニット９００の後端側において払出口９０１（球送出受け部材９０２）が配置される側とは反対側の右寄りの箇所において左右にまっすぐ延びるように設けられる。整列部９２０Ａは、複数の遊技球が一列に並んで流動するように、右側から左側へと下降傾斜しつつガイド片９２０Ａａにより直線的な溝状に形成されている。すなわち、整列部９２０Ａにおいて遊技球が整列する方向の上流側（整列方向上流側）は、払出口９０１から離間した整列部９２０Ａの右端部に相当し、この整列部９２０Ａの右端部にカバー部９３０Ａの整流部９３０Ｃから遊技球が流下してくる。整列部９２０Ａの整列下流側となる左端部には、内部の発射装置２６へと遊技球を導くための導入口９２０Ａｂが設けられ、整列部９２０Ａの底面にあって第２開閉蓋９５３Ｂの上方に設けられる第２開口部９３０Ｇが設けられる。整列部９２０Ａに並んだ遊技球は、１つずつ導入口９２０Ａｂへと直線的に導かれる。このような整列部９２０Ａは、右端部が一部露出しつつその余の部分が受け皿カバー部材９３０のカバー部９３０Ａによって覆われる。また、本体部９２０において受け皿カバー部材９３０が配置される部分は、概ね受け皿カバー部材９３０の外周部９３０Ｂや整流部９３０Ｃ、スロープ部９３０Ｄや貯留部９３０Ｅ、第１開口部９３０Ｆと整合する形状に形成されている。また、整列部９２０Ａの整流部９３０Ｃ側には、カバー部９３０Ａが装着されなかった場合でも整列部９２０Ａに整列している遊技球に流下してくる遊技球が乗り上げないような壁部９２０Ａｃが設けられている。遊技者による第１蓋開閉部９５０Ａの操作により、本体部９２０の第１開閉蓋９２０Ｂが開放されると、受け皿カバー部材９３０の貯留部９３０Ｅにある遊技球が第１開口部９３０Ｆを通じて下方へと排出される。排出された遊技球は、球抜き通路部材９４０を通じてドル箱の直上に位置する落下口９４０Ａへと導かれ、落下口９４０Ａからドル箱へと遊技球が排出される。一方、第１開閉蓋９２０Ｂが閉鎖状態にある場合、貯留部９３０Ｅの遊技球が第１開口部９３０Ｆから落下せずにそのままとどまり、整流部９３０Ｃへと導かれる。また、遊技者による第２蓋開閉部９５０Ｂの操作により、本体部９２０の第２開閉蓋９５３Ｂが開放されると、整列部９２０Ａに並んだ遊技球が第２開口部９３０Ｇを通じて下方へと排出される。排出された遊技球は、球抜き通路部材９４０を通じてドル箱の直上に位置する落下口９４０Ａへと導かれ、落下口９４０Ａからドル箱へと遊技球が排出される。一方、第２開閉蓋９５３Ｂが閉鎖状態にある場合、整列部９２０Ａに並んだ遊技球が第２開口部９３０Ｇから落下せずに導入口９２０Ａｂから内部の発射装置２６へと導かれる。
【０３７８】
受け皿カバー部材９３０のカバー部９３０Ａは、皿ユニット９００の後端側において払出口９０１（球送出受け部材９０２）が配置される側とは反対側の右寄りの箇所に位置する。カバー部９３０Ａの外側壁９３０Ａａは、湾曲状に形成されており、整列部９２０Ａの右端部と対応する部位に開口９３０Ａｂが形成されている。また、外周部９３０Ｂは、外側壁９３０Ａａとの間に整流部９３０Ｃを形成するように、外側壁９３０Ａａに概ね沿うような湾曲状に形成されている。これにより、整流部９３０Ｃは、貯留部９３０Ｅの遊技球を開口９３０Ａｂへと湾曲状に曲げつつ導くような通路として形成される。また、貯留部９３０Ｅの外壁部９３０Ｅａと整流部９３０Ｃの外周部９３０Ｂは、払出口９０１から放出された遊技球が接触しつつ転動して整流部９３０Ｃまで辿り着けるように連続した一つの面を形成している。これにより、貯留部９３０Ｅに遊技球が貯留されていない状態では、放出された遊技球が外壁部９３０Ｅａまで転動し、連続面（外壁部９３０Ｅａ、外周部９３０Ｂ）にて方向を変えられつつ整流部９３０Ｃへと導かれる。ここで、遊技球を貯留部９３０Ｅの外部に排出可能な第１開口部９３０Ｆ及び遊技球を貯留可能な閉鎖状態と遊技球を外部へと排出可能な開放状態とに切替可能な第１開閉蓋９２０Ｂは、遊技球が連続面（外壁部９３０Ｅａ、外周部９３０Ｂ）に接触しつつ転動可能なように、貯留部９３０Ｅの内部側（遊技盤１Ａ側）に連続面から所定の間隔をあけて設けられている。この所定の間隔としては、少なくとも遊技球の直径以上の距離となることが望ましい。これは、払出口９０１から放出された遊技球が全て第１開口部９３０Ｆから外部へと排出されてしまうことを防止するためであり、例えば、貯留している遊技球が少ない場合、払出口９０１から放出された遊技球は、連続面（外壁部９３０Ｅａ、外周部９３０Ｂ）に接触しながら転動し、第１開口部９３０Ｆに至ることなく第１開口部９３０Ｆから落下せずに整流部９３０Ｃへと導かれるので、仮に第１開閉蓋９２０Ｂが開放状態であっても、遊技球が第１開口部９３０Ｆからほとんど落下してしまって発射装置２６へと供給される遊技球が途切れてしまうようなことがない。
【０３７９】
整流部９３０Ｃは、貯留部９３０Ｅから開口９３０Ａｂの方へと若干下降傾斜するように形成されている。また、整流部９３０Ｃは、外側壁９３０Ａａと外周部９３０Ｂとにより開口９３０Ａｂの方へと進むに従って徐々に幅狭くなるように形成されている。これにより、貯留部９３０Ｅにおいて乱雑に山積した遊技球は、整流部９３０Ｃによって徐々に曲がった列をなして開口９３０Ａｂへと流れるようになる。また、払出口９０１から勢いよく払い出されることにより、スロープ部９３０Ｄ及び貯留部９３０Ｅを越えて整流部９３０Ｃにまで達する遊技球があっても、遊技球は、湾曲した外周部９３０Ｂの内面に当たることで推進力が弱められつつ整流部９３０Ｃを経て開口９３０Ａｂへと導かれる。
【０３８０】
図９７は、本体部９２０、球抜き通路部材９４０及び蓋開閉部９５０を背面側から視た斜視図、図９８は、図９７に示す図の分解図である。本体部９２０の下には、蓋開閉部９５０が設けられ、蓋開閉部９５０の下には、球抜き通路部材９４０が設けられている。
【０３８１】
図９９は、球抜き通路部材９４０の斜視図、図１００は、図９９中のＡＡ’断面図、図１０１は、図９９中のＢＢ’断面図である。図９９に示すように、球抜き通路部材９４０は、上面視で略Ｌ字形状に形成され、前面側から視て左右方向に延び、中空形状に形成され、内部を遊技球が流下する第１通路９４１と、第１通路９４１の下流側端部に接続され、第１通路９４１と直交する方向（前面背面方向）に延び、中空形状に形成され、内部を遊技球が流下し、下流側端部において下方が開放した落下口９４０Ａが形成された第２通路９４２と、を備える。第１通路９４１及び第２通路９４２は、上流側から下流側に向かって、底面が下り傾斜して配置されることで、内部を遊技球が上流から下流に向かって流下する。
【０３８２】
第１通路９４１は、球抜き通路部材９４０内に遊技球を導くための第１受け口９４１ａ及び第２受け口９４１ｂを備える。第１受け口９４１ａは、上流側端部において、本体部９２０の第１開口部９３０Ｆ（図９８参照）及び第１蓋開閉部９５０Ａの第１開閉蓋９５３Ａ（図９８参照）の下に形成され、上方が開放されている。第１受け口９４１ａは、第１通路９４１の側面から突出し、湾曲して上方が開放されている。これにより、第１開口部９３０Ｆから落下した遊技球をスムーズに第１通路９４１の内部に導くことができる。第２受け口９４１ｂは、上流側端部と下流側端部との間において、本体部９２０の第２開口部９３０Ｇ（図９８参照）及び第２蓋開閉部９５０Ｂの第２開閉蓋９５３Ｂ（図９８参照）の下に形成され、上方が開放されている。第２受け口９４１ｂは、第１通路９４１の側面から突出し、湾曲して上方が開放されている。これにより、第２開口部９３０Ｇから落下した遊技球をスムーズに第１通路９４１の内部に導くことができる。
【０３８３】
また、図１００に示すように、第１通路９４１は、上流下流方向に延びる２つの側面の少なくとも一方の側面が、底面に向かって下り傾斜する傾斜壁９４１ｃを形成している。また、傾斜壁９４１ｃは、図１０１に示すように、中間から下流側端部に向かって、他方の側面側にせり出している。すなわち、傾斜壁９４１ｃは、底面に向かって下り傾斜しつつ、他方の側面側にせり出している。これにより、第１通路９４１内部の幅は、中間から下流側端部に向かって、また、底面に向かって、徐々に狭くなっている（例えば、遊技球２個分の幅から遊技球１個分の幅になっている）。これにより、例えば、第１通路９４１内に多量の遊技球が流入しても、遊技球を１列に整流して、第２通路９４２に流下させることが可能となる。また、第１通路９４１は、上流下流方向に延びる側面において、第１受け口９４１ａ（図９９参照）と対面する部分に、第１受け口９４１ａが設けられた側の側面側から他方の側面側に斜めに延びるガイド壁９４１ｄが形成されている。これにより、第１受け口９４１ａから流入した遊技球をスムーズに第１通路９４１の内部に導くことができる。
【０３８４】
第２通路９４２は、第１通路９４１の接続部分において、外側のコーナーを形成するコーナー壁９４２ａを備える。コーナー壁９４２ａは、第１通路９４１の下流側端部から第２通路９４２の上流側端部に連なる部分であり、遊技球が流下する方向に膨出した湾曲形状に形成されている。
【０３８５】
図１０２は、球抜き通路部材９４０の分解斜視図である。球抜き通路部材９４０は、第１部材９４０ａと、第２部材９４０ｂと、が互いに組み合わされることで、内部を遊技球が流下可能な中空形状に形成される。第１部材９４０ａは、第１通路９４１の天面、底面及び一方の側面と、第２通路９４２の天面及び２つの側面を構成する。第２部材９４０ｂは、第１通路９４１の他方の側面と、第２通路９４２のコーナー壁９４２ａ及び底面を構成する。第１部材９４０ａには、第２通路９４２の２つの側面を構成する部分の下端に、それぞれ下端から斜め上方に向かって欠き込まれた欠き込み９４０ａ’が形成されている。第２部材９４０ｂには、第２通路９４２の底面を構成する部分の２つの側縁に、それぞれ斜め上方に向かって突出する突起９４０ｂ’が形成されている。欠き込み９４０ａ’と突起９４０ｂ’は、第１部材９４０ａ及び第２部材９４０ｂが互いに組み合わされるときに、互いに係合され、図１０１に示す状態となる。よって、第１部材９４０ａ及び第２部材９４０ｂをネジ止めしなくとも、２つの部材を組み合わせた状態に維持できる。
【０３８６】
図９８に示すように、蓋開閉部９５０は、本体部９２０の第１開口部９３０Ｆを開閉するための第１蓋開閉部９５０Ａと、本体部９２０の第２開口部９３０Ｇを開閉するための第２蓋開閉部９５０Ｂと、を備える。第１蓋開閉部９５０Ａは、本体部９２０の下に配置された基端から前面側に延び、先端が本体部９２０より前面方向に突出し、遊技者が操作可能な第１把持部９５１Ａと、第１把持部９５１Ａの基端側をスライド自在に保持する第１蓋開閉部本体９５２Ａと、第１把持部９５１Ａに固定され、第１蓋開閉部本体９５２Ａにスライド自在に取り付けられ、第１開口部９３０Ｆを塞ぐ閉状態と、第１開口部９３０Ｆを開放する開状態とに変位可能な第１開閉蓋９５３Ａと、を備える。これにより、遊技者は、第１把持部９５１Ａをスライド移動させることで、第１開閉蓋９５３Ａを開状態と開状態との間で変位させ、第１開口部９３０Ｆを開閉させることができる。第２蓋開閉部９５０Ｂは、本体部９２０の下に配置された基端から前面側に延び、先端が本体部９２０より前面方向に突出し、遊技者が操作可能な第２把持部９５１Ｂと、第２把持部９５１Ｂの基端側をスライド自在に保持する第２蓋開閉部本体９５２Ｂと、第２蓋開閉部本体９５２Ｂにスライド自在に取り付けられ、第２開口部９３０Ｇを塞ぐ閉状態と、第２開口部９３０Ｇを開放する開状態とに変位可能な第２開閉蓋９５３Ｂと、第２把持部９５１Ｂと第２開閉蓋９５３Ｂとに連結され、第２把持部９５１Ｂのスライド移動により、第２開閉蓋９５３Ｂを開状態と開状態との間で変位させるリンク部９５４と、を備える。これにより、遊技者は、第２把持部９５１Ｂをスライド移動させることで、第２開閉蓋９５３Ｂを開状態と開状態との間で変位させ、第２開口部９３０Ｇを開閉させることができる。
【０３８７】
［第３実施形態に係る遊技機の電気的構成］
図１０３は、本発明の第３実施形態に係る遊技機の回路構成を示すブロック図である。第３実施形態に係るパチンコ遊技機Ｙの電気的構成は、主制御回路７０に第１検知センサ８４０及び第２検知センサ８５０が接続されている点と、払出・発射制御回路１２３に満タン検知センサ７３３が接続されている点と、副制御回路２００に２つのプロジェクタ装置本体ｂ２が接続されている点と、第３実施形態のパチンコ遊技機１と異なる。
【０３８８】
第１検知センサ８４０及び第２検知センサ８５０は、アウト口５５（図８３参照）を通過した遊技球をそれぞれアウト球として検知し、所定の出力信号を主制御回路７０に出力する。満タン検知センサ７３３は、奥方に変位した満タン検知レバー７３２（図８２参照）が所定時間にわたり接した状態になると、第２誘導路７３０Ｄ（図８２参照）に遊技球が詰まって満タンになった状態と検知し、所定の出力信号を払出・発射制御回路１２３に出力する。払出・発射制御回路１２３は、この所定の出力信号を受信した場合、賞球ケースユニット１７０による遊技球の払い出しを一旦停止する。また、満タン検知センサ７３３は、満タン検知レバー７３２が前面側に変位し、満タン検知センサ７３３から離間した状態になると、第２誘導路７３０Ｄに遊技球が詰まっていない状態と検知し、所定の出力信号を払出・発射制御回路１２３に出力する。払出・発射制御回路１２３は、この所定の出力信号を受信した場合、一旦停止していた賞球ケースユニット１７０による遊技球の払い出しを再開する。
【０３８９】
副制御回路２００は、第２実施形態のパチンコ遊技機と同様に、他の遊技装置等の演出動作に応じて、プロジェクタ制御回路９０を制御し、２つのプロジェクタ装置本体ｂ２をそれぞれ又は連動させて、照射光を投影させ、遊技盤１Ａやスクリーン部ｂ４の背面に向けて照射光を投影することにより、視覚的な演出として映像を表示する。
【０３９０】
また、主制御回路７０に接続されている各種センサ、各種装置、他の回路等の遊技機構成部品は、カバー部材４３０（図７０参照）に収容されている中継基板１００（図７０参照）や、遊技盤１Ａ（図６４参照）の遊技盤中継基板１０１（図６４参照）を介して、主制御回路７０に接続されている。
【０３９１】
上記実施形態でのパチンコ遊技機では、貯留皿に貯留されている遊技球を遊技盤に発射し、入賞が発生した場合に払出装置から遊技球を貯留皿に払い出す構成であったが、これに限定されるものではない。
【０３９２】
例えば、遊技者によって遊技に必要な遊技球やメダルなどの遊技媒体が投入され、それに基づいて遊技が行われ、例えばパチスロ機やカジノマシンなど、その遊技の結果に基づいて特典が付与される形態全てについて、本発明を適用することができる。すなわち、物理的な遊技者の動作によって遊技媒体を使用し、遊技結果に応じて遊技媒体が払い出される形態のみならず、主制御回路（主制御基板）自体が、遊技者が保有する遊技媒体を電磁的に管理し、遊技媒体を遊技者が触れることなく遊技が可能とするものであってもよい。また、遊技者が保有する遊技媒体を電磁的に管理するのは、主制御回路（主制御基板）に装着され（接続され）、遊技媒体を管理する遊技媒体管理装置であってもよい。またその場合、遊技盤に発射される遊技球は遊技者が触れることのない封入式遊技機であることが望ましい。
【０３９３】
遊技媒体管理装置は、ＲＯＭ及びＲＷＭ（あるいは、ＲＡＭ）を有して、遊技機に設けられる装置であって、図示しない外部の遊技媒体取扱装置と所定のインターフェイスを介して双方向通信可能に接続されるものであり、遊技媒体の貸出動作や遊技媒体の払出動作によって生じる遊技の用に供する遊技媒体を電磁的に記録する動作を行い得るものとすればよい。また、遊技媒体管理装置は、これら実際の遊技媒体数の管理のみならず、例えば、その遊技媒体数の管理結果に基づいて、パチンコ機１又は１Ａの前面に、保有する遊技媒体数を表示する保有遊技媒体数表示装置（不図示）を設けることとし、この保有遊技媒体数表示装置に表示される遊技媒体数を管理するものであってもよい。すなわち、遊技媒体管理装置は、遊技者が遊技の用に供することができる遊技媒体の総数を電磁的方法により記録し、表示することができるものとすればよい。
【０３９４】
また、この場合、遊技媒体管理装置は、遊技者が、記録された遊技媒体数を示す信号を、外部の遊技媒体取扱装置に対して自由に送信させることできる性能を有し、また、遊技者が直接操作する場合のほか、記録された遊技媒体数を減ずることができない性能を有し、また、外部の遊技媒体取扱装置との間に外部接続端子板（不図示）が設けられる場合には、その外部接続端子板を介してでなければ、遊技者が、記録された遊技媒体数を示す信号を送信できない性能を有することが望ましい。
【０３９５】
遊技機には上記の他、遊技者が操作可能な貸出操作手段、返却（精算）操作手段、外部接続端子板が設けられ、遊技媒体取扱装置には紙幣等の有価価値の投入口、記録媒体（例えば、ＩＣカード）の挿入口、携帯端末から電子マネー等の入金を行うための非接触通信アンテナ等、その他貸出操作手段、返却操作手段等の各種操作手段、遊技媒体取扱装置側外部接続端子板が設けられるようにしてもよい（いずれも不図示）。
【０３９６】
その際の遊技の流れとしては、例えば、遊技者が遊技媒体取扱装置に対しいずれかの方法で有価価値を入金し、上記いずれかの貸出操作手段の操作に基づいて所定数の有価価値を減算し、遊技媒体取扱装置から遊技媒体管理装置に対し減算した有価価値に対応する遊技媒体を増加させる。そして遊技者は遊技を行い、さらに遊技媒体が必要な場合には上記操作を繰り返し行う。その後、遊技の結果、所定数の遊技媒体を獲得し、遊技を終了する際には、いずれかの返却操作手段を操作することにより、遊技媒体管理装置から遊技媒体取扱装置に対し遊技媒体数を送信し、遊技媒体取扱装置はその遊技媒体数を記録した記録媒体を排出する。遊技媒体管理装置は遊技媒体数を送信したときに自身が記憶する遊技媒体数をクリアする。遊技者は排出された記録媒体を景品交換するために景品カウンター等に持っていくか、又は他の台で記録された遊技媒体に基づいて遊技を行うために遊技台を移動する。
【０３９７】
このように、上述した遊技媒体管理装置を設けることにより、遊技媒体が物理的に遊技に供される場合と比べて、遊技機内部の払出装置等を減らすことができ、遊技機の原価及び製造コストを削減できるのみならず、遊技者が直接遊技媒体に接触しないようにすることもでき、遊技環境が改善し、騒音も減らすことができるとともに、装置を減らしたことにより遊技機の消費電力を減らすことにもなる。また、遊技媒体や遊技媒体の投入口や払出口を介した不正行為を防止することができる。すなわち、遊技機をとりまく種々の環境を改善することができる遊技機を提供することが可能となる。
【０３９８】
第３実施形態に係るパチンコ遊技機Ｙによれば、以下の作用効果を奏する。パチンコ遊技機Ｙによれば、プロジェクタユニットｂを、前面側から背面側方向の投射レンズｂ２ａから出射される投影光を遮らない位置において、傾斜させた状態で配置できるので、プロジェクタユニットｂの前面側から背面側方向の設置スペースを抑えることができる。さらに、このように配置したプロジェクタユニットｂの下部とカバー部材との間に形成された所定の空間４０５に、主制御基板７０Ａを収容できるので、所定の空間４０５を利用せずに、別の場所の主制御基板７０Ａを設けた場合に比べ、省スペース化が可能となる。したがって、裏機構を省スペース化することが可能な遊技機を提供できる。
【０３９９】
また、プロジェクタユニットｂを、投射レンズｂ２ａを設けた一方の端部側をパチンコ遊技機Ｙの前面側に配置し、反対の端部を背面側に配置し、一方の端部側を反対の端部側より低くなるように設けたことで、プロジェクタユニットｂからの廃熱を、パチンコ遊技機Ｙの裏機構内にこもらせることなく、斜め上方に逃がすことが可能となり、この廃熱が他の精密部品に悪影響を及ぼすことを防止可能となる。
【０４００】
これにより、カバー部材４３０の凹部４３１ａに、主制御基板７０Ａを収容できるので、主制御基板７０Ａをプロジェクタユニットｂの下部の所定の空間４０５に納めつつ、プロジェクタユニットｂの廃熱から主制御基板７０Ａを保護し、この廃熱による主制御基板７０Ａへの悪影響を防止することが可能となる。また、主制御基板７０Ａを、外側に配置されているカバー部材４３０に収容することで、構成部品のメンテナンスが容易になる。
【０４０１】
また、取付枠４１０とカバー部材４３０との間に設けられた取付ベース４２０に、プロジェクタユニットｂ及びミラー部材ｂ３を取り付けることができるので、取付枠４１０の前方から飛び出すようにミラー部材ｂ３を設ける必要がないので、パチンコ遊技機Ｙの美観を損ねることなく、照射光を適切に、スクリーンに投影することが可能な遊技機を提供できる。
【０４０２】
また、取付ベース４２０の幅を、前面側から背面側にいくにつれて狭くし、カバー部材４３０の背面部４３１に主基板７０Ａを収容可能とし、カバー部材４３０の側面４３２に、主基板７０Ａとは異なる中継基板１００を収容可能としたので、遊技機内部の限られたスペースを有効に利用することが可能となる。また、カバー部材４３０が、カバー部材４３０の表面からパチンコ遊技機Ｙ内部側に突出するように形成され、主制御基板７０Ａをカバー部材４３０の表面よりパチンコ遊技機Ｙ背面側に突出しないように収容可能な凹部４３１ａを備えた。これにより、主制御基板７０Ａを、凹部４３１ａに収容することで、取付ベース４２０とカバー部材４３０の表面との間において、パチンコ遊技機Ｙ背面側に突出しないように設けることができるので、遊技機内部の限られたスペースを有効に利用することが可能となる。
【０４０３】
また、前面側に配置される取付枠４１０に取り付けられた可動止め具により、遊技盤１Ａを着脱自在に固定し、取付枠４１０の背面側に取付ベース４２０及びカバー部材４３０を取り付けたので、カバー部材４３０を外さないと、取付枠４１０に設けられた遊技盤可動止め具４１３へのアクセスを困難とすることで、不正行為を防止することができる。また、遊技盤１Ａの背面側に設ける各種部品を、遊技盤１Ａの背面側に設けられた取付ベース４２０やカバー部材４３０に、取り付けることができるので、例えば、各種部品を変えずに、遊技盤１Ａだけ変更することも可能となり遊技機の設計が容易になる。また、遊技機の組み立てる際には、遊技盤１Ａに関連する遊技盤可動止め具４１３を取付枠４１０の側面に、主制御基板７０Ａが収容されているカバー部材４３０を取付枠４１０の背面に取り付けるようにして、遊技盤１Ａに関わる部材、主制御基板７０Ａ等の裏機構に関わる部材、というように、部材の大きなカテゴリ毎に取り付ける面を異なるように構成した。したがって、遊技機の設計変更や組み立て作業を容易にし、また組み立て作業における作業水を低減することが可能な遊技機を提供できる。
【０４０４】
また、取付枠４１０のどの面に、どの部材を取り付けるかを分けることで、取付枠４１０に取り付ける部材の配置関係（内周か背面か）にしたがって組み立てることで、組み立て作業における誤作業を防止できる。
【０４０５】
また、取付枠４１０と、主制御基板７０Ａを収容可能なカバー部材４３０との間に取付ベース４２０を設け、この取付ベース４２０にプロジェクタユニットｂが取り付け、カバー部材に遊技装置を制御可能な制御基板を取り付け、取付枠４１０に、取付ベース４２０及びカバー部材４３０を別々に固定可能な固定部４１１ａを備えることで、遊技装置の種類に応じて、取付ベース４２０の形状を変更可能とすることができる。よって、裏機構を覆う部材を、カバー部材４３０と取付ベース４２０との２つの部材で構成することで、共通した部材であるカバー部材４３０を使用しつつ、取付ベース４２０をパチンコ遊技機Ｙの演出特性に合わせた遊技装置の種類に応じた形状に変更することで、柔軟な機種開発を行うことが可能となる。したがって、裏機構を覆う部材の汎用性を向上可能な遊技機を提供できる。
【０４０６】
また、カバー部材４３０を外さないと、遊技装置が取り付けられた取付ベース４２０を操作できないので、いたずら等で外部から遊技装置を取り外されることを防止できる。
【０４０７】
また、カバー部材４３０を取付枠４１０に取り付けることで、遊技機全体の剛性を向上することが可能となる。また、裏機構を覆う部材を、カバー部材４３０と取付ベース４２０との二重構造とすることで、さらに、遊技機全体の剛性を向上することが可能となる。
【０４０８】
パチンコ遊技機Ｙによれば、カバー部材４３０の側面部４３２の少なくとも１つを傾斜させたので、奥行き寸法が同じ場合に、側面部４３２を傾斜させない場合に比べ、副制御基板８０Ａ等の遊技機構成部品の設置可能面積が大きくなるので、より多様な遊技機構成部品を取り付けることが可能となる。また、背面部４３１及び少なくとも２つの側面部４３２から形成される空間の内部に収容される主制御基板７０Ａとは別に、この傾斜した側面部４３２に、副制御基板８０Ａを収容可能としたので、副制御基板８０Ａを背面部４３１に集約した場合に比べ、副制御基板８０Ａがパチンコ遊技機Ｙの背面部４３１に突出するのを抑えることが可能となる。したがって、奥行き寸法を抑えることが可能な遊技機を提供できる。
【０４０９】
また、カバー部材４３０の背面部４３１に凹部４３１ａを設けることで、カバー部材４３０の背面部４３１の折曲がり強度を高めることが可能となる。したがって、遊技機の背面側を覆うカバー部材の強度を向上可能な遊技機を提供できる。
【０４１０】
また、例えば、主制御基板７０Ａが背面部４３１から突出していた場合、パチンコ遊技機Ｙの移動時等において、この突出した部分に外力が加わり、破損する可能性が高くなる。本発明によれば、凹部４３１ａに主制御基板７０Ａを収容し、背面部４３１の表面を略面一の状態とすることで、遊技機の移動時等において、遊技機構成部品に外力が加わり破損する可能性を低減できる。
【０４１１】
また、カバー部材４３０の側面部４３２の少なくとも１つを傾斜させたので、奥行き寸法が同じ場合に、側面部４３２を傾斜させない場合に比べ、副制御基板８０Ａ等の遊技機構成部品の設置可能面積が大きくなるので、より多様な遊技機構成部品を取り付けることが可能となる。また、本体枠２に軸支された側と反対側の側面部４３２の少なくとも一部を、本体ユニット４００の本体枠ヒンジ２ｂを中心とし、本体ユニット４００の内側側縁を通る仮想円ＶＣの内側に形成したので、本体枠２の内側を回動可能な範囲で、カバー部材４３０内部の空間をより広くし、より多くの遊技機構成部品を配置することが可能となる。したがって、奥行き寸法を抑えることが可能な遊技機を提供できる。
【０４１２】
また、カバー部材４３０の側面部４３２の少なくとも一部を仮想円ＶＣに沿った形状に形成したので、本体枠２の内側を回動可能な範囲で、カバー部材４３０内部の空間を更に広くし、更に多くの遊技機構成部品を配置することが可能となる。
【０４１３】
また、カバー部材４３０の側面部４３２の少なくとも１つを傾斜させたので、奥行き寸法が同じ場合に、側面部４３２を傾斜させない場合に比べ、副制御基板８０Ａ等の遊技機構成部品の設置可能面積が大きくなるので、より多様な遊技機構成部品を取り付けることが可能となる。また、カバー部材４３０において、開口部４３２ｅを、背面部４３１及び少なくとも２つの側面部４３２から形成される空間の内部に収容された遊技盤１Ａの遊技盤中継基板１０１からの配線をカバー部材４３０の外側に設けられた中継基板１００と接続可能なように設け、側面第１凹部４３２ａに開口部４３２ｅを介して配線と接続される中継基板１００を収容可能とし、この側面第１凹部４３２ａに、主制御基板７０Ａや副制御基板８０Ａをそれぞれ収容可能な凹部４３１ａや側面第２凹部４３２ｃを隣接させた。これにより、より多彩な主制御基板７０Ａを取り付けることが可能であっても、多様な遊技機構成部品を集約して配置可能となり、これらを接続するケーブルを短くすることが可能となる。よって、多様な遊技機構成部品の確認作業やケーブル等の取り回しが容易になる。したがって、遊技機の組み立て作業やメンテナンスを簡素にすることが可能な遊技機を提供できる。
【０４１４】
パチンコ遊技機Ｙによれば、仮に貯留皿の払出口が塞がれることなどにより、払出装置７００の内部において球送出機構７２０から排出口７３０Ｂへと通じる第１誘導路７３０Ｃで賞球となる遊技球の流れが停滞して詰まりが生じても、この第１誘導路７３０Ｃの上部途中から分岐した分岐路７３０Ｅ及び貫通口７３１Ａを通じて球送出機構７２０からの遊技球が第２誘導路７３０Ｄへと??回して導かれ、第２誘導路７３０Ｄが遊技球で満タン状態となっても、払出口（排出口７３０Ｂ）付近の閉塞状態が解消されると、第１誘導路７３０Ｃ及び第２誘導路７３０Ｄにおいて満タン状態となった多数の遊技球を直ちにまとめて排出口７３０Ｂから排出することができる。すなわち、払出装置７００の内部における遊技球の球詰まりを第２誘導路７３０Ｄが満タン状態となるまで可及的に遅らせて防ぐことができる。
【０４１５】
また、払出装置７００の内部に第１誘導路７３０Ｃ及び第２誘導路７３０Ｄが設けられるので、遊技者の手に誘導路内の遊技球が直接触れられるおそれもなく、外的な要因によって遊技球の球詰まりが発生してしまうことを防ぐことができる。
【０４１６】
また、カバー部材４３０において、球通路ユニット７３０と基板の収容部を一体的なユニットとして形成でき、また、カバー部材４３０の中央よりに制御基板を配置することで、配線回しに柔軟性を持たせることが可能となり、また、制御基板に不正が行われているかも確認しやすくなる。
【０４１７】
また、第２誘導路７３０Ｄが満タン状態となって満タン検知レバー７３２及び満タン検知センサ７３３により遊技球の停滞が検知されるまでは、球送出機構７２０により入賞に応じた賞球としての遊技球を継続して繰り出すことができる。したがって、満タン状態となっても払い出し動作をすぐに中断させずに継続することができ、払出装置７００の内部により多くの遊技球を貯留することができる。また、第１誘導路７３０Ｃと第２誘導路７３０Ｄとの横方向の幅を変えることで、第１誘導部と第２誘導部とにおける遊技球の貯留量や流量を変えることが可能となり、より適切な払い出し動作を行えるように調整することが可能となる。
【０４１８】
また、第２誘導路７３０Ｄは、第１誘導路７３０Ｃに平面的に重なるように併設されることにより、別途設けられる第２誘導路７３０Ｄの占有スペースを大きく拡張せずとも有効にスペースを確保して利用することができる。これにより、球通路ユニット７３０と共に払出装置７００全体の小型化に貢献することができる。
【０４１９】
また、第２誘導路７３０Ｄに満タン状態となって貯留された遊技球も排出口７３０Ｂへと合流するように導くことができる。これにより、第１誘導路７３０Ｃの遊技球もまとめて多数の遊技球を１箇所の排出口７３０Ｂから排出することができ、払出装置７００の内部における遊技球の球詰まりを可及的かつ速やかに解消することができる。
【０４２０】
パチンコ遊技機Ｙによれば、突片部材８３０が第１検知センサ８４０，第２検知センサ８５０を分け隔てつつも奥方の遊動空間部８１０Ｄ，８２０Ｄまで遊技球の進入を可能としており、遊動空間部８１０Ｄ，８２０Ｄの遊技球を突片部材８３０の上端８３０Ａに接しながら底面８１０Ｄａ，８２０Ｄａに沿って第１検知センサ８４０及び第２検知センサ８５０のいずれか一方に振り落とすことができるので、球検知ユニット８００の内部において遊技球どうしで球噛みを生じることがなく、ひいてはアウト口５５付近における遊技球の球詰まりを効果的に防ぐことができる。
【０４２１】
また、突片部材８３０は、遊技球が進入する方向に沿って手前から奥方へと遊技球を左右に振り分けるように導くことができるので、遊技球どうしで球噛みを生じるおそれもなく、第１検知センサ８４０及び第２検知センサ８５０のいずれかへとスムーズに遊技球を導くことができる。
【０４２２】
また、突片部材８３０の上端８３０Ａは、奥側にいくほど上昇（隆起）するように形成されているので、遊動空間部８１０Ｄ，８２０Ｄへの遊技球の進入を許容しつつも可及的に第１検知センサ８４０及び第２検知センサ８５０のいずれかへと徐々に遊技球を落下させやすくすることができるとともに、上端８３０Ａの前側部分では、遊技球の進行方向を規制せずに第１検知センサ８４０及び第２検知センサ８５０のいずれにも誘導することができる。
【０４２３】
また、突片部材８３０は、第１検知センサ８４０及び第２検知センサ８５０を分け隔てつつも完全にこれらを仕切ることなく、上端８３０Ａが峰状になっているので、進入した遊技球を引っ掛かりなく第１検知センサ８４０及び第２検知センサ８５０のいずれかへとスムーズに誘導することができる。
【０４２４】
パチンコ遊技機Ｙによれば、遊技盤中継基板１０１を、遊技盤１Ａに対し略直角に立設させたので、遊技盤１Ａに面で取り付けた場合に比べ、遊技盤１Ａの裏面側における遊技盤中継基板１０１の設置スペースを抑えことが可能となる。また、カバー部材４３０により第１大入賞口ソレノイド５３ｂを覆うことで、第１大入賞口ソレノイド５３ｂと遊技盤中継基板１０１との接続部分を保護することが可能となる。したがって、遊技盤の裏面側における基板の設置スペースを抑えつつ、基板を外部の衝撃から保護することが可能な遊技機を提供できる。
【０４２５】
また、カバー部材４３０に、遊技盤中継基板１０１に対応する位置に開口を設け、遊技盤中継基板１０１を、この開口を介してカバー部材４３０の外部からコネクタ接続部１０１ａに対する接続操作が可能な位置まで延設し、かつ、少なくとも遊技盤中継基板１０１の外側部分をカバー部材で覆った。このため、遊技盤中継基板１０１を外部の衝撃から保護しつつ、遊技盤中継基板１０１に接続されたコネクタをカバー部材４３０の外に引き出したり、カバー部材４３０を取り付けた状態で、遊技盤中継基板１０１にコネクタを着脱することが可能となるので、遊技機の組み立てや、メンテナンスの作業性を向上することが可能となる。
【０４２６】
また、遊技盤中継基板１０１を、遊技盤１Ａに対し略直角に立設させたので、遊技盤１Ａに面で取り付けた場合に比べ、遊技盤１Ａの裏面側における遊技盤中継基板１０１の設置スペースを抑えことが可能となる。また、遊技盤中継基板１０１を遊技盤１Ａと平行な状態となるように折り畳み可能とすることで、必要に応じて（例えば、遊技盤中継基板１０１を取り付けた遊技盤１Ａを搬送したり、重ねて保管したりする場合等）、遊技盤中継基板１０１を折り畳めるので、遊技盤１Ａから垂直に突出させたままの状態にしておく場合に比べ、遊技盤中継基板１０１に外力がかかる可能性が低くなり、遊技盤中継基板１０１が破損してしまうリスクを低減できる。したがって、遊技盤の裏面側における基板の設置スペースを抑えつつ、基板が損傷するリスクを低減することが可能な遊技機を提供できる。
【０４２７】
また、カバー部材４３０に、遊技盤中継基板１０１に対応する位置に開口部４３２ｅを設け、遊技盤中継基板１０１が、この開口部４３２ｅを介してカバー部材４３０の外部からコネクタ接続部１０１ａに対する接続操作が可能な位置まで延設し、かつ、少なくとも遊技盤中継基板１０１の外側部分をカバー部材４３０で覆った状態でコネクタ接続部１０１ａの配線差込口１０１ｂが開口部４３２ｅの方向に向くように配置した。このため、遊技盤中継基板１０１を外部の衝撃から保護しつつ、遊技盤中継基板１０１に接続されたコネクタをカバー部材４３０の外に引き出したり、カバー部材４３０を取り付けた状態で、遊技盤中継基板１０１にコネクタを着脱することが可能となるので、遊技機の組み立てや、メンテナンスの作業性を向上することが可能となる。
【０４２８】
また、カバー部材４３０の側面部４３２の少なくとも１つを傾斜させたので、奥行き寸法が同じ場合に、側面部４３２を傾斜させない場合に比べ、副制御基板８０Ａ等の遊技機構成部品の設置可能面積が大きくなるので、より多様な遊技機構成部品を取り付けることが可能となる。また、この傾斜した側面部４３２に、遊技機構成部品を収容可能としたので、遊技機構成部品を背面部４３１に集約した場合に比べ、遊技機構成部品が遊技機の背面部４３１に突出するのを抑えることが可能となる。また、傾斜した側面部４３２において、遊技盤中継基板１０１に対応する位置に開口部４３２ｅを設けることで、遊技盤１Ａの裏面側における遊技盤中継基板１０１の設置スペースを抑えつつ、カバー部材４３０の側面部４３２における遊技機構成部品の設置可能面積をより大きくすることが可能となる。
【０４２９】
また、遊技盤中継基板１０１を、遊技盤１Ａに対し略直角に立設させたので、遊技盤１Ａに面で取り付けた場合に比べ、遊技盤１Ａの裏面側における遊技盤中継基板１０１の設置スペースを抑えことが可能となる。また、カバー部材４３０により第１大入賞口ソレノイド５３ｂを覆うことで、第１大入賞口ソレノイド５３ｂと遊技盤中継基板１０１との接続部分を保護することが可能となる。したがって、遊技盤の裏面側における基板の設置スペースを抑えつつ、基板を外部の衝撃から保護することが可能な遊技機を提供できる。
【０４３０】
また、中継基板１００を収容可能な側面第１凹部４３２ａに、主制御基板７０Ａ、副制御基板８０Ａをそれぞれ収容可能な側面第２凹部４３２ｃ、凹部４３１ａを隣接して配置し、かつ側面第１凹部４３２ａには遊技盤１Ａからの配線と接続可能な開口部４３２ｅを設けたので、遊技盤１Ａに設けられた部品と側面第２凹部４３２ｃや凹部４３１ａに収容された主制御基板７０Ａや副制御基板８０Ａのそれぞれとの配線長さを短くすることができる。よって、多様な遊技機構成部品の確認作業やケーブル等の取り回しが容易になる。
【０４３１】
パチンコ遊技機Ｙによれば、パチンコ遊技機Ｙの組み立て作業において、取付枠４１０にカバー部材４３０を取り付ける場合、大まかな位置を合わせて重ねることで、取付枠４１０の第１誘導樋４１６及びカバー部材４３０の第２誘導樋４３４のいずれか他方の開口部が、一方の開口部の受入部４３４ａのリブ４３４ｂに導かれ、一方の開口部に他方の開口部が挿入するように接続されることで遊技球が流下可能な状態となる。このように、取付枠４１０の第１誘導樋４１６及びカバー部材４３０の第２誘導樋４３４のいずれか一方の開口部と他方の開口部を、厳密に位置合わせしなくとも、大まかな位置を合わせ、重ねるだけで、一方の開口部に他方の開口部が挿入するように接続され、遊技球が流下可能な状態となるので、組み立ての作業効率を向上可能となる。したがって、組み立ての作業効率を向上可能な遊技機を提供できる。
【０４３２】
また、パチンコ遊技機Ｙの組み立て作業において、取付枠４１０にカバー部材４３０を取り付ける場合、大まかな位置を合わせて重ねることで、取付枠４１０の第１誘導樋４１６及びカバー部材４３０の第２誘導樋４３４のいずれか他方の開口部が、一方の開口部の受入部４３４ａのリブ４３４ｂに導かれ、他方の開口部が一方の開口部に挿入するように接続されることで遊技球が流下可能な状態となる。また、取付枠４１０の第３誘導樋４１８及びカバー部材４３０の第４誘導樋のいずれか一方の開口部が、一方の開口部の受入部４３４ａのリブ４３４ｂに導かれ、他方の開口部が一方の開口部に挿入するように接続されることで遊技球が流下可能な状態となる。このように、取付枠４１０の第１誘導樋４１６及びカバー部材４３０の第２誘導樋４３４のいずれか一方の開口部と他方の開口部や、取付枠４１０の第３誘導樋４１８及びカバー部材４３０の第４誘導樋のいずれか一方の開口部と他方の開口部を、厳密に位置合わせしなくとも、大まかな位置を合わせ、重ねるだけで、一方の開口部に他方の開口部が挿入するように接続され、遊技球が流下可能な状態となるので、組み立ての作業効率を向上可能となる。さらに、第１誘導樋４１６及び第２誘導樋４３４と、第３誘導樋４１８及び第４誘導樋と、の２ヶ所の連結部分で、取付枠４１０にカバー部材４３０を取り付ける際の位置決めが可能となるので、大まかな位置を合わせで、より正確な位置決めが可能となる。したがって、組み立ての作業効率を向上可能な遊技機を提供できる。
【０４３３】
また、パチンコ遊技機Ｙの組み立て作業において、取付枠４１０にカバー部材４３０を取り付ける場合、大まかな位置を合わせて重ねることで、取付枠４１０の第１誘導樋４１６及びカバー部材４３０の第２誘導樋４３４のいずれか他方の開口部が、一方の開口部の受入部のリブ４３４ｂに導かれ、他方の開口部が一方の開口部に挿入するように接続されることで遊技球が流下可能な状態となる。また、取付枠４１０の第３誘導樋４１８及びカバー部材４３０の第４誘導樋のいずれか一方の開口部が、一方の開口部の受入部のリブ４３４ｂに導かれ、他方の開口部が一方の開口部に挿入するように接続されることで遊技球が流下可能な状態となる。このように、取付枠４１０の第１誘導樋４１６及びカバー部材４３０の第２誘導樋４３４のいずれか一方の開口部と他方の開口部や、取付枠４１０の第３誘導樋４１８及びカバー部材４３０の第４誘導樋のいずれか一方の開口部と他方の開口部を、厳密に位置合わせしなくとも、大まかな位置を合わせ、重ねるだけで、一方の開口部に他方の開口部が挿入するように接続され、遊技球が流下可能な状態となるので、組み立ての作業効率を向上可能となる。さらに、第１誘導樋４１６及び第２誘導樋４３４と、第３誘導樋４１８及び第４誘導樋と、の２ヶ所の連結部分で、取付枠４１０にカバー部材４３０を取り付ける際の位置決めが可能となるので、大まかな位置を合わせで、より正確な位置決めが可能となる。したがって、組み立ての作業効率を向上可能な遊技機を提供できる。
【０４３４】
また、パチンコ遊技機Ｙの組み立て作業において、取付枠４１０にカバー部材４３０を取り付ける場合、大まかな位置を合わせて重ねる。このとき、互いの開口部の位置が多少ずれていても、カバー部材４３０を押し込むことで、他方の開口部は、一方の開口部のリブ４３４ｂの傾斜に導かれ、リブ４３４ｂの外縁から内縁側に移動し、内縁に囲まれた部分に嵌まり、一方の開口部に他方の開口部が挿入するように接続され、遊技球が流下可能な状態となる。このように、取付枠４１０の第１誘導樋４１６及びカバー部材４３０の第２誘導樋４３４のいずれか一方の開口部と他方の開口部を、厳密に位置合わせしなくとも、大まかな位置を合わせ、重ねるだけで、一方の開口部に他方の開口部が挿入するように接続され、遊技球が流下可能な状態となるので、組み立ての作業効率を向上可能となる。したがって、組み立ての作業効率を向上可能な遊技機を提供できる。
【０４３５】
また、パチンコ遊技機Ｙの組み立て作業において、取付枠４１０にカバー部材４３０を取り付ける場合、大まかな位置を合わせて重ねることで、取付枠４１０の第１誘導樋４１６及びカバー部材４３０の第２誘導樋４３４のいずれか他方の開口部の係合部４１６ａが、一方の開口部の受入部４３４ａのリブ４３４ｂに導かれ、接続位置において、リブ４３４ｂにより囲まれた部分に嵌まり、一方の開口部に他方の開口部が挿入するように接続されることで遊技球が流下可能な状態となる。このように、取付枠４１０の第１誘導樋４１６及びカバー部材４３０の第２誘導樋４３４のいずれか一方の開口部と他方の開口部を、厳密に位置合わせしなくとも、大まかな位置を合わせ、重ねるだけで、一方の開口部に他方の開口部が挿入するように接続され、遊技球が流下可能な状態となるので、組み立ての作業効率を向上可能となる。したがって、組み立ての作業効率を向上可能な遊技機を提供できる。
【０４３６】
また、他方の開口部を、一方の開口部のリブ４３４ｂで案内する場合、他方の開口部の開口の外縁が、リブ４３４ｂに当接するが、このとき、開口の外縁に力が加わり、開口を変形させてしまい、接続後に、遊技球の流下に支障をきたすおそれがある。本発明によれば、他方の開口部の開口の外縁に係合部４１６ａを設けることで、係合部４１６ａをリブ４３４ｂに当接させ、開口の外縁に加わる力を低減し、接続後に、遊技球の流下に支障をきたすことを防止可能となる。
【０４３７】
パチンコ遊技機Ｙによれば、払出口９０１から放出された遊技球は、外壁部９３０Ｅａに接触しつつこれに沿って転動し、さらに連続する湾曲状の外周部９３０Ｂに沿って転動しながら整列部９２０Ａの整列方向上流側へと導かれ、整列部９２０Ａにおいては、複数の遊技球が直線的な列をなすように整列して導入口９２０Ａｂまで誘導される。その際、第１開口部９３０Ｆに設けられた第１開閉蓋９５３Ａが開放状態にあっても、払出口９０１から放出された遊技球が第１開口部９３０Ｆに落下することなく外壁部９３０Ｅａから外周部９３０Ｂに沿って転動しつつ整流部９３０Ｃから整列部９２０Ａへと導かれる。したがって、整流部９３０Ｃによって払出口９０１から整列部９２０Ａに至るまでの経路長を比較的長く確保しつつも、第１開口部９３０Ｆから落下しないように、貯留部９３０Ｅの外壁部９３０Ｅａや整列部９２０Ａの外周部９３０Ｂが第１開口部９３０Ｆから所定の間隔をあけて形成されるとともに、その外周部９３０Ｂが湾曲状に形成されているので、整流部９３０Ｃから整列部９２０Ａへと円滑に落下・排出させることなく遊技球を導くことができる。
【０４３８】
また、払出口９０１から放出された遊技球は、直接整列部９２０Ａに達することなく整流部９３０Ｃへと??回するように導かれ、その後、この整流部９３０Ｃから整列部９２０Ａへと導かれ、整列部においてまっすぐ整列した状態で導入口９２０Ａｂへと導かれる。これによっても、整流部９３０Ｃから整列部９２０Ａへと円滑に球詰まりさせることなく遊技球を導くことができる。
【０４３９】
また、整流部９３０Ｃと整列部９２０Ａとは、カバー部９３０Ａの外側と内側とに形成されるので、これによっても、払出口９０１から整列部９２０Ａに至るまでの経路長を比較的長く確保し、皿ユニット９００全体の幅寸法や設置スペースを抑えることができる。
【０４４０】
また、整列部９２０Ａに整列している遊技球に、更に放出された遊技球が乗り上げ、整列が乱れ球詰まりが発生したり、遊技球が皿ユニット９００から飛び出したりすることを防止できる。
【０４４１】
また、湾曲状の整流部９３０Ｃを形成することによっても、払出口９０１から整列部９２０Ａに至るまでの経路長を比較的長く確保することができるので、皿ユニット９００全体の幅寸法や設置スペースを抑えることができ、整流部９３０Ｃから整列部９２０Ａへと円滑に遊技球を導くことができる。
なお、本実施形態においては、受け皿カバー部材９３０自体のカバー部９３０Ａの外側壁９３０Ａａと外周部９３０Ｂとの間に整流部９３０Ｃが形成されるが、単に整列部を覆うだけのカバー部材を設け、このカバー部材の外側と皿ユニット本体部の湾曲した内周部との間に整列部のほか、スロープ部や貯留部を設けるようにしてもよい。
【０４４２】
「第４実施形態」
次に、第４実施形態に係るパチンコ遊技機について図面を参照して説明する。なお、先述した第１〜第３実施形態に係るものと同一又は類似の構成要素については、同一符号を付してその説明を省略する。図１０４〜図１５４は、第４実施形態に係るパチンコ遊技機を説明するための図である。
【０４４３】
第４実施形態に係るパチンコ遊技機は、主として、主制御基板２８を収容する基板ケース２８００の組付け構造、当該基板ケース２８００の基板ユニット３４における取付構造、前面ドア（表枠）３の形状・構造、発射ハンドル２６ｂの内部構造、送風機構１１０の可動構造に特徴を有する。これらの特徴的な構造について図面を参照して以下に順に説明する。
【０４４４】
［基板ケースの組付け構造］
図１０４及び図１０５は基板ユニット３４の斜視図、図１０６は基板ユニット３４の正面図、図１０７及び図１０８は基板ケース２８００の斜視図、図１０９及び図１１０は基板ケース２８００の分解斜視図、図１１１は基板ケース２８００の正面図、図１１２は基板ケース２８００の背面図、図１１３及び図１１４は基板ケース２８００における上側部材２８１０の側面図、図１１５は上側部材２８１０の一部拡大側面図、図１１６は基板ケース２８００における下側部材２８２０の内部正面図、図１１７は上側部材２８１０及び下側部材２８２０の組付け前の状態を示す斜視図、図１１８は上側部材２８１０及び下側部材２８２０の組付け後の状態を示す斜視図である。
【０４４５】
図１０４〜図１０６に示すように、主制御基板２８を収容する基板ケース２８００は、サブ制御基板３３を収容するサブ制御基板収容部材３３ａや中継基板３２と共に基板ユニット３４のベース部材３４０に取り付けられる。中継基板３２は、ベース部材３４０の下側部分に取り付けられ、サブ制御基板収容部材３３ａは、中継基板３２の左寄り上方に位置し、ベース部材３４０の左上側部分に取り付けられ、基板ケース２８００は、中継基板３２の右寄り上方に位置し、サブ制御基板収容部材３３ａに近接しつつベース部材３４０の右上側部分に取り付けられる。
【０４４６】
図１０７〜図１１０に示すように、基板ケース２８００は、主たる部材要素として、上側部材２８１０、下側部材２８２０、及びカバー部材２８３０を有する。上側部材２８１０、下側部材２８２０、及びカバー部材２８３０は、内部を視認可能な透明素材で形成される。図１１０に示すように、上側部材２８１０の裏面には、ネジ２８４０を介して主制御基板２８が固定される。主制御基板２８は、図示されないメインＣＰＵ２８０等の電子部品が実装された主面を上側部材２８１０の表面２８１０ａに向けた姿勢で固定される。主制御基板２８が裏面に固定された上側部材２８１０は、上下方向にスライドさせることで下側部材２８２０に組み付けられ、さらに上側部材２８１０と下側部材２８２０とは、互いに封止されることで一体化される。図１０９及び図１１０に示すように、カバー部材２８３０は、互いに封止された上側部材２８１０及び下側部材２８２０の上端部２８１１，２８２１を覆うように取り付けられる。
【０４４７】
図１１１〜図１１５に示すように、上側部材２８１０は、概ね上下方向を長手方向として蓋状に形成されており、上端部２８１１、端子露出部２８１２、封止部２８１３、周縁部２８１４を有する。
【０４４８】
上端部２８１１と下側部材２８２０の上端部２８２１には、封印シール２８３０Ａが貼着され、その上からシールストッパ２８３０Ｂが嵌め合わされ、さらにその上からカバー部材２８３０が被せられる（図１０９〜図１１１参照）。
【０４４９】
端子露出部２８１２は、主制御基板２８に設けられた各種の接続端子２８ａ〜２８ｃを露出させるための開口２８１２ａ〜２８１２ｃを有する（図１１１参照）。主制御基板２８の接続端子２８ａ〜２８ｃは、端子露出部２８１２の開口２８１２ａ〜２８１２ｃから外方に露出され、図示しない外部の端子と接続される。
【０４５０】
封止部２８１３は、上側部材２８１０の左端部に一体形成されている。封止部２８１３は、下側部材２８２０の封止固定部２８２３とネジ２８５０等を介して結合・封止される（図１０９及び図１１０参照）。図１１１及び図１１２に示すように、封止部２８１３は、ネジ２８５０に対応する２つのネジ孔２８１３ａを有し、複数のブリッジ２８１３ｂを介して上側部材２８１０の左端部に連接されている。このような封止部２８１３は、一つのネジ孔２８１３ａにネジ２８５０を介して下側部材２８２０の封止固定部２８２３に結合される。ネジ２８５０が締結された封止部２８１３には、封止蓋２８５３が嵌め合わされる。その後、封止部２８１３の結合を解除する際には、複数のブリッジ２８１３ｂのうち、ネジ２８５０が残存する方のブリッジ２８１３ｂを切断して封止部２８１３の半分を分離・破壊し（図１１１参照）、封止固定部２８２３にネジ２８５０を残存させた状態で結合が解除される。残存するネジ２８５０は、封止固定部２８２３に取り残される。さらにその後、封止部２８１３は、半分破壊後に残った部分のネジ孔２８１３ａにネジ２８５０を介して再び封止固定部２８２３に固定することができる。すなわち、上側部材２８１０は、封止部２８１３を介して２回まで下側部材２８２０と結合・封止することができる。
【０４５１】
周縁部２８１４は、上側部材２８１０の周縁から後方に延出するように形成されている。図１１２〜図１１４に示すように、左右両側の周縁部２８１４には、複数の係合爪２８１４Ａ，２８１４Ｂが形成されている。複数の係合爪２８１４Ａ，２８１４Ｂのうち、封止部２８１３に最も近接する係合爪２８１４Ｂは、他の係合爪２８１４Ａと一部異なる。以下においては、係合爪２８１４Ｂについて説明するが、他の係合爪２８１４Ａについて係合爪２８１４Ｂと同様の部分については、特に断らない限りその説明を省略する。
【０４５２】
図１１５に示すように、係合爪２８１４Ｂは、Ｌ字状に形成されており、基端部２８１４Ｂａ、屈曲部２８１４Ｂｂ、先端部２８１４Ｂｃを有する。さらに、係合爪２８１４Ｂは、他の係合爪２８１４Ａと異なる点として切り欠き部２８１４Ｂｄを有する。
【０４５３】
基端部２８１４Ｂａは、周縁部２８１４から後方向に突出するように形成されている。屈曲部２８１４Ｂｂは、基端部２８１４Ｂａから先端部２８１４Ｂｃへと直角に曲がってつながるように形成されている。先端部２８１４Ｂｃは、屈曲部２８１４Ｂｂから下方向に延びるように形成されている。特に係合爪２８１４Ｂにおいては、封止部２８１３の方へと延びるように形成されている。基端部２８１４Ｂａから屈曲部２８１４Ｂｂまでの部分は、相対的に太い幅である一方、屈曲部２８１４Ｂｂから先端部２８１４Ｂｃまでの部分は、相対的に細い幅になっている。これにより、基端部２８１４Ｂａは、比較的堅牢であり、先端部２８１４Ｂｃは、比較的脆弱である。切り欠き部２８１４Ｂｄは、屈曲部２８１４Ｂｂと先端部２８１４Ｂｃとの間の細い幅の部分、より具体的には先端部２８１４Ｂｃよりも屈曲部２８１４Ｂｂの内側に近い部分に形成されている。このような切り欠き部２８１４Ｂｄは、屈曲部２８１４Ｂｂから先端部２８１４Ｂｃまでの細い幅の部分に前後方向の力が加わると、その細い部分が欠損しやすくなるように設けられている。
【０４５４】
図１１６に示すように、下側部材２８２０は、概ね上下方向を長手方向として上側部材２８１０と対応する形状に形成されており、上端部２８２１、封止固定部２８２３、周縁部２８２４を有するほか、後述する基板ユニット３４のベース部材３４０に対して連結するための一対の軸部２８２５を有する。
【０４５５】
上端部２８２１は、上側部材２８１０の上端部２８１１と図示しないカシメピン等を用いて結合・封止される。結合・封止された上端部２８１１，２８２１は、封印シール２８３０Ａが貼着され、その上からシールストッパ２８３０Ｂが嵌め合わされ、さらにその上からカバー部材２８３０が被せられる（図１０９〜図１１１参照）。
【０４５６】
封止固定部２８２３は、上側部材２８１０の封止部２８１３と対応するように下側部材２８２０の左端部に一体形成されている。封止固定部２８２３には、上側部材２８１０の封止部２８１３を結合・封止する際にネジ２８５０を固定するための封止カバー２８５１及び封止プレート２８５２が収容される（図１０９及び図１１０参照）。封止固定部２８２３は、封止部２８１３のネジ孔２８１３ａを通じて封止カバー２８５１及び封止プレート２８５２にネジ２８５０が締結されることにより、封止部２８１３が固定される。
【０４５７】
周縁部２８２４は、係合爪２８１４Ａ，２８１４Ｂと対応する複数の箇所に係合孔２８２４Ａを有する。係合孔２８２４Ａは、係合爪２８１４Ａ，２８１４Ｂの屈曲部２８１４Ｂｂから先端部２８１４Ｂｃまでの部分を挿入可能に上下方向に沿った長孔状に形成されている。このような係合孔２８２４Ａに対して係合爪２８１４Ａ，２８１４Ｂが当初挿入された状態では、図１１７に示すように、上側部材２８１０が下側部材２８２０に対して若干上方向にずれた姿勢で組み合う。その後、上側部材２８１０全体を下方向に沿ってスライドさせることにより、係合孔２８２４Ａに対して係合爪２８１４Ａ，２８１４Ｂが係合される。これにより、図１１８に示すように、上側部材２８１０は、係合爪２８１４Ａ，２８１４Ｂを介して下側部材２８２０に完全に組み付けられる。こうして組み付けられ、封止部２８１３及び封止固定部２８２３等で封止された上側部材２８１０及び下側部材２８２０は、封止部２８１３付近を前後方向に無理にこじ開けようとすると、封止部２８１３に最も近い係合爪２８１４Ｂに対して前後方向に過度な力が作用することとなる。その結果、係合爪２８１４Ｂの切り欠き部２８１４Ｂｄが形成された付近が欠損しやすくなる。
【０４５８】
軸部２８２５は、基板ケース２８００全体をベース部材３４０に対して回転可能に取り付けるための部分であり、下側部材２８２０の左端部に一体形成されている。軸部２８２５には、下方向に突出するように回転軸２８２５Ａが形成されている。このような軸部２８２５を介して基板ケース２８００がベース部材３４０に取り付けられるが、これについては後述する。
【０４５９】
このような基板ケース２８００の組付け構造によれば、互いに組み付けられた上側部材２８１０及び下側部材２８２０に対し、係合爪２８１４Ａ，２８１４Ｂ及び係合孔２８２４Ａをスライド係合させる際の上下方向に対して垂直な前後方向に外力を加えてこじ開けようとした場合には、係合爪２８１４Ｂの切り欠き部２８１４Ｂｄ付近が欠損しやすいので、不正な方法で基板ケース２８００をこじ開けようとした場合にその痕跡として欠損した係合爪２８１４Ｂを確実に残すことができる。
【０４６０】
また、係合爪２８１４Ｂは、屈曲部２８１４Ｂｂから先端部２８１４Ｂｃへと延びる細い部分に大きなせん断力が作用し、その部分の切り欠き部２８１４Ｂｄ付近が欠損しやすくなるので、不正な方法で基板ケースをこじ開けようとした場合にその痕跡として欠損した係合爪２８１４Ｂを確実に残すことができる。
【０４６１】
また、封止部２８１３及び封止固定部２８２３付近を無理にこじ開けようとした場合は、その封止部２８１３に最も近い係合爪２８１４Ｂの細い部分に大きなせん断力が作用し、切り欠き部２８１４Ｂｄ付近が欠損しやすくなるので、不正な方法で基板ケースをこじ開けようとした場合にその痕跡として欠損した係合爪２８１４Ｂを確実に残すことができる。
【０４６２】
［基板ケースの基板ユニットにおける取付構造］
図１１９及び図１２０は、基板ユニット３４における基板ケース２８００の回転状態を示す斜視図、図１２１〜図１２３は、基板ユニット３４のベース部材３４０に対する基板ケース２８００の取付状態を示す斜視図、図１２４〜図１２６は、基板ユニット３４のベース部材３４０に対する基板ケース２８００の取付前の状態を示す分解斜視図、図１２７は、基板ユニット３４における基板ケース２８００の回転状態を示す斜視図、図１２８は、基板ユニット３４のベース部材３４０に取り付けられる封止部材３４１０を示す分解斜視図、図１２９は、基板ユニット３４における基板ケース２８００の回転状態を示す上面図である。
【０４６３】
図１１９及び図１２０並びに図１２７に示すように、基板ケース２８００は、基板ユニット３４のベース部材３４０に対して回転可能に取り付けられる。具体的には、図１２５及び図１２６に示すように、ベース部材３４０においてサブ制御基板収容部材３３ａの配置箇所に近接する右側の箇所には、封止部材３４１０を固定・封止可能な封止固定部３４０Ａと、基板ケース２８００の軸部２８２５を軸支可能な一対の軸受部３４０Ｂ，３４０Ｃとが形成されている。上側の軸受部３４０Ｂは、封止固定部３４０Ａの直下に設けられている。基板ケース２８００は、軸部２８２５の回転軸２８２５Ａを軸受部３４０Ｂ，３４０Ｃに対して上方から挿入されることでベース部材３４０に組み付けられる。また、図１１９及び図１２１に示すように、ベース部材３４０の右端部には、係合フック３４０ａが設けられているとともに、基板ケース２８００の右端部には、凹部２８００ａが設けられており、この凹部２８００ａに係合フック３４０ａが係止されることで基板ケース２８００がベース部材３４０に対して回転不能に配置される。さらに、軸部２８２５を介して基板ケース２８００がベース部材３４０に組み付けられた後、封止部材３４１０が封止固定部３４０Ａに固定される。この封止部材３４１０の下端部は、上側の軸受部３４０Ｂに挿入された軸部２８２５に近接あるいは当接する。これにより、封止部材３４１０は、軸受部３４０Ｂにおける軸部２８２５の上下方向の??動を規制し、軸部２８２５を回転可能としつつも軸受部３４０Ｂから抜けないようにストッパとしての役割を果たす。
【０４６４】
図１２８に示すように、封止部材３４１０は、ネジ３４２０に対応する２つのネジ孔３４１１を有する。２つのネジ孔３４１１の間には、封止部材３４１０を半壊しやすくするための縦溝３４１２が形成されている。一方、図１２６に示すように、封止固定部３４０Ａには、封止部材３４１０を固定・封止する際にネジ３４２０を固定するための封止カバー３４４０及び封止プレート３４５０が収容される。封止固定部３４０Ａには、封止部材３４１０のネジ孔３４１１を通じて封止カバー３４４０及び封止プレート３４５０にネジ３４２０が締結されることにより、封止部材３４１０が固定される。このような封止部材３４１０は、一つのネジ孔３４１１（具体的には上側のネジ孔３４１１）にネジ３４２０を介して封止固定部３４０Ａに固定される。ネジ３４２０が締結された封止部材３４１０のネジ孔３４１１には、封止蓋３４３０が嵌め合わされる（図１２６参照）。その後、封止部材３４１０の固定を解除する際には、縦溝３４１２に沿って封止部材３４１０を切断して封止部材３４１０の上半分を分離・破壊し、封止固定部３４０Ａにネジ３４２０を残存させた状態で固定が解除される。残存するネジ３４２０は、封止固定部３４０Ａに取り残される。さらにその後、封止部材３４１０は、半分破壊後に残った下半分のネジ孔３４１１にネジ３４２０を介して再び封止固定部３４０Ａに固定することができる。すなわち、封止部材３４１０は、２回まで封止固定部３４０Ａに対して固定・封止することができる。また、封止部材３４１０は、上半分が破壊されても、その下半分の下端部に対して上側の軸受部３４０Ｂに挿入された軸部２８２５が近接あるいは当接するので、軸部２８２５の上下方向の??動を規制することができ、軸部２８２５が軸受部３４０Ｂから抜けないようにストッパとしての役割を果たすことができる。
【０４６５】
図１２３に示すように、基板ケース２８００がベース部材３４０に取り付けられ、封止部材３４１０が封止固定部３４０Ａに固定された状態においては、上側の軸部２８２５が封止部材３４１０と軸受部３４０Ｂとの間において上下方向の移動が規制される。これにより、基板ケース２８００は、基板ユニット３４のベース部材３４０から取り外し不可とされる。一方、封止部材３４１０が封止固定部３４０Ａに固定された状態を解除すれば、軸受部３４０Ｂから上方に軸部２８２５を抜き出し可能となり、基板ケース２８００をベース部材３４０から取り外すことができる。
【０４６６】
また、図１２７及び図１２９に示すように、基板ケース２８００の凹部２８００ａに対して係合フック３４０ａの係合状態を解除すると、基板ケース２８００は、軸部２８２５を回転中心としつつベース部材３４０に対して回転した姿勢をとることができる。これにより、基板ケース２８００の表側だけでなく裏側からも内部に収容された主制御基板２８の状態を目視で確認することができる。
【０４６７】
このとき、図１２９に示すように、基板ケース２８００をある程度の角度（例えば３０度あるいは４５度）まで回転させると、基板ケース２８００の左端部が封止部材３４１０に当接する。これにより、基板ケース２８００は、その左側に近接するサブ制御基板収容部材３３ａと干渉させずに裏側から内部を視認可能な回転姿勢まで回転させることができる。
【０４６８】
このような基板ケース２８００の基板ユニット３４における取付構造によれば、基板ユニット３４のベース部材３４０に対して封止部材３４１０で基板ケース２８００の上下方向への移動を規制することができる一方、基板ケース２８００を回転可能としつつもその回転角度を規制することができるので、基板ケース２８００をベース部材３４０から取り外すことなくある程度の回転角度まで回転させた姿勢とし、基板ケース２８００の背面側からケース内の主制御基板２８を容易に確認することができる。
【０４６９】
また、基板ケース２８００をサブ制御基板収容部材３３ａの方へと回転させても、基板ケース２８００の左端部が封止部材３４１０に当接するまでの回転角度、すなわちサブ制御基板収容部材３３ａに当接しない回転角度まで基板ケース２８００を回転させることができるので、基板ケース２８００をサブ制御基板収容部材３３ａとは別にベース部材３４０から取り外すことなくある程度の回転角度まで回転させた姿勢とし、基板ケース２８００の背面側からケース内の主制御基板２８を容易に確認することができる。
【０４７０】
［前面ドアの形状・構造］
図１３０は、前面ドア３を示す斜視図、図１３１は、前面ドア３を示す側面図、図１３２は、前面ドア３を示す分解斜視図、図１３３及び図１３４は、前面ドア３における透明板ユニット７’を示す分解斜視図、図１３５は、前面ドア３における透明板ユニット７’を示す正面図、図１３６は、前面ドア３における透明板ユニット７’を示す背面図、図１３７は、前面ドア３における透明板ユニット７’を示す側面図、図１３８及び図１３９は、前面ドア３の組み付け状態を示す分解斜視図である。なお、本実施形態においては、先述した第２実施形態の表枠３に相当するものを前面ドア３と称する。
【０４７１】
図１３０〜図１３２に示すように、本実施形態の前面ドア３は、図２０等に示す第２実施形態の表枠３と異なる構成要素として、透明板ユニット７’を有する。右側ベース板３ａａ及び左側ベース板３ａｂは、全体ベース板３ａｃの前面に取り付けられる。全体ベース板３ａｃには、開口部３ｈが形成されており、透明板ユニット７’は、主たる前面部分が開口部３ｈから前方に張り出すように全体ベース板３ａｃの背面に取り付けられる。
【０４７２】
図１３３及び図１３４に示すように、透明板ユニット７’は、背面側に位置ずる第１透明部材７Ａ、前面側に位置する第２透明部材７Ｂ、及び装飾シート７Ｃを有する。第１透明部材７Ａ及び第２透明部材７Ｂは、例えばアクリル樹脂といった透明性を有して成形容易な素材で形成される。装飾シート７Ｃは、透明あるいは半透明のシート素材で形成される。
【０４７３】
図１３４及び図１３６に示すように、第１透明部材７Ａは、概ね平板状に形成されており、開口部７Ａａ、一対の凹部７Ａｂ、一対の回転係止片７Ａｃを有する。開口部７Ａａは、遊技盤１の転動領域（遊技領域１ｐ）以外となる中央領域（液晶表示装置４の表示領域４ｄを含む領域）を前方に露出させるように形成されている。すなわち、第１透明部材７Ａは、転動領域（遊技領域１ｐ）における遊技球の前方への移動を規制しつつ、転動する遊技球を前方から視認可能とする一方、例えば可動演出役物１３２１を開口部７Ａａより前方に移動可能としている（図１３８及び図１３９参照）。一対の凹部７Ａｂは、第１透明部材７Ａの下端部に設けられており、一対の回転係止片７Ａｃは、第１透明部材７Ａの上端部に設けられている。第１透明部材７Ａは、凹部７Ａｂに第２透明部材７Ｂの後述する係合爪７Ｂｄが掛けられた後、回転係止片７Ａｃを回転させて第２透明部材７Ｂの上端部に係止させることにより第２透明部材７Ｂに組み付けられる。
【０４７４】
図１３３〜図１３５及び図１３７に示すように、第２透明部材７Ｂは、主たる部分が前方に膨出するように形成されており、前面部７Ｂａ、側面部７Ｂｂ、周縁部７Ｂｃ、一対の係合爪７Ｂｄ、一対の凸部７Ｂｅを有する。前面部７Ｂａ及び側面部７Ｂｂは、第２透明部材７Ｂの主たる部分として形成されている。
【０４７５】
図１３７に示すように、前面部７Ｂａは、下部から上部へといくにつれて次第に前方に突き出るように傾斜面状に形成されている。このような前面部７Ｂａの奥方には、第１透明部材７Ａの開口部７Ａａが配置される（図１３３、図１３４、及び図１３６参照）。これにより、前面部７Ｂａは、遊技盤１と対向するように配置される（図１３８参照）。図１３７〜図１３９に示すように、前面部７Ｂａの上部は、その下部よりも遊技盤１との間に可動演出役物１３２１が動作可能な十分なスペースを形成している。図１３５及び図１３７に示すように、側面部７Ｂｂは、前面部７Ｂａの外周部から後方へと向かうにつれて若干外側に広がるように傾斜面状に形成されており、前面部７Ｂａから周縁部７Ｂｃへと連続するように形成されている。側面部７Ｂｂは、前後方向に垂直な面内において弧を描くように前面部７Ｂａの周囲に曲面状に形成されている。側面部７Ｂｂには、装飾シート７Ｃが貼着される。図１３３及び図１３４に示すように、周縁部７Ｂｃは、その裏面に対して第１透明部材７Ａが当接させられる。図１３５及び図１３６に示すように、周縁部７Ｂｃの下端部には、後方に突出するように係合爪７Ｂｄが形成されているとともに、下方に突出するように凸部７Ｂｅが形成されている。第２透明部材７Ｂは、第１透明部材７Ａの凹部７Ａｂに係合爪７Ｂｄが掛けられ、その後、周縁部７Ｂｃの上端部に第１透明部材７Ａの回転係止片７Ａｃが係止されることにより、第１透明部材７Ａと一体化される。図１３２に示すように、第１透明部材７Ａ及び第２透明部材７Ｂが一体的に組み付けられた透明板ユニット７’は、全体ベース板３ａｃの開口部ｈから前面部７Ｂａ及び側面部７Ｂｂが前方に突き出る姿勢で全体ベース板３ａｃの裏面に凸部７Ｂｅ等を介して組み付けられる。
【０４７６】
遊技者は、透明板ユニット７’の前面部７Ｂａ及び開口部７Ａａを通して液晶表示装置４の表示領域４ｄや可動演出役物１３２１を視認することができる。また、図１３７〜図１３９に示すように、可動演出役物１３２１は、前後方向に大きく動作可能であり、可動演出役物１３２１によるダイナミックな動きを遊技者に対して見せることができる。また、遊技者は、前面部７Ｂａや側面部７Ｂｂから第１透明部材７Ａの開口部７Ａａの外縁部分を通して転動領域（遊技領域１ｐ）にて転動する遊技球を視認することができる。なお、第１透明部材７Ａ及び第２透明部材７Ｂは、一体成形してもよい。
【０４７７】
このような透明板ユニット７’を備えた前面ドア３によれば、第２透明部材７Ｂの前面部７Ｂａにおいて前方にせり出した上部や前面部７Ｂａと曲面状に連なって一体的に形成された側面部７Ｂｂが前面ドア３の飾り部分として構成され、これら前面部７Ｂａや側面部７Ｂｂを通して境目なく電飾等が設けられた遊技盤１を視認することができるので、複数の部材を用いることなく前面ドア３を容易に組み付けることができるとともに、軽量化を図りつつ部品コストを抑えることができ、視覚的効果を高めることができる。
【０４７８】
［発射ハンドルの内部構造］
図１４０は、発射ハンドル２６ｂを示す斜視図、図１４１及び図１４２は、発射ハンドル２６ｂを示す分解斜視図、図１４３は、発射ハンドル２６ｂを示す分解側面図、図１４４は、発射ハンドル２６ｂにおけるハンドルグリップ２６ｄを示す正面図、図１４５は、発射ハンドル２６ｂにおけるハンドルグリップ２６ｄを示す背面図、図１４６は、発射ハンドル２６ｂにおけるベース部材２６ｋを示す正面図、図１４７は、発射ハンドル２６ｂにおけるベース部材２６ｋを示す背面図である。
【０４７９】
図１４１〜図１４３に示すように、本実施形態の発射ハンドル２６ｂは、図１等に示す第２実施形態の発射ハンドル２６ｂと異なる構成要素として、ベース部材２６ｋを有する。ベース部材２６ｋは、非導電性の素材で形成されており、ハンドルキャップ２６ｈ及びハンドルグリップ２６ｄの背面側に位置し、収容ケース２６ｃの内部に収容される。
【０４８０】
図１４１、図１４２、図１４４、及び図１４５に示すように、ハンドルグリップ２６ｄは、２つの貫通部２６ｄａと、発射ボリューム２６ｍから前方に突き出たハンドル軸２６ｉを挿入・固定可能なボス部２６ｄｂとを有する。貫通部２６ｄａは、回転軸方向（前後方向）に貫通するとともに、円周方向（回転方向）に沿って半円弧状に形成されている。ハンドルグリップ２６ｄの周縁部は、導電性を有する素材で形成され、遊技者の手がハンドルグリップ２６ｄの周縁部に接触すると、タッチセンサ２６ｐによって接触が検知される。タッチセンサ２６ｐは、ハンドルグリップ２６ｄの背面側に設けられている（図１４２及び図１４５参照）。
【０４８１】
図１４２に示すように、収容ケース２６ｃには、複数のネジ孔２６ｃａが設けられている。ハンドルキャップ２６ｈには、収容ケース２６ｃのネジ孔２６ｃａと対応する箇所にボス部２６ｈａが設けられている。ベース部材２６ｋには、収容ケース２６ｃのネジ孔２６ｃａ及びハンドルキャップ２６ｈのボス部２６ｈａと対応する箇所にネジ孔ｋｂが設けられている。ハンドルキャップ２６ｈ及びベース部材２６ｋは、ネジ孔２６ｃａに挿通されたネジ２６ｃｂがボス部２６ｈａ及びネジ孔ｋｂに螺着されることで収容ケース２６ｃに固定される。一方、ハンドルグリップ２６ｄは、ボス部２６ｈａ及びネジ孔ｋｂに螺着されたネジ２６ｃｂが貫通部２６ｄａを貫通しつつも回転方向に相対移動可能である。これにより、ハンドルグリップ２６ｄは、ハンドル軸２６ｉを回転中心として回転可能である。
【０４８２】
図１４１、図１４２、図１４６、及び図１４７に示すように、ベース部材２６ｋは、周縁部から外方に露出するように発射停止ボタン２６ｅが設けられ、前面側に凹部２６ｋａを有するとともに、背面側に発射停止スイッチ２６ｇ及び発射ボリューム２６ｍが設けられる。ハンドルグリップ２６ｄの背面側に設けられたタッチセンサ２６ｐは、凹部２６ｋａの内部空間に位置し、この内部空間においてハンドルグリップ２６ｄと一体に回転可能である。発射停止ボタン２６ｅは、押圧されると発射停止スイッチ２６ｇによって押圧が検知される。発射ボリューム２６ｍは、ハンドルグリップ２６ｄの回動角度に応じて抵抗値を変化させ、その抵抗値に応じた電力を図示しない発射装置のソレノイドアクチュエータに供給する。このようなベース部材２６ｋによれば、電子部品としての発射停止スイッチ２６ｇや発射ボリューム２６ｍがベース部材２６ｋの背面側に設けられるので、ベース部材２６ｋの前面側に配置される導電性のハンドルグリップ２６ｄからの沿面距離が比較的大きく（図１４３に示す点線部参照）、ハンドルグリップ２６ｄ等との電気的絶縁が十分確保されることとなり、発射停止スイッチ２６ｇや発射ボリューム２６ｍの誤作動を効果的に防ぐことができる。また、ベース部材２６ｋは、外装として傷や汚れがつきやすい収容ケース２６ｃやハンドルキャップ２６ｈ、ハンドルグリップ２６ｄとは異なり、収容ケース２６ｃの内部に収容されるので、リサイクル品として有効に再利用することができる。
【０４８３】
このような発射ハンドル２６ｂによれば、発射ハンドル２６ｂをリサイクル品として再利用する際には、収容ケース２６ｃやハンドルキャップ２６ｈ、ハンドルグリップ２６ｄを取り替えるだけで発射停止スイッチ２６ｇや発射ボリューム２６ｍが設けられたベース部材２６ｋをそのまま再利用することができるので、リサイクル品として再利用する際に電子部品の取り外しといった煩雑な作業を要することなく、リサイクル性を高めることができる。
【０４８４】
また、ベース部材２６ｋの背面側に発射停止スイッチ２６ｇや発射ボリューム２６ｍが設けられているので、ベース部材２６ｋの前面側に配置されたハンドルキャップ２６ｈの導電性を有する周縁部までの沿面距離を大きく確保することができ、発射停止スイッチ２６ｇや発射ボリューム２６ｍの誤作動を有効に防ぐことができる。
【０４８５】
［送風機構の可動構造］
図１４８は、送風機構１１０を示す斜視図、図１４９は、送風機構１１０を示す分解斜視図、図１５０は、送風機構１１０の内部を示す内部平面図、図１５１は、送風機構１１０の動作を説明するための内部平面図、図１５２は、送風機構１１０の動作を説明するための左側面図、図１５３は、送風機構１１０の動作を説明するための内部平面図、図１５４は、送風機構１１０の動作を説明するための左側面図である。
【０４８６】
図１４９に示すように、本実施形態の送風機構１１０は、図３６等に示す第２実施形態の送風機構１１０と異なる構成要素として、第１リンク部材１２０、第２リンク部材１２１、可変フラップ１３０を有する。また、カバー部材１１０Ａ，１１０Ｂには、風を導くための楕円状の開口部１１０ｃ，１１０ｂが形成されている。
【０４８７】
図１４９及び図１５３に示すように、カバー部材１１０Ａには、先述したエンクロージャ１０ｅの開口１０ｅｃ（図３５参照）からまっすぐ向かう方面に開口部１１０ｃが形成されており、開口部１１０ｃの内側に空間部１１０ａが設けられている。空間部１１０ａにおいては、可変フラップ１３０が傾斜姿勢・水平姿勢に変動可能である。空間部１１０ａの下方は、可変フラップ１３０の傾斜姿勢・水平姿勢に関係なく常に開放されており、先述した通気口８ｃａが位置する（図３５参照）。図１４９に示すように、カバー部材１１０Ｂには、カバー部材１１０Ａの開口部１１０ｃから左右方向にまっすぐ向かう方面に開口部１１０ｂが形成されている。
【０４８８】
図１５１及び図１５３に示すように、ソレノイド１１１は、オン・オフ動作に連動して退避・突出可能なプランジャ１１１ａを有し、プランジャ１１１ａの先端部は、第１リンク部材１２０の基端部１２０ａと連結されている。第１リンク部材１２０は、中間部１２０ｂが回転可能にカバー部材１１０Ａに軸支されている。第１リンク部材１２０の先端部１２０ｃは、第２リンク部材１２１の基端部１２１ａに連結されている。第２リンク部材１２１は、長穴状の開口１２１ｂを有し、この開口１２１ｂにカバー部材１１０Ａの裏面に突設されたピン１１０ｄが相対的に遊動可能となるように配置される。これにより、第２リンク部材１２１は、ピン１１０ｄを介して上下動可能に支持される。第２リンク部材１２１の先端部１２１ｃは、可変フラップ１３０の一端部を左右移動可能としつつこの一端部に連結されている。図１５１に示すように、ソレノイド１１１のプランジャ１１１ａが下方に突き出た状態では、第１リンク部材１２０を介して第２リンク部材１２１が相対的に上位に位置し、これに伴い可変フラップ１３０が上端部を持ち上げられた姿勢（傾斜姿勢）となる。一方、図１５３に示すように、ソレノイド１１１のプランジャ１１１ａが退避した状態になると、第１リンク部材１２０を介して第２リンク部材１２１が相対的に下位に位置し、これに伴い可変フラップ１３０が上端部を引き下げられた姿勢（水平姿勢）となる。
【０４８９】
図１４９に示すように、可変フラップ１３０は、空間部１１０ａにおいて下端部が回転軸１３１を介して回転可能に支持されており、通常時は上端部が下端部よりも開口部１１０ｃに近づくような傾斜姿勢に保たれる（図１４９において実線で示す姿勢）。一方、上述したようにソレノイド１１１のプランジャ１１１ａが退避した状態になると、可変フラップ１３０は、空間部１１０ａの下方を塞ぐような水平姿勢になる（図１４９において仮想線で示す姿勢）。図１５０に示すように、カバー部材１１０Ｂの内側部分において開口部１１０ｂの上縁付近には、弾力性を有する緩衝部材１３２が貼着されている。可変フラップ１３０が傾斜姿勢の状態では、風の流れが可変フラップ１３０を緩衝部材１３２の方方向へと押し出す力として作用し、可変フラップ１３０の上端部分が緩衝部材１３２に密接する。これにより、開口部１１０ｂと可変フラップ１３０との隙間から風が漏れることを効果的に防ぐことができる。開口部１１０ｂの右側には、先述した図３２、図３４、図３５に示すような送風口８０が位置する。
【０４９０】
可変フラップ１３０が傾斜姿勢の場合、開口１０ｅｃ（図３５参照）から送出された風は、可変フラップ１３０に当って遮られ、開口部１１０ｂを抜けることなく空間部１１０ａの下方へと導かれる（図１５２参照）。空間部１１０ａの下方へと導かれた風は、アンダーカバー８ｃの通気口８ｃａ（図３５参照）を通って外部へと送出される。一方、可変フラップ１３０が水平姿勢の場合、開口１０ｅｃ（図３５参照）から送出された風は、可変フラップ１３０に遮られることなく概ねまっすぐ流れ、空間部１１０ａを通って開口部１１０ｂへとまっすぐ抜ける（図１５４参照）。開口部１１０ｂを抜けた風は、右下側面カバー８ｂａの送風口８０（図３４、図３５参照）を通って外部へと送出される。送風口８０と概ねまっすぐ対向する位置には、発射装置２６の発射ハンドル２６ｂが配置されており、送風口８０から出た風は、発射ハンドル２６ｂを把持する遊技者の手に当たる。このように、通常時は発射ハンドル２６ｂの方へと風が漏れることなく下方へと導かれる一方、演出音等に応じて発射ハンドル２６ｂの方へと風を導く際には、開口１０ｅｃから空間部１１０ａ及び開口部１１０ｃ，１１０ｂ並びに送風口８０へと至る風の流路が概ねまっすぐ形成されるので、発射ハンドル２６ｂを握る遊技者の手まで風圧をできる限り弱めることなく風を到達させることができる。
【０４９１】
このような送風機構１１０によれば、スピーカ１０ｃから音が出力されるのに伴いエンクロージャ１０ｅの開口１０ｅｃから流出する空気流が、可変フラップ１３０の水平姿勢によって直線的に案内されると発射ハンドル２６ｂの方へと導かれる一方、可変フラップ１３０の傾斜姿勢によって曲折して下方へと案内されると発射ハンドル２６ｂの方へと導かれなくなるので、送風機構１１０の小型化を図りつつも発射ハンドル２６ｂの方には抵抗なく十分な風量をもって空気流を導くことができ、スピーカユニット１０の小型化及び簡素化を図ることができる。
【０４９２】
また、可変フラップ１３０が傾斜姿勢にあるときでも、可変フラップ１３０の上端部と相対する接触面との間から緩衝部材１３２によって空気流が漏れないようにすることができるので、発射ハンドル２６ｂの方には抵抗なく十分な風量をもって空気流を導く一方、下方へと空気流を導く際には発射ハンドル２６ｂの方に風が漏れないようにすることができる。
【０４９３】
「第５実施形態」
次に、第５実施形態に係るパチンコ遊技機について図面を参照して説明する。なお、先述した第１〜第４実施形態に係るものと同一又は類似の構成要素については、同一符号を付してその説明を省略する。図１５５〜図１９９は、第５実施形態に係るパチンコ遊技機を説明するための図である。なお、図１５５〜図１９９においては、便宜上、適宜部品の図示を省略している。
【０４９４】
第５実施形態に係るパチンコ遊技機は、主として、本体サブユニット４４０における第１演出ユニット４０００の動作及び構造、本体サブユニット４４０における第２演出ユニット５０００の動作及び構造、遊技盤１の球通路構造に特徴を有する。これらの特徴的な構造について図面を参照して以下に順に説明する。
【０４９５】
［本体サブユニットの構造］
図１５５及び図１５６は、本体サブユニット４４０を示す斜視図、図１５７は、本体サブユニット４４０を示す正面図、図１５８及び図１５９は、本体サブユニット４４０を示す分解斜視図である。
【０４９６】
本実施形態の本体サブユニット４４０は、図示しない本体ユニット４００の取付枠４１０（図６２及び図６３参照）に対して遊技盤１や液晶表示装置４等を一体的に装着するためのものである。図１５８及び図１５９に示すように、本体サブユニット４４０は、本体ケース４４１、遊技盤１、液晶表示装置４、第１演出ユニット４０００、第２演出ユニット５０００、及び装飾ユニット６０００を有して構成される。
【０４９７】
本体ケース４４１は、液晶表示装置４の表示領域４ｄを前方に露出させる開口部４４２を有し、矩形箱状に形成されている。本体ケース４４１の背面には、液晶表示装置４が表示領域４ｄを開口部４４２に対向させるように取り付けられる。本体ケース４４１の前面奥側の左右側部から下部には、第１演出ユニット４０００が配置される。本体ケース４４１の前方内部における左右側部から下部には、第１演出ユニット４０００が配置される。本体ケース４４１の前方内部における上部には、第２演出ユニット５０００が取り付けられる。本体ケース４４１の前方内部における下部には、第１演出ユニット４０００よりも前方に位置するように装飾ユニット６０００が取り付けられる。本体ケース４４１の前面には、遊技盤１が取り付けられる。遊技盤１には、液晶表示装置４の表示領域４ｄを前方に露出させるための開口領域１ｄが形成されており、この開口領域１ｄの外周に遊技球が転動可能な遊技領域１ｐが形成される。開口領域１ｄは、液晶表示装置４の表示領域４ｄを前方に臨ませるだけでなく、表示領域４ｄと重なって出現した状態の第１演出ユニット４０００や第２演出ユニット５０００を遊技者に対して視認可能とする。このような開口領域１ｄは、第１演出ユニット４０００等の出現を見ることが可能な視野面となる。装飾ユニット６０００は、遊技盤１の透明な下部分を通して遊技者に視認可能となるように配置される。第１演出ユニット４０００及び第２演出ユニット５０００については後述する。また、遊技盤１に設けられた球通路カバー７０００等についても後述する。
【０４９８】
［第１演出ユニット］
図１６０は、第１演出ユニット４０００を示す斜視図、図１６１は、第１演出ユニット４０００を示す正面図、図１６２は、第１演出ユニット４０００を示す背面図、図１６３は、第１演出ユニット４０００を示す側面図、図１６４は、第１演出ユニット４０００の一部を示す上面図、図１６５は、第１演出ユニット４０００における下ユニット４１００の動作を説明するための正面図、図１６６は、第１演出ユニット４０００における下ユニット４１００の動作を説明するための背面図、図１６７は、第１演出ユニット４０００における左ユニット４２００の動作を説明するための正面図、図１６８は、第１演出ユニット４０００における左ユニット４２００の動作を説明するための背面図、図１６９は、第１演出ユニット４０００における左ユニット４２００の動作を説明するための斜視図、図１７０は、第１演出ユニット４０００における右ユニット４３００の動作を説明するための正面図、図１７１は、第１演出ユニット４０００における右ユニット４３００の動作を説明するための背面図、図１７２は、第１演出ユニット４０００における右ユニット４３００の動作を説明するための側面図、図１７３は、第１演出ユニット４０００における右ユニット４３００の動作を説明するための斜視図、図１７４は、第１演出ユニット４０００における直立ユニット４４００の動作を説明するための正面図、図１７５は、第１演出ユニット４０００における直立ユニット４４００の動作を説明するための背面図、図１７６は、第１演出ユニット４０００における直立ユニット４４００の動作を説明するための側面図、図１７７は、第１演出ユニット４０００における直立ユニット４４００の動作を説明するための上面図、図１７８は、第１演出ユニット４０００における直立ユニット４４００の動作を説明するための斜視図である。
【０４９９】
図１６０〜図１６４に示すように、第１演出ユニット４０００は、下ユニット４１００、左ユニット４２００、右ユニット４３００、及び直立ユニット４４００を有して構成される。下ユニット４１００は、第１演出ユニット４０００の下方において上下方向に移動可能に設けられる。左ユニット４２００は、第１演出ユニット４０００の左側において開口領域１ｄ（視野面）に垂直な水平軸周りに回転可能に設けられる。右ユニット４３００は、第１演出ユニット４０００の右側において開口領域１ｄに垂直な水平軸周りに回転可能に設けられる。直立ユニット４４００は、右ユニット４３００よりも前方に配置され、開口領域１ｄに沿う鉛直軸周りに反転可能に設けられる。
【０５００】
図１６１及び図１６２に示すように、下ユニット４１００は、主として、下可動体４１１０、ベース部材４１２０、一対のリンク部材４１３０，４１４０、ラック部材４１５０、複数の歯車４１６０〜４１６２、及びモータ４１７０を有して構成される。左ユニット４２００は、主として、左可動体４２１０、ベース部材４２２０、アーム部材４２３０、複数の歯車４２４０〜４２４２、及びモータ４２５０を有して構成される。右ユニット４３００は、主として、右可動体４３１０、ベース部材４３２０、アーム部材４３３０、複数の歯車４３４０〜４３４３、及びモータ４３５０を有して構成される。図１６０〜図１６４に示すように、直立ユニット４４００は、主として、直立可動体４４１０、ベース部材４４２０、複数の歯車４４３０〜４４３３、及びモータ４４４０を有して構成される。
【０５０１】
［下ユニット］
下ユニット４１００において、下可動体４１１０は、遊技者から見えない開口領域１ｄより下方の退避位置から開口領域１ｄの下縁付近の出現位置へと上下方向にスライド移動可能な部材である。下可動体４１１０は、内部に発光手段を有しており、出現の際に発光する。下可動体４１１０の構造については後述する。図１６２及び図１６６に示すように、下可動体４１１０の裏面には、左右一対の支持部４１１１，４１１２が設けられており、ベース部材４１２０に形成された上下縦長状の案内溝４１２１，４１２２に支持部４１１１，４１１２が??動可能に支持されている。また、下可動体４１１０の下部は、リンク部材４１３０，４１４０の先端部４１３２、４１４２に当接しており、リンク部材４１３０，４１４０が所定方向に回転して先端部４１３２、４１４２が上方に移動すると、先端部４１３２、４１４２に持ち上げられるようにして下可動体４１１０が上方に移動して出現位置へと現れる。その逆に、リンク部材４１３０，４１４０が所定方向とは逆方向に回転して先端部４１３２、４１４２が下方に移動すると、先端部４１３２、４１４２に持ち下げられるようにして下可動体４１１０が下方に移動して退避位置へと戻る。
【０５０２】
図１６２、図１６５、及び図１６６に示すように、下ユニット４１００において、ベース部材４１２０には、上記した案内溝４１２１，４１２２のほか、リンク部材４１３０，４１４０の先端部４１３２、４１４２を??動可能に案内するための円弧状の湾曲溝４１２３，４１２４が形成されている。リンク部材４１３０，４１４０の基端部には、ピニオン４１３１，４１４１が設けられており、これらのピニオン４１３１，４１４１が回転すると、リンク部材４１３０，４１４０の先端部４１３２、４１４２が湾曲溝４１２３，４１２４に沿って回転移動する。ベース部材４１２０の背後には、左右方向に移動可能にラック部材４１５０が配置されている。ラック部材４１５０には、上向きのラック４１５１と下向きのラック４１５２とが形成されている。上向きのラック４１５１は、左側のリンク部材４１３０のピニオン４１３１と噛合されており、下向きのラック４１５２は、右側のリンク部材４１４０のピニオン４１４１と噛合されている。
【０５０３】
図１６６を参照して説明すると、図中右側のピニオン４１３１が図中で反時計回りに回転すると、リンク部材４１３０の先端部４１３２が下方から上方へと湾曲溝４１２３に沿って回転移動する。その際、ピニオン４１３１と噛合された上向きのラック４１５１が図中右方向へと転移することとなり、ラック部材４１５０全体も図中右方向へと移動する。すると、図中左側に配置された下向きのラック４１５２も図中右方向へと転移する。その結果、下向きのラック４１５２と噛合されたピニオン４１４１が図中で時計回りに回転し、リンク部材４１４０の先端部４１４２が下方から上方へと湾曲溝４１２４に沿って回転移動する。図中右側のピニオン４１３１を図中で時計回りに回転させた場合は、上記とは逆の挙動となる。これにより、一方のピニオン４１３１を回転させるだけで左右一対のリンク部材４１３０，４１４０を連動させ、それらの先端部４１３２，４１４２を同時に上下変位させることができ、ひいては下可動体４１１０を上下方向に容易にスライド移動させることができる。
【０５０４】
リンク部材４１３０，４１４０、ラック部材４１５０、複数の歯車４１６０〜４１６２、及びモータ４１７０は、下可動体４１１０を上下移動させるための駆動手段としてベース部材４１２０に設けられている。リンク部材４１３０のピニオン４１３１は、複数の歯車４１６０〜４１６２を介してモータ４１７０の駆動力が伝えられ、モータ４１７０の回転方向に応じて正逆両方向に回転可能である。
【０５０５】
［左ユニット］
左ユニット４２００において、左可動体４２１０は、遊技者から見えない開口領域１ｄより左側の退避位置から開口領域１ｄに出現した下可動体４１１０の上端部左側に接する開口領域１ｄの左側の出現位置へと前後方向に沿う水平軸周りに回転可能な部材である。左可動体４２１０は、内部に発光手段を有しており、出現の際に発光する。左可動体４２１０の構造については、下可動体４１１０の構造と同様であるため省略する。図１６６及び図１６８に示すように、左可動体４２１０は、端部に支持部４２１１が設けられており、この支持部４２１１が同図において省略されたベース部材４２２０に回転可能に支持されている。支持部４２１１から離間した左可動体４２１０の端部には、アーム部材４２３０の一端が回動自在に連結されている。アーム部材４２３０の他端は、歯車４２４２の側部に回動自在に連結されている。
【０５０６】
図１６８を参照して説明すると、歯車４２４２が図中で反時計回りに回転すると、アーム部材４２３０が左可動体４２１０の端部に回転モーメントを付与する。これにより、左可動体４２１０は、支持部４２１１を中心に下方に向けて回転し、下可動体４１１０の上端部左側と合体するように出現位置へと現れる。その逆に、歯車４２４２が図中で時計回りに回転すると、アーム部材４２３０が左可動体４２１０の端部に逆方向の回転モーメントを付与する。これにより、左可動体４２１０は、支持部４２１１を中心に上方に向けて回転し、下可動体４１１０の左側上端部から離れるように退避位置へと戻る。
【０５０７】
アーム部材４２３０、複数の歯車４２４０〜４２４２、及びモータ４２５０は、左可動体４２１０を回転移動させるための駆動手段としてベース部材４２２０に設けられている。アーム部材４２３０は、複数の歯車４２４０〜４２４２を介してモータ４２５０の駆動力が伝えられ、モータ４２５０の回転方向に応じて正逆両方向に回転可能である。
【０５０８】
［右ユニット］
右ユニット４３００において、右可動体４３１０は、遊技者から見えない開口領域１ｄより右側の退避位置から開口領域１ｄに出現した下可動体４１１０の上端部右側に接する出現位置へと前後方向に沿う水平軸周りに回転可能な部材である。右可動体４３１０は、退避位置にある状態において、直立可動体４４１０の背後に位置する。右可動体４３１０は、内部に発光手段を備えておらず、出現の際には下可動体４１１０からの光を受けて自ら発光しているように見える。これについては、右可動体４３１０の構造とともに後述する。図１６８及び図１７１に示すように、右可動体４３１０は、図示省略するが、左可動体４２１０と同様に、端部に支持部が設けられており、この支持部が同図において省略されたベース部材４３２０に回転可能に支持されている。支持部から離間した右可動体４３１０の端部には、アーム部材４３３０の一端が回動自在に連結されている。アーム部材４３３０の他端は、歯車４３４３の側部に回動自在に連結されている。
【０５０９】
図１７１を参照して説明すると、歯車４３４３が図中で時計回りに回転すると、アーム部材４３３０が右可動体４３１０の端部に回転モーメントを付与する。これにより、右可動体４３１０は、支持部を中心に下方に向けて回転し、下可動体４１１０の上端部右側と合体するように出現位置へと現れる。その逆に、歯車４３４３が図中で反時計回りに回転すると、アーム部材４３３０が右可動体４３１０の端部に逆方向の回転モーメントを付与する。これにより、右可動体４３１０は、支持部を中心に上方に向けて回転し、下可動体４１１０の右側上端部から離れるように退避位置へと戻る。
【０５１０】
アーム部材４３３０、複数の歯車４３４０〜４３４３、及びモータ４３５０は、右可動体４３１０を回転移動させるための駆動手段としてベース部材４３２０に設けられている。アーム部材４３３０は、複数の歯車４３４０〜４３４３を介してモータ４３５０の駆動力が伝えられ、モータ４３５０の回転方向に応じて正逆両方向に回転可能である。
【０５１１】
［直立ユニット］
直立ユニット４４００において、直立可動体４４１０は、開口領域１ｄの右側に一部視認し得る状態に配置されている（図１５７参照）。直立可動体４４１０は、前面部４４１０Ａと背面部４４１０Ｂとを有し、これらのうち背面部４４１０Ｂが下可動体４１１０、左可動体４２１０、及び右可動体４３１０と統一したモチーフのデザインで装飾が施されている。直立可動体４４１０は、背面部４４１０Ｂが裏向き状態となる退避位置から開口領域１ｄの右側に背面部４４１０Ｂの一部が見える出現位置へと上下方向に沿う鉛直軸（回転軸Ｓ）周りに回転可能な部材である。図１７２に示すように、直立可動体４４１０は、背面部４４１０Ｂが退避位置にある状態（裏向き状態）において、前面部４４１０Ａが回転軸Ｓよりも前方に位置するように側面視略コ字状に形成されている。これにより、背面部４４１０Ｂが退避位置にある状態では、直立可動体４４１０の背後に大きな空間が形成され、この空間を退避スペースとして右可動体４３１０が退避される。図１７６に示すように、右可動体４３１０が出現位置へと回転移動すると、右可動体４３１０の退避スペースを占有しつつ背面部４４１０Ｂが反転可能となる。すなわち、直立可動体４４１０の背面部４４１０Ｂが退避位置から反転して出現位置にある状態（表向き状態）になる。直立可動体４４１０は、内部に発光手段を有しており、背面部４４１０Ｂが反転して表向き状態となった際に発光する。なお、直立ユニット４４００の前方には、開口領域１ｄに露出することなく直立可動体４４１０と重ならない位置において上下方向に延びるように球回収通路部材９０００が設けられる。
【０５１２】
図１７８に示すように、直立可動体４４１０は、縦長フレーム状のベース部材４４２０に回転可能に支持されている。図１６４に示すように、直立可動体４４１０の上部には、歯車４４３３が設けられており、この歯車４４３３に連動して直立可動体４４１０が回転軸Ｓ周りに回転する。
【０５１３】
図１６４、図１７０〜図１７２、図１７４〜図１７６を参照して説明すると、図１７０〜図１７２に示すように、直立可動体４４１０の前面部４４１０Ａが表向きの状態（背面部４４１０Ｂが裏向きの状態）において、歯車４４４３が図１６４で時計回りに回転すると、図１７４〜図１７６に示すように、直立可動体４４１０が１８０度反転して前面部４４１０Ａが裏向きの状態となる。すなわち、背面部４４１０Ｂが表向きの状態となって出現位置に現れる。その逆に、図１７４〜図１７６に示すように、直立可動体４４１０の前面部４４１０Ａが裏向きの状態（背面部４４１０Ｂが表向きの状態）において、歯車４４４３が図１６４で反時計回りに回転すると、直立可動体４４１０が逆向きに反転し、図１７０〜図１７２に示すように、直立可動体４４１０の前面部４４１０Ａが表向きの状態となり、背面部４４１０Ｂが裏向きの状態となって退避位置に戻る。
【０５１４】
複数の歯車４４４０〜４４４３、及びモータ４４４０は、直立可動体４４１０を回転軸Ｓ周りに反転させるための駆動手段としてベース部材４４２０に設けられている。直立可動体４４１０は、複数の歯車４４４０〜４４４３を介してモータ４４５０の駆動力が伝えられ、モータ４４５０の回転方向に応じて正逆両方向に１８０度反転可能である。
【０５１５】
［第１演出ユニットの動作］
次に、図１６５〜図１７８を参照して第１演出ユニット４０００の動作について説明する。
【０５１６】
まず、下可動体４１１０、左可動体４２１０、右可動体４３１０、及び直立可動体４４１０は、当初において退避位置にある状態とする。この状態から、図１６５〜図１６６に示すように、下可動体４１１０が下方の退避位置から上方の出現位置へと移動する。すると、特に図示しないが、遊技盤１の開口領域１ｄの下縁に沿って下可動体４１１０が出現する。
【０５１７】
次に、下可動体４１１０が出現位置にある状態において、図１６７〜図１６９に示すように、左可動体４２１０が左側の退避位置から下方の出現位置へと回転移動する。これにより、左可動体４２１０は、下可動体４１１０の上端部左側に合体した状態となる。
【０５１８】
次に、下可動体４１１０及び左可動体４２１０が出現位置にある状態において、図１７０〜図１７３に示すように、右可動体４３１０が右側の退避位置から下方の出現位置へと回転移動する。これにより、右可動体４３１０は、下可動体４１１０の上端部左側から上端部中央にわたって合体した状態となる。
【０５１９】
次に、最終的には、下可動体４１１０、左可動体４２１０、及び右可動体４３１０が出現位置にある状態において、図１７４〜図１７８に示すように、直立可動体４３１０の背面部４４１０Ｂが裏向きとなった退避位置から表向きの出現位置へと反転する。これにより、直立可動体４３１０の背面部４４１０Ｂは、下可動体４１１０、左可動体４２１０、及び右可動体４３１０と一体になって統一したモチーフの立体的な装飾が施された演出物の全体像が完全に出現した状態となる。
【０５２０】
このような第１演出ユニット４０００によれば、上下移動する下可動体４１１０、水平軸周りに回転移動する左可動体４２１０及び右可動体４３１０、並びに鉛直軸周りに反転する直立可動体４４１０を各々異なる動作態様によって遊技盤１の開口領域１ｄに順次出現させ、最終的に演出物の全体像を遊技者に視認させることができるので、動作態様が多様となり、多彩な演出効果として合体時のダイナミックさを高め、ひいては面白味や興趣を高めることができる。なお、下可動体４１１０、左可動体４２１０及び右可動体４３１０、並びに直立可動体４４１０の動作態様は、互いに異なっていればよく、上記した上下移動や水平軸周りの回転、鉛直軸周りの回転に限定されず、斜め方向や奥行き方向（前後方向）の動きでもよいことはいうまでもない。
【０５２１】
また、下可動体４１１０、左可動体４２１０、及び右可動体４３１０を遊技盤１の開口領域１ｄに出現させた後、部分的に前面部４４１０Ａが見える直立可動体４４１０を反転させることで背面部４４１０Ｂを出現させることにより、連続的な異なる動作によって演出物の全体像を視認させることができるので、動作態様が多彩で連動性のある演出効果として面白味や興趣を高めることができる。なお、上記実施形態では、上下移動する下可動体４１１０、水平軸周りに回転移動する左可動体４２１０及び右可動体４３１０、並びに鉛直軸周りに反転する直立可動体４４１０でもって１つの構成物を形成したが、上記実施形態よりも可動体の数を少なくしてもよいし、多くしてもよいことは言うまでもない。例えば、可動体の数を少なくして、上下移動する可動体と、水平軸周りに回転移動する可動体と、鉛直軸周りに反転する可動体の３つの可動体で１つの構成物を構成してもよい。
【０５２２】
［第１演出ユニットの導光構造］
図１７９は、下可動体４１１０、左可動体４２１０、及び右可動体４３１０を示す斜視図、図１８０は、下可動体４１１０、左可動体４２１０、及び右可動体４３１０を示す分解斜視図、図１８１は、右可動体４３１０を示す分解斜視図、図１８２は、下可動体４１１０及び右可動体４３１０の一部を示す斜視図、図１８３は、下可動体４１１０、左可動体４２１０、及び右可動体４３１０を示す一部切り欠き側面図である。なお、第１演出ユニット４０００においては、下可動体４１１０と右可動体４３１０との導光構造に特徴を有するため、これらの導光構造を主として説明する。
【０５２３】
図１８０に示すように、下可動体４１１０は、ベース板４１１３、発光基板４１１４、中間フレーム部材４１１５、複数の導光部材４１１６、前面装飾部材４１１７、及び上縁レンズ部材４１１８を有して構成される。左可動体４２１０は、上部装飾部材４２１２、前面装飾部材４２１３、及び上縁レンズ部材４２１４を有して構成される。右可動体４３１０は、上部装飾部材４３１１、支持部材４３１２、上縁レンズ部材４３１３、及び上縁装飾部材４３１４を有して構成される。
【０５２４】
下可動体４１１０において、ベース板４１１３の前面には、発光基板４１１４が取り付けられる。図１８３に示すように、発光基板４１１４の前面には、複数のＬＥＤ４１１４Ａが設けられており、ＬＥＤ４１１４Ａの光が概ね前方に向けて照射される。発光基板４１１４の前面には、ＬＥＤ４１１４Ａを前方に露出させるように中間フレーム部材４１１５が設けられる。中間フレーム部材４１１５の前面には、ＬＥＤ４１１４Ａからの光を前方に導くように複数の導光部材４１１６が設けられる。導光部材４１１６は、ＬＥＤ４１１４Ａからの光を前方だけでなく側方にも導く。また、中間フレーム部材４１１５の前面には、複数の導光部材４１１６を覆うように前面装飾部材４１１７が取り付けられる。前面装飾部材４１１７は、モチーフに応じたデザインで透光性を有する装飾レンズとして形成されている。図１８３に示すように、ＬＥＤ４１１４Ａからの光は、導光部材４１１６を通って前面装飾部材４１１７へと導かれ、さらに前面装飾部材４１１７を透過して前方へと照射される。図１８２に示すように、前面装飾部材４１１７の上部中央には、右可動体４３１０が合体時に近接する後述の上縁レンズ部材４３１３を位置決めするための凹部４１１７Ａが形成されている。また、中間フレーム部材４１１５の右上部分には、前面装飾部材４１１７の右上端部に近接するように上縁レンズ部材４１１８が取り付けられる。上縁レンズ部材４１１８は、モチーフに応じた横長波状のデザインで透光性を有する装飾レンズとして形成されている。特に図示しないが、ＬＥＤ４１１４Ａからの光は、導光部材４１１６を通って上縁レンズ部材４１１８へと導かれ、さらに上縁レンズ部材４１１８を透過して前方へと照射される。なお、上縁レンズ部材４１１８は、後述する右可動体４３１０の上縁レンズ部材４３１３と同様の形状に形成されている。
【０５２５】
左可動体４２１０は、特に細部について図示しないが、下可動体４１１０と同様に発光基板や導光部材を内蔵しており、発光基板のＬＥＤからの光が導光部材を通って前面装飾部材４２１３や上縁レンズ部材４２１４へと導かれ、これら前面装飾部材４２１３及び上縁レンズ部材４２１４を透過して前方へと照射される。
【０５２６】
右可動体４３１０は、下可動体４１１０や左可動体４２１０とは異なり、発光基板を備えておらず、下可動体４１１０のＬＥＤ４１１４Ａからの光を利用してあたかも自ら発光して見えるように構成されている。図１８０に示すように、右可動体４３１０において、上部装飾部材４３１１は、モチーフ（砲台及び甲板）に応じたデザインの装飾形状に形成されている。上部装飾部材４３１１の左前上端部には、支持部材４３１２が取り付けられる。支持部材４３１２の前面には、合体時に下可動体４１１０の上縁レンズ部材４１１８や左可動体４２１０の上縁レンズ部材４２１４と横方向に連続するように上縁レンズ部材４３１３が設けられている。上縁レンズ部材４３１３は、下可動体４１１０との合体時に凹部４１１７Ａに対応する凸部（図示略）を有し、この凸部が凹部４１１７Ａに嵌合することで下可動体４１１０の上端部中央に位置決めされる。上縁レンズ部材４３１３は、上縁レンズ部材４１１８等と統一したモチーフ（甲板の端部に設けられた手??）に基づく横長波状のデザインで透光性を有する装飾レンズとして形成されている。図１８３に示すように、上縁レンズ部材４３１３は、下方から上方へと前方にせり出すように屈曲状に形成されている。このような上縁レンズ部材４３１３は、合体時に下可動体４１１０のＬＥＤ４１１４Ａからの光を凹部４１１７Ａに対応する凸部を含む下端部から受け、その光を内部において屈折・反射させつつ上縁レンズ部材４３１３において前方に突出した部分（手??部分）のみ前方へと光が照射するようになっている。ただし、下可動体４１１０が出現位置にあっても右可動体４３１０が退避位置にある状態では、下可動体４１１０のＬＥＤ４１１４Ａからの光が上縁レンズ部材４３１３に入射することはない。上縁レンズ部材４３１３の下部には、上縁装飾部材４３１４が取り付けられる。上縁装飾部材４３１４は、下可動体４１１０の前面装飾部材４１１７と統一したデザインの装飾形状に形成されている。
【０５２７】
このような右可動体４３１０によれば、発光基板を備えずに下可動体４１１０と合体するように出現させても、下可動体４１１０のＬＥＤ４１１４Ａからの光を受け、この光が上縁レンズ部材４３１３を通って前方に照射されるので、発光演出による演出効果を高めつつも部品のコストダウンを図ることができる。
【０５２８】
また、下可動体４１１０のＬＥＤ４１１４Ａからの光は、下可動体４１１０の上縁レンズ部材４１１８を通じて屈折・反射しつつ前方に照射されるだけでなく、右可動体４３１０の上縁レンズ部材４３１３によっても屈折・反射しつつ前方に照射されるので、同様の統一感のある発光演出を行い、そのような発光演出による発光効率を高めることができる。さらに、上縁レンズ部材４３１３は、合体時に下可動体４１１０の上縁レンズ部材４１１８や左可動体４２１０の上縁レンズ部材４２１４と横方向に連続するように設けられているので、それぞれの上縁レンズ部材の端部から入光してくる光によって光量が補填され、さらに鮮やかな発光を実現できる。
【０５２９】
なお、本実施形態においては、左可動体４２１０が下可動体４１１０と同様に発光基板を有して自ら発光するように構成されるが、左可動体４２１０を右可動体４３１０と同様に発光基板を備えないものとし、左可動体４２１０においても下可動体４１１０のＬＥＤ４１１４Ａからの光を受けて前方に導くように構成してもよい。
【０５３０】
［第２演出ユニット］
図１８４は、第２演出ユニット５０００を示す斜視図、図１８５は、第２演出ユニット５０００を示す正面図、図１８６は、第２演出ユニット５０００を示す上面図、図１８７は、第２演出ユニット５０００を示す背面図、図１８８は、第２演出ユニット５０００における上下動ユニット５２００の動作を説明するための斜視図、図１８９は、第２演出ユニット５０００における上下動ユニット５２００の動作を説明するための正面図、図１９０は、第２演出ユニット５０００における上下動ユニット５２００の動作を説明するための背面図である。
【０５３１】
図１８４〜図１８７に示すように、第２演出ユニット５０００は、揺動ユニット５１００及び上下動ユニット５２００を有して構成される。揺動ユニット５１００は、第２演出ユニット５０００の上方の所定位置において左右方向の水平軸周りに揺動可能に設けられている。揺動ユニット５１００は、開口領域１ｄの上端側に視認し得る状態に配置されている（図１５７参照）。上下動ユニット５２００は、第２演出ユニット５０００の上方において揺動ユニット５１００の背後となる遊技者から見えない退避位置から揺動ユニット５１００の下方の出現位置へと移動可能に設けられる。本実施形態においては、上下動ユニット５２００に主な特徴を有するため、以下においては、上下動ユニット５２００について説明する。
【０５３２】
［上下動ユニットの構造・動作］
図１８５〜図１８７、図１８９、及び図１９０に示すように、上下動ユニット５２００は、前面装飾部材５２１０、背面部材５２１１、連結支持部材５２２０、ガイド部材５２３０、ばね部材５２４０、滑車部材５２４１、左右一対のアーム部材５２５０，５２５１、歯車５２６０、モータ５２７０、揺動機構５２８０を有して構成される。なお、図１８５に示すように、ガイド部材５２３０、滑車部材５３４１、ばね部材５２４０の他端５２４０Ｂ等は、本体ケース４４１の内部面（図１５８参照）に固定されている。
【０５３３】
上下動ユニット５２００において、前面装飾部材５２１０は、モチーフに応じたデザインで透光性を有する装飾レンズとして形成されており、背面部材５２１１に設けられた揺動機構５２８０を介して背面部材５２１１に支持されている（図１８７及び図１９０参照）。前面装飾部材５２１０の背面側には、図示しない発光基板や導光部材が設けられる。前面装飾部材５２１０及び背面部材５２１１は、互いに一体となって連結支持部材５２２０に支持されており、遊技者から見えない揺動ユニット５１００の背後の退避位置から揺動ユニット５１００より下方の出現位置へと上下方向に移動可能である。
【０５３４】
図１８７及び図１９０に示すように、連結支持部材５２２０は、背面部材５２１１を片持ち支持するように背面部材５２１１の片側部分（左側部分）に連結されている。連結支持部材５２２０の先端部５２２１は、??動部分としてガイド部材５２３０に沿って上下方向に移動可能に支持されている。ガイド部材５２３０は、本体ケース４４１に固定されている。ばね部材５２４０は、その一端５２４０Ａが連結支持部材５２２０の適部に係止されるとともに、他端５２４０Ｂが本体ケース４４１の適部に係止される。ばね部材５２４０は、連結支持部材５２２０が下方から上方へと移動する際に弾性収縮力によって移動を補助する役割を果たす。ばね部材５２４０は、その中間部分の側部が本体ケース４４１に固定された滑車部材５２４１に当接することで略直角に曲げられており、一端５２４０Ａから滑車部材５２４１に接するまでの部分がガイド部材５２３０によって移動案内される方向、すなわち概ね上下方向に沿うように配置される一方、滑車部材５２４１から他端５２４０Ａまでの部分が概ね左右方向に沿うように配置される。これにより、ばね部材５２４０は、弾性限界が比較的大きくて長いものが用いられる。その結果、連結支持部材５２２０とともに前面装飾部材５２１０及び背面部材５２１１は、上下方向に移動するストロークが相当大きくなっている。
【０５３５】
図１９０に示すように、左右一対のアーム部材５２５０，５２５１は、それらの先端部が背面部材５２１１に設けられた案内溝５２１１Ａ，５２１１Ｂに??動可能に連結されている。アーム部材５２５０，５２５１の基端部は、前後方向に沿う水平軸周りに回転可能に支持されている。一方のアーム部材５２５０の基端部は、図示しないリンク部材を介して歯車５２６０と連結されており、この歯車５２６０に連動してアーム部材５２５０が回転することにより背面部材５２１１と一体となって前面装飾部材５２１０が上下方向に移動する。アーム部材５２５０は、歯車５２６０を介してモータ５２７０の駆動力が伝えられ、モータ５２７０の回転方向に応じて正逆両方向に回転可能である。歯車５２６０やモータ５２７０は、ベース部材に取り付けられている。
【０５３６】
具体的には、図１８７に示すように、前面装飾部材５２１０及び背面部材５２１１が揺動ユニット５１００背後の退避位置にある状態において、歯車５２６０が図１８７で反時計回りに回転すると、図１９０に示すように、アーム部材５２５０，５２５１が下方向に回転し、前面装飾部材５２１０及び背面部材５２１１が連結支持部材５２２０を介してガイド部材５２３０に案内されつつ下方の出現位置へと移動する。その際、ばね部材５２４０は、連結支持部材５２２０に対して下方に変位するほど上向きの弾性収縮力を強める。ただし、前面装飾部材５２１０及び背面部材５２１１が所定の出現位置にあって連結支持部材５２２０が最下位に位置しても、ばね部材５２４０のみの弾性収縮力によってはこれらを引き上げるほどの力が発生せず、あくまでも上方に移動する際の補助的な弾性収縮力が作用するにすぎない。そのため、図１９０に示す状態から図１８７に示す状態へとアーム部材５２５０，５２５１を介して前面装飾部材５２１０及び背面部材５２１１が上方へと移動させられる際には、これらを上方へと引き戻そうとする適度な弾性収縮力がばね部材５２４０によって補助的に付与される。このようなばね部材５２４０は、左右方向に沿う部分がガイド部材５２３０から離れて邪魔にならない上下動ユニット５２００の上方の空きスペースに配置される。
【０５３７】
このような上下動ユニット５２００によれば、ばね部材５２４０の一端５２４０Ａから滑車部材５２４１までの部分については、前面装飾部材５２１０及び背面部材５２１１を上下移動させる上下方向に伸長するように配置される一方、ばね部材５２４０の他端５２４０Ｂから滑車部材５２４１までの部分については、上下移動の方向とは異なる左右方向に伸長するように配置することができる。これにより、上下移動を補助するためのばね部材５２４０の長さに応じて上下動ユニット５２００の移動ストロークをより大きくすることができる。
【０５３８】
また、上下動ユニット５２００において、構成部品等に邪魔されない空きスペースにばね部材５２４０を曲げた姿勢で配置することができるので、比較的長いばね部材５２４０でも支障なく上下動ユニット５２００に配置することができる。
【０５３９】
なお、本実施形態において、ばね部材５２４０は、滑車部材５２４１によって概ね上下方向に沿う部分と左右方向に沿う部分とに屈曲変形する姿勢で配置されるが、配置スペースによっては、滑車部材５２４１を介してばね部材５２４０を例えば上下方向から前後方向に屈曲変形する姿勢で配置するようにしてもよい。また、上記したばね部材５２４０以外にも、ゴム等の弾性部材を用いてもよく、伸縮して付勢力が生じる部材であれば本発明に適用できることはいうまでもない。
【０５４０】
［遊技盤］
図１９１は、遊技盤１を示す正面図、図１９２及び図１９３は、遊技盤１の要部を示す分解斜視図、図１９３は、遊技盤１の要部を示す分解斜視図、図１９４は、遊技盤１における球通路カバー７０００を示す斜視図、図１９５は、遊技盤１における球通路カバー７０００を示す背面図、図１９６は、遊技盤１における開閉ユニット８０００を示す斜視図、図１９７は、遊技盤１における開閉ユニット８０００の動作を説明するための斜視図、図１９８は、遊技盤１における開閉ユニット８０００の動作を説明するための一部切り欠き斜視図、図１９９は、遊技盤１における開閉ユニット８０００の動作を説明するための一部切り欠き上面図である。
【０５４１】
図１５７及び図１９１に示すように、遊技盤１は、球発射通路４０、ステージ４１、第１始動口４２、第２始動口４３、第２始動口４３を開閉する開閉ユニット８０００、通過ゲート４４、第１大入賞口４５、第１大入賞口４５を開閉する第１大入賞口シャッタ４５Ａ、第２大入賞口４６、第２大入賞口４６を開閉する大入賞口シャッタ４６Ａ、複数の一般入賞口４７、アウト口４８、球通路カバー７０００（図１９１において図示略）等を備える。なお、本実施形態のパチンコ遊技機では、第１始動口４２、第２始動口４３、通過ゲート４４、第１大入賞口４５、第２大入賞口４６、及び一般入賞口４７により遊技球が通過により入賞可能な入賞領域が形成される。図１９１は、球通路カバー７０００を取り外した状態を示している。
【０５４２】
球発射通路４０は、遊技盤１に向かって左側から概ね中央上部へと延びるように配設され、一対の外レールと内レールとによって形成される。外レールは、遊技領域１ｐ全体を囲むように配置されている。内レールは、外レールとともに遊技球を遊技盤１の上部に案内するためのものであり、遊技盤１の左側において外レールの内側に配設されている。
【０５４３】
ステージ４１は、遊技領域１ｐにおける遊技球の流化領域を振り分けるものであり、開口領域１ｄの下縁部に沿って配置されている。
【０５４４】
図外の発射装置２６によって発射された遊技球は、遊技盤１に打ち込まれた遊技釘（符号略）やステージ４１等との衝突により、その進行方向を変えながら遊技盤１の下方に向かって流下する。この過程において、遊技球は、第１始動口４２、第２始動口４３、大入賞口４６、一般入賞口４７のいずれかに入賞することで回収され、また、入賞しなかった場合や、通過ゲート４４を通過してその後入賞しなかった場合にアウト口４８から排出されることで回収される。
【０５４５】
第１始動口４２及び第２始動口４３は、遊技球が入賞（通過）することを条件に抽選の契機を与えるとともに、抽選の結果を図外の液晶表示装置４等に表示させる契機を与えるものである。
【０５４６】
第１始動口４２は、遊技盤１の中央で概ね下方位置に設けられている。第１始動口４２に遊技球が入賞すると、予め設定されている数の遊技球が図外の上皿１７又は下皿１８に払い出される。第１始動口４２への遊技球の入賞は、第１始動口スイッチ３１１（図４０参照）により検出される。
【０５４７】
第２始動口４３は、遊技盤１の右側で第１始動口４２より上方位置に設けられている。第２始動口４３に遊技球が入賞すると、予め設定されている数の遊技球が図外の上皿１７又は下皿１８に払い出される。第２始動口４３は、普通電動役物としての後述する開閉ユニット８０００の動作により開閉される。第２始動口４３への遊技球の入賞は、第２始動口スイッチ３１２（図４０、図１９１、図１９２参照）により検出される。
【０５４８】
通過ゲート４４は、第２始動口４３を開放する契機を与えるものである。通過ゲート４４への遊技球の入賞は、通過ゲートスイッチ３１４（図４０、図１９１、図１９２参照）により検出される。なお、この通過ゲート４４に遊技球が入賞しても、賞球は発生しない。
【０５４９】
第１大入賞口４５は、遊技者に有利な遊技状態である当り遊技状態（大当り遊技状態など）のときに開放されるものである。第１大入賞口４５は、遊技領域１ｐの右側上部に設けられている。
【０５５０】
第１大入賞口４５には、これを開閉するための第１大入賞口シャッタ４５Ａが設けられている。第１大入賞口シャッタ４５Ａは、棒部材が前後方向に移動することで第１大入賞口４５に遊技球を導く状態と、導かない状態とに切替可能となるように構成されている。このような第１大入賞口４５は、遊技者に有利な遊技状態である大当り遊技状態のときに開放される。第１大入賞口シャッタ４５Ａは、第１大入賞口ソレノイド３１５Ａ（図４０参照）により開閉可能に駆動される。第１大入賞口４５への遊技球の入賞は、第１大入賞口カウントスイッチ３１５（図４０参照）により検出される。
【０５５１】
第２大入賞口４６も、遊技者に有利な遊技状態である当り遊技状態（大当り遊技状態など）のときに開放されるものである。第２大入賞口４６は、遊技領域１ｐの右側下部にあって、第１始動口４２の右側上方で第２始動口４３の概ね左側下方に設けられている。
【０５５２】
第２大入賞口４６は、複数の遊技球が同時に入賞し得るように比較的左右方向の寸法が大きい開口からなる。第２大入賞口４６は、第２大入賞口シャッタ４６Ａ及び後述する球通路カバー７０００により形成される。第２大入賞口４６は、遊技領域１ｐの右側下部に設けられている。第２大入賞口４６は、第２大入賞口シャッタ４６Ａが開放状態にある時、遊技盤１の前面と球通路カバー７０００との間に開放口として形成され、第２大入賞口シャッタ４６Ａが閉鎖状態にある時に閉鎖口となる。
【０５５３】
第２大入賞口シャッタ４６Ａは、第２大入賞口４６を覆うように左右方向に沿う長手方向寸法が比較的大きい板状部材である。第２大入賞口シャッタ４６Ａの短手方向寸法は、遊技球の直径程度である。第２大入賞口シャッタ４６Ａは、遊技盤１の前後方向に突出・退避可能に設けられている。第２大入賞口シャッタ４６Ａは、遊技盤１の前方に突出した状態が第２大入賞口４６を閉鎖する閉鎖状態となり、遊技盤１の後方へと退避した状態が第２大入賞口４６を開放する開放状態となる。第２大入賞口シャッタ４６Ａの上面は、閉鎖状態において比較的緩やかな左下がり傾向の傾斜面になっている。第２大入賞口シャッタ４６Ａは、第２大入賞口ソレノイド３１６Ａ（図４０参照）により開閉可能に駆動される。第２大入賞口４６への遊技球の入賞は、第２大入賞口カウントスイッチ３１６（図４０、図１９１、図１９２参照）により検出される。
【０５５４】
一般入賞口４７は、遊技盤１の適宜位置に一つ以上設けられている。この一般入賞口４７に遊技球が入賞すると、抽選が行われないものの、所定数の賞球が払い出される。一般入賞口４７への遊技球の入賞は、一般入賞口スイッチ３１０（図４０参照）により検出される。
【０５５５】
［球通路カバー］
図１９２〜図１９５に示すように、球通路カバー７０００は、通過ゲート４４の付近から第２始動口４３を経て第２大入賞口４６へと遊技球を導く球通路Ｔ１〜Ｔ５を形成するものであり、遊技領域１ｐの前面に所定の間隔をあけて対向するように取り付けられる。球通路カバー７０００の前面は、透明な素材で形成されており、球通路Ｔ１〜Ｔ５を通る遊技球を前方から視認可能となっている。球通路カバー７０００の裏面には、複数のリブ７１００，７１１０，７１２０，７１３０，７１４０、複数の凸部７２００、第１減速部７３００、及び第２減速部７３１０が形成されている。
【０５５６】
図１９４及び図１９５に示すように、球通路カバー７０００において、球通路Ｔ１は、通過ゲート４４を通過した遊技球あるいは通過ゲート４４から逸れた遊技球を下方へと落下するように導く縦長状の通路（縦通路）であり、遊技盤１の前面や開口領域１ｄの周縁壁とリブ７１００により形成される。球通路Ｔ１の下方には、リブ７１１０が形成されている。球通路Ｔ１を通って落下してきた遊技球は、リブ７１１０において略水平状に形成された当接部７１１０Ａに突き当たる。当接部７１１０Ａの左側は、その先の第２始動口４３へと遊技球を放出するように開放状の放出部７１１０Ｂが形成されている。また、当接部７１１０Ａには、球通路Ｔ１を通って落下してきた遊技球を遊技領域１ｐの後面に向けて一旦跳ね返らせるように、遊技領域１ｐの後面に向けて傾斜した姿勢の第１減速部７３００が形成され、跳ね返った遊技球は、遊技盤１の壁部によって転動を阻止され、転動速度が大幅に減速される。球通路Ｔ１を通って落下してきた遊技球は、第１減速部７３００に当たることにより、直ぐに放出部７１１０Ｂの方へと跳ね返ることなく放出部７１１０Ｂへと向かう転動速度が低下させられる。これにより、球通路Ｔ１を経て放出部７１１０Ｂから放出された遊技球は、比較的緩慢な転動速度でゆっくりと第２始動口４３へと向かう。なお、第１減速部７３００は、当たった遊技球が遊技領域１ｐの前面に跳ね返るように形成してもよい。要するに、放出部７１１０Ｂ以外の方向に壁部が存在し、第１減速部７３００に当たった遊技球がその壁部に転動を阻止されることで遊技球の転動速度が減速されればよい。
【０５５７】
次に、球通路カバー７０００において、球通路Ｔ２は、後述する開閉ユニット８０００が第２始動口４３を閉状態としている場合に、放出部７１１０Ｂから放出された遊技球を第２始動口４３の上から開閉ユニット８０００の内部を通過させつつさらに左側へと導く若干左下がりの通路であり、主として開閉ユニット８０００により形成される。この球通路Ｔ２については、開閉ユニット８０００の説明とあわせて後述する。
【０５５８】
次に、球通路カバー７０００において、球通路Ｔ３は、球通路Ｔ２を通過してきた遊技球をさらにその左側で落下させる通路であり、遊技盤１の前面とリブ７１２０，７１３０により形成される。リブ７１２０は、第２始動口４３の左側に近接している。リブ７１３０は、リブ７１２０より下方に形成されており、リブ７１２０と高低差のある段差部７１３０Ａを有する。段差部７１３０Ａのさらに左側には、第２大入賞口４６が位置する。球通路Ｔ３を経て落下した遊技球は、リブ７１３０の段差部７１３０Ａに突き当たる。この段差部７１３０Ａにおいても、球通路Ｔ３を経て落下してきた遊技球を遊技領域１ｐの前面に向けて一旦跳ね返らせるように、遊技領域１ｐの前面に向けて傾斜した姿勢の第２減速部７３１０が形成されている。球通路Ｔ３を経て落下してきた遊技球は、第２減速部７３１０に当たることにより、直ぐに第２大入賞口４６の方へと跳ね返ることなく第２大入賞口４６へと向かう転動速度が低下させられる。これにより、球通路Ｔ３を経て第２大入賞口４６へと向かう遊技球についても、比較的遅い転動速度で転動させることができる。また、球通路Ｔ３に沿う球通路カバー７０００の裏面部分には、凸部７２００が形成されている。球通路Ｔ３を通過する際の遊技球は、凸部７２００に当たることによっても転動速度が低下させられる。したがって、第２大入賞口４６へと向かう遊技球は、比較的遅い転動速度で第２大入賞口４６へと誘導される。
【０５５９】
次に、球通路カバー７０００において、球通路Ｔ４は、第２大入賞口４６を図外の第２大入賞口シャッタ４６Ａにより閉状態としている場合に、その第２大入賞口シャッタ４６Ａの上面に沿って遊技球をさらに左側へと導く若干左下がりの通路であり、第２大入賞口シャッタ４６Ａと球通路カバー７０００の裏面により形成される。球通路Ｔ４に沿う球通路カバー７０００の裏面部分にも、凸部７２００が形成されている。これにより、球通路Ｔ４を通過する際の遊技球は、凸部７２００に当たることによって転動速度が低下させられる。その結果、複数の遊技球が停滞しながら第２大入賞口シャッタ４６Ａ上を転動することとなり、その際に第２大入賞口シャッタ４６Ａが開状態となると、一度に複数の遊技球が第２大入賞口４６から同時に落下することで多くの入賞球数が期待される。
【０５６０】
次に、球通路Ｔ５は、球通路Ｔ４を通過してきた遊技球をさらにその左側で落下させる通路であり、遊技盤１の前面とリブ７１４０により形成される。リブ７１４０は、第２大入賞口４６の左側に近接している。球通路Ｔ５を経て落下した遊技球は、主として図外のアウト口４８へと導かれる。
【０５６１】
［開閉ユニット］
図１９６〜図１９９に示すように、開閉ユニット８０００は、基本的な構成部品として、本体部材８１００、後カバー部材８２００、羽根部材８３００、及び羽根部材ソレノイド３１３（図示略）を有して構成される。
【０５６２】
本体部材８１００及び後カバー部材８２００の内部には、球通路Ｔ２がＵ字状に形成される（図１９８、図１９９参照）。本体部材８１００の前面右側には、放出部７１１０Ｂ（図１９４、図１９５参照）から転動してきた遊技球を内部に誘導するための入口部８１１０が形成されているとともに、本体部材８１００の前面左側には、内部において転動する遊技球を外部に誘導するための出口部８１２０が形成されている。本体部材８１００の内部には、入口部８１１０及び出口部８１２０を仕切ってＵ字状の球通路Ｔ２を形成するための仕切り部８１３０が形成されている。
【０５６３】
後カバー部材８２００は、本体部材８１００の後部に取り付けられ、本体部材８１００の仕切り部８１３０との間に遊技球が通過可能な内部空間を形成している。後カバー部材８２００の内壁には、Ｕ字状の球通路Ｔ２に沿って転動する遊技球をスムーズに曲げるための凹湾曲部８２１０，８２１１が設けられている。
【０５６４】
羽根部材８３００は、第２始動口４３から本体部材８１００及び後カバー部材８２００の内部にわたって球通路Ｔ２の底面を形成する可動部品である。羽根部材８３００は、図示しない羽根部材ソレノイド３１３（図４０参照）によって遊技盤１の前後方向に突出・退避するように駆動させられる。羽根部材８３００は、前方に突出した状態において、第２始動口４３を閉状態とする一方、後方に退避した状態において、第２始動口４３を開状態とする。羽根部材８３００は、第２始動口４３を閉状態とする前側部分が右側から左側へと低位となるように段差状に形成されている。これにより、羽根部材８３００が第２始動口４３を閉状態とした場合には、後カバー部材８２００の内部に遊技球をスムーズに流入させるための誘導湾曲部７１１５によって入口部８１１０から本体部材８１００及び後カバー部材８２００の内部に入ることで球通路Ｔ２に沿って導かれる。羽根部材８３００が第２始動口４３を閉状態あるいは開状態のいずれの場合にあっても、羽根部材８３００の後側部分８３２０は、本体部材８１００及び後カバー部材８２００の内部において球通路Ｔ２の底面を形成している。この後側部分８３２０において、入口部８１１０の後方に続く部分から出口部８１２０の後方へと続く部分にかけては、球通路Ｔ２の進行方向に沿って低位となる傾斜状の連続面となっている。これにより、羽根部材８３００が第２始動口４３を閉状態としている場合には、入口部８１１０から出口部８１２０へと球通路Ｔ２に沿って複数の遊技球が比較的緩やかな速度でスムーズに導かれる。また、羽根部材８３００が第２始動口４３を開状態とした場合には、羽根部材８３００の後側部分８３２０上に滞留している複数の遊技球が出口部８１２０からスムーズに排出され、第２始動口４３の下方へと落下して入賞することとなる。第２始動口４３への遊技球の入賞は、第２始動口スイッチ３１２（図４０、図１９１、図１９２参照）により検出される。
【０５６５】
図１９４及び図１９５に示すように、球通路Ｔ２に進入する直前の遊技球は、球通路Ｔ１を経て落下した後、第１減速部７３００に当たることで直ぐに第２始動口４３の方へと跳ね返ることなく、第２始動口４３へと向かう転動速度が低下させられる。これにより、球通路Ｔ２に進入する直前で第２始動口４３へと向かう遊技球は、比較的遅い転動速度で転動させることができる。その結果、複数の遊技球が球通路Ｔ２に沿って停滞しながら羽根部材８３００上を転動することとなり、その際に羽根部材８３００が開状態となると、一度に複数の遊技球が第２始動口４３から同時に落下することで多くの入賞球数が期待される。
【０５６６】
このような遊技盤１によれば、縦通路となる球通路Ｔ１に沿って落下してきた遊技球が当接部７１１０Ａに突き当たって放出部７１１０Ｂから左方向に放出される際に、第１減速部７３００によって遊技球の進行速度が減速されつつ当該遊技球が左方向に位置する第１始動口４３及び羽根部材８３００へと案内され。さらに、第１始動口４３及び羽根部材８３００を経て段差部７１３０Ａへと落下してきた遊技球は、第２減速部７３１０によって進行速度が減速されつつ第２大入賞口４６及び第２大入賞口シャッタ４６Ａへと案内される。これにより、遊技球の跳ね返りを抑えてスムーズに遊技球を放出部７１１０Ｂから第１始動口４３及び羽根部材８３００を経て第２大入賞口４６及び第２大入賞口シャッタ４６Ａへと導くことができ、連続する複数の入賞領域に対しても複数の遊技球を十分減速させて連続的に導くことができ、また、羽根部材８３００や第２大入賞口シャッタ４６Ａの傾斜を緩くしても球通路Ｔ１から球通路Ｔ５までの通路全体の落下距離を十分に維持することができ、ひいては放出部７１１０Ｂ付近や第２始動口４３及び第２大入賞口４６の羽根部材８３００上や及び第２大入賞口シャッタ４６Ａ上における遊技球の球噛みや球詰まりを防ぎつつ多くの入賞球数を期待させることができる。
【０５６７】
「第６実施形態」
次に、第６実施形態に係るパチンコ遊技機について図面を参照して説明する。なお、先述した第１〜第５実施形態に係るものと同一又は類似の構成要素については、同一符号を付してその説明を省略する。図２００〜図２６０は、第６実施形態に係るパチンコ遊技機を説明するための図である。
【０５６８】
第６実施形態に係るパチンコ遊技機は、主として、本体サブユニット４４０における第１演出ユニット４０００の動作及び構造並びに発光態様、第１演出ユニット４０００のベース部材４５００の配線接続構造、本体ケース４４１の配線収容構造、透明板ユニット７’における導光板ユニット７００’の構造及び発光動作に特徴を有する。これらの特徴的な構成について図面を参照して以下に順に説明する。
【０５６９】
［本体サブユニットの構成］
図２００は、透明板ユニット７’を分解して本体サブユニット４４０を示す斜視図、図２０１は、透明板ユニット７’を略して本体サブユニット４４０を示す斜視図、図２０２は、遊技盤１を示す正面図、図２０３は、本体サブユニット４４０を示す分解斜視図である。
【０５７０】
図２００及び図２０３に示すように、本実施形態の本体サブユニット４４０は、透明板ユニット７’、本体ケース４４１、遊技盤１、液晶表示装置４、ロゴ装飾部材１０００、上部装飾パネル１１００、下部装飾部材１２００、第１演出ユニット４０００、第２演出ユニット５０００、及び第３演出ユニット５０００’を有して構成される。
【０５７１】
透明板ユニット７’は、遊技盤１の前面全体を覆うように配置される。透明板ユニット７’は、図１３３〜図１３６に示すものと概ね同様の構成を備えるほか、開口部７Ａａに対応するように設けられた導光板ユニット７００’（図２００において図示略、図２３８、図２３９等参照）を備える。本体ケース４４１の内部奥方の上部には、第１演出ユニット４０００が配置される。本体ケース４４１の内部奥方の下部には、第３演出ユニット５０００’が配置される。本体ケース４４１の内部において第１演出ユニット４０００の前方上部には、第２演出ユニット５０００が配置される。本体ケース４４１の内部において第１演出ユニット４０００の前方下部には、下部装飾部材１２００が配置される。本体ケース４４１の内部において遊技盤１と第２演出ユニット５０００との間には、上部装飾パネル１１００が配置される。遊技盤１の開口領域１ｄの上部において上部装飾パネル１１００の前方には、ロゴ装飾部材１０００が配置される。上部装飾パネル１１００及び下部装飾部材１２００は、透過性素材で形成された遊技盤１を通して前方から視認可能である。一方、第１演出ユニット４０００、第２演出ユニット５０００、及び第３演出ユニット５０００’は、夫々待機状態にある場合、上部装飾パネル１１００及び下部装飾部材１２００の背後に位置し、遊技盤１を通しても前方から視認することができない。第１演出ユニット４０００、第２演出ユニット５０００、及び第３演出ユニット５０００’は、各々出現状態になると、液晶表示装置４の表示領域４ｄの前方にあって開口領域１ｄに出現した状態となり、遊技盤１の前方から視認可能となる。第１演出ユニット４０００、第２演出ユニット５０００、第３演出ユニット５０００’、本体ケース４４１、及び導光板ユニット７００’については後述する。また、遊技盤１に設けられたステージ４１及び大入賞口ユニット４５０等についても後述する。
【０５７２】
［第１演出ユニット］
次に、第１演出ユニット４０００の構成について、図２０４〜図２２４を参照して説明する。図２０４〜図２１２は、第１演出ユニット４０００を示す図である。図２１３〜図２２４は、左可動ユニット４６００Ａの駆動伝達機構４６１０Ａを示す図である。なお、図２０４〜図２０６は、第１演出ユニット４０００の可動体が待機位置にある状態を示し、図２０７〜図２０９は、第１演出ユニット４０００の可動体が中間位置にある状態を示し、図２１０〜図２１２は、第１演出ユニット４０００の可動体が出現位置にある状態を示している。また、図２１３〜図２２４は、基本的に駆動伝達機構４６１０Ａが待機位置にある状態を示しているが、図２１９〜図２２４は、待機位置から中間位置へと移動する直前の状態を示している。
【０５７３】
図２０４〜図２１２に示すように、第１演出ユニット４０００は、主なアセンブリパーツとして、ベース部材４５００、左可動ユニット４６００Ａ、及び右可動ユニット４６００Ｂを有して構成される。左可動ユニット４６００Ａ及び右可動ユニット４６００Ｂは、互いに左右対称な動作を行うものであり、それぞれの可動体４６２０Ａ、４６２０Ｂがベース部材４５００の左右両端の待機位置から中央の出現位置へと移動し、その後、再び出現位置から待機位置へと移動可能である。なお、左可動ユニット４６００Ａ及び右可動ユニット４６００Ｂは、互いに左右対称の動作を行うもので左右反対の動きを実現する以外は同様の構成であるため、以下の説明においては、左可動ユニット４６００Ａ及び右可動ユニット４６００Ｂに対応する構成パーツを末尾の符号「Ａ」及び「Ｂ」で分け、特に断らない限り左可動ユニット４６００Ａの構成について説明する。右可動ユニット４６００Ｂの構成要素の一部については、図中において適宜符号を省略する。
【０５７４】
ベース部材４５００は、左可動ユニット４６００Ａ及び右可動ユニット４６００Ｂを保持し、可動体４６２０Ａ，４６２０Ｂを左右方向に沿って往復移動可能に支持するものである。ベース部材４５００の上部には、左可動ユニット４６００Ａ及び右可動ユニット４６００Ｂの可動体４６２０Ａ，４６２０Ｂを懸架しつつ左右方向に案内するためのガイドロッド４５１０Ａ，４５１０Ｂが設けられている。ベース部材４５００の上部には、可動体４６２０Ａ，４６２０Ｂの左右方向の移動に伴って上下方向の動作を発生させるためのカム溝４５１１Ａ，４５１１Ｂが設けられている。図２０６等に示すように、カム溝４５１１Ａ，４５１１Ｂは、概ね左右方向に延伸し、左右両端から中央へと進むに従って次第に低位となるように形成されている。ベース部材４５００の下部には、可動体４６２０Ａ，４６２０Ｂのそれぞれ下端部を支持しつつ左右方向に案内するためのガイドレール４５２０Ａ，４５２０Ｂが設けられている。図２１０〜図２１２によく示すように、ベース部材４５００の内側下部には、可動体４６２０Ａ、４６２０Ｂが中央から左右両端へと進むと可動体４６２０Ａ，４６２０Ｂの一部に突き当たる突出部４５３０Ａ，４５３０Ｂが設けられている。ベース部材４５００の下部中央には、左可動ユニット４６００Ａ及び右可動ユニット４６００Ｂの電子部品等と外部との電気的な接続を図るための配線接続部４５４０が設けられている。配線接続部４５４０は、遊技機の組み立て時に保護カバー４５４１で閉鎖される。配線接続部４５４０の構成については後述する。
【０５７５】
左可動ユニット４６００Ａは、駆動伝達機構４６１０Ａ及び可動体４６２０Ａを有して構成される。駆動伝達機構４６１０Ａは、主として可動体４６２０Ａを主として左右方向に移動させる駆動力を発生・伝達するためのものであり、ベース部材４５００の上部に設けられる。可動体４６２０Ａは、駆動伝達機構４６１０Ａの駆動力によりベース部材４５００の左側で主として左右方向に移動するものである。また、可動体４６２０Ａは、移動位置に応じて動作態様・発光態様が変化するものである。可動体４６２０Ａの動作態様・発光態様については後述する。
【０５７６】
次に、駆動伝達機構４６１０Ａについて、図２１３〜図２２４を参照して説明する。図２１３によく示すように、駆動伝達機構４６１０Ａは、駆動手段としてのモータ４６１１、駆動ギヤ４６１２、回転体４６１３、及びラック部材４６１４を有して構成される。
【０５７７】
モータ４６１１は、可動体４６２０Ａを移動させる駆動力を発生するものであり、正逆両方向に回転制御される。駆動ギヤ４６１２は、モータ４６１１の駆動軸に回転可能に固定されている。
【０５７８】
図２１５に示すように、回転体４６１３は、ピニオン４６１３ａ、押出片４６１３ｂ、ロック片４６１３ｃを一体化して構成される。ピニオン４６１３ａは、駆動ギヤ４６１２に常時噛み合わされ、駆動ギヤ４６１２の回転に伴って回転する。押出片４６１３ｂは、ピニオン４６１３ａの一側面側にロック片４６１３ｃを介して固定され、ピニオン４６１３ａと一体になって回転する。図２１６等に示すように、押出片４６１３ｂは、全体的な外径がピニオン４６１３ａの外径よりも小さい一方、ピニオン４６１３ａの外径よりも部分的に大きく外方に突き出た突出部４６１３ｂａを有する。ロック片４６１３ｃは、ピニオン４６１３ａの一側面に一体形成され、ピニオン４６１３ａと一体になって回転する。図２１７に示すように、ロック片４６１３ｃは、正面視小判形状に形成されており、押出片４６１３ｂの外径より若干小さい外径を有する一対の湾曲部４６１３ｃａと、これらの湾曲部４６１３ｃａよりも小径となり、湾曲部４６１３ｃａに直線状に連なる一対の直線部４６１３ｃｂとを有する。
【０５７９】
図２１３に示すように、ラック部材４６１４は、その左端部が可動体４６２０Ａ（ベース部材４６３０）の上部に固定されており、可動体４６２０Ａと一体になって左右方向に移動する。図２１５に示すように、ラック部材４６１４は、ラック４６１４ａ、案内部４６１４ｂ、及び壁部４６１４ｃを有して構成される。
【０５８０】
ラック４６１４ａは、左右方向に沿って歯を形成したものであり、回転体４６１３のピニオン４６１３ａと噛み合わされる。ただし、可動体４６２０Ａが基本的に待機位置にある場合、ラック４６１４ａは、ピニオン４６１３ａと噛み合わない状態となる。このような駆動伝達機構４６１０Ａの動作については後述する。
【０５８１】
案内部４６１４ｂは、壁部４６１４ｃに対してラック４６１４ａの反対側に形成されたものであり、主としてラック４６１４ａよりも低い平坦面をなすようにラック４６１４ａに平行して形成される。図２１６に示すように、案内部４６１４ｂの右端部には、回転体４６１３の押出片４６１３ｂの突出部４６１３ｂａが入り込んで側壁部分に当接するように凹部４６１４ｂａが形成されている。凹部４６１４ｂａを含めて案内部４６１４ｂの底面は、押出片４６１３ｂの突出部４６１３ｂａが回転しつつも接触しない程度に形成されている。可動体４６２０Ａが基本的に待機位置にある場合、案内部４６１４ｂの凹部４６１４ｂａには、押出片４６１３ｂの突出部４６１３ｂａが入り込んだ状態となる。このような駆動伝達機構４６１０Ａの動作については後述する。
【０５８２】
壁部４６１４ｃは、ラック４６１４ａと案内部４６１４ｂとを仕切るように形成されたものであり、主としてラック４６１４ａよりも高い平坦面をなすようにラック４６１４ａに平行して形成される。図２１３及び図２１７に示すように、壁部４６１４ｃの右端部には、回転体４６１３のロック片４６１３ｃの湾曲部４６１３ｃａが摺接するように窪み部４６１４ｃａが形成されている。窪み部４６１４ｃａの内面は、ロック片４６１３ｃの湾曲部４６１３ｃａが摺動しながら概ね接触可能である一方、ロック片４６１３ｃの直線部４６１３ｃｂが接触することなく回転可能となるように形成されている（図２２０及び図２２３参照）。可動体４６２０Ａが基本的に待機位置にある場合、壁部４６１４ｃの窪み部４６１４ｃａには、その内面にちょうど添う姿勢でロック片４６１３ｃの湾曲部４６１３ｃａが接触した状態となる。このような駆動伝達機構４６１０Ａの動作については後述する。
【０５８３】
図２１１及び図２１２によく示すように、可動体４６２０Ａは、ベース部材４６３０、上可動部４６４０、中可動部４６５０、下可動部４６６０、連接部材４６７０、及び揺動部材４６８０を有して構成される。上可動部４６４０、中可動部４６５０、下可動部４６６０は、右可動ユニット４６００Ｂの可動体４６２０Ｂと一体になって演出役物を構成するものである。
【０５８４】
図２１１及び図２１３等に示すように、ベース部材４６３０は、その上端部がラック部材４６１４と一体になってベース部材４５００のガイドロッド４５１０Ａに懸架されており、ガイドロッド４５１０Ａに沿って左右方向に移動可能である。ベース部材４６３０の下端部は、ベース部材４５００のガイドレール４５２０Ａに案内された状態で左右方向に移動可能である。このようなベース部材４６３０は、基本的に上下動することなく左右方向に水平移動する。図２１２等に示すように、ベース部材４６３０には、連接部材４６７０を介して上可動部４６４０が揺動可能に支持されるとともに、揺動部材４６８０を介して中可動部４６５０及び下可動部４６６０が揺動可能に支持される。
【０５８５】
図２０９及び図２１２等に示すように、上可動部４６４０は、支点Ｘを軸として揺動可能にベース部材４６３０に支持されている。上可動部４６４０は、支点Ｘから所定距離の部位に案内ピン４６４０Ａを有する。案内ピン４６４０Ａは、ベース部材４６３０に形成された上下方向に対して傾斜状の第１案内溝４６３０Ａ及び連接部材４６７０に形成されたくの字状の案内溝４６７０Ａに挿通された状態で移動可能に係合されている。連接部材４６７０の上端部には、上側案内ピン４６７０Ｂが設けられており、この上側案内ピン４６７０Ｂがベース部材４５００のカム溝４５１１Ａに挿通された状態で移動可能に係合されている。連接部材４６７０は、上下方向に長手状の案内溝４６７０Ｃを有し、この案内溝４６７０Ｃにベース部材４６３０に設けられた一対の案内ピン４６３０Ｂが挿通された状態で係合されることにより、ベース部材４６３０に対して上下方向に移動可能に支持されている。連接部材４６７０の下端部は、バネ４６７１を介してベース部材４６３０に支持されており、このバネ４６７１の弾性力によって常に下向きに付勢されている。これにより、ベース部材４６３０の左右方向の移動に伴って連接部材４６７０が上下方向に変位し、連接部材４６７０の上下動に連動して第１案内溝４６３０Ａを案内ピン４６４０Ａが移動することにより、上可動部４６４０が支点Ｘ周りに揺動する。ベース部材４６３０の移動に連動する上可動部４６４０の揺動動作については後述する。
【０５８６】
図２０９及び図２１２等に示すように、中可動部４６５０は、支点Ｙを軸として揺動可能にベース部材４６３０に支持されている。中可動部４６５０は、支点Ｙから所定距離の部位に案内ピン４６５０Ａを有する。案内ピン４６５０Ａは、ベース部材４６３０に形成された第２案内溝４６３０Ｃに挿通された状態で揺動部材４６８０の一端部に連結されている。揺動部材４６８０は、支点Ｙを軸として回転可能にベース部材４６３０に支持されている。揺動部材４６８０の支点Ｙから他端部に至るまでの中間部には、案内溝４６８０Ａが形成されており、この案内溝４６８０Ａに対して連接部材４６７０に設けられた下側案内ピン４６７０Ｄが挿通された状態で移動可能に係合されている。これにより、揺動部材４６８０は、ベース部材４６３０の左右方向の移動に伴う連接部材４６７０の上下動に連動して第２案内溝４６３０Ｃを案内ピン４６５０Ａが移動することにより支点Ｙ周りに揺動し、それに連動して中可動部４６５０も支点Ｙ周りに揺動する。ベース部材４６３０の移動に連動する中可動部４６５０の揺動動作については後述する。
【０５８７】
図２０９及び図２１２等に示すように、下可動部４６６０は、支点Ｚを軸として揺動可能にベース部材４６３０に支持されている。具体的に、下可動部４６６０は、支点Ｚとなる揺動部材４６８０の他端部に回転可能に軸支されている。支点Ｚ（揺動部材４６８０の他端部）は、ベース部材４６３０に形成された弧状の第４案内溝４６３０Ｅに挿通された状態で移動可能に係合されている。下可動部４６６０は、支点Ｚから所定距離の部位に案内ピン４６６０Ａを有する。案内ピン４６６０Ａは、ベース部材４６３０に形成されたくの字状の第３案内溝４６３０Ｄに挿通された状態で移動可能に係合されている。図２０９及び図２１２に示すように、案内ピン４６６０Ａは、揺動部材４６８０の他端部（支点Ｚ）が支点Ｙ周りに揺動する際、第３案内溝４６３０Ｄの下側部分に沿うことで支点Ｚと同心円状に支点Ｙ周りに移動する。一方、図２０６に示すように、可動体４６２０Ａが待機位置へと移動してくると、下可動部４６６０の背面適部に突出部４５３０Ａが突き当たる状態となり、その結果、案内ピン４６６０Ａは、第３案内溝４６３０Ｄの上側部分に進入し、揺動部材４６８０の他端部（支点Ｚ）周りに移動することとなる。すなわち、下可動部４６６０は、可動体４６２０Ａ（ベース部材４６３０）の左右移動に伴う上可動部４６４０や中可動部４６５０の一定の支点Ｘ，Ｙ周りの揺動動作とは異なり、揺動中心となる支点Ｙ，Ｚが左右移動の途中で切り替えられることで逆方向に揺動するような挙動を示す。このようなベース部材４６３０の移動に連動する下可動部４６６０の揺動動作については後述する。
【０５８８】
［可動部の構成］
次に、特に上可動部４６４０に着目し、この上可動部４６４０の構成について、図２２５〜図２２７を参照して説明する。図２２５〜図２２７は、左可動ユニット４６００Ａの可動体４６２０Ａを示している。なお、図２２５及び図２２６は、可動体４６２０Ａが待機位置にある状態を示し、図２２７は、可動体４６２０Ａが出現位置にある状態を示している。
【０５８９】
図２２５に示すように、上可動部４６４０は、前面装飾カバー４６４１、前面レンズ４６４２、赤色レンズ４６４３、白色レンズ４６４４、可動ベース部材４６４５、導光板４６４６、及び発光基板４６４７を有して構成される。
【０５９０】
前面装飾カバー４６４１は、可動ベース部材４６４５の前面全体を覆うように可動ベース部材４６４５に装着される。前面装飾カバー４６４１は、可動ベース部材４６４５と一体になって支点Ｘ周りに揺動する。
【０５９１】
前面レンズ４６４２は、例えば光を透過可能な半透明の黒色に着色された黒色レンズであり、前面装飾カバー４６４１の前面に装着される。前面レンズ４６４２は、前面装飾カバー４６４１と一体になって支点Ｘ周りに変位する。
【０５９２】
赤色レンズ４６４３は、例えば光を透過可能な赤色に着色されたレンズであり、前面レンズ４６４２の背後に対応するように可動ベース部材４６４５に取り付けられる。赤色レンズ４６４３は、前面レンズ４６４２との相対的な位置関係を一定に保ちつつ可動ベース部材４６４５と一体になって支点Ｘ周りに変位する。なお、特に図示しないが、赤色レンズ４６４３の中心部には、白色レンズ４６４４を装着するための貫通口が形成されている。
【０５９３】
白色レンズ４６４４は、例えば光を透過可能な白色に着色されたレンズであり、前面レンズ４６４２の背後に対応するように赤色レンズ４６４３の中心部に装着される。白色レンズ４６４４も、赤色レンズ４６４３と同様に、前面レンズ４６４２との相対的な位置関係を一定に保ちつつ可動ベース部材４６４５と一体になって支点Ｘ周りに変位する。
【０５９４】
可動ベース部材４６４５は、光を透過可能な部材であり、支点Ｘを軸として揺動可能にベース部材４６３０に支持され、支点Ｘから所定距離の部位に案内ピン４６４０Ａを有する（図２２６、図２２７参照）。
【０５９５】
導光板４６４６は、発光基板４６４７からの光を前方へと導くものであり、可動ベース部材４６４５の背後に概ね対応するようにベース部材４６３０に固定される。導光板４６４６は、ベース部材４６３０に固定されているため、ベース部材４６３０の左右方向の移動によっても支点Ｘ周りに変位することはない。
【０５９６】
発光基板４６４７は、前面に複数のＬＥＤ４６４７ａ，４６４７ｂ，４６４７ｃを搭載した基板であり、導光板４６４６の背後に対応するようにベース部材４６３０に固定される。ＬＥＤ４６４７ａは、前面装飾カバー４６４１において前面レンズ４６４２が設けられない領域全体を発光させるように導光板４６４６を通して光を照射する。ＬＥＤ４６４７ｂは、赤色レンズ４６４３に対応して例えば赤色光を照射するものであり、一例として本実施形態では４個設けられており、発光基板４６４７の前面に半円弧状に配列されている。以下の説明において、ＬＥＤ４６４７ｂは、特に「赤色ＬＥＤ４６４７ｂ」という。ＬＥＤ４６４７ｃは、白色レンズ４６４４に対応して例えば白色光を照射するものであり、一例として本実施形態では１個設けられており、発光基板４６４７の前面において複数のＬＥＤ４６４７ｂの中心に配置されている。以下の説明において、ＬＥＤ４６４７ｃは、特に「白色ＬＥＤ４６４７ｃ」という。このような発光基板４６４７も、ベース部材４６３０に固定されているため、ベース部材４６３０の左右方向の移動によっても支点Ｘ周りに変位することはない。そのため、赤色レンズ４６４３及び白色レンズ４６４４の支点Ｘ周りの変位状態によっては、４個全ての赤色ＬＥＤ４６４７ｂが赤色レンズ４６４３に対応するように位置するとともに、１個の白色ＬＥＤ４６４７ｃが白色レンズ４６４４に対応するように位置する状態と（図２２７参照）、４個のうち１個の赤色ＬＥＤ４６４７ｂが白色レンズ４６４４に対応するように位置するとともに、１個の白色ＬＥＤ４６４７ｃと２個の赤色ＬＥＤ４６４７ｂとが赤色レンズ４６４３に対応するように位置する状態がある（図２２６参照）。赤色レンズ４６４３及び白色レンズ４６４４に対する赤色ＬＥＤ４６４７ｂ及び白色ＬＥＤ４６４７ｃの対応位置関係に応じて前面レンズ４６４２の発光態様が変化する。このような上可動部４６４０の発光態様の変化については後述する。
【０５９７】
なお、中可動部４６５０及び下可動部４６６０については、特に詳細な図示説明を省略するが、互いに異なる色の光を発するＬＥＤやレンズを備えておらず、それ以外においては上可動部４６４０と同様の構成要素を有して構成される。また、右可動ユニット４６００Ｂも、上記した左可動ユニット４６００Ａと同様の構成要素を有するが、特に詳細な図示説明を省略する。
【０５９８】
［ベース部材の配線接続構造］
次に、ベース部材４５００の配線接続構造について、図２２８〜図２３３を参照して説明する。図２２８〜図２３３は、ベース部材４５００における配線接続部４５４０の構成を示している。
【０５９９】
図２２８に示すように、配線接続部４５４０は、保護カバー４５４１、ベース部４５４２、２つの接続端子部４５４３を備えた中継基板４５４４、及び接続端子部４５４３に付設された開閉蓋４５４５を有して構成される。
【０６００】
図２２９及び図２３０に示すように、保護カバー４５４１は、配線接続部４５４０の前面とその周囲を覆うものである。保護カバー４５４１の上部には、いわゆるフレキシブルフラットケーブル（以下、「ＦＦＣ」という）の先端を内部に案内するための開口部４５４１ａが形成されている。保護カバー４５４１の背面には、中継基板４５４４の接続端子部４５４３に対応して位置するように凸部４５４１ｂが形成されている。このような保護カバー４５４１は、中継基板４５４４の前面を覆うように配線接続部４５４０のベース部４５４２に図示しないネジを介して取り付けられる。
【０６０１】
中継基板４５４４は、第１演出ユニット４０００の電子部品等と外部との電気的な接続を中継するためのものであり、電子部品等に接続されたＦＦＣを接続するための接続端子部４５４３を有する。中継基板４５４４は、配線接続部４５４０のベース部４５４２に固定される。
【０６０２】
接続端子部４５４３は、ＦＦＣの先端を電気的に接続する部分である。接続端子部４５４３の下端には、接続端子部４５４３にＦＦＣの先端を挿入する際に起立した開状態となり、接続端子部４５４３にＦＦＣの先端を接続する際に接続端子部４５４３との間にＦＦＣを介在させた状態で閉状態となる開閉蓋４５４５が設けられている。このような接続端子部４５４３には、遊技機の組み立て時にＦＦＣの先端が接続された後に開閉蓋４５４５が閉状態とされ、さらにそうした後に保護カバー４５４１がベース部４５４２に取り付けられる。
【０６０３】
図２３１に示すように、遊技機の組み立て時において、保護カバー４５４１がベース部４５４２に取り付けられる前には、接続端子部４５４３にＦＦＣを接続する前の状態にあり、開閉蓋４５４５が起立した開状態とされる。
【０６０４】
例えば、図２３２に示すように、接続端子部４５４３にＦＦＣを接続することなく保護カバー４５４１をベース部４５４２に取り付けようとした場合には、起立した開状態の開閉蓋４５４５の端部に保護カバー４５４１の凸部４５４１ｂが当接する。これにより、ＦＦＣの接続を忘れたまま保護カバー４５４１を取り付けることができないようになっている。これにより、ＦＦＣの接続を完了せずに遊技機の組み立てを完成してしまうといった事態を防ぐことができる。
【０６０５】
図２３３に示すように、接続端子部４５４３にＦＦＣを接続した状態で保護カバー４５４１をベース部４５４２に取り付ける場合には、開閉蓋４５４５を閉状態としてこの開閉蓋４５４５と接続端子部４５４３との間にＦＦＣの先端を挟んだ状態で確実に接続することができ、保護カバー４５４１の凸部４５４１ｂに対して開閉蓋４５４５の表面がほとんど接するか接しない状態で保護カバー４５４１をベース部４５４２に取り付けることができる。これにより、接続端子部４５４３に対してＦＦＣを確実に接続した状態で保護カバー４５４１を取り付けることができ、ＦＦＣの接続を確実に完了した状態で遊技機の組み立てを完成することができる。
【０６０６】
［本体ケースの配線収容構造］
次に、本体ケース４４１の配線収容構造について、図２３４〜図２３７を参照して説明する。図２３４〜図２３７は、本体ケース４４１の配線収容部４４３の構成を示している。
【０６０７】
図２３７に示すように、配線収容部４４３は、複数の配線を束ねた配線束Ｓをその先端に設けられたコネクタＣと共に配線収容部４４３の外部から内部へとまとめて引き込むための部分である。図２３４に示すように、配線収容部４４３は、一例として本体ケース４４１の背面部４４１Ａの左側部分から左側部４４１Ｂにかけて設けられている。なお、左側部４４１Ｂは、前後方向に概ね垂直状の面をなす第１壁部４４１Ｂａと、第１壁部４４１Ｂａに連続して屈曲形成され、左右方向に概ね垂直状の面をなす第２壁部４４１Ｂｂとによって形成される。
【０６０８】
図２３５〜図２３７に示すように、配線収容部４４３は、第１の開口領域４４３Ａ及び第２の開口領域４４３Ｂを有して構成される。第１の開口領域４４３Ａは、背面部４４１Ａを貫通するように形成される。第２の開口領域４４３Ｂは、左側部４４１Ｂの第１壁部４４１Ｂａ及び第２壁部４４１Ｂｂを貫通し、第１の開口領域４４３Ａに連続するように形成される。第２の開口領域４４３Ｂは、第１壁部４４１Ｂａに形成された挿通部４４３Ｂａと、第２壁部４４１Ｂａに形成された連通部４４３Ｂｂとを有する。
【０６０９】
第１の開口領域４４３Ａは、第２の開口領域４４３Ｂの連通部４４３Ｂｂを介して挿通部４４３Ｂａへと連続するように形成されている。第１の開口領域４４３Ａには、連通部４４３Ｂｂとの境目部分に凸部４４３Ａａが形成されている。また、第１の開口領域４４３Ａの内側には、第１の開口領域４４３Ａを囲うように前後方向に沿う配線収容壁４４３Ａｂが形成されている。凸部４４３Ａａと配線収容壁４４３Ａｂとの間には、配線束Ｓを押し入れることができる隙間Ｇが形成される。このような第１の開口領域４４３Ａは、コネクタＣを出し入れ不可能である一方、配線束Ｓをまとめて収容することが可能な開口部分となる。
【０６１０】
第２の開口領域４４３Ｂの挿通部４４３Ｂａは、コネクタＣを出し入れ可能な程度の開口面積を有し、第１の開口領域４４３Ａよりも広く形成される。第２の開口領域４４３Ｂの連通部４４３Ｂｂは、挿通部４４３Ｂａから第１の開口領域４４３Ａへと連続するように前後方向に細長いスリット状の開口部分として形成される。これにより、挿通部４４３Ｂａには、本体ケース４４１の背後から前方へとコネクタＣと共に配線束Ｓを挿入することが可能であり、連通部４４３Ｂｂには、コネクタＣに続く配線束Ｓを内側へと押し入れることが可能となる。
【０６１１】
配線収容部４４３において配線束Ｓを本体ケース４４１の背後から前方へと引き回す際には、次のような手順で作業を行う。
【０６１２】
図２３７の（１）に示すように、まず、配線束Ｓの先端に一体となったコネクタＣを挿通部４４３Ｂａに差し込む。次に、（２）に示すように、コネクタＣに続く配線束Ｓをまとめて連通部４４３Ｂｂに押し込む。その後、（３）に示すように、連通部４４３Ｂｂに押し込んだ配線束Ｓをさらに凸部４４３Ａａを越えて隙間Ｇから挿通部４４３Ｂａへと押しやる。これにより、挿通部４４３Ｂａの内側においては、配線収容壁４４３Ａｂによって配線束Ｓがばらつくことなく纏まって収容・保持される。
【０６１３】
［導光板ユニットの構成］
次に、導光板ユニット７００’の構成について、図２３８〜図２４１を参照して説明する。図２３８〜図２４０は、導光板ユニット７００’の構成を示している。図２４１は、導光板ユニット７００’の変形例を示している。
【０６１４】
図２３８及び図２３９に示すように、導光板ユニット７００’は、透明パネル７４０、発光基板７５０、及び２つの傾斜レンズ７６０，７７０を有して構成される。
【０６１５】
透明パネル７４０は、全体が光を透過可能な面をなし、図２３９に示すように、部分的な表面加工により上端部７４０Ａから導入された光を前方へと反射可能な発光領域７４１，７４２，７４３を有する。発光領域７４１は、透明パネル７４０の上端部７４０Ａに対して概ね垂直に導入された光を最も強く前方に向けて反射するように形成されている。一方、発光領域７４２，７４３は、透明パネル７４０の上端部７４０Ａに対して若干斜め方向に導入された光を最も強く前方に向けて反射するように形成されている。発光領域７４２と発光領域７４３とは、発光領域７４１の両側に配置され、互いに最も強く反射する光の導入方向が左右対称となるように形成されている。
【０６１６】
発光基板７５０は、透明パネル７４０の上端部７４０Ａに配置され、その上端部７４０Ａから透明パネル７４０の内部へと光を入射させるように複数のＬＥＤ７５１，７５２，７５３を有する。ＬＥＤ７５１は、透明パネル７４０の上端部７４０Ａに沿うように配置されており、上端部７４０Ａに対して概ね垂直に光を照射する。一方、ＬＥＤ７５２，７５３は、傾斜レンズ７６０，７７０を介して透明パネル７４０の上端部７４０Ａに対して若干斜め方向に光を照射するように配置されている。
【０６１７】
傾斜レンズ７６０，７７０は、透明パネル７４０の上端部７４０Ａにおいて、各々の光軸が発光領域７４２，７４３を通るように配置される。図２４０に示すように、傾斜レンズ７６０は、光入射面７６０Ａが透明パネル７４０の上端部７４０Ａに対して全体的に傾斜状であり、ＬＥＤ７５２に対応する部分が凸面状に形成される。傾斜レンズ７６０の光出射面７６０Ｂは、透明パネル７４０の上端部７４０Ａに対して平行な平坦状に形成される。このような傾斜レンズ７６０は、ＬＥＤ７５２からの光を集光しつつ上端部７４０Ａに対して斜め方向に光を出射する役割をはたす。傾斜レンズ７７０も同様である。このような導光板ユニット７００’の発光動作については後述する。
【０６１８】
［第２演出ユニットの構成・動作］
次に、第２演出ユニット５０００の構成・動作について、図２５０〜図２５５を参照して説明する。図２５０〜図２５５は、第２演出ユニット５０００の構成を示している。なお、図２５０〜図２５２は、第２演出ユニット５０００の構成要素が待機位置にある状態を示し、図２５３〜図２５５は、第２演出ユニット５０００の構成要素が出現位置にある状態を示している。
【０６１９】
図２５０〜図２５５に示すように、第２演出ユニット５０００は、主なアセンブリパーツとして、ベース部材５３００、左右一対のガイド部５３１０Ａ，５３１０Ｂ、中央前可動ユニット５３２０、左可動ユニット５３３０Ａ、右可動ユニット５３３０Ｂ、中央後可動ユニット５３４０、及び左右一対の駆動機構５３５０Ａ，５３５０Ｂを有して構成される。中央前可動ユニット５３２０の左右両側には、左可動ユニット５３３０Ａ及び右可動ユニット５３３０Ｂが位置するように一体化されており、中央前可動ユニット５３２０の背後には、中央後可動ユニット５３４０が配置される。中央前可動ユニット５３２０、左可動ユニット５３３０Ａ、右可動ユニット５３３０Ｂ、及び中央後可動ユニット５３４０は、上下方向に沿って待機位置から出現位置まで往復移動可能である。駆動機構５３５０Ａ，５３５０Ｂは、駆動手段としてのモータ５３５１、駆動ギヤ５３５２、従動ギヤ５３５３、揺動アーム５３５４を有して構成される。なお、第２演出ユニット５０００は、互いに左右対称の構成要素を有するが、主として上下方向の動きを実現するように構成されている。そのため、以下の説明においては、左側及び右側の構成パーツを末尾の符号「Ａ」及び「Ｂ」で分け、特に断らない限り左側の構成要素について説明する。右側の構成要素については、図中において適宜符号を省略する。
【０６２０】
ベース部材５３００は、左可動ユニット５３３０Ａ及び右可動ユニット５３３０Ｂを介して中央前可動ユニット５３２０を上下方向に沿って往復移動可能に支持するものである。
【０６２１】
ガイド部５３１０Ａ，５３１０Ｂは、ベース部材５３００の左右両端部に設けられる。ガイド部５３１０Ａ，５３１０Ｂには、上下方向に沿ってバネ５３１１が巻回されたガイドロッド５３１２と、ガイドロッド５３１２の上下方向所定位置に固定されたストッパ５３１３とが設けられる。ガイドロッド５３１２には、バネ５３１１によって常に下向きの弾性力が付勢された状態で左可動ユニット５３３０Ａ及び右可動ユニット５３３０Ｂの支持部が上下方向に移動可能に支持される。左可動ユニット５３３０Ａ及び右可動ユニット５３３０Ｂが待機位置にあるとき、これらの支持部の下端がストッパ５３１３に当接しない一方、左可動ユニット５３３０Ａ及び右可動ユニット５３３０Ｂが所定の出現位置に達すると、これらの支持部の下端がストッパ５３１３に当接することでそれよりも下方に移動不可能となる。
【０６２２】
中央前可動ユニット５３２０は、その左右両側に左可動ユニット５３３０Ａ及び右可動ユニット５３３０Ｂが固定され、これらと一体になって上下方向に移動する。ただし、中央前可動ユニット５３２０と中央後可動ユニット５３４０とは、一体化されておらず、中央前可動ユニット５３２０は、所定の出現位置まで中央後可動ユニット５３４０に追従して移動する。中央後可動ユニット５３４０は、中央前可動ユニット５３２０が所定の出現位置に達した後にあっても、その所定の出現位置を通り越してさらに下方の最下限の出現位置まで移動する。
【０６２３】
図２５２及び図２５５に示すように、左可動ユニット５３３０Ａの背部には、上下方向に沿って延伸するようにカム溝５３３１が形成されている。カム溝５３３１には、中央後可動ユニット５３４０の背部に設けられた一対の案内ピン５３４１が挿通された状態で移動可能に係合されている。右可動ユニット５３３０Ｂも、左可動ユニット５３３０Ａと同様の構成からなる。このような左可動ユニット５３３０Ａ及び右可動ユニット５３３０Ｂは、中央後可動ユニット５３４０が待機位置から最下限の出現位置に達するまでの所定の中間位置まで移動するのに伴い、バネ５３１１の下向き弾性付勢力によって案内ピン５３４１がカム溝５３３１の上端に当接した状態のまま移動し、これらの支持部がストッパ５３１３に当接する所定の出現位置まで移動する。
【０６２４】
図２５２及び図２５５に示すように、中央後可動ユニット５３４０の背部には、左右方向に沿って延伸するようにカム溝５３４２が形成されている。カム溝５３４２には、揺動アーム５３５４の先端部が移動可能に係合されている。このような揺動アーム５３５４の先端部が回転するのに伴い、カム溝５３４２を従節として中央後可動ユニット５３４０が待機位置から最下限の出現位置まで移動する。このとき、揺動アーム５３５４の先端部がカム溝５３４２の中間に位置し、中央後可動ユニット５３４０が待機位置から最下限の出現位置までの間の中間位置に達すると、左可動ユニット５３３０Ａ及び右可動ユニット５３３０Ｂは、ストッパ５３１３に当接することでそれより下方に移動することなく所定の出現位置に達した状態となる。さらにその後、揺動アーム５３５４の先端部がカム溝５３４２の中間から移動すると、左可動ユニット５３３０Ａ及び右可動ユニット５３３０Ｂが所定の出現位置に留まった状態のまま、案内ピン５３４１がカム溝５３３１の下方へと移動することで中央後可動ユニット５３４０が中間位置から最下限の出現位置へと移動する。すなわち、中央後可動ユニット５３４０が待機位置から中間位置へと移動するまでは、中央前可動ユニット５３２０が中央後可動ユニット５３４０の前面全体を覆い隠す状態で所定の出現位置まで移動し、中央前可動ユニット５３２０が所定の出現位置に止まった状態の後、中央前可動ユニット５３２０の背後から中央後可動ユニット５３４０がさらに最下限の出現位置へと現れるように移動する。出現位置から待機位置へと戻る際は、上記した動作とは逆の手順で中央前可動ユニット５３２０及び中央後可動ユニット５３４０が移動する。
【０６２５】
モータ５３５１は、主として中央後可動ユニット５３４０を上下方向に移動させる駆動力を発生するものであり、正逆両方向に回転制御される。駆動ギヤ５３５２は、モータ５３５１の駆動軸に回転可能に固定されている。従動ギヤ５３５３は、駆動ギヤ５３５２に噛み合わされ、駆動ギヤ５３５２の回転に伴って回転する。このような従動ギヤ５３５３は、揺動アーム５３５４の基端部に固定されており、従動ギヤ５３５３の回転に伴って揺動アーム５３５４の先端部が回転する。
【０６２６】
このような第２演出ユニット５０００によれば、中央前可動ユニット５３２０と中央後可動ユニット５３４０との差動動作を簡単な仕組みによって実現することができ、斬新な演出を行うことができる。
【０６２７】
［第３演出ユニットの構成・動作］
次に、第３演出ユニット５０００’の構成・動作について、図２４２〜図２４９を参照して説明する。図２４２〜図２４９は、第３演出ユニット５０００’の構成を示している。なお、図２４２〜図２４５は、第３演出ユニット５０００’の構成要素が待機位置にある状態を示し、図２４６〜図２４９は、第３演出ユニット５０００’の構成要素が出現位置にある状態を示している。
【０６２８】
図２４２〜図２４９に示すように、第３演出ユニット５０００’は、主なアセンブリパーツとして、ベース部材５５００、左前可動ユニット５５１０Ａ、右前可動ユニット５５１０Ｂ、左後可動ユニット５５２０Ａ、右後可動ユニット５５２０Ｂ、及び左右一対の駆動機構５５３０Ａ，５５３０Ｂを有して構成される。左前可動ユニット５５１０Ａ及び右前可動ユニット５５１０Ｂは、ベース部材５５００の前面側に配置されており、左後可動ユニット５５２０Ａ及び右後可動ユニット５５２０Ｂは、ベース部材５５００の前面側にあって左前可動ユニット５５１０Ａ及び右前可動ユニット５５１０Ｂの背後に配置される。左前可動ユニット５５１０Ａ及び右前可動ユニット５５１０Ｂは、互いに左右に開いた待機位置の状態から、左後可動ユニット５５２０Ａ及び右後可動ユニット５５２０Ｂと概ね一体になって起立した出現位置の状態まで変動可能である。駆動機構５５３０Ａ，５５３０Ｂは、駆動手段としてのモータ５５３１、駆動ギヤ５３５２、従動ギヤ５３５３、従動カム５５３４を有して構成される。なお、第３演出ユニット５０００’は、互いに左右対称の構成要素を有するが、互いに左右に開いた待機状態から起立した出現状態へと揺動する動きを実現するように構成されている。そのため、以下の説明においては、左側及び右側の構成パーツを末尾の符号「Ａ」及び「Ｂ」で分け、特に断らない限り左側の構成要素について説明する。右側の構成要素については、図中において適宜符号を省略する。
【０６２９】
ベース部材５５００は、回転軸５５０１Ａ，５５０１Ｂを介して左前可動ユニット５５１０Ａ及び右前可動ユニット５５１０Ｂを揺動可能に支持している。また、ベース部材５５００には、左前可動ユニット５５１０Ａ及び右前可動ユニット５５１０Ｂが出現状態となる直前に後述する揺動レバー５５１２の基端部に当接可能な突設ピン５５００Ａ，５５００Ｂ（図２４２、図２４４、図２４８参照）が設けられている。
【０６３０】
図２４４、図２４５、図２４８、及び図２４９に示すように、左前可動ユニット５５１０Ａの基端部には、カム溝５５１１が形成されている。カム溝５５１１には、従動カム５５３４が挿通された状態で移動可能に係合されている。また、左前可動ユニット５５１０Ａの背部には、突設ピン５５００Ａに当接可能な揺動レバー５５１２と、揺動レバー５５１２に連結されたリンク部材５５１３が支持されている。右前可動ユニット５５１０Ｂも、左前可動ユニット５５１０Ａと同様の構成からなる。このような左前可動ユニット５５１０Ａ及び右前可動ユニット５５１０Ｂは、従動カム５５３４の回転に伴い、回転軸５５０１Ａ，５５０１Ｂを中心として揺動する。そうして待機位置から出現位置に達する直前には、揺動レバー５５１２の基端部に突設ピン５５００Ａ，５５００Ｂが当接することにより、揺動レバー５５１２及びリンク部材５５１３の相対的な姿勢が変化する。
【０６３１】
図２４４、図２４５、図２４８、及び図２４９に示すように、左後可動ユニット５５２０Ａの基端部は、回転軸５５２１を介して回転可能に左前可動ユニット５５１０Ａの背部に支持されている。回転軸５５２１には、図示しないトーションバネが巻回されており、このトーションバネの弾性力により左後可動ユニット５５２０Ａが常に左側へと開く方向に付勢されている。一方、回転軸５５２１には、凸片５５２２が一体となって回転可能に設けられている（図２４８、図２４９参照）。左後可動ユニット５５２０Ａが左前可動ユニット５５１０Ａと共に待機位置にある場合、この凸片５５２２は、揺動レバー５５１２及びリンク部材５５１３の連結部に当接する。これにより、凸片５５２２が当接する位置よりも左後可動ユニット５５２０Ａが左側に揺動することなく、左前可動ユニット５５１０Ａの背後に隠れた状態となる。その一方、左前可動ユニット５５１０Ａが出現位置に達する直前になると、揺動レバー５５１２の基端部に突設ピン５５００Ａが当接し、揺動レバー５５１２及びリンク部材５５１３の連結部が凸片５５２２の変位に支障がない姿勢に変化する。これにより、凸片５５２２によるストッパーの機能が解除され、左後可動ユニット５５２０Ａは、左前可動ユニット５５１０Ａの出現位置よりもさらに左側へと揺動し、左前可動ユニット５５１０Ａの背後から現れるように移動する。右後可動ユニット５５２０Ｂも、左後可動ユニット５５２０Ａと同様の構成からなる。出現位置から待機位置へと戻る際は、上記した動作とは逆の手順で左前可動ユニット５５１０Ａ及び右前可動ユニット５５１０Ｂ、並びに左後可動ユニット５５２０Ａ及び右後可動ユニット５５２０Ｂが揺動する。
【０６３２】
モータ５５３１は、主として左前可動ユニット５５１０Ａを揺動させる駆動力を発生するものであり、正逆両方向に回転制御される。駆動ギヤ５５３２は、モータ５３５１の駆動軸に回転可能に固定されている。従動ギヤ５５３３は、駆動ギヤ５５３２に噛み合わされ、駆動ギヤ５５３２の回転に伴って回転する。従動カム５５３４は、従動ギヤ５５３３と一体になって回転し、カム溝５５１１に沿って移動する。
【０６３３】
このような第３演出ユニット５０００’によれば、左前可動ユニット５５１０Ａ及び右前可動ユニット５５１０Ｂと左後可動ユニット５５２０Ａ及び右後可動ユニット５５２０Ｂとの差動動作を簡単な仕組みによって実現することができ、斬新な演出を行うことができる。
【０６３４】
［遊技盤のステージ］
次に、遊技盤１のステージ４１について、図２５６及び図２５７を参照して説明する。図２５６及び図２５７は、ステージ４１の構造を示している。
【０６３５】
第１始動口４２の上方となるステージ４１の中央部４１Ａには、周辺面よりも若干高く隆起した頂面４１Ａａが形成されており、さらにこの頂面４１Ａａから窪むように窪み部４１Ａｂが形成されている。窪み部４１Ａｂには、後方から前方へと延伸し、前端が凹状の開口をなすように凹溝４１Ａｃが形成されている。また、中央部４１Ａの左右両側におけるステージ４１の前端部には、ステージ４１上を転動する遊技球に当接可能で、ステージ４１からの遊技球の落下を防ぐための壁部４１Ｂが形成されている。
【０６３６】
窪み部４１Ａｂの上縁外径Ｗは、遊技球の直径よりも大きい寸法に形成されている。これにより、窪み部４１Ａｂには、ステージ４１上を転動する遊技球が進入しやすい。また、凹溝４１Ａｃは、その幅寸法ｗが遊技球の直径よりも小さく、深さが遊技球の半径よりも小さくなるように形成されている。さらに、凹溝４１Ａｃは、後方から前方へと進むほど低位となるように前後方向にスロープ状に形成されている。これにより、窪み部４１Ａｂに進入してきた遊技球は、凹溝４１Ａｃの左右両側の上縁に当接しながら凹溝４１Ａｃに沿って前方へと転がり、中央部４１Ａの前端から下方へと落下しやすくなる。
【０６３７】
このようなステージ４１によれば、ステージ４１上へと導かれてきた遊技球が中央部４１Ａから凹溝４１Ａｃに沿ってまっすぐ落下しやすくなり、ひいては第１始動口４２に対して遊技球が入賞し易くなるので、ステージ４１上における遊技球の動きに注目度や関心を高め、遊技の興趣を高めることができる。
【０６３８】
［大入賞口ユニット］
次に、大入賞口ユニット４５０について、図２５８〜図２６０を参照して説明する。図２５８は、大入賞口ユニット４５０の全体を示し、図２５９及び図２６０は、大入賞口ユニット４５０に含まれるシャッタ部材４５２を示している。
【０６３９】
図２０２に示すように、大入賞口ユニット４５０は、遊技盤１の第１大入賞口４５を開閉するためのものであり、第１大入賞口４５の背後において遊技盤１の背面に取り付けられる。図２５８に示すように、大入賞口ユニット４５０は、ユニット本体４５１及びシャッタ部材４５２を有して構成される。
【０６４０】
図２５８に示すように、ユニット本体４５１は、前面開口を開閉可能なシャッタ部材４５２を有し、シャッタ部材４５２を第１大入賞口４５の後方から前方へと臨ませるように第１大入賞口４５の背後に取り付けられる。ユニット本体４５１には、特に図示しないが、シャッタ部材４５２を開閉動作させるためのソレノイドや前面開口から内部へと進入した遊技球を検知するためのセンサが設けられる。ユニット本体４５１の内部に進入した遊技球は、図示しない球通路を通って回収される。なお、本実施形態の第１大入賞口４５に対しては、基本的に右側から遊技球が転動してくる。
【０６４１】
シャッタ部材４５２は、ユニット本体４５１の前面開口に対して前後方向に回転することで第１大入賞口４５を開閉するものであり、ユニット本体４５１の前面下部に回転可能に軸支されている。シャッタ部材４５２は、図示しないソレノイドによって開閉動作する。シャッタ部材４５２は、開状態の場合、ユニット本体４５１の前面開口から内部に複数の遊技球を案内可能であり、閉状態の場合、ユニット本体４５１の前面開口を閉じた状態で内部に遊技球を案内不可となる。
【０６４２】
図２５９及び図２６０に示すように、シャッタ部材４５２は、左右方向に沿って長手状の面をなす前面部４５２Ａを有する。前面部４５２Ａは、開状態の場合、遊技球が進入してくる右側において遊技球をユニット本体４５１の内部へと案内する右案内部４５２Ａａと、右案内部４５２Ａより左側において右案内部４５２Ａａを通ってきた遊技球をユニット本体４５１の内部へと案内する左案内部４５２Ａｂとを有する。右案内部４５２Ａａは、全体の厚みが左案内部４５２Ａｂの全体の厚みよりも薄くなるように形成されており、右端にいくほど薄くなるように形成されている。これにより、遊技球が進入してくるユニット本体４５１の前面開口の右半分領域と右案内部４５２Ａａとの隙間が、その前面開口の左半分領域と左案内部４５２Ａｂとの隙間よりも大きくなる。また、前面部４５２Ａには、閉状態の場合、前面部４５２Ａの外面に沿って転動する遊技球に当接可能な複数の凸部４５２Ａｃが形成されている。シャッタ部材４５２が閉状態の場合、前面部４５２Ａの凸部４５２Ａｃに転動する遊技球が接触することにより、遊技球の転動速度が抑えられる。
【０６４３】
このようなシャッタ部材４５２を備えた大入賞口ユニット４５０によれば、シャッタ部材４５２が開状態から閉状態へと変動する直前に、その右側から進入してくる遊技球があっても、ユニット本体４５１の前面開口の右半分領域と右案内部４５２Ａａとの隙間が左側よりも大きいので、そのような隙間に遊技球を球噛みさせることなくユニット本体４５１の内部へとスムーズに遊技球を導くことができる。
【０６４４】
［可動体の動作態様］
次に、第１演出ユニット４０００の左側の可動体４６２０Ａの動作態様について、図２０４〜図２１２を参照して説明する。なお、右側の可動体４６２０Ｂの動作態様は、左側の可動体４６２０Ａの動作態様と左右対称になるので、可動体４６２０Ｂの動作態様の説明については省略する。
【０６４５】
図２０４〜図２０６に示すように、可動体４６２０Ａが待機位置にある場合、上可動部４６４０、中可動部４６５０、及び下可動部４６６０は、各々に対応する支点Ｘ，Ｙ，Ｚで揺動可能に支持された状態にある。図２０５に示すように、正面から見た場合、上可動部４６４０は、支点Ｘを中心として反時計方向の限度まで回り切った姿勢にあり、中可動部４６５０は、支点Ｙを中心として時計方向の限度まで回り切った姿勢にあり、下可動部４６６０は、支点Ｚを中心として反時計方向の限度まで回り切った姿勢にある。なお、下可動部４６６０は、背部の外縁部分に突出部４５３０Ａが当接することで支点Ｚ周りに回転した姿勢を保っている。
【０６４６】
次に、図２０７〜図２０９に示すように、可動体４６２０Ａが待機位置から中間位置まで移動した場合、連接部材４６７０が待機位置と同程度の高さ位置にあって上下方向にほとんど変位していないため、上可動部４６４０及び中可動部４６５０は、各々に対応する支点Ｘ，Ｙを中心として待機位置と概ね同じ姿勢を保っている。一方、下可動部４６６０は、突出部４５３０Ａに当接する状態が解除され、案内ピン４６６０Ａが第３案内溝４６３０Ｄの上側部分から屈曲部分まで移動することにより、支点Ｚ周りに揺動した姿勢に変化する。具体的には、図２０８に示すように、正面から見た場合、下可動部４６６０は、第３案内溝４６３０Ｄの上側部分に沿うように支点Ｚを中心として時計方向に回転した姿勢となる。このとき、支点Ｚ（揺動部材４６８０の他端部）は、揺動部材４６８０が待機位置と同程度の姿勢に保たれているため、上下方向にほとんど高さ位置が変化していない。
【０６４７】
次に、図２１０〜図２１２に示すように、可動体４６２０Ａが中間位置から出現位置まで移動した場合、連接部材４６７０が待機位置や中間位置よりも低位となり、それに応じて揺動部材４６８０が支点Ｙ周りに揺動した姿勢になることから、上可動部４６４０及び中可動部４６５０は、各々に対応する支点Ｘ，Ｙを中心として揺動した姿勢に変化する。また、下可動部４６６０は、支点Ｚ（揺動部材４６８０の他端部）の移動に追従するように変動する。具体的には、図２１１に示すように、正面から見た場合、上可動部４６４０は、支点Ｘを中心として時計方向に回った姿勢に変化し、中可動部４６５０は、支点Ｙを中心として反時計方向に回った姿勢に変化する。下可動部４６６０は、支点Ｚに追従しつつ支点Ｙを中心として反時計方向に回った姿勢に変化する。すなわち、下可動部４６６０は、待機位置から中間位置まで移動する際の回転中心（支点Ｚ）及び回転方向（正面から見て時計回りの方向）が、中間位置から出現位置まで移動する際の回転中心（支点Ｙ）及び回転方向（正面から見て反時計回りの方向）に変転するようになっている。
【０６４８】
なお、可動体４６２０Ａが出現位置から中間位置を経て待機位置へと戻る際には、上述した流れとは逆の流れで上可動部４６４０、中可動部４６５０、及び下可動部４６６０の姿勢が変化することとなる。また、右側の可動体４６２０Ｂも同様の流れで姿勢が変化する。
【０６４９】
このような可動体４６２０Ａ，４６２０Ｂを備えた第１演出ユニット４０００によれば、可動体４６２０Ａ，４６２０Ｂが待機位置から中間位置まで移動する際の姿勢変化や変化方向と、中間位置から出現位置まで移動する際の姿勢変化や変化方向とが異なるように切り替えられるので、可動体４６２０Ａ，４６２０Ｂの多彩な動きを実現することができ、役物の演出効果として面白味や興趣を高めることができる。
【０６５０】
［可動体の発光態様］
次に、可動体４６２０Ａの発光態様について、図２２６及び図２２７を参照して説明する。
【０６５１】
まず、図２２６に示すように、可動体４６２０Ａが待機位置にある場合、赤色レンズ４６４３は、２個の赤色ＬＥＤ４６４７ｂとその間に位置する１個の白色ＬＥＤ４６４７ｃとに対応するように位置する。また、白色レンズ４６４４は、１個の赤色ＬＥＤ４６４７ｂのみに対応するように位置する。これにより、２個の赤色ＬＥＤ４６４７ｂから発せられた赤色光と１個の白色ＬＥＤ４６４７ｃから発せられた白色光とが混合しつつ赤色レンズ４６４３を透過するとともに、１個の赤色ＬＥＤ４６４７ｂから発せられた赤色光が白色レンズ４６４４を透過する。その結果、図示しない外側の前面レンズ４６４２を通して比較的低い明度や光量をもって赤色と白色とが混じった不鮮明なピンク色の発光態様が視認される。可動体４６２０Ａが中間位置にある場合も、待機位置と同様に上可動部４６４０の姿勢に変化がないため、上述したものと同様の発光態様が視認される。
【０６５２】
一方、図２２７に示すように、可動体４６２０Ａが出現位置まで移動した場合、赤色レンズ４６４３は、４個全ての赤色ＬＥＤ４６４７ｂに対応するように位置する。また、白色レンズ４６４４は、１個の白色ＬＥＤ４６４７ｃのみに対応するように位置する。これにより、４個の赤色ＬＥＤ４６４７ｂから発せられた赤色光が同色の赤色レンズ４６４３を透過するとともに、１個の白色ＬＥＤ４６４７ｃから発せられた白色光も同色の白色レンズ４６４４を透過する。その結果、図示しない外側の前面レンズ４６４２を通して比較的高い明度や光量をもって赤色の中に白色がはっきりと鮮明に光って見えるような発光態様が視認される。
【０６５３】
このような可動体４６２０Ａの発光態様によれば、可動体４６２０Ａの移動位置に応じて赤色レンズ４６４３及び白色レンズ４６４４に各々対応するＬＥＤの色や個数を変化させ、前面レンズ４６４２を通して視認し得る発光態様を点灯制御することなく変化させることができるので、簡単な移動の仕組みだけで役物の演出効果として面白味や興趣を高めることができる。なお、本実施形態では、複数のＬＥＤ又は複数のレンズともに互いに異なる色で構成しているが、ＬＥＤとレンズのうちいずれか一方を同色で構成してもよい。例えば、２個のＬＥＤをともに白色で、２個のレンズを赤色と白色で構成したり、２個のＬＥＤを赤色と白色で、２個のレンズをともに赤色で構成してもよい。
【０６５４】
［駆動伝達機構の動作］
次に、駆動伝達機構４６１０Ａの動作について、図２１６〜図２２４を参照して説明する。なお、図２１６〜図２２４は、可動体４６２０Ａと一体になってラック部材４６１４が待機位置にある状態を示している。
【０６５５】
まず、図２１６〜図２１８に示すように、ラック部材４６１４が待機位置にあり、回転体４６１３の押出片４６１３ｂの突出部４６１３ｂａがラック部材４６１４の凹部４６１４ｂａに進入する直前の姿勢にあり、ロック片４６１３ｃの湾曲部４６１３ｃａがラック部材４６１４の窪み部４６１４ｃａに対してちょうど添う姿勢にある場合について考察する。この場合、ピニオン４６１３ａがラック４６１４ａと噛み合った状態にないものの、湾曲部４６１３ｃａが窪み部４６１４ｃａに添って接した状態にあるため、可動体４６２０Ａと共にラック部材４６１４を左右方向に揺らすような外力などが生じても、ラック部材４６１４が左右方向に動くことはない。
【０６５６】
次に、図２１９〜図２２１に示すように、ラック部材４６１４が待機位置にある状態において、このラック部材４６１４を右方向に移動させるように回転体４６１３が回転し始めた回転開始直後の場合について考察する。この場合、ラック部材４６１４が依然として待機位置に留まる一方、回転体４６１３の押出片４６１３ｂの突出部４６１３ｂａがラック部材４６１４の凹部４６１４ｂａに進入した姿勢となり、ロック片４６１３ｃの湾曲部４６１３ｃａがラック部材４６１４の窪み部４６１４ｃａから脱出する姿勢となる。また、この段階においても、ピニオン４６１３ａがラック４６１４ａと噛み合った状態になく、湾曲部４６１３ｃａの一部が窪み部４６１４ｃａに添って接した状態にあるため、ラック部材４６１４が左右方向に動くことはない。
【０６５７】
さらに進んで、図２２２〜図２２４に示すように、回転体４６１３が回転し始めてから概ね４５度程度まで回転した場合について考察する。押出片４６１３ｂの突出部４６１３ｂａが凹部４６１４ｂａの右側壁に当接して押し出す状態となり、ロック片４６１３ｃの湾曲部４６１３ｃａがラック部材４６１４の窪み部４６１４ｃａから完全に離脱した姿勢となる。これにより、ピニオン４６１３ａがラック４６１４ａと噛み合った状態となり、ラック部材４６１４が右方向に移動し、待機位置から少し移動した待機位置直前の位置となる。なお、可動体４６２０Ａと共にラック部材４６１４が待機位置へと戻るように左方向に移動する際には、上述した流れとは逆の流れで駆動伝達機構４６１０Ａが動作することとなる。
【０６５８】
このような駆動伝達機構４６１０Ａを備えた第１演出ユニット４０００は、その前面に導光板ユニット７００’が設けられ、導光板ユニット７００’を容易に取り外すことができないので、遊技機の移送に際してがたつき防止用に可動部品の周囲に緩衝材を詰め込んだり、駆動伝達機構４６１０Ａに対して直接がたつき防止用のピン等を差し込んだりすることができない。一方、本実施形態の駆動伝達機構４６１０Ａによれば、可動体４６２０Ａと共にラック部材４６１４を待機位置に移動させておくだけで、ラック部材４６１４を左右方向にがたつかせることなく定位置に留めておくことができるので、遊技機の移送中にあっては、第１演出ユニット４０００に含まれる可動部品を外力等による衝撃で想定外の位置へと移動させることなく、可動部品やその周辺部材の破損を確実に防ぐことができる。
【０６５９】
［導光板ユニットの発光動作］
次に、導光板ユニット７００’の発光動作について、図２３９及び図２４１を参照して説明する。
【０６６０】
図２３９に示す導光板ユニット７００’の場合、中央のＬＥＤ７５１を点灯させると、中央の発光領域７４１がＬＥＤ７５１からの光を受けて最も強く発光する一方、左右の発光領域７４２，７４３がＬＥＤ７５１からの光を受けるものの入射角度が斜めになっているため、中央の発光領域７４１よりも弱く発光する。
【０６６１】
また、図２３９に示す導光板ユニット７００’の場合、例えば左側のＬＥＤ７５２を点灯させると、左の発光領域７４２がＬＥＤ７５２からの光を効率よく受けて最も強く発光する。左側のＬＥＤ７５２は、傾斜レンズ７６０によって光の指向性が強められているので、中央の発光領域７４１には左側のＬＥＤ７５２からの光がほとんど入射せず、中央の発光領域７４１がほとんど発光しない。右側のＬＥＤ７５３を点灯させた場合も同様に、右の発光領域７４３が最も強く発光する一方、中央の発光領域７４１がほとんど発光しないこととなる。
【０６６２】
図２４１に示す導光板ユニット７００’の変形例の場合、中央のＬＥＤ７５１を点灯させると、下側の発光領域７４１がＬＥＤ７５１からの光を受けて強く発光する一方、左右上側左右の発光領域７４２，７４３がＬＥＤ７５１からの光を受けるものの入射角度が斜めになっているため、若干弱く発光する。
【０６６３】
また、図２４１に示す導光板ユニット７００’の変形例の場合、例えば左側のＬＥＤ７５２を点灯させると、上側左の発光領域７４２がＬＥＤ７５２からの光を効率よく受けて最も強く発光する。左側のＬＥＤ７５２からの光は、下側左の発光領域７４１にも入射するが、下側左の発光領域７４１に対する入射角度が斜めになっており、また、上側左の発光領域７４２よりも遠い位置にあるため、下側左の発光領域７４１は、上側左の発光領域７４２よりも弱く発光するか、あるいはほとんど発光しない状態となる。右側のＬＥＤ７５３を点灯させた場合も同様に、上側右の発光領域７４３が最も強く発光する一方、下側左の発光領域７４１が弱く発光するか、あるいはほとんど発光しない状態となる。なお、本実施形態では、それぞれのＬＥＤから近い発光領域が一番強く発光するように表面加工を施しているが、ＬＥＤから近い場所に弱く発光する発光領域を設けてもよい。また、ＬＥＤの発光タイミングを、例えば左側から右側に順番に点灯、消灯を繰り返すことにより、発光領域が左側から右側に流れるような発光演出を行うことも可能である。また、本実施形態では、透明パネル７４０の上端部７４０Ａを直線的に形成しているが、例えば透明パネル７４０の左端部のように、一定の角度をつけて形成したり、曲線にて形成してもよい。
【０６６４】
このような導光板ユニット７００’によれば、透明パネル７４０の一端部となる上端部７４０Ａに複数のＬＥＤ７５１，７５２，７５３や傾斜レンズ７６０，７７０を配置し、中央のＬＥＤ７５１から照射した光によって一部の発光領域７４１を発光させる態様と、左右のＬＥＤ７５２，７５３から照射した光によって他の発光領域７４２，７４３を発光させる態様とで発光態様を変化させることができるので、ＬＥＤの配置スペースや個数を抑えてコストを抑制しつつも多彩な発光演出を行うことができる。
【０６６５】
上述した第１〜第６実施形態の各構成にあっては、それぞれ他の実施形態において本発明の範囲内で適宜援用したり変更したりして、任意の構成での組合せが可能である。
【０６６６】
なお、本発明は、上記実施形態に限定されるものではない。上記実施形態では、遊技機としてパチンコ遊技機を例に挙げ説明したが、本発明はこれに限定されない。上述した本発明の各種技術は、他の遊技機にも適用可能であり、例えば、弾球遊技機や封入式遊技機にも適用することができる。また、汎用的な技術については、上記に挙げた遊技機のほか、例えばゲーミングマシン、スロットマシン、あるいはパチスロ遊技機等といった各種遊技機にも適用することができる。
【０６６７】
また、上記実施形態で示した数値や情報、構成要素などは、あくまでも一例にすぎず、本発明の範囲内において適宜変更することができるのはいうまでもない。
【０６６８】
以上の実施形態に基づき、本発明の概要を以下に列挙する。
【０６６９】
（付記１）
［背景技術］
この種の遊技機には、可動体を動作させるための駆動手段として、ラック及び回転体を備え、この回転体に設けられたピンを作動アームの連結部に当接させることで回転体の動きを阻止し、ひいては可動体の動作をロックさせるように構成されたものが提案されている（例えば、特開２００１−３４０５５７号公報参照）。
【０６７０】
［発明の概要］
［発明が解決しようとする課題］
しかしながら、上記従来の遊技機では、可動体のロック時にあって作動アームの連結部にピンが当接した状態にあっては、外力などによって無理にロックが解除させられると、作動アームやこれを駆動するソレノイドの軸部が曲がってしまう可能性があり、可動体の動作に支障をきたすおそれがあった。
【０６７１】
本発明は、上記の点に鑑みてなされたものであり、可動体のロック状態を無理に解除しようとしても、可動体を動作させる機構に支障をきたすことがないようにすることができる遊技機を提供することを目的とする。
【０６７２】
［課題を解決するための手段］
上記の目的を達成するために、本発明は、以下のような遊技機を提供する。
【０６７３】
本発明に係る遊技機は、
可動体(例えば、可動体４６２０Ａ)と、前記可動体を駆動するための駆動手段（モータ４６１１）と、前記駆動手段の駆動力を前記可動体に伝達する伝達機構（例えば、駆動伝達機構４６１０Ａ）と、を備え、
前記可動体は、第１の位置（例えば、待機位置）から第２の位置（例えば、出現位置）へと移動可能であり、
前記伝達機構は、前記駆動手段の駆動力により回転可能な歯車（例えば、ピニオン４６１３ａ）を有する回転体（例えば、回転体４６１３）と、前記歯車と噛合可能なラック（例えば、ラック４６１４ａ）を有するラック部材（例えば、ラック部材４６１４）と、を有し、
前記可動体は、前記ラック部材が一体的に設けられ、前記歯車と前記ラックとが噛合した状態において、前記第１の位置から前記第２の位置に至るまでの移動経路上にある第３の位置（例えば、待機位置直前の位置）から前記第２の位置へと移動可能であり、
前記ラック部材は、前記ラックの一端側に凹部（例えば、凹部４６１４ｂａ）及び窪み部（例えば、窪み部４６１４ｃａ）を有し、
前記回転体は、前記歯車とともに回転しつつ前記ラック部材の前記凹部に入り込むことで前記可動体を前記第３の位置から前記第１の位置へと押し出し可能な押出片（例えば、押出片４６１３ｂ）と、前記歯車とともに回転しつつ前記ラック部材の前記窪み部に摺接することで前記可動体を前記第１の位置に留止可能なロック片（例えば、ロック片４６１３ｃ）と、を有し、
前記可動体が前記第１の位置にあるとき、前記歯車と前記ラックとが噛合しない状態で前記回転体が回転するのに応じて、前記ロック片が前記窪み部に対して摺接する留止状態と、前記ロック片が前記窪み部に対して摺接しない非留止状態とに切替可能であることを特徴とする。
【０６７４】
このような構成によれば、ラック部材の窪み部に回転体のロック片が摺接した状態で可動体が第１の位置において留止状態にある場合は、その留止状態を無理に解除しようとしても、窪み部に対してロック片が摺接するだけで回転体やラック部材に無理な力が作用しないので、可動体を動作させるための回転体やラック部材に支障をきたすことがないようにすることができる。
【０６７５】
［発明の効果］
本発明によれば、可動体のロック状態を無理に解除しようとしても、可動体を動作させる機構に支障をきたすことがないようにすることができる。
【０６７６】
（付記１−１）
［背景技術］
この種の遊技機には、可動体を動作させるための駆動手段として、ラック及び回転体を備え、この回転体に設けられたピンを作動アームの連結部に当接させることで回転体の動きを阻止し、ひいては可動体の動作をロックさせるように構成されたものが提案されている（例えば、特開２００１−３４０５５７号公報参照）。
【０６７７】
［発明の概要］
［発明が解決しようとする課題］
しかしながら、上記従来の遊技機では、可動体のロック時にあって作動アームの連結部にピンが当接した状態にあっては、外力などによって無理にロックが解除させられると、作動アームやこれを駆動するソレノイドの軸部が曲がってしまう可能性があり、可動体の動作に支障をきたすおそれがあった。
【０６７８】
本発明は、上記の点に鑑みてなされたものであり、可動体のロック状態を無理に解除しようとしても、可動体を動作させる機構に支障をきたすことがないようにすることができる遊技機を提供することを目的とする。
【０６７９】
［課題を解決するための手段］
上記の目的を達成するために、本発明は、以下のような遊技機を提供する。
【０６８０】
本発明に係る遊技機は、
可動体(例えば、可動体４６２０Ａ)と、前記可動体を駆動するための駆動手段（モータ４６１１）と、前記駆動手段の駆動力を前記可動体に伝達する伝達機構（例えば、駆動伝達機構４６１０Ａ）と、を備え、
前記可動体は、第１の位置（例えば、待機位置）から第２の位置（例えば、出現位置）へと移動可能であり、
前記伝達機構は、前記駆動手段の駆動力により回転可能な歯車（例えば、ピニオン４６１３ａ）を有する回転体（例えば、回転体４６１３）と、前記歯車と噛合可能なラック（例えば、ラック４６１４ａ）を有するラック部材（例えば、ラック部材４６１４）と、を有し、
前記可動体は、前記ラック部材が一体的に設けられ、前記歯車と前記ラックとが噛合した状態において、前記第１の位置から前記第２の位置に至るまでの移動経路上にある第３の位置（例えば、待機位置直前の位置）から前記第２の位置へと移動可能であり、
前記ラック部材は、前記ラックの一端側に凹部（例えば、凹部４６１４ｂａ）及び窪み部（例えば、窪み部４６１４ｃａ）を有し、
前記回転体は、前記歯車とともに回転しつつ前記ラック部材の前記凹部に入り込むことで前記可動体を前記第３の位置から前記第１の位置へと押し出し可能な押出片（例えば、押出片４６１３ｂ）と、前記歯車とともに回転しつつ前記ラック部材の前記窪み部に摺接することで前記可動体を前記第１の位置に留止可能なロック片（例えば、ロック片４６１３ｃ）と、を有し、
前記可動体が前記第１の位置にあるとき、前記歯車と前記ラックとが噛合しない状態で前記回転体が回転するのに応じて、前記ロック片が前記窪み部に摺接しつつも前記押出片が前記凹部に入り込まない状態から、前記押出片が前記凹部に入り込んで前記ロック片が前記窪み部に摺接しない状態になると、前記可動体が前記第１の位置から前記第３の位置へと押し出されることを特徴とする。
【０６８１】
このような構成によれば、ラック部材の窪み部に回転体のロック片が摺接した状態で可動体が第１の位置において留止状態にある場合は、回転体の押出片もラック部材の凹部に入り込まずにラック部材を留止させた状態となり、その留止状態を無理に解除しようとしても、窪み部に対してロック片が摺接するだけで回転体やラック部材に無理な力が作用しないので、可動体を動作させるための回転体やラック部材に支障をきたすことがないようにすることができる。
【０６８２】
［発明の効果］
本発明によれば、可動体のロック状態を無理に解除しようとしても、可動体を動作させる機構に支障をきたすことがないようにすることができる。
【０６８３】
（付記１−２）
［背景技術］
この種の遊技機には、可動体を動作させるための駆動手段として、ラック及び回転体を備え、この回転体に設けられたピンを作動アームの連結部に当接させることで回転体の動きを阻止し、ひいては可動体の動作をロックさせるように構成されたものが提案されている（例えば、特開２００１−３４０５５７号公報参照）。
【０６８４】
［発明の概要］
［発明が解決しようとする課題］
しかしながら、上記従来の遊技機では、可動体のロック時にあって作動アームの連結部にピンが当接した状態にあっては、外力などによって無理にロックが解除させられると、作動アームやこれを駆動するソレノイドの軸部が曲がってしまう可能性があり、可動体の動作に支障をきたすおそれがあった。
【０６８５】
本発明は、上記の点に鑑みてなされたものであり、可動体のロック状態を無理に解除しようとしても、可動体を動作させる機構に支障をきたすことがないようにすることができる遊技機を提供することを目的とする。
【０６８６】
［課題を解決するための手段］
上記の目的を達成するために、本発明は、以下のような遊技機を提供する。
【０６８７】
本発明に係る遊技機は、
可動体(例えば、可動体４６２０Ａ)と、前記可動体を駆動するための駆動手段（モータ４６１１）と、前記駆動手段の駆動力を前記可動体に伝達する伝達機構（例えば、駆動伝達機構４６１０Ａ）と、を備え、
前記可動体は、第１の位置（例えば、待機位置）から第２の位置（例えば、出現位置）へと移動可能であり、
前記伝達機構は、前記駆動手段の駆動力により回転可能な歯車（例えば、ピニオン４６１３ａ）を有する回転体（例えば、回転体４６１３）と、前記歯車と噛合可能なラック（例えば、ラック４６１４ａ）を有するラック部材（例えば、ラック部材４６１４）と、を有し、
前記可動体は、前記ラック部材が一体的に設けられ、前記歯車と前記ラックとが噛合した状態において、前記第１の位置から前記第２の位置に至るまでの移動経路上にある第３の位置（例えば、待機位置直前の位置）から前記第２の位置へと移動可能であり、
前記ラック部材は、前記ラックの一端側に凹部（例えば、凹部４６１４ｂａ）及び窪み部（例えば、窪み部４６１４ｃａ）を有し、
前記回転体は、前記歯車とともに回転しつつ前記ラック部材の前記凹部に入り込むことで前記可動体を前記第３の位置から前記第１の位置へと押し出し可能な押出片（例えば、押出片４６１３ｂ）と、前記歯車とともに回転しつつ前記ラック部材の前記窪み部に摺接することで前記可動体を前記第１の位置に留止可能なロック片（例えば、ロック片４６１３ｃ）と、を有し、
前記可動体が前記第１の位置にあるとき、前記歯車と前記ラックとが噛合しない状態で前記回転体が回転し、前記ロック片が前記窪み部に摺接しつつも前記押出片が前記凹部に入り込まない回転角度から、前記押出片が前記凹部に入り込んで前記ロック片が前記窪み部に摺接しない回転角度に回転可能であることを特徴とする。
【０６８８】
このような構成によれば、ラック部材の窪み部に回転体のロック片が摺接した状態で可動体が第１の位置において留止状態にある場合は、回転体の押出片もラック部材の凹部に入り込まない回転角度を保ってラック部材を留止させた状態となり、その留止状態を無理に解除しようとしても、窪み部に対してロック片が摺接するだけで回転体やラック部材に無理な力が作用しないので、可動体を動作させるための回転体やラック部材に支障をきたすことがないようにすることができる。
【０６８９】
［発明の効果］
本発明によれば、可動体のロック状態を無理に解除しようとしても、可動体を動作させる機構に支障をきたすことがないようにすることができる。
【０６９０】
（付記２）
［背景技術］
この種の遊技機には、駆動源によって所定方向に移動可能なスライドバーに支持された前面可動演出役物と、前面可動演出役物の移動に連動して所定角度回転可能な複数の可動演出役物を備えたものが提案されている（例えば、特開２０１５−４７４２９号公報参照）。
【０６９１】
［発明の概要］
［発明が解決しようとする課題］
しかしながら、上記従来の遊技機では、可動演出役物の移動に連動して複数の可動演出役物が一方向に回転するのみであり、役物の演出効果として面白味や興趣に欠けるという難点があった。
【０６９２】
本発明は、上記の点に鑑みてなされたものであり、役物の演出効果として面白味や興趣を高めることができる遊技機を提供することを目的とする。
【０６９３】
［課題を解決するための手段］
上記の目的を達成するために、本発明は、以下のような遊技機を提供する。
【０６９４】
本発明に係る遊技機は、
可動体（例えば、４６２０Ａ）と、前記可動体を駆動するための駆動手段（例えば、モータ４６１１）と、を備え、
前記可動体は、
前記駆動手段の駆動力により所定の移動方向（例えば、左右方向）に沿って第１の位置（例えば、待機位置）から第２の位置（例えば、中間位置）を経て第３の位置（例えば、出現位置）へと移動可能であり、
前記所定の移動方向に沿う移動に連動して動作する複数の動作部（例えば、上可動部４６４０、中可動部４６５０、下可動部４６６０）を有し、
前記複数の動作部のうち少なくとも一の動作部（例えば、下可動部４６６０）は、
前記可動体の前記第１の位置から前記第２の位置までの移動に連動し、前記所定の移動方向とは異なる第１の方向（例えば、支点Ｚを中心とした時計回りの方向）に動作するための第１の動作機構（例えば、第３案内溝４６３０Ｄ）と、
前記可動体の前記第２の位置から前記第３の位置までの移動に連動し、前記所定の移動方向及び前記第１の方向とは異なる第２の方向（例えば、支点Ｙを中心とした反時計回りの方向）に動作するための第２の動作機構（例えば、揺動部材４６８０）と、に連結されていることを特徴とする。
【０６９５】
このような構成によれば、動作部について、可動体が第１の位置から第２の位置まで移動するまでは第１の方向に動作する一方、可動体が第第２の位置から第３の位置まで移動するまでは第１の方向から切り替わって第２の方向に動作するので、動作部の多彩な動きを実現することができ、役物の演出効果として面白味や興趣を高めることができる。
【０６９６】
本発明の好ましい実施の形態は、
前記第１の動作機構は、前記複数の動作部のうち少なくとも一の動作部と前記可動体とは別に設けられた突出部（例えば、突出部４５３０Ａ）とが当接した状態で、前記可動体が前記第１の位置から前記第２の位置まで移動することにより、前記複数の動作部のうち少なくとも一の動作部が前記第１の方向に動作することを特徴とする。
【０６９７】
このような構成によれば、可動体が第１の位置から第２の位置まで移動する際に一の動作部を突出部に当接させるだけで第１の方向に動作させることができる。
【０６９８】
［発明の効果］
本発明によれば、役物の演出効果として面白味や興趣を高めることができる。
【０６９９】
（付記２−１）
［背景技術］
この種の遊技機には、駆動源によって所定方向に移動可能なスライドバーに支持された前面可動演出役物と、前面可動演出役物の移動に連動して所定角度回転可能な複数の可動演出役物を備えたものが提案されている（例えば、特開２０１５−４７４２９号公報参照）。
【０７００】
［発明の概要］
［発明が解決しようとする課題］
しかしながら、上記従来の遊技機では、可動演出役物の移動に連動して複数の可動演出役物が一方向に回転するのみであり、役物の演出効果として面白味や興趣に欠けるという難点があった。
【０７０１】
本発明は、上記の点に鑑みてなされたものであり、役物の演出効果として面白味や興趣を高めることができる遊技機を提供することを目的とする。
【０７０２】
［課題を解決するための手段］
上記の目的を達成するために、本発明は、以下のような遊技機を提供する。
【０７０３】
本発明に係る遊技機は、
可動体（例えば、４６２０Ａ）と、前記可動体を駆動するための駆動手段（例えば、モータ４６１１）と、を備え、
前記可動体は、
前記駆動手段の駆動力により所定の移動方向（例えば、左右方向）に沿って第１の位置（例えば、待機位置）から第２の位置（例えば、中間位置）を経て第３の位置（例えば、出現位置）へと直線的に移動可能であり、
前記所定の移動方向に沿う移動に連動して動作する複数の動作部（例えば、上可動部４６４０、中可動部４６５０、下可動部４６６０）を有し、
前記複数の動作部のうち少なくとも一の動作部（例えば、下可動部４６６０）は、
前記可動体の前記第１の位置から前記第２の位置までの移動に伴って第１の支点（例えば、支点Ｚ）を中心に揺動し、
前記可動体の前記第２の位置から前記第３の位置までの移動に伴って前記第１の支点とは異なる第２の支点（例えば、支点Ｙ）を中心に揺動するように軸支されていることを特徴とする。
【０７０４】
このような構成によれば、動作部について、可動体が第１の位置から第２の位置まで直線的に移動するまでは第１の支点を中心に揺動する一方、可動体が第第２の位置から第３の位置まで直線的に移動するまでは第１の支点から切り替わって第２の支点を中心に揺動するので、動作部の多彩な動きを実現することができ、役物の演出効果として面白味や興趣を高めることができる。
【０７０５】
本発明の好ましい実施の形態は、
前記複数の動作部のうち少なくとも一の動作部は、前記可動体とは別に設けられた突出部（例えば、突出部４５３０Ａ）に当接した状態で、前記可動体が前記第１の位置から前記第２の位置まで移動することにより、前記第１の支点を中心に揺動することを特徴とする。
【０７０６】
このような構成によれば、可動体が第１の位置から第２の位置まで移動する際に一の動作部を突出部に当接させるだけで第１の支点を中心に揺動させることができる。
【０７０７】
［発明の効果］
本発明によれば、役物の演出効果として面白味や興趣を高めることができる。
【０７０８】
（付記２−２）
［背景技術］
この種の遊技機には、駆動源によって所定方向に移動可能なスライドバーに支持された前面可動演出役物と、前面可動演出役物の移動に連動して所定角度回転可能な複数の可動演出役物を備えたものが提案されている（例えば、特開２０１５−４７４２９号公報参照）。
【０７０９】
［発明の概要］
［発明が解決しようとする課題］
しかしながら、上記従来の遊技機では、可動演出役物の移動に連動して複数の可動演出役物が一方向に回転するのみであり、役物の演出効果として面白味や興趣に欠けるという難点があった。
【０７１０】
本発明は、上記の点に鑑みてなされたものであり、役物の演出効果として面白味や興趣を高めることができる遊技機を提供することを目的とする。
【０７１１】
［課題を解決するための手段］
上記の目的を達成するために、本発明は、以下のような遊技機を提供する。
【０７１２】
本発明に係る遊技機は、
可動体（例えば、４６２０Ａ）と、前記可動体を駆動するための駆動手段（例えば、モータ４６１１）と、を備え、
前記可動体は、
前記駆動手段の駆動力により所定の移動方向（例えば、左右方向）に沿って第１の位置（例えば、出現位置）から第２の位置（例えば、中間位置）を経て第３の位置（例えば、待機位置）へと直線的に移動可能であり、
前記所定の移動方向に沿う移動に連動して動作する複数の動作部（例えば、上可動部４６４０、中可動部４６５０、下可動部４６６０）と、
前記所定の移動方向に沿う移動に連動して揺動する揺動部材（例えば、揺動部材４６８０）と、を有し、
前記揺動部材は、前記可動体の前記第１の位置から前記第２の位置までの移動に従って第１の支点（例えば、支点Ｙ）を中心に揺動するように軸支されており、
前記複数の動作部のうち少なくとも一の動作部（例えば、下可動部４６６０）は、
前記可動体が前記第１の位置から前記第２の位置まで移動する際に前記揺動部材と一体になって前記第１の支点を中心に揺動し、
前記可動体が前記第２の位置から前記第３の位置まで移動する際に前記第１の支点とは異なる第２の支点（例えば、支点Ｚ）を中心に揺動するように前記揺動部材に軸支されていることを特徴とする。
【０７１３】
このような構成によれば、動作部について、可動体が第１の位置から第２の位置まで直線的に移動するまでは揺動部材と一体になって第１の支点を中心に揺動する一方、可動体が第第２の位置から第３の位置まで直線的に移動するまでは第１の支点から切り替わって揺動部材に軸支された第２の支点を中心に揺動するので、動作部の多彩な動きを実現することができ、役物の演出効果として面白味や興趣を高めることができる。
【０７１４】
本発明の好ましい実施の形態は、
前記複数の動作部のうち少なくとも一の動作部は、前記可動体とは別に設けられた突出部（例えば、突出部４５３０Ａ）に当接した状態で、前記可動体が前記第２の位置から前記第３の位置まで移動することにより、前記第２の支点を中心に揺動することを特徴とする。
【０７１５】
このような構成によれば、可動体が第２の位置から第３の位置まで移動する際に一の動作部を突出部に当接させるだけで第２の支点を中心に揺動させることができる。
【０７１６】
［発明の効果］
本発明によれば、役物の演出効果として面白味や興趣を高めることができる。
【０７１７】
（付記３）
［背景技術］
この種の遊技機には、可動演出役物の内部に発光基板を備え、可動演出役物の前面として装飾カバーで発光基板を覆うように構成されたものが提案されている（例えば、特開２０１０−２５９５５０号公報参照）。
【０７１８】
［発明の概要］
［発明が解決しようとする課題］
しかしながら、上記従来の遊技機では、可動演出役物が変動するものの、装飾カバーを通じて視認し得る発光態様に変化がないので、役物の演出効果として面白味や興趣に欠けるという難点があった。
【０７１９】
本発明は、上記の点に鑑みてなされたものであり、役物の演出効果として面白味や興趣を高めることができる遊技機を提供することを目的とする。
【０７２０】
［課題を解決するための手段］
上記の目的を達成するために、本発明は、以下のような遊技機を提供する。
【０７２１】
本発明に係る遊技機は、
基板（例えば、発光基板４６４７）上に設けられた発光手段（例えば、ＬＥＤ４６４７ａ、赤色ＬＥＤ４６４７ｂ、白色ＬＥＤ４６４７ｃ）と、前記発光手段から照射された光が透過可能なレンズ部材（例えば、赤色レンズ４６４３、白色レンズ４６４４）と、前記レンズ部材を変位させるための変位手段（例えば、上可動部４６４０、連接部材４６７０）と、を備えた遊技機であって、
前記発光手段は、前記基板上の所定の位置に固定され、
前記変位手段は、前記レンズ部材について、前記発光手段から照射された光が前記レンズ部材を透過して第１の明度で発光する第１の位置（例えば、待機位置）と、前記発光手段から照射された光が前記レンズ部材を透過して前記第１の明度より明るい第２の明度で発光する第２の位置（例えば、出現位置）と、に変位可能であることを特徴とする。
【０７２２】
このような構成によれば、レンズ部材を第１の位置に変位させると、レンズ部材を通じて第１の明度で発光するような発光態様となる一方、レンズ部材を第１の位置から第２の位置に変位させると、レンズ部材を通じて第２の明度で発光するような発光態様となるので、レンズ部材の変位に応じて発光態様を変化させることができ、役物の演出効果として面白味や興趣を高めることができる。
【０７２３】
［発明の効果］
本発明によれば、役物の演出効果として面白味や興趣を高めることができる。
【０７２４】
（付記３−１）
［背景技術］
この種の遊技機には、可動演出役物の内部に発光基板を備え、可動演出役物の前面として装飾カバーで発光基板を覆うように構成されたものが提案されている（例えば、特開２０１０−２５９５５０号公報参照）。
【０７２５】
［発明の概要］
［発明が解決しようとする課題］
しかしながら、上記従来の遊技機では、可動演出役物が変動するものの、装飾カバーを通じて視認し得る発光態様に変化がないので、役物の演出効果として面白味や興趣に欠けるという難点があった。
【０７２６】
本発明は、上記の点に鑑みてなされたものであり、役物の演出効果として面白味や興趣を高めることができる遊技機を提供することを目的とする。
【０７２７】
［課題を解決するための手段］
上記の目的を達成するために、本発明は、以下のような遊技機を提供する。
【０７２８】
本発明に係る遊技機は、
基板（例えば、発光基板４６４７）上に設けられた複数の発光手段（例えば、ＬＥＤ４６４７ａ、赤色ＬＥＤ４６４７ｂ、白色ＬＥＤ４６４７ｃ）と、前記複数の発光手段から照射された光が透過可能なレンズ部材（例えば、赤色レンズ４６４３、白色レンズ４６４４）と、前記レンズ部材を変位させるための変位手段（例えば、上可動部４６４０、連接部材４６７０）と、を備えた遊技機であって、
前記複数の発光手段は、第１の発光手段（例えば、白色ＬＥＤ４６４７ｃ）と、前記第１の発光手段の周囲に配列された第２の発光手段（例えば、赤色ＬＥＤ４６４７ｂ）と、を含み、
前記レンズ部材は、第１のレンズ部材（例えば、白色レンズ４６４４）と、前記第１のレンズ部材の周囲に配置された第２のレンズ部材（例えば、赤色レンズ４６４３）と、を含み、
前記第１の発光手段が照射する光の色と前記第２の発光手段が照射する光の色との組み合わせ、及び前記第１のレンズ部材に着色された色と前記第２のレンズ部材に着色された色との組み合わせのうち、少なくともいずれか一方の色の組み合わせが異なるように構成され、
前記変位手段は、前記第１の発光手段から照射された光が前記第２のレンズ部材を透過するとともに前記第２の発光手段から照射された光が前記第１のレンズ部材を透過することで発光する第１の位置（例えば、待機位置）と、前記第１の発光手段から照射された光が前記第１のレンズ部材を透過するとともに前記第２の発光手段から照射された光が前記第２のレンズ部材を透過することで発光する第２の位置（例えば、出現位置）と、に移動可能であることを特徴とする。
【０７２９】
このような構成によれば、第１のレンズ部材及び第２のレンズ部材を第１の位置に変位させると、第１の発光手段からの光が第２のレンズ部材を通じて発光しつつ第２の発光手段からの光が第１のレンズ部材を通じて発光するような発光態様となる一方、第１のレンズ部材及び第２のレンズ部材を第１の位置から第２の位置に変位させると、第１の発光手段からの光が第１のレンズ部材を通じて発光しつつ第２の発光手段からの光が第２のレンズ部材を通じて発光するような発光態様となるので、レンズ部材の変位に応じて発光態様を多様に変化させることができ、役物の演出効果として面白味や興趣を高めることができる。
【０７３０】
［発明の効果］
本発明によれば、役物の演出効果として面白味や興趣を高めることができる。
【０７３１】
（付記３−２）
［背景技術］
この種の遊技機には、可動演出役物の内部に発光基板を備え、可動演出役物の前面として装飾カバーで発光基板を覆うように構成されたものが提案されている（例えば、特開２０１０−２５９５５０号公報参照）。
【０７３２】
［発明の概要］
［発明が解決しようとする課題］
しかしながら、上記従来の遊技機では、可動演出役物が変動するものの、装飾カバーを通じて視認し得る発光態様に変化がないので、役物の演出効果として面白味や興趣に欠けるという難点があった。
【０７３３】
本発明は、上記の点に鑑みてなされたものであり、役物の演出効果として面白味や興趣を高めることができる遊技機を提供することを目的とする。
【０７３４】
［課題を解決するための手段］
上記の目的を達成するために、本発明は、以下のような遊技機を提供する。
【０７３５】
本発明に係る遊技機は、
基板（例えば、発光基板４６４７）上に設けられた複数の発光手段（例えば、ＬＥＤ４６４７ａ、赤色ＬＥＤ４６４７ｂ、白色ＬＥＤ４６４７ｃ）と、前記複数の発光手段から照射された光が透過可能なレンズ部材（例えば、赤色レンズ４６４３、白色レンズ４６４４）と、前記レンズ部材を変位させるための変位手段（例えば、上可動部４６４０、連接部材４６７０）と、を備えた遊技機であって、
前記複数の発光手段は、
第１の発光手段（例えば、白色ＬＥＤ４６４７ｃ）と、
前記第１の発光手段の周囲に配列された複数の第２の発光手段（例えば、赤色ＬＥＤ４６４７ｂ）と、を含み、
前記レンズ部材は、
第１のレンズ部材（例えば、白色レンズ４６４４）と、
前記第１のレンズ部材の周囲に配置された第２のレンズ部材（例えば、赤色レンズ４６４３）と、を有し、
前記変位手段は、前記第１の発光手段が前記第２のレンズ部材に対応するとともに前記第２の発光手段が前記第１のレンズ部材に対応する第１の位置（例えば、待機位置）と、前記第１の発光手段が前記第１のレンズ部材に対応するとともに前記第２の発光手段が前
記第２のレンズ部材に対応する第２の位置（例えば、出現位置）と、に移動可能であり、
前記第１の位置よりも前記第２の位置の方が前記レンズ部材に対応する前記複数の発光手段の個数が多くなることを特徴とする。
【０７３６】
このような構成によれば、第１のレンズ部材及び第２のレンズ部材を第１の位置に変位させると、第１の発光手段からの光が第２のレンズ部材を通じて発光しつつ第２の発光手段からの光が第１のレンズ部材を通じて発光するような発光態様となる一方、第１のレンズ部材及び第２のレンズ部材を第１の位置から第２の位置に変位させると、第１の発光手段からの光が第１のレンズ部材を通じて発光しつつ第２の発光手段からの光が第２のレンズ部材を通じて発光し、レンズ部材に対応する発光手段の個数も多くなるような発光態様となるので、レンズ部材の変位に応じて発光態様を多様に変化させることができ、役物の演出効果として面白味や興趣を高めることができる。
【０７３７】
［発明の効果］
本発明によれば、多彩な演出効果として面白味や興趣を高めることができる遊技機を提供することができる。
【０７３８】
（付記４）
［背景技術］
この種の遊技機に適用可能な配線接続構造としては、フレキシブルケーブルの先端部をコネクタ接続部の開口に挿入し、アクチュエータを開状態から閉状態へと回転させることにより、フレキシブルケーブルの先端部をコネクタ接続部に固定するように構成されたものが提案されている（例えば、特開２００２−１２４３３０号公報参照）。
【０７３９】
［発明の概要］
［発明が解決しようとする課題］
しかしながら、上記従来の配線接続構造では、遊技機の組立作業に際してアクチュエータを閉状態とすることを忘れたまま気付かないことがあり、そうした場合にフレキシブルケーブルの先端部がコネクタ接続部から抜けた状態で組み立てられてしまうおそれがあった。
【０７４０】
本発明は、上記の点に鑑みてなされたものであり、配線接続部に対して配線を確実に接続した状態で組み立てることができる遊技機を提供することを目的とする。
【０７４１】
［課題を解決するための手段］
上記の目的を達成するために、本発明は、以下のような遊技機を提供する。
【０７４２】
本発明に係る遊技機は、
配線（例えば、ＦＦＣ）が接続される配線接続部（例えば、接続端子部４５４３）と、
前記配線が前記配線接続部に接続された状態で、前記配線を固定可能な配線固定手段（例えば、開閉蓋４５４５）と、
前記配線接続部及び前記配線固定手段を覆う保護カバー（例えば、保護カバー４５４１）と、
前記保護カバーを取付可能なベース部（例えば、ベース部４５４２）と、を有し、
前記配線固定手段は、前記配線接続部に対して前記配線の挿入が容易となる開放状態と、前記配線接続部に挿入された配線を固定する閉鎖状態と、に動作可能であり、
前記保護カバーは、前記ベース部に取り付けられた状態において、前記配線接続部及び前記配線固定手段を内側に収容可能であり、
前記保護カバーの内面には、前記配線固定手段が開放状態の場合、当該配線固定手段に当接可能で前記ベース部への取り付けを妨げるための取付阻止部（例えば、凸部４５４１ｂ）が設けられていることを特徴とする。
【０７４３】
このような構成によれば、ベース部に対して保護カバーを取り付ける際には、配線接続部に配線を挿入して配線固定手段を閉鎖状態として固定しておかなければ、取付阻止部が配線固定手段に当接することで保護カバーを取り付けることができないので、配線接続部に対して配線を確実に接続・固定した状態でベース部に保護カバーを取り付けることができる。
【０７４４】
［発明の効果］
本発明によれば、配線接続部に対して配線を確実に接続した状態で組み立てることができる。
【０７４５】
（付記５）
［背景技術］
この種の遊技機には、枠体（機構板）の取付ベース部に断面略Ｌ字状の配線カバーを設け、この配線カバーの内側に複数の配線を束ねた状態で収容可能な配線収容部を形成したものが提案されている（例えば、特開２００７−２８２８５３号公報参照）。
【０７４６】
［発明の概要］
［発明が解決しようとする課題］
しかしながら、上記従来の遊技機では、配線収容部が枠体の一面側に形成されるのみであり、反対側の面に配線束を案内することができないので、電子部品が収容された枠体の内側から外側へと配線束を纏めて引き回すことができないという難点があった。
【０７４７】
本発明は、上記の点に鑑みてなされたものであり、電子部品が収容された内側から外側へと配線束を容易に纏めて引き回すことができる遊技機を提供することを目的とする。
【０７４８】
［課題を解決するための手段］
上記の目的を達成するために、本発明は、以下のような遊技機を提供する。
【０７４９】
本発明に係る遊技機は、
電子部品を収容するための収容部材（例えば、本体ケース４４１）を備え、
前記収容部材は、
第１の壁部（例えば、背面部４４１Ａ）と、
前記第１の壁部から立設するように形成される第２の壁部（例えば、左側部４４１Ｂ）と、を有し、
前記第１の壁部には、配線束を挿通するための第１の開口領域（例えば、第１の開口領域４４３Ａ）が形成され、
前記第２の壁部には、前記配線束を挿通するための第２の開口領域（例えば、第２の開口領域４４３Ｂ）が形成され、
前記第２の開口領域は、
前記第１の開口領域より広い挿通部（例えば、挿通部４４３Ｂａ）と、
前記挿通部に連続し、当該挿通部に挿通された前記配線束を前記第１の開口領域まで導引可能な連通部（例えば、連通部４４３Ｂｂ）と、を有し、
前記第１の開口領域の周囲には、前記配線束を纏めるための配線収容部（例えば、配線収容部４４３）が形成されていることを特徴とする。
【０７５０】
このような構成によれば、第２の開口領域の挿通部に配線束の先端を挿入して収容部材の一面側から反対面側へと配線束を案内した後、当該配線束を連通部に押し込んだ状態とし、さらに配線束を第１の開口領域から配線収容部へと纏めて収容しておくことができるので、電子部品が収容された収容部材の内側から外側へと配線束を容易に纏めて引き回すことができる。
【０７５１】
［発明の効果］
本発明によれば、電子部品が収容された内側から外側へと配線束を容易に纏めて引き回すことができる。
【０７５２】
（付記５−１）
［背景技術］
この種の遊技機には、枠体（機構板）の取付ベース部に断面略Ｌ字状の配線カバーを設け、この配線カバーの内側に複数の配線を束ねた状態で収容可能な配線収容部を形成したものが提案されている（例えば、特開２００７−２８２８５３号公報参照）。
【０７５３】
［発明の概要］
［発明が解決しようとする課題］
しかしながら、上記従来の遊技機では、配線収容部が枠体の一面側に形成されるのみであり、反対側の面に配線束を案内することができないので、電子部品が収容された枠体の内側から外側へと配線束を纏めて引き回すことができないという難点があった。
【０７５４】
本発明は、上記の点に鑑みてなされたものであり、電子部品が収容された内側から外側へと配線束を容易に纏めて引き回すことができる遊技機を提供することを目的とする。
【０７５５】
［課題を解決するための手段］
上記の目的を達成するために、本発明は、以下のような遊技機を提供する。
【０７５６】
本発明に係る遊技機は、
電子部品を収容するための収容部材（例えば、本体ケース４４１）を備え、
前記収容部材は、
第１の壁部（例えば、背面部４４１Ａ）と、
前記第１の壁部から連続して立設する第２の壁部（例えば、第２壁部４４１Ｂｂ）と、
前記第２の壁部から連続して屈曲する第３の壁部（例えば、第１壁部４４１Ｂａ）と、
を有し、
前記第１の壁部には、配線束を挿通するための第１の開口領域（例えば、第１の開口領域４４３Ａ）が形成され、
前記第３の壁部には、前記配線束を挿通するための第２の開口領域（例えば、挿通部４４３Ｂａ）が形成され、
前記第２の壁部には、前記第１の開口領域及び前記第２の開口領域に連続し、当該第２の開口領域に挿通された前記配線束を前記第１の開口領域まで導引可能な連通部（例えば、連通部４４３Ｂｂ）が形成され、
前記連通部は、前記第１の開口領域及び前記第２の開口領域よりも狭幅に形成されていることを特徴とする。
【０７５７】
このような構成によれば、第２の開口領域の挿通部に配線束の先端を挿入して収容部材の一面側から反対面側へと配線束を案内した後、当該配線束を連通部に押し込んだ状態とし、さらに配線束を連通部から第１の開口領域へと纏めて導引しておくことができるので、電子部品が収容された収容部材の内側から外側へと配線束を容易に纏めて引き回すことができる。
【０７５８】
［発明の効果］
本発明によれば、電子部品が収容された内側から外側へと配線束を容易に纏めて引き回すことができる。
【０７５９】
（付記６）
［背景技術］
この種の遊技機には、遊技盤の前方に導光板を配置し、この導光板の左端面と上端面とに光を入光可能な複数の発光手段（ＬＥＤ）を設け、左端面から入光した光と上端面から入光した光とで異なる発光態様の画像を表示するように構成されたものが提案されている（例えば、特開２０１６−５９４８３号公報参照）。
【０７６０】
［発明の概要］
［発明が解決しようとする課題］
しかしながら、上記従来の遊技機では、発光手段の配置箇所が導光板の左端面及び上端面といった広範囲に及ぶので、発光手段の配置スペースや個数に応じてコストが増大してしまう難点があった。
【０７６１】
本発明は、上記の点に鑑みてなされたものであり、発光手段の配置スペースや個数を抑えてコストを抑制しつつも多彩な発光演出を行うことができる遊技機を提供することを目的とする。
【０７６２】
［課題を解決するための手段］
上記の目的を達成するために、本発明は、以下のような遊技機を提供する。
【０７６３】
本発明に係る遊技機は、
発光手段（例えば、ＬＥＤ７５１，７５２，７５３）と、
複数の反射領域（例えば、発光領域７４１，７４２，７４３）を有する導光板（例えば、透明パネル７４０）と、を備え、
前記発光手段は、前記導光板の周縁部（例えば、上端部７４０Ａ）から前記導光板の内部に光を入光可能な位置に配置され、
前記周縁部の所定の辺に対して第１の方向（例えば、直角方向）から光を入光させる第１の発光手段（例えば、ＬＥＤ７５１）と、
前記周縁部の前記所定の辺に対して前記第１の方向とは異なる第２の方向（例えば、斜め方向）から光を入光させる第２の発光手段（例えば、ＬＥＤ７５２，７５３）と、を含み、
前記複数の反射領域は、前記周縁部から入光された光を遊技者が視認可能な正面側に反射可能に設けられ、
前記第２の発光手段から照射された光よりも前記第１の発光手段から照射された光を強く反射可能な第１の反射領域（例えば、発光領域７４１）と、
前記第１の発光手段から照射された光よりも前記第２の発光手段から照射された光を強く反射可能な第２の反射領域（例えば、発光領域７４２，７４３）と、を含むことを特徴とする。
【０７６４】
このような構成によれば、導光板の周縁部に複数の発光手段を配置し、第１の発光手段から照射した光によって第１の反射領域を発光させる態様と第２の発光手段から照射した光によって第２の反射領域を発光させる態様とで発光態様を変化させることができるので、発光手段の配置スペースや個数を抑えてコストを抑制しつつも多彩な発光演出を行うことができる。
【０７６５】
［発明の効果］
本発明によれば、発光手段の配置スペースや個数を抑えてコストを抑制しつつも多彩な発光演出を行うことができる。
【０７６６】
（付記６−１）
［背景技術］
この種の遊技機には、遊技盤の前方に導光板を配置し、この導光板の左端面と上端面とに光を入光可能な複数の発光手段（ＬＥＤ）を設け、左端面から入光した光と上端面から入光した光とで異なる発光態様の画像を表示するように構成されたものが提案されている（例えば、特開２０１６−５９４８３号公報参照）。
【０７６７】
［発明の概要］
［発明が解決しようとする課題］
しかしながら、上記従来の遊技機では、発光手段の配置箇所が導光板の左端面及び上端面といった広範囲に及ぶので、発光手段の配置スペースや個数に応じてコストが増大してしまう難点があった。
【０７６８】
本発明は、上記の点に鑑みてなされたものであり、発光手段の配置スペースや個数を抑えてコストを抑制しつつも多彩な発光演出を行うことができる遊技機を提供することを目的とする。
【０７６９】
［課題を解決するための手段］
上記の目的を達成するために、本発明は、以下のような遊技機を提供する。
【０７７０】
本発明に係る遊技機は、
複数の発光手段（例えば、ＬＥＤ７５１，７５２，７５３）と、
前記複数の発光手段からの光を正面側に向けて反射可能な複数の反射領域（例えば、発光領域７４１，７４２，７４３）を有する導光板（例えば、透明パネル７４０）と、を備え、
前記複数の発光手段は、前記導光板の周縁部（例えば、上端部７４０Ａ）から前記導光板の内部に光を入光可能な位置に配置され、
前記周縁部の所定の辺に対して第１の方向（例えば、直角方向）から光を入光させる第１の発光手段（例えば、ＬＥＤ７５１）と、
前記周縁部の前記所定の辺に対して前記第１の方向とは異なる第２の方向（例えば、斜め方向）に光を透過可能なレンズ部材（例えば、傾斜レンズ７６０，７７０）と、
前記レンズ部材を通して前記周縁部に対して光を入光させる第２の発光手段（例えば、ＬＥＤ７５２，７５３）と、を含み、
前記複数の反射領域は、
前記第２の発光手段から前記レンズ部材を透過して照射された光よりも前記第１の発光手段から照射された光を強く反射可能な第１の反射領域（例えば、発光領域７４１）と、
前記第１の発光手段から照射された光よりも前記第２の発光手段から前記レンズ部材を透過して照射された光を強く反射可能な第２の反射領域（例えば、発光領域７４２，７４３）と、を含むことを特徴とする。
【０７７１】
このような構成によれば、導光板の周縁部に複数の発光手段を配置し、第１の発光手段から照射した光によって第１の反射領域を発光させる態様と第２の発光手段からレンズ部材を透過して照射した光によって第２の反射領域を発光させる態様とで発光態様を変化させることができるので、発光手段の配置スペースや個数を抑えてコストを抑制しつつも多彩な発光演出を行うことができる。
【０７７２】
［発明の効果］
本発明によれば、発光手段の配置スペースや個数を抑えてコストを抑制しつつも多彩な発光演出を行うことができる。
【０７７３】
（付記６−２）
［背景技術］
この種の遊技機には、遊技盤の前方に導光板を配置し、この導光板の左端面と上端面とに光を入光可能な複数の発光手段（ＬＥＤ）を設け、左端面から入光した光と上端面から入光した光とで異なる発光態様の画像を表示するように構成されたものが提案されている（例えば、特開２０１６−５９４８３号公報参照）。
【０７７４】
［発明の概要］
［発明が解決しようとする課題］
しかしながら、上記従来の遊技機では、発光手段の配置箇所が導光板の左端面及び上端面といった広範囲に及ぶので、発光手段の配置スペースや個数に応じてコストが増大してしまう難点があった。
【０７７５】
本発明は、上記の点に鑑みてなされたものであり、発光手段の配置スペースや個数を抑えてコストを抑制しつつも多彩な発光演出を行うことができる遊技機を提供することを目的とする。
【０７７６】
［課題を解決するための手段］
上記の目的を達成するために、本発明は、以下のような遊技機を提供する。
【０７７７】
本発明に係る遊技機は、
複数の発光手段（例えば、ＬＥＤ７５１，７５２，７５３）と、
前記複数の発光手段からの光を正面側に向けて反射可能な複数の反射領域（例えば、発光領域７４１，７４２，７４３）を有する導光板（例えば、透明パネル７４０）と、を備え、
前記複数の発光手段は、前記導光板の周縁部（例えば、上端部７４０Ａ）から前記導光板の内部に光を入光可能な位置に配置され、
前記周縁部の所定の辺に対して第１の方向（例えば、直角方向）から光を入光させる第１の発光手段（例えば、ＬＥＤ７５１）と、
前記周縁部の前記所定の辺に対して前記第１の方向とは異なる第２の方向（例えば、右斜め下向き）から光を入光させる第２の発光手段（例えば、ＬＥＤ７５２）と、
前記周縁部の前記所定の辺に対して前記第１の方向及び前記第２の方向とは異なる第３の方向（例えば、左斜め下向き）から光を入光させる第３の発光手段（例えば、ＬＥＤ７５３）と、を含み、
前記複数の反射領域は、
前記第２の発光手段及び前記第３の発光手段から照射された光よりも前記第１の発光手段から照射された光を強く反射可能な第１の反射領域（例えば、発光領域７４１）と、
前記第１の発光手段及び前記第３の発光手段から照射された光よりも前記第２の発光手段から照射された光を強く反射可能な第２の反射領域（例えば、発光領域７４２）と、
前記第１の発光手段及び前記第２の発光手段から照射された光よりも前記第３の発光手段から照射された光を強く反射可能な第３の反射領域（例えば、発光領域７４３）と、を含むことを特徴とする。
【０７７８】
このような構成によれば、導光板の周縁部に複数の発光手段を配置し、第１の発光手段から照射した光によって第１の反射領域を発光させる態様と第２の発光手段から照射した光によって第２の反射領域を発光させる態様と第３の発光手段から照射した光によって第３の反射領域を発光させる態様とで発光態様を変化させることができるので、発光手段の配置スペースや個数を抑えてコストを抑制しつつも多彩な発光演出を行うことができる。
【０７７９】
［発明の効果］
本発明によれば、発光手段の配置スペースや個数を抑えてコストを抑制しつつも多彩な発光演出を行うことができる。
【０７８０】
以下では、図２６１から図２７４を参照して、本発明の第７実施形態に係る遊技システム６００について説明する。
【０７８１】
図２６１に示す遊技システム６００が図２に示す第１実施形態に係る遊技システム５００と異なる点は、遊技機１１に代えて遊技機９０００を具備する点である。遊技機９０００は、増減数検出器１１１０に代えて増減数検出器９００１を具備する。増減数検出器９００１は、各入賞センサ１０６１、アウト球カウントセンサ９０６３、球送りカウントセンサ９０７５、上側ファール球カウントセンサ９１０３及び下側ファール球カウントセンサ９１１４を具備する。増減数検出器９００１は、増減数検出信号を遊技媒体管理装置２０へ出力する。遊技媒体管理装置２０は増減数検出信号に基づいて持ち球の増減数を決定する。本実施形態では、増減数検出信号は、遊技球１９が各入賞センサ１０６１、アウト球カウントセンサ９０６３、球送りカウントセンサ９０７５、上側ファール球カウントセンサ９１０３及び下側ファール球カウントセンサ９１１４のいずれかを通過したかを示す信号である。遊技媒体管理装置２０は、各入賞センサ１０６１、球送りカウントセンサ９０７５、上側ファール球カウントセンサ９１０３及び下側ファール球カウントセンサ９１１４から出力された増減数検出信号や、それらを参照して生成された遊技情報に基づいて持ち球の増減数を決定する。不明球数については後述する。
【０７８２】
図２６２に示すように、遊技機９０００は、第１実施形態に係る遊技機１１と同様に、検知制御回路９９、表示装置制御基板１０３および遊技機接続基板２０１、主制御回路１０６および副制御回路１０７を有している。これらは、マイクロコンピュータを主要な構成部品として有している。マイクロコンピュータは、ＣＰＵおよび処理プログラム等が記憶される記憶部（ＲＡＭ、ＲＯＭ等）により構成される。
【０７８３】
検知制御回路９９は、各入賞センサ１０６１の他、第１電波センサ１００１、第１開放センサ１００２、第２開放センサ１００３、遊技球ゼロセンサ１００４、ハンドルボリューム１００７、停止スイッチ１００８、タッチセンサ１００９及び着脱ユニットセンサ１０１４と接続され、これらからの信号を受信する。また、検知制御回路９９は、球送りソレノイド９０７４及び発射モーター９０８２と接続され、これらの動作を制御する。
【０７８４】
また、遊技機９０００は、第１接続部１０４および第２接続部１０５を有している。第１接続部１０４は、各入賞センサ１０６１、アウト球カウントセンサ９０６３、球送りカウントセンサ９０７５、上側ファール球カウントセンサ９１０３及び下側ファール球カウントセンサ９１１４に接続されている。前記各入賞センサ１０６１等は、第１接続部１０４を介して、遊技媒体管理装置２０の遊技機接続基板２０１に接続されている。第２接続部１０５は、表示装置制御基板１０３に接続されている。表示装置制御基板１０３は、第２接続部１０５を介して、遊技媒体管理装置２０の遊技機接続基板２０１に接続される。
【０７８５】
次に、図２６３から図２６９を用いて、遊技機９０００の具体的な構造について説明する。以下では、主として遊技機９０００が遊技機１１と異なる点（具体的には、遊技球１９の循環経路に係る構造）について説明を行い、共通する部分については説明を省略する。なお、第１実施形態に係る遊技機１１は、遊技中において遊技球１９が遊技機１１内を循環する筐体内循環式（完全封入式）であるのに対して、第７実施形態に係る遊技機９０００は、遊技中においては遊技球１９が島設備と遊技機９０００とを循環する島循環式である。
【０７８６】
遊技機９０００は、遊技盤９００２、タンク９０１０、第一補給球通路９０２０、振分けユニット９０３０、第二補給球通路９０４０、球抜き通路９０５０、アウト球通路９０６０、球送り装置９０７０、発射装置９０８０、案内通路９０９０、上側ファール球通路９１００、下側ファール球通路９１１０及び球排出部９１２０を具備する。
【０７８７】
図２６３、図２６４及び図２６６に示す遊技盤９００２は、遊技球１９が転動流下可能な遊技領域１６０を有するものである。遊技盤９００２は、本体枠ベース板（不図示）に着脱可能に設けられている。
【０７８８】
図２６３、図２６４及び図２６６に示すタンク９０１０は、島設備（不図示）から供給される遊技球１９を受け取る部分である。タンク９０１０は、上方が開口した器状に形成される。タンク９０１０は、遊技盤９００２の上部の後方に設けられる。
【０７８９】
図２６３、図２６４及び図２６６に示す第一補給球通路９０２０は、島設備から供給されタンク９０１０が受け取った遊技球１９を下流側へ案内するものである。第一補給球通路９０２０の一端は、タンク９０１０に接続される。第一補給球通路９０２０は、遊技盤９００２の後方において、タンク９０１０との接続部分（一端）から左方に延びた後、遊技盤９００２の左端部近傍に沿って下方に延びるように形成される。
【０７９０】
図２６４及び図２６６に示す振分けユニット９０３０は、第一補給球通路９０２０を通過した遊技球１９を、下流側の２つの通路（具体的には、後述する第二補給球通路９０４０及び球抜き通路９０５０）のいずれかに振り分けるものである。振分けユニット９０３０は、第一補給球通路９０２０の下端に接続される。振分けユニット９０３０は、遊技盤９００２の左端部の後方に設けられる。振分けユニット９０３０は、切替板（不図示）を具備し、当該切替板が動作することにより、後述する第二補給球通路９０４０又は球抜き通路９０５０のいずれかに遊技球１９を供給可能とする。
【０７９１】
図２６３から図２６６に示す第二補給球通路９０４０は、振分けユニット９０３０によって振分けられた遊技球１９を下流側（具体的には、後述する球送り装置９０７０）に供給するものである。第二補給球通路９０４０は、上流側補給樋９０４１、下流側補給樋９０４２及び接続部９０４３を具備する。
【０７９２】
図２６４から図２６６に示す上流側補給樋９０４１は、第二補給球通路９０４０の上流側の部分を構成するものである。上流側補給樋９０４１の一端は、振分けユニット９０３０の下端の左部に接続される。上流側補給樋９０４１は、振分けユニット９０３０との接続部分（一端）から適宜屈曲しながら遊技盤９００２よりも下方まで延びた後、略右方に屈曲して、後述する発射装置９０８０の後方まで到達するように形成される（図２６４参照）。上流側補給樋９０４１は、その略右方に延びる部分が右方（下流側）に向かうにつれて上下方向の高さが低くなるように形成される。
【０７９３】
下流側補給樋９０４２は、第二補給球通路９０４０の下流側の部分を構成するものである。下流側補給樋９０４２の一端は、上流側補給樋９０４１の下流側端部の近傍に位置するように形成される。下流側補給樋９０４２は、その一端から後述する球送り装置９０７０及び発射装置９０８０の右方において概ね前方に延びた後、球送り装置９０７０及び発射装置９０８０の前方において左方に屈曲するように形成される。これにより、下流側補給樋９０４２は、球送り装置９０７０及び発射装置９０８０を右方及び前方から取り囲むように形成される（図２６３及び図２６５参照）。下流側補給樋９０４２は、球送り装置９０７０の前部まで延伸し、その先端（他端）が後述する球送り装置９０７０に接続される。
【０７９４】
図２６４から図２６６に示す接続部９０４３は、上流側補給樋９０４１と下流側補給樋９０４２とを接続するものである。接続部９０４３は、上流側補給樋９０４１と下流側補給樋９０４２との間に設けられる。
【０７９５】
図２６４から図２６６に示す球抜き通路９０５０は、振分けユニット９０３０によって振分けられた遊技球１９を、島設備に排出するものである。球抜き通路９０５０の一端は、振分けユニット９０３０の下端の右部に接続される。球抜き通路９０５０は、振分けユニット９０３０との接続部分（一端）から適宜屈曲しながら上流側補給樋９０４１（の前記略右方に延びる部分）よりも前方まで延びるように形成される（図２６４参照）。球抜き通路９０５０は、上流側補給樋９０４１の前方を略右方に延びて、その右端部が後述する上側ファール球通路９１００（第一上流側ファール球樋９１０１）に接続される。
【０７９６】
図２６３から図２６６に示すアウト球通路９０６０は、アウト口１６６を通過した遊技球１９や各入賞口（不図示）を通過し遊技盤９００２の裏面側を流下する遊技球１９を集合させて下流側へ案内する部分である。アウト球通路９０６０は、アウト球受け部９０６１及びアウト球樋９０６２を具備する。また、アウト球通路９０６０には、アウト球カウントセンサ９０６３が設けられる。
【０７９７】
図２６４から図２６６に示すアウト球受け部９０６１は、アウト口１６６を通過した遊技球１９や各入賞口を通過した遊技球１９を受け取る部分である。アウト球受け部９０６１は、アウト口１６６の直ぐ後下方に設けられる（図２６４参照）。アウト球受け部９０６１は、上方が開口した器状に形成される。アウト球受け部９０６１の底面は、遊技機９０００の左右中央側に向かうにつれて上下方向の高さが低くなるように形成される。アウト球受け部９０６１の底面の略左右中央には、開口部（不図示）が形成される。
【０７９８】
図２６４から図２６６に示すアウト球樋９０６２は、アウト球受け部９０６１で受け取った遊技球１９を下流側へ案内する部分である。アウト球樋９０６２の一端（上端）は、アウト球受け部９０６１の前記開口部（不図示）に接続される。アウト球樋９０６２は、アウト球受け部９０６１の開口部との接続部分（一端）から、上流側補給樋９０４１よりも前方において左下方に延びた後、右下方に屈曲するように形成される。アウト球樋９０６２の他端（下端）は、後述する球排出部９１２０に接続される。
【０７９９】
図２６５に示すアウト球カウントセンサ９０６３は、アウト口１６６から流入してアウト球通路９０６０を通過した遊技球１９や各入賞口を通過した遊技球１９を検出するものである。アウト球カウントセンサ９０６３は、アウト球樋９０６２の中途部に設けられる。アウト球カウントセンサ９０６３は、アウト球樋９０６２のアウト球カウントセンサ９０６３が設けられた部分を通過した遊技球１９を検出すると、増減数検出信号を遊技媒体管理装置２０に送信する。
【０８００】
図２６３及び図２６５から図２６９に示す球送り装置９０７０は、遊技球１９を下流側（具体的には、後述する発射装置９０８０）に供給するものである。球送り装置９０７０は、球送り装置カバー９０７１、球送り装置ベース９０７２、球送りレバー９０７３、球送りソレノイド９０７４及び球送りカウントセンサ９０７５を具備する。
【０８０１】
図２６７及び図２６８に示す球送り装置カバー９０７１は、球送り装置９０７０の前部を構成する部分である。なお、図２６９においては、球送り装置カバー９０７１の図示を省略している。球送り装置カバー９０７１には、球入口９０７１ａが形成される。
【０８０２】
球入口９０７１ａは、島設備から補給される遊技球１９の入口である。球入口９０７１ａは、球送り装置カバー９０７１の中央部が貫通するように形成される。球入口９０７１ａは、下流側補給樋９０４２の下流側端部と接続される（図２６５参照）。
【０８０３】
図２６７から図２６９に示す球送り装置ベース９０７２は、球送り装置９０７０の主たる構造体を構成するものである。球送り装置ベース９０７２は、球送り装置カバー９０７１によって前方から覆われている。球送り装置ベース９０７２には、案内路９０７２ａ及び球出口９０７２ｂが形成される。
【０８０４】
図２６７及び図２６９に示す案内路９０７２ａは、球入口９０７１ａから入ってきた遊技球１９を下流側へ案内するものである。案内路９０７２ａは、リブが前方に立ち上がることで形成される。案内路９０７２ａは、正面視において球入口９０７１ａと重複する位置に形成されることにより、球入口９０７１ａに接続される。案内路９０７２ａは、球入口９０７１ａとの接続部分（一端）から左下方に延びるように形成される。また、案内路９０７２ａには、球入口９０７１ａから入ってきた遊技球１９を左下方に案内する案内リブ９０７２ｃが形成されている（図２６９（ｂ）参照）。
【０８０５】
図２６８及び図２６９に示す球出口９０７２ｂは、案内路９０７２ａによって案内された遊技球１９の出口である。球出口９０７２ｂには、案内路９０７２ａの他端（左端）が接続される。球出口９０７２ｂは、球送り装置ベース９０７２の後部が開口するように形成される。
【０８０６】
図２６７及び図２６９に示す球送りレバー９０７３は、球出口９０７２ｂから遊技球１９を排出するか否かを切り替えるものである。球送りレバー９０７３は、長手方向を略左右方向に向けて配置される。球送りレバー９０７３の左端部には、揺動軸９０７３ａが設けられる。球送りレバー９０７３は、その右端部が揺動軸９０７３ａ回りに所定の範囲（揺動範囲）において上下に揺動可能に球送り装置ベース９０７２に支持される。また、球送りレバー９０７３には、当該球送りレバー９０７３の右端部が切り欠かれるように形成された切欠部９０７３ｂが形成されている。
【０８０７】
図２６７及び図２６９に示す球送りソレノイド９０７４は、球送りレバー９０７３を回動させるものである。球送りソレノイド９０７４は、球送りレバー９０７３の上方に設けられる。球送りソレノイド９０７４に電力が供給（通電）されることにより、球送りソレノイド９０７４は、球送りレバー９０７３を吸引し正面視で反時計回りに回動させる。これにより、球送りレバー９０７３の右端部が前記揺動範囲において最も上方まで回動される。一方、球送りソレノイド９０７４への電力の供給が停止される（非通電となる）ことにより、球送りソレノイド９０７４は球送りレバー９０７３を吸引しなくなる。これにより、球送りレバー９０７３の右端部が前記揺動範囲において最も下方まで回動される（元の位置に戻る）。
【０８０８】
球送りソレノイド９０７４に通電されていないときには、球送りレバー９０７３の右端は前記揺動範囲において最も下方に位置している。このときに案内路９０７２ａを通過してきた遊技球１９は、球送りレバー９０７３の右端部に当接することで、球出口９０７２ｂへの進入が防止される（図２６９（ａ）参照）。そして、球送りソレノイド９０７４に通電されると、球送りレバー９０７３の右端部は前記揺動範囲において最も上方まで回動される（正面視で反時計回りに回動される）。すると、遊技球１９は、球送りレバー９０７３の切欠部９０７３ｂ内に進入し、当該切欠部９０７３ｂに保持される。そして、球送りソレノイド９０７４が再び非通電となると、球送りレバー９０７３の右端は前記揺動範囲において最も下方まで回動される（正面視で時計回りに回動される）。これにより、切欠部９０７３ｂに保持された遊技球１９は、球出口９０７２ｂと対向する位置に案内され、当該球出口９０７２ｂから排出される。このように、球送りレバー９０７３が１回揺動することにより、遊技球１９が後述する発射装置９０８０に１球ずつ案内される。
【０８０９】
図２６８に示す球送りカウントセンサ９０７５は、球送り装置９０７０から発射装置９０８０に送られる遊技球１９を検出するものである。球送りカウントセンサ９０７５は、球出口９０７２ｂ付近に設けられる。球送りカウントセンサ９０７５は、球出口９０７２ｂを通過した遊技球１９を検出すると、増減数検出信号を遊技媒体管理装置２０に送信する。
【０８１０】
図２６３から図２６８に示す発射装置９０８０は、遊技盤９００２の遊技領域１６０に遊技球１９を発射するものである。発射装置９０８０は、球送り装置９０７０から発射位置に供給された遊技球１９を遊技領域１６０に発射する。発射装置９０８０は、発射杵９０８１及び発射モーター９０８２を具備する。
【０８１１】
図２６７に示す発射杵９０８１は、遊技球１９を発射するために弾く部分である。発射杵９０８１は、正面視略Ｌ字状に形成される。発射杵９０８１は、その延伸部が上端及び右端に位置するように配置される。発射杵９０８１の中途部には、揺動軸９０８１ａが設けられる。発射杵９０８１は、その下端部が揺動軸９０８１ａ回りに左右に揺動可能に支持される。発射杵９０８１の下端が左方に（正面視時計回り方向に）回動することにより、遊技球１９を打撃し、発射レール９０８３を転動して当該遊技球１９が発射装置９０８０から斜め上方へと発射される。
【０８１２】
図２６７に示す発射モーター９０８２は、発射杵９０８１を揺動させるものである。発射モーター９０８２は、発射杵９０８１の後方に設けられる。発射モーター９０８２が駆動することにより、発射杵９０８１の下端を左方に（正面視時計回り方向に）回動させる。これにより、発射杵９０８１によって遊技球１９を発射させる。
【０８１３】
図２６３及び図２６５に示す案内通路９０９０は、発射装置９０８０から発射された遊技球１９を遊技領域１６０に案内するものである。案内通路９０９０は、下側ガイドレール９０９１及び上側ガイドレール９０９２を具備する。
【０８１４】
図２６３及び図２６５に示す下側ガイドレール９０９１は、案内通路９０９０の下部を構成する部分である。下側ガイドレール９０９１は、遊技球１９が通過可能な斜面状に形成される。下側ガイドレール９０９１の一端（下端）は、発射装置９０８０の発射レール９０８３に接続される。下側ガイドレール９０９１は、その一端から左上方に延びて、遊技盤９００２の直ぐ下方まで到達するように形成される。即ち発射装置９０８０によって発射された遊技球１９は、発射レール９０８３上を転動した後に下側ガイドレール９０９１上を転動し、その後上側ガイドレール９０９２上を転動して遊技領域１６０に到達する。下側ガイドレール９０９１には、上回収口９０９１ａ及び下回収口９０９１ｂが設けられる。
【０８１５】
図２６５に示す上回収口９０９１ａは、発射装置９０８０により発射され、上側ガイドレール９０９２に到達したにもかかわらず、遊技領域１６０に到達しなかった遊技球１９（以下、「ファール球」という）を回収するものである。上回収口９０９１ａは、下側ガイドレール９０９１の斜面が開口するように形成される。上回収口９０９１ａは、遊技球１９（ファール球）が通過可能な大きさに形成される。上回収口９０９１ａは、遊技盤９００２よりも下方、かつ、球送り装置９０７０及び発射装置９０８０よりも上方に形成される。
【０８１６】
図２６５に示す下回収口９０９１ｂは、発射装置９０８０により発射されたが、上側ガイドレール９０９２にまで到達しなかった遊技球１９（ファール球）を回収するものである。下回収口９０９１ｂは、下側ガイドレール９０９１の斜面が開口するように形成される。下回収口９０９１ｂは、遊技球１９（ファール球）が通過可能な大きさに形成される。下回収口９０９１ｂは、遊技盤９００２よりも下方、かつ、球送り装置９０７０及び発射装置９０８０よりも上方に形成される。下回収口９０９１ｂは、上回収口９０９１ａよりも下方に（発射装置９０８０に近い位置に）設けられる。
【０８１７】
図２６３に示す上側ガイドレール９０９２は、案内通路９０９０の上部を構成する部分である。上側ガイドレール９０９２の一端（下端）は、遊技盤９００２の下方において、下側ガイドレール９０９１の上端の近傍に位置するように形成される。上側ガイドレール９０９２は、その一端（下端）から遊技盤９００２の遊技領域１６０の上端近傍まで延びるように形成される。上側ガイドレール９０９２は、遊技盤９００２の遊技領域１６０に沿って略円弧状に延びるように形成される。
【０８１８】
このように形成された案内通路９０９０によって、発射装置９０８０から発射された遊技球１９を発射装置９０８０よりも上方に案内しつつ、当該案内通路９０９０（上側ガイドレール９０９２）の上側端部から遊技領域１６０に遊技球１９を射出可能となる。
【０８１９】
図２６３から図２６６に示す上側ファール球通路９１００は、上回収口９０９１ａにより回収された遊技球１９（ファール球）を、下流側に誘導するものである。上側ファール球通路９１００は、第一上流側ファール球樋９１０１及び第一下流側ファール球樋９１０２を具備する。また、上側ファール球通路９１００には、上側ファール球カウントセンサ９１０３が設けられる。
【０８２０】
図２６４から図２６６に示す第一上流側ファール球樋９１０１は、上側ファール球通路９１００の上流側の部分を構成するものである。第一上流側ファール球樋９１０１の一端は、上回収口９０９１ａに接続される。第一上流側ファール球樋９１０１は、その一端から適宜屈曲しながら後方に延びて、上流側補給樋９０４１（の前記略右方に延びる部分）のすぐ前方まで到達するように形成される。第一上流側ファール球樋９１０１の後端部には、球抜き通路９０５０の下流側端部が接続される（図２６４参照）。
【０８２１】
図２６４から図２６６に示す第一下流側ファール球樋９１０２は、上側ファール球通路９１００の下流側の部分を構成するものである。第一下流側ファール球樋９１０２の一端は、第一上流側ファール球樋９１０１の後端部（下流側端部）に接続される。第一下流側ファール球樋９１０２は、その一端から略右下方に延びて、アウト球樋９０６２の中途部に接続するように形成される。第一下流側ファール球樋９１０２の他端（右端）は、アウト球カウントセンサ９０６３よりも下流側でアウト球樋９０６２に接続される（図２６５参照）。
【０８２２】
図２６５に示す上側ファール球カウントセンサ９１０３は、上回収口９０９１ａにより回収され上側ファール球通路９１００を通過する遊技球１９（ファール球）を検出するものである。上側ファール球カウントセンサ９１０３は、上側ファール球通路９１００（第一下流側ファール球樋９１０２）の中途部に設けられる。上側ファール球カウントセンサ９１０３は、上側ファール球通路９１００を通過する遊技球１９（ファール球）を検出すると、増減数検出信号を遊技媒体管理装置２０に送信する。
【０８２３】
図２６３から図２６６に示す下側ファール球通路９１１０は、下回収口９０９１ｂにより回収された遊技球１９（ファール球）を、下流側に誘導するものである。下側ファール球通路９１１０は、第二上流側ファール球樋９１１１、第二下流側ファール球樋９１１２及び接続部９１１３を具備する。また、下側ファール球通路９１１０には、下側ファール球カウントセンサ９１１４が設けられる。
【０８２４】
図２６５及び図２６６に示す第二上流側ファール球樋９１１１は、下側ファール球通路９１１０の上流側の部分を構成するものである。第二上流側ファール球樋９１１１の一端は、下回収口９０９１ｂに接続される。第二上流側ファール球樋９１１１は、その一端から左方に延びるように形成される。
【０８２５】
図２６５及び図２６６に示す第二下流側ファール球樋９１１２は、下側ファール球通路９１１０の下流側の部分を構成するものである。第二下流側ファール球樋９１１２の一端は、第二上流側ファール球樋９１１１の左端（下流側端部）の近傍に位置するように形成される。第二下流側ファール球樋９１１２は、その一端から後方に延びた後、右方に屈曲するように形成される。第二下流側ファール球樋９１１２の他端（右端）は、アウト球樋９０６２の右端（下流側端部）の近傍まで延びるように形成される。
【０８２６】
図２６５及び図２６６に示す接続部９１１３は、第二上流側ファール球樋９１１１と第二下流側ファール球樋９１１２とを接続するものである。接続部９１１３は、第二上流側ファール球樋９１１１と第二下流側ファール球樋９１１２との間に、遊技球１９が通過可能に設けられる。
【０８２７】
図２６５に示す下側ファール球カウントセンサ９１１４は、下回収口９０９１ｂにより回収され下側ファール球通路９１１０を通過する遊技球１９（ファール球）を検出するものである。下側ファール球カウントセンサ９１１４は、下側ファール球通路９１１０（第二上流側ファール球樋９１１１）の中途部に設けられる。下側ファール球カウントセンサ９１１４は、下側ファール球通路９１１０を通過する遊技球１９（ファール球）を検出すると、増減数検出信号を遊技媒体管理装置２０に送信する。
【０８２８】
図２６３から図２６６に示す球排出部９１２０は、遊技球１９を遊技機９０００の外部（島設備）に排出するためのものである。球排出部９１２０は、アウト球樋９０６２の下流側端部及び第二下流側ファール球樋９１１２の下流側端部と接続される（図２６６参照）。球排出部９１２０には、球排出口９１２１が形成される。
【０８２９】
図２６６に示す球排出口９１２１は、遊技球１９を島設備に排出するものである。球排出口９１２１は、球排出部９１２０が下方に開口するように形成される。このように球排出口９１２１が形成されることにより、アウト球通路９０６０を通過した遊技球１９、及び下側ファール球通路９１１０を通過した遊技球１９が当該球排出口９１２１から島設備に排出可能である。
【０８３０】
次に、図２７０（ａ）を用いて、遊技機９０００側の増減数検出信号処理について説明する。図２７０（ａ）に示す増減数検出信号処理が図４（ａ）に示す第１実施形態に係る増減数検出信号処理と異なる点は、ステップＳ１０１に代えてステップＳ３１１を行う点である。したがって、第１実施形態と同一のステップについては説明を省略する。
【０８３１】
図２７０（ａ）に示すステップＳ３１１において、増減数検出器９００１によって遊技球１９が検出された否かが判定される。すなわち、ステップＳ３１１においては、各入賞センサ１０６１、アウト球カウントセンサ９０６３、球送りカウントセンサ９０７５、上側ファール球カウントセンサ９１０３又は下側ファール球カウントセンサ９１１４によって遊技球１９が検出された否かが判定される。増減数検出器９００１によって遊技球１９が検出されない場合（ステップＳ３１１でＮＯ）、ステップＳ１０３が実行される。一方、増減数検出器９００１によって遊技球１９が検出された場合（ステップＳ３１１でＹＥＳ）、増減数検出信号が遊技媒体管理装置２０へ出力される（ステップＳ１０２）。
【０８３２】
次に、図２７０（ｂ）及び図２７１（ａ）を用いて、遊技媒体管理装置２０側の第一増減数検出信号処理について説明する。
【０８３３】
図２７０（ｂ）に示すステップＳ３２１において、遊技媒体管理装置２０の管理装置制御部２０２において、増減数検出信号が受信されたか否かが判定される。増減数検出信号が受信されない場合（ステップＳ３２１でＮＯ）、ステップＳ３２１が再実行される。一方、増減数検出信号が受信された場合は（ステップＳ３２１でＹＥＳ）、管理装置制御部２０２はステップＳ３２２に処理を移す。
【０８３４】
ステップＳ３２２において、管理装置制御部２０２は、増減数検出信号の出力元を特定する。具体的には、管理装置制御部２０２は、増減数検出信号に基づいて、当該増減数検出信号が各入賞センサ１０６１、球送りカウントセンサ９０７５、上側ファール球カウントセンサ９１０３又は下側ファール球カウントセンサ９１１４のいずれから送信されたものであるかを特定する。この処理を終了した場合には、管理装置制御部２０２はステップＳ３２３に処理を移す。
【０８３５】
ステップＳ３２３において、管理装置制御部２０２は、持ち球管理処理を行う。この処理において、図２７１（ａ）に示すように、持ち球数が加算又は減算される。具体的には、始動口１６１、大入賞口１６４、および一般入賞口１６８それぞれに持ち球の増加数（賞球数）が予め設定されており、特定された入賞口に応じた賞球数の分だけ持ち球数が加算される。球送りカウントセンサ９０７５から増減数検出信号が出力された場合は、持ち球数が１減算される。上側ファール球カウントセンサ９１０３又は下側ファール球カウントセンサ９１１４から増減数検出信号が出力された場合は、持ち球数が１加算される。また、遊技媒体の貸出操作が行われた場合は、貸出球数に応じて持ち球数が加算される。また、計数操作（遊技媒体の返却）が行われた場合は、持ち球数はクリアされ０とされる。この処理を終了した場合には、管理装置制御部２０２はステップＳ３２４に処理を移す。
【０８３６】
ステップＳ３２４において、管理装置制御部２０２は、持ち球数を遊技機９０００に送信する。管理装置制御部２０２は、この処理を終了した場合には、第一増減数検出信号処理ルーチンを終了する。
【０８３７】
次に、図２７０（ｃ）及び図２７１（ｂ）を用いて、遊技媒体管理装置２０側の第二増減数検出信号処理について説明する。
【０８３８】
図２７０（ｃ）に示すステップＳ３２５において、遊技媒体管理装置２０の管理装置制御部２０２において、増減数検出信号が受信されたか否かが判定される。増減数検出信号が受信されない場合（ステップＳ３２５でＮＯ）、ステップＳ３２５が再実行される。一方、増減数検出信号が受信された場合は（ステップＳ３２５でＹＥＳ）、管理装置制御部２０２はステップＳ３２６に処理を移す。
【０８３９】
ステップＳ３２６において、管理装置制御部２０２は、増減数検出信号の出力元を特定する。具体的には、管理装置制御部２０２は、増減数検出信号に基づいて、当該増減数検出信号がアウト球カウントセンサ９０６３、球送りカウントセンサ９０７５、上側ファール球カウントセンサ９１０３又は下側ファール球カウントセンサ９１１４のいずれから送信されたものであるかを特定する。この処理を終了した場合には、管理装置制御部２０２はステップＳ３２７に処理を移す。
【０８４０】
ステップＳ３２７において、管理装置制御部２０２は、不明球管理処理を行う。ここで、「不明球」とは、球送り装置９０７０から発射装置９０８０に送られた後、存在が確認されない遊技球１９のことをいう。この処理において、図２７１（ｂ）に示すように、不明球数が加算又は減算される。具体的には、球送りカウントセンサ９０７５から増減数検出信号が出力された場合は、不明球数が１加算される。上側ファール球カウントセンサ９１０３又は下側ファール球カウントセンサ９１１４から増減数検出信号が出力された場合は、不明球数が１減算される。アウト球カウントセンサ９０６３から増減数検出信号が出力された場合（すなわち、アウト口１６６を通過した遊技球１９及び各入賞口を通過した遊技球１９が検出された場合）は、不明球数が１減算される。この処理を終了した場合には、管理装置制御部２０２はステップＳ３２８に処理を移す。
【０８４１】
ステップＳ３２８において、管理装置制御部２０２は、不明球数を遊技機９０００に送信する。この処理を終了した場合には、管理装置制御部２０２はステップＳ３２９に処理を移す。
【０８４２】
ステップＳ３２９において、管理装置制御部２０２は、不明球報知処理を行う。不明球報知処理は、図２７２に示すフローチャートに従って行われる。
【０８４３】
図２７２に示すステップ３３１において、管理装置制御部２０２は、不明球数がマイナス閾値より少ない（マイナス閾値を超えた）か否かを判定する。ここで、マイナス閾値は予め設定された負の値であり、任意の値とすることができる。
【０８４４】
管理装置制御部２０２は、不明球数がマイナス閾値より少ないと判定した場合（ステップＳ３３１で「ＹＥＳ」）、ステップＳ３３３に処理を移す。一方、管理装置制御部２０２は、不明球数がマイナス閾値より少なくないと判定した場合（ステップＳ３３１で「ＮＯ」）、ステップＳ３３２に処理を移す。
【０８４５】
なお、不明球数がマイナス閾値より少ない場合（ステップＳ３３１で「ＹＥＳ」）とは、球送りソレノイド９０７４で遊技球１９が検出されていないにもかかわらず、アウト球カウントセンサ９０６３、上側ファール球カウントセンサ９１０３又は下側ファール球カウントセンサ９１１４で遊技球１９が検出された場合であって、遊技システム６００の外部から遊技球１９が取り込まれたことを示している。すなわち、不明球数がマイナス閾値より少ない場合（ステップＳ３３１で「ＹＥＳ」）とは、不正入賞や不正な遊技の可能性があることを示している。
【０８４６】
ステップ３３２において、管理装置制御部２０２は、不明球数がプラス閾値より多い（プラス閾値を超えた）か否かを判定する。ここで、プラス閾値は予め設定された正の値であり、任意の値とすることができる。
【０８４７】
管理装置制御部２０２は、不明球数がプラス閾値より多いと判定した場合（ステップＳ３３２で「ＹＥＳ」）、ステップＳ３３３に処理を移す。一方、管理装置制御部２０２は、不明球数がプラス閾値より多くないと判定した場合（ステップＳ３３２で「ＮＯ」）、不明球報知処理ルーチンを終了する。
【０８４８】
なお、不明球数がプラス閾値より多い場合（ステップＳ３３２で「ＹＥＳ」）とは、遊技領域１６０において遊技球１９が数珠繋ぎになって詰まっている状態（所謂ブドウの発生）等の盤面異常状態の可能性があることを示している。
【０８４９】
ステップＳ３３３において、管理装置制御部２０２は、不明球報知処理を行う。この処理において、管理装置制御部２０２は、マイナス閾値より少ないこと、又はプラス閾値より多いことを、例えば第１液晶表示装置１０２に表示させることにより、従業員等に報知する。この処理を終了した場合には、不明球報知処理ルーチンを終了する。
【０８５０】
［発射処理］
次に、図２７３を用いて、発射処理について説明する。
【０８５１】
遊技機９０００における発射処理（図２７３参照）が第１実施形態に係る遊技機１１における発射処理（図１９参照）と異なる点は、ステップＳ３０２及びステップＳ３０４を行わない点である。すなわち、図２７０に示す発射処理においては、持ち球数が０であっても、ハンドル１０２６が操作されると発射杵９０８１が回動される。
【０８５２】
［球送り処理］
次に、図２７４を用いて、球送り処理について説明する。
【０８５３】
図２７４に示すように、ステップＳ３４１において、メインＣＰＵは、ハンドル１０２６の操作を検出したか否かを判定する。この処理において、メインＣＰＵは、タッチセンサ１００９からの検出信号を受信した場合に、ハンドル１０２６の操作を検出したと判定する。
【０８５４】
メインＣＰＵは、ハンドル１０２６の操作を検出したと判定した場合（ステップＳ３４１で「ＹＥＳ」）、ステップＳ３４２に処理を移す。一方、メインＣＰＵは、ハンドル１０２６の操作を検出していないと判定した場合（ステップＳ３４１で「ＮＯ」）、球送り処理ルーチンを終了する。
【０８５５】
ステップＳ３４２において、メインＣＰＵは、持ち球数が０であるか否かを判定する。この処理において、メインＣＰＵは、表示基板１０２２から持ち球数が０である旨を示す信号を受信しているか否かに基づいて、持ち球数が０であるか否かを判定する。
【０８５６】
メインＣＰＵは、持ち球数が０ではないと判定した場合（ステップＳ３４２で「ＮＯ」）、ステップＳ３４３に処理を移す。一方、メインＣＰＵは、持ち球数が０であると判定した場合（ステップＳ３４２で「ＹＥＳ」）、球送り処理ルーチンを終了する。
【０８５７】
ステップＳ３４３において、メインＣＰＵは、球送り装置作動処理を行う。この処理において、メインＣＰＵは、球送りソレノイド９０７４に通電を行った後再び非通電とすることにより、球送りレバー９０７３を１回揺動させる。これにより、遊技球１９は、球出口９０７２ｂから排出され、発射装置９０８０へと送られる。メインＣＰＵは、この処理を終了した場合には、ステップＳ３４４に処理を移す。
【０８５８】
ステップＳ３４４において、メインＣＰＵは、遊技機側増減数検出信号処理を行う。この処理において、メインＣＰＵは、図２７０（ａ）に示す遊技機側増減数検出信号処理を行う。この処理を終了した場合には、球送り処理ルーチンを終了する。
【０８５９】
次に、遊技機９０００における遊技球１９の流れを説明する。
【０８６０】
島設備（不図示）からタンク９０１０に遊技球１９が供給される。タンク９０１０に供給された遊技球１９は、第一補給球通路９０２０を通過し、振分けユニット９０３０に供給される。振分けユニット９０３０の切替板（不図示）の状態により、遊技球１９は第二補給球通路９０４０又は球抜き通路９０５０のいずれかに供給される（図２６４参照）。以下、遊技球１９が第二補給球通路９０４０に供給された場合について説明し、球抜き通路９０５０に供給された場合については後述する。
【０８６１】
第二補給球通路９０４０に供給された遊技球１９は、当該第二補給球通路９０４０を通過し、球送り装置９０７０の球入口９０７１ａに供給される（図２６３及び図２６５参照）。球入口９０７１ａに供給された遊技球１９は、案内路９０７２ａによって球出口９０７２ｂの近傍まで案内される。
【０８６２】
このとき、球送りソレノイド９０７４が駆動していない場合（球送りレバー９０７３が図２６９（ａ）に示す位置にある場合）、遊技球１９は球出口９０７２ｂから排出されない。したがって、遊技球１９は、発射装置９０８０に供給されない。
【０８６３】
一方、ハンドル１０２６の操作があり（ステップＳ３４１でＹＥＳ）、持ち球数が０でない場合（ステップＳ３４２でＮＯ）、球送り装置作動処理（ステップＳ３４３）が行われる。球送り装置作動処理において球送りレバー９０７３が１回揺動することにより、遊技球１９は球出口９０７２ｂから排出される。球送りカウントセンサ９０７５が球出口９０７２ｂを通過した遊技球１９を検出することにより、持ち球数が１減算され、不明球数が１加算される。球出口９０７２ｂを通過した遊技球１９は、発射装置９０８０に供給される。
【０８６４】
発射装置９０８０に送られた遊技球１９は、ハンドルボリューム１００７が検出したハンドル１０２６への操作に応じた強度で発射モーター９０８２が動作されることにより、案内通路９０９０によって案内されて遊技領域１６０に発射される（ステップＳ３０３）。
【０８６５】
遊技領域１６０に発射された遊技球１９が各入賞口を通過した場合、各入賞センサ１０６１が各入賞口を通過する遊技球１９を検出することにより、入賞口に応じた賞球数の分だけ持ち球数が加算される。各入賞口を通過した遊技球１９は、遊技盤９００２の裏面側に設けられた樋（不図示）を通過して、アウト球通路９０６０に送られる。アウト球カウントセンサ９０６３がアウト球通路９０６０を通過する遊技球１９を検出することにより、不明球数が１減算される。
【０８６６】
一方、遊技領域１６０に発射され、各入賞口を通過せずにアウト口１６６を通過した遊技球１９は、アウト球通路９０６０に送られる。当該遊技球１９は、アウト球通路９０６０を通過し、球排出口９１２１から島設備に排出される。この際、アウト球カウントセンサ９０６３がアウト球通路９０６０を通過する遊技球１９を検出することにより、不明球数が１減算される。
【０８６７】
一方、発射装置９０８０により発射されたにもかかわらず、遊技領域１６０に到達しなかった遊技球１９（ファール球）は、上回収口９０９１ａ又は下回収口９０９１ｂによって回収される。
【０８６８】
上回収口９０９１ａによって回収された遊技球１９は、上側ファール球通路９１００に送られる。当該遊技球１９は、上側ファール球通路９１００及び当該上側ファール球通路９１００に接続されたアウト球通路９０６０を通過し、球排出口９１２１から島設備に排出される。この際、上側ファール球カウントセンサ９１０３が上側ファール球通路９１００を通過する遊技球１９を検出することにより、持ち球数が１加算され、不明球数が１減算される。
【０８６９】
下回収口９０９１ｂによって回収された遊技球１９は、下側ファール球通路９１１０に送られる。当該遊技球１９は、下側ファール球通路９１１０及び当該下側ファール球通路９１１０に接続された球排出部９１２０を通過し、球排出口９１２１から島設備に排出される。この際、下側ファール球カウントセンサ９１１４が下側ファール球通路９１１０を通過する遊技球１９を検出することにより、持ち球数が１加算され、不明球数が１減算される。
【０８７０】
一方、振分けユニット９０３０によって遊技球１９が球抜き通路９０５０に供給された場合、当該遊技球１９は、球抜き通路９０５０を介して、当該球抜き通路９０５０に接続された上側ファール球通路９１００に送られる。その後、遊技球１９は、上側ファール球通路９１００を介して、当該上側ファール球通路９１００に接続されたアウト球樋９０６２に送られる。その後、遊技球１９は、アウト球樋９０６２を介して、当該アウト球樋９０６２に接続された球排出部９１２０に送られ、球排出口９１２１から島設備に排出される。
【０８７１】
このように、遊技球１９は島設備から供給され、遊技盤９００２に発射された後、再び島設備に排出される。そして、持ち球数が管理されており、持ち球数に応じて計数（返却）の要求に基づく処理が実行される。よって、遊技球１９は遊技機９０００の外部に排出されるものの、遊技者が実際に遊技球１９に触れることはない。したがって、例えば遊技球１９が不正行為者により不正の遊技球に交換されることを防止し、不正防止を図ることができる。
【０８７２】
さらに、本実施形態においては、不明球数が管理されている（図２７０（ｃ）に示すステップＳ３２７）。そして、不明球数がマイナス閾値より少ない場合（図２７２に示すステップＳ３３１でＹＥＳ）、又は不明球数がプラス閾値より多い場合（図２７２に示すステップＳ３３２でＹＥＳ）、その旨が従業員等に報知される（図２７２に示すステップＳ３３３）。これにより、従業員等は、不明球数がマイナス閾値より少ない場合には、不正入賞や不正な遊技の可能性があることを把握することができる。また、従業員等は、不明球数がプラス閾値より多い場合には、ブドウ発生等の盤面異常状態の可能性があることを把握することができる。このように、不明球数を管理することにより、これらの不正や異常状態の発生の可能性を把握することができ、適切な対応を図ることができる。
【０８７３】
また、本実施形態においては、ファール球の回収手段として２つの回収口（上回収口９０９１ａ及び下回収口９０９１ｂ）が案内通路９０９０（下側ガイドレール９０９１）に上下に間隔をおいて設けられている。下側ガイドレール９０９１の上端付近まで到達した遊技球１９や、上側ガイドレール９０９２まで到達したものの遊技領域１６０に到達しなかった遊技球１９は、上回収口９０９１ａによって回収することができる。
また、打ち出し強度が極端に弱くて上回収口９０９１ａにも到達しない遊技球１９は、発射位置に戻ってくる。このような遊技球１９が複数発生し、下側ガイドレール９０９１の下端に数珠繋ぎとなって滞留した場合であっても、発射位置に近い位置に設けられた下回収口９０９１ｂによって当該遊技球１９を案内通路９０９０から回収することができる。
【０８７４】
また、本実施形態においては、遊技球数が１以上であるときにハンドル１０２６が操作された場合、球送りソレノイド９０７４（球送りレバー９０７３）及び発射杵９０８１が動作する。これにより、遊技球１９が遊技領域１６０に発射される。一方、遊技球数が０であるときにハンドル１０２６が操作された場合、発射杵９０８１は動作するが球送りソレノイド９０７４（球送りレバー９０７３）は動作しない。これにより、遊技球１９が発射装置９０８０に供給されない。
【０８７５】
ここで、持ち球数が１であるときに、発射装置９０８０から遊技球１９が発射されたにもかかわらず、下回収口９０９１ｂに到達しないほど打ち出し強度が弱かった場合、第１実施形態に係る遊技機１１のように発射装置９０８０に使用球センサが設けられている（発射装置１１８における遊技球１９の出口に減算センサ１０１１が設けられていると）と、持ち球数が１減算されて０となり、発射機能が停止される。このため、当該遊技球１９が発射装置９０８０に戻ってきている（実際には遊技球１９が存在する）にもかかわらず、当該遊技球１９を発射することができない。
【０８７６】
一方、本実施形態においては、使用球センサ（球送りカウントセンサ９０７５）が球送り装置９０７０に設けられている。また、持ち球数が１であるときに、球送り装置９０７０から発射装置９０８０に遊技球１９が送られると、球送りカウントセンサ９０７５の検出によって持ち球数が１減算され０になるが、発射装置９０８０の発射機能は停止されていない。このため、発射装置９０８０によって遊技球１９を発射可能である。そして、発射装置９０８０から遊技球１９が発射されたにもかかわらず、下回収口９０９１ｂに到達しないほど打ち出し強度が弱く再び発射装置９０８０に戻ってきた場合であっても、再び発射装置９０８０によって遊技球１９を発射することができる。
【０８７７】
次に、図２７５及び図２７６を参照して、本発明の第８実施形態に係る遊技機９２００について説明する。以下では、第８実施形態に係る遊技機９２００のうち第７実施形態に係る遊技機９０００と同一の構成については、同一の符号を付して説明を省略する。なお、第８実施形態に係る遊技機９２００は、遊技中において遊技球１９が遊技機９２００内を循環する筐体内循環式（完全封入式）である。
【０８７８】
遊技機９２００は、遊技盤９００２、アウト球通路９２６０、球送り装置９０７０、発射装置９０８０、案内通路９０９０、上側ファール球通路９３００、下側ファール球通路９３１０、球磨き機９３２０、球排出通路９３３０及び球交換操作レバー９３４０を具備する。
【０８７９】
図２７５及び図２７６に示すアウト球通路９２６０は、アウト口１６６を通過した遊技球１９を下流側へ案内する部分である。アウト球通路９２６０が第７実施形態に係るアウト球通路９０６０と異なる点は、アウト球樋９０６２に代えて上流側アウト球樋９２６２、下流側アウト球樋９２６３及び接続部９２６４を具備する点である。
【０８８０】
上流側アウト球樋９２６２は、アウト球通路９２６０の上流側の部分を構成するものである。上流側アウト球樋９２６２の一端（上端）は、アウト球受け部９０６１の開口部（不図示）に接続される。上流側アウト球樋９２６２は、アウト球受け部９０６１の開口部との接続部分（一端）から、球送り装置９０７０及び発射装置９０８０よりも後方において、左下方に延びた後、右下方に屈曲するように形成される。上流側アウト球樋９２６２の中途部には、アウト球カウントセンサ９０６３が設けられる。
【０８８１】
下流側アウト球樋９２６３は、アウト球通路９２６０の下流側の部分を構成するものである。下流側アウト球樋９２６３の一端（上端）は、上流側アウト球樋９２６２の他端（右端）の近傍に位置するように形成される。下流側アウト球樋９２６３は、その一端から概ね前方に延びた後、左方に屈曲することで、球送り装置９０７０及び発射装置９０８０を取り囲むように形成される。下流側アウト球樋９２６３は、球送り装置９０７０の前部まで延伸し、その先端（他端）が球送り装置９０７０に接続される。なお、上記実施形態では、球送り装置９０７０に接続される樋は下流側アウト球樋９２６３のみであるが、上側ファール球通路９３００、アウト球通路９４６０、補給球樋９４４１が下流側アウト球樋９２６３に合流せずにそれぞれ独立した樋で形成されて球送り装置９０７０に接続するように構成してもよい。
【０８８２】
接続部９２６４は、上流側アウト球樋９２６２と下流側アウト球樋９２６３とを、遊技球１９が通過可能に接続するように設けられる。また、接続部９２６４には、第一下流側ファール球樋９１０２の右端（下流側端部）が接続される。
【０８８３】
図２７５及び図２７６に示す上側ファール球通路９３００は、上回収口９０９１ａにより回収された遊技球１９（ファール球）を、球送り装置９０７０に誘導するものである。
【０８８４】
図２７５に示す上側ファール球カウントセンサ９１０３は、上回収口９０９１ａにより回収され上側ファール球通路９３００を通過する遊技球１９（ファール球）を検知するものである。上側ファール球カウントセンサ９１０３は、上側ファール球通路９３００を通過する遊技球１９（ファール球）を検出すると、検出信号をメインＣＰＵに送信する。
【０８８５】
図２７５に示す下側ファール球通路９３１０は、下回収口９０９１ｂにより回収された遊技球１９（ファール球）を、球送り装置９０７０に誘導するものである。下側ファール球通路９３１０が第７実施形態に係る下側ファール球通路９１１０と異なる点は、第二上流側ファール球樋９１１１に代えて第二上流側ファール球樋９３１１を具備し、第二下流側ファール球樋９１１２に代えて第二下流側ファール球樋９３１２を具備し、接続部９１１３に代えて接続部９３１３を具備する点である。
【０８８６】
図２７５に示す第二上流側ファール球樋９３１１は、下側ファール球通路９３１０の上流側の部分を構成するものである。第二上流側ファール球樋９３１１の一端は、下回収口９０９１ｂに接続される。第二上流側ファール球樋９３１１は、その一端から左方に延びるように形成される。第二上流側ファール球樋９３１１の中途部には、下側ファール球カウントセンサ９１１４が設けられる。
【０８８７】
図２７５に示す第二下流側ファール球樋９３１２は、下側ファール球通路９３１０の下流側の部分を構成するものである。第二下流側ファール球樋９３１２の一端は、第二上流側ファール球樋９３１１の左端（下流側端部）の近傍に位置するように形成される。第二下流側ファール球樋９３１２は、その一端から前方に延びた後、右方に屈曲することで、球送り装置９０７０及び発射装置９０８０を取り囲むように形成される。第二下流側ファール球樋９３１２及び下流側アウト球樋９２６３、球送り装置９０７０の前部まで延伸し、接続部９３５０に接続する。接続部９３５０は球送り装置９０７０に接続され、第二下流側ファール球樋９３１２及び下流側アウト球樋９２６３から流下してくる遊技球１９を集合させて球送り装置９０７０に誘導する。
【０８８８】
図２７５に示す接続部９３１３は、第二上流側ファール球樋９３１１と第二下流側ファール球樋９３１２とを接続するものである。接続部９３１３は、第二上流側ファール球樋９３１１と第二下流側ファール球樋９３１２との間に、遊技球１９が通過可能に設けられる。
【０８８９】
図２７５に示す下側ファール球カウントセンサ９１１４は、下回収口９０９１ｂにより回収され下側ファール球通路９３１０を通過する遊技球１９（ファール球）を検知するものである。下側ファール球カウントセンサ９１１４は、下側ファール球通路９３１０を通過する遊技球１９（ファール球）を検出すると、検出信号をメインＣＰＵに送信する。
【０８９０】
図２７５及び図２７６に示す球磨き機９３２０は、遊技球１９を磨くものである。球磨き機９３２０は、下流側アウト球樋９２６３の中途部に設けられる。球磨き機９３２０は、球送り装置９０７０及び発射装置９０８０の右方に設けられる。
【０８９１】
球排出通路９３３０は、球交換の際に遊技球１９を遊技機９２００の外部に排出するためのものである。球排出通路９３３０の一端は、接続部９２６４に接続される。これにより、球排出通路９３３０の一端は、アウト球カウントセンサ９０６３の下流側、かつ、球磨き機９３２０の上流側でアウト球通路９２６０（接続部９２６４）に接続される。球排出通路９３３０は、その一端から右方に延びた後、球磨き機９３２０よりも右方において前方に屈曲するように形成される。球排出通路９３３０には、球排出口９３３１が形成される。
【０８９２】
図２７５に示す球排出口９３３１は、球排出通路９３３０を移動する遊技球１９を遊技機９２００の外部に排出するものである。球排出口９３３１は、球排出通路９３３０の他端（前端）が前方に開口するように形成される。このように球排出口９３３１が形成されることにより、球排出通路９３３０を通過した遊技球１９が球排出口９３３１から外部に排出される。球排出口９３３１には、当該球排出口９３３１の開放と閉鎖を切り替え可能な排出口シャッタ（不図示）が設けられている。
【０８９３】
球交換操作レバー９３４０は、アウト球通路９２６０（接続部９２６４）と球排出通路９３３０との接続部分において、下流側アウト球樋９２６３と球排出通路９３３０とのいずれかの流路に切り替えるものである。球交換操作レバー９３４０は、初期位置にあるときには、当該接続部分において下流側アウト球樋９２６３を開放し球排出通路９３３０を閉鎖している。これにより、遊技球１９は下流側アウト球樋９２６３を流通することとなる。一方、球交換操作レバー９３４０は、操作されて初期位置から操作位置に移動されることにより、当該接続部分において下流側アウト球樋９２６３を閉鎖し球排出通路９３３０を開放する。これにより、遊技球１９は球排出通路９３３０を流通することとなる。球交換操作レバー９３４０には、球交換操作レバー９３４０の操作を検出するセンサ（不図示）が設けられており、球交換操作レバー９３４０が初期位置から操作位置に移動すると（アウト球通路９２６０を閉鎖し球排出通路９３３０を開放すると）、当該センサからの検出信号がメインＣＰＵに出力される。
【０８９４】
［球交換処理］
次に、図２７７を用いて、球交換処理について説明する。図２７７に示す球交換処理は、球交換の際に遊技球１９を遊技機９２００の外部に排出する処理である。
【０８９５】
図２７７に示すように、ステップＳ３５１において、メインＣＰＵは、球交換操作レバー操作があったか否かを判定する。この処理において、メインＣＰＵは、球交換操作レバー９３４０の操作を検出するセンサからの検出信号を受信した場合に、球交換操作レバー操作があった（球交換操作レバー９３４０が操作位置にある）と判定する。
【０８９６】
メインＣＰＵは、球交換操作レバー操作があったと判定した場合（ステップＳ３５１で「ＹＥＳ」）、ステップＳ３５２に処理を移す。一方、メインＣＰＵは、球交換操作レバー操作がなかったと判定した場合（ステップＳ３５１で「ＮＯ」）、球交換処理ルーチンを終了する。
【０８９７】
ステップＳ３５２において、メインＣＰＵは、排出口シャッタ開放処理を行う。この処理において、メインＣＰＵは、球排出口９３３１に設けられた排出口シャッタ（不図示）を動作させ、球排出口９３３１を開放させる。メインＣＰＵは、この処理を終了した場合には、ステップＳ３５３に処理を移す。
【０８９８】
ステップＳ３５３において、メインＣＰＵは、自動球送り処理を行う。この処理において、メインＣＰＵは、球送りソレノイド９０７４に通電を行った後再び非通電とすることにより、球送りレバー９０７３を１回揺動させる。これにより、遊技球１９は、球出口９０７２ｂから排出され、発射装置９０８０へと送られる（図２６７参照）。この処理は、ハンドル１０２６が操作されていなくても自動的に行われる。メインＣＰＵは、この処理を終了した場合には、ステップＳ３５４に処理を移す。
【０８９９】
ステップＳ３５４において、メインＣＰＵは、自動ファール打ち処理を行う。この処理において、メインＣＰＵは、発射装置９０８０から発射される遊技球１９が遊技領域１６０に到達せず、かつ、上回収口９０９１ａに到達するような強度で発射モーター９０８２を動作させる。これにより、発射装置９０８０から発射された遊技球１９が、上回収口９０９１ａによって回収される。なおこの処理は、ハンドル１０２６が操作されていなくても自動的に行われる。メインＣＰＵは、この処理を終了した場合には、ステップＳ３５５に処理を移す。
【０９００】
ステップＳ３５５において、メインＣＰＵは、球送りカウントセンサ９０７５による検出があったか否かを判定する。この処理において、メインＣＰＵは、球送りカウントセンサ９０７５からの検出信号を受信した場合に、球送りカウントセンサ９０７５による検出があったと判定する。一方、メインＣＰＵは、球送りカウントセンサ９０７５からの検出信号を所定期間受信しなかった場合に、球送りカウントセンサ９０７５による検出がなかったと判定する。
【０９０１】
メインＣＰＵは、球送りカウントセンサ９０７５による検出があったと判定した場合（ステップＳ３５５で「ＹＥＳ」）、ステップＳ３５３に処理を戻す。一方、メインＣＰＵは、球送りカウントセンサ９０７５による検出がなかったと判定した場合（ステップＳ３５５で「ＮＯ」）、ステップＳ３５６に処理を移す。
【０９０２】
ステップＳ３５６において、メインＣＰＵは、排出完了報知処理を行う。この処理において、メインＣＰＵは、遊技球１９の排出が完了したことを、例えば第１液晶表示装置１０２に表示させることにより、従業員等に報知する。メインＣＰＵは、この処理を終了した場合には、ステップＳ３５７に処理を移す。
【０９０３】
ステップＳ３５７において、メインＣＰＵは、球交換操作レバー９３４０が初期位置にあるか否かを判定する。この処理において、メインＣＰＵは、球交換操作レバー９３４０の操作を検出するセンサからの検出信号を受信しなくなった場合に、球交換操作レバー９３４０が初期位置にあると判定する。
【０９０４】
メインＣＰＵは、球交換操作レバー９３４０が初期位置にないと判定した場合（ステップＳ３５７で「ＮＯ」）、再びステップＳ３５７に処理を移す。一方、メインＣＰＵは、球交換操作レバー９３４０が初期位置にあると判定した場合（ステップＳ３５７で「ＹＥＳ」）、球交換処理ルーチンを終了する。
【０９０５】
次に、遊技機９２００の遊技時における遊技球１９の流れを説明する。
【０９０６】
遊技領域１６０に発射された遊技球１９が各入賞口を通過した場合、各入賞センサ１０６１が各入賞口を通過する遊技球１９を検出することにより、入賞口に応じた賞球数の分だけ持ち球数が加算される。各入賞口を通過した遊技球１９は、遊技盤９００２の裏面側に設けられた樋（不図示）を通過して、アウト球通路９２６０に送られる。アウト球カウントセンサ９０６３がアウト球通路９２６０を通過する遊技球１９を検出することにより、不明球数が１減算される。
【０９０７】
一方、遊技領域１６０に発射され、各入賞口を通過せずにアウト口１６６を通過した遊技球１９は、アウト球通路９２６０に送られる。アウト球通路９２６０に送られた遊技球１９は、アウト球通路９２６０の中途部に設けられた球磨き機９３２０によって磨かれた後、球送り装置９０７０に送られる。
【０９０８】
球送り装置９０７０の球入口９０７１ａに供給された遊技球１９は、案内路９０７２ａによって球出口９０７２ｂの近傍まで案内される。
【０９０９】
このとき、球送りソレノイド９０７４が駆動していない場合（球送りレバー９０７３が図２６９に示す位置にある場合）、遊技球１９は球出口９０７２ｂから排出されない。したがって、遊技球１９は、発射装置９０８０に供給されない。
【０９１０】
一方、ハンドル１０２６の操作があり（ステップＳ３１１でＹＥＳ）、持ち球数が０でない場合（ステップＳ３１２でＮＯ）、球送り装置作動処理（ステップＳ３１３）が行われる。球送り装置作動処理において球送りレバー９０７３が１回揺動することにより、遊技球１９は球出口９０７２ｂから排出される。球送りカウントセンサ９０７５が球出口９０７２ｂを通過した遊技球１９を検出することにより、持ち球数が１減算され、不明球数が１加算される。球出口９０７２ｂを通過した遊技球１９は、発射装置９０８０に供給される。
【０９１１】
発射装置９０８０に送られた遊技球１９は、ハンドルボリューム１００７が検出したハンドル１０２６への操作に応じた強度で発射モーター９０８２が動作されることにより、案内通路９０９０によって案内されて遊技領域１６０に発射される（ステップＳ３０３）。
【０９１２】
遊技領域１６０に発射され、各入賞口を通過せずにアウト口１６６を通過した遊技球１９は、再びアウト球通路９２６０に送られる。
【０９１３】
一方、発射装置９０８０により発射されたにもかかわらず、遊技領域１６０に到達しなかった遊技球１９（ファール球）は、上回収口９０９１ａ又は下回収口９０９１ｂによって回収される。
【０９１４】
上回収口９０９１ａによって回収された遊技球１９は、上側ファール球通路９３００に送られる。当該遊技球１９は、上側ファール球通路９３００及び当該上側ファール球通路９３００に接続されたアウト球通路９２６０を通過し、球磨き機９３２０を経由して再び球送り装置９０７０に送られる。この際、上側ファール球カウントセンサ９３０１が上側ファール球通路９３００を通過する遊技球１９を検出することにより、持ち球数が１加算され、不明球数が１減算される。
【０９１５】
下回収口９０９１ｂによって回収された遊技球１９は、下側ファール球通路９３１０に送られる。当該遊技球１９は、下側ファール球通路９３１０を通過し、球磨き機９３２０を経由することなく再び球送り装置９０７０に送られる。この際、下側ファール球カウントセンサ９１１４が下側ファール球通路９３１０を通過する遊技球１９を検出することにより、持ち球数が１加算され、不明球数が１減算される。
【０９１６】
次に、遊技機９２００の球交換（排出）時における遊技球１９の流れを説明する。
【０９１７】
自動ファール打ち処理（ステップＳ３５４）が行われることにより、遊技領域１６０に到達しなかった遊技球１９（ファール球）は、上回収口９０９１ａによって回収される。
【０９１８】
上回収口９０９１ａによって回収された遊技球１９は、上側ファール球通路９３００に送られる。当該遊技球１９は、上側ファール球通路９３００及び当該上側ファール球通路９３００に接続されたアウト球通路９２６０を流通する。そして、球交換操作レバー９３４０が操作位置にあることにより、当該遊技球１９は、球排出通路９３３０に送られ、球排出口９３３１から外部に排出される。これにより、球交換を行うことができる。
【０９１９】
以上の実施形態に基づき、本発明の概要を以下に列挙する。
【０９２０】
従来、遊技機の技術は公知となっている。例えば、特開２０１３−１８００８０号公報に記載の如くである。
【０９２１】
特開２０１３−１８００８０号公報には、封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【０９２２】
しかしながら、特開２０１３−１８００８０号公報には、持球数が０のときに、どのように遊技を停止させるかの具体的な開示はない。例えば、保有する遊技媒体がなくなった場合に発射装置を停止することで遊技を停止する仕様だと、センサ類が検知するまでに複数の遊技媒体が発射されてしまうという問題や、発射球検出センサ（使用球センサ）を通過した後に遊技媒体が発射装置に戻ってきた場合次の発射が行えないという問題があった。
【０９２３】
本発明は、上述した課題に鑑みてなされたものであり、保有する遊技媒体数による遊技制御を確実に行うことができる遊技機を提供することを目的とする。
【０９２４】
（２−１）
以上の如く、第８実施形態に係る遊技システム６００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０及び前記球送り装置９０７０を制御可能な主制御回路１０６（遊技制御手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記遊技領域１６０を流下した遊技球１９が流入可能な流入口（アウト口１６６、始動口１６１、大入賞口１６４、一般入賞口１６８）と、
前記流入口に流入した遊技球１９を前記球送り装置９０７０に誘導可能なアウト球通路９２６０（誘導手段）と、
遊技者が保有する持ち球数（遊技媒体数）の増減数を検出する増減数検出器９００１（増減数検出手段）と、
前記増減数検出器９００１からの増減数検出信号（検出信号）に基づいて、遊技者が持ち球（遊技媒体）を保有しているか否かを判定可能な遊技媒体管理装置２０（管理制御手段）と、
を備え、
前記主制御回路１０６は、前記遊技媒体管理装置２０により遊技者が持ち球を保有していると判定される場合には、前記発射装置９０８０及び前記球送り装置９０７０の動作を可能とし、
前記遊技媒体管理装置２０により遊技者が持ち球を保有していないと判定される場合には、前記発射装置９０８０の動作を可能とし、前記球送り装置９０７０の動作を不可能とするものである。
【０９２５】
また、遊技システム６００においては、前記増減数検出器９００１（増減数検出手段）は、遊技者が使用した遊技媒体数を検出する球送りカウントセンサ９０７５（使用遊技媒体検出手段）を含み、
前記球送りカウントセンサ９０７５は、前記球送り装置９０７０（供給手段）に設けられているものである。
【０９２６】
また、第８実施形態に係る遊技機９２００は、遊技機９２００に備えられまたは遊技機９２００の外部に設けられた管理制御手段の情報に応じて制御可能な遊技機９２００であって、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０及び前記球送り装置９０７０を制御可能な主制御回路１０６（遊技制御手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記遊技領域１６０を流下した遊技球１９が流入可能な流入口（アウト口１６６、始動口１６１、大入賞口１６４、一般入賞口１６８）と、
前記流入口に流入した遊技球１９を前記球送り装置９０７０（供給手段）に誘導可能なアウト球通路９２６０（誘導手段）と、
遊技球１９を検出可能な増減数検出器９００１（検出手段）と、
を備え、
前記主制御回路１０６は、
前記管理制御手段により、前記増減数検出器９００１からの検出信号に応じて更新された遊技者が保有する遊技媒体情報から遊技者が遊技球１９を保有していると判定される場合には、前記発射装置９０８０及び前記球送り装置９０７０の動作を可能とし、
前記管理制御手段により、前記増減数検出器９００１からの検出信号に応じて更新された遊技者が保有する遊技媒体情報から遊技者が遊技球１９を保有していないと判定される場合には、前記発射装置９０８０の動作を可能とし、前記球送り装置９０７０の動作を不可能とするものである。
【０９２７】
また、遊技機９２００においては、前記増減数検出器９００１（増減数検出手段）は、遊技者が使用した遊技媒体数を検出する球送りカウントセンサ９０７５（使用遊技媒体検出手段）を含み、
前記球送りカウントセンサ９０７５は、前記球送り装置９０７０（供給手段）に設けられているものである。
【０９２８】
このような構成によれば、保有する持ち球数（遊技媒体数）による遊技制御を確実に行うことができる。
【０９２９】
具体的には、仮に保有する持ち球数（遊技媒体数）が０になった場合に発射装置９０８０を停止することで遊技を停止する仕様であると、遊技球１９の打ち出し強度が弱く使用球センサを通過した後に当該遊技球１９が発射装置９０８０に戻ってくる場合がある。この場合、持ち球数（遊技媒体数）が０と認定され、発射装置９０８０の機能が停止されてしまう。このため、実際には遊技球１９が存在するにもかかわらず、当該遊技球１９を発射することができない。
これに対して、遊技機９２００においては、持ち球数が０になった場合であっても発射装置９０８０の発射機能は失われない。よって、発射装置９０８０に戻ってきた遊技球１９を再び発射させることができる。
【０９３０】
（２−２）
また、第８実施形態に係る遊技システム６００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０及び前記球送り装置９０７０を制御可能な主制御回路１０６（遊技制御手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記遊技領域１６０を流下した遊技球１９が流入可能な流入口（アウト口１６６、始動口１６１、大入賞口１６４、一般入賞口１６８）と、
前記流入口に流入した遊技球１９を前記球送り装置９０７０に誘導可能なアウト球通路９２６０（誘導手段）と、
遊技者が保有する持ち球数（遊技媒体数）の増減数を検出する増減数検出器９００１（増減数検出手段）と、
前記増減数検出器９００１からの増減数検出信号（検出信号）に基づいて、遊技者が持ち球（遊技媒体）を保有しているか否かを判定可能な遊技媒体管理装置２０（管理制御手段）と、
を備え、
前記増減数検出器９００１は、
前記球送り装置９０７０に設けられ、前記球送り装置９０７０から前記発射装置９０８０に供給される遊技球１９を検出する球送りカウントセンサ９０７５（使用球検出手段）を有し、
前記主制御回路１０６は、前記遊技媒体管理装置２０により遊技者が持ち球を保有していないと判定される場合には、前記発射装置９０８０の動作を可能とし、前記球送り装置９０７０の動作を不可能とするものである。
【０９３１】
また、第８実施形態に係る遊技機９２００は、遊技機９２００に備えられまたは遊技機９２００の外部に設けられた管理制御手段の情報に応じて制御可能な遊技機９２００であって、
遊技球１９（遊技媒体）が流下可能な遊技領域１６０を有する遊技盤９００２と、
前記遊技領域１６０に遊技球１９（遊技媒体）を発射可能な発射装置９０８０（発射手段）と、
前記発射装置９０８０に遊技球１９を供給可能な球送り装置９０７０（供給手段）と、
前記発射装置９０８０及び前記球送り装置９０７０を制御可能な主制御回路１０６（遊技制御手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記遊技領域１６０を流下した遊技球１９が流入可能な流入口（アウト口１６６、始動口１６１、大入賞口１６４、一般入賞口１６８）と、
前記流入口に流入した遊技球１９を前記球送り装置９０７０に誘導可能なアウト球通路９２６０（誘導手段）と、
遊技球１９を検出可能な増減数検出器９００１（検出手段）と、
を備え、
前記増減数検出器９００１は、前記球送り装置９０７０に設けられ、前記球送り装置９０７０から前記発射装置９０８０に供給される遊技球１９を検出する球送りカウントセンサ９０７５（使用球検出手段）を有し、
前記主制御回路１０６は、前記管理制御手段により、前記増減数検出器９００１からの検出信号に応じて更新された遊技者が保有する遊技媒体情報から遊技者が遊技球１９を保有していないと判定される場合には、前記発射装置９０８０の動作を可能とし、前記球送り装置９０７０の動作を不可能とするものである。
【０９３２】
このような構成によれば、保有する持ち球数（遊技媒体数）による遊技制御を確実に行うことができる。
【０９３３】
具体的には、仮に使用球検出手段が発射装置９０８０から発射される遊技球１９を検出するように設けられた仕様であると、球送り装置９０７０から使用球検出手段までの距離が比較的遠いため、使用球検出手段による検出の前に複数の遊技球１９が発射装置９０８０に送られ発射されてしまう可能性があった。
これに対して、遊技機９０００においては、球送り装置９０７０の球出口９０７２ｂ付近に使用球検出手段（球送りカウントセンサ９０７５）が設けられているため、使用球検出手段（球送りカウントセンサ９０７５）による検出の前に複数の遊技球１９が発射装置９０８０に送られるのを防止することができ、ひいては複数の遊技球１９が発射装置９０８０に送られ発射されてしまうのを防止することができる。
【０９３４】
なお、本実施形態に係る遊技球１９は、遊技球の実施の一形態である。
また、本実施形態に係る主制御回路１０６は、遊技制御手段の実施の一形態である。
また、本実施形態に係るアウト口１６６、始動口１６１、大入賞口１６４及び一般入賞口１６８は、流入口の実施の一形態である。
また、本実施形態に係る遊技媒体管理装置２０は、管理制御手段の実施の一形態である。
また、本実施形態に係る増減数検出器１１１０は、増減数検出手段の実施の一形態である。
また、本実施形態に係る球送り装置９０７０は、供給手段の実施の一形態である。
また、本実施形態に係る発射装置９０８０は、発射手段の実施の一形態である。
また、本実施形態に係る案内通路９０９０は、案内手段の実施の一形態である。
また、本実施形態に係るアウト球通路９２６０は、誘導手段の実施の一形態である。
【０９３５】
以上、本発明の一実施形態を説明したが、本発明は上記構成に限定されるものではなく、特許請求の範囲に記載された発明の範囲内で種々の変更が可能である。
【０９３６】
例えば、第８実施形態においては、持ち球数及び不明球数の管理は、遊技媒体管理装置２０によって管理するものとしたが、遊技機９２００によって管理するものであってもよい。すなわち、遊技機９２００が管理装置制御部２０２を具備してもよい。その場合、主制御回路１０６に管理制御手段の機能を持たせてもよいし、主制御回路１０６が設けられた基板とは別に設けられた基板に管理制御手段を備えてもよい。また、遊技機９２００の外部から送信されてくる遊技媒体関連情報に基づいて主制御回路１０６が球送りソレノイド９０７４の動作を制御するようにしてもよい。
【０９３７】
また、入賞した遊技球１９はアウト球カウントセンサ９０６３により検出されるものとしたが、入賞した遊技球１９を検出するセンサを別途設けるようにしてもよい。
【０９３８】
また、第８実施形態においては、球排出口９３３１に設けられた排出口シャッタ（不図示）は、制御により動作するものとしたが（図２７７に示すステップＳ３５２）、球交換操作レバー９３４０により機械的に動作するものであってもよい。
【０９３９】
以上の実施形態に基づき、本発明の概要を以下に列挙する。
【０９４０】
従来、遊技機の技術は公知となっている。例えば、特開２０１３−１８００８０号公報に記載の如くである。
【０９４１】
特開２０１３−１８００８０号公報には、球磨き装置を循環通路内に備えた封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【０９４２】
しかしながら、特開２０１３−１８００８０号公報には、遊技領域に到達しなかった遊技球（ファール球）をどのように回収するかの具体的な開示はない。遊技が適正に行われるためには、案内手段（ガイドレール）に複数の遊技球が滞留した場合、当該遊技球を素早く回収することが望まれる。
【０９４３】
本発明は、上述した課題に鑑みてなされたものであり、案内手段に遊技媒体が複数滞留しても案内手段から遊技媒体を素早く回収できる遊技機を提供することを目的とする。
【０９４４】
（４−１）
第８実施形態に係る遊技機９２００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する回収手段と、
前記遊技領域１６０を流下した遊技球１９が流入可能な流入口（アウト口１６６、始動口１６１、大入賞口１６４、一般入賞口１６８）と、
前記回収手段により回収された遊技球１９を前記球送り装置９０７０に誘導可能な上側ファール球通路９３００及び下側ファール球通路９３１０（第１の誘導手段）と、
前記流入口に流入した遊技球１９を前記球送り装置９０７０に誘導可能なアウト球通路９２６０（第２の誘導手段）と、を備え、
前記回収手段は、前記案内通路９０９０によって移動する遊技球１９を回収可能な上回収口９０９１ａ（第１の回収口）と、前記上回収口９０９１ａよりも下方に設けられ前記案内通路９０９０によって移動する遊技球１９を回収可能な下回収口９０９１ｂ（第２の回収口）とを有するものである。
【０９４５】
また、前記下側ファール球通路９３１０は、前記上回収口９０９１ａに回収された遊技球１９を前記球送り装置９０７０に供給可能であり、
前記下側ファール球通路９３１０には、前記下側ファール球通路９３１０を移動する遊技球１９を遊技機９２００の外部に排出可能な球排出口９３３１（排出口）が設けられているものである。
【０９４６】
このような構成によれば、案内通路９０９０（案内手段）の上側端部付近まで到達した遊技球１９（遊技媒体）は上回収口９０９１ａ（第１の回収口）によって回収され、発射装置９０８０の近傍に複数滞留してしまった遊技球１９は下回収口９０９１ｂ（第２の回収口）から回収されるので、案内通路９０９０に遊技球１９が複数滞留しても案内通路９０９０から遊技球１９を素早く回収できる。
【０９４７】
以上の実施形態に基づき、本発明の概要を以下に列挙する。
【０９４８】
従来、遊技機の技術は公知となっている。例えば、特開２０１３−１８００８０号公報に記載の如くである。
【０９４９】
特開２０１３−１８００８０号公報には、球磨き装置を循環通路内に備えた封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【０９５０】
しかしながら、特開２０１３−１８００８０号公報には、遊技領域に到達しなかった遊技球（ファール球）が、どのような経路で供給手段（球送り装置）に戻されるのかの具体的な開示はない。当該遊技球（ファール球）は、球磨き装置によって清掃されることが望ましく、かつ、供給手段に確実に誘導することが望まれる。
【０９５１】
本発明は、上述した課題に鑑みてなされたものであり、回収手段により回収された遊技媒体を、可能な限り清掃しつつ供給手段に確実に誘導することができる遊技機を提供することを目的とする。
【０９５２】
（４−２）
第８実施形態に係る遊技機９２００は、
遊技球１９（遊技媒体）が流下可能な遊技領域１６０を有する遊技盤９００２と、
前記遊技領域１６０に遊技球１９を発射可能な発射装置９０８０（発射手段）と、
遊技に使用された遊技球１９に付着した汚れを除去する球磨き機９３２０（球磨き手段）と、
前記発射装置９０８０に遊技球１９を供給可能な球送り装置９０７０（供給手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する回収手段と、
前記遊技領域１６０を流下した遊技球１９が流入可能な流入口（アウト口１６６、始動口１６１、大入賞口１６４、一般入賞口１６８）と、
前記回収手段により回収された遊技球１９を前記球送り装置９０７０に誘導可能な上側ファール球通路９３００及び下側ファール球通路９３１０（第１の誘導手段）と、
前記流入口に流入した遊技球１９を前記球送り装置９０７０に誘導可能なアウト球通路９２６０（第２の誘導手段）と、を備え、
前記回収手段は、前記案内通路９０９０によって移動する遊技球１９を回収可能な上回収口９０９１ａ（第１の回収口）と、前記上回収口９０９１ａよりも下方に設けられ前記案内通路９０９０によって移動する遊技球１９を回収可能な下回収口９０９１ｂ（第２の回収口）とを有し、
前記上回収口９０９１ａ及び前記下回収口９０９１ｂは、前記球送り装置９０７０よりも上方に設けられ、
前記下回収口９０９１ｂに回収された遊技球１９は、前記球磨き機９３２０を経由することなく前記球送り装置９０７０に送られ、
前記上回収口９０９１ａに回収された遊技球１９は、前記球磨き機９３２０を経由して前記球送り装置９０７０に送られるものである。
【０９５３】
このような構成によれば、球送り装置９０７０（供給手段）までの高低差が比較的大きい上回収口９０９１ａ（第１の回収口）により回収された遊技球１９（遊技媒体）は球磨き機９３２０（球磨き手段）を経由させ、一方、球送り装置９０７０までの高低差が比較的小さい下回収口９０９１ｂ（第２の回収口）により回収された遊技球１９は球磨き機９３２０を経由させないことにより、回収手段（上回収口９０９１ａ又は下回収口９０９１ｂ）により回収された遊技球１９に付着した汚れを、可能な限り除去しつつ球送り装置９０７０に確実に誘導することができる。
【０９５４】
以上の実施形態に基づき、本発明の概要を以下に列挙する。
【０９５５】
従来、遊技機の技術は公知となっている。例えば、特開２０１３−１８００８０号公報に記載の如くである。
【０９５６】
特開２０１３−１８００８０号公報には、球磨き装置を循環通路内に備えた封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【０９５７】
しかしながら、特開２０１３−１８００８０号公報には、遊技機内の遊技媒体（遊技球）を交換する方法についての具体的な開示はない。遊技媒体の交換作業は容易に実行できることが望ましい。
【０９５８】
本発明は、上述した課題に鑑みてなされたものであり、遊技媒体の交換の作業性を向上させることができる遊技機を提供することを目的とする。
【０９５９】
（５−２）
第８実施形態に係る遊技機９２００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０及び前記球送り装置９０７０を制御可能な主制御回路１０６（遊技制御手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する上回収口９０９１ａ及び下回収口９０９１ｂ（回収手段）と、
前記遊技領域１６０を流下した遊技球１９が流入可能な流入口（アウト口１６６、始動口１６１、大入賞口１６４、一般入賞口１６８）と、
前記球送り装置９０７０に遊技球１９を誘導する誘導手段と、
を備えた遊技機９２００であって、
前記誘導手段は、
前記上回収口９０９１ａ及び下回収口９０９１ｂにより回収された遊技球１９を誘導する上側ファール球通路９３００及び下側ファール球通路９３１０（第１の誘導手段）と、
前記流入口に流入した遊技球１９を誘導するアウト球通路９２６０（第２の誘導手段）と、を含み、
前記誘導手段には、前記誘導手段を移動する遊技球１９を遊技機９２００の外部に排出可能な排出手段（球排出通路９３３０及び球交換操作レバー９３４０）が設けられており、
前記主制御回路１０６は、所定の条件が満たされた場合に、発射される遊技球１９が前記上回収口９０９１ａにより回収されるように前記発射装置９０８０の動作を制御するものである。
【０９６０】
このような構成によれば、遊技球１９（遊技媒体）の交換の作業性を向上させることができる。
【０９６１】
具体的には、球交換の際に球交換操作レバー９３４０を操作するだけで、自動的に自動ファール打ち処理（ステップＳ３５４）が行われる。これにより、球排出通路９３３０を介して遊技球１９を自動的に遊技機９２００の外部に排出することができる。なお、上記実施形態では、球交換操作レバー９３４０が操作されたことを条件に、自動球送り処理及び自動ファール打ちを行ったが、遊技媒体管理装置２０に設けられた操作ボタンが操作されたことに応じて自動球送り処理及び自動ファール打ちを行ってもよい。また球交換操作レバー９３４０が操作された後、ハンドル１０２６が操作されたことを条件に球交換処理（排出）を行ってもよい。
【０９６２】
（５−３）
また、第８実施形態に係る遊技機９２００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する上回収口９０９１ａ及び下回収口９０９１ｂ（回収手段）と、
前記遊技領域１６０を流下した遊技球１９が流入可能な流入口（アウト口１６６、始動口１６１、大入賞口１６４、一般入賞口１６８）と、
前記球送り装置９０７０に遊技球１９を誘導する誘導手段と、
を備えた遊技機９２００であって、
前記誘導手段は、
前記上回収口９０９１ａ及び下回収口９０９１ｂにより回収された遊技球１９を誘導する上側ファール球通路９３００及び下側ファール球通路９３１０（第１の誘導手段）と、
前記流入口に流入した遊技球１９を誘導するアウト球通路９２６０（第２の誘導手段）と、を含み、
前記誘導手段には、前記誘導手段を移動する遊技球１９を遊技機９２００の外部に排出可能な球排出口９３３１（排出口）が設けられており、
前記球排出口９３３１は、前記遊技機９２００の手前側に向けられているものである。
【０９６３】
このような構成によれば、遊技球１９（遊技媒体）の交換の作業性を向上させることができる。
【０９６４】
具体的には、球排出口９３３１が遊技機９２００の手前側に向けられているため、球交換を行う作業者が、排出された遊技球１９を受け取り易くすることができる。特に、遊技機の背面側に一定のスペースを有する通常の遊技機島設備ではなく、封入式遊技機等の島設備において遊技機の背面側にスペースを有さない場合や、壁際に遊技機を配置した場合は、排出口を遊技機背面側ではなく手前側に向けたほうが望ましいことは言うまでもない。
【０９６５】
以上の実施形態に基づき、本発明の概要を以下に列挙する。
【０９６６】
従来、遊技機の技術は公知となっている。例えば、特開２０１３−１８００８０号公報に記載の如くである。
【０９６７】
特開２０１３−１８００８０号公報には、球磨き装置を循環通路内に備えた封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【０９６８】
しかしながら、特開２０１３−１８００８０号公報には、遊技領域に到達しなかった遊技球（ファール球）が、どのような経路で供給手段（球送り装置）に戻されるのかの具体的な開示はない。当該遊技球（ファール球）は、簡易な構成で供給手段に戻されることが望まれる。
【０９６９】
本発明は、上述した課題に鑑みてなされたものであり、遊技領域に到達しなかった遊技球（ファール球）を簡易な構成で供給手段に戻すことができる遊技機を提供することを目的とする。
【０９７０】
（４−３）
第８実施形態に係る遊技機９２００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する回収手段と、
前記遊技領域１６０を流下した遊技球１９が流入可能な流入口（アウト口１６６、始動口１６１、大入賞口１６４、一般入賞口１６８）と、
前記ファール球回収口により回収された遊技球１９を前記球送り装置９０７０に誘導可能な第１の誘導手段と、
前記流入口に流入した遊技球１９を前記球送り装置９０７０に誘導可能なアウト球通路９２６０（第２の誘導手段）と、を備え、
前記回収手段は、前記案内通路９０９０によって移動する遊技球１９を回収可能な上回収口９０９１ａ（第１の回収口）と、前記上回収口９０９１ａよりも下方に設けられ前記案内通路９０９０によって移動する遊技球１９を回収可能な下回収口９０９１ｂ（第２の回収口）とを有し、
前記第１の誘導手段は、前記上回収口９０９１ａに回収された遊技球１９を前記球送り装置９０７０に供給可能な上側ファール球通路９３００（第１の樋）と、前記下回収口９０９１ｂに回収された遊技球１９を前記球送り装置９０７０に供給可能な下側ファール球通路９３１０（第２の樋）と、を有し、
前記上側ファール球通路９３００及び前記下側ファール球通路９３１０は互いに干渉しないように配置され、
前記上側ファール球通路９３００の下流側端部と前記下側ファール球通路９３１０の下流側端部が接続する接続部９３５０を有し、
前記接続部９３５０から前記球送り装置９０７０に遊技球１９が供給されるものである。
【０９７１】
また、前記上側ファール球通路９３００及び前記下側ファール球通路９３１０は、前記発射装置９０８０及び前記球送り装置９０７０の周囲に設けられているものである。
【０９７２】
このような構成によれば、遊技領域１６０に到達しなかった遊技球（ファール球）を簡易な構成で球送り装置９０７０（供給手段）に戻すことができる。
【０９７３】
次に、図２７８から図２８０を参照して、本発明の第９実施形態に係る遊技機９４００について説明する。以下では、第９実施形態に係る遊技機９４００のうち第７実施形態に係る遊技機９０００及び第８実施形態に係る遊技機９２００と同一の構成については、同一の符号を付して説明を省略する。なお、第９実施形態に係る遊技機９４００は、遊技中において遊技球１９が遊技機９４００内を循環し、球交換時においては遊技球１９が島設備と遊技機９０００とを循環するものである。すなわち、第９実施形態に係る遊技機９４００は、筐体内循環式と島循環式とを併用するものである。
【０９７４】
遊技機９４００は、遊技盤９００２、タンク９０１０、第一補給球通路９０２０、賞球装置９４３０、第二補給球通路９４４０、球抜き通路９４５０、アウト球通路９４６０、球送り装置９０７０、発射装置９０８０、案内通路９０９０、上側ファール球通路９３００、下側ファール球通路９３１０及び球交換操作レバー９５４０を具備する。
【０９７５】
図２７９及び図２８０に示す賞球装置９４３０は、島設備から遊技球１９を取込むものである。賞球装置９４３０は、第一補給球通路９０２０の下端に接続される。賞球装置９４３０の下端には、第二補給球通路９４４０及び後述する球抜き通路９４５０が接続され、賞球装置９４３０は、遊技球を第二補給球通路９４４０に流すか、球抜き通路９４５０に流すかを切り替え可能な切替装置を備える。遊技球を遊技機９４００に補給したい場合は、賞球装置９４３０から排出される遊技球が第二補給球通路９４４０に流れるように切替装置を切り替えた後、賞球装置９４３０の近傍に設けられた補給ボタン（不図示）を１回押圧すると所定数（例えば１０球）の遊技球１９が第二補給球通路９４４０に供給される。なお、補給ボタンは、遊技機９４００の前面側に設けてもよいし、遊技媒体管理装置２０に設けてもよい。
【０９７６】
第二補給球通路９４４０は、賞球装置９４３０から補給された遊技球１９を下流側（具体的には、後述する球送り装置９０７０）に供給するものである。第二補給球通路９４４０は、補給球樋９４４１及び接続部９４４２を具備する。
【０９７７】
図２７９及び図２８０に示す補給球樋９４４１の一端は、賞球装置９４３０の下端の左部に接続される。補給球樋９４４１は、賞球装置９４３０との接続部分（一端）から適宜屈曲しながら遊技盤９００２よりも下方まで延びた後、略右方に屈曲して、発射装置９０８０の後方まで到達するように形成される。補給球樋９４４１は、その略右方に延びる部分が右方（下流側）に向かうにつれて上下方向の高さが低くなるように形成される。
【０９７８】
接続部９４４２は、補給球樋９４４１とアウト球通路９４６０とを接続するものである。接続部９４４２は、補給球樋９４４１の右端（下流側端部）と下流側アウト球樋９２６３との間に設けられ、互いを接続するように形成される。これにより、接続部９４４２は、球排出口９４６４ａよりも下流側でアウト球通路９４６０と接続される。
【０９７９】
球抜き通路９４５０は、タンク９０１０に貯溜された遊技球１９を、島設備に排出するためのものである。球抜き通路９４５０の一端は、賞球装置９４３０の下端の右部に接続される。球抜き通路９４５０は、賞球装置９４３０との接続部分（一端）から適宜屈曲しながら補給球樋９４４１（の前記略右方に延びる部分）よりも前方まで延びるように形成される（図２７９参照）。球抜き通路９４５０は、上流側補給樋９０４１の前方を略右方に延びて、その左端部が第一上流側ファール球樋９１０１に接続される。
【０９８０】
アウト球通路９４６０は、アウト口１６６を通過した遊技球１９を下流側へ案内する部分である。アウト球通路９４６０が第８実施形態に係るアウト球通路９２６０と異なる点は、接続部９２６４に代えて接続部９４６４を具備する点である。
【０９８１】
接続部９４６４は、上流側アウト球樋９２６２と下流側アウト球樋９２６３とを、遊技球１９が通過可能に接続するように設けられる。また、接続部９４６４には、上流側アウト球樋９２６２の下流側端部とともに第一下流側ファール球樋９１０２の右端（下流側端部）が接続される（図２７８参照）。接続部９４６４には、球排出口９４６４ａが形成される。
【０９８２】
図２８０に示す球排出口９４６４ａは、アウト球通路９４６０を移動する遊技球１９を遊技機９４００の島設備に排出するものである。球排出口９４６４ａは、接続部９４６４の下端が下方に開口するように形成される。このように球排出口９４６４ａが形成されることにより、アウト球通路９４６０、及びアウト球通路９４６０に接続された上側ファール球通路９３００を通過した遊技球１９が球排出口９４６４ａから島設備に排出可能となる。
【０９８３】
球交換操作レバー９５４０は、球排出口９２６１の開閉を切り替えるものである。球交換操作レバー９５４０は、初期位置にあるときには、球排出口９４６４ａを閉鎖している。これにより、遊技球１９は球排出口９４６４ａから島設備に排出される。一方、球交換操作レバー９５４０は、操作されて初期位置から操作位置に移動されることにより、球排出口９４６４ａを開放する。これにより、遊技球１９は球排出口９４６４ａから排出されることなく、球送り装置９０７０に送られる。球交換操作レバー９５４０には、球交換操作レバー９５４０の操作を検出するセンサ（不図示）が設けられており、球交換操作レバー９５４０が初期位置から操作位置に移動すると（球排出口９４６４ａが開放されると）、当該センサからの検出信号がメインＣＰＵに出力される。
【０９８４】
次に、第９実施形態に係る遊技機９４００の遊技時における遊技球１９の流れは、第８実施形態に係る遊技機９２００と同じであるため、説明を省略する。
【０９８５】
次に、遊技機９４００の球交換（排出）時における遊技球１９の流れを説明する。
【０９８６】
自動ファール打ち処理（図２７７に示すステップＳ３５４）が行われることにより、遊技領域１６０に到達しなかった遊技球１９（ファール球）は、上回収口９０９１ａによって回収される。
【０９８７】
上回収口９０９１ａによって回収された遊技球１９は、上側ファール球通路９３００に送られる。当該遊技球１９は、上側ファール球通路９３００及び当該上側ファール球通路９３００に接続されたアウト球通路９４６０を流通する。そして、球交換操作レバー９５４０が操作位置にあることにより、当該遊技球１９は、球排出口９４６４ａから島設備に排出される。
【０９８８】
排出完了報知処理（図２７７に示すステップＳ３５６）が行われた後、作業者は、球交換操作レバー９５４０を初期位置に戻す。その後、賞球装置９４３０から一定球数の遊技球１９を補給する。これにより、球交換が完了する。
【０９８９】
このように遊技機９４００においては、遊技球１９を球排出口９４６４ａから島設備に排出し、賞球装置９４３０から補給することで、球交換を行うことができる。このため、遊技機９４００の外部で球磨きを行うことが可能となり、遊技機９４００ごとにその内部に球磨き機を設けなくても、遊技球１９に付着した汚れを除去することが可能となる。
【０９９０】
以上の実施形態に基づき、本発明の概要を以下に列挙する。
【０９９１】
従来、遊技機の技術は公知となっている。例えば、特開２０１３−１８００８０号公報に記載の如くである。
【０９９２】
特開２０１３−１８００８０号公報には、球磨き装置を循環通路内に備えた封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【０９９３】
しかしながら、特開２０１３−１８００８０号公報に記載の技術においては、球磨き装置の球磨き部を定期的に交換しなければならず、また稼動の高い遊技機は球磨き装置の交換時期が早まり、稼動の悪い遊技機は交換時期が遅くなることから、交換タイミングを管理することが煩雑であるいう問題があった。
【０９９４】
本発明は、上述した課題に鑑みてなされたものであり、コストの削減や装置交換の煩雑さを回避することができる遊技機を提供することを目的とする。
【０９９５】
（５−１）
以上の如く、第９実施形態に係る遊技機９４００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する上回収口９０９１ａ及び下回収口９０９１ｂ（回収手段）と、
前記遊技領域１６０を流下した遊技球１９が流入可能な流入口（アウト口１６６、始動口１６１、大入賞口１６４、一般入賞口１６８）と、
遊技機９４００の外部から遊技球１９を取込可能な賞球装置９４３０（取込部）と、
前記球送り装置９０７０に遊技球１９を誘導する誘導手段と、
を備えた遊技機９４００であって、
前記誘導手段は、
前記上回収口９０９１ａ及び下回収口９０９１ｂにより回収された遊技球１９を誘導する上側ファール球通路９３００及び下側ファール球通路９３１０（第１の誘導手段）と、
前記流入口に流入した遊技球１９を誘導するアウト球通路９４６０（第２の誘導手段）と、
前記賞球装置９４３０から取り込まれた遊技球１９を誘導する補給球樋９４４１（第３の誘導手段）と、を含むものである。
【０９９６】
このような構成によれば、遊技機９４００に球磨き機９３２０（球磨き装置）を備える必要がないので、コストの削減や装置交換の煩雑さを回避することができる。
【０９９７】
また、前記誘導手段（アウト球通路９４６０）には、前記誘導手段（アウト球通路９４６０）を移動する遊技球１９を遊技機９４００の外部に排出可能な排出手段（球排出口９４６４ａ及び球交換操作レバー９５４０）が設けられているものである。
【０９９８】
このような構成によれば、簡易な構成で、賞球装置９４３０から取り込まれた遊技球１９を遊技機９４００の外部に排出することができる。
【０９９９】
以上の実施形態に基づき、本発明の概要を以下に列挙する。
【１０００】
従来、遊技機の技術は公知となっている。例えば、特開２０１３−１８００８０号公報に記載の如くである。
【１００１】
特開２０１３−１８００８０号公報には、球磨き装置を循環通路内に備えた封入式の遊技機において、貸出操作に応じてカードの残高から所定の金額が減算されて所定の持球数が付与された後、発射球検出センサが検知されると持球数が１減算される処理、ファール球検出センサが検知されると持球数が１加算される処理、入賞球検出センサが検知されると所定数の持球数が加算される処理を行うとともに、現在の持球数を情報表示部に表示し、持球数が０になるまで遊技が可能な遊技機が開示されている。
【１００２】
しかしながら、特開２０１３−１８００８０号公報には、遊技機内の遊技媒体（遊技球）を交換する方法についての具体的な開示はない。遊技媒体を交換する際には、遊技媒体を遊技機の外部に取り出す（球抜きを行う）ための構成が必要となるが、その球抜きのための構成の配置スペースが問題となる。
【１００３】
本発明は、上述した課題に鑑みてなされたものであり、球抜きのための構成の配置スペースを削減することができる遊技機を提供することを目的とする。
【１００４】
（５−４）
第９実施形態に係る遊技機９４００は、
遊技球１９（遊技媒体）が流下可能な遊技領域１６０を有する遊技盤９００２と、
前記遊技領域１６０に遊技球１９を発射可能な発射装置９０８０（発射手段）と、
前記発射装置９０８０に遊技球１９を供給可能な球送り装置９０７０（供給手段）と、
前記発射装置９０８０及び前記球送り装置９０７０を制御可能な主制御回路１０６（遊技制御手段）と、
前記発射装置９０８０から発射された遊技球１９を前記発射装置９０８０よりも上方に案内しつつ、上側端部から前記遊技領域１６０に遊技球１９を射出可能な案内通路９０９０（案内手段）と、
前記発射装置９０８０により発射された遊技球１９であって、前記遊技領域１６０に到達しなかった遊技球１９を回収する上回収口９０９１ａ及び下回収口９０９１ｂ（回収手段）と、
前記遊技領域１６０を流下した遊技球１９が流入可能な流入口（アウト口１６６、始動口１６１、大入賞口１６４、一般入賞口１６８）と、
遊技機９４００の外部から遊技球１９を取込可能な賞球装置９４３０（取込部）と、
前記球送り装置９０７０に遊技球１９を誘導する誘導手段と、
を備えた遊技機９４００であって、
前記誘導手段は、
前記上回収口９０９１ａ及び下回収口９０９１ｂにより回収された遊技球１９を誘導する上側ファール球通路９３００及び下側ファール球通路９３１０（第１の誘導手段）と、
前記流入口に流入した遊技球１９を誘導するアウト球通路９４６０（第２の誘導手段）と、
前記賞球装置９４３０から取り込まれた遊技球１９を誘導する第３の誘導手段（第二補給球通路９４４０及び球抜き通路９４５０）と、を含み、
前記誘導手段（アウト球通路９４６０）には、前記誘導手段（アウト球通路９４６０）を移動する遊技球１９を遊技機９４００の外部に排出可能な排出手段（球排出口９４６４ａ及び球交換操作レバー９５４０）が設けられており、
前記第３の誘導手段は、前記排出手段（球排出口９４６４ａ）よりも上流側で前記誘導手段を形成する球抜き通路９４５０（球抜き樋）を含むものである。
【１００５】
このような構成によれば、球抜きのための部材の配置スペースを減少させることができる。
【１００６】
以上、本発明の一実施形態を説明したが、本発明は上記構成に限定されるものではなく、特許請求の範囲に記載された発明の範囲内で種々の変更が可能である。例えば、以下の如く構成することができる。
【１００７】
封入式の遊技機は、払出制御回路および操作手段（例えば、タッチパネル式である液晶表示装置であって、遊技機と別体又は一体的に備えられていてもよい）を有していても良いし、遊技媒体管理装置が操作手段（例えば、タッチパネル式である液晶表示装置であって、遊技媒体管理装置と別体又は一体的に備えられていてもよい）を有していても良い。払出制御回路は、遊技球が各入賞口等の通過を検出する各種センサに接続されている。払出制御回路は、持ち球数を管理している。例えば、遊技球が各入賞口を通過した場合には、そのことによる遊技球の払出個数を持ち球数に加算する。また、遊技球が発射されると持ち球数を減算する。払出制御回路は、遊技者の操作により、持ち球数に関するデータを遊技媒体管理装置へ送信する。また、上記の液晶表示装置（又はタッチパネルなど）は、その設置位置が特に限定されることはないが主に遊技機の下部に位置し、遊技媒体管理装置で管理する遊技価値から持ち球への変換（球貸し）や、持ち球数の計数（返却）の要求を受け付ける。そして、これらの要求を遊技媒体管理装置を介して払出制御回路に伝え、払出制御回路が現在の持ち球数に関するデータを遊技媒体管理装置に送信するように指示する。ここで、「遊技価値」とは、貨幣・紙幣、プリペイド媒体、トークン、電子マネーおよびチケット等であり、遊技媒体管理装置によって持ち球に変換することが可能であるものを示すがこれに限られるものではなく、遊技機における賞球や遊技者の持ち球数を示すデータなど、遊技媒体としての価値を示すものであればこれに限定されないものである。なお、本実施形態において、遊技媒体管理装置は、いわゆるＣＲユニットであり、紙幣およびプリペイド媒体等を受付可能に構成されている。また、計数された持ち球は、遊技システムが設置される遊技場などにおいて、景品交換等に用いることができる。
【１００８】
また、封入式の遊技機は、バックアップ電源を有している。これにより、夜間等に電源をＯＦＦにした場合であっても、ＯＦＦにする直前のデータを保持することができる。また、このバックアップ電源には、例えば、扉開放センサによる扉枠開放の検出を継続して実行させてもよい。これにより、夜間に不正行為が行われることも防止することができる。なお、この場合は、扉枠が開放された回数等の情報を記憶するものであってもよい。さらに、電源が投入された際に、扉枠が開放された回数等の情報を、遊技機の液晶表示装置等に出力するものであってもよい。
【１００９】
遊技媒体管理装置は、遊技機接続基板を有している。遊技媒体管理装置は、遊技機接続基板を介して、遊技機とのデータ（送信信号）の送受信を行うように構成されている。送受信されるデータは、主制御回路に設けられたＣＰＵの固有ＩＤ、払出制御回路に設けられたＣＰＵの固有ＩＤ、遊技機に記憶された遊技機製造業者コード、セキュリティチップの製造業者コード、遊技機の型式コードなどの情報である。そして、遊技機および前記遊技媒体管理装置のいずれか一方を送信元とし他方を送信先として、送信元が送信信号を送信した際に、上記送信信号を受信した送信先が上記送信信号と同じ信号である確認用信号を上記送信元に送信し、上記送信元は、上記送信信号と上記確認用信号とを比較して、これらが同一か否かを判別するようにしている。
【１０１０】
このように、送信元において、送信先から送信された確認用信号を送信信号と比較して、これらが同一か否かを判別することにより、送信元から送信した信号が改ざんされることなく、送信元に送信されていることを確認することができる。これにより、遊技機と遊技媒体管理装置との間での送受信信号を改ざんする等の不正行為を抑制することができる。
【１０１１】
また、上記遊技システムにおいて、上記送信元は信号を変調する変調部を有し、該変調部により変調された信号を上記送信信号として送信し、上記送信先は上記変調部により変調された信号を復調する復調部を有することとしてもよい。
【１０１２】
これにより、仮に、遊技機と遊技媒体管理装置との間での送受信信号を読み取られたとしても、この信号の解読は困難であり、遊技機と遊技媒体管理装置との間での送受信信号を改ざんする等の不正行為を抑制することができる。
【１０１３】
また、上記遊技システムにおいて、上記送信先は、上記送信元からの上記送信信号を受信した際に、上記送信信号を受信したことを示す信号である承認信号を、上記確認用信号とは別に上記送信元に送信することとしてもよい。
【１０１４】
これにより、送信信号と確認用信号とを比較することにより、正規の信号の送受信が行われたことを確認するだけでなく、承認信号に基づいて正規の信号の送受信が行われたことを確認することができるので、不正行為の抑制をより強化することができる。
【１０１５】
特別図柄の変動に応じて実行される演出には「ノーマルリーチ」や、「ノーマルリーチ」に比べて大当りとなるときに選択される割合が高く、大当りとなる期待度が高い変動パターンの時に実行される「スーパーリーチ」の演出を備えていても良い。このとき、「スーパーリーチ」は、「ノーマルリーチ」に比べて変動時間が長い変動パターンであることが望ましい。なお、期待度とは、大当りや確変や時短に対する期待度等を含む概念である。具体的には、大当りに対する期待度（信頼度など）とは、各リーチ変動パターンが選択された場合に大当りとなる期待度（大当りとなる割合）であり、例えば、リーチ変動が１００回行われた場合に７０回大当りとなるのであれば、大当りに対する期待度が７０％（大当りが出現する出現率（確率）が７０％）となる。また、確変や時短に対する期待度とは、大当り等の終了後に確変状態（特図の高確率状態であり、普図の高確率又は普図の低確率）や時短状態（電サポ状態で普図の高確率状態であり、主に特図の低確率状態だが特図の高確率であってもよい）へ移行する期待度、各種の期待度が複合されたもののことを示すものであっても良い。
【１０１６】
特別図柄の変動に応じて実行される演出には遊技状態や当りに対する期待度等の「示唆」を行う場合があるが、このとき「示唆」とは、例えば演出による表現等において間接的に又は直接的に当りとなることを文字や数値等で表現することを示してもよい。例えば、一般的にガセ演出と呼ばれるものや、虹色等の表現を介して当りであることが濃厚又は確実であることを遊技者に示すことも可能である。なお、遊技者に示す内容として当りであることを例として挙げたが、これに限られるものではなく、確変、時短、パチスロであればＡＴ、ＲＴ、ＢＢ、ＲＢ等様々な情報を示すことが可能である。
なお、遊技者に対して情報を示すことを「報知」と呼称する場合もあるが、「報知」と表現した場合に「示唆」の意味合いを含んでいても良いし、「示唆」の意味合いに「報知」の意味を含むものであっても良い。
【１０１７】
また、遊技機に対応して設けられた遊技用装置として、計数機、サンド、ホールコンピュータ、ＰＯＳ、代表ランプ、データ公開機、データ表示機、封入式遊技機に併設されたユニットなどが存在するが、この場合の「対応」とは遊技機のデータを間接的に又は直接的に受信する場合以外にも、遊技場に設置されていることで結果的に遊技機に対応して設けられている場合も存在する。何れにしても、遊技機に関するデータや遊技者が遊技機で遊技を行った結果（例えば、持ち球や貯球等）を管理していれば遊技機との関係性があるため何れの遊技用装置も遊技機に対応して設けられていると考えられる。
【１０１８】
（２）拡張性
大当り遊技状態はラウンド遊技を行うことが可能であり、一方で小当り遊技状態は基本的にはラウンド遊技を備えず、役物連続作動装置が作動しない大入賞口の開閉を行うことが可能であり、大当り遊技機終了後は遊技者にとって有利な遊技状態へ移行することが可能であるが、基本的には小当り遊技状態の終了後は小当り遊技状態へ移行される前よりも有利な遊技状態へ移行させないものである。
ただし、小当り遊技状態中に特定領域を備えた大入賞口が開放し、特定領域を遊技球が通過することで条件装置が作動し、役物連続作動装置が作動する場合には、小当り遊技状態の終了後に遊技者にとって有利な遊技状態である大当り遊技状態へ移行し、このとき、小当り遊技状態もラウンド数に数えられる場合があっても良い。
【１０１９】
（３）拡張性
本発明の遊技機では、ソフトウェア上において、ドア開放が設定変更の条件となるようにしてもよい。電源投入時に設定キーＯＮ＋ＲＷＭ（ＲＡＭ）クリアスイッチＯＮでさらにドア開放を監視（検知）して初めて設定変更が可能となる。設定値がセットされていない状態では性能表示モニタの４桁には全て「Ｅ」が表示される。なお、この際、所定音も発生するが、所定音だけでなく「ＲＷＭ異常エラーです。」という音声を発生させても良い。設定変更時には、特定音が発生し（「設定変更中です。」という音声を発生させてもよい）、ランプも全点灯する。遊技機の裏面ではＲＷＭクリアスイッチを押す度に設定値が変わり、設定キーを戻す（抜く）と通常の状態に戻る。鍵を回した状態で扉を開けて電源を入れると設定確認状態で裏面では設定値を確認することができ、画面では「設定変更中です。」という文言が表示される。
なお、ドア開放が設定変更の条件とならない場合には、電源投入時に設定キーＯＮ＋ＲＷＭ（ＲＡＭ）クリアスイッチＯＮで設定変更可能とし、電源投入時に設定キーＯＮ＋ＲＷＭ（ＲＡＭ）クリアスイッチＯＦＦで設定確認可能とし、その後、設定キーを抜くと遊技可能な状態となるよう制御可能である。
また、電源投入時に設定キーＯＦＦ＋ＲＷＭ（ＲＡＭ）クリアスイッチＯＮでラムクリアされ、電源投入時に設定キーＯＦＦ＋ＲＷＭ（ＲＡＭ）クリアスイッチＯＦＦで通常の電断復帰がおこなわれるように制御可能である。
【１０２０】
また、メンテナンスモードが搭載されていてもよい。メンテナンス履歴では、電源ＯＮした時間、設定確認を行った時間、ＲＷＭ（ＲＡＭ）異常が発生した時間、設定に係るエラー等が記録される。この場合、例えば、最大２００件程度のメンテナンス履歴を記録可能としてもよい。設定履歴では、設定変更及び設定確認の履歴と、設定値とを確認することができる。なお、この履歴は、設定キーが無ければ見ることができない構成となっている。
【１０２１】
また、設定変更の表示は、サブ側の制御のみで行っても良いが、メイン側の制御により特図関連表示を全点灯にして表示してもよい。なお、設定変更の表示を特図関連表示を全点灯により行う場合、特別図柄の表示パターンでは、全点灯のパターンは設けられない。また、設定変更履歴は、例えば、最大１００件程度まで記録可能であり、メンテナンスモードは、設定確認中にしか作動させることができない。また、履歴はホール（遊技場）では消去することができない。
【１０２２】
また、電源基板にはバックアップ機能が設けられているため、盤の切り替え時には、ＲＷＭ異常となり、性能表示モニタもクリアされる。なお、設定値をセットする最後の確定時にはディレイは入らない。ディレイ中は設定変更状態になる。
【１０２３】
（４）拡張性
パチンコ遊技機においては、前扉の開放制御を行う第１のセンサと、外枠（機枠など）から本体部（盤の保持枠）が移動（開放動作など）したことを検知する第２のセンサとが設けられている。
【１０２４】
第１のセンサにより開放検知されているときには設定変更を行えないようにし、第２のセンサにより開放検知されているときには設定変更を行えるようにしても良い。この場合、設定変更を行うために押下されるスイッチは、遊技機背面側にある基板等に設けられており、遊技場の作業員が本体部を動かして、遊技機前方（遊技機の外枠前方）から作業することが保証された状態で設定変更可能になる。なお、本発明はこれに限定されず、第１のセンサ及び第２のセンサの両方により開放検知されているときに設定変更を可能にする構成にしても良いし、第１のセンサにより開放検知されているときに設定変更を可能にする構成にしても良い。
【１０２５】
なお、本明細書においては複数の実施形態について説明したが、各実施形態の構成は他の実施形態に適用可能である。例えば、第９実施形態において球排出口９４６４ａは、接続部９４６４の下端が下方に開口するように形成される（すなわち、下側に向けられている）ものとしたが、第８実施形態に係る球排出口９３３１と同様に遊技機９４００の手前側に向けられているものとしてもよい。
【１０２６】
以下では、本発明の第１０実施形態に係るパチンコ遊技機の遊技盤Ｐ１１００について説明する。なお、先述した第１〜第９実施形態に係るものと同一又は類似の構成要素については、同一名称や同一符号を付する等してその説明を省略する。
【１０２７】
図２８１に示す遊技盤Ｐ１１００は、透明板ユニットＰ１１１０、遊技領域Ｐ１１２０、球発射通路Ｐ１１３０、ワープ通路Ｐ１１４０、ステージＰ１１５０、一般入賞口ユニットＰ１１６０、上アタッカ部Ｐ１１７０、下アタッカ部Ｐ１１８０、アウト口Ｐ１１９０、上部可動演出役物Ｐ２０００及び回転役物Ｐ３０００等を具備する。
【１０２８】
図２８１に示す透明板ユニットＰ１１１０は、遊技盤Ｐ１１００の前側に位置するように設けられる。透明板ユニットＰ１１１０は、図２００等に示す透明板ユニット７’の変形例である。透明板ユニットＰ１１１０は、遊技盤Ｐ１１００の中央に開口された開口領域１ｄの前方も含めて、遊技盤Ｐ１１００の前側全体を覆うように形成される。透明板ユニットＰ１１１０には、開口領域１ｄの周囲に位置する台板Ｐ１１１１や、台板Ｐ１２１０（図２８６等参照）、図２３９等に示す導光板ユニット７００’の変形例である導光板ユニットの導光板Ｐ１１１２（透明パネル）等が含まれる。導光板Ｐ１１１２は、開口領域１ｄの前方に配置され、複数のＬＥＤから照射した光によって発光演出を行うことができる。
【１０２９】
図２８１、図２８４、図２８６等に示す遊技領域Ｐ１１２０は、遊技球が転動可能な領域である。遊技領域Ｐ１１２０は、透明板ユニットＰ１１１０の前面に形成される。遊技領域Ｐ１１２０は、開口領域１ｄの周囲を囲うように形成される。
【１０３０】
図２８１に示す球発射通路Ｐ１１３０は、図２６３等に示す発射装置９０８０から発射された遊技球を遊技領域Ｐ１１２０へと案内する通路である。球発射通路Ｐ１１３０は、外レールＰ１１３１及び内レールＰ１１３２により区画形成される。球発射通路Ｐ１１３０は、遊技領域Ｐ１１２０の左方に形成される。
【１０３１】
図２８１に示すワープ通路Ｐ１１４０は、遊技球を後述するステージＰ１１５０へと導く通路である。ワープ通路Ｐ１１４０は、内部を遊技球が転動可能なトンネル状に形成される。ワープ通路Ｐ１１４０は、開口領域１ｄの左下縁部に沿うように形成される。ワープ通路Ｐ１１４０の上端部は、遊技領域Ｐ１１２０を臨むように開口される。ワープ通路Ｐ１１４０の下端部は、後述するステージＰ１１５０を臨むように開口される。
【１０３２】
図２８１に示すステージＰ１１５０は、遊技領域Ｐ１１２０における遊技球の流化領域を振り分けるものである。ステージＰ１１５０は、開口領域１ｄの下縁部に形成される。ステージＰ１１５０は、遊技球が左右方向に転動可能な上面を有する。ステージＰ１１５０の上面の左右中央部、左部及び右部は、下方へ凹むと共に前方に傾斜するように形成される。これによって、ステージＰ１１５０の上面を転動する遊技球は、左右中央部、左部及び右部のいずれかから下方（下側の遊技領域Ｐ１１２０）へと落下する。
【１０３３】
図２８１に示す一般入賞口ユニットＰ１１６０は、遊技球が入賞可能な後述する一般入賞口Ｐ１１６１ａを有するものである。一般入賞口ユニットＰ１１６０は、遊技領域Ｐ１１２０の左下部（開口領域１ｄの左下方）に配置される。一般入賞口ユニットＰ１１６０の詳細については後述する。
【１０３４】
図２８１に示す上アタッカ部Ｐ１１７０は、遊技球が入賞可能な後述する第１大入賞口Ｐ１１７６等を有する部分である。上アタッカ部Ｐ１１７０は、遊技領域Ｐ１１２０の右上部（開口領域１ｄの右上方）に位置する。上アタッカ部Ｐ１１７０には、遊技領域Ｐ１１２０から前方へ立設される複数の壁部や、後述するカバーＰ１１７１から後方へ立設される複数の壁部等により、後述する遊技球の流路（流路Ｐ１１７２）が形成される。上アタッカ部Ｐ１１７０の詳細については後述する。
【１０３５】
図２８１に示す下アタッカ部Ｐ１１８０は、遊技球が入賞可能な後述する第２大入賞口Ｐ１３００や、第１始動口Ｐ１３５０、上第２始動口Ｐ１２５０、下第２始動口Ｐ１３６０等を有する部分である。下アタッカ部Ｐ１１８０は、遊技領域Ｐ１１２０の右下部（開口領域１ｄの右下方）に配置される。下アタッカ部Ｐ１１８０には、後述するカバーＰ１２２０から後方へ立設される複数の壁部等により、後述する遊技球の流路（流路Ｐ１２３０）が形成される。下アタッカ部Ｐ１１８０の詳細については後述する。
【１０３６】
図２８１に示すアウト口Ｐ１１９０は、いずれの入賞口や始動口にも入賞（入球）しなかった遊技球が最終的に流入する部分である。アウト口Ｐ１１９０は、遊技領域Ｐ１１２０の左右中央部における下端部に形成される。
【１０３７】
図２８１に示す上部可動演出役物Ｐ２０００は、上下方向に移動可能な役物である。上部可動演出役物Ｐ２０００は、後述する回転役物Ｐ３０００の後方（背後）に配置される。上部可動演出役物Ｐ２０００の動作は、図１０３に示した副制御回路２００（より詳細には、演出動作制御回路８９）により制御される。上部可動演出役物Ｐ２０００の詳細については後述する。
【１０３８】
図２８１に示す回転役物Ｐ３０００は、回転移動可能な役物である。回転役物Ｐ３０００は、正面視で開口領域１ｄの上部に配置される。また、回転役物Ｐ３０００は、上部可動演出役物Ｐ２０００の前方に配置される。回転役物Ｐ３０００の動作は、図１０３に示した副制御回路２００（より詳細には、演出動作制御回路８９）により制御される。回転役物Ｐ３０００の詳細については後述する。
【１０３９】
以下では、図２８２及び図２８３を用いて、一般入賞口ユニットＰ１１６０の詳細について説明する。
【１０４０】
一般入賞口ユニットＰ１１６０は、本体部Ｐ１１６１、リフレクタＰ１１６２、左側発光基盤Ｐ１１６３及び右側発光基盤Ｐ１１６４を具備する。
【１０４１】
本体部Ｐ１１６１は、正面視略扇状に形成される。本体部Ｐ１１６１は、透光性を有する（光を透過可能な）材料によって構成される。本体部Ｐ１１６１の前面には、当該本体部Ｐ１１６１を装飾するためのシール（不図示）が貼り付けられる。本体部Ｐ１１６１は、一般入賞口Ｐ１１６１ａを具備する。
【１０４２】
一般入賞口Ｐ１１６１ａは、遊技球が入球した場合に、抽選を行わずに所定数の賞球を払い出すためのものである。一般入賞口Ｐ１１６１ａは、本体部Ｐ１１６１の上面における左右中央部が凹むことで形成される。
【１０４３】
リフレクタＰ１１６２は、後述する発光部Ｐ１１６３ａ・Ｐ１１６４ａからの光を前方へと導くためのものである。リフレクタＰ１１６２は、本体部Ｐ１１６１の後方に配置される。リフレクタＰ１１６２は、透光性を有さない（光を透過しない）材料によって構成される。リフレクタＰ１１６２は、透明板ユニットＰ１１１０を前後方向に貫通するように設けられる。リフレクタＰ１１６２は、左側導光部Ｐ１１６２ａ及び右側導光部Ｐ１１６２ｂを具備する。
【１０４４】
左側導光部Ｐ１１６２ａ及び右側導光部Ｐ１１６２ｂは、軸線方向を前後方向に向けた略筒状に形成される。左側導光部Ｐ１１６２ａは、正面断面視において、一般入賞口Ｐ１１６１ａの左方に配置される。右側導光部Ｐ１１６２ｂは、正面断面視において、一般入賞口Ｐ１１６１ａの右方に配置される。
【１０４５】
左側発光基盤Ｐ１１６３及び右側発光基盤Ｐ１１６４は、リフレクタＰ１１６２の後方において、光を発するためのものである。左側発光基盤Ｐ１１６３及び右側発光基盤Ｐ１１６４は、それぞれ発光部Ｐ１１６３ａ・Ｐ１１６４ａを具備する。
【１０４６】
発光部Ｐ１１６３ａは、前方（本体部Ｐ１１６１側）へ光を照射可能に左側発光基盤Ｐ１１６３に取り付けられる。発光部Ｐ１１６３ａは、リフレクタＰ１１６２の左側導光部Ｐ１１６２ａの後方に配置される。発光部Ｐ１１６３ａは、正面断面視において、左側導光部Ｐ１１６２ａの内側に配置される。発光部Ｐ１１６３ａは、例えば、ＬＥＤ等によって構成される。
【１０４７】
発光部Ｐ１１６４ａは、前方（本体部Ｐ１１６１側）へ光を照射可能に右側発光基盤Ｐ１１６４に取り付けられる。発光部Ｐ１１６４ａは、リフレクタＰ１１６２の右側導光部Ｐ１１６２ｂの後方に配置される。発光部Ｐ１１６４ａは、正面断面視において、右側導光部Ｐ１１６２ｂの内側に配置される。発光部Ｐ１１６４ａは、例えば、ＬＥＤ等によって構成される。
【１０４８】
このように構成される一般入賞口ユニットＰ１１６０は、所定のタイミングで発光部Ｐ１１６３ａ・Ｐ１１６４ａから前方へ向けて光を照射する。当該光は、リフレクタＰ１１６２の左側導光部Ｐ１１６２ａ内及び右側導光部Ｐ１１６２ｂ内を通過して本体部Ｐ１１６１内へ入射する。当該光は、本体部Ｐ１１６１内を前方へ進んで本体部Ｐ１１６１外へと出射する。これによって、本体部Ｐ１１６１を当該光によって発光させることができる。
【１０４９】
本実施形態においては、光を透過不能なリフレクタＰ１１６２を介して、発光部Ｐ１１６３ａ・Ｐ１１６４ａから照射された光を本体部Ｐ１１６１内へと導くようにしている。これによれば、発光部Ｐ１１６３ａ・Ｐ１１６４ａから照射された光が、本体部Ｐ１１６１内へと導かれる前に拡散してしまうのを抑制することができる。こうして、左右の発光部Ｐ１１６３ａ・Ｐ１１６４ａにより、本体部Ｐ１１６１を狙い通りに発光させ易くすることができる。
【１０５０】
以下では、図２８１及び図２８４を用いて、上アタッカ部Ｐ１１７０の詳細について説明する。
【１０５１】
図２８１及び図２８４に示す上アタッカ部Ｐ１１７０は、カバーＰ１１７１、流路Ｐ１１７２、迂回路入口Ｐ１１７３、迂回路出口Ｐ１１７４、迂回路Ｐ１１７５、第１大入賞口Ｐ１１７６及びシャッタＰ１１７７等を具備する。
【１０５２】
図２８１に示すカバーＰ１１７１は、上アタッカ部Ｐ１１７０の前側に位置する略板状の部材である。カバーＰ１１７１は、後方へ立設される複数の壁部を有する。カバーＰ１１７１は、遊技領域Ｐ１１２０（台板Ｐ１１１１）から前方へ立設される複数の壁部等とにより、後述する流路Ｐ１１７２を形成する。
【１０５３】
図２８４に示す流路Ｐ１１７２は、上アタッカ部Ｐ１１７０における遊技球の流路である。流路Ｐ１１７２は、遊技領域Ｐ１１２０に含まれる。流路Ｐ１１７２は、上アタッカ部Ｐ１１７０の上端部に形成された流路入口Ｐ１１７２ａから、下端部に形成された流路出口Ｐ１１７２ｂまで、所定の経路を経由するよう、遊技球を案内可能に形成される。
【１０５４】
図２８４に示す迂回路入口Ｐ１１７３は、後述する迂回路Ｐ１１７５への遊技球の入口となる孔である。迂回路入口Ｐ１１７３は、台板Ｐ１１１１を前後方向に貫通するように形成される。迂回路入口Ｐ１１７３は、流路入口Ｐ１１７２ａの真下方に形成される。迂回路入口Ｐ１１７３の上側を除く周囲には、壁部が形成される。
【１０５５】
図２８４に示す迂回路出口Ｐ１１７４は、後述する迂回路Ｐ１１７５からの遊技球の出口となる孔である。迂回路出口Ｐ１１７４は、台板Ｐ１１１１を前後方向に貫通するように形成される。迂回路出口Ｐ１１７４は、迂回路入口Ｐ１１７３の左下方に形成される。迂回路出口Ｐ１１７４の下方には、概ね上下方向に板面を向けた板状の壁部が形成される。
【１０５６】
図２８４に示す迂回路Ｐ１１７５は、遊技球を遊技領域Ｐ１１２０の裏側へ迂回させるものである。迂回路Ｐ１１７５は、台板Ｐ１１１１の裏側に固定される所定の部材等により形成される。迂回路Ｐ１１７５は、遊技領域Ｐ１１２０の裏側を遊技球が流通するトンネル状に形成される。迂回路Ｐ１１７５は、正面視で略矩形状に形成され、右上左下となる姿勢で配置される。迂回路Ｐ１１７５の右端部は、迂回路入口Ｐ１１７３に接続される。迂回路Ｐ１１７５の左端部は、迂回路出口Ｐ１１７４に接続される。
【１０５７】
図２８１及び図２８４に示す第１大入賞口Ｐ１１７６は、遊技球が入賞（入球）することで、所定数の賞球を払い出すためのものである。第１大入賞口Ｐ１１７６は、複数の壁部等により上方が開放された正面視で略箱状に形成される。第１大入賞口Ｐ１１７６の上端部は、左右方向に比較的大きく開口されている。
【１０５８】
また、第１大入賞口Ｐ１１７６は、迂回路出口Ｐ１１７４の真下方に形成される。具体的には、第１大入賞口Ｐ１１７６の左上端部は、迂回路出口Ｐ１１７４よりも左方に位置する。第１大入賞口Ｐ１１７６の右上端部は、迂回路出口Ｐ１１７４よりも右方に位置する。第１大入賞口Ｐ１１７６の上下方向中途部には、第１大入賞口カウントスイッチＰ１１７６ａが配置される。第１大入賞口Ｐ１１７６の下端部（第１大入賞口カウントスイッチＰ１１７６ａの下方）には、透明板ユニットＰ１１１０を前後方向に貫通する回収口Ｐ１１７８が形成される。
【１０５９】
図２８４に示すシャッタＰ１１７７は、第１大入賞口Ｐ１１７６を開閉するものである。シャッタＰ１１７７は、板面を上下方向へ向けた略板状に形成される。シャッタＰ１１７７は、第１大入賞口Ｐ１１７６の上端部の開口を塞ぐように、長手方向を概ね左右方向へ向けて配置される。シャッタＰ１１７７は、図示しないソレノイドによって、遊技領域Ｐ１１２０よりも前方へ突出した状態と、遊技領域Ｐ１１２０よりも後方へ退避した状態と、に切り替え可能に構成される。シャッタＰ１１７７は、前方に突出した状態で、第１大入賞口Ｐ１１７６を閉状態とする。また、シャッタＰ１１７７は、後方に退避した状態で、第１大入賞口Ｐ１１７６を開状態とする。
【１０６０】
以下では、図２８１、図２８５から図２９５を用いて、下アタッカ部Ｐ１１８０の詳細について説明する。
【１０６１】
図２８１及び図２８５に示す下アタッカ部Ｐ１１８０は、台板Ｐ１２１０、カバーＰ１２２０、流路Ｐ１２３０、通過ゲートＰ１２４０、上第２始動口Ｐ１２５０、開閉ユニットＰ１２６０（羽根部材Ｐ１２６１）、上迂回路入口Ｐ１２７０、上迂回路出口Ｐ１２８０、上迂回路Ｐ１２９０、第２大入賞口Ｐ１３００、下アタッカユニットＰ１３１０（シャッタＰ１３１１）、下迂回路入口Ｐ１３２０、下迂回路出口Ｐ１３３０、下迂回路Ｐ１３４０、第１始動口Ｐ１３５０及び下第２始動口Ｐ１３６０等を具備する。
【１０６２】
図２８５から図２９０に示す台板Ｐ１２１０は、下アタッカ部Ｐ１１８０のベースとなる板状の部材である。台板Ｐ１２１０は、板面を前後方向に向けて配置される。台板Ｐ１２１０は、正面視で略Ｌ字状に形成される。台板Ｐ１２１０は、透明板ユニットＰ１１１０の右下部に配置される。台板Ｐ１２１０には、後述する第１始動口Ｐ１３５０が形成される。また、台板Ｐ１２１０には、前後方向に貫通する複数の孔が形成される。前記複数の孔の一部には、後述する羽根部材Ｐ１２６１や、シャッタＰ１３１１、通過ゲートスイッチＰ１２４１等の部材が設けられる。また、前記複数の孔の（その他の）一部は、後述する上迂回路入口Ｐ１２７０等を構成する。
【１０６３】
図２８１及び図２８５に示すカバーＰ１２２０は、下アタッカ部Ｐ１１８０の前側に位置する略板状の部材である。カバーＰ１２２０は、台板Ｐ１２１０に対応した形状に形成される。図２９１に示すように、カバーＰ１２２０は、後方へ立設される複数の壁部を有する。カバーＰ１２２０は、上記複数の壁部等により、後述する流路Ｐ１２３０を形成する。
【１０６４】
図２８６に示す流路Ｐ１２３０は、下アタッカ部Ｐ１１８０における遊技球の流路である。流路Ｐ１２３０は、遊技領域Ｐ１１２０に含まれる。流路Ｐ１２３０は、下アタッカ部Ｐ１１８０の上端部に形成された流路入口Ｐ１２３１から概ね左下方へ向けて、所定の経路を経由するよう、遊技球を案内可能に形成される。
【１０６５】
また、流路Ｐ１２３０は、カバーＰ１２２０の壁部（壁部Ｐ１２３２）により、大きく２つの領域に区画される。壁部Ｐ１２３２は、左右方向中央部よりも左側において、下アタッカ部Ｐ１１８０を上下方向に亘るように形成される。すなわち、流路Ｐ１２３０は、正面視で壁部Ｐ１２３２を挟んで、右側の領域と左側の領域とに区画される。流路Ｐ１２３０の右側の領域から左側の領域へは、後述する下迂回路Ｐ１３４０を介して遊技球が移動可能に構成される。
【１０６６】
図２８６、図２９１及び図２９２に示す通過ゲートＰ１２４０は、遊技球が通過することを条件に、普通図柄抽選の契機を与えるためのものである。通過ゲートＰ１２４０は、カバーＰ１２２０の壁部等により、遊技球が通過可能な通路状に形成される。図２８６に示すように、通過ゲートＰ１２４０は、流路入口Ｐ１２３１のすぐ下方に形成される。通過ゲートＰ１２４０のすぐ下方には、通過ゲートスイッチＰ１２４１が配置される。
【１０６７】
図２８１、図２８６、図２９１及び図２９２に示す上第２始動口Ｐ１２５０は、遊技球が入賞（入球）することを条件に、当り抽選の契機を与えるためのものである。上第２始動口Ｐ１２５０は、複数の壁部等により上方が開放された正面視で略箱状に形成される。上第２始動口Ｐ１２５０の上端部は、左右方向に比較的大きく開口されている。
【１０６８】
また、上第２始動口Ｐ１２５０は、通過ゲートＰ１２４０の下方に形成される。上第２始動口Ｐ１２５０の上下方向中途部には、上第２始動口カウントスイッチＰ１２５１が配置される。上第２始動口Ｐ１２５０の下端部（上第２始動口カウントスイッチＰ１２５１の下方）には、台板Ｐ１２１０を前後方向に貫通する回収口Ｐ１２５２が形成される。
【１０６９】
図２８９及び図２９０に示す開閉ユニットＰ１２６０は、羽根部材Ｐ１２６１を有すると共に、図示しないソレノイドによって羽根部材Ｐ１２６１を開閉動作可能に構成するものである。開閉ユニットＰ１２６０は、台板Ｐ１２１０の後面に固定される。
【１０７０】
図２８６、図２８９、図２９１及び図２９２に示す羽根部材Ｐ１２６１は、上第２始動口Ｐ１２５０を開閉するものである。羽根部材Ｐ１２６１は、板面を上下方向へ向けた略板状に形成される。より詳細には、羽根部材Ｐ１２６１は、右方から左方にいくに従って下がる傾斜状に形成される。羽根部材Ｐ１２６１は、上第２始動口Ｐ１２５０の上端部の開口を塞ぐように、長手方向を概ね左右方向へ向けて配置される。羽根部材Ｐ１２６１は、開閉ユニットＰ１２６０に設けられたソレノイドによって、遊技領域Ｐ１１２０よりも前方へ突出した状態と、遊技領域Ｐ１１２０よりも後方へ退避した状態と、に切り替え可能に構成される。羽根部材Ｐ１２６１は、前方に突出した状態で、上第２始動口Ｐ１２５０を閉状態とする。また、羽根部材Ｐ１２６１は、後方に退避した状態で、上第２始動口Ｐ１２５０を開状態とする。
【１０７１】
図２８６から図２８９に示す上迂回路入口Ｐ１２７０は、後述する上迂回路Ｐ１２９０への遊技球の入口となる孔である。上迂回路入口Ｐ１２７０は、透明板ユニットＰ１１１０の台板Ｐ１２１０を前後方向に貫通するように形成される。図２８６に示すように、上迂回路入口Ｐ１２７０は、羽根部材Ｐ１２６１の右側部分のすぐ上方に形成される。
【１０７２】
図２８６から図２８９に示す上迂回路出口Ｐ１２８０は、後述する上迂回路Ｐ１２９０からの遊技球の出口となる孔である。上迂回路出口Ｐ１２８０は、透明板ユニットＰ１１１０の台板Ｐ１２１０を前後方向に貫通するように形成される。図２８６に示すように、上迂回路出口Ｐ１２８０は、羽根部材Ｐ１２６１の左側部分のすぐ上方に形成される。
【１０７３】
なお、上迂回路入口Ｐ１２７０及び上迂回路出口Ｐ１２８０は、台板Ｐ１２１０において、一つの孔として形成される。そして、図２８６に示すように、カバーＰ１２２０の壁部等により正面視で右側と左側とに区画され、当該右側に区画された部分が上迂回路入口Ｐ１２７０として形成されている。また、当該左側に区画された部分が上迂回路出口Ｐ１２８０として形成されている。
【１０７４】
図２８６及び図２９０に示す上迂回路Ｐ１２９０は、遊技球を遊技領域Ｐ１１２０の裏側へ迂回させるものである。上迂回路Ｐ１２９０は、台板Ｐ１２１０の裏側に固定される所定の部材により形成される。上迂回路Ｐ１２９０は、遊技領域Ｐ１１２０の裏側を遊技球が流通するトンネル状に形成される。上迂回路Ｐ１２９０は、正面視で略矩形状に形成され、右上左下となる姿勢で配置される。上迂回路Ｐ１２９０の右端部は、上迂回路入口Ｐ１２７０に接続される。上迂回路Ｐ１２９０の左端部は、上迂回路出口Ｐ１２８０に接続される。
【１０７５】
図２８１、図２８６、図２９１及び図２９２に示す第２大入賞口Ｐ１３００は、遊技球が入賞（入球）することで、所定数の賞球を払い出すためのものである。第２大入賞口Ｐ１３００は、複数の壁部等により上方が開放された正面視で略箱状に形成される。第２大入賞口Ｐ１３００の上端部は、左右方向に比較的大きく開口されている。
【１０７６】
また、第２大入賞口Ｐ１３００は、上第２始動口Ｐ１２５０の左下方に形成される。第２大入賞口Ｐ１３００は、上第２始動口Ｐ１２５０と離間した位置に形成される。第２大入賞口Ｐ１３００の上下方向中途部には、第２大入賞口カウントスイッチＰ１３０１が配置される。第２大入賞口Ｐ１３００の下端部（第２大入賞口カウントスイッチＰ１３０１の下方）には、台板Ｐ１２１０を前後方向に貫通する回収口Ｐ１３０２が形成される。
【１０７７】
図２９０に示す下アタッカユニットＰ１３１０は、シャッタＰ１３１１を有すると共に、図示しないソレノイドによってシャッタＰ１３１１を開閉動作可能に構成するものである。下アタッカユニットＰ１３１０は、台板Ｐ１２１０の後面に固定される。
【１０７８】
図２８６、図２８９、図２９１及び図２９２に示すシャッタＰ１３１１は、第２大入賞口Ｐ１３００を開閉するものである。シャッタＰ１３１１は、板面を上下方向へ向けた略板状に形成される。シャッタＰ１３１１は、第２大入賞口Ｐ１３００の上端部の開口を塞ぐように、長手方向を概ね左右方向へ向けて配置される。シャッタＰ１３１１は、下アタッカユニットＰ１３１０に設けられたソレノイドによって、遊技領域Ｐ１１２０よりも前方へ突出した状態と、遊技領域Ｐ１１２０よりも後方へ退避した状態と、に切り替え可能に構成される。シャッタＰ１３１１は、前方に突出した状態で、第２大入賞口Ｐ１３００を閉状態とする。また、シャッタＰ１３１１は、後方に退避した状態で、第２大入賞口Ｐ１３００を開状態とする。
【１０７９】
図２８６から図２８９に示す下迂回路入口Ｐ１３２０は、後述する下迂回路Ｐ１３４０への遊技球の入口となる孔である。下迂回路入口Ｐ１３２０は、台板Ｐ１２１０を前後方向に貫通するように形成される。下迂回路入口Ｐ１３２０は、シャッタＰ１３１１の左下方に形成される。
【１０８０】
なお、下迂回路入口Ｐ１３２０の左方には、壁部Ｐ１２３２が形成される。すなわち、上述の如く通過ゲートＰ１２４０、上第２始動口Ｐ１２５０、開閉ユニットＰ１２６０（羽根部材Ｐ１２６１）、上迂回路入口Ｐ１２７０、上迂回路出口Ｐ１２８０、上迂回路Ｐ１２９０、第２大入賞口Ｐ１３００、下アタッカユニットＰ１３１０（シャッタＰ１３１１）及び下迂回路入口Ｐ１３２０は、壁部Ｐ１２３２により区画された流路Ｐ１２３０の右側の領域に形成される。
【１０８１】
図２８６から図２８９に示す下迂回路出口Ｐ１３３０は、後述する下迂回路Ｐ１３４０からの遊技球の出口となる孔である。下迂回路出口Ｐ１３３０は、台板Ｐ１２１０を前後方向に貫通するように形成される。下迂回路出口Ｐ１３３０は、台板Ｐ１２１０の左下部に形成される。下迂回路出口Ｐ１３３０は、上下方向位置が下迂回路入口Ｐ１３２０よりも下方に位置するように形成される。
【１０８２】
図２８６に示す下迂回路Ｐ１３４０は、遊技球を遊技領域Ｐ１１２０の裏側へ迂回させるものである。下迂回路Ｐ１３４０は、台板Ｐ１２１０の裏側に固定される所定の部材により形成される。後側案内部Ｐ１３４１の詳細については後述する。
【１０８３】
図２８１、図２８６から図２９０に示す第１始動口Ｐ１３５０は、遊技球が入賞（入球）することを条件に、当り抽選の契機を与えるためのものである。第１始動口Ｐ１３５０は、台板Ｐ１２１０の左下部であって、下迂回路出口Ｐ１３３０の上方に形成される。第１始動口Ｐ１３５０は、上方が開口された略箱状に形成される。第１始動口Ｐ１３５０の後側は、台板Ｐ１２１０に形成された切欠部と接続される。第１始動口Ｐ１３５０には、図示しない第１始動口カウントスイッチが設けられる。
【１０８４】
図２８１、図２８６、図２９１及び図２９２に示す下第２始動口Ｐ１３６０は、遊技球が入賞（入球）することを条件に、当り抽選の契機を与えるためのものである。下第２始動口Ｐ１３６０は、下迂回路出口Ｐ１３３０のすぐ下方に形成される。下第２始動口Ｐ１３６０は、上側が開放された略箱状に形成される。下第２始動口Ｐ１３６０の後側は、台板Ｐ１２１０を前後方向に貫通するように形成された孔と接続される。下第２始動口Ｐ１３６０には、図示しない下第２始動口カウントスイッチが設けられる。
【１０８５】
こうして、下迂回路出口Ｐ１３３０、第１始動口Ｐ１３５０及び下第２始動口Ｐ１３６０は、壁部Ｐ１２３２により区画された流路Ｐ１２３０の左側の領域に形成される。より詳細には、下迂回路出口Ｐ１３３０、第１始動口Ｐ１３５０及び下第２始動口Ｐ１３６０は、壁部Ｐ１２３２から左方に離間した位置に形成される。なお、下迂回路出口Ｐ１３３０、第１始動口Ｐ１３５０及び下第２始動口Ｐ１３６０付近の部材の位置関係の詳細は後述する。
【１０８６】
また、下迂回路Ｐ１３４０は、遊技領域Ｐ１１２０の裏側で、壁部Ｐ１２３２を左右方向に跨ぐように、すなわち流路Ｐ１２３０の右側の領域と左側の領域とに亘るように形成される。以下では、図２９３から図２９５を用いて、下迂回路Ｐ１３４０の後側案内部Ｐ１３４１の詳細について説明する。
【１０８７】
図２９３から図２９５に示す後側案内部Ｐ１３４１は、下迂回路Ｐ１３４０において下迂回路入口Ｐ１３２０から下迂回路出口Ｐ１３３０へと遊技球を案内する部材である。後側案内部Ｐ１３４１は、台板Ｐ１２１０の後面に固定される。後側案内部Ｐ１３４１は、長手状に形成される。後側案内部Ｐ１３４１は、正面視で長手方向を右上左下へ向けた若干傾斜した姿勢で配置される。後側案内部Ｐ１３４１は、前側が開口された略箱状に形成される。後側案内部Ｐ１３４１の底板Ｐ１３４３（下側面）の上面は、遊技球が転動可能に形成される。後側案内部Ｐ１３４１は、第一傾斜部Ｐ１３４４、第二傾斜部Ｐ１３４５、右側ガイド部Ｐ１３４６及び左側ガイド部Ｐ１３４７を具備する。
【１０８８】
第一傾斜部Ｐ１３４４は、底板Ｐ１３４３のうち上面が左下方に傾斜している部分である。第一傾斜部Ｐ１３４４は、底板Ｐ１３４３の右端部から左端部近傍に亘るように形成される。
【１０８９】
第二傾斜部Ｐ１３４５は、底板Ｐ１３４３のうち上面が前下方に傾斜している部分である。第二傾斜部Ｐ１３４５は、底板Ｐ１３４３の左端部に形成される。第二傾斜部Ｐ１３４５は、第一傾斜部Ｐ１３４４の左方に当該第一傾斜部Ｐ１３４４と左右方向に連続するように形成される。第二傾斜部Ｐ１３４５と第一傾斜部Ｐ１３４４との接続部分には、上下方向に段差が設けられる。第二傾斜部Ｐ１３４５は、底板Ｐ１３４３の上面において他の部分と比べて最も高さが低くなるように形成される。第二傾斜部Ｐ１３４５の前端部は、第一傾斜部Ｐ１３４４の前端部よりも前方に突出するように形成される。
【１０９０】
右側ガイド部Ｐ１３４６は、後側案内部Ｐ１３４１内において、遊技球を左下方へ向けて案内するための部分である。右側ガイド部Ｐ１３４６は、斜辺となる面を左前方に向けた平面視略直角三角形状に形成される。右側ガイド部Ｐ１３４６は、第一傾斜部Ｐ１３４４の右後端部に形成される。
【１０９１】
左側ガイド部Ｐ１３４７は、後側案内部Ｐ１３４１内において、遊技球を前方へ向けて案内するための部分である。左側ガイド部Ｐ１３４７は、斜辺となる面を右前方に向けた平面視略直角三角形状に形成される。左側ガイド部Ｐ１３４７は、第二傾斜部Ｐ１３４５の左端部に形成される。
【１０９２】
こうして、下迂回路Ｐ１３４０は、遊技領域Ｐ１１２０の裏側で、壁部Ｐ１２３２を左右方向に跨ぐように、すなわち流路Ｐ１２３０の右側の領域と左側の領域とに亘るように形成される。
【１０９３】
以下では、図２９６を用いて、第１始動口Ｐ１３５０、下迂回路出口Ｐ１３３０及び下第２始動口Ｐ１３６０付近の部材の位置関係の詳細について説明する。なお以下では便宜上、第１始動口Ｐ１３５０、下迂回路出口Ｐ１３３０及び下第２始動口Ｐ１３６０を、「３つの口」と称する場合がある。
【１０９４】
図２９６に示すように、３つの口は、上下方向に略隙間無く連続するように配置される。具体的には、３つの口においては、第１始動口Ｐ１３５０、下迂回路出口Ｐ１３３０及び下第２始動口Ｐ１３６０が、上側から下側に順番に配置される。３つの口の上方には、ステージＰ１１５０、より詳細にはステージＰ１１５０の下方へ凹んだ左右中央部（以下では「ステージ中央部Ｐ１１５１」と称する）が配置される。
【１０９５】
また、３つの口は、下アタッカ部Ｐ１１８０の壁部Ｐ１２３２から左方に離間した位置に配置される。具体的には、３つの口は、壁部Ｐ１２３２から左方に、少なくとも遊技球の外径以上の幅をあけて配置される。３つの口と壁部Ｐ１２３２との間には、遊技領域Ｐ１１２０が形成される。また、３つの口と壁部Ｐ１２３２との間の、遊技領域Ｐ１１２０の後側には、下迂回路Ｐ１３４０（後側案内部Ｐ１３４１）が配置される。また、３つの口と下アタッカ部Ｐ１１８０との間の上方には、ステージＰ１１５０、より詳細にはステージＰ１１５０のうち、下方へ凹んだ右部（以下では「ステージ右部Ｐ１１５２」と称する）が配置される。
【１０９６】
また、３つの口は、一般入賞口ユニットＰ１１６０から右方に離間した位置に配置される。具体的には、３つの口は、一般入賞口ユニットＰ１１６０から右方に、少なくとも遊技球の外径以上の幅をあけて配置される。３つの口と一般入賞口ユニットＰ１１６０との間には、遊技領域Ｐ１１２０が形成される。また、３つの口と下アタッカ部Ｐ１１８０との間の上方には、ステージＰ１１５０、より詳細にはステージＰ１１５０のうち、下方へ凹んだ左部（以下では「ステージ左部Ｐ１１５３」と称する）が配置される。
【１０９７】
以下では、図２９７から図３０１を用いて、遊技における遊技球の主たる流れについて説明する。なお、図２９７から図３０１に示す黒太線（実線及び点線）の矢印は、遊技球の流れの一例を示している。また、図２９７に示す黒太線の点線の矢印は、ワープ通路Ｐ１１４０における遊技球の流れの一例を示している。また、図２９８から図３０１に示す黒太線の点線の矢印は、各種の迂回路における遊技球の流れ（遊技領域Ｐ１１２０の裏側における遊技球の流れ）の一例を示している。
【１０９８】
図２９７に示すように、図２６３等に示す発射装置９０８０から発射された遊技球は、球発射通路Ｐ１１３０により遊技領域Ｐ１１２０へ案内される。そして、打ち出された遊技球の勢いに応じて、開口領域１ｄよりも左側の領域、あるいは、開口領域１ｄよりも右側の領域を流れていく。なお便宜上、図示を省略しているが、遊技領域Ｐ１１２０には多数の遊技釘が設けられている。こうして、遊技領域Ｐ１１２０へと案内された遊技球は、繰り返し遊技釘に衝突して種々の方向へ跳ね返りながら、当該遊技領域Ｐ１１２０を落下していく。
【１０９９】
遊技球が開口領域１ｄよりも左側の遊技領域Ｐ１１２０を落下する場合（いわゆる左打ちが行われた場合）、一部の遊技球は、ワープ通路Ｐ１１４０の内部に入り込み、当該ワープ通路Ｐ１１４０によりステージＰ１１５０へ案内される。ステージＰ１１５０へ案内された遊技球は、後述するように、ステージＰ１１５０の左右中央部、左部及び右部のいずれかから下方（下側の遊技領域Ｐ１１２０）へと落下する。
【１１００】
また、遊技球が開口領域１ｄよりも右側の遊技領域Ｐ１１２０を落下する場合（いわゆる右打ちが行われた場合）、遊技球は、まず上アタッカ部Ｐ１１７０へ案内される。
【１１０１】
図２９８に示すように、上アタッカ部Ｐ１１７０へ案内された遊技球は、流路入口Ｐ１１７２ａから上アタッカ部Ｐ１１７０の内部に流入する。そして、遊技球は、迂回路入口Ｐ１１７３から迂回路Ｐ１１７５へ案内され、当該迂回路Ｐ１１７５（すなわち、遊技領域Ｐ１１２０の裏側）を転動する。次に、迂回路Ｐ１１７５を転動した遊技球は、迂回路出口Ｐ１１７４から再び遊技領域Ｐ１１２０へ戻され、シャッタＰ１１７７を転動する。なおこの際、シャッタＰ１１７７が開状態になれば、遊技球は第１大入賞口Ｐ１１７６に入賞する。また、シャッタＰ１１７７を転動した遊技球は、下方へ落下し、流路出口Ｐ１１７２ｂから上アタッカ部Ｐ１１７０の外部へ排出される。そして、上アタッカ部Ｐ１１７０の外部へ排出された遊技球は、下アタッカ部Ｐ１１８０へ案内される。
【１１０２】
図２９９及び図３００に示すように、下アタッカ部Ｐ１１８０へ案内された遊技球は、流路入口Ｐ１２３１から下アタッカ部Ｐ１１８０の内部へ流入する。そして、遊技球は、下アタッカ部Ｐ１１８０の内部を落下していき、上第２始動口Ｐ１２５０の箇所で２方向へ振り分けられる（黒太矢印Ｒ１ａ及びＲ１ｂ参照）。そして、黒太矢印Ｒ１ａに示す左方向に振り分けられた遊技球は、羽根部材Ｐ１２６１を転動する共に、途中で上迂回路入口Ｐ１２７０から上迂回路Ｐ１２９０へ案内され、当該上迂回路Ｐ１２９０（すなわち、遊技領域Ｐ１１２０の裏側）を転動する。そして、上迂回路Ｐ１２９０を転動した遊技球は、上迂回路出口Ｐ１２８０から再び遊技領域Ｐ１１２０へ戻され、羽根部材Ｐ１２６１を転動する。なおこの際、羽根部材Ｐ１２６１が開状態になれば、遊技球は上第２始動口Ｐ１２５０に入球する。
【１１０３】
そして、羽根部材Ｐ１２６１を転動した遊技球は、落下していき、第２大入賞口Ｐ１３００の箇所で２方向へ振り分けられる（黒太矢印Ｒ２ａ及びＲ２ｂ参照）。そして、黒太矢印Ｒ２ａに示す左方向に振り分けられた遊技球は、シャッタＰ１３１１を転動する。なおこの際、シャッタＰ１３１１が開状態になれば、遊技球は第２大入賞口Ｐ１３００に入賞する。そして、シャッタＰ１３１１を転動した遊技球は、下迂回路入口Ｐ１３２０から下迂回路Ｐ１３４０（遊技盤Ｐ１１００の背面方向）へ案内され、当該下迂回路Ｐ１３４０の後側案内部Ｐ１３４１（すなわち、遊技領域Ｐ１１２０の裏側）を転動する。そして、下迂回路Ｐ１３４０を転動した遊技球は、下迂回路出口Ｐ１３３０から再び遊技領域Ｐ１１２０側（遊技盤Ｐ１１００の前面方向）へ戻される。
【１１０４】
上述の如く、下迂回路出口Ｐ１３３０のすぐ下方には、下第２始動口Ｐ１３６０が配置されている。したがって、図３０１に示すように、遊技球が下迂回路出口Ｐ１３３０から再び遊技領域Ｐ１１２０側へ戻された場合、黒太矢印Ｒ３に示すように、当該遊技球は下第２始動口Ｐ１３６０に容易に入球されることとなる。
【１１０５】
なお、下迂回路出口Ｐ１３３０及び下第２始動口Ｐ１３６０には、右側の遊技領域Ｐ１１２０から流れてきた遊技球（すなわち、下アタッカ部Ｐ１１８０から下迂回路Ｐ１３４０を介して流れてきた遊技球）だけでなく、左側の遊技領域Ｐ１１２０から流れてきた遊技球も落下してくる。例えば、ステージＰ１１５０を転動した遊技球が落下してくる。
【１１０６】
具体的には、図３０１に示すように、ステージＰ１１５０のステージ左部Ｐ１１５３から落下した遊技球は、黒太矢印Ｒ４に示すように、第１始動口Ｐ１３５０、下迂回路出口Ｐ１３３０及び下第２始動口Ｐ１３６０の左方を落下していく。また、ステージＰ１１５０のステージ右部Ｐ１１５２から落下した遊技球は、黒太矢印Ｒ５に示すように、第１始動口Ｐ１３５０、下迂回路出口Ｐ１３３０及び下第２始動口Ｐ１３６０の右方（すなわち、３つの口と壁部Ｐ１２３２との間の領域）を落下していく。
【１１０７】
また、ステージＰ１１５０のステージ中央部Ｐ１１５１から落下した遊技球は、黒太矢印Ｒ６に示すように、真下方に配置された第１始動口Ｐ１３５０へと落下していく。そして、当該落下した遊技球は、図示しない遊技釘の間をすり抜けることができれば、第１始動口Ｐ１３５０に入賞することとなる。
【１１０８】
また、また、ステージ中央部Ｐ１１５１から落下した遊技球であっても、例えば図示しない遊技釘に衝突した場合、例えば黒太矢印Ｒ６ｂに示すように左方へと弾かれ、前記３つの口（第１始動口Ｐ１３５０、下迂回路出口Ｐ１３３０及び下第２始動口Ｐ１３６０）と一般入賞口ユニットＰ１１６０との間の遊技領域Ｐ１１２０を落下していく。
【１１０９】
また、ステージ中央部Ｐ１１５１から落下した遊技球であっても、図示しない遊技釘に衝突した場合、例えば黒太矢印Ｒ６ａに示すように右方へと弾かれ、前記３つの口（第１始動口Ｐ１３５０、下迂回路出口Ｐ１３３０及び下第２始動口Ｐ１３６０）と壁部Ｐ１２３２との間の遊技領域Ｐ１１２０を落下していく。
【１１１０】
このように、前記３つの口と壁部Ｐ１２３２との間の遊技領域Ｐ１１２０においては、右打ちを行った場合の遊技球が右方から左方へと流れてくるにもかかわらず、当該遊技球が遊技領域Ｐ１１２０の裏側で下迂回路Ｐ１３４０を転動してくるため、上方から落下してくる遊技球（黒太矢印Ｒ５及びＲ６ａ参照）との衝突を防止することができる。すなわち、２つの方向（右方向及び下方向）に遊技球が転動する領域を正面視で重複させることができるため、遊技球の転動領域の省スペース化を図ることができ、例えば複数の入賞口を形成することができる等、遊技部品の配置スペースを確保し易くすることができる。
また、下迂回路出口Ｐ１３３０の左右にも遊技領域Ｐ１２２０を確保できるので、下迂回路出口Ｐ１３３０から排出してくる遊技球を一律に下第２始動口Ｐ１３６０へ導くのではなく、下第２始動口Ｐ１３６０へ入賞しないハズレ球を発生させることもでき、遊技性を高めることができる。
【１１１１】
以上の実施形態に基づき、本発明の概要を以下に列挙する。
【１１１２】
従来、遊技盤の右側に打ち出された遊技球を大入賞口へと導く誘導路を有する大入賞口ユニットを備えた遊技機が開示されている。例えば、特開２０１７−３５１７６号公報に記載の如くである。
【１１１３】
しかしながら、大入賞口は入賞領域を広く確保する必要があるために比較的大型に形成されることが多く、大入賞口の近傍に他の入賞口を形成しようとしても配置スペースが確保しにくい問題点があった。
【１１１４】
本発明は、上記問題に鑑みてなされたものであり、入賞口の配置スペースを確保し易くすることができる遊技機を提供することを目的とする。
【１１１５】
以上の如く、第１０実施形態に係る遊技機は、
前面側に遊技球が転動可能な遊技領域Ｐ１１２０を有する遊技盤Ｐ１１００を備えた遊技機であって、
前記遊技盤Ｐ１１００は、
前記遊技領域Ｐ１１２０に設けられた第１の入賞口（第１始動口Ｐ１３５０）と、
前記遊技盤の前面側に設けられ遊技球が転動可能な第１の球通路（例えば、上アタッカ部Ｐ１１７０の流路Ｐ１１７２や、下アタッカ部Ｐ１１８０の流路Ｐ１２３０）と、
前記第１の球通路の下流側に設けられ、遊技球を前記遊技盤Ｐ１１００の背面方向に誘導する流入口（下迂回路入口Ｐ１３２０）と、
前記流入口（下迂回路入口Ｐ１３２０）から流入した遊技球が転動可能な第２の球通路（下迂回路Ｐ１３４０）と、
前記第２の球通路（下迂回路Ｐ１３４０）の下流側に設けられ、遊技球を前記遊技盤Ｐ１１００の前面方向に誘導する排出口（下迂回路出口Ｐ１３３０）と、
前記遊技領域Ｐ１１２０に設けられ前記排出口（下迂回路出口Ｐ１３３０）の下方に設けられた第２の入賞口（下第２始動口Ｐ１３６０）と、を備え、
前記第２の入賞口（下第２始動口Ｐ１３６０）は、前記第１の入賞口（第１始動口Ｐ１３５０）の下方に設けられており、
前記第１の入賞口（第１始動口Ｐ１３５０）の左右には、前記第１の入賞口（第１始動口Ｐ１３５０）に流入しなかった遊技球が下方へ転動可能な遊技領域Ｐ１１２０が形成されており、
前記第１の入賞口（第１始動口Ｐ１３５０）の左右に形成された遊技領域Ｐ１１２０うち、少なくともいずれか一方の遊技領域は、前記第２の球通路（下迂回路Ｐ１３４０）の遊技盤前面側に形成されていることを特徴とする。
【１１１６】
このような構成によれば、入賞口の配置スペースを確保し易くすることができる。
【１１１７】
以上、本発明の第一実施形態を説明したが、本発明は上記構成に限定されるものではなく、特許請求の範囲に記載された発明の範囲内で種々の変更が可能である。
【１１１８】
例えば、本実施系形態においては、「第１の入賞口」を第１始動口Ｐ１３５０とし、「第２の入賞口」を下第２始動口Ｐ１３６０としたが、これに限定するものではない。
【１１１９】
また、後側案内部Ｐ１３４１の構成は、本実施形態に係るものに限定されない。例えば後側案内部Ｐ１３４１は、正面視で湾曲や屈曲するような形状を有する等、種々の構成が想定される。
【１１２０】
以下では、図３０２から図３２１を用いて、上部可動演出役物Ｐ２０００及び上部役物昇降機構Ｐ２３００について説明する。
【１１２１】
［上部可動演出役物Ｐ２０００］
上部可動演出役物Ｐ２０００は、移動することで演出を行うものである。具体的には、上部可動演出役物Ｐ２０００は、後述する第一演出部Ｐ２１１０及び第二演出部Ｐ２１２０を用いて演出を行う。なお、詳細は後述するが、上部可動演出役物Ｐ２０００は左右方向に延びる軸線回りに回動して演出を行うものであるが、以下では、瞳装飾体Ｐ２１１３の表面（第１の演出面）を前方に向けた状態を基準に説明を行う。
【１１２２】
上部可動演出役物Ｐ２０００は、略直方体状に形成される。上部可動演出役物Ｐ２０００は、長手方向を左右に向けて配置される。上部可動演出役物Ｐ２０００は、主として第一演出部Ｐ２１１０、第二演出部Ｐ２１２０、被昇降部Ｐ２１４０及び駆動機構Ｐ２２００を具備する。
【１１２３】
［第一演出部Ｐ２１１０］
図３０２から図３０４及び図３０８等に示す第一演出部Ｐ２１１０は、適宜の装飾が施されており、移動されることによって演出を行うものである。具体的には、第一演出部Ｐ２１１０は、人の左右両側の瞳及び眉を模した装飾が施されている。第一演出部Ｐ２１１０は、上部可動演出役物Ｐ２０００の前面に設けられる。第一演出部Ｐ２１１０は、主として眉可動体Ｐ２１１１、可動体支持アームＰ２１１２、瞳装飾体Ｐ２１１３、役物電飾基板Ｐ２１１４、後部カバーＰ２１１５、アウターレンズＰ２１１６、拡散シートＰ２１１７、導光レンズＰ２１１８及びインナーレンズＰ２１１９を具備する。
【１１２４】
図３０２から図３０４及び図３０８に示す眉可動体Ｐ２１１１は、演出を行う際に可動する部分である。眉可動体Ｐ２１１１は、人の眉を模した形状に形成されている。眉可動体Ｐ２１１１は、第一演出部Ｐ２１１０の前部に左右一対設けられる。左側の眉可動体Ｐ２１１１は、長手方向が右下がりとなるように設けられる。右側の眉可動体Ｐ２１１１は、長手方向が左下がりとなるように設けられる。左右の眉可動体Ｐ２１１１は、互いに左右対称となるように設けられる。眉可動体Ｐ２１１１の後部には、眉軸部Ｐ２１１１ａが設けられる（図３０４参照）。眉軸部Ｐ２１１１ａは、軸線を前後方向に向けて、眉可動体Ｐ２１１１から後方に延びるように設けられる。
【１１２５】
図３０４に示す可動体支持アームＰ２１１２は、眉可動体Ｐ２１１１を支持するものである。可動体支持アームＰ２１１２は、アーム状に形成される。可動体支持アームＰ２１１２は、眉可動体Ｐ２１１１の後方に左右一対設けられる。左側の可動体支持アームＰ２１１２は、長手方向が右下がりとなるように設けられる。右側の可動体支持アームＰ２１１２は、長手方向が左下がりとなるように設けられる。左右の可動体支持アームＰ２１１２は、互いに左右対称となるように設けられる。以下では左側の可動体支持アームＰ２１１２について説明を行い、右側の可動体支持アームＰ２１１２については説明を省略する。
【１１２６】
可動体支持アームＰ２１１２の前面には、挿通孔（不図示）が形成されている。前記挿通孔は、可動体支持アームＰ２１１２の左端部近傍に設けられる。前記挿通孔には、眉可動体Ｐ２１１１の眉軸部Ｐ２１１１ａが挿通される。
【１１２７】
また、可動体支持アームＰ２１１２の後面には、アーム軸部Ｐ２１１２ａが形成されている。アーム軸部Ｐ２１１２ａは、可動体支持アームＰ２１１２の右端部近傍に設けられる。アーム軸部Ｐ２１１２ａは、軸線を前後方向に向けて、可動体支持アームＰ２１１２の後面から後方に延びるように設けられている。アーム軸部Ｐ２１１２ａは、後述する駆動機構Ｐ２２００に支持されている。
【１１２８】
このようにして、可動体支持アームＰ２１１２は、眉可動体Ｐ２１１１を眉軸部Ｐ２１１１ａ回りに回動可能に支持する。
【１１２９】
図３０２から図３０４及び図３０８に示す瞳装飾体Ｐ２１１３は、第一演出部Ｐ２１１０の前面を構成する部分である。瞳装飾体Ｐ２１１３は、正面視略矩形状に形成される。瞳装飾体Ｐ２１１３は、長手方向を左右方向に向けて、眉可動体Ｐ２１１１の後方に設けられる。瞳装飾体Ｐ２１１３には、瞳貫通孔Ｐ２１１３ａが形成される（図３０４参照）。瞳貫通孔Ｐ２１１３ａは、正面視において人の瞳を模した形状に形成される。瞳貫通孔Ｐ２１１３ａは左右一対形成され、左右の瞳貫通孔Ｐ２１１３ａは互いに左右対称となるように形成される。瞳装飾体Ｐ２１１３の表面（前面）が、本発明に係る「第１の演出面」を構成する。
【１１３０】
図３０４に示す役物電飾基板Ｐ２１１４は、略矩形板状に形成される。役物電飾基板Ｐ２１１４は、その板面を前後に向けると共に、長手方向を左右に向けて設けられる。役物電飾基板Ｐ２１１４の前面には、当該役物電飾基板Ｐ２１１４の左右略全域に亘って複数のＬＥＤ（不図示）が設けられる。当該ＬＥＤを発光させることで、役物電飾基板Ｐ２１１４の前方へと光を照射することができる。
【１１３１】
図３０４に示す後部カバーＰ２１１５は、第一演出部Ｐ２１１０の後部を構成する部分である。後部カバーＰ２１１５は、正面視略矩形状に形成される。後部カバーＰ２１１５は、長手方向を左右方向に向けて役物電飾基板Ｐ２１１４の後方に設けられ、役物電飾基板Ｐ２１１４を支持する。
【１１３２】
瞳装飾体Ｐ２１１３と役物電飾基板Ｐ２１１４との間には、アウターレンズＰ２１１６、拡散シートＰ２１１７、導光レンズＰ２１１８及びインナーレンズＰ２１１９が、前から順に設けられる（図３０４参照）。これらアウターレンズＰ２１１６等は、瞳装飾体Ｐ２１１３の瞳貫通孔Ｐ２１１３ａに対応する位置に、左右一対設けられる。これらアウターレンズＰ２１１６等が設けられることにより、役物電飾基板Ｐ２１１４の前記ＬＥＤから光を照射することで、瞳貫通孔Ｐ２１１３ａが形成された部分を全体的に光らせることができる。
【１１３３】
［第二演出部Ｐ２１２０］
図３０５及び図３０６に示す第二演出部Ｐ２１２０は、適宜の装飾が施されており、移動されることによって演出を行うものである。具体的には、第二演出部Ｐ２１２０は、人の左右片側の瞳及び眉を模した装飾が施されている。第二演出部Ｐ２１２０は、上部可動演出役物Ｐ２０００の下面に設けられる。第二演出部Ｐ２１２０は、主として眉装飾体Ｐ２１２１、役物電飾基板Ｐ２１２２、導光レンズＰ２１２３、上部カバーＰ２１２４及び瞳可動体ユニットＰ２１３０を具備する。
【１１３４】
図３０５及び図３０６に示す眉装飾体Ｐ２１２１は、第二演出部Ｐ２１２０の下面を構成する部分である。眉装飾体Ｐ２１２１は、底面視略矩形状に形成される。眉装飾体Ｐ２１２１は、長手方向を左右方向に向けて、第二演出部Ｐ２１２０の下部に設けられる。眉装飾体Ｐ２１２１は、底面視において人の左右片側の眉を模した形状に形成される。眉装飾体Ｐ２１２１の表面（下面）が、本発明に係る「第２の演出面」を構成する。
【１１３５】
図３０６に示す役物電飾基板Ｐ２１２２は、略矩形板状に形成される。役物電飾基板Ｐ２１２２は、その板面を上下に向けると共に、長手方向を左右に向けて設けられる。役物電飾基板Ｐ２１２２の下面には、当該役物電飾基板Ｐ２１２２の左右略全域に亘って複数のＬＥＤ（不図示）が設けられる。当該ＬＥＤを発光させることで、眉装飾体Ｐ２１２１側へと光を照射することができる。
【１１３６】
眉装飾体Ｐ２１２１と役物電飾基板Ｐ２１２２との間には、導光レンズＰ２１２３が設けられる（図３０６参照）。導光レンズＰ２１２３が設けられることにより、役物電飾基板Ｐ２１２２の前記ＬＥＤから光を照射することで、眉装飾体Ｐ２１２１を全体的に光らせることができる。
【１１３７】
図３０６に示す上部カバーＰ２１２４は、第二演出部Ｐ２１２０の上部を構成する部分である。上部カバーＰ２１２４は、底面視略矩形状に形成される。上部カバーＰ２１２４は、長手方向を左右方向に向けて役物電飾基板Ｐ２１２２の上方に設けられ、役物電飾基板Ｐ２１２２を支持する。
【１１３８】
図３０６及び図３０７に示す瞳可動体ユニットＰ２１３０は、演出を行う際に可動する部分である。瞳可動体ユニットＰ２１３０は、上部カバーＰ２１２４の上方に左右一対設けられる。瞳可動体ユニットＰ２１３０は、瞳可動体Ｐ２１３１、電飾基板Ｐ２１３２及び導光レンズＰ２１３３を具備する。なお、左右の瞳可動体ユニットＰ２１３０は、互いに概ね左右対称となるように形成される。このため、以下では、左側の瞳可動体ユニットＰ２１３０について説明を行い、右側の瞳可動体ユニットＰ２１３０については説明を省略する。
【１１３９】
図３０６及び図３０７に示す瞳可動体Ｐ２１３１は、底面視において人の左右片側の瞳の一部（半部）を模した形状に形成されている。瞳可動体Ｐ２１３１は、瞳可動体ユニットＰ２１３０の最も下側に設けられる。
【１１４０】
図３０７に示す電飾基板Ｐ２１３２は、略矩形板状に形成される。電飾基板Ｐ２１３２は、瞳可動体Ｐ２１３１の上方において、その板面を上下に向けて設けられる。電飾基板Ｐ２１３２の下面には、当該電飾基板Ｐ２１３２の左右略全域に亘って複数のＬＥＤ（不図示）が設けられる。当該ＬＥＤを発光させることで、電飾基板Ｐ２１３２の下方へと光を照射することができる。
【１１４１】
瞳可動体Ｐ２１３１と電飾基板Ｐ２１３２との間には、導光レンズＰ２１３３が設けられる（図３０７参照）。導光レンズＰ２１３３が設けられることにより、電飾基板Ｐ２１３２の前記ＬＥＤから光を照射することで、瞳可動体Ｐ２１３１を全体的に光らせることができる。
【１１４２】
瞳可動体Ｐ２１３１、電飾基板Ｐ２１３２及び導光レンズＰ２１３３は、互いに固定されてユニット化されている。なお、左側の瞳可動体ユニットＰ２１３０には、後述する左瞳カバーＰ２２３１も固定されている（図３０７参照）。また、右側の瞳可動体ユニットＰ２１３０には、後述する右瞳カバーＰ２２３２も固定されている（図３０７参照）。
【１１４３】
［被昇降部Ｐ２１４０］
図３０３、図３０５及び図３０８に示す被昇降部Ｐ２１４０は、後述する上部役物昇降機構Ｐ２３００によって昇降される部分である。被昇降部Ｐ２１４０は、第一演出部Ｐ２１１０及び第二演出部Ｐ２１２０と、後述する上部役物昇降機構Ｐ２３００との間に介在するように設けられる。被昇降部Ｐ２１４０は、主としてベース部材Ｐ２１４１、左取付軸部材Ｐ２１４２、右取付軸部材Ｐ２１４３、左取付ガイドＰ２１４４、右取付ガイドＰ２１４５、左キャリッジＰ２１４６及び右キャリッジＰ２１４７を具備する。
【１１４４】
図３０３及び図３０８等に示すベース部材Ｐ２１４１は、被昇降部Ｐ２１４０の左右中央部を構成するものである。ベース部材Ｐ２１４１は、第一演出部Ｐ２１１０及び第二演出部Ｐ２１２０の後方において左右方向に延びて、その左右両端が前方に屈曲するように形成される。ベース部材Ｐ２１４１の左右幅は、第一演出部Ｐ２１１０及び第二演出部Ｐ２１２０と略同じとなるように形成される。
【１１４５】
図３０８及び図３０９に示す左取付軸部材Ｐ２１４２は、上部可動演出役物Ｐ２０００の左側の回動軸（後述する挿通部材Ｐ２２１３）を取り付けるものである。左取付軸部材Ｐ２１４２は、ベース部材Ｐ２１４１の左端部に固定される。
【１１４６】
図３０８及び図３１０に示す右取付軸部材Ｐ２１４３は、上部可動演出役物Ｐ２０００の右側の回動軸（後述する回動軸Ｐ２１４３ａ）を取り付けるものである。右取付軸部材Ｐ２１４３は、ベース部材Ｐ２１４１の右端部に固定される。右取付軸部材Ｐ２１４３には、回動軸Ｐ２１４３ａが設けられる。回動軸Ｐ２１４３ａは、軸線を左右方向に向けて、右取付軸部材Ｐ２１４３から左方に延びるように設けられる。回動軸Ｐ２１４３ａは、ベース部材Ｐ２１４１の右端部に設けられた貫通孔に挿通される。
【１１４７】
図３０８及び図３０９に示す左取付ガイドＰ２１４４は、後述する左キャリッジＰ２１４６を左取付軸部材Ｐ２１４２に取り付けるための部材である。左取付ガイドＰ２１４４は、左取付軸部材Ｐ２１４２の左側に固定される。左取付ガイドＰ２１４４には、軸孔Ｐ２１４４ａ及び長孔Ｐ２１４４ｂが形成される。
【１１４８】
図３０９に示す軸孔Ｐ２１４４ａは、左取付ガイドＰ２１４４の上端部近傍を前後方向に貫通するように形成される。
【１１４９】
図３０９に示す長孔Ｐ２１４４ｂは、延伸方向を略左右方向に向けて、軸孔Ｐ２１４４ａの下方に設けられる。長孔Ｐ２１４４ｂは、正面視において後述する第一ピンＰ２１４６ａを中心とする円弧状に形成される。
【１１５０】
図３０８及び図３１０に示す右取付ガイドＰ２１４５は、後述する右キャリッジＰ２１４７を右取付軸部材Ｐ２１４３に取り付けるための部材である。右取付ガイドＰ２１４５は、右取付軸部材Ｐ２１４３の右側に固定される。
【１１５１】
図３０２、図３０３及び図３０８に示す左キャリッジＰ２１４６は、後述する上部役物昇降機構Ｐ２３００（左側案内部Ｐ２３１０）に取り付けられる部分である。左キャリッジＰ２１４６は、左取付ガイドＰ２１４４に固定される。左キャリッジＰ２１４６は、左側案内部Ｐ２３１０に沿って上下に移動可能に形成される。左キャリッジＰ２１４６には、第一ピンＰ２１４６ａ及び第二ピンＰ２１４６ｂが設けられる。
【１１５２】
第一ピンＰ２１４６ａ及び第二ピンＰ２１４６ｂはともに、左キャリッジＰ２１４６から前方に延びるように設けられる。第一ピンＰ２１４６ａは第二ピンＰ２１４６ｂの上方に設けられる。第一ピンＰ２１４６ａは軸孔Ｐ２１４４ａに挿通され、第二ピンＰ２１４６ｂは長孔Ｐ２１４４ｂに挿通される（図３０９参照）。
【１１５３】
図３０２、図３０３及び図３０８に示す右キャリッジＰ２１４７は、後述する上部役物昇降機構Ｐ２３００（右側案内部Ｐ２３２０）に取り付けられる部分である。右キャリッジＰ２１４７は、右取付ガイドＰ２１４５に固定される。右キャリッジＰ２１４７は、右側案内部Ｐ２３２０に沿って上下に移動可能に形成される。右キャリッジＰ２１４７には、押さえ部材Ｐ２１４７ａが設けられている。
【１１５４】
図３０８に示す押さえ部材Ｐ２１４７ａは、右取付ガイドＰ２１４５の前方への移動を規制するものである。押さえ部材Ｐ２１４７ａは、正面視略Ｌ字状に形成される。より詳細には、押さえ部材Ｐ２１４７ａは、上下方向に延びる部分と、当該部分の下端から左方に延びる部分とにより構成される。押さえ部材Ｐ２１４７ａは、右取付ガイドＰ２１４５の前方に設けられる。
【１１５５】
［駆動機構Ｐ２２００］
駆動機構Ｐ２２００は、第一演出部Ｐ２１１０及び第二演出部Ｐ２１２０を駆動させるものである。駆動機構Ｐ２２００は、役物回転駆動部Ｐ２２１０、眉回転駆動部Ｐ２２２０及び瞳回転駆動部Ｐ２２３０を具備する。
【１１５６】
［役物回転駆動部Ｐ２２１０］
図３１２から図３１４に示す役物回転駆動部Ｐ２２１０は、上部可動演出役物Ｐ２０００を回転駆動させるものである。役物回転駆動部Ｐ２２１０は、主として左軸穴部材Ｐ２２１１、回転ブッシュＰ２２１２、挿通部材Ｐ２２１３、伝達ギヤＰ２２１４、モータギヤＰ２２１５、回転駆動モータＰ２２１６及び右軸穴部材Ｐ２２１７を具備する。
【１１５７】
図３１２及び図３１３に示す左軸穴部材Ｐ２２１１は、板面を左右方向に向けた板状部Ｐ２２１１ａを具備しており、板状部Ｐ２２１１ａが左取付軸部材Ｐ２１４２の右方に位置するように設けられる（図３１３参照）。左軸穴部材Ｐ２２１１は、役物電飾基板Ｐ２１２２の左端に載置されるとともに、眉装飾体Ｐ２１２１に固定される。左軸穴部材Ｐ２２１１には、軸孔Ｐ２２１１ｂ及びガイドＰ２２１１ｃが形成される。
【１１５８】
図３１３に示す軸孔Ｐ２２１１ｂは、板状部Ｐ２２１１ａを貫通するように形成される。また、板状部Ｐ２２１１ａの左方を向く面には、ガイドＰ２２１１ｃが形成される。ガイドＰ２２１１ｃは、板状部Ｐ２２１１ａから左方に突出するように形成される。ガイドＰ２２１１ｃは、左側面視において軸孔Ｐ２２１１ｂと同心の円弧状に形成される。ガイドＰ２２１１ｃは、左側面視において軸孔Ｐ２２１１ｂの後上方において、左取付軸部材Ｐ２１４２の外周面に沿うように形成される。
【１１５９】
図３１３に示す回転ブッシュＰ２２１２は、略円筒状に形成される。回転ブッシュＰ２２１２は、軸線を左右方向に向けて、軸孔Ｐ２２１１ｂに軸線回りに回動可能に設けられる。回転ブッシュＰ２２１２の内周面には、突起部（不図示）が形成される。回転ブッシュＰ２２１２は、その軸線が回動軸Ｐ２１４３ａの軸線と一致するように設けられる。
【１１６０】
図３１２及び図３１３に示す挿通部材Ｐ２２１３は、略円柱状に形成され、軸線を左右方向に向けて回転ブッシュＰ２２１２の内周面に挿通される。挿通部材Ｐ２２１３の外周面には、溝部Ｐ２２１３ａが形成される。溝部Ｐ２２１３ａには、回転ブッシュＰ２２１２の前記突起部（不図示）が係合される。挿通部材Ｐ２２１３の左端部は、左取付軸部材Ｐ２１４２に固定される。
【１１６１】
図３１２及び図３１４から図３１６に示す伝達ギヤＰ２２１４は、軸線を左右方向に向けて挿通部材Ｐ２２１３の右方に設けられ、当該挿通部材Ｐ２２１３に固定される。伝達ギヤＰ２２１４は、その軸線が回動軸Ｐ２１４３ａと軸線が一致するように設けられる。
【１１６２】
図３１２、図３１４及び図３１５に示すモータギヤＰ２２１５は、伝達ギヤＰ２２１４に駆動力を伝達するものである。モータギヤＰ２２１５は、伝達ギヤＰ２２１４の後上方に軸線を左右方向に向けて設けられる。モータギヤＰ２２１５は、伝達ギヤＰ２２１４と噛み合うように設けられる。
【１１６３】
図３１２及び図３１４に示す回転駆動モータＰ２２１６は、モータギヤＰ２２１５を回転させるものである。回転駆動モータＰ２２１６は、出力軸Ｐ２２１６ａを左方に向けてモータギヤＰ２２１５の右方に設けられる。出力軸Ｐ２２１６ａの左端にはモータギヤＰ２２１５が固定される。回転駆動モータＰ２２１６は、図示せぬモータブラケットに支持される。前記モータブラケットは、役物電飾基板Ｐ２１２２に載置されるとともに、眉装飾体Ｐ２１２１に固定される。
【１１６４】
図３１１に示す右軸穴部材Ｐ２２１７は、右取付軸部材Ｐ２１４３の左方に位置するように設けられる。右軸穴部材Ｐ２２１７は、役物電飾基板Ｐ２１２２の右端に載置されるとともに、眉装飾体Ｐ２１２１に固定される。右軸穴部材Ｐ２２１７には、軸孔（不図示）が形成され、当該軸孔には右取付軸部材Ｐ２１４３の回動軸Ｐ２１４３ａが挿通される。
【１１６５】
このように役物回転駆動部Ｐ２２１０が構成されることにより、上部可動演出役物Ｐ２０００を、回動軸Ｐ２１４３ａ回りに回動させることができる。以下、図３１２及び図３１４を参照して具体的に説明する。
【１１６６】
まず、回転駆動モータＰ２２１６を駆動させる。回転駆動モータＰ２２１６が駆動すると、モータギヤＰ２２１５が回転する。ここで、伝達ギヤＰ２２１４は挿通部材Ｐ２２１３を介して左取付軸部材Ｐ２１４２に固定されている。このため、伝達ギヤＰ２２１４と噛み合うモータギヤＰ２２１５が回転すると、回転駆動モータＰ２２１６ひいては上部可動演出役物Ｐ２０００（の挿通部材Ｐ２２１３及び被昇降部Ｐ２１４０以外の部分）が、回動軸Ｐ２１４３ａ及び回転ブッシュＰ２２１２の軸線回りに回転する。
【１１６７】
［眉回転駆動部Ｐ２２２０］
図３１２及び図３１４から図３１６に示す眉回転駆動部Ｐ２２２０は、眉可動体Ｐ２１１１を可動させるものである。眉回転駆動部Ｐ２２２０は、主として可動ラックＰ２２２１、アイドルギヤＰ２２２２、第一ベベルギヤＰ２２２３、第二ベベルギヤＰ２２２４、ベベルギヤシャフトＰ２２２５、シャフトギヤＰ２２２６、伝達ギヤＰ２２１４、モータギヤＰ２２１５及び回転駆動モータＰ２２１６を具備する。なお、伝達ギヤＰ２２１４、モータギヤＰ２２１５及び回転駆動モータＰ２２１６は、前述の如く役物回転駆動部Ｐ２２１０に属するものであるが、眉回転駆動部Ｐ２２２０にも属するものとする。
【１１６８】
図３１２、図３１４及び図３１５に示す可動ラックＰ２２２１は、瞳装飾体Ｐ２１１３の後方において、長手方向を左右方向に向けて設けられる。可動ラックＰ２２２１は、後部カバーＰ２１１５（図３０４参照）に、左右方向に移動可能に支持されている。可動ラックＰ２２２１には、長孔Ｐ２２２１ａ、案内孔Ｐ２２２１ｂ、ギヤＰ２２２１ｃ及び係合部Ｐ２２２１ｄが形成される。
【１１６９】
図３１５に示す長孔Ｐ２２２１ａは、長手方向を左右方向に向けて、可動ラックＰ２２２１の左右端部近傍にそれぞれ形成される。長孔Ｐ２２２１ａには、後部カバーＰ２１１５の突起部Ｐ２１１５ａが挿通される。これにより、可動ラックＰ２２２１が後部カバーＰ２１１５に左右方向に移動可能に支持される。
【１１７０】
図３１５に示す案内孔Ｐ２２２１ｂは、可動体支持アームＰ２１１２を案内するものである。案内孔Ｐ２２２１ｂは、正面視において左方に延びた後、左上方に延び、さらに左方に延びるように形成される。案内孔Ｐ２２２１ｂは、左右一対形成される。案内孔Ｐ２２２１ｂには、可動体支持アームＰ２１１２が挿通される。
【１１７１】
図３１５に示すギヤＰ２２２１ｃは、案内孔Ｐ２２２１ｂの左方において、可動ラックＰ２２２１の上端部に形成される。
【１１７２】
図３１２に示す係合部Ｐ２２２１ｄは、後述する可動ラックＰ２２３４と係合する部分である。係合部Ｐ２２２１ｄは、可動ラックＰ２２２１の左右中途部から後方に突出するように形成される。
【１１７３】
図３１２、図３１４及び図３１５に示すアイドルギヤＰ２２２２は、ギヤＰ２２２１ｃに駆動力を伝達するものである。アイドルギヤＰ２２２２は、軸線を前後方向に向けて、ギヤＰ２２２１ｃと噛み合うように設けられる。
【１１７４】
図３１２、図３１５及び図３１６に示す第一ベベルギヤＰ２２２３は、アイドルギヤＰ２２２２に駆動力を伝達するものである。第一ベベルギヤＰ２２２３は、軸線を前後方向に向けてアイドルギヤＰ２２２２の左上方に設けられる。第一ベベルギヤＰ２２２３は、アイドルギヤＰ２２２２と噛み合うように設けられる。
【１１７５】
図３１２及び図３１５に示す第二ベベルギヤＰ２２２４は、第一ベベルギヤＰ２２２３に駆動力を伝達するものである。第二ベベルギヤＰ２２２４は、軸線を左右方向に向けて第一ベベルギヤＰ２２２３の後方に設けられる。第二ベベルギヤＰ２２２４は、第一ベベルギヤＰ２２２３と噛み合うように設けられる。
【１１７６】
図３１２、図３１４及び図３１５に示すベベルギヤシャフトＰ２２２５は、第二ベベルギヤＰ２２２４に駆動力を伝達するものである。ベベルギヤシャフトＰ２２２５は、延伸方向を左右方向に向けて設けられる。ベベルギヤシャフトＰ２２２５の右端部は、第二ベベルギヤＰ２２２４に固定される。
【１１７７】
図３１２、図３１４及び図３１５に示すシャフトギヤＰ２２２６は、ベベルギヤシャフトＰ２２２５（第二ベベルギヤＰ２２２４）に駆動力を伝達するものである。シャフトギヤＰ２２２６は、軸線を左右方向に向けてベベルギヤシャフトＰ２２２５の左端に固定される。シャフトギヤＰ２２２６は、伝達ギヤＰ２２１４の上方において、当該伝達ギヤＰ２２１４と噛み合うように設けられる。
【１１７８】
伝達ギヤＰ２２１４、モータギヤＰ２２１５及び回転駆動モータＰ２２１６については前述したので、ここでは説明を省略する。
【１１７９】
このように眉回転駆動部Ｐ２２２０が構成されることにより、眉可動体Ｐ２１１１を回動させることができる。以下、図３１２、図３１４及び図３１５を参照して具体的に説明する。
【１１８０】
まず、回転駆動モータＰ２２１６を駆動させると、前述の如く、上部可動演出役物Ｐ２０００（の挿通部材Ｐ２２１３及び被昇降部Ｐ２１４０以外の部分）が、回動軸Ｐ２１４３ａ及び回転ブッシュＰ２２１２の軸線回りに回転する。すると、シャフトギヤＰ２２２６が伝達ギヤＰ２２１４の外周に沿って移動することとなる。シャフトギヤＰ２２２６と伝達ギヤＰ２２１４とは互いに噛み合っているので、左取付軸部材Ｐ２１４２に固定された伝達ギヤＰ２２１４に対してシャフトギヤＰ２２２６が回転する。これによりベベルギヤシャフトＰ２２２５及び第二ベベルギヤＰ２２２４も回転する。すると、第二ベベルギヤＰ２２２４に噛み合う第一ベベルギヤＰ２２２３も回転し、第一ベベルギヤＰ２２２３に噛み合うアイドルギヤＰ２２２２も回転する。アイドルギヤＰ２２２２が回転することにより、当該アイドルギヤＰ２２２２と噛み合う可動ラックＰ２２２１は左右方向に移動する。これにより、可動体支持アームＰ２１１２及び当該可動体支持アームＰ２１１２に固定される眉可動体Ｐ２１１１が、案内孔Ｐ２２２１ｂに案内されて眉軸部Ｐ２１１１ａ回りに回転する。このようにして、上部可動演出役物Ｐ２０００（の被昇降部Ｐ２１４０等以外の部分）の回転と同時に、眉可動体Ｐ２１１１も回転する。
【１１８１】
［瞳回転駆動部Ｐ２２３０］
図３０７、図３１２及び図３１６に示す瞳回転駆動部Ｐ２２３０は、瞳可動体ユニットＰ２１３０を可動させるものである。瞳回転駆動部Ｐ２２３０は、主として左瞳カバーＰ２２３１、右瞳カバーＰ２２３２、可動ギヤＰ２２３３、可動ラックＰ２２３４、可動ラックＰ２２２１、アイドルギヤＰ２２２２、第一ベベルギヤＰ２２２３、第二ベベルギヤＰ２２２４、ベベルギヤシャフトＰ２２２５、シャフトギヤＰ２２２６、伝達ギヤＰ２２１４、モータギヤＰ２２１５及び回転駆動モータＰ２２１６を具備する。なお、伝達ギヤＰ２２１４、モータギヤＰ２２１５及び回転駆動モータＰ２２１６は、前述の如く役物回転駆動部Ｐ２２１０及び眉回転駆動部Ｐ２２２０に属するものであり、可動ラックＰ２２２１、アイドルギヤＰ２２２２、第一ベベルギヤＰ２２２３、第二ベベルギヤＰ２２２４、ベベルギヤシャフトＰ２２２５及びシャフトギヤＰ２２２６は、眉回転駆動部Ｐ２２２０に属するものであるが、瞳回転駆動部Ｐ２２３０にも属するものとする。
【１１８２】
図３０７、図３１２及び図３１６に示す左瞳カバーＰ２２３１は、左側の瞳可動体ユニットＰ２１３０を上方から覆うものである。左瞳カバーＰ２２３１には、左伝達ギヤＰ２２３１ａが形成されている。
【１１８３】
左伝達ギヤＰ２２３１ａは、軸線を上下方向に向けて、左瞳カバーＰ２２３１の右後部に設けられる。
【１１８４】
右瞳カバーＰ２２３２は、右側の瞳可動体ユニットＰ２１３０を上方から覆うものである。右瞳カバーＰ２２３２には、第一右伝達ギヤＰ２２３２ａ及び第二右伝達ギヤＰ２２３２ｂが形成されている。
【１１８５】
第一右伝達ギヤＰ２２３２ａは、軸線を上下方向に向けて、右瞳カバーＰ２２３２の左後部に設けられる。第一右伝達ギヤＰ２２３２ａは、左伝達ギヤＰ２２３１ａと噛み合うように設けられる。
【１１８６】
第二右伝達ギヤＰ２２３２ｂは、軸線を上下方向に向けて、第一右伝達ギヤＰ２２３２ａの上方に設けられる。第二右伝達ギヤＰ２２３２ｂは、第一右伝達ギヤＰ２２３２ａと一体化されている。
【１１８７】
図３１２及び図３１６に示す可動ギヤＰ２２３３は、軸線を上下方向に向けて、第二右伝達ギヤＰ２２３２ｂの前方に設けられる。可動ギヤＰ２２３３は、第二右伝達ギヤＰ２２３２ｂに噛み合うように設けられる。
【１１８８】
図３１２及び図３１６に示す可動ラックＰ２２３４は、可動ギヤＰ２２３３に駆動力を伝達するものである。可動ラックＰ２２３４は、平面視略矩形状に形成される。可動ラックＰ２２３４は、長手方向を左右方向に向けて、可動ギヤＰ２２３３の上方に設けられる。可動ラックＰ２２３４に形成された長孔には、可動ギヤＰ２２３３の突出部が挿通され、当該突出部において可動ギヤＰ２２３３と係合する。可動ラックＰ２２３４は、その前部において可動ラックＰ２２２１の係合部Ｐ２２２１ｄと係合する。
【１１８９】
伝達ギヤＰ２２１４、モータギヤＰ２２１５及び回転駆動モータＰ２２１６については前述したので、ここでは説明を省略する。
【１１９０】
このように瞳回転駆動部Ｐ２２３０が構成されることにより、瞳可動体ユニットＰ２１３０を回動させることができる。以下、図３１２及び図３１６を参照して具体的に説明する。
【１１９１】
まず、回転駆動モータＰ２２１６を駆動させると、前述の如く、上部可動演出役物Ｐ２０００（の挿通部材Ｐ２２１３及び被昇降部Ｐ２１４０以外の部分）が、回動軸Ｐ２１４３ａ及び回転ブッシュＰ２２１２の軸線回りに回転する。すると、シャフトギヤＰ２２２６が伝達ギヤＰ２２１４の外周に沿って移動することとなる。シャフトギヤＰ２２２６と伝達ギヤＰ２２１４とは互いに噛み合っているので、左取付軸部材Ｐ２１４２に固定された伝達ギヤＰ２２１４に対してシャフトギヤＰ２２２６が回転する。これによりベベルギヤシャフトＰ２２２５及び第二ベベルギヤＰ２２２４も回転する。すると、第二ベベルギヤＰ２２２４に噛み合う第一ベベルギヤＰ２２２３も回転し、第一ベベルギヤＰ２２２３に噛み合うアイドルギヤＰ２２２２も回転する。アイドルギヤＰ２２２２が回転することにより、当該アイドルギヤＰ２２２２と噛み合う可動ラックＰ２２２１は左右方向に移動する。すると、可動ラックＰ２２２１と係合する可動ラックＰ２２３４も左右方向に移動し、可動ギヤＰ２２３３が回転する。すると、第二右伝達ギヤＰ２２３２ｂ及び第一右伝達ギヤＰ２２３２ａが回転し、第一右伝達ギヤＰ２２３２ａと噛み合う左伝達ギヤＰ２２３１ａも回転する。これにより、瞳可動体ユニットＰ２１３０が回転する。このようにして、上部可動演出役物Ｐ２０００（の被昇降部Ｐ２１４０等以外の部分）の回転及び眉可動体Ｐ２１１１の回転と同時に、瞳可動体ユニットＰ２１３０も回転する。
【１１９２】
［上部役物昇降機構Ｐ２３００］
図３０２及び図３１７から図３２１に示す上部役物昇降機構Ｐ２３００は、上部可動演出役物Ｐ２０００及び下部可動演出役物（不図示）を昇降駆動させるものである。上部役物昇降機構Ｐ２３００は、主として左側案内部Ｐ２３１０、右側案内部Ｐ２３２０、左側駆動機構Ｐ２３３０及び右側駆動機構Ｐ２３４０を具備する。
【１１９３】
図３１７に示す左側案内部Ｐ２３１０は、上部可動演出役物Ｐ２０００及び下部可動演出役物（不図示）を上下に案内するものである。左側案内部Ｐ２３１０は、長手方向を上下に向けて、遊技盤Ｐ１１００に設けられる。左側案内部Ｐ２３１０の右側面には、その下端部から上端部に亘って上下方向に延びる左側昇降シャフトＰ２３１１が形成される。左側昇降シャフトＰ２３１１は、左キャリッジＰ２１４６の内側に挿通されることにより、左キャリッジＰ２１４６（ひいては上部可動演出役物Ｐ２０００）を上下に案内する。
【１１９４】
図３２０に示す右側案内部Ｐ２３２０は、上部可動演出役物Ｐ２０００及び下部可動演出役物（不図示）を上下に案内するものである。右側案内部Ｐ２３２０は、長手方向を上下に向けて、遊技盤Ｐ１１００に設けられる。右側案内部Ｐ２３２０の左側面には、その下端部から上端部に亘って上下方向に延びる右側昇降シャフトＰ２３２１が形成される。右側昇降シャフトＰ２３２１は、右キャリッジＰ２１４７の内側に挿通されることにより、右キャリッジＰ２１４７（ひいては上部可動演出役物Ｐ２０００）を上下に案内する。
【１１９５】
図３１７から図３１９に示す左側駆動機構Ｐ２３３０は、上部可動演出役物Ｐ２０００を上下に昇降駆動するものである。左側駆動機構Ｐ２３３０は、主として上部プーリＰ２３３１、下部プーリＰ２３３２、ベルトＰ２３３３、伝達ギヤＰ２３３４及び昇降駆動モータＰ２３３５を具備する。
【１１９６】
図３１８に示す上部プーリＰ２３３１は、略円形板状に形成される部材である。上部プーリＰ２３３１は、左側案内部Ｐ２３１０の右面の上端部近傍に回動可能に支持される。
【１１９７】
図３１９に示す下部プーリＰ２３３２は、略円形板状に形成される部材である。下部プーリＰ２３３２は、左側案内部Ｐ２３１０の右面の下端部近傍（上部プーリＰ２３３１の下方）に回動可能に支持される。下部プーリＰ２３３２には、ギヤＰ２３３２ａが形成される。
【１１９８】
図３１８及び図３１９に示すベルトＰ２３３３は、上部可動演出役物Ｐ２０００を支持するものである。ベルトＰ２３３３は、上部プーリＰ２３３１及び下部プーリＰ２３３２に巻回される。
【１１９９】
図３１９に示す伝達ギヤＰ２３３４は、下部プーリＰ２３３２に駆動力を伝達するものである。伝達ギヤＰ２３３４は、下部プーリＰ２３３２に形成されたギヤＰ２３３２ａと噛み合うように配置される。
【１２００】
図３１９に示す昇降駆動モータＰ２３３５は、上部可動演出役物Ｐ２０００を上下に昇降させるための駆動源である。昇降駆動モータＰ２３３５は、左側案内部Ｐ２３１０の右面の下端部近傍に設けられる。昇降駆動モータＰ２３３５の図示しない出力軸からの駆動力は、伝達ギヤＰ２３３４に伝達される。昇降駆動モータＰ２３３５の駆動力によって伝達ギヤＰ２３３４が回動すると、当該伝達ギヤＰ２３３４の回動に伴って下部プーリＰ２３３２が回動する。これによって、ベルトＰ２３３３が上部プーリＰ２３３１と下部プーリＰ２３３２の間を回動する。
【１２０１】
図３２０及び図３２１に示す右側駆動機構Ｐ２３４０は、上部可動演出役物Ｐ２０００を上下に昇降駆動するものである。右側駆動機構Ｐ２３４０は、主として上部プーリ（不図示）、下部プーリＰ２３４２、ベルトＰ２３４３、伝達ギヤＰ２３４４及び昇降駆動モータＰ２３４５を具備する。なお、右側駆動機構Ｐ２３４０は、左側駆動機構Ｐ２３３０と略同様（略左右対称）に構成されているため、以下ではその構成を簡単に説明する。
【１２０２】
上部プーリ（不図示）及び下部プーリＰ２３４２は、右側案内部Ｐ２３２０の左面に設けられる。上部プーリ（不図示）及び下部プーリＰ２３４２には、ベルトＰ２３４３が巻回される。下部プーリＰ２３４２には、伝達ギヤＰ２３４４を介して昇降駆動モータＰ２３４５の駆動力が伝達される。昇降駆動モータＰ２３４５の駆動力によって、ベルトＰ２３４３が回動する。
【１２０３】
このように上部役物昇降機構Ｐ２３００が構成されることにより、上部可動演出役物Ｐ２０００を昇降及び傾動させることができる。具体的には、ベルトＰ２３３３及びベルトＰ２３４３が回動することにより、当該ベルトＰ２３３３に固定された左キャリッジＰ２１４６、及びベルトＰ２３４３に固定された右キャリッジＰ２１４７が昇降し、ひいては上部可動演出役物Ｐ２０００を昇降及び傾動させることができる。
【１２０４】
［演出時の上部可動演出役物Ｐ２０００の動作］
以下、演出を行う際の上部可動演出役物Ｐ２０００の動作について説明する。
【１２０５】
上部可動演出役物Ｐ２０００は、演出を行う前の状態（初期位置）においては、回転役物Ｐ３０００の後方に位置しており、遊技者には視認されない（図２８１参照）。
【１２０６】
演出を行うに際し、まず、左側駆動機構Ｐ２３３０の昇降駆動モータＰ２３３５を駆動させて、ベルトＰ２３３３を回動させ、左キャリッジＰ２１４６を下降させる。同様に、右側駆動機構Ｐ２３４０の昇降駆動モータＰ２３４５を駆動させて、ベルトＰ２３４３を回動させ、右キャリッジＰ２１４７を下降させる。
【１２０７】
そうすることで、図３２２に示すように、上部可動演出役物Ｐ２０００が、遊技者に視認可能な位置まで下降する。これにより、瞳装飾体Ｐ２１１３の表面（第１の演出面）が遊技者に視認容易な演出位置に移動する。このとき、眉可動体Ｐ２１１１の少なくとも一部は、正面視において瞳装飾体Ｐ２１１３の表面（第１の演出面）の端部より外側（上方）に突出している。
【１２０８】
次に、回転駆動モータＰ２２１６を駆動させて、上部可動演出役物Ｐ２０００（被昇降部Ｐ２１４０等以外の部分）を左側面視反時計回りに回転させる（図３１２等参照）。
【１２０９】
そうすることで、図３２３に示すように、上部可動演出役物Ｐ２０００の眉装飾体Ｐ２１２１が前方（正面）に向けられる。これにより、眉装飾体Ｐ２１２１の表面（第２の演出面）が遊技者に視認容易な演出位置に移動する。このとき、瞳装飾体Ｐ２１１３の表面（第１の演出面）は、上方に向けられ、すなわち遊技者に視認困難な待機位置に移動する。
【１２１０】
このとき、回転駆動モータＰ２２１６が駆動することで、可動ラックＰ２２２１が移動し、可動ギヤＰ２２３３が回転する。これにより、瞳可動体ユニットＰ２１３０が回転する（図３１６等参照）。
【１２１１】
すると、図３２３に示すように、左右の瞳可動体ユニットＰ２１３０（瞳可動体Ｐ２１３１）はそれぞれ、眉装飾体Ｐ２１２１の表面（第２の演出面）の端部の内側から外側（下方）に飛び出す。これにより、左右の瞳可動体ユニットＰ２１３０によって、正面視において左右片側の瞳を模した形状を構成する。
【１２１２】
このように上部可動演出役物Ｐ２０００を回転させることにより、遊技者が視認する演出面は、瞳装飾体Ｐ２１１３の表面（第１の演出面）から眉装飾体Ｐ２１２１の表面（第２の演出面）に変更される。また、瞳可動体ユニットＰ２１３０が遊技者に視認可能に移動（回動）する。これにより、遊技者に対する興趣を向上させることができる。
【１２１３】
また、回転駆動モータＰ２２１６が駆動して可動ラックＰ２２２１が移動することで、可動体支持アームＰ２１１２及び当該可動体支持アームＰ２１１２に固定される眉可動体Ｐ２１１１が回転（瞳装飾体Ｐ２１１３の表面に対して平行に移動）する（図３１５等参照）。
【１２１４】
すると、図３２４に示すように、左右の眉可動体Ｐ２１１１は、平面視において瞳装飾体Ｐ２１１３の外周端部より内側に収まるように移動する。
【１２１５】
このように、上部可動演出役物Ｐ２０００が回転する際、回転と同時に第一演出部Ｐ２１１０の眉可動体Ｐ２１１１が回動して内側に引っ込むので、上部可動演出役物Ｐ２０００の後方に位置する液晶に眉可動体Ｐ２１１１が当ってしまうのを防止することができる。
【１２１６】
また、回転駆動モータＰ２２１６を駆動させることにより、上部可動演出役物Ｐ２０００（被昇降部Ｐ２１４０等以外の部分）を眉装飾体Ｐ２１２１の表面（第２の演出面）が遊技者に視認可能となるように回転させ、かつ、瞳可動体ユニットＰ２１３０を眉装飾体Ｐ２１２１から下方に飛び出すように移動させ、かつ、眉可動体Ｐ２１１１を瞳装飾体Ｐ２１１３の内側に収まるように移動させることができる。すなわち、１つの駆動源により、様々な動きを表現することができ、多様な演出を行うことができる。
【１２１７】
次に、図３２５及び図３２６に示すように、上部可動演出役物Ｐ２０００を傾動させる。具体的には、右キャリッジＰ２１４７が上昇するように昇降駆動モータＰ２３４５を駆動させ、左キャリッジＰ２１４６が下降するように昇降駆動モータＰ２３３５を駆動させる。すると、上部可動演出役物Ｐ２０００（被昇降部Ｐ２１４０等以外の部分）は、第一ピンＰ２１４６ａ（図３０９参照）回りに正面視反時計回りに回動する。この回動範囲は、第二ピンＰ２１４６ｂと長孔Ｐ２１４４ｂによって規制されており、上部可動演出役物Ｐ２０００（被昇降部Ｐ２１４０等以外の部分）は、所定の角度まで傾動することとなる。なお、上部可動演出役物Ｐ２０００を傾動させる際、右キャリッジＰ２１４７が上昇するように昇降駆動モータＰ２３４５のみを駆動させて、昇降駆動モータＰ２３３５を駆動させなくてもよい。
【１２１８】
ここで、導光板Ｐ１１１２は、部分的な表面加工により光を前方へと反射可能な発光領域Ｐ１１１２ａを有している。発光領域Ｐ１１１２ａは、瞳可動体ユニットＰ２１３０の周囲（眉装飾体Ｐ２１２１の周囲の少なくとも一部）に設けられている。発光領域Ｐ１１１２ａは、正面視において左右片側の瞳及び眉を模した形状に形成されている（図３２６参照）。上部可動演出役物Ｐ２０００が傾動した状態において、電飾基板Ｐ２１３２から前方の導光板Ｐ１１１２に光を照射することにより発光領域Ｐ１１１２ａにおいて最も強く光が前方に反射されるため、遊技者に対して、より人の瞳及び眉を想起させるような面白みのある演出を行うことができる。
【１２１９】
また、上部可動演出役物Ｐ２０００が傾動することにより、眉装飾体Ｐ２１２１の長手方向の角度は、瞳装飾体Ｐ２１１３の表面（第１の演出面）が前方に向けられた状態（図３２２参照）の眉可動体Ｐ２１１１の長手方向の角度と概ね同じとなる。これにより、瞳装飾体Ｐ２１１３の表面（第１の演出面）が遊技者に視認可能な状態（第１の態様）と、眉装飾体Ｐ２１２１の表面（第２の演出面）が遊技者に視認可能な状態（第２の態様）との関連性を高めることができる。
【１２２０】
また、図３２６に示すように、上部可動演出役物Ｐ２０００は右上りに傾動すると、上部可動演出役物Ｐ２０００の右部に設けられた右取付ガイドＰ２１４５等は、左方に引っ張り出されることとなる。このとき、押さえ部材Ｐ２１４７ａは、その下端から左方に延びるように形成されているので、右取付ガイドＰ２１４５が左方に引っ張り出されても、この左方に延びる部分によって右取付ガイドＰ２１４５を前方から押えることができる。よって、右取付ガイドＰ２１４５の前方への移動を規制することができる。
【１２２１】
演出終了時には、これまで説明した動作と反対の動作をすることにより、上部可動演出役物Ｐ２０００は、初期位置（図２８１参照）に戻る。その際、眉装飾体Ｐ２１２１の表面（第２の演出面）が下方を向く（遊技者に視認困難な待機位置に移動する）ように上部可動演出役物Ｐ２０００が回転すると、左右の瞳可動体ユニットＰ２１３０は、眉装飾体Ｐ２１２１（第２の演出面）の裏面側において当該眉装飾体Ｐ２１２１の外周端部より内側に収まるように移動する。
【１２２２】
このように、上部可動演出役物Ｐ２０００が回転する際、回転と同時に瞳可動体ユニットＰ２１３０が回動して内側に引っ込むので、上部可動演出役物Ｐ２０００の後方に位置する液晶に瞳可動体ユニットＰ２１３０が当ってしまうのを防止することができる。
【１２２３】
以上の実施形態に基づき、本発明の概要を以下に列挙する。
【１２２４】
従来、演出装置を備える遊技機は公知となっている。例えば、特開２０１８−１６１３３３号公報に記載の如くである。
【１２２５】
特開２０１８−１６１３３３号公報には、発光部を内蔵し複数の演出面を備えた演出回転体を有し、大当り中の演出や遊技情報等を複数の演出面に表示可能な遊技機が開示されている。
【１２２６】
しかし、演出面に表示される演出内容は同一の演出態様が繰り返し表示されるだけで面白みに欠ける問題があった。
【１２２７】
本発明は、上述した課題に鑑みてなされたものであり、演出内容の面白みを向上させることができる遊技機を提供することを目的とする。
【１２２８】
以上の如く、本実施形態に係る遊技機は、
第１の演出面（瞳装飾体Ｐ２１１３の表面）と、前記第１の演出面とは異なる演出面である第２の演出面（眉装飾体Ｐ２１２１の表面）とを含む複数の演出面を有する上部可動演出役物Ｐ２０００（演出装置）を備えた遊技機であって、
遊技者に視認困難な待機位置と遊技者に視認容易な演出位置とに前記第１の演出面又は前記第２の演出面を移動制御可能な演出動作制御回路８９（演出面制御手段）と、
前記第１の演出面に設けられた眉可動体Ｐ２１１１（可動体）と、
前記眉可動体Ｐ２１１１を移動制御可能な演出動作制御回路８９（可動体制御手段）と、を備え、
前記演出動作制御回路８９（可動体制御手段）は、
前記第１の演出面を前記待機位置から前記演出位置に移動制御する場合、前記待機位置において前記第１の演出面の端部より内側に収まっている前記眉可動体Ｐ２１１１の少なくとも一部を前記第１の演出面の端部の内側から外側に突出するように移動制御し、
前記第１の演出面を前記演出位置から前記待機位置に移動制御する場合、前記演出位置において前記第１の演出面の端部より外側に突出している前記眉可動体Ｐ２１１１の少なくとも一部を前記第１の演出面の端部より内側に収まるように移動制御するものである。
【１２２９】
このような構成によれば、演出内容の面白みを向上させることができる。さらには、演出面が待機位置に移動制御された際に、他の部材との干渉を防止することができる。
【１２３０】
具体的には、上部可動演出役物Ｐ２０００が第１の演出面が視認可能な状態から第２の演出面が視認可能な状態となるように回転する際、回転と同時に第一演出部Ｐ２１１０の眉可動体Ｐ２１１１が回動して瞳装飾体Ｐ２１１３の表面より内側に収まるので、上部可動演出役物Ｐ２０００の後方に位置する液晶に眉可動体Ｐ２１１１が当ってしまうのを防止することができる。
【１２３１】
以上の実施形態に基づき、本発明の概要を以下に列挙する。
【１２３２】
従来、演出装置を備える遊技機は公知となっている。例えば、特開２０１８−１６１３３３号公報に記載の如くである。
【１２３３】
特開２０１８−１６１３３３号公報には、発光部を内蔵し複数の演出面を備えた演出回転体を有し、大当り中の演出や遊技情報等を複数の演出面に表示可能な遊技機が開示されている。
【１２３４】
しかし、演出面に表示される演出内容は同一の演出態様が繰り返し表示されるだけで面白みに欠ける問題があった。
【１２３５】
本発明は、上述した課題に鑑みてなされたものであり、演出内容の面白みを向上させることができる遊技機を提供することを目的とする。
【１２３６】
以上の如く、本実施形態に係る遊技機は、
第１の演出面（瞳装飾体Ｐ２１１３の表面）と、前記第１の演出面とは異なる演出面である第２の演出面（眉装飾体Ｐ２１２１の表面）とを含む複数の演出面を有する上部可動演出役物Ｐ２０００（演出装置）を備えた遊技機であって、
遊技者に視認困難な待機位置と遊技者に視認容易な演出位置とに前記第１の演出面又は前記第２の演出面を移動制御可能な演出動作制御回路８９（演出面制御手段）と、
前記第１の演出面に設けられた眉可動体Ｐ２１１１（可動体）と、
前記眉可動体Ｐ２１１１を移動制御可能な演出動作制御回路８９（可動体制御手段）と、を備え、
前記演出動作制御回路８９（可動体制御手段）は、
前記演出動作制御回路８９（演出面制御手段）により前記第１の演出面が前記演出位置に移動制御される場合、前記眉可動体Ｐ２１１１を前記第１の演出面に対して平行に移動させることにより、前記待機位置において前記第１の演出面の端部より内側に収まっている前記眉可動体Ｐ２１１１の少なくとも一部を前記第１の演出面の端部の内側から外側に突出するように移動制御するものである。
即ち、遊技者に視認容易な演出位置に前記第１の演出面と前記第２の演出面とを切り替えて移動制御可能な演出動作制御回路８９（演出面制御手段）を備えるものである。ここで演出面を切り替えるとは、第１の演出面が視認容易であり第２の演出面が視認困難な状態から、第１の演出面が視認困難であり第２の演出面が視認容易となるように可動体を移動制御することである。
【１２３７】
このような構成によれば、演出内容の面白みを向上させることができる。さらには、演出装置の前後方向幅が広がることなく演出を実行できる。
【１２３８】
具体的には、眉可動体Ｐ２１１１は、第１の演出面（瞳装飾体Ｐ２１１３の表面）に対して平行に移動するように形成されているので、眉可動体Ｐ２１１１の移動によって上部可動演出役物Ｐ２０００の前後方向幅が広がることがなく、部材同士の干渉を抑制することができる。
【１２３９】
以上の実施形態に基づき、本発明の概要を以下に列挙する。
【１２４０】
従来、演出装置を備える遊技機は公知となっている。例えば、特開２０１８−１６１３３３号公報に記載の如くである。
【１２４１】
特開２０１８−１６１３３３号公報には、発光部を内蔵し複数の演出面を備えた演出回転体を有し、大当り中の演出や遊技情報等を複数の演出面に表示可能な遊技機が開示されている。
【１２４２】
しかし、演出面に表示される演出内容は同一の演出態様が繰り返し表示されるだけで面白みに欠ける問題があった。
【１２４３】
本発明は、上述した課題に鑑みてなされたものであり、演出内容の面白みを向上させることができる遊技機を提供することを目的とする。
【１２４４】
以上の如く、本実施形態に係る遊技機は、
第１の演出面（瞳装飾体Ｐ２１１３の表面）と、前記第１の演出面とは異なる演出面である第２の演出面（眉装飾体Ｐ２１２１の表面）とを含む複数の演出面を有する上部可動演出役物Ｐ２０００（演出装置）を備えた遊技機であって、
遊技者に視認困難な待機位置と遊技者に視認容易な演出位置とに前記第１の演出面又は前記第２の演出面を移動制御可能な演出動作制御回路８９（演出面制御手段）と、
前記第２の演出面に設けられた瞳可動体Ｐ２１３１（可動体）と、
前記瞳可動体Ｐ２１３１を移動制御可能な演出動作制御回路８９（可動体制御手段）と、を備え、
前記演出動作制御回路８９（可動体制御手段）は、
前記演出動作制御回路８９（演出面制御手段）により前記第２の演出面が前記演出位置に移動制御される場合、前記瞳可動体Ｐ２１３１の少なくとも一部を前記第２の演出面の端部より外側に突出するように移動制御し、
前記演出動作制御回路８９（演出面制御手段）により前記第２の演出面が前記待機位置に移動制御される場合、前記演出位置において前記第２の演出面の端部より外側に突出している前記瞳可動体Ｐ２１３１の少なくとも一部を前記第２の演出面の裏面側において当該第２の演出面の端部より内側に収まるように移動制御するものである。
【１２４５】
このような構成によれば、演出内容の面白みを向上させることができる。さらには、演出面が待機位置に移動制御された際に、他の部材との干渉を防止することができる。
【１２４６】
具体的には、瞳可動体Ｐ２１３１は、眉装飾体Ｐ２１２１と同じ面ではなく、眉装飾体Ｐ２１２１よりも上方に設けられている（図３０６参照）。よって、第２の演出面（眉装飾体Ｐ２１２１の表面）が遊技者に視認容易な状態においては、瞳可動体Ｐ２１３１は、眉装飾体Ｐ２１２１の裏面側（後方）に位置することとなる。よって、瞳可動体Ｐ２１３１を用いて奥行きのある演出を行うことができる。そして、第２の演出面（眉装飾体Ｐ２１２１の表面）が遊技者に視認困難な状態（眉装飾体Ｐ２１２１の表面が下方へ向けられた状態）においては、瞳可動体Ｐ２１３１は眉装飾体Ｐ２１２１の裏面側において眉装飾体Ｐ２１２１の外周端部より内側に収まるので、他の部材に対する干渉の防止を図ることができる。
【１２４７】
以上の実施形態に基づき、本発明の概要を以下に列挙する。
【１２４８】
従来、演出装置を備える遊技機は公知となっている。例えば、特開２０１８−１６１３３３号公報に記載の如くである。
【１２４９】
特開２０１８−１６１３３３号公報には、発光部を内蔵し複数の演出面を備えた演出回転体を有し、大当り中の演出や遊技情報等を複数の演出面に表示可能な遊技機が開示されている。
【１２５０】
しかし、演出面に表示される演出内容は同一の演出態様が繰り返し表示されるだけで面白みに欠ける問題があった。
【１２５１】
本発明は、上述した課題に鑑みてなされたものであり、演出内容の面白みを向上させることができる遊技機を提供することを目的とする。
【１２５２】
以上の如く、本実施形態に係る遊技機は、
第１の演出面（瞳装飾体Ｐ２１１３の表面）と、前記第１の演出面とは異なる演出面である第２の演出面（眉装飾体Ｐ２１２１の表面）とを含む複数の演出面を有する上部可動演出役物Ｐ２０００（演出装置）と、前記上部可動演出役物Ｐ２０００の前面側に設けられた導光板Ｐ１１１２（表示手段）と、を備えた遊技機であって、
遊技者に視認容易な演出位置に前記第１の演出面又は前記第２の演出面を移動制御可能な演出動作制御回路８９（演出面制御手段）を備え、
前記第１の演出面には、第１の態様の装飾部（人の左右両側の瞳及び眉を模した装飾）が含まれ、
前記第２の演出面には、前記第１の態様の一部に関連した第２の態様の装飾部（人の左右片側の瞳の一部及び眉を模した装飾）が含まれ、
前記導光板Ｐ１１１２（表示手段）は、前記第２の演出面の周囲の少なくとも一部に前記第１の態様の一部に関連した第３の態様の演出（人の左右片側の瞳の他部を模した発光領域Ｐ１１１２ａを用いた演出）を表示するものである。
【１２５３】
このような構成によれば、演出内容の面白みを向上させることができる。さらには、第１の演出面（瞳装飾体Ｐ２１１３の表面）で表示された演出と関連した演出を第２の演出面（眉装飾体Ｐ２１２１の表面）と表示手段（導光板Ｐ１１１２）とを用いて実行することで斬新な演出を実現できる。
【１２５４】
以上の実施形態に基づき、本発明の概要を以下に列挙する。
【１２５５】
従来、演出装置を備える遊技機は公知となっている。例えば、特開２０１８−１６１３３３号公報に記載の如くである。
【１２５６】
特開２０１８−１６１３３３号公報には、発光部を内蔵し複数の演出面を備えた演出回転体を有し、大当り中の演出や遊技情報等を複数の演出面に表示可能な遊技機が開示されている。
【１２５７】
しかし、演出面に表示される演出内容は同一の演出態様が繰り返し表示されるだけで面白みに欠ける問題があった。
【１２５８】
本発明は、上述した課題に鑑みてなされたものであり、演出内容の面白みを向上させることができる遊技機を提供することを目的とする。
【１２５９】
以上の如く、本実施形態に係る遊技機は、
第１の演出面（瞳装飾体Ｐ２１１３の表面）と、前記第１の演出面とは異なる演出面である第２の演出面（眉装飾体Ｐ２１２１の表面）とを含む複数の演出面を有する上部可動演出役物Ｐ２０００（演出装置）を備えた遊技機であって、
遊技者に視認容易な演出位置に前記第１の演出面又は前記第２の演出面を移動制御可能な演出動作制御回路８９（演出面制御手段）を備え、
前記第１の演出面には、第１の態様の装飾部が含まれ、
前記第２の演出面には、前記第１の態様の一部に関連した第２の態様の装飾部が含まれ、
前記第２の演出面が遊技者に視認容易な演出位置に移動制御されている場合、前記上部可動演出役物Ｐ２０００を傾斜させる上部役物昇降機構Ｐ２３００（傾斜手段）を備えるものである。
【１２６０】
また、本実施形態に係る遊技機は、
前記演出装置を傾斜させても、前記第１の態様の一部と前記第２の態様との関連性が維持されるものである。
【１２６１】
このような構成によれば、第１の演出面で表示された演出と関連した演出を第２の演出面と表示手段とを用いて実行することで斬新な演出を実現できる。
【１２６２】
具体的には、上部可動演出役物Ｐ２０００が傾動することにより、眉装飾体Ｐ２１２１の長手方向の角度は、第１の演出面で表示された演出における眉可動体Ｐ２１１１の長手方向の角度と概ね同じとなる。これにより、瞳装飾体Ｐ２１１３の表面（第１の演出面）が遊技者に視認可能な状態（第１の態様）と、眉装飾体Ｐ２１２１の表面（第２の演出面）が遊技者に視認可能な状態（第２の態様）との関連性を高め、遊技者に対して面白みのある演出を行うことができる。
【１２６３】
以上の実施形態に基づき、本発明の概要を以下に列挙する。
【１２６４】
従来、演出装置を備える遊技機は公知となっている。例えば、特開２０１８−１６１３３３号公報に記載の如くである。
【１２６５】
特開２０１８−１６１３３３号公報には、発光部を内蔵し複数の演出面を備えた演出回転体を有し、大当り中の演出や遊技情報等を複数の演出面に表示可能な遊技機が開示されている。
【１２６６】
しかし、演出面に表示される演出内容は同一の演出態様が繰り返し表示されるだけで面白みに欠ける問題があった。
【１２６７】
本発明は、上述した課題に鑑みてなされたものであり、演出内容の面白みを向上させることができる遊技機を提供することを目的とする。
【１２６８】
以上の如く、本実施形態に係る遊技機は、
第１の演出面（瞳装飾体Ｐ２１１３の表面）と、前記第１の演出面とは異なる演出面である第２の演出面（眉装飾体Ｐ２１２１の表面）とを含む複数の演出面を有する上部可動演出役物Ｐ２０００（演出装置）を備えた遊技機であって、
遊技者に視認容易な演出位置に前記第１の演出面又は前記第２の演出面を移動制御可能な演出動作制御回路８９（演出面制御手段）と、
前記第１の演出面に設けられた眉可動体Ｐ２１１１（可動体）と、を備え、
前記第１の演出面には、第１の態様の装飾部が含まれ、
前記第２の演出面には、前記第１の態様の一部に関連した第２の態様の装飾部が含まれ、
前記第１の態様においては、前記眉可動体Ｐ２１１１が一の方向に移動し、
前記第２の態様においては、前記第２の演出面が前記一の方向に移動するものである。
【１２６９】
また、本実施形態に係る遊技機は、
前記第２の演出面が前記第一の方向に移動しても、前記第１の態様の一部と前記第２の態様との関連性が維持されるものである。
【１２７０】
このような構成によれば、演出内容の面白みを向上させることができる。さらには、第１の演出面で表示された演出と関連した演出を第２の演出面と表示手段とを用いて実行することで斬新な演出を実現できる。
【１２７１】
具体的には、瞳装飾体Ｐ２１１３の表面（第１の演出面）が遊技者に視認可能な状態（第１の態様）において右側の眉可動体Ｐ２１１１は右上りに傾動する方向に移動制御されている。そして、眉装飾体Ｐ２１２１の表面（第２の演出面）が遊技者に視認可能な状態（第２の態様）においては上部可動演出役物Ｐ２０００は右上りに傾動する方向に移動制御される。すなわち、第１の態様における右側の眉可動体Ｐ２１１１と第２の態様における上部可動演出役物Ｐ２０００とが略同一方向に移動制御されているため、第１の態様の演出と第２の演出との関連性をより高めることができる。
【１２７２】
以上、本発明の一実施形態を説明したが、本発明は上記構成に限定されるものではなく、特許請求の範囲に記載された発明の範囲内で種々の変更が可能である。
【１２７３】
例えば、本実施形態においては、第一演出部Ｐ２１１０及び第二演出部Ｐ２１２０は、人の瞳及び眉を模した装飾が施されているものとしたが、当該装飾は任意のものとすることができる。
【１２７４】
また、本実施形態においては、１つの駆動源（回転駆動モータＰ２２１６）により、上部可動演出役物Ｐ２０００（被昇降部Ｐ２１４０等以外の部分）の回転と、瞳可動体ユニットＰ２１３０の移動と、眉可動体Ｐ２１１１の移動とを行うものとしたが、これらの各動作は別々の駆動源によって行われるものであってもよい。
【１２７５】
また、本実施形態においては、眉可動体Ｐ２１１１は、図２８１に示す初期位置及び図３２２に示す演出位置のいずれにおいても、正面視において瞳装飾体Ｐ２１１３の外周端部から突出しているものとしたが、上述の如く上部可動演出役物Ｐ２０００（被昇降部Ｐ２１４０等以外の部分）の回転のための駆動源と眉可動体Ｐ２１１１の移動のための駆動源とを別の駆動源とし、眉可動体Ｐ２１１１が初期位置（図２８１）においては瞳装飾体Ｐ２１１３の外周端部の内側に収まっており、演出位置（図３２２）まで移動したときに（移動するにつれて）瞳装飾体Ｐ２１１３の外周端部の内側から外側に突出するように移動するものとしてもよい。
【１２７６】
このようにすることで、右側の眉可動体Ｐ２１１１が移動するのを遊技者が視認することとなる。ここで、瞳装飾体Ｐ２１１３の表面（第１の演出面）が遊技者に視認可能な状態（第１の態様）において右側の眉可動体Ｐ２１１１は右上りに傾動する方向に移動する。そして、眉装飾体Ｐ２１２１の表面（第２の演出面）が遊技者に視認可能な状態（第２の態様）においては上部可動演出役物Ｐ２０００は右上りに傾動する方向に移動する。すなわち、第１の態様における右側の眉可動体Ｐ２１１１と第２の態様における上部可動演出役物Ｐ２０００とが略同一方向に移動するのを遊技者が視認することとなるため、第１の態様の演出と第２の演出との関連性をより高めることができる。
【１２７７】
以下では、図３２７から図３４３を用いて、回転役物Ｐ３０００について説明する。
【１２７８】
回転役物Ｐ３０００は、後述する回転体Ｐ３４００を回転させると共に、発光手段Ｐ３３００を発光させることで、所定の演出を行うものである。回転役物Ｐ３０００は、遊技盤Ｐ１１００の上部に配置される。回転役物Ｐ３０００は、主として左側支持部Ｐ３１００、右側支持部Ｐ３２００、発光手段Ｐ３３００、回転体Ｐ３４００、駆動手段Ｐ３５００及び遮蔽手段Ｐ３６００を具備する。
【１２７９】
図３２７から図３２９に示す左側支持部Ｐ３１００は、遊技盤Ｐ１１００に対して固定される部材である。左側支持部Ｐ３１００は、板面を左右に向けた略板状に形成される。左側支持部Ｐ３１００の後部は、ビス等により遊技盤Ｐ１１００に対して固定される。
【１２８０】
右側支持部Ｐ３２００は、遊技盤Ｐ１１００に対して固定される部材である。右側支持部Ｐ３２００は、板面を左右に向けた略板状に形成される。右側支持部Ｐ３２００は、左側支持部Ｐ３１００との間に所定の間隔を空けて、左側支持部Ｐ３１００の右方に配置される。右側支持部Ｐ３２００の後部は、ビス等により遊技盤Ｐ１１００に対して固定される。
【１２８１】
左側支持部Ｐ３１００及び右側支持部Ｐ３２００の間には、後述する回転体Ｐ３４００等が配置される。左側支持部Ｐ３１００及び右側支持部Ｐ３２００によって、回転体Ｐ３４００等が遊技盤Ｐ１１００に対して固定される。
【１２８２】
図３２８から図３３２に示す発光手段Ｐ３３００は、後述する回転体Ｐ３４００の内側に光を照射することで、当該回転体Ｐ３４００の外部方向に光を照射するものである。発光手段Ｐ３３００は、主として支軸Ｐ３３１０、基板支持部Ｐ３３２０、基板Ｐ３３３０、発光部Ｐ３３４０及び回転支持部Ｐ３３５０を具備する。
【１２８３】
図３２９、図３３１及び図３３２に示す支軸Ｐ３３１０は、後述する基板支持部Ｐ３３２０等を支持する部材である。支軸Ｐ３３１０は、略円柱状に形成される。支軸Ｐ３３１０は、長手方向を左右に向けて配置される。支軸Ｐ３３１０の左右両端部は、左側支持部Ｐ３１００及び右側支持部Ｐ３２００にそれぞれ支持される。支軸Ｐ３３１０は、左側支持部Ｐ３１００及び右側支持部Ｐ３２００に対して回転不能となるように固定される。
【１２８４】
基板支持部Ｐ３３２０は、後述する基板Ｐ３３３０を支持する部材である。基板支持部Ｐ３３２０は、主として支持板部Ｐ３３２１及びボス部Ｐ３３２２を具備する。
【１２８５】
支持板部Ｐ３３２１は、板面を前後方向に向けた略板状に形成される部分である。支持板部Ｐ３３２１は、背面視において、長手方向を左右に向けた略矩形状に形成される。支持板部Ｐ３３２１には、凹部Ｐ３３２１ａが形成される。
【１２８６】
凹部Ｐ３３２１ａは、支持板部Ｐ３３２１の背面を前方に向かって凹ませるようにして形成された部分である。凹部Ｐ３３２１ａは、支持板部Ｐ３３２１の上下中途部（上下略中央）に形成される。凹部Ｐ３３２１ａは、支持板部Ｐ３３２１の左端から右端に亘って、当該支持板部Ｐ３３２１の長手方向（左右方向）に沿うように形成される。支持板部Ｐ３３２１の凹部Ｐ３３２１ａ内には、支軸Ｐ３３１０が嵌め込まれるように配置される。このようにして、支軸Ｐ３３１０によって、支持板部Ｐ３３２１（基板支持部Ｐ３３２０）が支持される。
【１２８７】
ボス部Ｐ３３２２は、支持板部Ｐ３３２１に後述する基板Ｐ３３３０を取り付けるための部分である。ボス部Ｐ３３２２は、略円柱状に形成される。ボス部Ｐ３３２２は、長手方向を前後に向けて配置される。ボス部Ｐ３３２２は、支持板部Ｐ３３２１の前面から前方に向かって突出するように形成される。ボス部Ｐ３３２２は、支持板部Ｐ３３２１に複数設けられる。
【１２８８】
図３２８から図３３２に示す基板Ｐ３３３０は、後述する発光部Ｐ３３４０が設けられる部材である。基板Ｐ３３３０は、板面を前後方向に向けた略板状に形成される。基板Ｐ３３３０は、正面視略矩形状に形成される。基板Ｐ３３３０の上下幅及び左右幅は、支持板部Ｐ３３２１の上下幅及び左右幅と略同一となるように形成される。基板Ｐ３３３０は、支持板部Ｐ３３２１の前方に配置される。基板Ｐ３３３０は、ビス等によりボス部Ｐ３３２２に固定される。これによって、基板Ｐ３３３０は基板支持部Ｐ３３２０に支持される。
【１２８９】
発光部Ｐ３３４０は、発光可能な部材である。発光部Ｐ３３４０としては、例えば適宜の色に発光可能なＬＥＤが用いられる。発光部Ｐ３３４０は、基板Ｐ３３３０の前面に設けられる。発光部Ｐ３３４０は、基板Ｐ３３３０の前面の略全域に複数設けられる。
【１２９０】
図３２８、図３３０及び図３３１に示す回転支持部Ｐ３３５０は、後述する回転体Ｐ３４００を回転可能に支持する部分である。回転支持部Ｐ３３５０は、側面視円形状に形成される。回転支持部Ｐ３３５０は、基板支持部Ｐ３３２０及び基板Ｐ３３３０の左方に配置される。回転支持部Ｐ３３５０は、基板支持部Ｐ３３２０の左端部に固定される。回転支持部Ｐ３３５０の中心には、支軸Ｐ３３１０が相対回転不能となるように挿通される。
【１２９１】
図３２８、図３２９、図３３２、図３３３及び図３３４に示す回転体Ｐ３４００は、複数（本実施形態では、２つ）の演出面を有し、回転可能なものである。回転体Ｐ３４００は、主として第１の演出面Ｐ３４１０、第１のレンズ部材Ｐ３４２０、第２の演出面Ｐ３４３０、第２のレンズ部材Ｐ３４４０、第１の連結面Ｐ３４５０、第２の連結面Ｐ３４６０、左側面Ｐ３４７０及び右側面Ｐ３４８０を具備する。即ち、本実施形態では、第１の演出部の一例として第１の演出面Ｐ３４１０と、第２の演出部の一例として第２の演出面Ｐ３４３０を具備する。なお、演出部は、平面形状以外でもよく、凸凹に形成された演出部であったり、曲線形状に形成された演出部であってもよい。
【１２９２】
なお、後述するように、回転体Ｐ３４００は回転可能となるように設けられる。そこで以下では、図３２８、図３２９、図３３２、図３３３及び図３３４等に示すように、第１の演出面Ｐ３４１０が前方に向けられ、かつ第２の演出面Ｐ３４３０が後方に向けられた状態に基づいて、回転体Ｐ３４００の構成を説明する。
【１２９３】
図３２８、図３２９、図３３２及び図３３３に示す第１の演出面Ｐ３４１０は、適宜の装飾が施された部分である。第１の演出面Ｐ３４１０は、長手方向を左右に向けた略矩形板状に形成される。第１の演出面Ｐ３４１０は、板面を前後に向けて配置される。第１の演出面Ｐ３４１０の前面には、適宜の文字、図形、記号、着色等が装飾として施される。第１の演出面Ｐ３４１０には、光を透過させることが可能な部分（第１の透光部）が形成される。本実施形態においては、第１の演出面Ｐ３４１０全体が第１の透光部となるように形成されている。
【１２９４】
図３２９及び図３３２に示す第１のレンズ部材Ｐ３４２０は、第１の演出面Ｐ３４１０に照射される光を適宜案内（拡散等）させるための部材である。第１のレンズ部材Ｐ３４２０は、長手方向を左右に向けた略矩形板状に形成される。第１のレンズ部材Ｐ３４２０は、板面を前後に向けて配置される。第１のレンズ部材Ｐ３４２０は、第１の演出面Ｐ３４１０の後面に固定される。
【１２９５】
図３２８、図３２９、図３３２、図３３３及び図３３４に示す第２の演出面Ｐ３４３０は、適宜の装飾が施された部分である。第２の演出面Ｐ３４３０は、長手方向を左右に向けた略矩形板状に形成される。第２の演出面Ｐ３４３０は、板面を前後に向けて配置される。第２の演出面Ｐ３４３０は、第１の演出面Ｐ３４１０の後方に配置される。第２の演出面Ｐ３４３０の後面には、適宜の文字、図形、記号、着色等が装飾として施される。第２の演出面Ｐ３４３０には、第１の演出面Ｐ３４１０とは異なる装飾が施される。第２の演出面Ｐ３４３０には、光を透過させることが可能な部分（第２の透光部）が形成される。本実施形態においては、第２の演出面Ｐ３４３０全体が第２の透光部となるように形成されている。すなわち、第２の演出面Ｐ３４３０（第２の透光部）は、第１の演出面Ｐ３４１０（第１の透光部）と、形状、文字、図形、記号、着色等のいずれかが異なるように形成されている。
【１２９６】
図３２８、図３３２、図３３３及び図３３４に示す第２のレンズ部材Ｐ３４４０は、第２の演出面Ｐ３４３０に照射される光を適宜案内（拡散等）させるための部材である。第２のレンズ部材Ｐ３４４０は、長手方向を左右に向けた略矩形板状に形成される。第２のレンズ部材Ｐ３４４０は、板面を前後に向けて配置される。第２のレンズ部材Ｐ３４４０は、第２の演出面Ｐ３４３０の前面に固定される。
【１２９７】
図３２８、図３２９、図３３２、図３３３及び図３３４に示す第１の連結面Ｐ３４５０は、第１の演出面Ｐ３４１０と第２の演出面Ｐ３４３０を連結する部分である。第１の連結面Ｐ３４５０は、長手方向を左右に向けた略矩形板状に形成される。第１の連結面Ｐ３４５０は、板面を上下に向けて配置される。第１の連結面Ｐ３４５０の前端部は、第１の演出面Ｐ３４１０の上端部に固定される。第１の連結面Ｐ３４５０の後端部は、第２の演出面Ｐ３４３０の上端部に固定される。これによって第１の連結面Ｐ３４５０は、第１の演出面Ｐ３４１０と第２の演出面Ｐ３４３０の上端部同士を連結する。第１の連結面Ｐ３４５０の上面には、適宜の装飾が施される。本実施形態においては、第１の連結面Ｐ３４５０は、光が透過不能となるように形成されている。
【１２９８】
第２の連結面Ｐ３４６０は、第１の演出面Ｐ３４１０と第２の演出面Ｐ３４３０を連結する部分である。第２の連結面Ｐ３４６０は、長手方向を左右に向けた略矩形板状に形成される。第２の連結面Ｐ３４６０は、板面を上下に向けて配置される。第２の連結面Ｐ３４６０の前端部は、第１の演出面Ｐ３４１０の下端部に固定される。第２の連結面Ｐ３４６０の後端部は、第２の演出面Ｐ３４３０の下端部に固定される。これによって第２の連結面Ｐ３４６０は、第１の演出面Ｐ３４１０と第２の演出面Ｐ３４３０の下端部同士を連結する。第２の連結面Ｐ３４６０の下面には、適宜の装飾が施される。本実施形態においては、第２の連結面Ｐ３４６０は、光が透過不能となるように形成されている。
【１２９９】
図３２８、図３２９、図３３３及び図３３４に示す左側面Ｐ３４７０は、回転体Ｐ３４００の左側部を形成する部分である。左側面Ｐ３４７０は、板面を左右に向けた略矩形板状に形成される。左側面Ｐ３４７０は、第１の演出面Ｐ３４１０、第２の演出面Ｐ３４３０、第１の連結面Ｐ３４５０及び第２の連結面Ｐ３４６０の左端部に固定される。左側面Ｐ３４７０には、円形孔Ｐ３４７１が形成される。
【１３００】
円形孔Ｐ３４７１は、左側面Ｐ３４７０を左右に貫通する孔である。円形孔Ｐ３４７１は、側面視円形状に形成される。
【１３０１】
右側面Ｐ３４８０は、回転体Ｐ３４００の右側部を形成する部分である。右側面Ｐ３４８０は、板面を左右に向けた略矩形板状に形成される。右側面Ｐ３４８０は、第１の演出面Ｐ３４１０、第２の演出面Ｐ３４３０、第１の連結面Ｐ３４５０及び第２の連結面Ｐ３４６０の右端部に固定される。右側面Ｐ３４８０には、ギヤＰ３４８１が形成される。
【１３０２】
ギヤＰ３４８１は、後述する駆動手段Ｐ３５００からの駆動力が伝達されるものである。ギヤＰ３４８１は、軸線を左右に向けて、右側面Ｐ３４８０の右面に一体的に形成される。
【１３０３】
このように回転体Ｐ３４００は、第１の演出面Ｐ３４１０、第２の演出面Ｐ３４３０、第１の連結面Ｐ３４５０、第２の連結面Ｐ３４６０、左側面Ｐ３４７０及び右側面Ｐ３４８０によって、６面を有する略直方体状に形成される。
【１３０４】
図３２８、図３２９、図３３１及び図３３２に示すように、回転体Ｐ３４００は、発光手段Ｐ３３００の基板支持部Ｐ３３２０、基板Ｐ３３３０及び発光部Ｐ３３４０を収容する。図３３１に示すように、回転体Ｐ３４００の左側面Ｐ３４７０（図３３３に示す円形孔Ｐ３４７１）には、発光手段Ｐ３３００の回転支持部Ｐ３３５０が相対回転可能に挿通される。回転体Ｐ３４００の右側面Ｐ３４８０（ギヤＰ３４８１の中心部分）には、発光手段Ｐ３３００の支軸Ｐ３３１０が相対回転可能に挿通される。右側面Ｐ３４８０のギヤＰ３４８１は、後述する駆動手段Ｐ３５００の収容部Ｐ３５１０内に挿入される。このように回転体Ｐ３４００は、基板Ｐ３３３０等を収容すると共に、支軸Ｐ３３１０を中心として回転可能となるように配置される。
【１３０５】
図３２８、図３２９及び図３３５に示す駆動手段Ｐ３５００は、回転体Ｐ３４００の回転を制御するものである。駆動手段Ｐ３５００は、主として収容部Ｐ３５１０、モータＰ３５２０、駆動ギヤＰ３５３０、第１の検出ギヤＰ３５４０、第２の検出ギヤＰ３５５０、第１の検出センサＰ３５６０及び第２の検出センサＰ３５７０を具備する。
【１３０６】
収容部Ｐ３５１０は、後述する駆動ギヤＰ３５３０、第１の検出ギヤＰ３５４０及び第２の検出ギヤＰ３５５０を収容するものである。収容部Ｐ３５１０は、内部空間を有する箱状に形成される。収容部Ｐ３５１０は、右側支持部Ｐ３２００に固定される。なお、図３３５においては、収容部Ｐ３５１０の内部（駆動ギヤＰ３５３０等）を示すために、収容部Ｐ３５１０の右部を開放した状態を示している。
【１３０７】
モータＰ３５２０は、回転体Ｐ３４００を回転駆動させるための駆動力を発生するもの（駆動源）である。モータＰ３５２０は、収容部Ｐ３５１０の右側面に固定される。
【１３０８】
図３３５に示す駆動ギヤＰ３５３０は、モータＰ３５２０の駆動力により回転するものである。駆動ギヤＰ３５３０は、軸線を左右に向けて収容部Ｐ３５１０の内部に配置される。駆動ギヤＰ３５３０は、モータＰ３５２０の出力軸（不図示）に固定される。駆動ギヤＰ３５３０は、収容部Ｐ３５１０に挿入された回転体Ｐ３４００のギヤＰ３４８１の後下方に配置される。駆動ギヤＰ３５３０は、ギヤＰ３４８１と歯合される。
【１３０９】
第１の検出ギヤＰ３５４０は、回転体Ｐ３４００の回転位置を検出するためのものである。第１の検出ギヤＰ３５４０は、軸線を左右に向けて収容部Ｐ３５１０の内部に配置される。第１の検出ギヤＰ３５４０は、ギヤＰ３４８１の後上方に配置される。第１の検出ギヤＰ３５４０は、ギヤＰ３４８１と歯合される。
【１３１０】
第２の検出ギヤＰ３５５０は、回転体Ｐ３４００の回転位置を検出するためのものである。第２の検出ギヤＰ３５５０は、軸線を左右に向けて収容部Ｐ３５１０の内部に配置される。第２の検出ギヤＰ３５５０は、ギヤＰ３４８１の前下方に配置される。第２の検出ギヤＰ３５５０は、ギヤＰ３４８１と歯合される。
【１３１１】
図３２８及び図３２９に示す第１の検出センサＰ３５６０は、第１の検出ギヤＰ３５４０が所定の回転位置にあるか否かを検出するものである。第１の検出センサＰ３５６０は、収容部Ｐ３５１０の上部に固定される。第１の検出センサＰ３５６０の一部（検出部）は収容部Ｐ３５１０内に挿入され、第１の検出ギヤＰ３５４０が所定の回転位置にあるか否かを検出することができる。
【１３１２】
図３２８に示す第２の検出センサＰ３５７０は、第２の検出ギヤＰ３５５０が所定の回転位置にあるか否かを検出するものである。第２の検出センサＰ３５７０は、収容部Ｐ３５１０の下部に固定される。第２の検出センサＰ３５７０の一部（検出部）は収容部Ｐ３５１０内に挿入され、第２の検出ギヤＰ３５５０が所定の回転位置にあるか否かを検出することができる。
【１３１３】
このように構成された駆動手段Ｐ３５００において、モータＰ３５２０が駆動すると、当該モータＰ３５２０の駆動力は、駆動ギヤＰ３５３０を介して回転体Ｐ３４００のギヤＰ３４８１に伝達される。これによって、回転体Ｐ３４００は、発光手段Ｐ３３００の支軸Ｐ３３１０を中心として回転する。
【１３１４】
また、回転体Ｐ３４００の回転に伴って、第１の検出ギヤＰ３５４０及び第２の検出ギヤＰ３５５０が回転する。第１の検出センサＰ３５６０及び第２の検出センサＰ３５７０によって、第１の検出ギヤＰ３５４０及び第２の検出ギヤＰ３５５０が所定の回転位置にあるか否かを検出することで、回転体Ｐ３４００の回転位置を検出することができる。
【１３１５】
具体的には、回転体Ｐ３４００が第１の演出面Ｐ３４１０を正面（前方）に向けた状態、すなわち第１の演出面Ｐ３４１０が遊技者から視認可能な位置（以下、この位置を単に「演出位置」と称する）に位置するまで回転した状態において、第１の検出センサＰ３５６０は、第１の検出ギヤＰ３５４０が所定の回転位置にあることを検出する。すなわち、第１の検出センサＰ３５６０は、第１の演出面Ｐ３４１０が演出位置にあることを検出することができる。
【１３１６】
また、回転体Ｐ３４００が第２の演出面Ｐ３４３０を正面（前方）に向けた状態、すなわち第２の演出面Ｐ３４３０が演出位置に位置するまで回転した状態において、第２の検出センサＰ３５７０は、第２の検出ギヤＰ３５５０が所定の回転位置にあることを検出する。すなわち、第２の検出センサＰ３５７０は、第２の演出面Ｐ３４３０が演出位置にあることを検出することができる。
【１３１７】
このように、第１の検出センサＰ３５６０及び第２の検出センサＰ３５７０によって、第１の演出面Ｐ３４１０又は第２の演出面Ｐ３４３０のどちらかが演出位置に位置していることを検出することができる。当該検出に基づいてモータＰ３５２０を駆動又は停止させることで、第１の演出面Ｐ３４１０又は第２の演出面Ｐ３４３０のいずれか一方を任意に演出位置に回転移動させることができる。
【１３１８】
図３３２、及び図３３６から図３３９までに示す遮蔽手段Ｐ３６００は、発光手段Ｐ３３００から回転体Ｐ３４００の内側面に照射される光の照射範囲を所定の範囲に制限するものである。遮蔽手段Ｐ３６００は、主として発光手段側遮蔽手段Ｐ３６１０及び回転体側遮蔽手段Ｐ３６２０を具備する。
【１３１９】
図３３２、図３３６、図３３７及び図３３９に示す発光手段側遮蔽手段Ｐ３６１０は、発光手段Ｐ３３００に固定される部材である。発光手段側遮蔽手段Ｐ３６１０は、主として左遮蔽部Ｐ３６１１、右遮蔽部Ｐ３６１２、上連結部Ｐ３６１３、下連結部Ｐ３６１４、左固定部Ｐ３６１５及び右固定部Ｐ３６１６を具備する。
【１３２０】
左遮蔽部Ｐ３６１１は、発光手段側遮蔽手段Ｐ３６１０の左部を形成する部分である。左遮蔽部Ｐ３６１１は、板面を左右に向けた略板状に形成される。左遮蔽部Ｐ３６１１の後端部の上下幅は、発光手段Ｐ３３００の基板Ｐ３３３０の上下幅と略同一となるように形成される。左遮蔽部Ｐ３６１１の前端部は、後端部から前方に向かって膨出するような側面視円弧状に形成される。より具体的には、後述するように発光手段側遮蔽手段Ｐ３６１０が基板Ｐ３３３０に取り付けられた際に、左遮蔽部Ｐ３６１１の前端部は、側面視において支軸Ｐ３３１０を中心とする円弧状となるように形成される（図３３２参照）。左遮蔽部Ｐ３６１１は、正面視において適宜の形状に形成される。本実施形態に係る左遮蔽部Ｐ３６１１は、正面視において概ね上下に延びるように形成されると共に、上部に比べて下部が左方に位置するように、上下中途部に段差（屈曲部分）が形成されている。
【１３２１】
右遮蔽部Ｐ３６１２は、発光手段側遮蔽手段Ｐ３６１０の右部を形成する部分である。右遮蔽部Ｐ３６１２は、板面を左右に向けた略板状に形成される。右遮蔽部Ｐ３６１２は、左遮蔽部Ｐ３６１１の右方に配置される。右遮蔽部Ｐ３６１２は、側面視において左遮蔽部Ｐ３６１１と略同一形状となるように形成される。右遮蔽部Ｐ３６１２は、正面視において適宜の形状に形成される。本実施形態に係る右遮蔽部Ｐ３６１２は、正面視において上下中途部が上下両端部に比べて内側（左方）に位置するように、上下両端部から上下中途部に向かって左方に傾斜するように形成されている。
【１３２２】
上連結部Ｐ３６１３は、左遮蔽部Ｐ３６１１と右遮蔽部Ｐ３６１２を連結する部分である。上連結部Ｐ３６１３は、長手方向を左右に向けた長手状に形成される。上連結部Ｐ３６１３の左右両端部は、左遮蔽部Ｐ３６１１及び右遮蔽部Ｐ３６１２の上端部にそれぞれ連結される。これによって上連結部Ｐ３６１３は、左遮蔽部Ｐ３６１１と右遮蔽部Ｐ３６１２の上端部同士を連結する。
【１３２３】
下連結部Ｐ３６１４は、左遮蔽部Ｐ３６１１と右遮蔽部Ｐ３６１２を連結する部分である。下連結部Ｐ３６１４は、長手方向を左右に向けた長手状に形成される。下連結部Ｐ３６１４の左右両端部は、左遮蔽部Ｐ３６１１及び右遮蔽部Ｐ３６１２の下端部にそれぞれ連結される。これによって下連結部Ｐ３６１４は、左遮蔽部Ｐ３６１１と右遮蔽部Ｐ３６１２の下端部同士を連結する。
【１３２４】
左固定部Ｐ３６１５は、基板Ｐ３３３０に対して固定される部分である。左固定部Ｐ３６１５は、長手方向を上下に向けた長手状に形成される。左固定部Ｐ３６１５の上下両端部は、上連結部Ｐ３６１３及び下連結部Ｐ３６１４の左部にそれぞれ連結される。
【１３２５】
右固定部Ｐ３６１６は、基板Ｐ３３３０に対して固定される部分である。右固定部Ｐ３６１６は、長手方向を上下に向けた長手状に形成される。右固定部Ｐ３６１６の上下両端部は、上連結部Ｐ３６１３及び下連結部Ｐ３６１４の右部にそれぞれ連結される。
【１３２６】
図３３２及び図３３６に示すように、左固定部Ｐ３６１５及び右固定部Ｐ３６１６は、ビス等により基板Ｐ３３３０の前面に固定される。これによって、発光手段側遮蔽手段Ｐ３６１０が基板Ｐ３３３０の左右中央部に取り付けられる。この際、基板Ｐ３３３０に設けられた複数の発光部Ｐ３３４０のうち、基板Ｐ３３３０の左右中央部に配置された発光部Ｐ３３４０が、発光手段側遮蔽手段Ｐ３６１０の内側（正面視において、左遮蔽部Ｐ３６１１、右遮蔽部Ｐ３６１２、上連結部Ｐ３６１３及び下連結部Ｐ３６１４によって囲まれた範囲）に配置される。
【１３２７】
図３３２、図３３６、図３３８及び図３３９に示す回転体側遮蔽手段Ｐ３６２０は、回転体Ｐ３４００に固定される部材である。回転体側遮蔽手段Ｐ３６２０は、主として左遮蔽部Ｐ３６２１、右遮蔽部Ｐ３６２２、第１の連結部Ｐ３６２３及び第２の連結部Ｐ３６２４を具備する。
【１３２８】
左遮蔽部Ｐ３６２１は、回転体側遮蔽手段Ｐ３６２０の左部を形成する部分である。左遮蔽部Ｐ３６２１は、板面を左右に向けた略板状に形成される。左遮蔽部Ｐ３６２１の後端部の上下幅は、第２のレンズ部材Ｐ３４４０の上下幅と略同一となるように形成される。左遮蔽部Ｐ３６２１は、正面視において適宜の形状に形成される。本実施形態に係る左遮蔽部Ｐ３６２１は、正面視において概ね上下に延びるように形成されると共に、下部に比べて上部が左方に位置するように、上下中途部に段差（屈曲部分）が形成されている。左遮蔽部Ｐ３６２１には、凹部Ｐ３６２１ａが形成される。
【１３２９】
凹部Ｐ３６２１ａは、左遮蔽部Ｐ３６２１の前端部を後方に向かって凹ませるようにして形成される。凹部Ｐ３６２１ａは、左遮蔽部Ｐ３６２１の前端部の上下略中央部に形成される。凹部Ｐ３６２１ａは、側面視略円弧状に形成される。より具体的には、後述するように回転体側遮蔽手段Ｐ３６２０が第２のレンズ部材Ｐ３４４０に取り付けられた際に、凹部Ｐ３６２１ａは、側面視において支軸Ｐ３３１０を中心とする円弧状となるように形成される（図３３２参照）。また、凹部Ｐ３６２１ａの半径は、発光手段側遮蔽手段Ｐ３６１０の左遮蔽部Ｐ３６１１の円弧状の半径と略同一となるように（厳密には、若干大きくなるように）形成される。
【１３３０】
右遮蔽部Ｐ３６２２は、回転体側遮蔽手段Ｐ３６２０の右部を形成する部分である。右遮蔽部Ｐ３６２２は、板面を左右に向けた略板状に形成される。右遮蔽部Ｐ３６２２は、左遮蔽部Ｐ３６２１の右方に配置される。左遮蔽部Ｐ３６２１と右遮蔽部Ｐ３６２２の間隔（左右の間隔）は、発光手段側遮蔽手段Ｐ３６１０の左遮蔽部Ｐ３６１１と右遮蔽部Ｐ３６１２の間隔と略同一となるように形成される。右遮蔽部Ｐ３６２２は、側面視において左遮蔽部Ｐ３６２１と略同一形状となるように形成される。右遮蔽部Ｐ３６２２は、正面視において適宜の形状に形成される。本実施形態に係る右遮蔽部Ｐ３６２２は、正面視において上下中途部が上下両端部に比べて内側（左方）に位置するように、上下両端部から上下中途部に向かって左方に傾斜するように形成されている。右遮蔽部Ｐ３６２２には、凹部Ｐ３６２２ａが形成される。
【１３３１】
凹部Ｐ３６２２ａは、右遮蔽部Ｐ３６２２の前端部を後方に向かって凹ませるようにして形成される。凹部Ｐ３６２２ａは、右遮蔽部Ｐ３６２２の前端部の上下略中央部に形成される。凹部Ｐ３６２２ａは、側面視において、左遮蔽部Ｐ３６２１の凹部Ｐ３６２１ａと略同一形状となるように形成される。
【１３３２】
第１の連結部Ｐ３６２３は、左遮蔽部Ｐ３６２１と右遮蔽部Ｐ３６２２を連結する部分である。第１の連結部Ｐ３６２３は、板面を上下に向けた略矩形板状に形成される。第１の連結部Ｐ３６２３の左右両端部は、左遮蔽部Ｐ３６２１及び右遮蔽部Ｐ３６２２の上端部にそれぞれ連結される。これによって第１の連結部Ｐ３６２３は、左遮蔽部Ｐ３６２１と右遮蔽部Ｐ３６２２の上端部同士を連結する。
【１３３３】
第２の連結部Ｐ３６２４は、左遮蔽部Ｐ３６２１と右遮蔽部Ｐ３６２２を連結する部分である。第２の連結部Ｐ３６２４は、板面を上下に向けた略矩形板状に形成される。第２の連結部Ｐ３６２４の左右両端部は、左遮蔽部Ｐ３６２１及び右遮蔽部Ｐ３６２２の下端部にそれぞれ連結される。これによって第２の連結部Ｐ３６２４は、左遮蔽部Ｐ３６２１と右遮蔽部Ｐ３６２２の下端部同士を連結する。
【１３３４】
図３３２及び図３３６に示すように、第１の連結部Ｐ３６２３及び第２の連結部Ｐ３６２４は、ビス等により第２のレンズ部材Ｐ３４４０の前面に固定される。これによって、回転体側遮蔽手段Ｐ３６２０が第２のレンズ部材Ｐ３４４０の左右中央部（左右方向において、発光手段側遮蔽手段Ｐ３６１０と同一位置）に取り付けられる。
【１３３５】
以下では、上述の如く構成された回転役物３０００による演出態様について説明する。
【１３３６】
まず、図３３２及び図３３９に示すように、回転体Ｐ３４００の演出面のうち、第１の演出面Ｐ３４１０が正面を向く位置（演出位置）に位置している場合について説明する。
【１３３７】
この場合、遊技者からは第１の演出面Ｐ３４１０が視認容易となっている。また、第２の演出面Ｐ３４３０は後方を向いているため、遊技者からは視認困難となっている。この際、第２の演出面Ｐ３４３０（第２のレンズ部材Ｐ３４４０）の内側に固定された回転体側遮蔽手段Ｐ３６２０は、発光手段Ｐ３３００の基板Ｐ３３３０の後方に位置している。
【１３３８】
この状態では、基板Ｐ３３３０の前面に固定された発光手段側遮蔽手段Ｐ３６１０と、第２の演出面Ｐ３４３０の内側に固定された回転体側遮蔽手段Ｐ３６２０は、別々に分離された状態（以下、単に「分離状態」と称する）となる。分離状態では、発光手段側遮蔽手段Ｐ３６１０と回転体Ｐ３４００の第１の演出面Ｐ３４１０との間には大きな隙間が形成されている。このため、基板Ｐ３３３０に設けられた複数の発光部Ｐ３３４０からの光は、発光手段側遮蔽手段Ｐ３６１０と回転体Ｐ３４００の第１の演出面Ｐ３４１０との間の隙間を介して、回転体Ｐ３４００の第１のレンズ部材Ｐ３４２０全域に照射される。当該第１のレンズ部材Ｐ３４２０を透過した光は、第１の演出面Ｐ３４１０の内側全域に照射される。これによって、図３４０に示すように、第１の演出面Ｐ３４１０全体から外部に略均一に光が照射され、第１の演出面Ｐ３４１０全体が、略均一に発光することになる。すなわちこの場合、第１の演出面Ｐ３４１０（第１の透光部）に応じて、発光手段Ｐ３３００から第１の演出面Ｐ３４１０の内面側の全体（第１の照射範囲）に光が照射される。
【１３３９】
次に、図３４１及び図３４２に示すように、回転体Ｐ３４００の演出面のうち、第２の演出面Ｐ３４３０が正面を向く位置（演出位置）に位置している場合について説明する。
【１３４０】
この場合、遊技者からは第２の演出面Ｐ３４３０が視認容易となっている。また、第１の演出面Ｐ３４１０は後方を向いているため、遊技者からは視認困難となっている。この際、第２の演出面Ｐ３４３０（第２のレンズ部材Ｐ３４４０）の内側に固定された回転体側遮蔽手段Ｐ３６２０は、発光手段Ｐ３３００の基板Ｐ３３３０の前方に位置している。
【１３４１】
この状態では、基板Ｐ３３３０の前面に固定された発光手段側遮蔽手段Ｐ３６１０の前端が、第２の演出面Ｐ３４３０の内側に固定された回転体側遮蔽手段Ｐ３６２０の凹部（凹部Ｐ３６２１ａ及び凹部Ｐ３６２２ａ）に嵌り込むように位置している。このようにして、発光手段側遮蔽手段Ｐ３６１０と回転体側遮蔽手段Ｐ３６２０とによって、基板Ｐ３３３０から第２の演出面Ｐ３４３０まで延びる１つの筒状の部材が形成された状態（以下、単に「制限状態」と称する）となる。制限状態では、遮蔽手段Ｐ３６００によって、基板Ｐ３３３０に設けられた複数の発光部Ｐ３３４０からの光の照射範囲が、所定の範囲に制限される。
【１３４２】
具体的には、複数の発光部Ｐ３３４０のうち、遮蔽手段Ｐ３６００（発光手段側遮蔽手段Ｐ３６１０）の内側に配置された発光部Ｐ３３４０から照射された光は、当該遮蔽手段Ｐ３６００の外側に出ることができない。このため、当該発光部Ｐ３３４０から照射された光は、第２の演出面Ｐ３４３０のうち、正面視で遮蔽手段Ｐ３６００の内側に位置する範囲にのみ照射される（図３４３参照）。
【１３４３】
一方、複数の発光部Ｐ３３４０のうち、遮蔽手段Ｐ３６００（発光手段側遮蔽手段Ｐ３６１０）の外側に配置された発光部Ｐ３３４０から照射された光は、当該遮蔽手段Ｐ３６００の内側に入ることができない。このため、当該発光部Ｐ３３４０から照射された光は、第２の演出面Ｐ３４３０のうち、正面視で遮蔽手段Ｐ３６００の外側に位置する範囲にのみ照射される（図３４３参照）。
【１３４４】
このように、第２の演出面Ｐ３４３０が演出位置に移動制御されている場合、遮蔽手段Ｐ３６００が制限状態となり、発光部Ｐ３３４０から第２の演出面Ｐ３４３０の内側に照射される光の照射範囲を所定の範囲（正面視において遮蔽手段Ｐ３６００の内側に位置する範囲、又は外側に位置する範囲）に制限することができる。すなわち、第１の演出面Ｐ３４１０が演出位置に移動制御された場合の光の照射範囲（第１の照射範囲）と、第２の演出面Ｐ３４３０が演出位置に移動制御された場合の光の照射範囲（第２の照射範囲）と、を異ならせることができる。これによって、例えば、遮蔽手段Ｐ３６００の内側の発光部Ｐ３３４０と外側の発光部Ｐ３３４０を異なる態様（例えば、異なる明るさ、色、タイミング等）で発光させることで、第２の演出面Ｐ３４３０を非均一に発光させることができる。
【１３４５】
特に本実施形態では、正面視における遮蔽手段Ｐ３６００の形状を、第２の演出面Ｐ３４３０に施された装飾と対応する形状となるように形成することを想定している。これによって、発光手段Ｐ３３００から照射される光の照射範囲（第２の照射範囲）を第２の演出面Ｐ３４３０（第２の透光部）に応じたものとし、第２の演出面Ｐ３４３０の装飾をより引き立てるように発光させることができる。例えば、第２の演出面Ｐ３４３０に施された文字と、遮蔽手段Ｐ３６００と、が正面視において一致するように形成することで、当該文字をその他の装飾と異なる態様で発光させることができる。
【１３４６】
また本実施形態では、制限状態において、回転体側遮蔽手段Ｐ３６２０の後端部は、基板Ｐ３３３０よりも後方に位置している（図３４１参照）。これによって、基板Ｐ３３３０の前面に設けられた発光部Ｐ３３４０から照射された光が遮蔽手段Ｐ３６００の後方から回り込む（遮蔽手段Ｐ３６００の内側から外側へ、又は外側から内側へ照射される）のを効果的に抑制することができる。
【１３４７】
また本実施形態では、図３４１等に示すように、発光手段側遮蔽手段Ｐ３６１０を、支軸Ｐ３３１０（回転体Ｐ３４００の回転中心）を中心とする円弧状に膨出する形状とすると共に、回転体側遮蔽手段Ｐ３６２０を、支軸Ｐ３３１０を中心とする円弧状に凹む形状としている。これによって、回転体Ｐ３４００が回転する際の部材同士の干渉をなくしながらも、制限状態となった遮蔽手段Ｐ３６００（発光手段側遮蔽手段Ｐ３６１０及び回転体側遮蔽手段Ｐ３６２０）の隙間を小さくすることができる。
【１３４８】
すなわち、発光手段側遮蔽手段Ｐ３６１０及び回転体側遮蔽手段Ｐ３６２０に、回転体Ｐ３４００の回転軌跡に沿う円弧状の部分を形成することで、当該発光手段側遮蔽手段Ｐ３６１０と回転体側遮蔽手段Ｐ３６２０との干渉を回避することができる。またこのように構成することで、発光手段側遮蔽手段Ｐ３６１０と回転体側遮蔽手段Ｐ３６２０とが対向する部分（円弧状に形成された部分）を近づけて隙間を小さくすることができ、光の遮蔽性を向上することができる。これによって、発光部Ｐ３３４０から照射された光が遮蔽手段Ｐ３６００を超えて漏れ出すのを効果的に抑制することができる。
【１３４９】
このように、演出位置に移動制御されている演出面（第１の演出面Ｐ３４１０又は第２の演出面Ｐ３４３０）の種別によって、発光手段Ｐ３３００による装飾面の発光態様を異ならせることができる。これによって、装飾面の種別に応じた異なる演出（発光演出）を行い、回転役物Ｐ３０００による演出の興趣を向上させることができる。
【１３５０】
以上の実施形態に基づき、本発明の概要を以下に列挙する。
【１３５１】
従来、演出装置を備える遊技機は公知となっている。例えば、特開２０１８−１６１３３３号公報に記載の如くである。
【１３５２】
特開２０１８−１６１３３３号公報には、発光部を内蔵すると共に複数の演出面を備えた演出回転体を有し、大当り中の演出や遊技情報等を複数の演出面に表示可能な遊技機が開示されている。
【１３５３】
しかしながら、特許文献１に記載の遊技機では、演出面に表示される演出内容は同一の演出態様が繰り返し表示されるだけで面白みに欠ける問題があった。
【１３５４】
本発明は、上述した課題に鑑みてなされたものであり、興趣を向上させることが可能な遊技機を提供することを目的とする。
【１３５５】
以上の如く、本実施形態に係る遊技機は、
透光部を有し遊技者から視認可能な複数の演出面（演出部）から形成される回転体Ｐ３４００を備えた遊技機であって、
前記回転体Ｐ３４００の内部に設けられ、少なくとも一つの演出面の内面側に光を照射することで前記透光部を介して前記回転体Ｐ３４００の外部方向に光を照射可能な発光手段Ｐ３３００と、
前記発光手段Ｐ３３００から演出面の内面側に照射される光の照射範囲を所定の範囲に制限する遮蔽手段Ｐ３６００と、
前記回転体Ｐ３４００を回転させ前記複数の演出面のうちいずれかの演出面を遊技者から視認容易な演出位置に移動制御する駆動手段Ｐ３５００と、を備え、
前記複数の演出面は、
第１の演出面Ｐ３４１０と、
前記第１の演出面Ｐ３４１０とは別の演出面である第２の演出面Ｐ３４３０と、を含み、
前記回転体Ｐ３４００は、前記遮蔽手段Ｐ３６００により、前記第１の演出面Ｐ３４１０が前記演出位置に移動制御されている場合と、前記第２の演出面Ｐ３４３０が前記演出位置に移動制御されている場合とで、前記演出面の内面側に照射される光の照射範囲が異なることを特徴とするものである。
【１３５６】
また、本実施形態に係る遮蔽手段Ｐ３６００は、
前記回転体Ｐ３４００に設けられる回転体側遮蔽手段Ｐ３６２０と、
前記発光手段Ｐ３３００に設けられる発光手段側遮蔽手段Ｐ３６１０と、
を含み、
前記遮蔽手段Ｐ３６００は、
前記回転体Ｐ３４００の回転に伴って前記回転体側遮蔽手段Ｐ３６２０が移動することにより、前記発光手段側遮蔽手段Ｐ３６１０と共に前記発光手段Ｐ３３００から前記演出面（演出部）の内面側に照射される光の照射範囲を所定の範囲に制限可能であり、
前記第１の演出面Ｐ３４１０が前記演出位置に移動制御された場合、前記発光手段Ｐ３３００から前記第１の演出面Ｐ３４１０の内面側に照射される光の照射範囲が第１の照射範囲となり、前記第２の演出面Ｐ３４３０が前記演出位置に移動制御された場合に、前記発光手段Ｐ３３００から前記第２の演出面Ｐ３４３０の内面側に照射される光の照射範囲が前記第１の照射範囲とは異なる第２の照射範囲となることを特徴とするものである。
【１３５７】
このような構成によれば、遊技機の興趣を向上させることができる。
【１３５８】
具体的には、第１の演出面Ｐ３４１０が演出位置に移動制御された場合と、第２の演出面Ｐ３４３０が演出位置に移動制御された場合とで、発光手段Ｐ３３００による演出面の発光態様を異ならせることができる。すなわち、演出位置に移動制御されている演出面の種別によって、異なる発光演出が可能となり、ひいては遊技機の興趣を向上させることができる。
【１３５９】
以上の実施形態に基づき、本発明の概要を以下に列挙する。
【１３６０】
従来、演出装置を備える遊技機は公知となっている。例えば、特開２０１８−１６１３３３号公報に記載の如くである。
【１３６１】
特開２０１８−１６１３３３号公報には、発光部を内蔵すると共に複数の演出面を備えた演出回転体を有し、大当り中の演出や遊技情報等を複数の演出面に表示可能な遊技機が開示されている。
【１３６２】
しかしながら、特許文献１に記載の遊技機では、演出面に表示される演出内容は同一の演出態様が繰り返し表示されるだけで面白みに欠ける問題があった。
【１３６３】
本発明は、上述した課題に鑑みてなされたものであり、興趣を向上させることが可能な遊技機を提供することを目的とする。
【１３６４】
以上の如く、本実施形態に係る遊技機は、
透光部を有し遊技者から視認可能な複数の演出部から形成される回転体を備えた遊技機であって、
前記回転体の内部に設けられ、少なくとも一つの演出部の内面側に光を照射することで前記透光部を介して前記回転体の外部方向に光を照射可能な発光手段と、
前記発光手段から演出部の内面側に照射される光の照射範囲を所定の範囲に制限する遮蔽手段と、
前記回転体を回転させ前記複数の演出部のうちいずれかの演出部を遊技者から視認容易な演出位置に移動制御する駆動手段と、を備え、
前記複数の演出面は、
第１の演出面Ｐ３４１０と、
前記第１の演出面Ｐ３４１０とは別の演出面である第２の演出面Ｐ３４３０と、を含み、
前記遮蔽手段Ｐ３６００は、
前記回転体Ｐ３４００に設けられる回転体側遮蔽手段Ｐ３６２０を含み、
前記回転体側遮蔽手段Ｐ３６２０は、
前記回転体Ｐ３４００の回転に伴って移動することにより、前記第１の演出面Ｐ３４１０が前記演出位置に移動制御されている場合と、前記第２の演出面Ｐ３４３０が前記演出位置に移動制御されている場合とで、前記演出面の内面側に照射される光の照射範囲を異ならせることを特徴とするものである。
【１３６５】
また、本実施形態に係る前記第１の演出面Ｐ３４１０は、
所定の形状で形成される第１の透光部を有し、
前記第２の演出面Ｐ３４３０は、
前記第１の透光部とは異なる形状で形成される第２の透光部を有し、
前記回転体側遮蔽手段Ｐ３６２０は、
前記回転体Ｐ３４００の回転に伴って移動することにより、前記第１の演出面Ｐ３４１０が前記演出位置に移動制御されている場合は、前記発光手段Ｐ３３００から照射される光の照射範囲が前記第１の透光部に応じた第１の照射範囲となることで前記第１の透光部が発光し、前記第２の演出面Ｐ３４３０が前記演出位置に移動制御されている場合は、前記発光手段Ｐ３３００から照射される光の照射範囲が前記第２の透光部に応じた第２の照射範囲となることで前記第２の透光部が発光することを特徴とするものである。
【１３６６】
このような構成によれば、遊技機の興趣を向上させることができる。
【１３６７】
具体的には、第１の演出面Ｐ３４１０が演出位置に移動制御された場合と、第２の演出面Ｐ３４３０が演出位置に移動制御された場合とで、発光手段Ｐ３３００による演出面の発光態様を異ならせることができる。すなわち、演出位置に移動制御されている演出面の種別によって、異なる発光演出が可能となり、ひいては遊技機の興趣を向上させることができる。
【１３６８】
以上の実施形態に基づき、本発明の概要を以下に列挙する。
【１３６９】
従来、演出装置を備える遊技機は公知となっている。例えば、特開２０１８−１６１３３３号公報に記載の如くである。
【１３７０】
特開２０１８−１６１３３３号公報には、発光部を内蔵すると共に複数の演出面を備えた演出回転体を有し、大当り中の演出や遊技情報等を複数の演出面に表示可能な遊技機が開示されている。
【１３７１】
しかしながら、特許文献１に記載の遊技機では、演出面に表示される演出内容は同一の演出態様が繰り返し表示されるだけで面白みに欠ける問題があった。
【１３７２】
本発明は、上述した課題に鑑みてなされたものであり、興趣を向上させることが可能な遊技機を提供することを目的とする。
【１３７３】
以上の如く、本実施形態に係る遊技機は、
透光部を有し遊技者から視認可能な複数の演出部から形成される回転体を備えた遊技機であって、
前記回転体の内部に設けられ、少なくとも一つの演出部の内面側に光を照射することで前記透光部を介して前記回転体の外部方向に光を照射可能な発光手段と、
前記発光手段から演出部の内面側に照射される光の照射範囲を所定の範囲に制限する遮蔽手段と、
前記回転体を回転させ前記複数の演出部のうちいずれかの演出部を遊技者から視認容易な演出位置に移動制御する駆動手段と、を備え、
前記遮蔽手段Ｐ３６００は、
前記回転体Ｐ３４００に設けられる回転体側遮蔽手段Ｐ３６２０と、
前記発光手段Ｐ３３００に設けられる発光手段側遮蔽手段Ｐ３６１０と、
を含み、
前記遮蔽手段Ｐ３６００は、
前記回転体Ｐ３４００の回転に伴って前記回転体側遮蔽手段Ｐ３６２０が移動することにより、前記発光手段側遮蔽手段Ｐ３６１０と共に前記発光手段Ｐ３３００から前記演出面の内面側に照射される光の照射範囲を所定の範囲に制限する状態と、前記発光手段から前記演出面の内面側に照射される光の照射範囲を制限しない状態と、に切り替えられることを特徴とするものである。
【１３７４】
このような構成によれば、遊技機の興趣を向上させることができる。
【１３７５】
具体的には、第１の演出面Ｐ３４１０が演出位置に移動制御された場合と、第２の演出面Ｐ３４３０が演出位置に移動制御された場合とで、発光手段Ｐ３３００による演出面の発光態様を異ならせることができる。すなわち、回転体Ｐ３４００の回転に応じて、異なる発光演出が可能となり、ひいては遊技機の興趣を向上させることができる。
【１３７６】
以上、本発明の第一実施形態を説明したが、本発明は上記構成に限定されるものではなく、特許請求の範囲に記載された発明の範囲内で種々の変更が可能である。
【１３７７】
例えば、駆動手段Ｐ３５００による回転体Ｐ３４００の移動（回転）と、発光手段Ｐ３３００による光の照射は、任意に制御することができる。両者のタイミングを適宜設定することで、種々の態様の演出を行うことができる。
【１３７８】
また、本実施形態では第１の演出面Ｐ３４１０及び第２の演出面Ｐ３４３０の全体が透光部となっている（全体的に光が透過可能である）例を示したが、第１の演出面Ｐ３４１０及び第２の演出面Ｐ３４３０の一部のみを透光部とする（一部のみ光を透過可能とする）ことも可能である。例えば、第１の演出面Ｐ３４１０を、表面に施される装飾に応じて、透光性を有する部材と、透光性を有さない部材と、を組み合わせて形成することも可能である。
【１３７９】
また、遮蔽手段Ｐ３６００として、回転体側遮蔽手段Ｐ３６２０のみを用いることも可能である。すなわち、発光手段側遮蔽手段Ｐ３６１０を省略することも可能である。この場合、第２の演出面Ｐ３４３０が演出位置に移動制御された場合、回転体側遮蔽手段Ｐ３６２０によって光の照射範囲が制限される。
【１３８０】
また、遮蔽手段Ｐ３６００の構成（形状、大きさ等）は、上記実施形態に限るものではない。例えば、演出面に施された装飾に応じて適宜の形状、大きさ等とすることが可能である。
【１３８１】
また、遮蔽手段Ｐ３６００は、本実施形態の回転体側遮蔽手段Ｐ３６２０のように、必ずしも回転体Ｐ３４００に設けられている必要はない。すなわち、遮蔽手段Ｐ３６００は、回転体Ｐ３４００の移動制御（回転）に応じて、光の照射範囲を制限する状態と、制限しない状態と、に切り替え可能なものであればよい。例えば、回転体Ｐ３４００の移動制御に応じて、別途設けられた駆動手段によって（若しくは、駆動手段Ｐ３５００の駆動力を用いて）、光の照射範囲を制限する位置と、制限しない位置と、に移動可能な部材を遮蔽手段Ｐ３６００とすることも可能である。
【１３８２】
以下では、図３４４から図３６４を用いて、演出装置Ｐ４０００について説明する。
【１３８３】
図３４４に示す演出装置Ｐ４０００は、適宜のタイミングで動作することで、遊技者に視覚的な印象（インパクト）を与えるものである。なお便宜上、演出装置Ｐ４０００は、本発明の第１０実施形態に係るパチンコ遊技機の別例の遊技盤Ｐ１１００に設けられているものとする。
【１３８４】
演出装置Ｐ４０００は、遊技盤Ｐ１１００に設置される。演出装置Ｐ４０００は、遊技盤Ｐ１１００の開口領域１ｄにおいて遊技者が視認可能な位置で可動体Ｐ４３００を移動制御することで、遊技者に視覚的な印象を与える。演出装置Ｐ４０００は、移動制御機構Ｐ４０１０、可動体Ｐ４３００及び補強カバーＰ４４００を具備している。
【１３８５】
移動制御機構Ｐ４０１０は、可動体Ｐ４３００を、遊技者から視認し難い位置である図３４４に示す待機位置と、遊技者から視認可能な位置である図３５８から図３６０までに示す演出位置と、に移動制御するものである。なお、可動体Ｐ４３００の詳細な説明については後述する。
【１３８６】
本実施形態では、図３４４に示すように、待機位置を、遊技盤Ｐ１１００の開口領域１ｄよりも下方（遊技盤Ｐ１１００の下側部分と重複する位置）としている。また、図３５８から図３６０までに示すように、演出位置を開口領域１ｄにおける下側部分としている。移動制御機構Ｐ４０１０は、昇降移動制御機構Ｐ４１００及び左右移動制御機構Ｐ４２００を具備する。
【１３８７】
図３４４及び図３４５、図３５８に示す昇降移動制御機構Ｐ４１００は、可動体Ｐ４３００を上下方向に移動制御するものである。ここで、可動体Ｐ４３００は、後述する左右移動制御機構Ｐ４２００に設けられており、昇降移動制御機構Ｐ４１００は、左右移動制御機構Ｐ４２００を介して、可動体Ｐ４３００を移動制御する。すなわち、昇降移動制御機構Ｐ４１００は、直接的には、左右移動制御機構Ｐ４２００を上下方向に移動制御する。なお、左右移動制御機構Ｐ４２００の詳細な説明については後述する。
【１３８８】
昇降移動制御機構Ｐ４１００は、図３４４及び図３５８に示すように、待機位置と演出位置との間において左右移動制御機構Ｐ４２００（可動体Ｐ４３００）を移動制御する。なお、以下では、主として、可動体Ｐ４３００を待機位置に位置させた状態を基準として、昇降移動制御機構Ｐ４１００の構成について説明する。昇降移動制御機構Ｐ４１００は、左側移動ユニットＰ４１１０及び右側移動ユニットＰ４１６０を具備する。
【１３８９】
左側移動ユニットＰ４１１０は、遊技盤Ｐ１１００の左側において左右移動制御機構Ｐ４２００を上下方向に移動させると共に、上下方向の移動をガイドするものである。左側移動ユニットＰ４１１０は、ベース部Ｐ４１２０、第１のモータＰ４１３０、第１の伝達部Ｐ４１４０及び昇降シャフトＰ４１５０を具備する。
【１３９０】
ベース部Ｐ４１２０は、後述する第１のモータＰ４１３０、第１の伝達部Ｐ４１４０及び昇降シャフトＰ４１５０が設置されるものである。ベース部Ｐ４１２０は、遊技盤Ｐ１１００の左側部分に固定される。ベース部Ｐ４１２０は、後方に向けて開口する略箱形状とされている。また、ベース部Ｐ４１２０は、正面視において上下方向に長尺な略矩形状とされている。
【１３９１】
図３４４に示す第１のモータＰ４１３０は、左右移動制御機構Ｐ４２００を上下方向に移動させるための駆動源である。第１のモータＰ４１３０は、ベース部Ｐ４１２０の上側部分に設置される。また、第１のモータＰ４１３０は、ベース部Ｐ４１２０の左側部分に設置される。第１のモータＰ４１３０は、図３４５に示すように、出力軸Ｐ４１３１が、ベース部Ｐ４１２０を前後に貫通して後方へと突出するように設けられる。
【１３９２】
図３４５に示す第１の伝達部Ｐ４１４０は、第１のモータＰ４１３０で発生した駆動力を、左右移動制御機構Ｐ４２００側へと伝達するものである。第１の伝達部Ｐ４１４０は、ベース部Ｐ４１２０の左側部分に設置される。第１の伝達部Ｐ４１４０は、出力ギヤＰ４１４１、第１のギヤＰ４１４２及び第２のギヤＰ４１４３を具備する。
【１３９３】
出力ギヤＰ４１４１は、第１のモータＰ４１３０の駆動力を取り出すものである。出力ギヤＰ４１４１は、第１のモータＰ４１３０の出力軸Ｐ４１３１の後端部に固定される。
【１３９４】
第１のギヤＰ４１４２は、出力ギヤＰ４１４１の略下方に配置され、出力ギヤＰ４１４１と歯合する。第１のギヤＰ４１４２は、ベース部Ｐ４１２０の後面において、前後方向に向く軸心回りに回転自在に軸支される。
【１３９５】
第２のギヤＰ４１４３は、第１のギヤＰ４１４２の略下方に配置され、第１のギヤＰ４１４２と歯合する。第２のギヤＰ４１４３は、ベース部Ｐ４１２０の後面において、前後方向に向く軸心回りに回転自在に軸支される。
【１３９６】
昇降シャフトＰ４１５０は、左右移動制御機構Ｐ４２００の上下方向の移動をガイドするものである。昇降シャフトＰ４１５０は、上下方向に長尺な略円柱形状とされている。昇降シャフトＰ４１５０は、ベース部Ｐ４１２０の右側部分に設置される。また、昇降シャフトＰ４１５０は、ベース部Ｐ４１２０の後面から離間するように設置される。
【１３９７】
右側移動ユニットＰ４１６０は、遊技盤Ｐ１１００の右側において、左右移動制御機構Ｐ４２００の上下方向の移動をガイドするものである。右側移動ユニットＰ４１６０は、ベース部Ｐ４１７０及び昇降シャフトＰ４１８０を具備する。
【１３９８】
ベース部Ｐ４１７０は、後述する昇降シャフトＰ４１８０が設置されるものである。ベース部Ｐ４１７０は、遊技盤Ｐ１１００の右側部分に固定される。ベース部Ｐ４１７０は、後方に向けて開口する略箱形状とされている。また、ベース部Ｐ４１７０は、正面視において上下方向に長尺な略矩形状とされている。
【１３９９】
昇降シャフトＰ４１８０は、左右移動制御機構Ｐ４２００の上下方向の移動をガイドするものである。昇降シャフトＰ４１８０は、上下方向に長尺な略円柱形状とされている。昇降シャフトＰ４１５０は、ベース部Ｐ４１７０の左側部分に設置される。また、昇降シャフトＰ４１８０は、ベース部Ｐ４１７０の後面から離間するように設置される。
【１４００】
図３４４から図３５１、図３５８から図３６０までに示す左右移動制御機構Ｐ４２００は、可動体Ｐ４３００を支持すると共に、可動体Ｐ４３００を左右方向に移動制御するものである。左右移動制御機構Ｐ４２００は、図３５８から図３６０までに示すように、演出位置において、可動体Ｐ４３００を移動制御する。また、左右移動制御機構Ｐ４２００は、昇降移動制御機構Ｐ４１００により、上下方向に移動制御される。左右移動制御機構Ｐ４２００は、左側移動ユニットＰ４１１０と右側移動ユニットＰ４１６０との間に配置される。左右移動制御機構Ｐ４２００は、ベース部Ｐ４２１０、カバー部Ｐ４２２０、連結部Ｐ４２３０、ラック部Ｐ４２４０、ガイド部Ｐ４２５０、第２のモータＰ４２６０及び第２の伝達部Ｐ４２７０を具備する。
【１４０１】
図３４５、図３４７から図３５１までに示すベース部Ｐ４２１０は、後述する第２のモータＰ４２６０や第２の伝達部Ｐ４２７０が設置されるものである。ベース部Ｐ４２１０は、本体部Ｐ４２１１及び支持部Ｐ４２１９を具備する。
【１４０２】
図３４８に示す本体部Ｐ４２１１は、ベース部Ｐ４２１０の大部分を構成するものである。本体部Ｐ４２１１は、後方に向けて開口する略箱形状とされている。また、本体部Ｐ４２１１は、正面視において左右方向に長尺な略矩形状とされている。本体部Ｐ４２１１は、前壁部Ｐ４２１２、上壁部Ｐ４２１５、下壁部Ｐ４２１６、左壁部Ｐ４２１７及び右壁部Ｐ４２１８を具備する。
【１４０３】
前壁部Ｐ４２１２は、本体部Ｐ４２１１の前側部分を構成するものである。前壁部Ｐ４２１２は、厚さ方向を前後方向に向けた略板形状とされている。前壁部Ｐ４２１２は、ガイド孔部Ｐ４２１３及び第１の付勢部受け部Ｐ４２１４を具備する。
【１４０４】
図３４７及び図３５０に示すガイド孔部Ｐ４２１３は、可動体Ｐ４３００の左右方向の移動をガイドするものである。ガイド孔部Ｐ４２１３は、前壁部Ｐ４２１２を前後に貫通するように形成される。ガイド孔部Ｐ４２１３は、前壁部Ｐ４２１２の上下方向略中央部分に形成される。ガイド孔部Ｐ４２１３は、左右方向に長尺な形状とされる。
【１４０５】
図３５１に示す第１の付勢部受け部Ｐ４２１４は、後述する付勢部の付勢力を受けるものである。第１の付勢部受け部Ｐ４２１４は、前壁部Ｐ４２１２の右側部分において、後方へ突出するように設けられる。
【１４０６】
図３４８に示す上壁部Ｐ４２１５は、本体部Ｐ４２１１の上側部分を構成するものである。上壁部Ｐ４２１５は、前壁部Ｐ４２１２の上端部に設けられる。上壁部Ｐ４２１５は、厚さ方向を上下方向に向けた略板形状とされている。上壁部Ｐ４２１５は、切欠部Ｐ４２１５ａを具備する。
【１４０７】
切欠部Ｐ４２１５ａは、上壁部Ｐ４２１５の後側部分を切り欠いたものである。切欠部Ｐ４２１５ａは、上壁部Ｐ４２１５の左右方向中央部分に形成される。
【１４０８】
下壁部Ｐ４２１６は、本体部Ｐ４２１１の下側部分を構成するものである。下壁部Ｐ４２１６は、前壁部Ｐ４２１２の下端部に設けられる。下壁部Ｐ４２１６は、厚さ方向を上下方向に向けた略板形状とされている。
【１４０９】
左壁部Ｐ４２１７は、本体部Ｐ４２１１の左側部分を構成するものである。左壁部Ｐ４２１７は、前壁部Ｐ４２１２の左端部に設けられる。左壁部Ｐ４２１７は、厚さ方向を左右方向に向けた略板形状とされている。
【１４１０】
右壁部Ｐ４２１８は、本体部Ｐ４２１１の右側部分を構成するものである。右壁部Ｐ４２１８は、右壁部Ｐ４２１８の右端部に設けられる。右壁部Ｐ４２１８は、厚さ方向を左右方向に向けた略板形状とされている。
【１４１１】
支持部Ｐ４２１９は、後述するガイド部Ｐ４２５０を支持するものである。支持部Ｐ４２１９は、本体部Ｐ４２１１の右端部から上方に延びるように形成される。
【１４１２】
図３４５に示すカバー部Ｐ４２２０は、本体部Ｐ４２１１の開口を覆うものである。カバー部Ｐ４２２０は、厚さ方向を前後方向に向けた、左右方向に長尺な板形状とされる。カバー部Ｐ４２２０は、本体部Ｐ４２１１とによって、後述する第２の伝達部Ｐ４２７０を収容するハウジングを構成する。
【１４１３】
連結部Ｐ４２３０は、カバー部Ｐ４２２０（ベース部Ｐ４２１０）と、後述するラック部Ｐ４２４０とを連結するものである。連結部Ｐ４２３０は、厚さ方向を前後方向に向けた板形状とされる。連結部Ｐ４２３０は、右側部分が、カバー部Ｐ４２２０の後面における左側端部に固定される。また、連結部Ｐ４２３０は、左側部分が、カバー部Ｐ４２２０の左側端部よりも左方に突出する。
【１４１４】
図３４５から図３４７までに示すラック部Ｐ４２４０は、第１の伝達部Ｐ４１４０が伝達する回転を、左右移動制御機構Ｐ４２００の上下方向の移動に変換するものである。ラック部Ｐ４２４０は、連結部Ｐ４２３０の左側部分に固定される。ラック部Ｐ４２４０は、本体部Ｐ４２４１、ガイド孔部Ｐ４２４２及びラック歯部Ｐ４２４３を具備する。
【１４１５】
図３４６及び図３４７に示す本体部Ｐ４２４１は、ラック部Ｐ４２４０の大部分を構成するものである。本体部Ｐ４２４１は、厚さ方向を前後方向に向けた板形状とされる。本体部Ｐ４２４１は、正面視において、上下方向に長尺な略矩形状とされる。本体部Ｐ４２４１は、下側部分が、連結部Ｐ４２３０の左側部分の前面に固定される。
【１４１６】
ガイド孔部Ｐ４２４２は、本体部Ｐ４２４１を上下方向に貫通する孔である。ガイド孔部Ｐ４２４２には、左側移動ユニットＰ４１１０の昇降シャフトＰ４１５０が挿通される。ガイド孔部Ｐ４２４２に昇降シャフトＰ４１５０が挿通されることで、左右移動制御機構Ｐ４２００の左側部分において、左右移動制御機構Ｐ４２００の上下方向の移動がガイドされる。
【１４１７】
ラック歯部Ｐ４２４３は、第１の伝達部Ｐ４１４０の第２のギヤＰ４１４３と歯合するものである。ラック歯部Ｐ４２４３は、本体部Ｐ４２４１の左端部に設けられる。ラック歯部Ｐ４２４３は、ガイド孔部Ｐ４２４２に昇降シャフトＰ４１５０が挿通された状態で第２のギヤＰ４１４３と歯合する。
【１４１８】
図３４６及び図３４７に示すガイド部Ｐ４２５０は、左右移動制御機構Ｐ４２００の上下方向の移動をガイドするものである。ガイド部Ｐ４２５０は、支持部Ｐ４２１９の上端部に固定される。ガイド部Ｐ４２５０は、厚さ方向を前後方向に向けた板形状とされる。ガイド部Ｐ４２５０は、正面視において略矩形状とされる。ガイド部Ｐ４２５０は、ガイド孔部Ｐ４２５１を具備する。
【１４１９】
ガイド孔部Ｐ４２５１は、ガイド部Ｐ４２５０を上下方向に貫通する孔である。ガイド孔部Ｐ４２５１には、右側移動ユニットＰ４１６０の昇降シャフトＰ４１８０が挿通される。ガイド孔部Ｐ４２５１に昇降シャフトＰ４１８０が挿通されることで、左右移動制御機構Ｐ４２００の右側部分において、左右移動制御機構Ｐ４２００の上下方向の移動がガイドされる。
【１４２０】
図３４６に示す第２のモータＰ４２６０は、可動体Ｐ４３００を左右方向に移動させるための駆動源である。第２のモータＰ４２６０は、ベース部Ｐ４２１０（本体部Ｐ４２１１）の左側部分に設置される。第２のモータＰ４２６０は、図３４９に示すように、出力軸Ｐ４２６１が、ベース部Ｐ４２１０を前後に貫通して後方へと突出するように設けられる。
【１４２１】
図３４７から図３５１までに示す第２の伝達部Ｐ４２７０は、第２のモータＰ４２６０で発生した駆動力を、可動体Ｐ４３００へと伝達するものである。第２の伝達部Ｐ４２７０は、出力ギヤＰ４２７１、第１のギヤＰ４２７２、第２のギヤＰ４２７３、ベルトＰ４２７４、テンションプーリＰ４２７５、張力付与部Ｐ４２７６、第１のプーリＰ４２７７及び第２のプーリＰ４２７８を具備する。
【１４２２】
図３４７から図３４９までに示す出力ギヤＰ４２７１は、第２のモータＰ４２６０の駆動力を取り出すものである。出力ギヤＰ４２７１は、第２のモータＰ４２６０の出力軸Ｐ４２６１の後端部に固定される。
【１４２３】
第１のギヤＰ４２７２は、出力ギヤＰ４２７１の略下方に配置され、出力ギヤＰ４２７１と歯合する。第１のギヤＰ４２７２は、前後方向に向く軸心回りに回転自在に軸支される。
【１４２４】
第２のギヤＰ４２７３は、第１のギヤＰ４２７２の略右方に配置され、第１のギヤＰ４２７２と歯合する。第２のギヤＰ４２７３は、前後方向に向く軸心回りに回転自在に軸支される。また、第２のギヤＰ４２７３には、後述するベルトＰ４２７４が巻回される。
【１４２５】
図３４７から図３５１までに示すベルトＰ４２７４は、無端状に形成され、第２のギヤＰ４２７３と、後述するテンションプーリＰ４２７５と、に巻回されるものである。ベルトＰ４２７４は、前壁部Ｐ４２１２において、ガイド孔部Ｐ４２１３の上方に、左右方向に延びるように配置される。
【１４２６】
ベルトＰ４２７４は、第２のギヤＰ４２７３の回転に伴い回転する。ベルトＰ４２７４は、内周面（第２のギヤＰ４２７３に対向する面）の一部に、ラック状の歯部Ｐ４２７４ａが形成されている。歯部Ｐ４２７４ａは、第２のギヤＰ４２７３に歯合する。
【１４２７】
図３５１に示すテンションプーリＰ４２７５は、ベルトＰ４２７４が巻回されるものである。テンションプーリＰ４２７５は、前壁部Ｐ４２１２の右側部分において、後述する張力付与部Ｐ４２７６を介して、前後方向に向く軸心回りに回転自在に軸支される。
【１４２８】
張力付与部Ｐ４２７６は、テンションプーリＰ４２７５を回転可能に支持すると共に、ベルトＰ４２７４に張力を付与するものである。張力付与部Ｐ４２７６は、前壁部Ｐ４２１２の右側部分に配置される。張力付与部Ｐ４２７６は、テンションプーリ支持部Ｐ４２７６ａ及び付勢部Ｐ４２７６ｄを具備する。
【１４２９】
テンションプーリ支持部Ｐ４２７６ａは、テンションプーリＰ４２７５を回転可能に支持するものである。テンションプーリ支持部Ｐ４２７６ａは、左右方向に移動可能に支持される。テンションプーリ支持部Ｐ４２７６ａは、左側部分においてテンションプーリＰ４２７５を支持する構成とされている。また、テンションプーリ支持部Ｐ４２７６ａは、孔部Ｐ４２７６ｂ及び第２の付勢部受け部Ｐ４２７６ｃを具備する。
【１４３０】
孔部Ｐ４２７６ｂは、テンションプーリ支持部Ｐ４２７６ａを前後に貫通する孔である。孔部Ｐ４２７６ｂは、テンションプーリ支持部Ｐ４２７６ａの右側部分に形成される。孔部Ｐ４２７６ｂは、左右方向に長尺な長孔形状とされている。孔部Ｐ４２７６ｂには、前壁部Ｐ４２１２に形成された第１の付勢部受け部Ｐ４２１４が挿通される。
【１４３１】
第２の付勢部受け部Ｐ４２７６ｃは、後述する付勢部Ｐ４２７６ｄの付勢力を受けるものである。第２の付勢部受け部Ｐ４２７６ｃは、テンションプーリ支持部Ｐ４２７６ａの右端部から、後方へ突出するように設けられる。
【１４３２】
付勢部Ｐ４２７６ｄは、テンションプーリ支持部Ｐ４２７６ａを右方に付勢するものである。付勢部Ｐ４２７６ｄによりテンションプーリ支持部Ｐ４２７６ａを介してテンションプーリＰ４２７５を右方に付勢することで、ベルトＰ４２７４に一定の張力を付与することができる。付勢部Ｐ４２７６ｄは、第１の付勢部受け部Ｐ４２１４と、テンションプーリ支持部Ｐ４２７６ａの第２の付勢部受け部Ｐ４２７６ｃと、の間に介在され、第１の付勢部受け部Ｐ４２１４及び第２の付勢部受け部Ｐ４２７６ｃを互いに離間させるように付勢する圧縮ばねを構成する。
【１４３３】
図３４７、図３４９及び図３５０までに示す第１のプーリＰ４２７７は、第２のギヤＰ４２７３の略右方に配置される。第１のプーリＰ４２７７は、ベルトＰ４２７４の下方において、ベルトＰ４２７４の外周面に当接するように配置される。また、第１のプーリＰ４２７７は、上端部が第２のギヤＰ４２７３の下端部よりも上方に位置するように配置される。第１のプーリＰ４２７７は、前後方向に向く軸心回りに回転自在に軸支される。第１のプーリＰ４２７７は、ベルトＰ４２７４の回転に応じて回転する。
【１４３４】
図３４７、図３５０及び図３５１に示す第２のプーリＰ４２７８は、テンションプーリＰ４２７５の略左方に配置される。第２のプーリＰ４２７８は、ベルトＰ４２７４の下方において、ベルトＰ４２７４の外周面に当接するように配置される。第２のプーリＰ４２７８は、上端部がテンションプーリＰ４２７５の下端部よりも上方に位置するように配置される。また、第２のプーリＰ４２７８は、第１のプーリＰ４２７７と略同高さに配置される。第２のプーリＰ４２７８は、前後方向に向く軸心回りに回転自在に軸支される。第２のプーリＰ４２７８は、ベルトＰ４２７４の回転に応じて回転する。
【１４３５】
図３４６から図３５５までに示す可動体Ｐ４３００は、昇降移動制御機構Ｐ４１００及び左右移動制御機構Ｐ４２００による移動制御により、上下方向及び左右方向に移動可能なものである。可動体Ｐ４３００は、左右移動制御機構Ｐ４２００に対して左右方向に移動可能に設置される。可動体Ｐ４３００は、正面視において略三角形状とされている。また、可動体Ｐ４３００は、戦闘機を模した形状とされている。可動体Ｐ４３００は、ベース部Ｐ４３１０、係合部Ｐ４３２０、基板Ｐ４３３０及びカバー部Ｐ４３４０を具備する。
【１４３６】
図３５２に示すベース部Ｐ４３１０は、後述する基板Ｐ４３３０及びカバー部Ｐ４３４０を保持するものである。ベース部Ｐ４３１０は、左右移動制御機構Ｐ４２００に設置される。ベース部Ｐ４３１０は、本体部Ｐ４３１１、ローラ収容部Ｐ４３１２及び被ガイド部Ｐ４３１３を具備する。
【１４３７】
本体部Ｐ４３１１は、ベース部Ｐ４３１０の大部分を構成するものである。本体部Ｐ４３１１は、厚さ方向を前後方向に向けた略板形状とされている。本体部Ｐ４３１１は、正面視において略三角形状とされている。
【１４３８】
ローラ収容部Ｐ４３１２は、後述するローラＰ４３２２を収容するものである。ローラ収容部Ｐ４３１２は、本体部Ｐ４３１１の下側部分における左右方向両側に一対配置される。ローラ収容部Ｐ４３１２は、後方及び下方に向けて開口している。
【１４３９】
図３５０、図３５２、図３５４、図３５５までに示す被ガイド部Ｐ４３１３は、左右移動制御機構Ｐ４２００のガイド孔部Ｐ４２１３によって左右方向にガイドされる部分である。被ガイド部Ｐ４３１３は、本体部Ｐ４３１１の下側部分における左右方向中央部分から、下方に延びるように設けられる。被ガイド部Ｐ４３１３は、厚さ方向を前後方向に向けた略板形状とされている。被ガイド部Ｐ４３１３は、突部Ｐ４３１４及び拡径部Ｐ４３１５を具備する。
【１４４０】
図３５４及び図３５５に示す突部Ｐ４３１４は、被ガイド部Ｐ４３１３の後面から後方に向けて突出するものである。突部Ｐ４３１４は、左右方向に間隔を空けて一対設けられる。突部Ｐ４３１４は、略円柱形状とされている。突部Ｐ４３１４は、ガイド孔部Ｐ４２１３に挿通される。
【１４４１】
拡径部Ｐ４３１５は、突部Ｐ４３１４の後端部に設けられるものである。拡径部Ｐ４３１５は、突部Ｐ４３１４よりも拡径した形状とされている。拡径部Ｐ４３１５の外径は、ガイド孔部Ｐ４２１３の上下寸法よりも大きく形成されている。
【１４４２】
上述した突部Ｐ４３１４がガイド孔部Ｐ４２１３に挿通されることで、ガイド孔部Ｐ４２１３に沿って可動体Ｐ４３００の左右方向の移動をガイドすることができる。また、上述した拡径部Ｐ４３１５が突部Ｐ４３１４の後端部に設けられることで、ガイド孔部Ｐ４２１３に対する突部Ｐ４３１４の抜けを防止することができる。
【１４４３】
図３５２から図３５５までに示す係合部Ｐ４３２０は、ベース部Ｐ４３１０に固定されると共に、ベルトＰ４２７４に係合するものである。係合部Ｐ４３２０は、固定部Ｐ４３２１、ローラＰ４３２２及び係合ガイド部Ｐ４３２３を具備する。
【１４４４】
固定部Ｐ４３２１は、ベース部Ｐ４３１０の後面に固定されるものである。固定部Ｐ４３２１は、左右方向に長尺な形状とされている。固定部Ｐ４３２１は、適宜の止具を介してベース部Ｐ４３１０に固定される。
【１４４５】
図３５２及び図３５３に示すローラＰ４３２２は、固定部Ｐ４３２１に対して、前後方向に向く軸心回りに回転自在に軸支されるものである。ローラＰ４３２２は、円盤形状とされている。ローラＰ４３２２は、固定部Ｐ４３２１の前面における左右方向両端部にそれぞれ設けられる。ローラＰ４３２２は、固定部Ｐ４３２１がベース部Ｐ４３１０に固定された状態で、ローラ収容部Ｐ４３１２に収容される。また、ローラＰ４３２２は、図３５５に示すように、ベース部Ｐ４２１０（本体部Ｐ４２１１）の上壁部Ｐ４２１５の上面に接地する。
【１４４６】
図３５２から図３５５に示す係合ガイド部Ｐ４３２３は、ベルトＰ４２７４に係合すると共に、可動体Ｐ４３００の左右方向の移動をガイドするものである。係合ガイド部Ｐ４３２３は、固定部Ｐ４３２１の下面における左右方向中央部分に設けられる。係合ガイド部Ｐ４３２３は、ガイド部Ｐ４３２４、係合部Ｐ４３２５及び係合維持部Ｐ４３２６を具備する。
【１４４７】
図３５３から図３５５までに示すガイド部Ｐ４３２４は、可動体Ｐ４３００の左右方向の移動をガイドするものである。ガイド部Ｐ４３２４は、左右方向に長尺な形状とされている。ガイド部Ｐ４３２４の左右寸法は、固定部Ｐ４３２１の左右寸法よりも小さく形成されている。ガイド部Ｐ４３２４は、鉛直部Ｐ４３２４ａ及び水平部Ｐ４３２４ｂを具備する。
【１４４８】
図３５５に示す鉛直部Ｐ４３２４ａは、固定部Ｐ４３２１の下面における後端部から、下方に突出する部分である。鉛直部Ｐ４３２４ａは、厚さ方向を前後方向に向けた略板形状とされている。
【１４４９】
水平部Ｐ４３２４ｂは、鉛直部Ｐ４３２４ａの下端部から前方に突出する部分である。水平部Ｐ４３２４ｂは、厚さ方向を上下方向に向けた略板形状とされている。
【１４５０】
上述したガイド部Ｐ４３２４は、断面視（側面視）において略Ｌ字形状とされている。ガイド部Ｐ４３２４は、図３５５に示すように、水平部Ｐ４３２４ｂの上面が、ベース部Ｐ４２１０（本体部Ｐ４２１１）の上壁部Ｐ４２１５の下面に対向する。これにより、ガイド部Ｐ４３２４は、ローラＰ４３２２と共に上壁部Ｐ４２１５を挟むことで、可動体Ｐ４３００の左右方向の移動をガイドすることができる。
【１４５１】
図３５４及び図３５５に示す係合部Ｐ４３２５は、ベルトＰ４２７４に係合するものである。係合部Ｐ４３２５は、ガイド部Ｐ４３２４の下面における左右方向中央部分に設けられる。係合部Ｐ４３２５は、鉛直部Ｐ４３２５ａ及び水平部Ｐ４３２５ｂを具備する。
【１４５２】
図３５５に示す鉛直部Ｐ４３２５ａは、ガイド部Ｐ４３２４の下面における前端部から、下方に突出する部分である。鉛直部Ｐ４３２５ａは、厚さ方向を前後方向に向けた略板形状とされている。
【１４５３】
水平部Ｐ４３２５ｂは、鉛直部Ｐ４３２５ａの下端部から後方に突出する部分である。水平部Ｐ４３２５ｂは、厚さ方向を上下方向に向けた略板形状とされている。水平部Ｐ４３２５ｂの上面には、ベルトＰ４２７４の歯部Ｐ４２７４ａに歯合する歯部Ｐ４３２５ｃが形成されている。
【１４５４】
上述した係合部Ｐ４３２５は、断面視（側面視）において略Ｌ字形状とされている。係合部Ｐ４３２５は、図３５５に示すように、ガイド部Ｐ４３２４の下面と、水平部Ｐ４３２５ｂの上面と、によってベルトＰ４２７４を上下に挟み込むように保持する。また、この状態では、係合部Ｐ４３２５の歯部Ｐ４３２５ｃと、ベルトＰ４２７４の歯部Ｐ４２７４ａと、が歯合する。これにより、係合部Ｐ４３２５をベルトＰ４２７４に係合させ、ベルトＰ４２７４の動作を可動体Ｐ４３００に伝達することができる。
【１４５５】
図３５４及び図３５５に示す係合維持部Ｐ４３２６は、係合部Ｐ４３２５とベルトＰ４２７４との係合を維持するものである。係合維持部Ｐ４３２６は、ガイド部Ｐ４３２４の下面に設けられる。また、係合維持部Ｐ４３２６は、係合部Ｐ４３２５の左右方向両側に一対設けられる。係合維持部Ｐ４３２６は、鉛直部Ｐ４３２６ａ及び水平部Ｐ４３２６ｂを具備する。
【１４５６】
図３５５に示す鉛直部Ｐ４３２６ａは、ガイド部Ｐ４３２４の下面における後端部から、下方に突出する部分である。鉛直部Ｐ４３２６ａは、厚さ方向を前後方向に向けた略板形状とされている。
【１４５７】
水平部Ｐ４３２６ｂは、鉛直部Ｐ４３２６ａの下端部から前方に突出する部分である。水平部Ｐ４３２６ｂは、厚さ方向を上下方向に向けた略板形状とされている。
【１４５８】
上述した係合維持部Ｐ４３２６は、断面視（側面視）において略Ｌ字形状とされている。係合維持部Ｐ４３２６は、図３５５に示すように、ガイド部Ｐ４３２４の下面と、水平部Ｐ４３２６ｂの上面と、によってベルトＰ４２７４を上下に挟み込むように保持する。また、係合維持部Ｐ４３２６の鉛直部Ｐ４３２６ａによって、係合部Ｐ４３２５に係合されたベルトＰ４２７４の後方への移動を規制することができる。これにより、ベルトＰ４２７４が係合部Ｐ４３２５から外れることを抑制することができる。
【１４５９】
図３５２に示す基板Ｐ４３３０は、適宜の電子部品（機能部品）が実装されるものである。基板Ｐ４３３０は、ベース部Ｐ４３１０の前面に固定される。基板Ｐ４３３０は、厚さ方向を前後方向に向けた略板形状とされている。基板Ｐ４３３０は、正面視において略三角形状とされている。基板Ｐ４３３０は、前面が、適宜の発光手段が実装される実装面とされている。
【１４６０】
カバー部Ｐ４３４０は、可動体Ｐ４３００の正面視における外観を構成するものである。カバー部Ｐ４３４０は、ベース部Ｐ４３１０及び基板Ｐ４３３０を覆うように、ベース部Ｐ４３１０の前面に固定される。カバー部Ｐ４３４０は、本体部Ｐ４３４１、当接部Ｐ４３４２及び位置決め突部Ｐ４３４３を具備する。
【１４６１】
本体部Ｐ４３４１は、カバー部Ｐ４３４０の大部分を構成するものである。本体部Ｐ４３４１は、後方に向けて開口する略箱形状とされている。また、本体部Ｐ４３４１は、正面視において略三角形状とされている。本体部Ｐ４３４１は、基板Ｐ４３３０に設けられた発光手段による光を透過可能な透過性部材によって形成されている。
【１４６２】
当接部Ｐ４３４２は、本体部Ｐ４３４１の前面において前方に突出するものである。当接部Ｐ４３４２は、本体部Ｐ４３４１の下端部における左端部に配置される。当接部Ｐ４３４２は、図３５０に示すように、係合部Ｐ４３２０のガイド部Ｐ４３２４よりも左方に配置される。また、当接部Ｐ４３４２は、ガイド部Ｐ４３２４よりも下方に配置される。当接部Ｐ４３４２は、略円柱状とされている。
【１４６３】
位置決め突部Ｐ４３４３は、本体部Ｐ４３４１の下端部から下方に突出するものである。位置決め突部Ｐ４３４３は、本体部Ｐ４３４１の左右方向中央部分に設けられている。位置決め突部Ｐ４３４３は、正面視において、下方に向かうに従い左右寸法が小さくなる形状とされている。
【１４６４】
図３４４、図３５６及び図３５７に示す補強カバーＰ４４００は、左側移動ユニットＰ４１１０及び右側移動ユニットＰ４１６０を連結するものである。補強カバーＰ４４００は、遊技盤Ｐ１１００の後面における下側部分に配置される。また、補強カバーＰ４４００は、可動体Ｐ４３００よりも前方に配置される。補強カバーＰ４４００は、本体部Ｐ４４１０、規制手段Ｐ４４２０及び切欠部Ｐ４４３０を具備する。
【１４６５】
本体部Ｐ４４１０は、補強カバーＰ４４００の大部分を構成するものである。本体部Ｐ４４１０は、厚さ方向を前後方向に向けた板形状とされている。また、本体部Ｐ４４１０は、左右方向に長尺な形状とされている。本体部Ｐ４４１０は、左右方向両端部が左側移動ユニットＰ４１１０の下側部分及び右側移動ユニットＰ４１６０の下側部分に、適宜の止具を介してそれぞれ固定される。
【１４６６】
規制手段Ｐ４４２０は、所定の場合に、可動体Ｐ４３００の当接部Ｐ４３４２と当接することで、可動体Ｐ４３００の左右方行への移動を所定の移動範囲内に制限するものである。規制手段Ｐ４４２０は、左右方向に離間した一対の壁部を構成する。規制手段Ｐ４４２０は、本体部Ｐ４４１０の後面において後方に突出するように設けられる。また、規制手段Ｐ４４２０は、本体部Ｐ４４１０の左右方向中央部分よりも左方に配置される。また、規制手段Ｐ４４２０は、図３４４に示すように、遊技盤Ｐ１１００の開口領域１ｄにおける左右方向中央部分よりも左方に位置する。規制手段Ｐ４４２０は、第１の壁部Ｐ４４２１、第２の壁部Ｐ４４２２及び第３の壁部Ｐ４４２３を具備する。
【１４６７】
第１の壁部Ｐ４４２１は、規制手段Ｐ４４２０の上側部分を構成するものである。第１の壁部Ｐ４４２１は、演出位置における可動体Ｐ４３００の左右方向の移動を、左右の第１の壁部Ｐ４４２１の間の範囲である第１の範囲Ｒ１内に制限可能とする。第１の壁部Ｐ４４２１は、待機位置よりも演出位置寄りに形成される。
【１４６８】
第１の壁部Ｐ４４２１は、上下方向に直線状に延びる形状とされる。第１の壁部Ｐ４４２１の上下寸法は、左右の第１の壁部Ｐ４４２１の間の距離よりも小さく形成される。すなわち、第１の範囲Ｒ１は、正面視において左右方向に長尺な形状とされている。また、第１の壁部Ｐ４４２１の上下寸法は、当接部Ｐ４３４２の正面視における外径よりも大きく形成されている。
【１４６９】
第２の壁部Ｐ４４２２は、規制手段Ｐ４４２０の下側部分を構成するものである。第２の壁部Ｐ４４２２は、待機位置から規制手段Ｐ４４２０における上下方向略中央部分までの間を上下方向に移動する可動体Ｐ４３００の左右方向の移動を、左右の第２の壁部Ｐ４４２２の間の範囲である第２の範囲Ｒ２内に制限可能とする。第２の壁部Ｐ４４２２は、演出位置よりも待機位置寄りに形成される。
【１４７０】
第２の壁部Ｐ４４２２は、上下方向に直線状に延びる形状とされる。左右の第２の壁部Ｐ４４２２の間の距離は、左右の第１の壁部Ｐ４４２１の間の距離よりも小さく形成される。すなわち、第２の範囲Ｒ２の左右方向の幅は、第１の範囲Ｒ１の左右方向の幅よりも小さく形成される。また、第２の壁部Ｐ４４２２上下寸法は、左右の第２の壁部Ｐ４４２２の間の距離よりも大きく形成される。すなわち、第２の範囲Ｒ２は、正面視において上下方向に長尺な形状とされている。また、左右の第２の壁部Ｐ４４２２の間の距離は、当接部Ｐ４３４２の正面視における外径よりも大きく形成されている。
【１４７１】
第３の壁部Ｐ４４２３は、第１の壁部Ｐ４４２１と第２の壁部Ｐ４４２２との間の部分を構成するものである。第３の壁部Ｐ４４２３は、第１の範囲Ｒ１と第２の範囲Ｒ２との間を上下方向に移動する可動体Ｐ４３００の左右方向の移動を、左右の第３の壁部Ｐ４４２３の間の範囲である第３の範囲Ｒ３内に制限可能とする。
【１４７２】
第３の壁部Ｐ４４２３は、第１の壁部Ｐ４４２１の下端部と第２の壁部Ｐ４４２２の上端部とに連続する。第３の壁部Ｐ４４２３は、左右の第３の壁部Ｐ４４２３の間の距離が下方に向かうに従い徐々に小さくなるように（第３の範囲Ｒ３の幅が狭くなるように）湾曲した形状とされる。また、第３の壁部Ｐ４４２３は、正面視において、第３の範囲Ｒ３の左右方向中央に向かって凸となる円弧形状とされる。また、第３の壁部Ｐ４４２３の内面と、第２の壁部Ｐ４４２２の内面と、は角が形成されないように連続している。また、第３の壁部Ｐ４４２３の上下寸法及び左右の第３の壁部Ｐ４４２３の間の距離は、当接部Ｐ４３４２の正面視における外径よりも大きく形成されている。
【１４７３】
切欠部Ｐ４４３０は、本体部Ｐ４４１０の下端部において切欠状に形成された部分である。切欠部Ｐ４４３０は、本体部Ｐ４４１０の左右方向略中央部分に形成される。図３４４に示すように、切欠部Ｐ４４３０には、遊技球が入賞（通過）する始動口（第１始動口Ｐ１３５０）が配置される。
【１４７４】
図３４４に示す第１始動口Ｐ１３５０は、遊技盤Ｐ１１００の開口領域１ｄにおける左右方向略中央部分に位置する。また、遊技盤Ｐ１１００の後面における第１始動口Ｐ１３５０の下方には、待機状態における可動体Ｐ４３００の位置決め突部Ｐ４３４３を受け入れる位置決め凹部Ｐ４００１が設けられる。位置決め凹部Ｐ４００１によって位置決め突部Ｐ４３４３を受け入れることで、待機状態における可動体Ｐ４３００の位置決めが可能となる。
【１４７５】
以下では、上述の如く構成された演出装置Ｐ４０００の移動制御について説明する。なお、以下では、待機位置とされた可動体Ｐ４３００を演出位置で移動させる移動制御について説明する。
【１４７６】
図３４４に示す待機位置においては、可動体Ｐ４３００は、正面視において遊技盤Ｐ１１００の開口領域１ｄよりも下方（遊技盤Ｐ１１００の下側部分と重複する位置）に位置する。待機位置において、可動体Ｐ４３００は、遊技盤Ｐ１１００の背後に隠れ、遊技者から視認し難い位置となる。この状態では、図３４４及び図３６２（ａ）に示すように、可動体Ｐ４３００の当接部Ｐ４３４２は、規制手段Ｐ４４２０における第２の範囲Ｒ２に位置する。
【１４７７】
まず、昇降移動制御機構Ｐ４１００による移動制御について説明する。第１のモータＰ４１３０を駆動させれば、図３４５に示す互いに歯合する出力ギヤＰ４１４１及び第１のギヤＰ４１４２を介して第２のギヤＰ４１４３が軸心回りに回転する。
【１４７８】
第２のギヤＰ４１４３の回転は、左右移動制御機構Ｐ４２００のラック部Ｐ４２４０に伝達される。これにより、図３５８及び図３６２（ｂ）に示すように、左右移動制御機構Ｐ４２００を介して可動体Ｐ４３００が上方へ移動する。
【１４７９】
上述のように、可動体Ｐ４３００を上方に移動制御する際には、可動体Ｐ４３００の当接部Ｐ４３４２は、規制手段Ｐ４４２０における第２の範囲Ｒ２及び第３の範囲Ｒ３を上方に移動する。
【１４８０】
上述のように移動制御したことで、可動体Ｐ４３００は演出位置となる。演出位置において、可動体Ｐ４３００は、開口領域１ｄにおける下側部分において、遊技者が視認可能な位置となる。また、図３５８に示す状態では、可動体Ｐ４３００は、開口領域１ｄにおける左右方向略中央部分に位置する。
【１４８１】
次に、左右移動制御機構Ｐ４２００による移動制御について説明する。第２のモータＰ４２６０を駆動させれば、図３４９に示す互いに歯合する出力ギヤＰ４２７１及び第１のギヤＰ４２７２を介して及び第２のギヤＰ４２７３が軸心回りに回転する。第２のギヤＰ４２７３の回転は、当該第２のギヤＰ４２７３及びテンションプーリＰ４２７５に巻回されたベルトＰ４２７４に伝達され、当該ベルトＰ４２７４が回転する。これにより、ベルトＰ４２７４に係合する可動体Ｐ４３００が、例えば、図３５９及び図３６３（ａ）に示すように右方に移動制御される。
【１４８２】
また、上記第２のモータＰ４２６０を、上記した移動制御と逆回転となるように駆動させれば、可動体Ｐ４３００は、図３６０及び図３６３（ｂ）に示すように、左方に移動制御される。このように、演出位置においては、可動体Ｐ４３００を左右方向に移動制御可能となる。
【１４８３】
上述のように、演出位置における可動体Ｐ４３００を左右方向に移動制御する際には、可動体Ｐ４３００の当接部Ｐ４３４２は、規制手段Ｐ４４２０における第１の範囲Ｒ１を左右方向に移動する。なお、可動体Ｐ４３００は、当接部Ｐ４３４２が左右の第１の壁部Ｐ４４２１に接触しないように左右方向に移動制御される。なお、規制手段Ｐ４４２０は、可動体Ｐ４３００の上下方向の可動範囲全てにわたって、可動体Ｐ４３００左右方向の移動が所定の範囲内となるように規制するように構成してもよい。例えば、可動体Ｐ４３００が演出位置のどの場所に存在していたとしても、可動体Ｐ４３００の左右方向への移動が第１の壁部Ｐ４４２１によって第１の範囲Ｒ１内に制限されるような形状に規制手段Ｐ４４２０を形成してもよい。また規制する範囲は可動体Ｐ４３００が位置する場所によって異なる範囲となるようにしてもよい。
【１４８４】
次に、演出位置とされた可動体Ｐ４３００を待機位置とする移動制御について説明する。なお、以下の例では、図３６０及び図３６３（ｂ）に示すように、演出位置において左方に移動制御された可動体Ｐ４３００を待機位置へ移動制御する。
【１４８５】
本実施形態では、図３６１及び図３６４に示すように、演出位置とされた可動体Ｐ４３００を待機位置とする際に、可動体Ｐ４３００を斜め下方に移動させる構成としている。この際には、左右移動制御機構Ｐ４２００による右方への移動制御と、昇降移動制御機構Ｐ４１００による下方への移動制御と、を同時に行う。
【１４８６】
上述のように、可動体Ｐ４３００を斜め下方に移動制御する際には、可動体Ｐ４３００の当接部Ｐ４３４２は、規制手段Ｐ４４２０における第３の範囲Ｒ３を斜め下方に移動する。なお、可動体Ｐ４３００は、当接部Ｐ４３４２が左右の第３の壁部Ｐ４４２３に接触しないように移動制御される。
【１４８７】
上述のように、可動体Ｐ４３００を斜め下方に移動させることで、可動体Ｐ４３００を開口領域１ｄの左右方向略中央部分に位置させることができる。次に、可動体Ｐ４３００は、昇降移動制御機構Ｐ４１００により、待機位置となるように下方に移動制御される。
【１４８８】
上述のように、可動体Ｐ４３００を下方に移動制御する際には、可動体Ｐ４３００の当接部Ｐ４３４２は、規制手段Ｐ４４２０における第２の範囲Ｒ２を下方に移動する。
【１４８９】
上述の如き演出装置Ｐ４０００によれば、可動体Ｐ４３００が左右方向に移動可能な範囲を、規制手段Ｐ４４２０を構成する左右の壁部（第１の壁部Ｐ４４２１、第２の壁部Ｐ４４２２及び第３の壁部Ｐ４４２３）の間の範囲（第１の範囲Ｒ１、第２の範囲Ｒ２及び第３の範囲Ｒ３）に制限することができる。これにより、遊技機に衝撃が加わったり可動体Ｐ４３００に外力が加わった場合でも、規制手段Ｐ４４２０により、可動体Ｐ４３００の左右方向の移動を所定の範囲内に制限することができ、可動体Ｐ４３００が遊技盤Ｐ１１００の他の部材に接触することを防止できる。
【１４９０】
また、規制手段Ｐ４４２０における第１の範囲Ｒ１の幅よりも第２の範囲Ｒ２の幅を狭くしている。これにより、可動体Ｐ４３００を待機位置に位置させた状態では、比較的狭い範囲内に可動体Ｐ４３００の移動を規制することで、規制手段Ｐ４４２０の周囲において他の部材の配置スペースを確保することができると共に、演出位置では可動体Ｐ４３００の左右方向へ移動可能な範囲を広くすることで、演出態様を多彩にできる。
【１４９１】
また、規制手段Ｐ４４２０第３の壁部Ｐ４４２３を曲面形状としているので、第３の壁部Ｐ４４２３の内面と第２の壁部Ｐ４４２２の内面とを角が形成されないように連続させることができる。これにより、可動体Ｐ４３００が演出位置と待機位置との間を移動する際に、遊技機に衝撃が加わったり可動体Ｐ４３００に外力が加わり、可動体Ｐ４３００の当接部Ｐ４３４２が第３の壁部Ｐ４４２３と当接した場合に、当該可動体Ｐ４３００の移動を第３の壁部Ｐ４４２３によりスムーズにガイドすることができる。また、本実施形態では、第３の壁部Ｐ４４２３を、第３の範囲Ｒ３の左右方向中央に向かって凸となる円弧形状としている。これにより、第３の壁部Ｐ４４２３の外側において、他の部材の配置スペースを比較的広く確保することができる。
【１４９２】
また、可動体Ｐ４３００の当接部Ｐ４３４２は、当該可動体Ｐ４３００のガイド部Ｐ４３２４と重ならない位置（ガイド部Ｐ４３２４よりも左右方向（左方側）にずれた位置）に配置されている。これにより、当接部Ｐ４３４２とガイド部Ｐ４３２４が重なって可動体Ｐ４３００の厚みが増してしまい、前後方向（奥行方向）に余分な移動スペースが必要になるようなことがなくなり、そのスペースに他の部材を配置することができる。また、当接部Ｐ４３４２と規制手段Ｐ４４２０が当接したときの衝撃がガイド部Ｐ４３２４に直接加わることがなくなるので、ガイド部Ｐ４３２４が破損したり、ガイド部Ｐ４３２４とベルトＰ４２７４との係合に不具合が生じることを防止できる。
【１４９３】
以上の実施形態に基づき、本発明の概要を以下に列挙する。
【１４９４】
従来、移動可能に構成された役物（可動体）を備える遊技機の技術は公知となっている。例えば、特開２０１０−１１９３４号公報に記載の如くである。
【１４９５】
特開２０１０−１１９３４号公報には、可動役物と、当該可動役物を収容可能な箱状の役物収容ケースと、を備え、可動役物を役物収容ケース内に収容可能な遊技機が開示されている。
【１４９６】
しかしながら、このような遊技機においては、遊技機に衝撃が加わったり可動役物に外力が加わった場合などに、役物収容ケースや他の遊技部材等に接触して破損してしまう恐れがあった。
【１４９７】
本発明は以上の如き状況に鑑みてなされたものであり、可動体が他の部材に接触することを防止することができる遊技機を提供することを目的とする。
【１４９８】
以上の如く、本実施形態に係る遊技機は、
待機位置と演出位置とを移動可能な可動体Ｐ４３００と、
前記可動体Ｐ４３００を移動制御可能な移動制御機構Ｐ４０１０と、
前記可動体Ｐ４３００の移動を規制する規制手段Ｐ４４２０と、
を備えた遊技機であって、
前記可動体Ｐ４３００は、前記待機位置から前記演出位置への移動方向である上下方向（第１の方向）、及び、前記演出位置において前記上下方向とは異なる左右方向（第２の方向）、に移動可能であり、
前記可動体Ｐ４３００は、前記規制手段Ｐ４４２０と当接可能な当接部Ｐ４３４２を有し、
前記規制手段Ｐ４４２０は、前記当接部Ｐ４３４２と当接することで、前記可動体Ｐ４３００が前記左右方向へ移動することが可能な距離を所定の範囲内に制限するものであり、
前記所定の範囲は、前記可動体Ｐ４３００が前記演出位置から前記待機位置に移動するのに伴って狭くなるものである。
【１４９９】
このような構成により、可動体Ｐ４３００が他の部材に接触することを防止することができる。すなわち、遊技機に衝撃が加わったり可動体Ｐ４３００に外力が加わった場合でも、規制手段Ｐ４４２０により、可動体Ｐ４３００の左右方向の移動を所定の範囲内に制限することができ、可動体Ｐ４３００が遊技盤Ｐ１１００の他の部材に接触することを防止できる。
【１５００】
また、規制手段Ｐ４４２０における第１の範囲Ｒ１の幅よりも第２の範囲Ｒ２の幅を狭くしている。これにより、可動体Ｐ４３００を待機位置に位置させた状態では、比較的狭い範囲内に可動体Ｐ４３００の移動を規制することで、規制手段Ｐ４４２０の周囲において他の部材の配置スペースを確保することができると共に、演出位置では可動体Ｐ４３００の左右方向へ移動可能な範囲を広くすることで、演出態様を多彩にできる。
【１５０１】
以上の実施形態に基づき、本発明の概要を以下に列挙する。
【１５０２】
従来、移動可能に構成された役物（可動体）を備える遊技機の技術は公知となっている。例えば、特開２０１０−１１９３４号公報に記載の如くである。
【１５０３】
特開２０１０−１１９３４号公報には、可動役物と、当該可動役物を収容可能な箱状の役物収容ケースと、を備え、可動役物を役物収容ケース内に収容可能な遊技機が開示されている。
【１５０４】
しかしながら、このような遊技機においては、遊技機に衝撃が加わったり可動役物に外力が加わった場合などに、役物収容ケースや他の遊技部材等に接触して破損してしまう恐れがあった。
【１５０５】
本発明は以上の如き状況に鑑みてなされたものであり、可動体が他の部材に接触することを防止することができる遊技機を提供することを目的とする。
【１５０６】
以上の如く、本実施形態に係る遊技機は、
待機位置と演出位置とを移動可能な可動体Ｐ４３００と、
前記可動体Ｐ４３００を移動制御可能な移動制御機構Ｐ４０１０と、
前記可動体Ｐ４３００の移動を規制する規制手段Ｐ４４２０と、
を備えた遊技機であって、
前記移動制御機構Ｐ４０１０は、
前記可動体Ｐ４３００を上下方向に移動制御することにより、前記待機位置から前記演出位置に移動制御可能な昇降移動制御機構Ｐ４１００（第１の移動制御手段）と、
前記可動体Ｐ４３００を左右方向に移動制御可能な左右移動制御機構Ｐ４２００（第２の移動制御手段）と、
を含み、
前記可動体Ｐ４３００は、前記規制手段Ｐ４４２０と当接可能な当接部Ｐ４３４２を有し、
前記規制手段Ｐ４４２０は、前記当接部Ｐ４３４２と当接することで前記可動体Ｐ４３００の左右方向の移動を制限可能であり、前記待機位置よりも前記演出位置寄りに形成され、前記可動体Ｐ４３００の左右方向の移動を第１の範囲Ｒ１内に制限可能な第１の壁部Ｐ４４２１と、前記演出位置よりも前記待機位置寄りに形成され、前記可動体Ｐ４３００の左右方向の移動を前記第１の範囲Ｒ１よりも左右方向の幅が小さい第２の範囲Ｒ２内に制限可能な第２の壁部Ｐ４４２２と、前記第１の壁部Ｐ４４２１と前記第２の壁部Ｐ４４２２とに連続する曲面を有する第３の壁部Ｐ４４２３と、を有するものである。
【１５０７】
このような構成により、可動体Ｐ４３００が他の部材に接触することを防止することができる。すなわち、遊技機に衝撃が加わったり可動体Ｐ４３００に外力が加わった場合でも、規制手段Ｐ４４２０により、可動体Ｐ４３００の左右方向の移動を所定の範囲内に制限することができ、可動体Ｐ４３００が遊技盤Ｐ１１００の他の部材に接触することを防止できる。
【１５０８】
また、第３の壁部Ｐ４４２３を曲面形状としたことで、第３の壁部Ｐ４４２３の内面と第２の壁部Ｐ４４２２の内面とを角が形成されないように連続させることができる。これにより、可動体Ｐ４３００が演出位置と待機位置との間を移動する際に、遊技機に衝撃が加わったり可動体Ｐ４３００に外力が加わり、可動体Ｐ４３００の当接部Ｐ４３４２が第３の壁部Ｐ４４２３と当接した場合に、当該可動体Ｐ４３００の移動を第３の壁部Ｐ４４２３によりスムーズにガイドすることができる。
【１５０９】
以上の実施形態に基づき、本発明の概要を以下に列挙する。
【１５１０】
従来、移動可能に構成された役物（可動体）を備える遊技機の技術は公知となっている。例えば、特開２０１０−１１９３４号公報に記載の如くである。
【１５１１】
特開２０１０−１１９３４号公報には、可動役物と、当該可動役物を収容可能な箱状の役物収容ケースと、を備え、可動役物を役物収容ケース内に収容可能な遊技機が開示されている。
【１５１２】
しかしながら、このような遊技機においては、遊技機に衝撃が加わったり可動役物に外力が加わった場合などに、役物収容ケースや他の遊技部材等に接触して破損してしまう恐れがあった。
【１５１３】
本発明は以上の如き状況に鑑みてなされたものであり、可動体が他の部材に接触することを防止することができる遊技機を提供することを目的とする。
【１５１４】
以上の如く、本実施形態に係る遊技機は、
待機位置と演出位置とを移動可能な可動体Ｐ４３００と、
前記可動体Ｐ４３００を移動制御可能な移動制御機構Ｐ４０１０と、
前記可動体Ｐ４３００の移動を規制する規制手段Ｐ４４２０と、
を備えた遊技機であって、
前記移動制御機構Ｐ４０１０は、
前記可動体Ｐ４３００を上下方向（第１の方向）に移動制御することにより、前記待機位置から前記演出位置に移動制御可能な昇降移動制御機構Ｐ４１００（第１の移動制御手段）と、
前記可動体Ｐ４３００を前記昇降移動制御機構Ｐ４１００による移動制御の方向とは異なる左右方向（第２の方向）に移動制御可能な左右移動制御機構Ｐ４２００（第２の移動制御手段）と、を含み、
前記可動体Ｐ４３００は、前記規制手段Ｐ４４２０と当接可能な当接部Ｐ４３４２と、前記左右方向に案内されるためのガイド部Ｐ４３２４と、を有し、
前記規制手段Ｐ４４２０は、前記当接部Ｐ４３４２と当接することで、前記可動体Ｐ４３００が前記左右方向へ移動することが可能な距離を所定の範囲内に制限するものであり、
前記当接部Ｐ４３４２は、前記可動体Ｐ４３００において、前記ガイド部Ｐ４３２４と重ならない位置に設けられるものである。
【１５１５】
このような構成により、可動体Ｐ４３００が他の部材に接触することを防止することができる。すなわち、遊技機に衝撃が加わったり可動体Ｐ４３００に外力が加わった場合でも、規制手段Ｐ４４２０により、可動体Ｐ４３００の左右方向の移動を所定の範囲内に制限することができ、可動体Ｐ４３００が遊技盤Ｐ１１００の他の部材に接触することを防止できる。
【１５１６】
また、可動体Ｐ４３００が移動可能な範囲を確保可能であると共に、可動体Ｐ４３００が待機位置に位置した状態で、ガイド部Ｐ４３２４よりも下方側の空間を有効に利用することができる。すなわち、当接部Ｐ４３４２及び規制手段Ｐ４４２０を、ガイド部Ｐ４３２４と重ならない位置（ガイド部Ｐ４３２４に対して左右方向にずれた位置）に設けたことで、奥行方向に不必要な移動スペースを設ける必要がなくなり、他の部材を配置することができる。
【１５１７】
なお、昇降移動制御機構Ｐ４１００は、第１の移動制御手段の一形態である。
また、左右移動制御機構Ｐ４２００は、第２の移動制御手段の一形態である。
【１５１８】
以上、本発明の第一実施形態を説明したが、本発明は上記構成に限定されるものではなく、特許請求の範囲に記載された発明の範囲内で種々の変更が可能である。
【１５１９】
例えば、昇降移動制御機構Ｐ４１００による移動制御及び左右移動制御機構Ｐ４２００による移動制御は、上述した態様に限られない。例えば、各移動制御の順番を適宜、入れ替えてもよい。
【１５２０】
また、本実施形態では、可動体Ｐ４３００を、上下方向及び左右方向に移動制御するものとしたが、このような態様に限られない。例えば、可動体Ｐ４３００を斜め方向に移動制御可能なものとしてもよく、可動体Ｐ４３００を移動制御する方向は、種々の方向を採用可能である。
【１５２１】
また、本実施形態では、可動体Ｐ４３００を戦闘機を模したものとしたが、可動体Ｐ４３００の形状としてはこのような態様に限られず、種々の形状を採用可能である。
【１５２２】
以下では、本発明の第１１実施形態に係るパチンコ遊技機の遊技盤Ｐ１１００について説明する。なお、先述した第１〜第１０実施形態に係るものと同一又は類似の構成要素については、同一名称や同一符号を付する等してその説明を省略する。
【１５２３】
第１１実施形態に係るパチンコ遊技機においては、上部可動演出役物Ｐ２０００及び回転役物Ｐ３０００とは異なる役物を有する点で、第１０実施形態に係るパチンコ遊技機と大きく異なる。具体的には、第１１実施形態に係るパチンコ遊技機は、役物として、可動演出役物Ｐ５０００（下部役物装置Ｐ５１００、右部役物装置Ｐ５２００及び左上部役物装置Ｐ５３００）及び演出装置Ｐ６０００を具備する。
【１５２４】
以下では、図３６５から図３７７を用いて、本実施形態に係る可動演出役物Ｐ５０００について説明する。
【１５２５】
なお、図３６８においては、便宜上、役物装飾体Ｐ５１１１の図示を省略している。また、図３７０においては、便宜上、ベース部材Ｐ５１３０の図示を省略している。また、図３７４（及び後述する図３７８から図３８０）においては、便宜上、リンクアームＰ５１２０及びベース部材Ｐ５１３０の図示を省略している。また、図３７５から図３７７においては、便宜上、役物装飾体Ｐ５１１１の図示を省略している。
【１５２６】
図３６５に示す可動演出役物Ｐ５０００は、上述の如く、下部役物装置Ｐ５１００、右部役物装置Ｐ５２００及び左上部役物装置Ｐ５３００を具備する。
【１５２７】
［下部役物装置Ｐ５１００］
まず、下部役物装置Ｐ５１００の構成について説明する。
【１５２８】
図３６５から図３７１に示す下部役物装置Ｐ５１００は、適宜のタイミングで動作することで、遊技者に視覚的な印象（インパクト）を与えるものである。下部役物装置Ｐ５１００は、遊技盤Ｐ１１００の下部に長手方向を左右方向に向けて設けられる。下部役物装置Ｐ５１００は、下部役物Ｐ５１１０、リンクアームＰ５１２０、ベース部材５１３０、クランクギヤＰ５１４０、モータギヤＰ５１５０、回転駆動モータＰ５１６０、カバー部材Ｐ５１７０及びビスＰ５１８０を具備する。なお、詳細は後述するが、下部役物装置Ｐ５１００は、下部役物Ｐ５１１０が待機位置と演出位置とに変位可能に形成されるものであるが、以下では、下部役物Ｐ５１１０が待機位置にある状態を基準に説明を行う。
【１５２９】
図３６６から図３７３及び図３７５に示す下部役物Ｐ５１１０は、移動することで演出を行うものである。下部役物Ｐ５１１０は、役物装飾体Ｐ５１１１、役物電飾基板Ｐ５１１２、後部カバーＰ５１１３及び役物制御アームＰ５１１４を具備する。
【１５３０】
図３６７及び図３７３等に示す役物装飾体Ｐ５１１１は、下部役物Ｐ５１１０の前部を構成するものであって、遊技者に視認される部分である。役物装飾体Ｐ５１１１は、光透過性の材料（レンズ）により構成される。役物装飾体Ｐ５１１１は、長手方向を略左右方向に向けて（より詳細には、やや右下がりとなるように）設けられる。役物装飾体Ｐ５１１１には、適宜の装飾が施されている。
【１５３１】
図３６８及び図３７３に示す役物電飾基板Ｐ５１１２は、その板面を前後方向に向けると共に、長手方向がやや右下がりとなるように設けられる。役物電飾基板Ｐ５１１２は、役物装飾体Ｐ５１１１の後方に設けられる。役物電飾基板Ｐ５１１２の前面には、当該役物電飾基板Ｐ５１１２の略全域に亘って複数のＬＥＤＰ５１１２ａが設けられる。当該ＬＥＤＰ５１１２ａを発光させることで、役物電飾基板Ｐ５１１２の前方へと光を照射することができる。役物電飾基板Ｐ５１１２のＬＥＤＰ５１１２ａから光を照射することで、役物装飾体Ｐ５１１１を全体的に光らせることができる。
【１５３２】
図３６８から図３７３及び図３７５に示す後部カバーＰ５１１３は、下部役物Ｐ５１１０の後部を構成する部分である。後部カバーＰ５１１３は、役物電飾基板Ｐ５１１２の後方に設けられ、役物電飾基板Ｐ５１１２を支持する。後部カバーＰ５１１３は、後部カバー本体Ｐ５１１３Ａ、アーム部Ｐ５１１３Ｂ、第一ボス部Ｐ５１１３ａ、第二ボス部Ｐ５１１３ｂ、第三ボス部Ｐ５１１３ｃ及び第四ボス部Ｐ５１１３ｄを具備する。
【１５３３】
図３７３及び図３７５に示す後部カバー本体Ｐ５１１３Ａは、後部カバーＰ５１１３の主たる構造体を構成するものである。後部カバー本体Ｐ５１１３Ａは、長手方向を左右方向に向けて設けられる。
【１５３４】
図３７３及び図３７５に示すアーム部Ｐ５１１３Ｂは、後部カバー本体Ｐ５１１３Ａの左右略中央から下方に延びるように形成される。
【１５３５】
図３７１から図３７３及び図３７５に示す第一ボス部Ｐ５１１３ａは、後述するリンクアームＰ５１２０の第一長孔Ｐ５１２２及び後述するベース部材Ｐ５１３０の第一制御孔Ｐ５１３１に挿通されるものである。第一ボス部Ｐ５１１３ａは、後部カバー本体Ｐ５１１３Ａの左部から後方に突出するように形成される。第一ボス部Ｐ５１１３ａは、軸線を前後方向に向けた円柱状に形成される。
【１５３６】
図３７１から図３７３及び図３７５に示す第二ボス部Ｐ５１１３ｂは、後述するベース部材Ｐ５１３０の第二制御孔Ｐ５１３２に挿通されるものである。第二ボス部Ｐ５１１３ｂは、アーム部Ｐ５１１３Ｂの上下中途部から後方に突出するように形成される。第二ボス部Ｐ５１１３ｂは、軸線を前後方向に向けた円柱状に形成される。第二ボス部Ｐ５１１３ｂは、第一ボス部Ｐ５１１３ａの右下方に設けられる。
【１５３７】
図３７２、図３７３及び図３７５に示す第三ボス部Ｐ５１１３ｃは、後述する役物制御アームＰ５１１４の回動軸孔Ｐ５１１４ａに挿通されるものである。第三ボス部Ｐ５１１３ｃは、後部カバー本体Ｐ５１１３Ａの略中央部から後方に突出するように形成される。第三ボス部Ｐ５１１３ｃは、軸線を前後方向に向けた円柱状に形成される。第三ボス部Ｐ５１１３ｃは、第一ボス部Ｐ５１１３ａよりも右方、かつ第二ボス部Ｐ５１１３ｂよりも上方に設けられる。
【１５３８】
図３７２、図３７３及び図３７５に示す第四ボス部Ｐ５１１３ｄは、後述する役物制御アームＰ５１１４の制御孔Ｐ５１１４ｂに挿通されるものである。第四ボス部Ｐ５１１３ｄは、後部カバー本体Ｐ５１１３Ａの右部から後方に突出するように形成される。第四ボス部Ｐ５１１３ｄは、軸線を前後方向に向けた円柱状に形成される。第四ボス部Ｐ５１１３ｄは、第三ボス部Ｐ５１１３ｃ（及び第一ボス部Ｐ５１１３ａ）よりも右方かつ下方、かつ第二ボス部Ｐ５１１３ｂよりも上方に設けられる。
【１５３９】
図３７０から図３７３及び図３７５に示す役物制御アームＰ５１１４は、下部役物Ｐ５１１０をスムーズに移動させるためのものである。役物制御アームＰ５１１４は、後部カバーＰ５１１３の後方に設けられる。役物制御アームＰ５１１４は、回動軸孔Ｐ５１１４ａ、制御孔Ｐ５１１４ｂ及びボス部Ｐ５１１４ｃを具備する。
【１５４０】
図３７２、図３７３及び図３７５に示す回動軸孔Ｐ５１１４ａは、役物制御アームＰ５１１４の左部に設けられる。回動軸孔Ｐ５１１４ａは、役物制御アームＰ５１１４を前後方向に貫通するように形成される。回動軸孔Ｐ５１１４ａには、後部カバーＰ５１１３の第三ボス部Ｐ５１１３ｃが挿通される（図３７３参照）。
【１５４１】
図３７２、図３７３及び図３７５に示す制御孔Ｐ５１１４ｂは、背面視において回動軸孔Ｐ５１１４ａを中心とした円弧状（部分円環状）に形成される。制御孔Ｐ５１１４ｂは、役物制御アームＰ５１１４を前後方向に貫通するように形成される。制御孔Ｐ５１１４ｂは、回動軸孔Ｐ５１１４ａの右方に設けられる。制御孔Ｐ５１１４ｂには、後部カバーＰ５１１３の第四ボス部Ｐ５１１３ｄが挿通される（図３７３及び図３７５参照）。
【１５４２】
図３７２、図３７３及び図３７５に示すボス部Ｐ５１１４ｃは、後述するベース部材Ｐ５１３０の第二制御孔Ｐ５１３２に挿通されるものである。ボス部Ｐ５１１４ｃは、役物制御アームＰ５１１４の右部から後方に突出するように形成される。ボス部Ｐ５１１４ｃは、回動軸孔Ｐ５１１４ａ及び制御孔Ｐ５１１４ｂよりも右方かつ下方に設けられる。
【１５４３】
このようにして、役物制御アームＰ５１１４は、後部カバーＰ５１１３に対して、回動軸孔Ｐ５１１４ａに挿入された第三ボス部Ｐ５１１３ｃの軸線を中心として回動可能に設けられる。
【１５４４】
図３６７、図３６８、図３７０から図３７２及び図３７５に示すリンクアームＰ５１２０は、下部役物Ｐ５１１０に駆動力を伝達するものである。リンクアームＰ５１２０は、長手方向を略上下方向に向けて設けられる。リンクアームＰ５１２０は、下部役物Ｐ５１１０の左部の後方に設けられる。リンクアームＰ５１２０は、回動軸Ｐ５１２１、第一長孔Ｐ５１２２及び第二長孔Ｐ５１２３を具備する。
【１５４５】
図３７０から図３７２及び図３７５に示す回動軸Ｐ５１２１は、リンクアームＰ５１２０の回転中心となる部分である。回動軸Ｐ５１２１は、リンクアームＰ５１２０の下部から後方に突出するように形成される。回動軸Ｐ５１２１は、軸線を前後方向に向けた円柱状に形成される。回動軸Ｐ５１２１は、貫通孔Ｐ５１２１ａを具備する。
【１５４６】
図３７１及び図３７２に示す貫通孔Ｐ５１２１ａは、後述するベース部材Ｐ５１３０に設けられたシャフトＰ５１３３が挿通されるものである。貫通孔Ｐ５１２１ａは、回動軸Ｐ５１２１の中心にリンクアームＰ５１２０を前後方向に貫通するように形成される。
【１５４７】
図３７０から図３７２及び図３７５に示す第一長孔Ｐ５１２２は、リンクアームＰ５１２０の上部において上下に延びる長孔である。第一長孔Ｐ５１２２は、リンクアームＰ５１２０を前後方向に貫通するように形成される。第一長孔Ｐ５１２２には、後部カバーＰ５１１３の第一ボス部Ｐ５１１３ａが挿入される（図３７１及び図３７５参照）。
【１５４８】
図３７０から図３７２及び図３７５に示す第二長孔Ｐ５１２３は、後述するクランクギヤＰ５１４０のクランク部Ｐ５１４２が挿通されるものである。第二長孔Ｐ５１２３は、リンクアームＰ５１２０の下部において略上下に延びる長孔である。より詳細には、第二長孔Ｐ５１２３は、その上部が少し左方に傾くように形成される。第二長孔Ｐ５１２３は、リンクアームＰ５１２０を前後方向に貫通するように形成される。第二長孔Ｐ５１２３は、第一長孔Ｐ５１２２の下方に設けられる。
【１５４９】
図３６７から図３６９及び図３７１に示すベース部材Ｐ５１３０は、下部役物装置Ｐ５１００の後部を構成するものである。ベース部材Ｐ５１３０は、長手方向を左右方向に向けて設けられる。ベース部材Ｐ５１３０は、第一制御孔Ｐ５１３１、第二制御孔Ｐ５１３２及びシャフトＰ５１３３を具備する。
【１５５０】
図３６９及び図３７１及び図３７５に示す第一制御孔Ｐ５１３１は、ベース部材Ｐ５１３０の左右方向略中央に形成される長孔である。第一制御孔Ｐ５１３１は、長手方向（延伸方向）を略左右方向に向けた直線状に形成される。より詳細には、第一制御孔Ｐ５１３１は、やや右下がりとなるように形成される。第一制御孔Ｐ５１３１は、ベース部材Ｐ５１３０を前後に貫通するように形成される。第一制御孔Ｐ５１３１には、後部カバーＰ５１１３の第一ボス部Ｐ５１１３ａが挿通される（図３７１及び図３７５参照）。
【１５５１】
図３６９及び図３７１及び図３７５に示す第二制御孔Ｐ５１３２は、背面視において左下がりの円弧状に形成される。第二制御孔Ｐ５１３２は、その右端（上端）が第一制御孔Ｐ５１３１よりも右方かつ上方に位置するように形成される。第二制御孔Ｐ５１３２は、その左端（下端）が第一制御孔Ｐ５１３１よりも下方に、かつ、左右方向において第一制御孔Ｐ５１３１の右端と左端の間に位置するように形成される。第二制御孔Ｐ５１３２には、後部カバーＰ５１１３の第二ボス部Ｐ５１１３ｂが挿通される。また、第二制御孔Ｐ５１３２には、役物制御アームＰ５１１４のボス部Ｐ５１１４ｃが挿通される（図３６９及び図３７５参照）。
【１５５２】
図３６８及び図３７１に示すシャフトＰ５１３３は、円柱状に形成される。シャフトＰ５１３３は、軸線を前後方向に向けて設けられる。シャフトＰ５１３３は、ベース部材Ｐ５１３０から前方に突出するようにベース部材Ｐ５１３０に嵌合される。シャフトＰ５１３３は、リンクアームＰ５１２０の回動軸Ｐ５１２１の貫通孔Ｐ５１２１ａに挿通される（図３７１参照）。
【１５５３】
このようにして、ベース部材Ｐ５１３０は、リンクアームＰ５１２０をシャフトＰ５１３３の軸線を中心として左右に揺動可能に支持する。
【１５５４】
図３６８、図３７０から図３７２及び図３７５に示すクランクギヤＰ５１４０は、リンクアームＰ５１２０に駆動力を伝達するものである。クランクギヤＰ５１４０は、軸線を前後方向に向けて設けられる。クランクギヤＰ５１４０は、歯車部Ｐ５１４１及びクランク部Ｐ５１４２を具備する。
【１５５５】
図３７２及び図３７４に示す歯車部Ｐ５１４１は、後述するモータギヤＰ５１５０と噛み合う部分である。歯車部Ｐ５１４１は、略円柱状に形成されるとともに、その外周面に歯が設けられるように形成される。歯車部Ｐ５１４１は、軸線を前後方向に向けてクランクギヤＰ５１４０の右部に設けられる。歯車部Ｐ５１４１は、貫通孔Ｐ５１４１ａを具備する。
【１５５６】
図３７４及び図３７５に示す貫通孔Ｐ５１４１ａは、後述するカバー部材Ｐ５１７０の軸部Ｐ５１７３が挿通されるものである。貫通孔Ｐ５１４１ａは、クランクギヤＰ５１４０の右部（歯車部Ｐ５１４１の中央）に設けられる。貫通孔Ｐ５１４１ａは、歯車部Ｐ５１４１を前後に貫通するように形成される。
【１５５７】
図３７５に示すクランク部Ｐ５１４２は、クランクギヤＰ５１４０の左部から後方に突出するように形成される。クランク部Ｐ５１４２は、貫通孔Ｐ５１４１ａの左下方に設けられる。クランク部Ｐ５１４２は、リンクアームＰ５１２０の第二長孔Ｐ５１２３に挿通される。
【１５５８】
図３７０から図３７２及び図３７５に示すモータギヤＰ５１５０は、クランクギヤＰ５１４０に駆動力を伝達するものである。モータギヤＰ５１５０は、クランクギヤＰ５１４０の右下方に、軸線を前後方向に向けて設けられる。モータギヤＰ５１５０は、クランクギヤＰ５１４０の歯車部Ｐ５１４１と噛み合うように設けられる。
【１５５９】
図３６６から図３６８及び図３７１に示す回転駆動モータＰ５１６０は、モータギヤＰ５１５０を回転させるものである。回転駆動モータＰ５１６０は、出力軸Ｐ５１６１を後方に向けてモータギヤＰ５１５０の前方に設けられる。出力軸Ｐ５１６１の後端にはモータギヤＰ５１５０が固定される。回転駆動モータＰ５１６０は、後述するカバー部材Ｐ５１７０に固定される。
【１５６０】
図３６６から図３６８、図３７０、図３７１及び図３７４に示すカバー部材Ｐ５１７０は、下部役物装置Ｐ５１００の前部を構成するものである。カバー部材Ｐ５１７０は、長手方向を左右方向に向けて設けられる。カバー部材Ｐ５１７０は、ベース部材Ｐ５１３０の下部を前方から覆うように設けられ、当該ベース部材Ｐ５１３０に固定される。カバー部材Ｐ５１７０は、カバー本体Ｐ５１７１、軸受部Ｐ５１７２、軸部Ｐ５１７３、ビス孔Ｐ５１７４及びリブＰ５１７５を具備する。
【１５６１】
図３７１及び図３７４に示すカバー本体Ｐ５１７１は、カバー部材Ｐ５１７０の主たる構造体を構成するものである。カバー本体Ｐ５１７１は、板面を前後方向に、かつ長手方向を左右方向に向けて設けられる。
【１５６２】
図３７１に示す軸受部Ｐ５１７２は、ベース部材Ｐ５１３０に設けられたシャフトＰ５１３３の軸受となるものである。軸受部Ｐ５１７２は、カバー本体Ｐ５１７１から後方に突出する円筒状に形成される。軸受部Ｐ５１７２はベース部材Ｐ５１３０に設けられたシャフトＰ５１３３と対応する位置に設けられ、軸受部Ｐ５１７２の内周面側にシャフトＰ５１３３が嵌合される。
【１５６３】
図３７１及び図３７４に示す軸部Ｐ５１７３は、円柱状に形成される。軸部Ｐ５１７３は、軸線を前後方向に向けて設けられる。軸部Ｐ５１７３は、カバー本体Ｐ５１７１の内底面Ｐ５１７１ａ（図３７４参照）から後方に突出するように形成される。軸部Ｐ５１７３は、カバー本体Ｐ５１７１と一体成型されている。軸部Ｐ５１７３は、クランクギヤＰ５１４０の貫通孔Ｐ５１４１ａに挿通される。このとき、クランクギヤＰ５１４０は、クランクギヤＰ５１４０の後面Ｐ５１４０ａが軸部Ｐ５１７３の頂部（後端部）よりも前方に位置するようにして、軸部Ｐ５１７３に挿通される。
【１５６４】
図３７４に示すビス孔Ｐ５１７４は、後述するビスＰ５１８０が挿入されるものである。ビス孔Ｐ５１７４は、軸部Ｐ５１７３の背面視中央部に形成される。ビス孔Ｐ５１７４の内周面には、めねじ部が形成される。ビス孔Ｐ５１７４は、軸部Ｐ５１７３の後端部から前方に延びるように形成される。ビス孔Ｐ５１７４の一部は、カバー本体Ｐ５１７１に形成される。より詳細には、ビス孔Ｐ５１７４は、軸部Ｐ５１７３の後端部から、カバー本体Ｐ５１７１の内底面Ｐ５１７１ａよりも前方まで、かつ、カバー本体Ｐ５１７１の外底面Ｐ５１７１ｂよりも後方まで延びるように形成される。すなわち、ビス孔Ｐ５１７４は、軸部Ｐ５１７３からカバー本体Ｐ５１７１にわたって形成される。
【１５６５】
図３７１及び図３７４に示すリブＰ５１７５は、軸部Ｐ５１７３の周囲から後方に突出するように形成される。リブＰ５１７５は、背面視において軸部Ｐ５１７３の軸線を中心とした円環状に形成される。リブＰ５１７５の高さは、軸部Ｐ５１７３の高さよりも低くなるように形成される。リブＰ５１７５は、歯車部Ｐ５１４１の前面と当接可能に設けられる。
【１５６６】
図３７１及び図３７４に示すビスＰ５１８０は、クランクギヤＰ５１４０をカバー部材Ｐ５１７０に対し回動可能な状態で固定するものである。ビスＰ５１８０は、ビス軸部Ｐ５１８１及びビス頭部Ｐ５１８２を具備する。
【１５６７】
ビス軸部Ｐ５１８１の外周面には、おねじ部が形成される。ビス軸部Ｐ５１８１は、ビス孔Ｐ５１７４に挿入され、当該ビス孔Ｐ５１７４に螺合される。ビス軸部Ｐ５１８１は、ビス孔Ｐ５１７４と略同じ長さに形成される。
【１５６８】
これにより、ビス軸部Ｐ５１８１は、ビス孔Ｐ５１７４の内周面のうち軸部Ｐ５１７３に設けられる部分（後部及び前後中途部）、及びビス孔Ｐ５１７４の内周面のうちカバー本体Ｐ５１７１に設けられる部分（前部）の双方と当接する。すなわち、ビス軸部Ｐ５１８１（ビスＰ５１８０）は、軸部Ｐ５１７３及びカバー本体Ｐ５１７１の双方にまたがるように設けられる。また、ビス軸部Ｐ５１８１の先端（前端）は、ビス孔Ｐ５１７４の底面と当接する（図３７４参照）。
【１５６９】
ビス頭部Ｐ５１８２は、その径が軸部Ｐ５１７３の径よりも大きくなるように形成される。ビス頭部Ｐ５１８２は、軸部Ｐ５１７３の先端（後端）に当接するように設けられる。このとき、ビス頭部Ｐ５１７４ａとクランクギヤＰ５１４０の後面Ｐ５１４０ａとの間には隙間が設けられる。
【１５７０】
このように形成されたカバー部材Ｐ５１７０及びビスＰ５１８０は、クランクギヤＰ５１４０を軸部Ｐ５１７３回りに回動可能に支持（固定）する。
【１５７１】
［右部役物装置Ｐ５２００］
図３６５に示す右部役物装置Ｐ５２００は、遊技盤Ｐ１１００の右部に長手方向を上下方向に向けて設けられている。右部役物装置Ｐ５２００の構成は、概ね下部役物装置Ｐ５１００と同じであるので、説明を省略する。
【１５７２】
［左上部役物装置Ｐ５３００］
図３６５に示す左上部役物装置Ｐ５３００は、遊技盤Ｐ１１００の左上部に長手方向を略上下方向に向けて設けられている。左上部役物装置Ｐ５３００の構成は、概ね下部役物装置Ｐ５１００と同じであるので、説明を省略する。
【１５７３】
［演出時の下部役物装置Ｐ５１００の動作］
以下、図３７５から図３７７を用いて、演出を行う際の下部役物装置Ｐ５１００の動作について説明する。
【１５７４】
下部役物装置Ｐ５１００の下部役物Ｐ５１１０は、演出を行う前の状態（図３７５参照）と演出を行っている状態（図３７７参照）とに変位可能である。以下では、演出を行う前の状態（図３７５参照）の下部役物Ｐ５１１０、リンクアームＰ５１２０及びクランクギヤＰ５１４０の位置をそれぞれ、「役物待機位置」、「アーム待機位置」及び「ギヤ待機位置」と称する。また、演出を行っている状態（図３７７参照）の下部役物Ｐ５１１０、リンクアームＰ５１２０及びクランクギヤＰ５１４０の位置をそれぞれ、「役物演出位置」、「アーム演出位置」及び「ギヤ演出位置」と称する。
【１５７５】
下部役物Ｐ５１１０は、図３７５に示す役物待機位置においては、その大部分が遊技盤Ｐ１１００の後方に位置しており、一部のみしか遊技者には視認されない。
【１５７６】
演出を行うに際し、まず、回転駆動モータＰ５１６０（図３７１等参照）を駆動させる。これにより、回転駆動モータＰ５１６０の出力軸Ｐ５１６１に固定されたモータギヤＰ５１５０が回転する。すると、モータギヤＰ５１５０と噛み合うクランクギヤＰ５１４０（ギヤ待機位置にあるクランクギヤＰ５１４０）が、貫通孔Ｐ５１４１ａ（カバー部材Ｐ５１７０の軸部Ｐ５１７３）の軸線を中心として、背面視反時計回りに回転する。
【１５７７】
すると、クランクギヤＰ５１４０のクランク部Ｐ５１４２が、アーム待機位置にあるリンクアームＰ５１２０の第二長孔Ｐ５１２３の内側を略上方に移動する。クランク部Ｐ５１４２が第二長孔Ｐ５１２３の内周面を押圧することで、リンクアームＰ５１２０が回動軸Ｐ５１２１（ベース部材Ｐ５１３０に設けられたシャフトＰ５１３３）の軸線を中心として、背面視反時計回りに回転する（図３７６参照）。
【１５７８】
すると、リンクアームＰ５１２０の第一長孔Ｐ５１２２に挿入された後部カバーＰ５１１３の第一ボス部Ｐ５１１３ａが略右方に押圧される。このようにして、リンクアームＰ５１２０が回転駆動モータＰ５１６０の駆動力を下部役物Ｐ５１１０（後部カバーＰ５１１３）に伝達することにより、下部役物Ｐ５１１０の第一ボス部Ｐ５１１３ａは、第一制御孔Ｐ５１３１の内側を当該第一制御孔Ｐ５１３１の延出方向に沿うように（右下方に）移動する。また、下部役物Ｐ５１１０の第二ボス部Ｐ５１１３ｂは、第二制御孔Ｐ５１３２の内側を当該第二制御孔Ｐ５１３２の延出方向に沿うように（右上方に）移動する。そうすることで、役物待機位置にあった下部役物Ｐ５１１０は、当該下部役物Ｐ５１１０の右部の高さが高くなるように傾きを変えながら右上方に移動する（図３７６参照）。
【１５７９】
さらに下部役物Ｐ５１１０が傾きを変えながら右上方に移動すると、役物制御アームＰ５１１４は、回動軸孔Ｐ５１１４ａに挿入された後部カバーＰ５１１３の第三ボス部Ｐ５１１３ｃの軸線を中心として、後部カバーＰ５１１３に対して背面視反時計回りに回転する。役物制御アームＰ５１１４が後部カバーＰ５１１３に対して回動することで、下部役物Ｐ５１１０のスムーズな移動が可能となる。後部カバーＰ５１１３に対する役物制御アームＰ５１１４の相対的な移動は、制御孔Ｐ５１１４ｂ及び後部カバーＰ５１１３の第四ボス部Ｐ５１１３ｄによって規制される。
【１５８０】
このようにして、クランクギヤＰ５１４０が図３７７に示すギヤ演出位置に移動し、リンクアームＰ５１２０が図３７７に示すアーム演出位置に移動することにより、下部役物Ｐ５１１０を、図３７７に示す役物演出位置まで移動させることができる。下部役物Ｐ５１１０は、図３７７に示す役物演出位置においては、その大部分が遊技者に視認可能となる。
【１５８１】
演出を終了する際には、下部役物Ｐ５１１０、リンクアームＰ５１２０及びクランクギヤＰ５１４０はそれぞれ、待機位置（役物待機位置、アーム待機位置及びギヤ待機位置）から演出位置（役物演出位置、アーム演出位置及びギヤ演出位置）に移動する場合と反対の動作を行う。これにより、下部役物Ｐ５１１０は、図３７７に示す役物演出位置から図３７５に示す役物待機位置に移動する。
【１５８２】
以上のように、リンクアームＰ５１２０は、演出の実行及び終了のたびに、アーム待機位置（図３７５参照）とアーム演出位置（図３７７参照）との間を変位するため、カバー部材Ｐ５１７０の軸部Ｐ５１７３回りに何度も揺動を繰り返す。そうすると、リンクアームＰ５１２０の揺動により軸部Ｐ５１７３に大きな力が加わることとなる。
【１５８３】
ここで本実施形態においては、ビスＰ５１８０が軸部Ｐ５１７３とカバー本体Ｐ５１７１の双方と当接し（軸部Ｐ５１７３及びカバー本体Ｐ５１７１の双方にまたがるようにして）クランクギヤＰ５１４０を固定している。このため、軸部Ｐ５１７３の根元に加わる力をビスＰ５１８０によって受けることができる。したがって、軸部Ｐ５１７３に加わる力を分散することができ、ひいては軸部Ｐ５１７３が根元から折れてしまうのを防ぐことができる。なお、軸部Ｐ５１７３とカバー本体Ｐ５１７１を別部材で構成して両者を固着するように構成してもよい。また軸部Ｐ５１７３とカバー本体Ｐ５１７１は、それぞれ別の部材に固着するように構成してもよい。
【１５８４】
以上の実施形態に基づき、本発明の概要を以下に列挙する。
【１５８５】
従来、例えばパチンコ機などの遊技機の技術は公知となっている。例えば、特開２０１９−１８０９７５号公報に記載の如くである。
【１５８６】
特開２０１９−１８０９７５号公報には、所定部材に設けられた軸受部に可動体に設けられた軸部が挿入されることで、所定部材に対し可動体が回動可能な遊技機が開示されている。
【１５８７】
このような遊技機において、遊技者に対する興趣をさらに向上させることが望まれている。
【１５８８】
本発明は、上述した課題に鑑みてなされたものであり、遊技者に対する興趣を向上させることができる遊技機を提供することを目的とする。
【１５８９】
以上の如く、本実施形態に係る遊技機は、
クランクギヤＰ５１４０（可動体）と、
前記クランクギヤＰ５１４０を装着可能なカバー部材Ｐ５１７０（ベース部）と、
前記カバー部材Ｐ５１７０に設けられ前記クランクギヤＰ５１４０が取付可能な軸部Ｐ５１７３（受部）と、
前記クランクギヤＰ５１４０が前記カバー部材Ｐ５１７０に対し動作可能な状態で固定可能なビスＰ５１８０（固定手段）と、
を備えたものである。
【１５９０】
このような構成によれば、遊技者に対する興趣を向上させることができる。
また本実施形態においては、クランクギヤＰ５１４０が軸部Ｐ５１７３に対して回動可能な状態で固定されている。そして、クランクギヤＰ５１４０が回動することにより下部役物Ｐ５１１０を遊技者に視認可能な位置（演出位置）に移動させることができる。したがって、演出内容の面白みを向上させることができる。
【１５９１】
また、前記軸部Ｐ５１７３は、前記カバー部材Ｐ５１７０（カバー本体Ｐ５１７１）から立設される軸部Ｐ５１７３であり、
前記クランクギヤＰ５１４０は、前記軸部Ｐ５１７３に軸支され、
前記ビスＰ５１８０は、前記軸部Ｐ５１７３と前記カバー部材Ｐ５１７０の双方と当接し前記クランクギヤＰ５１４０を固定するものである。
【１５９２】
このような構成によれば、軸部Ｐ５１７３に加わる力を分散することで、軸部Ｐ５１７３の破損を抑制することができる。
また本実施形態においては、ビス軸部Ｐ５１８１は、ビス孔Ｐ５１７４の内周面のうち軸部Ｐ５１７３に設けられる部分、及びビス孔Ｐ５１７４の内周面のうちカバー本体Ｐ５１７１に設けられる部分の双方と当接する。これにより、軸部Ｐ５１７３に加わる力を分散することができ、ひいては軸部Ｐ５１７３が根元から折れてしまうのを防ぐことができる。
【１５９３】
また、前記軸部Ｐ５１７３は、前記カバー部材Ｐ５１７０（カバー本体Ｐ５１７１）と一体成型されているものである。
【１５９４】
このような構成によれば、部材点数の低減を図ることができる。
また本実施形態においては、ビス孔Ｐ５１７４が、軸部Ｐ５１７３からカバー部材Ｐ５１７０（カバー本体Ｐ５１７１）にわたって形成されている。したがって、軸部Ｐ５１７３がカバー部材Ｐ５１７０と一体成形されることにより、ビス孔Ｐ５１７４のうちカバー本体Ｐ５１７１側の部分と、ビス孔Ｐ５１７４のうち軸部Ｐ５１７３側の部分との位置ズレが生じるのが抑制され、ひいては軸部Ｐ５１７３の破損を抑制することができる。
【１５９５】
また、前記軸部Ｐ５１７３は、前記ビスＰ５１８０を挿入可能なビス孔Ｐ５１７４（孔部）を備え、
前記クランクギヤＰ５１４０は、前記ビスＰ５１８０が前記ビス孔Ｐ５１７４に挿入されることで前記カバー部材Ｐ５１７０に固定されるものである。
【１５９６】
このような構成によれば、クランクギヤＰ５１４０を容易にカバー部材Ｐ５１７０に固定することができる。
また本実施形態においては、ビス孔Ｐ５１７４が、軸部Ｐ５１７３からカバー部材Ｐ５１７０（カバー本体Ｐ５１７１）にわたって形成されている。このように形成されたビス孔Ｐ５１７４にビスＰ５１８０が挿入されることで、ビスＰ５１８０がビス孔Ｐ５１７４の内周面のうち軸部Ｐ５１７３に設けられる部分、及びビス孔Ｐ５１７４の内周面のうちカバー本体Ｐ５１７１に設けられる部分の双方と当接した状態でクランクギヤＰ５１４０を固定し易くすることができる。
【１５９７】
また、前記孔部は、ビス孔Ｐ５１７４であり、
前記ビスＰ５１８０は、前記ビス孔Ｐ５１７４に挿入されるビスであり、前記ビスＰ５１８０のビス頭部Ｐ５１８２によって前記クランクギヤＰ５１４０が固定されているものである。
【１５９８】
このような構成によれば、ビスＰ５１８０のビス頭部Ｐ５１８２によってクランクギヤＰ５１４０を容易にカバー部材Ｐ５１７０に固定することができる。
また本実施形態においては、クランクギヤＰ５１４０は、クランクギヤＰ５１４０の後面Ｐ５１４０ａが軸部Ｐ５１７３の頂部（後端部）よりも前方に位置するようにして、軸部Ｐ５１７３に挿通されている。したがって、ビス頭部Ｐ５１８２が軸部Ｐ５１７３の頂部（後端部）に当接することで、クランクギヤＰ５１４０を動作不能な状態ではなく、回動可能な状態で固定することができる。
また本実施形態においては、リブＰ５１７５が歯車部Ｐ５１４１の前面と当接可能に設けられている。したがって、ビス頭部Ｐ５１８２及びリブＰ５１７５により、クランクギヤＰ５１４０の前後方向の位置を規制することができる。またリブＰ５１７５によりクランクギヤＰ５１４０からの力を受けることで、軸部Ｐ５１７３に加わる力（負担）を低減させることができる。
【１５９９】
また、前記ビス孔Ｐ５１７４は、前記軸部Ｐ５１７３から前記カバー部材Ｐ５１７０（カバー本体Ｐ５１７１）にわたって形成されているものである。
【１６００】
このような構成によれば、ビスＰ５１８０をビス孔Ｐ５１７４に挿入することでビスＰ５１８０を軸部Ｐ５１７３とカバー本体Ｐ５１７１の双方と当接し易くさせることができる。
また本実施形態においては、ビス軸部Ｐ５１８１は、ビス孔Ｐ５１７４の内周面のうち軸部Ｐ５１７３に設けられる部分、及びビス孔Ｐ５１７４の内周面のうちカバー本体Ｐ５１７１に設けられる部分の双方に当接するとともに、当該ビス軸部Ｐ５１８１の先端（前端）がビス孔Ｐ５１７４の底面と当接するように設けられる。これにより、ビス孔Ｐ５１７４の空間部分を埋めることができ、軸部Ｐ５１７３に加わる力をビス軸部Ｐ５１８１の外周面及び底面の双方で受けることができる。したがって、軸部Ｐ５１７３の破損を抑制することができる。
【１６０１】
また、前記クランクギヤＰ５１４０は、図３７５に示すギヤ待機位置（第１の位置）と図３７７に示すギヤ演出位置（第２の位置）とに動作可能なクランク部Ｐ５１４２（クランク部）が設けられた回転ギヤである。
【１６０２】
このような構成によれば、クランクギヤＰ５１４０を動作させることで、クランク部Ｐ５１４２によって他の部材を動作させることができる。
また本実施形態においては、回転駆動モータＰ５１６０によってモータギヤＰ５１５０を回転させることにより、クランクギヤＰ５１４０をギヤ待機位置（第１の位置）とギヤ演出位置（第２の位置）とに変位させることができる。
【１６０３】
また、本実施形態に係る遊技機は、前記クランク部Ｐ５１４２に当接することで、図３７５に示すアーム待機位置（第３の位置）と図３７７に示すアーム演出位置（第４の位置）とに移動可能なリンクアームＰ５１２０（第２の可動体）を備えるものである。
【１６０４】
このような構成によれば、クランクギヤＰ５１４０を動作させることで、クランク部Ｐ５１４２によってリンクアームＰ５１２０を動作させることができる。
また本実施形態においては、クランクギヤＰ５１４０をギヤ待機位置（第１の位置）とギヤ演出位置（第２の位置）とに変位させることにより、リンクアームＰ５１２０をアーム待機位置（第３の位置）とアーム演出位置（第４の位置）とに変位させることができる。
【１６０５】
また、前記リンクアームＰ５１２０は、当該リンクアームＰ５１２０と当接することで、当該リンクアームＰ５１２０の動作に応じて図３７５に示す役物待機位置（第５の位置）と図３７７に示す役物演出位置（第６の位置）とに動作可能な下部役物Ｐ５１１０（第３の可動体）を備えるものである。
【１６０６】
このような構成によれば、リンクアームＰ５１２０を動作させることにより、下部役物Ｐ５１１０を動作させることができる。
また本実施形態においては、ベース部材Ｐ５１３０の第一制御孔Ｐ５１３１は直線状に形成され、第二制御孔Ｐ５１３２は円弧状に形成されている。そして、下部役物Ｐ５１１０の第一ボス部Ｐ５１１３ａは第一制御孔Ｐ５１３１に挿入され、第二ボス部Ｐ５１１３ｂ及びボス部Ｐ５１１４ｃは第二制御孔Ｐ５１３２に挿入されている。このようにして直線状の孔と円弧状の孔によって下部役物Ｐ５１１０の動作が制御されることにより、下部役物Ｐ５１１０は傾きを変えながら遊技者に視認可能な位置へと移動する。したがって、演出の面白みを向上させることができる。
また本実施形態においては、下部役物Ｐ５１１０は後部カバーＰ５１１３に対して回動可能に設けられた役物制御アームＰ５１１４を備えており、後部カバーＰ５１１３（の第二ボス部Ｐ５１１３ｂ）と役物制御アームＰ５１１４（のボス部Ｐ５１１４ｃ）とによってベース部材Ｐ５１３０の第二制御孔Ｐ５１３２に支持されている。これにより、下部役物Ｐ５１１０を第二制御孔Ｐ５１３２に沿ってスムーズに移動させることが可能となる。また、下部役物Ｐ５１１０が第一制御孔Ｐ５１３１及び第二制御孔Ｐ５１３２に対して複数の箇所（第一ボス部Ｐ５１１３ａ、第二ボス部Ｐ５１１３ｂ及びボス部Ｐ５１１４ｃの３点）で支持されることにより、下部役物Ｐ５１１０の姿勢の安定性を向上させることができる。
【１６０７】
また、前記リンクアームＰ５１２０は、揺動運動する揺動部材であるものである。
【１６０８】
このような構成によれば、クランクギヤＰ５１４０を動作させることで、クランク部Ｐ５１４２によってリンクアームＰ５１２０を揺動させることができる。
また本実施形態においては、リンクアームＰ５１２０は、アーム待機位置（図３７５参照）からアーム演出位置（図３７７参照）へと移動する際、役物待機位置（図３７５参照）にある下部役物Ｐ５１１０の側（背面視において当該下部役物Ｐ５１１０と概ね重複する位置）へと回動する。よって、リンクアームＰ５１２０の揺動のために新たなスペースを設ける必要がないため、省スペース化を図ることができる。
【１６０９】
以上、本発明の実施形態を説明したが、本発明は上記構成に限定されるものではなく、特許請求の範囲に記載された発明の範囲内で種々の変更が可能である。
【１６１０】
例えば、本実施形態においては、ビス軸部Ｐ５１８１の先端（前端）は、ビス孔Ｐ５１７４の底面と当接するものとしたが、ビス軸部Ｐ５１８１がビス孔Ｐ５１７４の内周面のうち軸部Ｐ５１７３に設けられる部分、及びビス孔Ｐ５１７４の内周面のうちカバー本体Ｐ５１７１に設けられる部分の双方と当接していれば（軸部Ｐ５１７３及びカバー本体Ｐ５１７１の双方にまたがるように設けられていれば）、図３７８に示すように、ビス孔Ｐ５１７４の底面と当接していなくてもよい。
【１６１１】
また、本実施形態においては、カバー部材Ｐ５１７０の軸部Ｐ５１７３のビス孔Ｐ５１７４は、カバー本体Ｐ５１７１の内底面Ｐ５１７１ａよりも前方まで、かつ、カバー本体Ｐ５１７１の外底面Ｐ５１７１ｂよりも後方まで延びるように形成されるものとしたが、図３７９に示すように、カバー本体Ｐ５１７１を貫通するように（カバー本体Ｐ５１７１の外底面Ｐ５１７１ｂまで延びるように）形成されるものとしてもよい。これにより、ビス孔Ｐ５１７４の加工を容易とすることができる。
【１６１２】
このとき、ビスＰ５１８０は、図３７９に示すように、カバー本体Ｐ５１７１の外底面Ｐ５１７１ｂよりも前方まで突き抜けるように設けられていてもよい。これにより、軸部Ｐ５１７３に加わる力をビスＰ５１８０で受け易くすることができる。或いは、ビス孔Ｐ５１７４がカバー本体Ｐ５１７１を貫通している場合であっても、ビスＰ５１８０は、図３８０に示すように、カバー本体Ｐ５１７１の内底面Ｐ５１７１ａよりも前方まで、かつ、カバー本体Ｐ５１７１の外底面Ｐ５１７１ｂよりも後方まで延びるように設けられていてもよい。
【１６１３】
以上の如く、本実施形態の別例においては、前記ビス孔Ｐ５１７４は、前記カバー部材Ｐ５１７０を貫通して設けられているものである。
【１６１４】
このような構成によれば、ビス孔Ｐ５１７４の加工を容易とすることができる。
また図３７９に示す例においては、ビスＰ５１８０はカバー本体Ｐ５１７１の外底面Ｐ５１７１ｂよりも前方まで突き抜けるように設けられている。これにより、軸部Ｐ５１７３に加わる力をビスＰ５１８０で受け易くすることができ、ひいては軸部Ｐ５１７３の破損を抑制することができる。
【１６１５】
また、本実施形態においては、本発明に係る固定手段（ビスＰ５１８０）は、軸部（軸部Ｐ５１７３）に対して回動可能な状態で可動体（クランクギヤＰ５１４０）を固定するものとしたが、固定手段の固定対象である可動体は、回動可能なものに限定されず、任意の動作（例えば直線移動）が可能なものであってもよい。例えば、本発明に係る固定手段は、リンクアームＰ５１２０とクランクギヤＰ５１４０のクランク部Ｐ５１４２との固定に適用することも可能である。また、本発明に係る固定手段は、ベース部材Ｐ５１３０と下部役物Ｐ５１１０との固定に適用することも可能である。
【１６１６】
［演出装置Ｐ６０００］
以下では、図３６５、図３８１から図４０６までを用いて、本実施形態に係る演出装置Ｐ６０００について説明する。
【１６１７】
なお、以降の説明で用いる図面（例えば図３８６等）においては、各部材の外郭を明確とするため、便宜上、当該部材に適宜色を付している場合がある。
【１６１８】
演出装置Ｐ６０００は、適宜のタイミングで動作することで、遊技者に視覚的な印象（インパクト）を与えるものである。演出装置Ｐ６０００は、図３６５に示すように、遊技盤Ｐ１１００に設置される。より詳細には、演出装置Ｐ６０００は、遊技盤Ｐ１１００の開口領域１ｄの上方に設置される。演出装置Ｐ６０００は、後述する開閉役物Ｐ６３００及び装飾役物Ｐ６６００を移動制御することで、遊技者に視覚的な印象を与える。演出装置Ｐ６０００は、図３８１から図３８６までに示すように、ベース部Ｐ６１００、開閉制御手段Ｐ６２００、開閉役物Ｐ６３００、弾丸制御手段Ｐ６４００、弾丸役物Ｐ６５００、装飾役物Ｐ６６００及び固定装飾部Ｐ６７００を具備する。
【１６１９】
図３８１から図３８７までに示すベース部Ｐ６１００は、開閉制御手段Ｐ６２００、開閉役物Ｐ６３００、弾丸制御手段Ｐ６４００、弾丸役物Ｐ６５００、装飾役物Ｐ６６００及び固定装飾部Ｐ６７００が設けられるものである。なお、開閉制御手段Ｐ６２００、開閉役物Ｐ６３００、弾丸制御手段Ｐ６４００及び弾丸役物Ｐ６５００の詳細な説明については後述する。ベース部Ｐ６１００は、第１のベース部Ｐ６１１０、第２のベース部Ｐ６１２０及び第３のベース部Ｐ６１３０を具備する。
【１６２０】
図３８３、図３８４、図３８６及び図３８７に示す第１のベース部Ｐ６１１０は、ベース部Ｐ６１００の前部を構成するものである（図３８６参照）。また、第１のベース部Ｐ６１１０は、弾丸制御手段Ｐ６４００の一部（後述する駆動伝達ギヤＰ６４２０及びガイドギヤＰ６４３０）や、開閉役物Ｐ６３００（後述する右側ロゴ役物Ｐ６３１０及び左側ロゴ役物Ｐ６３２０）が設けられる（図３８４参照）。第１のベース部Ｐ６１１０は、後方に向けて開口する略箱形状とされている。第１のベース部Ｐ６１１０は、左右方向に長尺な形状とされている。第１のベース部Ｐ６１１０は、軸受開口部Ｐ６１１１、右側シャフト軸受部Ｐ６１１２及び左側シャフト軸受部Ｐ６１１３を具備する。
【１６２１】
図３８７に示す軸受開口部Ｐ６１１１は、第１のベース部Ｐ６１１０を前後方向に貫通するものである。軸受開口部Ｐ６１１１は、第１のベース部Ｐ６１１０の左右方向略中央かつ上下方向略中央に位置する。軸受開口部Ｐ６１１１は、後述するガイドギヤＰ６４３０を前後方向に向く軸心回りに回転自在に軸支する。
【１６２２】
図３８４に示す右側シャフト軸受部Ｐ６１１２は、第１のベース部Ｐ６１１０を前後方向に貫通するものである。右側シャフト軸受部Ｐ６１１２は、第１のベース部Ｐ６１１０の右側部分における上部に位置する。右側シャフト軸受部Ｐ６１１２は、後述する右側ロゴ役物Ｐ６３１０の右側クランクシャフトＰ６３１２（メインシャフトＰ６３１２ａ）を軸支する。
【１６２３】
左側シャフト軸受部Ｐ６１１３は、第１のベース部Ｐ６１１０を前後方向に貫通するものである。左側シャフト軸受部Ｐ６１１３は、第１のベース部Ｐ６１１０の左側部分における上部に位置する。左側シャフト軸受部Ｐ６１１３は、後述する左側ロゴ役物Ｐ６３２０の左側クランクシャフトＰ６３２２（メインシャフトＰ６３２２ａ）を軸支する。
【１６２４】
図３８３、図３８６及び図３８７に示す第２のベース部Ｐ６１２０は、第１のベース部Ｐ６１１０の後側を覆うと共に、弾丸役物Ｐ６５００を収容するものである。第２のベース部Ｐ６１２０は、カバー部Ｐ６１２１及びホルダー部Ｐ６１２２を具備する。
【１６２５】
カバー部Ｐ６１２１は、第１のベース部Ｐ６１１０の後側の開口を覆うものである。カバー部Ｐ６１２１は、厚さ方向を前後方向に向けた板形状とされている。カバー部Ｐ６１２１は、左右方向に長尺な形状とされている。カバー部Ｐ６１２１は、第１のベース部Ｐ６１１０の後部に固定される。
【１６２６】
ホルダー部Ｐ６１２２は、弾丸役物Ｐ６５００を収容するものである。ホルダー部Ｐ６１２２は、前方に開口する有底略円筒形状とされている。ホルダー部Ｐ６１２２は、カバー部Ｐ６１２１から後方に突出するように形成される。ホルダー部Ｐ６１２２は、カバー部Ｐ６１２１の左右方向略中央かつ上下方向略中央に位置する。また、ホルダー部Ｐ６１２２は、背面視において、第１のベース部Ｐ６１１０の軸受開口部Ｐ６１１１と重複する位置とされる。ホルダー部Ｐ６１２２は、底部Ｐ６１２２ａ及び側部Ｐ６１２２ｃを具備する。
【１６２７】
図３８６及び図３８７に示す底部Ｐ６１２２ａは、ホルダー部Ｐ６１２２の底壁を構成するものである。底部Ｐ６１２２ａは、ホルダー部Ｐ６１２２の後端に位置する。底部Ｐ６１２２ａは、軸受部Ｐ６１２２ｂを具備する。
【１６２８】
軸受部Ｐ６１２２ｂは、弾丸役物Ｐ６５００（後述する規制部Ｐ６５３０）を、前後方向に向く軸心回りに回転自在に軸支するものである。軸受部Ｐ６１２２ｂは、底部Ｐ６１２２ａを前後方向に貫通する。
【１６２９】
側部Ｐ６１２２ｃは、ホルダー部Ｐ６１２２の側壁を構成するものである。側部Ｐ６１２２ｃは、開口部Ｐ６１２２ｄを具備する。
【１６３０】
開口部Ｐ６１２２ｄは、側部Ｐ６１２２ｃにおいて開口する部分である。開口部Ｐ６１２２ｄは、側部Ｐ６１２２ｃの上部及び下部を切り欠いた形状とされる。図例では、開口部Ｐ６１２２ｄを、底部Ｐ６１２２ａの近傍に設けた例を示している。
【１６３１】
図３８１から図３８７までに示す第３のベース部Ｐ６１３０は、開閉制御手段Ｐ６２００が設けられるものである。第３のベース部Ｐ６１３０は、厚さ方向を前後方向に向けた板形状とされている。第３のベース部Ｐ６１３０は、第１のベース部Ｐ６１１０の後部に固定される。第３のベース部Ｐ６１３０は、第２のベース部Ｐ６１２０のカバー部Ｐ６１２１の後方に配置される（図３８６参照）。第３のベース部Ｐ６１３０は、開口部Ｐ６１３１、右側ガイドピン貫通孔Ｐ６１３２及び左側ガイドピン貫通孔Ｐ６１３３を具備する。
【１６３２】
図３８５及び図３８７に示す開口部Ｐ６１３１は、第３のベース部Ｐ６１３０を前後方向に貫通するものである。開口部Ｐ６１３１は、第３のベース部Ｐ６１３０の左右方向略中央かつ上下方向略中央に位置する。開口部Ｐ６１３１は、前方からホルダー部Ｐ６１２２が挿通される（図３８７参照）。また、開口部Ｐ６１３１は、後述するように、カバー部Ｐ６１２１においてホルダー部Ｐ６１２２の右方に設けられる前後センサＰ６４５０が挿通される。
【１６３３】
右側ガイドピン貫通孔Ｐ６１３２は、第３のベース部Ｐ６１３０を前後方向に貫通するものである。右側ガイドピン貫通孔Ｐ６１３２は、第３のベース部Ｐ６１３０の右側部分における上部に位置する。右側ガイドピン貫通孔Ｐ６１３２は、背面視において右下方向へ傾斜する円弧形状の長孔とされている。右側ガイドピン貫通孔Ｐ６１３２は、後述する右側クランクシャフトＰ６３１２の右側クランクガイドピンＰ６３１２ｃが挿通される。右側ガイドピン貫通孔Ｐ６１３２は、右側クランクガイドピンＰ６３１２ｃの移動をガイドする。
【１６３４】
左側ガイドピン貫通孔Ｐ６１３３は、第３のベース部Ｐ６１３０を前後方向に貫通するものである。左側ガイドピン貫通孔Ｐ６１３３は、第３のベース部Ｐ６１３０の左側部分における上部に位置する。左側ガイドピン貫通孔Ｐ６１３３は、背面視において右下方向へ傾斜する円弧形状の長孔とされている。左側ガイドピン貫通孔Ｐ６１３３は、後述する左側クランクシャフトＰ６３２２の左側クランクガイドピンＰ６３２２ｃが挿通される。左側ガイドピン貫通孔Ｐ６１３３は、左側クランクガイドピンＰ６３２２ｃの移動をガイドする。
【１６３５】
図３８３及び図３８５に示す開閉制御手段Ｐ６２００は、開閉役物Ｐ６３００を、図３８１及び図３８２に示す閉鎖位置と、図３８８及び図３８９に示す開放位置と、に移動制御するものである。また、開閉制御手段Ｐ６２００は、後述する弾丸役物Ｐ６５００（規制部Ｐ６５３０）の回転動作を規制する。なお、開閉役物Ｐ６３００の詳細な説明については後述する。
【１６３６】
開閉制御手段Ｐ６２００は、演出装置制御回路３３８（制御手段）からの制御信号に応じて、開閉役物Ｐ６３００を移動制御する。開閉制御手段Ｐ６２００は、第１のモータＰ６２１０、出力ギヤＰ６２２０、ガイド部Ｐ６２３０、スライドラックＰ６２４０及びスライドセンサＰ６２５０を具備する。
【１６３７】
図３８５に示す第１のモータＰ６２１０は、開閉役物Ｐ６３００を開閉させるための駆動源である。第１のモータＰ６２１０は、第３のベース部Ｐ６１３０の前面の左側部分に設けられる。第１のモータＰ６２１０は、出力軸が、第３のベース部Ｐ６１３０を前後に貫通して後方へと突出するように設けられる。
【１６３８】
出力ギヤＰ６２２０は、第１のモータＰ６２１０の駆動力を取り出すものである。出力ギヤＰ６２２０は、第１のモータＰ６２１０の出力軸の後端部に固定される。出力ギヤＰ６２２０を介して伝達された駆動力により、スライドラックＰ６２４０が左右方向にスライドする。なお、スライドラックＰ６２４０の詳細な説明については後述する。
【１６３９】
図３８５に示すガイド部Ｐ６２３０は、スライドラックＰ６２４０の左右方向のスライドをガイドするものである。ガイド部Ｐ６２３０は、右側ガイドピンＰ６２３１及び左側ガイドピンＰ６２３２を具備する。
【１６４０】
右側ガイドピンＰ６２３１は、スライドラックＰ６２４０の右側部分をガイドするものである。右側ガイドピンＰ６２３１は、後述するスライドラックＰ６２４０の右側ガイド孔Ｐ６２４２に挿通される。右側ガイドピンＰ６２３１は、第３のベース部Ｐ６１３０の後面において後方に突出する。右側ガイドピンＰ６２３１は、軸心を前後方向に向けた略円柱形状とされる。右側ガイドピンＰ６２３１は、第３のベース部Ｐ６１３０の右側部分における上部に設けられる。右側ガイドピンＰ６２３１の後端部には、右側ガイド孔Ｐ６２４２からの脱落防止のためのワッシャが設けられている。
【１６４１】
左側ガイドピンＰ６２３２は、スライドラックＰ６２４０の左側部分をガイドするものである。左側ガイドピンＰ６２３２は、後述するスライドラックＰ６２４０の左側ガイド孔Ｐ６２４３に挿通される。左側ガイドピンＰ６２３２は、第３のベース部Ｐ６１３０の後面において後方に突出する。左側ガイドピンＰ６２３２は、軸心を前後方向に向けた略円柱形状とされる。左側ガイドピンＰ６２３２は、第３のベース部Ｐ６１３０の左側部分における上下方向略中央に設けられる。左側ガイドピンＰ６２３２の後端部には、左側ガイド孔Ｐ６２４３からの脱落防止のためのワッシャが設けられている。
【１６４２】
図３８３、図３８５、図３９０及び図３９１に示すスライドラックＰ６２４０は、第３のベース部Ｐ６１３０に対して左右方向にスライドすることで、開閉役物Ｐ６３００の移動と、弾丸役物Ｐ６５００（規制部Ｐ６５３０）の回転動作の規制と、が可能なものである。スライドラックＰ６２４０は、図３８５に示すスライド方向左側に位置する閉鎖状態と、図３９０に示すスライド方向中途部に位置する開放／ロック状態と、図３９１に示すスライド方向右側に位置する開放／ロック解除状態と、にスライド可能である。なお、閉鎖状態、開放／ロック状態及び開放／ロック解除状態の詳細な説明については後述する。
【１６４３】
スライドラックＰ６２４０は、厚さ方向を前後方向に向けた板形状とされている。スライドラックＰ６２４０は、第３のベース部Ｐ６１３０の後方に配置される。スライドラックＰ６２４０は、ラック歯部Ｐ６２４１、右側ガイド孔Ｐ６２４２、左側ガイド孔Ｐ６２４３、右側クランクガイド孔Ｐ６２４４、左側クランクガイド孔Ｐ６２４５、開口部Ｐ６２４６、ロック部Ｐ６２４７及び被検知部Ｐ６２４８を具備する。
【１６４４】
ラック歯部Ｐ６２４１は、出力ギヤＰ６２２０と歯合するものである。ラック歯部Ｐ６２４１は、スライドラックＰ６２４０の左側部分における下部に位置する。ラック歯部Ｐ６２４１に出力ギヤＰ６２２０が伝達する回転（駆動力）が伝達されることで、スライドラックＰ６２４０が左右方向に移動可能とされる。
【１６４５】
右側ガイド孔Ｐ６２４２は、右側ガイドピンＰ６２３１が挿通されるものである。右側ガイド孔Ｐ６２４２は、スライドラックＰ６２４０を前後方向に貫通する。右側ガイド孔Ｐ６２４２は、左右方向に長尺な長孔形状とされている。右側ガイド孔Ｐ６２４２の幅寸法（上下寸法）は、右側ガイドピンＰ６２３１のワッシャの外径よりも小さい。右側ガイド孔Ｐ６２４２は、スライドラックＰ６２４０の右側部分における上部に位置する。
【１６４６】
左側ガイド孔Ｐ６２４３は、左側ガイドピンＰ６２３２が挿通されるものである。左側ガイド孔Ｐ６２４３は、スライドラックＰ６２４０を前後方向に貫通する。左側ガイド孔Ｐ６２４３は、左右方向に長尺な長孔形状とされている。左側ガイド孔Ｐ６２４３の幅寸法（上下寸法）は、左側ガイドピンＰ６２３２のワッシャの外径よりも小さい。左側ガイド孔Ｐ６２４３は、スライドラックＰ６２４０の左側部分において、ラック歯部Ｐ６２４１の上方に位置する。
【１６４７】
右側クランクガイド孔Ｐ６２４４は、後述する右側クランクシャフトＰ６３１２の右側クランクガイドピンＰ６３１２ｃが挿通されるものである。右側クランクガイド孔Ｐ６２４４は、スライドラックＰ６２４０を前後方向に貫通する。
【１６４８】
右側クランクガイド孔Ｐ６２４４は、背面視において略Ｓ字状に屈曲した長孔とされている。より詳細には、右側クランクガイド孔Ｐ６２４４は、右側部分が左右方向に延びる形状とされ、中央部分（傾斜部分）が斜め左下方に延びる形状とされ、左側部分が左右方向に延びる形状とされている。右側クランクガイド孔Ｐ６２４４は、スライドラックＰ６２４０の右側部分において、右側ガイド孔Ｐ６２４２の下方に位置する。
【１６４９】
左側クランクガイド孔Ｐ６２４５は、後述する左側クランクシャフトＰ６３２２の左側クランクガイドピンＰ６３２２ｃが挿通されるものである。左側クランクガイド孔Ｐ６２４５は、スライドラックＰ６２４０を前後方向に貫通する。
【１６５０】
左側クランクガイド孔Ｐ６２４５は、背面視において略Ｓ字状に屈曲した長孔とされている。より詳細には、左側クランクガイド孔Ｐ６２４５は、右側部分が左右方向に延びる形状とされ、中央部分（傾斜部分）が斜め左下方に延びる形状とされ、左側部分が左右方向に延びる形状とされている。左側クランクガイド孔Ｐ６２４５は、スライドラックＰ６２４０の左側部分において、左側ガイド孔Ｐ６２４３の上方に位置する。
【１６５１】
開口部Ｐ６２４６は、ホルダー部Ｐ６１２２及び後述する前後センサＰ６４５０が挿通されるものである。開口部Ｐ６２４６は、スライドラックＰ６２４０を前後方向に貫通する。開口部Ｐ６２４６は、左右方向に長尺な形状とされている。また、開口部Ｐ６２４６は、左右方向中途部が背面視において略円形状とされている。開口部Ｐ６２４６は、スライドラックＰ６２４０の左右方向略中央かつ上下方向略中央に位置する。
【１６５２】
ロック部Ｐ６２４７は、弾丸役物Ｐ６５００の動作の一部をロックするものである。なお、弾丸役物Ｐ６５００の動作の詳細な説明については後述する。ロック部Ｐ６２４７は、スライドラックＰ６２４０の後面から後方に突出している。ロック部Ｐ６２４７は、背面視において左右に長尺な形状とされている。ロック部Ｐ６２４７は、開口部Ｐ６２４６を挟んで、上下に一対設けられている。ロック部Ｐ６２４７は、開口部Ｐ６２４６の左右方向略中央に位置する。
【１６５３】
図３８５に示す被検知部Ｐ６２４８は、後述するスライドセンサＰ６２５０により検知される部分である。被検知部Ｐ６２４８は、スライドラックＰ６２４０の下部において、下方に突出する。被検知部Ｐ６２４８は、厚さ方向を前後方向に向けた板形状とされている。被検知部Ｐ６２４８は、スライドラックＰ６２４０の左右方向中央に位置する。被検知部Ｐ６２４８は、第１の被検知部Ｐ６２４８ａ、第２の被検知部Ｐ６２４８ｂ及び第３の被検知部Ｐ６２４８ｃを具備する。
【１６５４】
第１の被検知部Ｐ６２４８ａは、被検知部Ｐ６２４８の右側部分を構成する。
【１６５５】
第２の被検知部Ｐ６２４８ｂは、被検知部Ｐ６２４８の左右方向中央部分を構成する。第２の被検知部Ｐ６２４８ｂの下端部は、第１の被検知部Ｐ６２４８ａよりも上方に位置する。
【１６５６】
第３の被検知部Ｐ６２４８ｃは、被検知部Ｐ６２４８の左側部分を構成する。第３の被検知部Ｐ６２４８ｃの下端部は、第２の被検知部Ｐ６２４８ｂよりも上方に位置する。
【１６５７】
スライドセンサＰ６２５０は、被検知部Ｐ６２４８を検知可能なものである。スライドセンサＰ６２５０は、被検知部Ｐ６２４８の下方に設けられる。スライドセンサＰ６２５０は、第１のスライドセンサＰ６２５１、第２のスライドセンサＰ６２５２及び第３のスライドセンサＰ６２５３を具備する。
【１６５８】
第１のスライドセンサＰ６２５１は、第１の被検知部Ｐ６２４８ａを検知可能なものである。第１のスライドセンサＰ６２５１は、背面視において第１の被検知部Ｐ６２４８ａと重複した場合に、第１の被検知部Ｐ６２４８ａを検知する。第１のスライドセンサＰ６２５１は、図３８５に示す閉鎖状態のスライドラックＰ６２４０の第１の被検知部Ｐ６２４８ａと重複する位置（検知可能な位置）に配置される。本実施形態では、第１のスライドセンサＰ６２５１を、閉鎖状態のスライドラックＰ６２４０の第１の被検知部Ｐ６２４８ａの左端部と重複する位置に配置している。これにより、第１のスライドセンサＰ６２５１は、スライドラックＰ６２４０が閉鎖状態より右方にスライドすれば、第１の被検知部Ｐ６２４８ａと重複しなくなる（検知不能となる）。
【１６５９】
第２のスライドセンサＰ６２５２は、第２の被検知部Ｐ６２４８ｂを検知可能なものである。第２のスライドセンサＰ６２５２は、背面視において第２の被検知部Ｐ６２４８ｂと重複した場合に、第２の被検知部Ｐ６２４８ｂを検知する。第２のスライドセンサＰ６２５２は、図３８５に示す閉鎖状態のスライドラックＰ６２４０の第２の被検知部Ｐ６２４８ｂと重複する位置（検知可能な位置）に配置される。また、第２のスライドセンサＰ６２５２は、閉鎖状態のスライドラックＰ６２４０が右方へとスライドし、図３９０に示す開放／ロック状態に到達した時点で、第２の被検知部Ｐ６２４８ｂと重複しなくなる位置（検知不能となる位置）に配置される。これにより、第２のスライドセンサＰ６２５２は、スライドラックＰ６２４０が閉鎖状態から開放／ロック状態となる直前まで第２の被検知部Ｐ６２４８ｂを検知可能となり、スライドラックＰ６２４０が開放／ロック状態となれば第２の被検知部Ｐ６２４８ｂを検知不能となる。
【１６６０】
第３のスライドセンサＰ６２５３は、第３の被検知部Ｐ６２４８ｃを検知可能なものである。第３のスライドセンサＰ６２５３は、背面視において第３の被検知部Ｐ６２４８ｃと重複した場合に、第３の被検知部Ｐ６２４８ｃを検知する。第３のスライドセンサＰ６２５３は、図３８５に示す閉鎖状態及び図３９０に示す開放／ロック状態のスライドラックＰ６２４０の第３の被検知部Ｐ６２４８ｃと重複する位置（検知可能な位置）に配置される。また、第３のスライドセンサＰ６２５３は、開放／ロック解除状態のスライドラックＰ６２４０が右方へとスライドし、図３９１に示す開放／ロック解除状態に到達した時点で、第３の被検知部Ｐ６２４８ｃと重複しなくなる位置（検知不能となる位置）に配置される。これにより、第３のスライドセンサＰ６２５３は、スライドラックＰ６２４０が閉鎖状態から開放／ロック解除状態となる直前まで第３の被検知部Ｐ６２４８ｃを検知可能となり、スライドラックＰ６２４０が開放／ロック解除状態となれば第３の被検知部Ｐ６２４８ｃを検知不能となる。
【１６６１】
第１のスライドセンサＰ６２５１、第２のスライドセンサＰ６２５２及び第３のスライドセンサＰ６２５３は、例えばフォトセンサ等、被検知部Ｐ６２４８を検知可能な種々のセンサを採用可能である。
【１６６２】
図３８１から図３８６に示す開閉役物Ｐ６３００は、開閉制御手段Ｐ６２００による移動制御により、閉鎖位置と開放位置とに移動可能なものである。開閉役物Ｐ６３００は、右側ロゴ役物Ｐ６３１０及び左側ロゴ役物Ｐ６３２０を具備する。
【１６６３】
右側ロゴ役物Ｐ６３１０は、開閉役物Ｐ６３００の右側部分を構成するものである。右側ロゴ役物Ｐ６３１０は、第１のベース部Ｐ６１１０の右側部分において、前後方向に向く軸回りに回動可能に連結される。右側ロゴ役物Ｐ６３１０は、右側役物本体Ｐ６３１１及び右側クランクシャフトＰ６３１２を具備する。
【１６６４】
図３８６に示す右側役物本体Ｐ６３１１は、回動動作により遊技者に視覚的な印象を与えるものである。右側役物本体Ｐ６３１１は、厚さ方向を前後方向に向けた略板形状とされている。右側役物本体Ｐ６３１１の前面には、ロゴを模した模様が設けられている。
【１６６５】
図３８４に示す右側クランクシャフトＰ６３１２は、スライドラックＰ６２４０の左右方向の動作を右側役物本体Ｐ６３１１に伝達するものである。右側クランクシャフトＰ６３１２は、第１のベース部Ｐ６１１０に回動可能に軸支される。右側クランクシャフトＰ６３１２は、メインシャフトＰ６３１２ａ、アームＰ６３１２ｂ及び右側クランクガイドピンＰ６３１２ｃを具備する。
【１６６６】
メインシャフトＰ６３１２ａは、第１のベース部Ｐ６１１０の右側シャフト軸受部Ｐ６１１２に挿通されるものである。メインシャフトＰ６３１２ａは、右側シャフト軸受部Ｐ６１１２に、前後方向に向く軸心回りに回転自在に軸支される。メインシャフトＰ６３１２ａは、前端部が右側役物本体Ｐ６３１１に固定される。
【１６６７】
アームＰ６３１２ｂは、メインシャフトＰ６３１２ａと、後述する右側クランクガイドピンＰ６３１２ｃと、を接続するものである。アームＰ６３１２ｂは、メインシャフトＰ６３１２ａの後端部から、前後方向に直交する方向（図３８４においては左方向）に延びるように形成される。
【１６６８】
右側クランクガイドピンＰ６３１２ｃは、図３８５に示すように、第３のベース部Ｐ６１３０の右側ガイドピン貫通孔Ｐ６１３２及びスライドラックＰ６２４０の右側クランクガイド孔Ｐ６２４４に挿通されるものである。右側クランクガイドピンＰ６３１２ｃは、アームＰ６３１２ｂの先端部（反メインシャフトＰ６３１２ａ側の端部）から後方に突出する。右側クランクガイドピンＰ６３１２ｃは、軸心を前後方向に向けた略円柱形状とされる。
【１６６９】
右側クランクガイドピンＰ６３１２ｃの後端部には、右側クランクガイド孔Ｐ６２４４からの脱落防止のためのワッシャが設けられている。上記ワッシャの外径は、右側ガイドピン貫通孔Ｐ６１３２及び右側クランクガイド孔Ｐ６２４４の幅寸法（背面視において長手方向に直交する寸法）よりも大きい。
【１６７０】
左側ロゴ役物Ｐ６３２０は、開閉役物Ｐ６３００の左側部分を構成するものである。左側ロゴ役物Ｐ６３２０は、第１のベース部Ｐ６１１０の左側部分において、前後方向に向く軸回りに回動可能に連結される。左側ロゴ役物Ｐ６３２０は、左側役物本体Ｐ６３２１及び左側クランクシャフトＰ６３２２を具備する。
【１６７１】
図３８６に示す左側役物本体Ｐ６３２１は、回動動作により遊技者に視覚的な印象を与えるものである。左側役物本体Ｐ６３２１は、厚さ方向を前後方向に向けた略板形状とされている。左側役物本体Ｐ６３２１の前面には、ロゴを模した模様が設けられている。
【１６７２】
図３８４に示す左側クランクシャフトＰ６３２２は、スライドラックＰ６２４０の左右方向の動作を左側役物本体Ｐ６３２１に伝達するものである。左側クランクシャフトＰ６３２２は、第１のベース部Ｐ６１１０に回動可能に軸支される。左側クランクシャフトＰ６３２２は、メインシャフトＰ６３２２ａ、アームＰ６３２２ｂ及び左側クランクガイドピンＰ６３２２ｃを具備する。
【１６７３】
メインシャフトＰ６３２２ａは、第１のベース部Ｐ６１１０の左側シャフト軸受部Ｐ６１１３に挿通されるものである。メインシャフトＰ６３２２ａは、左側シャフト軸受部Ｐ６１１３に、前後方向に向く軸心回りに回転自在に軸支される。メインシャフトＰ６３２２ａは、前端部が左側役物本体Ｐ６３２１に固定される。
【１６７４】
アームＰ６３２２ｂは、メインシャフトＰ６３２２ａと、後述する左側クランクガイドピンＰ６３２２ｃと、を接続するものである。アームＰ６３２２ｂは、メインシャフトＰ６３２２ａの後端部から、前後方向に直交する方向（図３８４においては左方向）に延びるように形成される。
【１６７５】
左側クランクガイドピンＰ６３２２ｃは、第３のベース部Ｐ６１３０の左側ガイドピン貫通孔Ｐ６１３３及びスライドラックＰ６２４０の左側クランクガイド孔Ｐ６２４５に挿通されるものである。左側クランクガイドピンＰ６３２２ｃは、アームＰ６３２２ｂの先端部（反メインシャフトＰ６３２２ａ側の端部）から後方に突出する。左側クランクガイドピンＰ６３２２ｃは、軸心を前後方向に向けた略円柱形状とされる。
【１６７６】
左側クランクガイドピンＰ６３２２ｃの後端部には、左側クランクガイド孔Ｐ６２４５からの脱落防止のためのワッシャが設けられている。上記ワッシャの外径は、左側ガイドピン貫通孔Ｐ６１３３及び左側クランクガイド孔Ｐ６２４５の幅寸法（背面視において長手方向に直交する寸法）よりも大きい。
【１６７７】
以下では、上述の如き開閉役物Ｐ６３００の閉鎖位置及び開放位置について説明する。
【１６７８】
閉鎖位置は、図３８１及び図３８２に示すように、右側ロゴ役物Ｐ６３１０及び左側ロゴ役物Ｐ６３２０が、第１のベース部Ｐ６１１０の前面における左右方向中央部（後述する弾丸役物Ｐ６５００）を、遊技者から視認し難いように、正面視において覆う位置である。閉鎖位置においては、右側ロゴ役物Ｐ６３１０及び左側ロゴ役物Ｐ６３２０の前面のロゴが組み合わされて、特定の意味が生じるように連続するロゴ（文字）を表示する。
【１６７９】
開放位置は、図３８８及び図３８９に示すように、右側ロゴ役物Ｐ６３１０及び左側ロゴ役物Ｐ６３２０が、第１のベース部Ｐ６１１０の前面における左右方向中央部（弾丸制御手段Ｐ６４００が位置する部分）を、遊技者から視認可能なように、正面視において露出する位置である。
【１６８０】
右側ロゴ役物Ｐ６３１０及び左側ロゴ役物Ｐ６３２０は、開閉制御手段Ｐ６２００のスライドラックＰ６２４０のスライドに伴い、メインシャフトＰ６３１２ａ及びメインシャフトＰ６３２２ａの軸心回りに回動することで、閉鎖位置及び開放位置に移動する。
【１６８１】
右側ロゴ役物Ｐ６３１０及び左側ロゴ役物Ｐ６３２０は、スライドラックＰ６２４０が閉鎖状態にあるときに閉鎖位置となる。また、右側ロゴ役物Ｐ６３１０及び左側ロゴ役物Ｐ６３２０は、スライドラックＰ６２４０が開放／ロック状態及び開放／ロック解除状態にあるときに開放位置となる。
【１６８２】
以下では、図３８５、図３９０及び図３９１を用いて、スライドラックＰ６２４０を閉鎖状態、開放／ロック状態及び開放／ロック解除状態とした演出装置Ｐ６０００の状態についてそれぞれ説明する。
【１６８３】
図３８５に示す閉鎖状態において、スライドラックＰ６２４０はスライド方向左側に位置する。閉鎖状態においては、開閉役物Ｐ６３００（右側ロゴ役物Ｐ６３１０及び左側ロゴ役物Ｐ６３２０）は、閉鎖位置とされる。
【１６８４】
閉鎖状態においては、右側ガイド孔Ｐ６２４２及び左側ガイド孔Ｐ６２４３の右端部に、右側ガイドピンＰ６２３１及び左側ガイドピンＰ６２３２が位置する。また、閉鎖状態においては、右側クランクガイド孔Ｐ６２４４及び左側クランクガイド孔Ｐ６２４５の右端部に、右側クランクガイドピンＰ６３１２ｃ及び左側クランクガイドピンＰ６３２２ｃが位置する。
【１６８５】
また、閉鎖状態においては、被検知部Ｐ６２４８の第１の被検知部Ｐ６２４８ａ、第２の被検知部Ｐ６２４８ｂ及び第３の被検知部Ｐ６２４８ｃのそれぞれが、スライドセンサＰ６２５０の第１のスライドセンサＰ６２５１、第２のスライドセンサＰ６２５２及び第３のスライドセンサＰ６２５３によって検知可能な位置に位置する。
【１６８６】
図３９０に示す開放／ロック状態において、スライドラックＰ６２４０はスライド方向中途部に位置する。開放／ロック状態において、開閉役物Ｐ６３００（右側ロゴ役物Ｐ６３１０及び左側ロゴ役物Ｐ６３２０）は開放位置となる。
【１６８７】
開放／ロック状態においては、右側ガイド孔Ｐ６２４２及び左側ガイド孔Ｐ６２４３の左右方向中途部に、右側ガイドピンＰ６２３１及び左側ガイドピンＰ６２３２が位置する。また、開放／ロック状態においては、右側クランクガイド孔Ｐ６２４４及び左側クランクガイド孔Ｐ６２４５の傾斜部分における左端部に、右側クランクガイドピンＰ６３１２ｃ及び左側クランクガイドピンＰ６３２２ｃが位置する。
【１６８８】
また、開放／ロック状態においては、第１の被検知部Ｐ６２４８ａ及び第２の被検知部Ｐ６２４８ｂは、第１のスライドセンサＰ６２５１及び第２のスライドセンサＰ６２５２によって検知不能な位置に位置する。また、第３の被検知部Ｐ６２４８ｃは、第３のスライドセンサＰ６２５３によって検知可能な位置に位置する。
【１６８９】
図３９１に示す開放／ロック解除状態において、スライドラックＰ６２４０はスライド方向右側に位置する。開放／ロック解除状態においては、開閉役物Ｐ６３００（右側ロゴ役物Ｐ６３１０及び左側ロゴ役物Ｐ６３２０）は開放位置となる。
【１６９０】
開放／ロック解除状態においては、右側ガイド孔Ｐ６２４２及び左側ガイド孔Ｐ６２４３の左端部に、右側ガイドピンＰ６２３１及び左側ガイドピンＰ６２３２が位置する。また、閉鎖状態においては、右側クランクガイド孔Ｐ６２４４及び左側クランクガイド孔Ｐ６２４５の左端部に、右側クランクガイドピンＰ６３１２ｃ及び左側クランクガイドピンＰ６３２２ｃが位置する。
【１６９１】
また、開放／ロック解除状態においては、被検知部Ｐ６２４８の第１の被検知部Ｐ６２４８ａ、第２の被検知部Ｐ６２４８ｂ及び第３の被検知部Ｐ６２４８ｃのそれぞれが、スライドセンサＰ６２５０の第１のスライドセンサＰ６２５１、第２のスライドセンサＰ６２５２及び第３のスライドセンサＰ６２５３によって検知不能な位置に位置する。
【１６９２】
制御手段は、スライドセンサＰ６２５０による被検知部Ｐ６２４８の検知に関する情報を基に、スライドラックＰ６２４０の位置を判断することができる。
【１６９３】
図３８４、図３８７、図３９８から図４００までに示す弾丸制御手段Ｐ６４００は、弾丸役物Ｐ６５００を、図３８６から図３８８までに示す待機位置と、図３９２及び図３９３に示すように待機位置から前方に移動した演出位置と、に移動させる動作を制御するものである。なお、弾丸役物Ｐ６５００の詳細な説明については後述する。弾丸制御手段Ｐ６４００は、演出装置制御回路３３８（制御手段）からの制御信号に応じて、弾丸役物Ｐ６５００を移動制御する。弾丸制御手段Ｐ６４００は、第２のモータＰ６４１０、駆動伝達ギヤＰ６４２０、ガイドギヤＰ６４３０、回動センサＰ６４４０及び前後センサＰ６４５０を具備する。
【１６９４】
図３８４に示す第２のモータＰ６４１０は、弾丸役物Ｐ６５００を動作させるための駆動源である。第２のモータＰ６４１０は、第２のベース部Ｐ６１２０（図３８４では図示省略）の右側部分に設けられる。第２のモータＰ６４１０は、出力軸が、第２のベース部Ｐ６１２０を前後に貫通して前方へと突出するように設けられる。
【１６９５】
駆動伝達ギヤＰ６４２０は、第２のモータＰ６４１０の駆動力を取り出すと共に、当該駆動力を、後述するガイドギヤＰ６４３０へと伝達するものである。駆動伝達ギヤＰ６４２０は、出力ギヤＰ６４２１、第１のギヤＰ６４２２、第２のギヤＰ６４２３及び第３のギヤＰ６４２４を具備する。
【１６９６】
出力ギヤＰ６４２１は、第２のモータＰ６４１０の駆動力を取り出すものである。出力ギヤＰ６４２１は、第２のモータＰ６４１０の出力軸の前端部に固定される。
【１６９７】
第１のギヤＰ６４２２は、出力ギヤＰ６４２１の略左方に配置され、出力ギヤＰ６４２１と歯合する。第１のギヤＰ６４２２は、第１のベース部Ｐ６１１０の後面において、前後方向に向く軸心回りに回転自在に軸支される。
【１６９８】
第２のギヤＰ６４２３は、第１のギヤＰ６４２２の略左上方に配置され、第１のギヤＰ６４２２と歯合する。第２のギヤＰ６４２３は、第１のベース部Ｐ６１１０の後面において、前後方向に向く軸心回りに回転自在に軸支される。
【１６９９】
第３のギヤＰ６４２４は、第２のギヤＰ６４２３の略左下方に配置され、第２のギヤＰ６４２３と歯合する。第３のギヤＰ６４２４は、第１のベース部Ｐ６１１０の後面において、前後方向に向く軸心回りに回転自在に軸支される。
【１７００】
図３８４、図３８７、図３９８から図４００までに示すガイドギヤＰ６４３０は、駆動伝達ギヤＰ６４２０を介して伝達された駆動力を、弾丸役物Ｐ６５００に伝達するものである。ガイドギヤＰ６４３０は、第１のベース部Ｐ６１１０の軸受開口部Ｐ６１１１に、前後方向に向く軸心回りに回転自在に軸支される。ガイドギヤＰ６４３０は、略円筒形状とされる。ガイドギヤＰ６４３０は、開口方向を前後方向に向けて配置される。ガイドギヤＰ６４３０の後方には、第２のベース部Ｐ６１２０のカバー部Ｐ６１２１が互いに摺動可能に設けられる（図３８７参照）。ガイドギヤＰ６４３０は、嵌合部Ｐ６４３１、ギヤ部Ｐ６４３２、突起部Ｐ６４３３及び被検知部Ｐ６４３４を具備する。
【１７０１】
図３９８から図４００までに示す嵌合部Ｐ６４３１は、第１のベース部Ｐ６１１０の軸受開口部Ｐ６１１１に、前後方向に向く軸心回りに回転自在に嵌合されるものである（図３８７参照）。嵌合部Ｐ６４３１は、ガイドギヤＰ６４３０の前側部分を構成する。
【１７０２】
ギヤ部Ｐ６４３２は、第３のギヤＰ６４２４と歯合するものである。ギヤ部Ｐ６４３２は、ガイドギヤＰ６４３０の後側部分の外面に設けられる。
【１７０３】
突起部Ｐ６４３３は、ガイドギヤＰ６４３０の内面において突出するものである。突起部Ｐ６４３３は、ガイドギヤＰ６４３０の内面において一対設けられる。突起部Ｐ６４３３は、嵌合部Ｐ６４３１の内面に設けられる。
【１７０４】
被検知部Ｐ６４３４は、後述する回動センサＰ６４４０に検知されるものである。被検知部Ｐ６４３４は、ガイドギヤＰ６４３０の外面において突出する。被検知部Ｐ６４３４は、厚さ方向を前後方向に向けた板形状とされている。被検知部Ｐ６４３４は、ガイドギヤＰ６４３０の後側部分の外面に設けられる。
【１７０５】
図３８４に示す回動センサＰ６４４０は、被検知部Ｐ６４３４を検知するものである。回動センサＰ６４４０は、第１のベース部Ｐ６１１０の後面において、ガイドギヤＰ６４３０の左側に配置される。回動センサＰ６４４０は、弾丸役物Ｐ６５００が後述するロック可能位置に位置する状態で、被検知部Ｐ６４３４を検知可能に配置される。回動センサＰ６４４０は、例えばフォトセンサ等、被検知部Ｐ６４３４を検知可能な種々のセンサを採用可能である。
【１７０６】
図３８３に示す前後センサＰ６４５０は、後述する弾丸役物Ｐ６５００の外側スパイラル部材Ｐ６５１０の位置を検知可能なものである。前後センサＰ６４５０は、後方への押圧を検知するレバー部（不図示）を有する。後述するように、弾丸役物Ｐ６５００が後方へ移動すれば、当該レバー部が当該弾丸役物Ｐ６５００（押圧部Ｐ６５１３ａ）に押圧され、前後センサＰ６４５０は、弾丸役物Ｐ６５００が所定の前後位置（後述する待機位置）にあることを検知することができる。前後センサＰ６４５０は、第２のベース部Ｐ６１２０のカバー部Ｐ６１２１の後面において、ホルダー部Ｐ６１２２の右方に設けられる。
【１７０７】
図３８７、図３９４から図４０２までに示す弾丸役物Ｐ６５００は、弾丸制御手段Ｐ６４００による移動制御により、待機位置と演出位置とに移動可能なものである。弾丸役物Ｐ６５００は、前後方向に長尺な形状とされている。弾丸役物Ｐ６５００は、前後方向に移動する直進動作（前後動作）と、前後方向に向く軸心回りに回転する回転動作（回動動作）と、が可能とされている。弾丸役物Ｐ６５００は、外側スパイラル部材Ｐ６５１０、内側スパイラル部材Ｐ６５２０、規制部Ｐ６５３０及び発光部Ｐ６５４０を具備する。
【１７０８】
図３９８、図３９９、図４０１及び図４０２に示す外側スパイラル部材Ｐ６５１０は、弾丸役物Ｐ６５００の外側部分を構成するものである。外側スパイラル部材Ｐ６５１０は、前後方向に長尺な形状とされている。外側スパイラル部材Ｐ６５１０は、中空形状とされている。外側スパイラル部材Ｐ６５１０は、外側胴部Ｐ６５１１、突起部Ｐ６５１２、後部Ｐ６５１３、弾丸部Ｐ６５１４及び第１のばねＰ６５１５を具備する。
【１７０９】
外側胴部Ｐ６５１１は、弾丸役物Ｐ６５００の胴体部分を構成するものである。外側胴部Ｐ６５１１は、前後方向に開口する略円筒形状とされている。外側胴部Ｐ６５１１は、ガイドギヤＰ６４３０の内側に配置される。外側胴部Ｐ６５１１は、外側螺旋溝部Ｐ６５１１ａ及び前後溝部Ｐ６５１１ｂを具備する。
【１７１０】
図３９９（ａ）、図４０１及び図４０２に示す外側螺旋溝部Ｐ６５１１ａは、外側胴部Ｐ６５１１の外面に形成される螺旋状（スパイラル状）の溝である。外側螺旋溝部Ｐ６５１１ａは、外側胴部Ｐ６５１１の外面において、前後方向の略全体に亘って形成される。本実施形態では、外側螺旋溝部Ｐ６５１１ａを平行する２本の螺旋状の溝（二重螺旋状の溝）としている。また、本実施形態では、外側螺旋溝部Ｐ６５１１ａを、外側胴部Ｐ６５１１の外面を概ね１周する長さとしている。外側螺旋溝部Ｐ６５１１ａの長さ等の形状は、弾丸役物Ｐ６５００の動作に応じて適宜設定される。外側螺旋溝部Ｐ６５１１ａは、図３９９（ａ）に示すように、ガイドギヤＰ６４３０の一対の突起部Ｐ６４３３が係合される。
【１７１１】
図４０１及び図４０２に示す前後溝部Ｐ６５１１ｂは、外側胴部Ｐ６５１１の外面に形成される直線状の溝である。前後溝部Ｐ６５１１ｂは、外側胴部Ｐ６５１１の外面において、当該外側胴部Ｐ６５１１の前端部から、前後方向途中部分に亘って形成される。前後溝部Ｐ６５１１ｂは、外側胴部Ｐ６５１１の外面において、一対設けられる。前後溝部Ｐ６５１１ｂは、当接面Ｐ６５１１ｃを有する。
【１７１２】
当接面Ｐ６５１１ｃは、前後溝部Ｐ６５１１ｂにおいて前方を向く面である。当接面Ｐ６５１１ｃは、前後溝部Ｐ６５１１ｂの後端部（終端部）を構成する。
【１７１３】
図３９９（ｂ）及び図４０２に示す突起部Ｐ６５１２は、外側胴部Ｐ６５１１の内面において突出するものである。突起部Ｐ６５１２は、外側胴部Ｐ６５１１の内面において一対設けられる。突起部Ｐ６５１２は、外側胴部Ｐ６５１１の内面における後側部分に設けられる。
【１７１４】
図４０１に示す後部Ｐ６５１３は、弾丸役物Ｐ６５００の後側部分を構成するものである。後部Ｐ６５１３は、前後方向に開口する環状とされている。後部Ｐ６５１３は、外側胴部Ｐ６５１１の後端部に固定される。後部Ｐ６５１３は、押圧部Ｐ６５１３ａを具備する。
【１７１５】
押圧部Ｐ６５１３ａは、前後センサＰ６４５０のレバー部を押圧するものである。押圧部Ｐ６５１３ａは、後方に向けて開口する凹形状とされている。押圧部Ｐ６５１３ａは、後部Ｐ６５１３の右側部分に位置する。押圧部Ｐ６５１３ａは、弾丸役物Ｐ６５００が待機位置に位置する状態で前後センサＰ６４５０のレバー部を押圧する。
【１７１６】
弾丸部Ｐ６５１４は、弾丸役物Ｐ６５００の前側部分を構成するものである。弾丸部Ｐ６５１４は、光を透過可能な透過性部材によって形成されている。弾丸部Ｐ６５１４は、弾丸本体部Ｐ６５１４ａ及び鍔部Ｐ６５１４ｂを具備する。
【１７１７】
弾丸本体部Ｐ６５１４ａは、弾丸部Ｐ６５１４の大部分を構成するものである。弾丸本体部Ｐ６５１４ａは、弾丸（弾頭）を模した形状とされている。具体的には、弾丸本体部Ｐ６５１４ａは、後側部分が略円柱形状とされ、前側部分が前方へ向かうに従い尖った形状とされる。
【１７１８】
鍔部Ｐ６５１４ｂは、弾丸部Ｐ６５１４の後側部分を構成するものである。鍔部Ｐ６５１４ｂは、弾丸本体部Ｐ６５１４ａの後側部分よりも拡径した略円盤形状とされる。鍔部Ｐ６５１４ｂの外径は、外側胴部Ｐ６５１１の外径よりも大きい。鍔部Ｐ６５１４ｂは、外側胴部Ｐ６５１１の先端部に設けられる。
【１７１９】
第１のばねＰ６５１５は、外側胴部Ｐ６５１１に嵌装されるばねである。第１のばねＰ６５１５は、圧縮コイルばねを構成する。第１のばねＰ６５１５の一端部（前端部）は、鍔部Ｐ６５１４ｂに当接する。
【１７２０】
図３９９（ｂ）、図４０１及び図４０２に示す内側スパイラル部材Ｐ６５２０は、外側スパイラル部材Ｐ６５１０の内部に収容可能なものである。内側スパイラル部材Ｐ６５２０は、略円柱形状とされる。内側スパイラル部材Ｐ６５２０は、中空形状とされている。内側スパイラル部材Ｐ６５２０の外径は、外側スパイラル部材Ｐ６５１０の外側胴部Ｐ６５１１の内径よりも小さい。内側スパイラル部材Ｐ６５２０は、内側螺旋溝部Ｐ６５２１を具備する。
【１７２１】
内側螺旋溝部Ｐ６５２１は、内側スパイラル部材Ｐ６５２０の外面に形成される螺旋状（スパイラル状）の溝である。内側螺旋溝部Ｐ６５２１は、内側スパイラル部材Ｐ６５２０の外面において、前後方向の略全体に亘って形成される。内側螺旋溝部Ｐ６５２１は、外側螺旋溝部Ｐ６５１１ａとは逆方向の螺旋とされる。本実施形態では、内側螺旋溝部Ｐ６５２１を平行する２本の螺旋状の溝（二重螺旋状の溝）としている。本実施形態では、内側螺旋溝部Ｐ６５２１を、内側スパイラル部材Ｐ６５２０の外面を概ね１周する長さとしている。内側螺旋溝部Ｐ６５２１の長さ等の形状は、弾丸役物Ｐ６５００の動作に応じて適宜設定される。内側螺旋溝部Ｐ６５２１は、図３９９（ｂ）に示すように、外側胴部Ｐ６５１１の一対の突起部Ｐ６５１２が係合される。
【１７２２】
図３８５から図３８７まで、図４０１に示す規制部Ｐ６５３０は、第２のベース部Ｐ６１２０のホルダー部Ｐ６１２２に対して、弾丸役物Ｐ６５００（内側スパイラル部材Ｐ６５２０）を回転自在に軸支すると共に、弾丸役物Ｐ６５００（内側スパイラル部材Ｐ６５２０）の回転動作を規制可能なものである。規制部Ｐ６５３０は、厚さ方向を前後方向に向けた略板形状とされている。規制部Ｐ６５３０は、正面視において、円形の上部及び下部を切り欠いた形状とされる。規制部Ｐ６５３０は、内側スパイラル部材Ｐ６５２０の後端部に固定される。規制部Ｐ６５３０は、軸部Ｐ６５３１、規制片部Ｐ６５３２及び開口部Ｐ６５３３を具備する。
【１７２３】
軸部Ｐ６５３１は、第２のベース部Ｐ６１２０のホルダー部Ｐ６１２２に軸支される部分である（図３８７参照）。軸部Ｐ６５３１は、軸心を前後方向に向けた略円柱形状とされる。軸部Ｐ６５３１は、ホルダー部Ｐ６１２２の底部Ｐ６１２２ａの軸受部Ｐ６１２２ｂに、前後方向に向く軸心回りに回転自在に軸支される。これにより、内側スパイラル部材Ｐ６５２０は、規制部Ｐ６５３０の軸部Ｐ６５３１を介して、第２のベース部Ｐ６１２０のホルダー部Ｐ６１２２に回転自在に軸支される。
【１７２４】
規制片部Ｐ６５３２は、弾丸役物Ｐ６５００の回転動作を規制可能な部分である。規制片部Ｐ６５３２は、規制部Ｐ６５３０の上端部及び下端部を構成する。規制片部Ｐ６５３２は、平坦面状とされている。図３８６及び図３８７に示すように、規制片部Ｐ６５３２は、ホルダー部Ｐ６１２２の側部Ｐ６１２２ｃの開口部Ｐ６１２２ｄを介して露出する。すなわち、規制片部Ｐ６５３２は、平面視（底面視）において、開口部Ｐ６１２２ｄと重複する。規制片部Ｐ６５３２が、一対のロック部Ｐ６２４７に当接することで、規制部Ｐ６５３０（内側スパイラル部材Ｐ６５２０）の回転が規制される。
【１７２５】
図４０１に示す開口部Ｐ６５３３は、規制部Ｐ６５３０を前後方向に貫通するものである。図例では、開口部Ｐ６５３３を上下に長尺な形状としている。
【１７２６】
図４０１に示す発光部Ｐ６５４０は、弾丸部Ｐ６５１４を発光させるものである。発光部Ｐ６５４０は、第２のベース部Ｐ６１２０のホルダー部Ｐ６１２２の底部Ｐ６１２２ａに設けられる。発光部Ｐ６５４０は、制御手段からの制御信号に応じて発光する。発光部Ｐ６５４０は、基板Ｐ６５４１及びインナーレンズＰ６５４２を具備する。
【１７２７】
基板Ｐ６５４１は、適宜の発光手段が実装されるものである。
【１７２８】
インナーレンズＰ６５４２は、発光手段の光を前方に導光するものである。図例では、インナーレンズＰ６５４２を、上下方向及び左右方向中央部が前方に突出する形状としている。インナーレンズＰ６５４２は、上記前方に突出する部分が、規制部Ｐ６５３０の開口部Ｐ６５３３に挿通される。
【１７２９】
図３９４から図３９８まで、図４００に示す装飾役物Ｐ６６００は、弾丸役物Ｐ６５００の動作に伴い、移動可能なものである。装飾役物Ｐ６６００は、前後方向に２層の積層構造（独立した２部材（後述する第１の装飾役物Ｐ６６１０及び第２の装飾役物Ｐ６６２０）が、前後方向に視て少なくとも一部が互いに重複するように配置される構造）とされている。装飾役物Ｐ６６００は、第１の装飾役物Ｐ６６１０及び第２の装飾役物Ｐ６６２０を具備する。
【１７３０】
第１の装飾役物Ｐ６６１０は、装飾役物Ｐ６６００の前方側の層（１層目）を構成するものである。第１の装飾役物Ｐ６６１０は、外側スパイラル部材Ｐ６５１０の外側胴部Ｐ６５１１に嵌装される。第１の装飾役物Ｐ６６１０は、弾丸役物Ｐ６５００の動作に伴い、前後動作及び回転動作が可能とされる。第１の装飾役物Ｐ６６１０は、第１の装飾ベース部Ｐ６６１１及び第１の装飾部Ｐ６６１２を具備する。
【１７３１】
図３９８及び図４００（ｃ）に示す第１の装飾ベース部Ｐ６６１１は、外側スパイラル部材Ｐ６５１０の外側胴部Ｐ６５１１に嵌装される。第１の装飾ベース部Ｐ６６１１は、厚さ方向を前後方向に向けた略板形状とされている。第１の装飾ベース部Ｐ６６１１は、正面視において略円形状とされている。第１の装飾ベース部Ｐ６６１１は、開口部Ｐ６６１１ａ、突起部Ｐ６６１１ｂ、ばね受け部Ｐ６６１１ｃ、シャフト部Ｐ６６１１ｄ及び第２のばねＰ６６１１ｆを具備する。
【１７３２】
開口部Ｐ６６１１ａは、第１の装飾ベース部Ｐ６６１１を前後方向に貫通するものである。開口部Ｐ６６１１ａの内径は、外側スパイラル部材Ｐ６５１０の外側胴部Ｐ６５１１の外径よりも大きい。また、開口部Ｐ６６１１ａの内径は、弾丸部Ｐ６５１４の鍔部Ｐ６５１４ｂの外径よりも小さい。開口部Ｐ６６１１ａは、外側胴部Ｐ６５１１が挿通される。
【１７３３】
突起部Ｐ６６１１ｂは、開口部Ｐ６６１１ａの内面において突出するものである。突起部Ｐ６６１１ｂは、開口部Ｐ６６１１ａの内面において一対設けられる。突起部Ｐ６６１１ｂは、外側スパイラル部材Ｐ６５１０（外側胴部Ｐ６５１１）の前後溝部Ｐ６５１１ｂに、当該前後溝部Ｐ６５１１ｂ内を前後方向に相対的に移動可能に係合される（図４０３参照）。また、突起部Ｐ６６１１ｂは、前後溝部Ｐ６５１１ｂに、外側スパイラル部材Ｐ６５１０の周方向に相対的に移動不能に係合される。
【１７３４】
ばね受け部Ｐ６６１１ｃは、第１のばねＰ６５１５を受けるものである。ばね受け部Ｐ６６１１ｃは、第１の装飾ベース部Ｐ６６１１の前面において、後方に凹んだ形状とされる。ばね受け部Ｐ６６１１ｃは、開口部Ｐ６６１１ａの周囲に設けられる。ばね受け部Ｐ６６１１ｃは、第１のばねＰ６５１５の他端部（後端部）が当接する。
【１７３５】
シャフト部Ｐ６６１１ｄは、第１の装飾ベース部Ｐ６６１１の後方に突出するものである。シャフト部Ｐ６６１１ｄは、軸心を前後方向に向けた略円柱形状とされる。シャフト部Ｐ６６１１ｄは、第１の装飾ベース部Ｐ６６１１の外側部分において、周方向に互いに間隔を空けて複数（本実施形態においては３つ）設けられる。シャフト部Ｐ６６１１ｄの後端部には、他の部分よりも拡径する拡径部Ｐ６６１１ｅが設けられている。
【１７３６】
第２のばねＰ６６１１ｆは、シャフト部Ｐ６６１１ｄに嵌装されるばねである。第２のばねＰ６６１１ｆは、圧縮コイルばねを構成する。第２のばねＰ６６１１ｆの一端部（前端部）は、第１の装飾ベース部Ｐ６６１１の後面に当接する。
【１７３７】
図３９４及び図３９６に示す第１の装飾部Ｐ６６１２は、第１の装飾役物Ｐ６６１０における装飾を構成するものである。第１の装飾部Ｐ６６１２は、弾丸部Ｐ６５１４を中心とした渦（螺旋）を模した形状とされる。第１の装飾部Ｐ６６１２は、第１の装飾ベース部Ｐ６６１１の前面に設けられる。第１の装飾部Ｐ６６１２は、第１の装飾ベース部Ｐ６６１１の外側部分において、周方向に互いに間隔を空けて複数設けられる。
【１７３８】
第２の装飾役物Ｐ６６２０は、装飾役物Ｐ６６００の後方側の層（２層目）を構成するものである。第２の装飾役物Ｐ６６２０は、外側スパイラル部材Ｐ６５１０の外側胴部Ｐ６５１１に嵌装される。第２の装飾役物Ｐ６６２０は、第１の装飾役物Ｐ６６１０の後方に配置される。第２の装飾役物Ｐ６６２０は、正面視において、少なくとも一部が第１の装飾役物Ｐ６６１０と重複するように配置される。第２の装飾役物Ｐ６６２０は、第１の装飾役物Ｐ６６１０の動作に伴い、前後動作及び回転動作が可能とされる。第２の装飾役物Ｐ６６２０は、第２の装飾ベース部Ｐ６６２１及び第２の装飾部Ｐ６６２２を具備する。
【１７３９】
図３９８及び図４００（ｄ）に示す第２の装飾ベース部Ｐ６６２１は、外側スパイラル部材Ｐ６５１０の外側胴部Ｐ６５１１に対して支持されると共に、第１の装飾ベース部Ｐ６６１１と連結されるものである。第２の装飾ベース部Ｐ６６２１は、厚さ方向を前後方向に向けた略板形状とされている。第２の装飾ベース部Ｐ６６２１は、正面視において略円形状とされている。第２の装飾ベース部Ｐ６６２１の外径は、第１の装飾ベース部Ｐ６６１１の外径よりも大きい。第２の装飾ベース部Ｐ６６２１は、開口部Ｐ６６２１ａ及びシャフト受け部Ｐ６６２１ｂを具備する。
【１７４０】
開口部Ｐ６６２１ａは、第２の装飾ベース部Ｐ６６２１を前後方向に貫通するものである。開口部Ｐ６６２１ａの内径は、外側スパイラル部材Ｐ６５１０の外側胴部Ｐ６５１１の外径よりも大きい。開口部Ｐ６６２１ａは、外側胴部Ｐ６５１１が挿通される。
【１７４１】
シャフト受け部Ｐ６６２１ｂは、第２の装飾ベース部Ｐ６６２１を前後方向に貫通するものである。シャフト受け部Ｐ６６２１ｂは、シャフト部Ｐ６６１１ｄ（拡径部Ｐ６６１１ｅを除く部分）が挿通される。シャフト受け部Ｐ６６２１ｂは、シャフト部Ｐ６６１１ｄに応じた数（本実施形態においては３つ）設けられる。シャフト受け部Ｐ６６２１ｂの内径は、拡径部Ｐ６６１１ｅの外径よりも小さい。
【１７４２】
図４０３に示すように、第２の装飾ベース部Ｐ６６２１は、シャフト部Ｐ６６１１ｄを介して第１の装飾ベース部Ｐ６６１１と連結される。第２の装飾ベース部Ｐ６６２１の前面におけるシャフト受け部Ｐ６６２１ｂの周囲の部分は、第２のばねＰ６６１１ｆの他端部（後端部）が当接する。また、第２の装飾ベース部Ｐ６６２１の後面におけるシャフト受け部Ｐ６６２１ｂの周囲の部分は、拡径部Ｐ６６１１ｅに当接可能とされる。
【１７４３】
図３９４及び図３９６に示す第２の装飾部Ｐ６６２２は、第２の装飾役物Ｐ６６２０における装飾を構成するものである。第２の装飾部Ｐ６６２２は、弾丸部Ｐ６５１４を中心とした渦（螺旋）を模した形状とされる。第２の装飾部Ｐ６６２２は、第２の装飾ベース部Ｐ６６２１の前面に設けられる。第２の装飾部Ｐ６６２２は、第２の装飾ベース部Ｐ６６２１の外側部分において、周方向に互いに間隔を空けて複数設けられる。
【１７４４】
図３８２に示す固定装飾部Ｐ６７００は、ベース部Ｐ６１００の前面に固定される装飾である。固定装飾部Ｐ６７００は、弾丸部Ｐ６５１４を中心とした渦（螺旋）を模した形状とされる。固定装飾部Ｐ６７００は、正面視において、第２の装飾部Ｐ６６２２の外側に配置される。固定装飾部Ｐ６７００は、互いに間隔を空けて複数設けられる。
【１７４５】
以下では、上述の如き弾丸役物Ｐ６５００及び装飾役物Ｐ６６００の待機位置及び演出位置での状態について説明する。
【１７４６】
待機位置は、図３８１から図３８３、図３８６、図３８７、図３９４及び図３９５までに示すように、弾丸役物Ｐ６５００及び装飾役物Ｐ６６００の前後方向に移動可能な範囲のうちの最も後方側の位置である。待機位置では、弾丸役物Ｐ６５００及び装飾役物Ｐ６６００は、右側ロゴ役物Ｐ６３１０（右側役物本体Ｐ６３１１）及び左側ロゴ役物Ｐ６３２０（左側役物本体Ｐ６３２１）よりも後方に位置する。待機位置においては、弾丸役物Ｐ６５００の弾丸部Ｐ６５１４、第１の装飾役物Ｐ６６１０及び第２の装飾役物Ｐ６６２０が、互いに近接した状態となる。
【１７４７】
待機位置においては、開閉役物Ｐ６３００が閉鎖位置とされれば、正面視において、弾丸役物Ｐ６５００及び装飾役物Ｐ６６００が開閉役物Ｐ６３００に覆われて、遊技者から視認し難くなる。
【１７４８】
なお、以下では、待機位置における弾丸役物Ｐ６５００の位置を弾丸役物待機位置、待機位置における第１の装飾役物Ｐ６６１０の位置を第１の装飾役物待機位置、待機位置における第２の装飾役物Ｐ６６２０の位置を第２の装飾役物待機位置と称して説明する。
【１７４９】
図３８７、図３９４及び図４０３（ａ）に示すように、弾丸役物Ｐ６５００は、弾丸役物待機位置において、内側スパイラル部材Ｐ６５２０の略全体が、外側スパイラル部材Ｐ６５１０（外側胴部Ｐ６５１１）の内部に収容される。
【１７５０】
図３８７及び図４０３（ａ）に示すように、第１の装飾役物Ｐ６６１０は、第１のばねＰ６５１５の付勢力により後方へ押し付けられることで、第１の装飾役物待機位置に位置する。より詳細には、第１の装飾役物Ｐ６６１０は、第１のばねＰ６５１５を介して、弾丸部Ｐ６５１４の鍔部Ｐ６５１４ｂに押圧されることで、第１の装飾役物待機位置に位置する。この際、第１の装飾役物Ｐ６６１０（第１の装飾ベース部Ｐ６６１１）の後面が、第２の装飾役物Ｐ６６２０の第２の装飾ベース部Ｐ６６２１の前面に当接することで、第１の装飾役物Ｐ６６１０の後方へのさらなる移動が規制される。第１の装飾役物待機位置においては、第１のばねＰ６５１５は、ばね受け部Ｐ６６１１ｃに収容される。
【１７５１】
第２の装飾役物Ｐ６６２０は、第２のばねＰ６６１１ｆの付勢力により後方へ押し付けられることで、第２の装飾役物待機位置に位置する。より詳細には、第２の装飾役物Ｐ６６２０は、第２のばねＰ６６１１ｆを介して、第１の装飾ベース部Ｐ６６１１に押圧されることで、第２の装飾役物待機位置に位置する。この際、第２の装飾役物Ｐ６６２０の第２の装飾ベース部Ｐ６６２１の後面が、第１のベース部Ｐ６１１０の前面に当接することで、第２の装飾役物Ｐ６６２０の後方へのさらなる移動が規制される。
【１７５２】
演出位置は、図３９２、図３９３、図３９６及び図３９７に示すように、弾丸役物Ｐ６５００及び装飾役物Ｐ６６００の前後方向に移動可能な範囲のうちの最も前方側の位置である。演出位置では、弾丸役物Ｐ６５００の弾丸部Ｐ６５１４は、右側ロゴ役物Ｐ６３１０（右側役物本体Ｐ６３１１）及び左側ロゴ役物Ｐ６３２０（左側役物本体Ｐ６３２１）よりも前方に位置する。また、演出位置においては、弾丸役物Ｐ６５００の弾丸部Ｐ６５１４、第１の装飾役物Ｐ６６１０及び第２の装飾役物Ｐ６６２０が、互いに離間した状態となる。
【１７５３】
演出位置においては、弾丸役物Ｐ６５００及び装飾役物Ｐ６６００が前方へ移動することで、遊技者に視覚的な印象（インパクト）を与えることができる。
【１７５４】
なお、本実施形態では、図３８６に示す待機位置では、第１の装飾役物Ｐ６６１０（第１の装飾部Ｐ６６１２）の前端部及び第２の装飾役物Ｐ６６２０（第２の装飾部Ｐ６６２２）の前端部は、概ね前後位置が一致する。また、待機位置では、第１の装飾役物Ｐ６６１０の前端部及び第２の装飾役物Ｐ６６２０の前端部は、固定装飾部Ｐ６７００の前端部よりも後方に位置する。また、図３９２に示す演出位置では、第１の装飾役物Ｐ６６１０の前端部は、第２の装飾役物Ｐ６６２０の前端部よりも前方に位置し、第２の装飾役物Ｐ６６２０の前端部は、固定装飾部Ｐ６７００の前端部よりも前方に位置する。これにより、第１の装飾役物Ｐ６６１０及び第２の装飾役物Ｐ６６２０が前方に大きく飛び出すような印象を遊技者に与えることができ、遊技の興趣を向上させることができる。
【１７５５】
以下では、演出位置における弾丸役物Ｐ６５００の位置を弾丸役物演出位置、演出位置における第１の装飾役物Ｐ６６１０の位置を第１の装飾役物演出位置、演出位置における第２の装飾役物Ｐ６６２０の位置を第２の装飾役物演出位置と称して説明する。
【１７５６】
弾丸役物Ｐ６５００は、図３９３及び図４０４（ｂ）に示すように、弾丸役物演出位置において、内側スパイラル部材Ｐ６５２０の前側部分を除く部分が、外側スパイラル部材Ｐ６５１０（外側胴部Ｐ６５１１）の外部に位置する。
【１７５７】
図４０４（ｂ）に示すように、第１の装飾役物Ｐ６６１０は、内側スパイラル部材Ｐ６５２０に対して前方に移動すると共に、第１のばねＰ６５１５の付勢力により後方へ押し付けられることで、第１の装飾役物演出位置に位置する。より詳細には、第１の装飾役物Ｐ６６１０は、第１のばねＰ６５１５を介して、弾丸部Ｐ６５１４の鍔部Ｐ６５１４ｂに押圧されることで、第１の装飾役物演出位置に位置する。この際、第１の装飾役物Ｐ６６１０（第１の装飾ベース部Ｐ６６１１）の突起部Ｐ６６１１ｂが、外側スパイラル部材Ｐ６５１０（外側胴部Ｐ６５１１）の前後溝部Ｐ６５１１ｂの当接面Ｐ６５１１ｃに当接することで、第１の装飾役物Ｐ６６１０の後方へのさらなる移動が規制される。
【１７５８】
第２の装飾役物Ｐ６６２０は、内側スパイラル部材Ｐ６５２０に対して前方に移動すると共に、第２のばねＰ６６１１ｆの付勢力により後方へ押し付けられることで、第２の装飾役物演出位置に位置する。より詳細には、第２の装飾役物Ｐ６６２０は、第２のばねＰ６６１１ｆを介して、第１の装飾ベース部Ｐ６６１１に押圧されることで、第２の装飾役物演出位置に位置する。この際、第２の装飾役物Ｐ６６２０の第２の装飾ベース部Ｐ６６２１の後面が、第１の装飾役物Ｐ６６１０のシャフト部Ｐ６６１１ｄの拡径部Ｐ６６１１ｅに当接することで、第２の装飾役物Ｐ６６２０の後方へのさらなる移動が規制される。
【１７５９】
以下では、上述の如く構成された演出装置Ｐ６０００の動作について説明する。すなわち、開閉制御手段Ｐ６２００の動作制御による開閉役物Ｐ６３００の動作と、弾丸制御手段Ｐ６４００の動作制御による弾丸役物Ｐ６５００及び装飾役物Ｐ６６００の動作と、について説明する。
【１７６０】
まず、閉鎖位置の開閉役物Ｐ６３００を開放位置とすると共に、待機位置の弾丸役物Ｐ６５００及び装飾役物Ｐ６６００を演出位置に移動する動作を説明する。
【１７６１】
閉鎖状態では、図３８５に示すように、弾丸役物Ｐ６５００の規制部Ｐ６５３０は、一対のロック部Ｐ６２４７の間に位置する。この状態では、一対のロック部Ｐ６２４７に規制片部Ｐ６５３２が当接することで、規制部Ｐ６５３０の回転が規制される。これにより、内側スパイラル部材Ｐ６５２０の回転が規制される。
【１７６２】
第１のモータＰ６２１０を駆動させれば、図３８５に示す出力ギヤＰ６２２０が回転する。これにより、出力ギヤＰ６２２０に歯合するラック歯部Ｐ６２４１を介して第１のモータＰ６２１０の駆動力が伝達され、スライドラックＰ６２４０が右方に移動する。上記第１のモータＰ６２１０の駆動は、制御手段の制御信号に応じて行われる。
【１７６３】
スライドラックＰ６２４０が右方に移動する際には、右側ロゴ役物Ｐ６３１０の右側クランクガイドピンＰ６３１２ｃ及び左側ロゴ役物Ｐ６３２０の左側クランクガイドピンＰ６３２２ｃが、スライドラックＰ６２４０の右側クランクガイド孔Ｐ６２４４及び左側クランクガイド孔Ｐ６２４５に沿ってガイドされる。
【１７６４】
この際には、図３８５及び図３９０に示すように、右側クランクガイドピンＰ６３１２ｃ及び左側クランクガイドピンＰ６３２２ｃは、右側クランクガイド孔Ｐ６２４４及び左側クランクガイド孔Ｐ６２４５の傾斜部分（斜め左下方に延びる部分）にガイドされて、下方に移動する。これに伴い、右側ロゴ役物Ｐ６３１０及び左側ロゴ役物Ｐ６３２０は、メインシャフトＰ６３１２ａ及びメインシャフトＰ６３２２ａの軸心回りに、正面視反時計回りに回動する。
【１７６５】
制御手段は、スライドラックＰ６２４０の右方への移動により、スライドラックＰ６２４０が図３９０に示す開放／ロック状態となれば、第１のモータＰ６２１０の駆動を停止する。この状態では、右側ロゴ役物Ｐ６３１０及び左側ロゴ役物Ｐ６３２０は、開放位置となり、弾丸役物Ｐ６５００の前後動作が可能となる。
【１７６６】
開放／ロック状態では、弾丸役物Ｐ６５００の規制部Ｐ６５３０の一部分（右端部）は、一対のロック部Ｐ６２４７の間に位置する。この状態では、閉鎖位置の場合と同様、規制部Ｐ６５３０（内側スパイラル部材Ｐ６５２０）の回転が規制される。
【１７６７】
第２のモータＰ６４１０を駆動させれば、図３８４に示す出力ギヤＰ６４２１が回転する。出力ギヤＰ６４２１の回転は、第１のギヤＰ６４２２、第２のギヤＰ６４２３及び第３のギヤＰ６４２４を介して、ガイドギヤＰ６４３０に伝達される。上記第２のモータＰ６４１０の駆動は、制御手段の制御信号に応じて行われる。
【１７６８】
ここで、図３９９（ａ）に示すように、ガイドギヤＰ６４３０の突起部Ｐ６４３３は、外側スパイラル部材Ｐ６５１０の外側螺旋溝部Ｐ６５１１ａに係合している。ガイドギヤＰ６４３０の回転は、突起部Ｐ６４３３が外側螺旋溝部Ｐ６５１１ａを相対的に移動することにより、外側スパイラル部材Ｐ６５１０の直線動作に変換される。これにより、ガイドギヤＰ６４３０の回転に伴い外側スパイラル部材Ｐ６５１０が前方に移動する。
【１７６９】
ここで、スライドラックＰ６２４０が開放／ロック状態である場合は、規制部Ｐ６５３０の回転が規制される。これにより、内側スパイラル部材Ｐ６５２０の回転が規制される。すなわち、内側スパイラル部材Ｐ６５２０が固定された状態で、外側スパイラル部材Ｐ６５１０が前方に移動する。
【１７７０】
また、図３９９（ｂ）に示すように、外側スパイラル部材Ｐ６５１０の突起部Ｐ６５１２は、内側スパイラル部材Ｐ６５２０の内側螺旋溝部Ｐ６５２１に係合している。これにより、外側スパイラル部材Ｐ６５１０は、前方への移動に伴い、内側螺旋溝部Ｐ６５２１にガイドされて、前後方向を向く回転軸回りに回転動作する。
【１７７１】
ここで、図４０３（ａ）に示すように、外側スパイラル部材Ｐ６５１０の前後溝部Ｐ６５１１ｂには、第１の装飾役物Ｐ６６１０（第１の装飾ベース部Ｐ６６１１）の突起部Ｐ６６１１ｂが周方向に相対的に移動不能に係合している。上記突起部Ｐ６６１１ｂを介して、第１の装飾役物Ｐ６６１０には、外側スパイラル部材Ｐ６５１０の回転が伝達される。
【１７７２】
また、第１の装飾役物Ｐ６６１０は、シャフト部Ｐ６６１１ｄを介して第２の装飾役物Ｐ６６２０（第２の装飾ベース部Ｐ６６２１）と連結されている。上記シャフト部Ｐ６６１１ｄを介して、第２の装飾役物Ｐ６６２０に、第１の装飾役物Ｐ６６１０の回転が伝達される。
【１７７３】
以上から、第１の装飾役物Ｐ６６１０及び第２の装飾役物Ｐ６６２０は、外側スパイラル部材Ｐ６５１０の動作に応じて回転する。
【１７７４】
また、外側スパイラル部材Ｐ６５１０が前方へ移動すれば、図４０３（ｂ）に示すように、第１のばねＰ６５１５及び第２のばねＰ６６１１ｆが伸長する。第１の装飾役物Ｐ６６１０は、第２のばねＰ６６１１ｆの伸長に伴い前方へ移動する。この際、第１の装飾役物Ｐ６６１０（第１の装飾ベース部Ｐ６６１１）の突起部Ｐ６６１１ｂは、前後溝部Ｐ６５１１ｂ内を相対的に移動する。また、第１の装飾役物Ｐ６６１０が前方へ移動する際には、シャフト部Ｐ６６１１ｄは、第２の装飾役物Ｐ６６２０（第２の装飾ベース部Ｐ６６２１）のシャフト受け部Ｐ６６２１ｂ内を前方へ相対的に移動する。
【１７７５】
外側スパイラル部材Ｐ６５１０が所定距離前方に移動すれば、図４０４（ａ）に示すように、前後溝部Ｐ６５１１ｂの当接面Ｐ６５１１ｃが、突起部Ｐ６６１１ｂに当接する。また、シャフト受け部Ｐ６６２１ｂの拡径部Ｐ６６１１ｅが、第２の装飾ベース部Ｐ６６２１に当接する。
【１７７６】
この状態では、さらなる外側スパイラル部材Ｐ６５１０の前方への移動に伴い、突起部Ｐ６６１１ｂが当接面Ｐ６５１１ｃに押圧される。これにより、第１の装飾役物Ｐ６６１０に、外側スパイラル部材Ｐ６５１０の前方への動作が伝達され、第１の装飾役物Ｐ６６１０が前方へと移動する。また、この状態では、さらなる第１の装飾役物Ｐ６６１０の前方への移動に伴い、第２の装飾ベース部Ｐ６６２１が拡径部Ｐ６６１１ｅに押圧される。これにより、第２の装飾役物Ｐ６６２０に、第１の装飾役物Ｐ６６１０の前方への動作が伝達され、第２の装飾役物Ｐ６６２０が前方へと移動する。
【１７７７】
なお、上記説明では、便宜的に、第１のばねＰ６５１５及び第２のばねＰ６６１１ｆが概ね同じタイミングで伸長するような例を挙げたが、第１のばねＰ６５１５及び第２のばねＰ６６１１ｆが伸長するタイミングとしては、上記した例に限られない。上記各ばねが伸長するタイミングとしては、各ばねのばね定数等に応じて種々の態様を採用可能である。
【１７７８】
図４０４（ｂ）に示すように、外側スパイラル部材Ｐ６５１０が、突起部Ｐ６５１２が内側螺旋溝部Ｐ６５２１の前端部に位置するまで前方へ移動すれば、弾丸役物Ｐ６５００及び装飾役物Ｐ６６００は演出位置となる。この状態では、弾丸役物Ｐ６５００、第１の装飾役物Ｐ６６１０及び第２の装飾役物Ｐ６６２０は、それぞれ弾丸役物演出位置、第１の装飾役物演出位置及び第２の装飾役物演出位置に位置する。
【１７７９】
図４０５に示すように、弾丸役物Ｐ６５００の前後方向への移動距離Ｌ１は、第１の装飾役物Ｐ６６１０の前後方向への移動距離Ｌ２より大きい。また、第１の装飾役物Ｐ６６１０の前後方向への移動距離Ｌ２は、第２の装飾役物Ｐ６６２０の前後方向への移動距離Ｌ３より大きい。
【１７８０】
上記構成としたことで、演出位置において、第１の装飾役物Ｐ６６１０及び第２の装飾役物Ｐ６６２０を前後方向に互いに離間させた立体的な演出が可能なり、遊技の興趣を向上させることができる。
【１７８１】
制御手段は、弾丸役物Ｐ６５００を演出位置へ移動するように弾丸制御手段Ｐ６４００の動作を制御した後、スライドラックＰ６２４０が開放／ロック解除状態となるように、再び第１のモータＰ６２１０を駆動させる。これにより、スライドラックＰ６２４０が右方へ移動する。
【１７８２】
また、制御手段は、スライドラックＰ６２４０の右方への移動により、スライドラックＰ６２４０が開放／ロック解除状態となれば、第１のモータＰ６２１０の駆動を停止する。
【１７８３】
開放／ロック解除状態では、図３９１に示すように、弾丸役物Ｐ６５００の規制部Ｐ６５３０は、ロック部Ｐ６２４７よりも左方に位置する。この状態では、規制部Ｐ６５３０のロック部Ｐ６２４７による回転の規制が解除される。これにより、内側スパイラル部材Ｐ６５２０の回転が許容される。
【１７８４】
開放／ロック解除状態において、第２のモータＰ６４１０を駆動させれば、内側螺旋溝部Ｐ６５２１の前端部に位置する突起部Ｐ６５１２を介して、外側スパイラル部材Ｐ６５１０の回転が内側スパイラル部材Ｐ６５２０に伝達される。これにより、外側スパイラル部材Ｐ６５１０の回転に伴い内側スパイラル部材Ｐ６５２０が回転する。
【１７８５】
上記構成としたことで、演出位置において、外側スパイラル部材Ｐ６５１０、第１の装飾役物Ｐ６６１０及び第２の装飾役物Ｐ６６２０を回転させることができる。すなわち、内側スパイラル部材Ｐ６５２０の回転を規制した状態では、外側スパイラル部材Ｐ６５１０の突起部Ｐ６５１２が内側螺旋溝部Ｐ６５２１の前端部に位置する演出位置においては、外側スパイラル部材Ｐ６５１０の更なる回転が不能となる。一方、内側スパイラル部材Ｐ６５２０の回転を許容すれば、外側スパイラル部材Ｐ６５１０の回転に伴い内側スパイラル部材Ｐ６５２０が回転することで、演出位置における外側スパイラル部材Ｐ６５１０、第１の装飾役物Ｐ６６１０及び第２の装飾役物Ｐ６６２０の回転動作が可能となる。
【１７８６】
次に、演出位置の弾丸役物Ｐ６５００及び装飾役物Ｐ６６００を待機位置に移動すると共に、開放位置の開閉役物Ｐ６３００を閉鎖位置とする動作を説明する。
【１７８７】
まず、制御手段は、弾丸役物Ｐ６５００の回転位置がロック可能位置で停止するように、第２のモータＰ６４１０の駆動を停止する。ここで、ロック可能位置とは、図３８５及び図３９１に示すように、開放／ロック状態及び閉鎖状態のスライドラックＰ６２４０により、規制部Ｐ６５３０の回転が規制可能な弾丸役物Ｐ６５００の回転位置である。ロック可能位置において、規制部Ｐ６５３０の上下の規制片部Ｐ６５３２の上面及び下面は、それぞれ上方及び下方を向く。弾丸役物Ｐ６５００がロック可能位置となれば、回動センサＰ６４４０が被検知部Ｐ６４３４を検知する。これにより、制御手段は、弾丸役物Ｐ６５００がロック可能位置となったことを検知することができる。
【１７８８】
第１のモータＰ６２１０を、上述した移動制御と逆回転となるように駆動させれば、図３９１に示す出力ギヤＰ６２２０が逆回転する。これにより、スライドラックＰ６２４０が左方に移動する。
【１７８９】
制御手段は、スライドラックＰ６２４０の左方への移動により、スライドラックＰ６２４０が開放／ロック状態となれば、第１のモータＰ６２１０の駆動を停止する。
【１７９０】
開放／ロック解除状態において、第２のモータＰ６４１０を、上述した移動制御と逆回転となるように駆動させれば、ガイドギヤＰ６４３０の回転に伴い、外側スパイラル部材Ｐ６５１０が後方に移動する。
【１７９１】
ここで、開放／ロック解除状態では、図３９０に示すように、規制部Ｐ６５３０の回転が規制される。これにより、内側スパイラル部材Ｐ６５２０の回転が規制される。これにより、外側スパイラル部材Ｐ６５１０は、後方への移動に伴い、内側螺旋溝部Ｐ６５２１にガイドされて、前後方向を向く回転軸回りに回転動作する。
【１７９２】
この際、外側スパイラル部材Ｐ６５１０の回転に応じて、第１の装飾役物Ｐ６６１０及び第２の装飾役物Ｐ６６２０も回転する。
【１７９３】
外側スパイラル部材Ｐ６５１０が後方へ移動する際には、図４０６（ａ）に示すように、第１の装飾役物Ｐ６６１０は、収縮する第１のばねＰ６５１５を介して後方へ押圧される。これにより、第１の装飾役物Ｐ６６１０に、外側スパイラル部材Ｐ６５１０の後方への動作が伝達される。この際、第１の装飾役物Ｐ６６１０（第１の装飾ベース部Ｐ６６１１）の突起部Ｐ６６１１ｂは、前後溝部Ｐ６５１１ｂ内を相対的に移動する。
【１７９４】
また、外側スパイラル部材Ｐ６５１０が後方へ移動する際には、第２の装飾役物Ｐ６６２０は、収縮する第２のばねＰ６６１１ｆを介して後方へ押圧される。これにより、第２の装飾役物Ｐ６６２０に、第１の装飾役物Ｐ６６１０の後方への動作が伝達される。この際、第１の装飾役物Ｐ６６１０のシャフト部Ｐ６６１１ｄは、第２の装飾役物Ｐ６６２０（第２の装飾ベース部Ｐ６６２１）のシャフト受け部Ｐ６６２１ｂ内を後方へ相対的に移動する。
【１７９５】
なお、上記説明では、便宜的に、第１のばねＰ６５１５及び第２のばねＰ６６１１ｆが概ね同じタイミングで収縮するような例を挙げたが、第１のばねＰ６５１５及び第２のばねＰ６６１１ｆが収縮するタイミングとしては、上記した例に限られない。上記各ばねが収縮するタイミングとしては、各ばねのばね定数等に応じて種々の態様を採用可能である。
【１７９６】
外側スパイラル部材Ｐ６５１０が、突起部Ｐ６５１２が内側螺旋溝部Ｐ６５２１の後端部に位置するまで後方へ移動すれば、弾丸役物Ｐ６５００及び装飾役物Ｐ６６００は待機位置となる。この状態では、弾丸役物Ｐ６５００、第１の装飾役物Ｐ６６１０及び第２の装飾役物Ｐ６６２０は、それぞれ弾丸役物待機位置、第１の装飾役物待機位置及び第２の装飾役物待機位置に位置する。
【１７９７】
弾丸役物Ｐ６５００が待機位置となれば、前後センサＰ６４５０のレバー部が、押圧部Ｐ６５１３ａにより押圧される。これにより、制御手段は、弾丸役物Ｐ６５００が待機位置となったことを検知することができる。
【１７９８】
制御手段は、弾丸役物Ｐ６５００が待機位置となれば、第２のモータＰ６４１０の駆動を停止する。また、制御手段は、第１のモータＰ６２１０を駆動させ、スライドラックＰ６２４０を左方に移動させる。
【１７９９】
この際には、右側クランクガイドピンＰ６３１２ｃ及び左側クランクガイドピンＰ６３２２ｃは、右側クランクガイド孔Ｐ６２４４及び左側クランクガイド孔Ｐ６２４５の傾斜部分（斜め左下方に延びる部分）にガイドされて、上方に移動する。これに伴い、右側ロゴ役物Ｐ６３１０及び左側ロゴ役物Ｐ６３２０は、メインシャフトＰ６３１２ａ及びメインシャフトＰ６３２２ａの軸心回りに、正面視時計回りに回動する。
【１８００】
制御手段は、スライドラックＰ６２４０の左方への移動により、スライドラックＰ６２４０が閉鎖状態となれば、第１のモータＰ６２１０の駆動を停止する。この状態では、右側ロゴ役物Ｐ６３１０及び左側ロゴ役物Ｐ６３２０は、閉鎖位置となる。
【１８０１】
上述の如き演出装置Ｐ６０００によれば、演出態様を多彩にし、遊技の興趣を向上させることができる。すなわち、弾丸役物Ｐ６５００及び装飾役物Ｐ６６００を、直進動作及び回転動作の複数の動作態様で動作させることができる。
【１８０２】
また、本実施形態に係る弾丸制御手段Ｐ６４００は、単一のモータ（第２のモータＰ６４１０）の駆動力で、弾丸役物Ｐ６５００の直進動作及び回転動作を可能としている。これにより、機構の簡素化を図ることができる。また、弾丸役物Ｐ６５００の動作に伴って、装飾役物Ｐ６６００（第１の装飾役物Ｐ６６１０及び第２の装飾役物Ｐ６６２０）を動作させる構成としているので、更なる機構の簡素化を図ることができる。
【１８０３】
また、本実施形態に係る弾丸制御手段Ｐ６４００は、内側スパイラル部材Ｐ６５２０の回転を規制する状態（開放／ロック状態）と回転を許容する状態（開放／ロック解除状態）とに切り替え可能としている。これにより、内側スパイラル部材Ｐ６５２０の回転を規制して、外側スパイラル部材Ｐ６５１０を前後方向に移動させながら回転させる動作と、外側スパイラル部材Ｐ６５１０を前後方向に移動させずに回転させる動作と、が可能となる。
【１８０４】
以上の実施形態に基づき、本発明の概要を以下に列挙する。
【１８０５】
従来、例えばパチンコ機などの遊技機は公知となっている。例えば、特開２０１６−５９４９８号公報に記載の如くである。
【１８０６】
特開２０１６−５９４９８号公報には、回転動作を行うことで所定の可動演出を行う可動演出役物を備えた遊技機が開示されている。
【１８０７】
このような遊技機において、遊技の興趣をさらに向上させることが望まれている。
【１８０８】
本発明は、上述した課題に鑑みてなされたものであり、遊技の興趣を向上させることができる遊技機を提供することを目的とする。
【１８０９】
以上の如く、本実施形態に係る遊技機は、
第１の可動体（弾丸役物Ｐ６５００）と第２の可動体（第１の装飾役物Ｐ６６１０）とを備え、
前記第１の可動体（弾丸役物Ｐ６５００）は、第１の位置（弾丸役物待機位置）から第２の位置（弾丸役物演出位置）へ動作可能であり、
前記第２の可動体（第１の装飾役物Ｐ６６１０）は、前記第１の可動体（弾丸役物Ｐ６５００）の動作に伴い前記第１の可動体（弾丸役物Ｐ６５００）に当接されることで動作することを特徴とするものである。
【１８１０】
このような構成により、演出態様を多彩にし、遊技の興趣を向上させることができる。
【１８１１】
また、本実施形態に係る遊技機は、
前記第２の可動体（第１の装飾役物Ｐ６６１０）の動作に伴って動作する第３の可動体（第２の装飾役物Ｐ６６２０）を備え、
前記第２の可動体（第１の装飾役物Ｐ６６１０）と前記第３の可動体（第２の装飾役物Ｐ６６２０）とは動作距離が異なることを特徴とするものである。
【１８１２】
このような構成により、演出態様をより多彩にすることができる。
【１８１３】
また、前記第２の可動体（第１の装飾役物Ｐ６６１０）は、
前記第１の可動体（弾丸役物Ｐ６５００）が前記第１の位置（弾丸役物待機位置）から前記第２の位置（弾丸役物演出位置）に動作する場合は前記第１の可動体（弾丸役物Ｐ６５００）の第１の部位（当接面Ｐ６５１１ｃ）に当接することで動作し、
前記第１の可動体（弾丸役物Ｐ６５００）が前記第２の位置（弾丸役物演出位置）から前記第１の位置（弾丸役物待機位置）に動作する場合は前記第１の可動体（弾丸役物Ｐ６５００）の第２の部位（第１のばねＰ６５１５）に当接することで動作することを特徴とするものである。
【１８１４】
このような構成により、第１の可動体（弾丸役物Ｐ６５００）の動作を利用して第２の可動体（第１の装飾役物Ｐ６６１０）を動作させることができる。
【１８１５】
また、前記第１の可動体（弾丸役物Ｐ６５００）は、
前記第１の位置（弾丸役物待機位置）から前記第２の位置（弾丸役物演出位置）に動作する際に、異なる複数の動作態様（直進動作と回転動作）で動作可能であることを特徴とするものである。
【１８１６】
このような構成により、演出態様をより多彩にすることができる。
【１８１７】
また、本実施形態に係る遊技機は、
前記第２の可動体（第１の装飾役物Ｐ６６１０）の動作に伴って動作する第３の可動体（第２の装飾役物Ｐ６６２０）を備え、
前記第３の可動体（第２の装飾役物Ｐ６６２０）は、
前記第２の可動体（第１の装飾役物Ｐ６６１０）の前記第１の可動体（弾丸役物Ｐ６５００）との位置関係に応じて付勢手段（第１のばねＰ６５１５及び第２のばねＰ６６１３ｆ）の付勢力により第３の位置（第２の装飾役物待機位置）にあり、前記第１の可動体（弾丸役物Ｐ６５００）が前記第１の位置（弾丸役物待機位置）から前記第２の位置（弾丸役物演出位置）に動作するのに伴い前記第３の位置（第２の装飾役物待機位置）から第４の位置（第２の装飾役物演出位置）に動作することを特徴とするものである。
【１８１８】
このような構成により、第１の可動体（弾丸役物Ｐ６５００）の動作を利用して第３の可動体（第２の装飾役物Ｐ６６２０）を動作させることができる。
【１８１９】
また、前記第２の可動体（第１の装飾役物Ｐ６６１０）は、
前記第３の位置（第２の装飾役物待機位置）から前記第４の位置（第２の装飾役物演出位置）に動作する際に、異なる複数の動作態様（前後動作と回転動作）で動作可能であることを特徴とするものである。
【１８２０】
このような構成により、演出態様をより多彩にすることができる。
【１８２１】
また、本実施形態に係る遊技機は、
前記第２の可動体（第１の装飾役物Ｐ６６１０）の動作に伴って動作する第３の可動体（第２の装飾役物Ｐ６６２０）を備え、
前記第３の可動体（第２の装飾役物Ｐ６６２０）は、
前記第２の可動体（第１の装飾役物Ｐ６６１０）が前記第３の位置（第２の装飾役物待機位置）から前記第４の位置（第２の装飾役物演出位置）に動作する際に、異なる複数の動作態様（前後動作と回転動作）で動作可能であることを特徴とするものである。
【１８２２】
このような構成により、演出態様をより多彩にすることができる。
【１８２３】
また、本実施形態に係る遊技機は、
前記第２の可動体（第１の装飾役物Ｐ６６１０）の動作に伴って動作する第３の可動体（第２の装飾役物Ｐ６６２０）を備え、
前記第２の可動体（第１の装飾役物Ｐ６６１０）と前記第３の可動体（第２の装飾役物Ｐ６６２０）とは、積層構造となっていることを特徴とするものである。
【１８２４】
このような構成により、演出態様をより多彩にすることができる。
【１８２５】
また、前記第１の可動体（弾丸役物Ｐ６５００）は、
前記第１の位置（弾丸役物待機位置）から前記第２の位置（弾丸役物演出位置）に動作する際に、異なる複数の動作態様で動作可能であり、
前記複数の動作態様は、少なくとも直進動作を含むことを特徴とするものである。
【１８２６】
このような構成により、演出態様をより多彩にすることができる。
【１８２７】
また、前記第１の可動体（弾丸役物Ｐ６５００）は、
前記第１の位置（弾丸役物待機位置）から前記第２の位置（弾丸役物演出位置）に動作する際に、異なる複数の動作態様で動作可能であり、
前記複数の動作態様は、直進動作と回転動作であることを特徴とするものである。
【１８２８】
このような構成により、演出態様をより多彩にすることができる。
【１８２９】
また、前記第１の可動体（弾丸役物Ｐ６５００）は、前記第２の位置（弾丸役物演出位置）に位置する場合、回転動作を行うが直進動作（前後動作）は行わないことを特徴とするものである。
【１８３０】
このような構成により、演出態様をより多彩にすることができる。
【１８３１】
また、本実施形態に係る遊技機は、
前記第１の可動体（弾丸役物Ｐ６５００）の外面にはスパイラル状の第１の溝部（外側螺旋溝部Ｐ６５１１ａ）が設けられ、
前記第１の溝部（外側螺旋溝部Ｐ６５１１ａ）が、前記第１の可動体（弾丸役物Ｐ６５００）の外側に設けられたガイドギヤＰ６４３０の第１の突起部（突起部Ｐ６４３３）と当接して前記ガイドギヤＰ６４３０へ駆動手段（第２のモータＰ６４１０）からの回転駆動力が伝達されることで前記第１の可動体（弾丸役物Ｐ６５００）が直進動作することを特徴とするものである。
【１８３２】
このような構成により、駆動手段の回転駆動力を用いた多彩な演出が可能となる。
【１８３３】
また、本実施形態に係る遊技機は、
前記第１の可動体（弾丸役物Ｐ６５００）の内部に収容されると共に、外面にはスパイラル状の第２の溝部（内側螺旋溝部Ｐ６５２１）が設けられた内部スパイラル部材（内側スパイラル部材Ｐ６５２０）を備え、
前記第１の可動体（弾丸役物Ｐ６５００）の内面には第２の突起部（突起部Ｐ６５１２）が設けられ、
前記第２の突起部（突起部Ｐ６５１２）が前記第２の溝部（内側螺旋溝部Ｐ６５２１）に当接した状態での前記第１の可動体（弾丸役物Ｐ６５００）の直進動作に伴って、当該第１の可動体（弾丸役物Ｐ６５００）が回転動作することを特徴とするものである。
【１８３４】
このような構成により、駆動手段（第２のモータＰ６４１０）の回転駆動力を用いたより多彩な演出が可能となる。
【１８３５】
なお、弾丸役物Ｐ６５００は、第１の可動体の一形態である。
また、外側螺旋溝部Ｐ６５１１ａは、第１の溝部の一形態である。
また、第１のばねＰ６５１５は、付勢手段の一形態である。
また、内側スパイラル部材Ｐ６５２０は、内部スパイラル部材の一形態である。
また、内側螺旋溝部Ｐ６５２１は、第２の溝部の一形態である。
また、第１の装飾役物Ｐ６６１０は、第２の可動体の一形態である。
また、第２のばねＰ６６１３ｆは、付勢手段の一形態である。
また、第２の装飾役物Ｐ６６２０は、第３の可動体の一形態である。
【１８３６】
以上の実施形態に基づき、本発明の概要を以下に列挙する。
【１８３７】
従来、例えばパチンコ機などの遊技機は公知となっている。例えば、特開２０１６−５９４９８号公報に記載の如くである。
【１８３８】
特開２０１６−５９４９８号公報には、回転動作を行うことで所定の可動演出を行う可動演出役物を備えた遊技機が開示されている。
【１８３９】
このような遊技機において、遊技の興趣をさらに向上させることが望まれている。
【１８４０】
本発明は、上述した課題に鑑みてなされたものであり、遊技の興趣を向上させることができる遊技機を提供することを目的とする。
【１８４１】
以上の如く、本実施形態に係る遊技機は、
第１の可動体（外側スパイラル部材Ｐ６５１０）と第２の可動体（内側スパイラル部材Ｐ６５２０）とを備え、
前記第１の可動体（外側スパイラル部材Ｐ６５１０）が第１の位置（待機位置）と第２の位置（演出位置）との間にある状態では前記第１の可動体（外側スパイラル部材Ｐ６５１０）が動作可能かつ前記第２の可動体（内側スパイラル部材Ｐ６５２０）が動作不能であり、
前記第１の可動体（外側スパイラル部材Ｐ６５１０）が前記第２の位置（演出位置）にある状態では前記第１の可動体（外側スパイラル部材Ｐ６５１０）と前記第２の可動体（内側スパイラル部材Ｐ６５２０）とが共に動作可能であることを特徴とするものである。
【１８４２】
このような構成により、演出態様を多彩にし、遊技の興趣を向上させることができる。
【１８４３】
また、本実施形態に係る遊技機は、
前記第２の可動体（内側スパイラル部材Ｐ６５２０）の動作をロックするロック手段（スライドラックＰ６２４０）を備え、
前記第１の可動体（外側スパイラル部材Ｐ６５１０）が前記第１の位置（待機位置）から前記第２の位置（演出位置）までの間にある状態で、前記ロック手段（スライドラックＰ６２４０）が第３の位置（開放／ロック状態）にあると前記第１の可動体（外側スパイラル部材Ｐ６５１０）が動作可能かつ前記第２の可動体（内側スパイラル部材Ｐ６５２０）が動作不能となり、
前記第１の可動体（外側スパイラル部材Ｐ６５１０）が前記第２の位置（演出位置）にある状態で、前記ロック手段が第４の位置（開放／ロック解除状態）にあると前記第１の可動体（外側スパイラル部材Ｐ６５１０）と前記第２の可動体（内側スパイラル部材Ｐ６５２０）とが共に動作可能となることを特徴とするものである。
【１８４４】
このような構成により、ロック手段（スライドラックＰ６２４０）を用いた第２の可動体（内側スパイラル部材Ｐ６５２０）の動作の切り替えが可能となる。
【１８４５】
また、前記第１の可動体（外側スパイラル部材Ｐ６５１０）は、
第１の動作（回転動作）と、前記第１の動作とは異なる第２の動作（直進動作）と、を実行可能であることを特徴とするものである。
【１８４６】
このような構成により、演出態様をより多彩にすることができる。
【１８４７】
また、本実施形態に係る遊技機は、
前記第２の可動体（内側スパイラル部材Ｐ６５２０）は前記第１の動作（回転動作）を実行可能であり、
前記第２の可動体（内側スパイラル部材Ｐ６５２０）には前記第１の動作（回転動作）を規制する規制部材（規制部Ｐ６５３０）が設けられ、
前記ロック手段（スライドラックＰ６２４０）は前記第３の位置（開放／ロック状態）において前記規制部材（規制部Ｐ６５３０）と当接することで前記第２の可動体（内側スパイラル部材Ｐ６５２０）の前記第１の動作（回転動作）をロックすることを特徴とするものである。
【１８４８】
このような構成により、演出態様をより多彩にすることができる。
【１８４９】
また、本実施形態に係る遊技機は、
前記ロック手段（スライドラックＰ６２４０）が前記第２の可動体（内側スパイラル部材Ｐ６５２０）の前記第１の動作（回転動作）をロックした状態で、前記第１の可動体（外側スパイラル部材Ｐ６５１０）は前記第２の動作（直進動作）が可能であることを特徴とするものである。
【１８５０】
このような構成により、演出態様をより多彩にすることができる。
【１８５１】
また、本実施形態に係る遊技機は、
前記第１の動作は回転動作であり、前記第２の動作は直進動作であることを特徴とするものである。
【１８５２】
このような構成により、演出態様をより多彩にすることができる。
【１８５３】
また、本実施形態に係る遊技機は、
前記第１の可動体（外側スパイラル部材Ｐ６５１０）にはスパイラル状の第１の溝部（外側螺旋溝部Ｐ６５１１ａ）が設けられ、
前記第１の溝部（外側螺旋溝部Ｐ６５１１ａ）に当接した状態で、駆動手段（第２のモータＰ６４１０）からの回転駆動力を伝達し前記第１の可動体（外側スパイラル部材Ｐ６５１０）を直進動作させるガイドギヤＰ６４３０を備えることを特徴とするものである。
【１８５４】
このような構成により、駆動手段（第２のモータＰ６４１０）の回転駆動力を用いた多彩な演出が可能となる。
【１８５５】
また、本実施形態に係る遊技機は、
前記第１の可動体（外側スパイラル部材Ｐ６５１０）には、突起部Ｐ６６１１ｂが設けられ、
前記第２の可動体（内側スパイラル部材Ｐ６５２０）にはスパイラル状の第２の溝部（内側螺旋溝部Ｐ６５２１）が設けられ、
前記突起部Ｐ６６１１ｂと前記第２の溝部（内側螺旋溝部Ｐ６５２１）とが当接した状態で、前記第２の可動体（内側スパイラル部材Ｐ６５２０）に対し前記第１の可動体（外側スパイラル部材Ｐ６５１０）が直進動作することで当該第１の可動体（外側スパイラル部材Ｐ６５１０）が回転動作可能であることを特徴とするものである。
【１８５６】
このような構成により、演出態様をより多彩にすることができる。
【１８５７】
また、前記第２の可動体（内側スパイラル部材Ｐ６５２０）は、前記第１の可動体（外側スパイラル部材Ｐ６５１０）が前記第１の位置（待機位置）にある状態で当該第１の可動体（外側スパイラル部材Ｐ６５１０）の内部に収容され、前記第１の可動体（外側スパイラル部材Ｐ６５１０）が前記第２の位置（演出位置）にある状態で当該第１の可動体（外側スパイラル部材Ｐ６５１０）の外部に位置することを特徴とするものである。
【１８５８】
このような構成により、第１の位置（待機位置）においてコンパクト化を図ることができる。
【１８５９】
また、本実施形態に係る遊技機は、
前記ロック手段（スライドラックＰ６２４０）の動作に伴って動作する第３の可動体（開閉役物Ｐ６３００）を備えることを特徴とするものである。
【１８６０】
このような構成により、演出態様をより多彩にすることができる。
【１８６１】
また、本実施形態に係る遊技機は、
前記第１の可動体（外側スパイラル部材Ｐ６５１０）が前記第１の位置（待機位置）から前記第２の位置（演出位置）へ動作するのに伴って動作する第４の可動体（装飾役物Ｐ６６００）を備えることを特徴とするものである。
【１８６２】
このような構成により、演出態様をより多彩にすることができる。
【１８６３】
また、前記第１の可動体（外側スパイラル部材Ｐ６５１０）は、
第１の動作（回転動作）と、前記第１の動作とは異なる第２の動作（直進動作）と、を実行可能であり、
前記第４の可動体（装飾役物Ｐ６６００）は、前記第１の動作及び前記第２の動作を実行可能であることを特徴とするものである。
【１８６４】
このような構成により、演出態様をより多彩にすることができる。
【１８６５】
また、前記第４の可動体（装飾役物Ｐ６６００）は、
前記第１の可動体（外側スパイラル部材Ｐ６５１０）の第前記１の位置（待機位置）から前記第２の位置（演出位置）への動作に伴い前記第１の可動体（外側スパイラル部材Ｐ６５１０）に当接されることで動作し、
前記第１の可動体（外側スパイラル部材Ｐ６５１０）との位置関係に応じて付勢手段（第１のばねＰ６５１５及び第２のばねＰ６６１３ｆ）の付勢力により前記第１の位置（待機位置）へと付勢されることを特徴とするものである。
【１８６６】
このような構成により、第１の可動体（外側スパイラル部材Ｐ６５１０）の動作を利用して第４の可動体（装飾役物Ｐ６６００）を動作させることができる。
【１８６７】
なお、外側スパイラル部材Ｐ６５１０は、第１の可動体の一形態である。
また、外側螺旋溝部Ｐ６５１１ａは、第１の溝部の一形態である。
また、第１のばねＰ６５１５は、付勢手段の一形態である。
また、内側スパイラル部材Ｐ６５２０は、第２の可動体の一形態である。
また、内側螺旋溝部Ｐ６５２１は、第２の溝部の一形態である。
また、規制部Ｐ６５３０は、規制部材の一形態である。
また、スライドラックＰ６２４０は、ロック手段の一形態である。
また、開閉役物Ｐ６３００は、第３の可動体の一形態である。
また、装飾役物Ｐ６６００は、第４の可動体の一形態である。
また、第２のばねＰ６６１３ｆは、付勢手段の一形態である。
【１８６８】
以上、本発明の第一実施形態を説明したが、本発明は上記構成に限定されるものではなく、特許請求の範囲に記載された発明の範囲内で種々の変更が可能である。
【１８６９】
例えば、本実施形態では、弾丸役物Ｐ６５００及び装飾役物Ｐ６６００を待機位置から演出位置に移動させる際に、第１の装飾役物Ｐ６６１０は、まず第２のばねＰ６６１１ｆの伸長に伴い前方へ移動し、外側スパイラル部材Ｐ６５１０が所定距離前方に移動すれば、突起部Ｐ６６１１ｂが当接面Ｐ６５１１ｃに押圧されることにより前方へ移動する構成としたが、このような態様に限られない。例えば、第１の装飾役物Ｐ６６１０を、待機位置から演出位置までの全体に亘って、突起部Ｐ６６１１ｂが当接面Ｐ６５１１ｃに押圧されることにより前方へ移動する構成としてもよい。
【１８７０】
また、本実施形態では、待機位置において、装飾役物Ｐ６６００（第１の装飾役物Ｐ６６１０及び第２の装飾役物Ｐ６６２０）を、第１のばねＰ６５１５及び第２のばねＰ６６１１ｆを介して、後方へ押し付ける構成としたが、このような態様に限られない。例えば、待機位置において、弾丸役物Ｐ６５００により、付勢部材を介さずに直接的に第１の装飾役物Ｐ６６１０を後方へ押し付ける構成としてもよい。また、待機位置において、第１の装飾役物Ｐ６６１０により、直接的に第２の装飾役物Ｐ６６２０を後方へ押し付ける構成としてもよい。
【１８７１】
また、本実施形態では、弾丸役物Ｐ６５００の直進動作を、前後方向の動作としたが、このような態様に限られない。弾丸役物Ｐ６５００の直進動作としては種々の方向を採用可能である。
【１８７２】
また、本実施形態では、第１の可動体を弾丸を模したものとしたが、第１の可動体の形状としてはこのような態様に限られず、種々の形状を採用可能である。
【１８７３】
また、本実施形態では、装飾役物Ｐ６６００を渦を模したものとしたが、装飾役物Ｐ６６００の形状としてはこのような態様に限られず、種々の形状を採用可能である。
【符号の説明】
【１８７４】
Ｐ６０００    演出装置
Ｐ６２４０    スライドラック（ロック手段）
Ｐ６３００    開閉役物Ｐ６３００（第３の可動体）
Ｐ６４１０    第２のモータ（駆動手段）
Ｐ６４３０    ガイドギヤ
Ｐ６４３３    突起部
Ｐ６５１０    外側スパイラル部材（第１の可動体）
Ｐ６５１１ａ  外側螺旋溝部（第１の溝部）
Ｐ６５１２    突起部
Ｐ６５１５    第１のばね（付勢部材）
Ｐ６５２０    内側スパイラル部材（第２の可動体）
Ｐ６５２１    内側螺旋溝部（第２の溝部）
Ｐ６５３０    規制部（規制部材）
Ｐ６６００    装飾役物（第４の可動体）
Ｐ６６１３ｆ  第２のばね
【図１】
0006967091.tif 000002
【図２】
0006967091.tif 000003
【図３】
0006967091.tif 000004
【図４】
0006967091.tif 000005
【図５】
0006967091.tif 000006
【図６】
0006967091.tif 000007
【図７】
0006967091.tif 000008
【図８】
0006967091.tif 000009
【図９】
0006967091.tif 000010
【図１０】
0006967091.tif 000011
【図１１】
0006967091.tif 000012
【図１２】
0006967091.tif 000013
【図１３】
0006967091.tif 000014
【図１４】
0006967091.tif 000015
【図１５】
0006967091.tif 000016
【図１６】
0006967091.tif 000017
【図１７】
0006967091.tif 000018
【図１８】
0006967091.tif 000019
【図１９】
0006967091.tif 000020
【図２０】
0006967091.tif 000021
【図２１】
0006967091.tif 000022
【図２２】
0006967091.tif 000023
【図２３】
0006967091.tif 000024
【図２４】
0006967091.tif 000025
【図２５】
0006967091.tif 000026
【図２６】
0006967091.tif 000027
【図２７】
0006967091.tif 000028
【図２８】
0006967091.tif 000029
【図２９】
0006967091.tif 000030
【図３０】
0006967091.tif 000031
【図３１】
0006967091.tif 000032
【図３２】
0006967091.tif 000033
【図３３】
0006967091.tif 000034
【図３４】
0006967091.tif 000035
【図３５】
0006967091.tif 000036
【図３６】
0006967091.tif 000037
【図３７】
0006967091.tif 000038
【図３８】
0006967091.tif 000039
【図３９】
0006967091.tif 000040
【図４０】
0006967091.tif 000041
【図４１】
0006967091.tif 000042
【図４２】
0006967091.tif 000043
【図４３】
0006967091.tif 000044
【図４４】
0006967091.tif 000045
【図４５】
0006967091.tif 000046
【図４６】
0006967091.tif 000047
【図４７】
0006967091.tif 000048
【図４８】
0006967091.tif 000049
【図４９】
0006967091.tif 000050
【図５０】
0006967091.tif 000051
【図５１】
0006967091.tif 000052
【図５２】
0006967091.tif 000053
【図５３】
0006967091.tif 000054
【図５４】
0006967091.tif 000055
【図５５】
0006967091.tif 000056
【図５６】
0006967091.tif 000057
【図５７】
0006967091.tif 000058
【図５８】
0006967091.tif 000059
【図５９】
0006967091.tif 000060
【図６０】
0006967091.tif 000061
【図６１】
0006967091.tif 000062
【図６２】
0006967091.tif 000063
【図６３】
0006967091.tif 000064
【図６４】
0006967091.tif 000065
【図６５】
0006967091.tif 000066
【図６６】
0006967091.tif 000067
【図６７】
0006967091.tif 000068
【図６８】
0006967091.tif 000069
【図６９】
0006967091.tif 000070
【図７０】
0006967091.tif 000071
【図７１】
0006967091.tif 000072
【図７２】
0006967091.tif 000073
【図７３】
0006967091.tif 000074
【図７４】
0006967091.tif 000075
【図７５】
0006967091.tif 000076
【図７６】
0006967091.tif 000077
【図７７】
0006967091.tif 000078
【図７８】
0006967091.tif 000079
【図７９】
0006967091.tif 000080
【図８０】
0006967091.tif 000081
【図８１】
0006967091.tif 000082
【図８２】
0006967091.tif 000083
【図８３】
0006967091.tif 000084
【図８４】
0006967091.tif 000085
【図８５】
0006967091.tif 000086
【図８６】
0006967091.tif 000087
【図８７】
0006967091.tif 000088
【図８８】
0006967091.tif 000089
【図８９】
0006967091.tif 000090
【図９０】
0006967091.tif 000091
【図９１】
0006967091.tif 000092
【図９２】
0006967091.tif 000093
【図９３】
0006967091.tif 000094
【図９４】
0006967091.tif 000095
【図９５】
0006967091.tif 000096
【図９６】
0006967091.tif 000097
【図９７】
0006967091.tif 000098
【図９８】
0006967091.tif 000099
【図９９】
0006967091.tif 000100
【図１００】
0006967091.tif 000101
【図１０１】
0006967091.tif 000102
【図１０２】
0006967091.tif 000103
【図１０３】
0006967091.tif 000104
【図１０４】
0006967091.tif 000105
【図１０５】
0006967091.tif 000106
【図１０６】
0006967091.tif 000107
【図１０７】
0006967091.tif 000108
【図１０８】
0006967091.tif 000109
【図１０９】
0006967091.tif 000110
【図１１０】
0006967091.tif 000111
【図１１１】
0006967091.tif 000112
【図１１２】
0006967091.tif 000113
【図１１３】
0006967091.tif 000114
【図１１４】
0006967091.tif 000115
【図１１５】
0006967091.tif 000116
【図１１６】
0006967091.tif 000117
【図１１７】
0006967091.tif 000118
【図１１８】
0006967091.tif 000119
【図１１９】
0006967091.tif 000120
【図１２０】
0006967091.tif 000121
【図１２１】
0006967091.tif 000122
【図１２２】
0006967091.tif 000123
【図１２３】
0006967091.tif 000124
【図１２４】
0006967091.tif 000125
【図１２５】
0006967091.tif 000126
【図１２６】
0006967091.tif 000127
【図１２７】
0006967091.tif 000128
【図１２８】
0006967091.tif 000129
【図１２９】
0006967091.tif 000130
【図１３０】
0006967091.tif 000131
【図１３１】
0006967091.tif 000132
【図１３２】
0006967091.tif 000133
【図１３３】
0006967091.tif 000134
【図１３４】
0006967091.tif 000135
【図１３５】
0006967091.tif 000136
【図１３６】
0006967091.tif 000137
【図１３７】
0006967091.tif 000138
【図１３８】
0006967091.tif 000139
【図１３９】
0006967091.tif 000140
【図１４０】
0006967091.tif 000141
【図１４１】
0006967091.tif 000142
【図１４２】
0006967091.tif 000143
【図１４３】
0006967091.tif 000144
【図１４４】
0006967091.tif 000145
【図１４５】
0006967091.tif 000146
【図１４６】
0006967091.tif 000147
【図１４７】
0006967091.tif 000148
【図１４８】
0006967091.tif 000149
【図１４９】
0006967091.tif 000150
【図１５０】
0006967091.tif 000151
【図１５１】
0006967091.tif 000152
【図１５２】
0006967091.tif 000153
【図１５３】
0006967091.tif 000154
【図１５４】
0006967091.tif 000155
【図１５５】
0006967091.tif 000156
【図１５６】
0006967091.tif 000157
【図１５７】
0006967091.tif 000158
【図１５８】
0006967091.tif 000159
【図１５９】
0006967091.tif 000160
【図１６０】
0006967091.tif 000161
【図１６１】
0006967091.tif 000162
【図１６２】
0006967091.tif 000163
【図１６３】
0006967091.tif 000164
【図１６４】
0006967091.tif 000165
【図１６５】
0006967091.tif 000166
【図１６６】
0006967091.tif 000167
【図１６７】
0006967091.tif 000168
【図１６８】
0006967091.tif 000169
【図１６９】
0006967091.tif 000170
【図１７０】
0006967091.tif 000171
【図１７１】
0006967091.tif 000172
【図１７２】
0006967091.tif 000173
【図１７３】
0006967091.tif 000174
【図１７４】
0006967091.tif 000175
【図１７５】
0006967091.tif 000176
【図１７６】
0006967091.tif 000177
【図１７７】
0006967091.tif 000178
【図１７８】
0006967091.tif 000179
【図１７９】
0006967091.tif 000180
【図１８０】
0006967091.tif 000181
【図１８１】
0006967091.tif 000182
【図１８２】
0006967091.tif 000183
【図１８３】
0006967091.tif 000184
【図１８４】
0006967091.tif 000185
【図１８５】
0006967091.tif 000186
【図１８６】
0006967091.tif 000187
【図１８７】
0006967091.tif 000188
【図１８８】
0006967091.tif 000189
【図１８９】
0006967091.tif 000190
【図１９０】
0006967091.tif 000191
【図１９１】
0006967091.tif 000192
【図１９２】
0006967091.tif 000193
【図１９３】
0006967091.tif 000194
【図１９４】
0006967091.tif 000195
【図１９５】
0006967091.tif 000196
【図１９６】
0006967091.tif 000197
【図１９７】
0006967091.tif 000198
【図１９８】
0006967091.tif 000199
【図１９９】
0006967091.tif 000200
【図２００】
0006967091.tif 000201
【図２０１】
0006967091.tif 000202
【図２０２】
0006967091.tif 000203
【図２０３】
0006967091.tif 000204
【図２０４】
0006967091.tif 000205
【図２０５】
0006967091.tif 000206
【図２０６】
0006967091.tif 000207
【図２０７】
0006967091.tif 000208
【図２０８】
0006967091.tif 000209
【図２０９】
0006967091.tif 000210
【図２１０】
0006967091.tif 000211
【図２１１】
0006967091.tif 000212
【図２１２】
0006967091.tif 000213
【図２１３】
0006967091.tif 000214
【図２１４】
0006967091.tif 000215
【図２１５】
0006967091.tif 000216
【図２１６】
0006967091.tif 000217
【図２１７】
0006967091.tif 000218
【図２１８】
0006967091.tif 000219
【図２１９】
0006967091.tif 000220
【図２２０】
0006967091.tif 000221
【図２２１】
0006967091.tif 000222
【図２２２】
0006967091.tif 000223
【図２２３】
0006967091.tif 000224
【図２２４】
0006967091.tif 000225
【図２２５】
0006967091.tif 000226
【図２２６】
0006967091.tif 000227
【図２２７】
0006967091.tif 000228
【図２２８】
0006967091.tif 000229
【図２２９】
0006967091.tif 000230
【図２３０】
0006967091.tif 000231
【図２３１】
0006967091.tif 000232
【図２３２】
0006967091.tif 000233
【図２３３】
0006967091.tif 000234
【図２３４】
0006967091.tif 000235
【図２３５】
0006967091.tif 000236
【図２３６】
0006967091.tif 000237
【図２３７】
0006967091.tif 000238
【図２３８】
0006967091.tif 000239
【図２３９】
0006967091.tif 000240
【図２４０】
0006967091.tif 000241
【図２４１】
0006967091.tif 000242
【図２４２】
0006967091.tif 000243
【図２４３】
0006967091.tif 000244
【図２４４】
0006967091.tif 000245
【図２４５】
0006967091.tif 000246
【図２４６】
0006967091.tif 000247
【図２４７】
0006967091.tif 000248
【図２４８】
0006967091.tif 000249
【図２４９】
0006967091.tif 000250
【図２５０】
0006967091.tif 000251
【図２５１】
0006967091.tif 000252
【図２５２】
0006967091.tif 000253
【図２５３】
0006967091.tif 000254
【図２５４】
0006967091.tif 000255
【図２５５】
0006967091.tif 000256
【図２５６】
0006967091.tif 000257
【図２５７】
0006967091.tif 000258
【図２５８】
0006967091.tif 000259
【図２５９】
0006967091.tif 000260
【図２６０】
0006967091.tif 000261
【図２６１】
0006967091.tif 000262
【図２６２】
0006967091.tif 000263
【図２６３】
0006967091.tif 000264
【図２６４】
0006967091.tif 000265
【図２６５】
0006967091.tif 000266
【図２６６】
0006967091.tif 000267
【図２６７】
0006967091.tif 000268
【図２６８】
0006967091.tif 000269
【図２６９】
0006967091.tif 000270
【図２７０】
0006967091.tif 000271
【図２７１】
0006967091.tif 000272
【図２７２】
0006967091.tif 000273
【図２７３】
0006967091.tif 000274
【図２７４】
0006967091.tif 000275
【図２７５】
0006967091.tif 000276
【図２７６】
0006967091.tif 000277
【図２７７】
0006967091.tif 000278
【図２７８】
0006967091.tif 000279
【図２７９】
0006967091.tif 000280
【図２８０】
0006967091.tif 000281
【図２８１】
0006967091.tif 000282
【図２８２】
0006967091.tif 000283
【図２８３】
0006967091.tif 000284
【図２８４】
0006967091.tif 000285
【図２８５】
0006967091.tif 000286
【図２８６】
0006967091.tif 000287
【図２８７】
0006967091.tif 000288
【図２８８】
0006967091.tif 000289
【図２８９】
0006967091.tif 000290
【図２９０】
0006967091.tif 000291
【図２９１】
0006967091.tif 000292
【図２９２】
0006967091.tif 000293
【図２９３】
0006967091.tif 000294
【図２９４】
0006967091.tif 000295
【図２９５】
0006967091.tif 000296
【図２９６】
0006967091.tif 000297
【図２９７】
0006967091.tif 000298
【図２９８】
0006967091.tif 000299
【図２９９】
0006967091.tif 000300
【図３００】
0006967091.tif 000301
【図３０１】
0006967091.tif 000302
【図３０２】
0006967091.tif 000303
【図３０３】
0006967091.tif 000304
【図３０４】
0006967091.tif 000305
【図３０５】
0006967091.tif 000306
【図３０６】
0006967091.tif 000307
【図３０７】
0006967091.tif 000308
【図３０８】
0006967091.tif 000309
【図３０９】
0006967091.tif 000310
【図３１０】
0006967091.tif 000311
【図３１１】
0006967091.tif 000312
【図３１２】
0006967091.tif 000313
【図３１３】
0006967091.tif 000314
【図３１４】
0006967091.tif 000315
【図３１５】
0006967091.tif 000316
【図３１６】
0006967091.tif 000317
【図３１７】
0006967091.tif 000318
【図３１８】
0006967091.tif 000319
【図３１９】
0006967091.tif 000320
【図３２０】
0006967091.tif 000321
【図３２１】
0006967091.tif 000322
【図３２２】
0006967091.tif 000323
【図３２３】
0006967091.tif 000324
【図３２４】
0006967091.tif 000325
【図３２５】
0006967091.tif 000326
【図３２６】
0006967091.tif 000327
【図３２７】
0006967091.tif 000328
【図３２８】
0006967091.tif 000329
【図３２９】
0006967091.tif 000330
【図３３０】
0006967091.tif 000331
【図３３１】
0006967091.tif 000332
【図３３２】
0006967091.tif 000333
【図３３３】
0006967091.tif 000334
【図３３４】
0006967091.tif 000335
【図３３５】
0006967091.tif 000336
【図３３６】
0006967091.tif 000337
【図３３７】
0006967091.tif 000338
【図３３８】
0006967091.tif 000339
【図３３９】
0006967091.tif 000340
【図３４０】
0006967091.tif 000341
【図３４１】
0006967091.tif 000342
【図３４２】
0006967091.tif 000343
【図３４３】
0006967091.tif 000344
【図３４４】
0006967091.tif 000345
【図３４５】
0006967091.tif 000346
【図３４６】
0006967091.tif 000347
【図３４７】
0006967091.tif 000348
【図３４８】
0006967091.tif 000349
【図３４９】
0006967091.tif 000350
【図３５０】
0006967091.tif 000351
【図３５１】
0006967091.tif 000352
【図３５２】
0006967091.tif 000353
【図３５３】
0006967091.tif 000354
【図３５４】
0006967091.tif 000355
【図３５５】
0006967091.tif 000356
【図３５６】
0006967091.tif 000357
【図３５７】
0006967091.tif 000358
【図３５８】
0006967091.tif 000359
【図３５９】
0006967091.tif 000360
【図３６０】
0006967091.tif 000361
【図３６１】
0006967091.tif 000362
【図３６２】
0006967091.tif 000363
【図３６３】
0006967091.tif 000364
【図３６４】
0006967091.tif 000365
【図３６５】
0006967091.tif 000366
【図３６６】
0006967091.tif 000367
【図３６７】
0006967091.tif 000368
【図３６８】
0006967091.tif 000369
【図３６９】
0006967091.tif 000370
【図３７０】
0006967091.tif 000371
【図３７１】
0006967091.tif 000372
【図３７２】
0006967091.tif 000373
【図３７３】
0006967091.tif 000374
【図３７４】
0006967091.tif 000375
【図３７５】
0006967091.tif 000376
【図３７６】
0006967091.tif 000377
【図３７７】
0006967091.tif 000378
【図３７８】
0006967091.tif 000379
【図３７９】
0006967091.tif 000380
【図３８０】
0006967091.tif 000381
【図３８１】
0006967091.tif 000382
【図３８２】
0006967091.tif 000383
【図３８３】
0006967091.tif 000384
【図３８４】
0006967091.tif 000385
【図３８５】
0006967091.tif 000386
【図３８６】
0006967091.tif 000387
【図３８７】
0006967091.tif 000388
【図３８８】
0006967091.tif 000389
【図３８９】
0006967091.tif 000390
【図３９０】
0006967091.tif 000391
【図３９１】
0006967091.tif 000392
【図３９２】
0006967091.tif 000393
【図３９３】
0006967091.tif 000394
【図３９４】
0006967091.tif 000395
【図３９５】
0006967091.tif 000396
【図３９６】
0006967091.tif 000397
【図３９７】
0006967091.tif 000398
【図３９８】
0006967091.tif 000399
【図３９９】
0006967091.tif 000400
【図４００】
0006967091.tif 000401
【図４０１】
0006967091.tif 000402
【図４０２】
0006967091.tif 000403
【図４０３】
0006967091.tif 000404
【図４０４】
0006967091.tif 000405
【図４０５】
0006967091.tif 000406
【図４０６】
0006967091.tif 000407